(57)【特許請求の範囲】
【請求項１】
光強度を電気信号に変換する２次元的に配列された複数の画素と、前記複数の画素の各々に配置される複数の色フィルタと、を備えた撮像素子上に光学像を形成する光学系であって、
前記光学系は、物体側より順に、
複数のレンズからなり正の屈折力を有する第１レンズ群と、
絞りと、
複数のレンズからなる第２レンズ群と、を有し、
前記光学系を構成するレンズ群は、前記第１レンズ群と前記第２レンズ群とからなり、
前記第１レンズ群は、最も物体側に配置された第１物体側レンズと、最も像側に配置された第１像側レンズと、を有し、
前記第２レンズ群は、最も物体側に配置された第２物体側レンズと、最も像側に配置された第２像側レンズと、を有し、
前記第１レンズ群は、負レンズと、前記負レンズよりも物体側に配置された正レンズと、を有し、
以下の条件式（１５）、（１６）、（１９）、（２０）を満足することを特徴とする光学系。
β≦−１．１      （１５）
０．０８＜ＮＡ      （１６）
１．０＜ＷＤ／ＢＦ      （１９）
０．５＜２×（ＷＤ×ｔａｎ（ｓｉｎ−１ＮＡ）＋Ｙobj）／φs＜４．０      （２０）
ここで、
βは、前記光学系の結像倍率、
ＮＡは、前記光学系の物体側の開口数、
ＷＤは、物体から前記第１物体側レンズの物体側面までの光軸上の距離、
ＢＦは、前記第２像側レンズの像側面から像までの光軸上の距離、
Ｙobjは、最大物体高、
φsは、前記絞りの直径、
である。
【請求項２】
以下の条件式（３１）を満足することを特徴とする請求項１に記載の光学系。
０．１＜ＬG1／ＬG2＜１．５      （３１）
ここで、
ＬG1は、前記第１物体側レンズの物体側面から前記第１像側レンズの像側面までの光軸上の距離、
ＬG2は、前記第２物体側レンズの物体側面から前記第２像側レンズの像側面までの光軸上の距離、
である。
【請求項３】
以下の条件式（２５）を満足することを特徴とする請求項１又は２に記載の光学系。
０．１５＜Ｄos／Ｄoi＜０．８      （２５）
ここで、
Ｄosは、物体から前記絞りまでの光軸上の距離、
Ｄoiは、物体から像までの光軸上の距離、
である。
【請求項４】
以下の条件式（２３）を満足することを特徴とする請求項１から３のいずれか１項に記載の光学系。
０．４＜ＬL／Ｄoi      （２３）
ここで、
ＬLは、前記第１物体側レンズの物体側面から前記第２像側レンズの像側面までの光軸上の距離、
Ｄoiは、物体から像までの光軸上の距離、
である。
【請求項５】
以下の条件式（３４）を満足することを特徴とする請求項１から４のいずれか１項に記載の光学系。
０．５＜Ｄos／ＬG1＜４．０      （３４）
ここで、
Ｄosは、物体から前記絞りまでの光軸上の距離、
ＬG1は、前記第１物体側レンズの物体側面から前記第１像側レンズの像側面までの光軸上の距離、
である。
【請求項６】
以下の条件式（２１）を満足することを特徴とする請求項１から５のいずれか１項に記載の光学系。
０．０１＜Ｄmax／φs＜３．０      （２１）
ここで、
Ｄmaxは、前記光学系における隣り合うレンズの光軸上の間隔のうち、最大となる間隔、
φsは、前記絞りの直径、
である。
【請求項７】
以下の条件式（５６）を満足することを特徴とする請求項１から６のいずれか１項に記載の光学系。
０．７８＜ＬL／Ｄoi＋０．０７×ＷＤ／ＢＦ      （５６）
ここで、
ＬLは、前記第１物体側レンズの物体側面から前記第２像側レンズの像側面までの光軸上の距離、
Ｄoiは、物体から像までの光軸上の距離、
ＷＤは、物体から前記第１物体側レンズの物体側面までの光軸上の距離、
ＢＦは、前記第２像側レンズの像側面から像までの光軸上の距離、
である。
【請求項８】
以下の条件式（５７）を満足することを特徴とする請求項１から７のいずれか１項に記載の光学系。
Ｄos／ＬG1−０．３９×ＷＤ／ＢＦ＜１．８      （５７）
ここで、
Ｄosは、物体から前記絞りまでの光軸上の距離、
ＬG1は、前記第１物体側レンズの物体側面から前記第１像側レンズの像側面までの光軸上の距離、
ＷＤは、物体から前記第１物体側レンズの物体側面までの光軸上の距離、
ＢＦは、前記第２像側レンズの像側面から像までの光軸上の距離、
である。
【請求項９】
以下の条件式（２７）を満足することを特徴とする請求項１から８のいずれか１項に記載の光学系。
０＜ＢＦ／ＬL＜０．４      （２７）
ここで、
ＢＦは、前記第２像側レンズの像側面から像までの光軸上の距離、
ＬLは、前記第１物体側レンズの物体側面から前記第２像側レンズの像側面までの光軸上の距離、
である。
【請求項１０】
以下の条件式（３５）、（３６）を満足することを特徴とする請求項１から９のいずれか１項に記載の光学系。
１．０＜ＤENP／Ｙ      （３５）
０≦ＣＲＡobj／ＣＲＡimg＜０．５      （３６）
ここで、
ＤENPは、前記光学系の入射瞳位置から前記第１物体側レンズの物体側面までの光軸上の距離、
Ｙは、前記光学系全系における最大像高、
ＣＲＡobjは、前記第１物体側レンズに入射する主光線と光軸とのなす角度の最大値、
ＣＲＡimgは、像面に入射する主光線と光軸とのなす角度の最大値、
であり、
角度の正負は、光軸から時計回りの方向に測った場合の角度を負、反時計回りの方向に測ったときの角度を正とする。
【発明の詳細な説明】
【技術分野】
【０００１】
本発明は、光学系及びそれを用いた光学機器、撮像装置及び撮像システムに関するものである。
【背景技術】
【０００２】
従来、微小な標本を観察する場合、最初に、標本全体を観察して詳細に観察したい部位を特定し、その後、詳細に観察したい部位を拡大して観察する手法がとられている。そのような手法に用いられる撮像装置として、撮影した画像をデジタル的に拡大し、拡大した画像を表示する撮像装置がある。このような撮像装置に用いられる光学系として、例えば特許文献１に記載の光学系がある。なお、画像のデジタル的な拡大はデジタルズームと呼ばれる。【０００３】
また、従来の光学系、例えば顕微鏡用の光学系を結像方式の違いによって区別すると、有限遠補正タイプの光学系と、無限遠補正タイプの光学系との二種類に分けられる。有限遠補正タイプの光学系では、顕微鏡対物レンズ自身によって有限距離に物体像を形成する。一方、無限遠補正タイプの光学系では、顕微鏡対物レンズから射出光が略平行光束となる。そのため、無限遠補正タイプの光学系では、顕微鏡対物レンズを結像レンズと組み合わせて物体像を形成する。【０００４】
上述のように、無限遠補正タイプの顕微鏡光学系では、射出光が略平行光束となる顕微鏡対物レンズが用いられる。この顕微鏡対物レンズの例として、特許文献２に記載の顕微鏡対物レンズがある。特許文献２に記載の顕微鏡対物レンズは、物体側の開口数（ＮＡ）が０．８というように、物体側（標本側）で非常に大きな値を持つ。この顕微鏡対物レンズは、結像レンズと共に用いられるが、このときに像側の開口数が小さいと、明るく鮮明な標本像が得られなくなる。
【先行技術文献】
【特許文献】
【０００５】
【特許文献１】特開２０１２−１７３４９１号公報
【特許文献２】特開２００８−１８５９６５号公報
【発明の概要】
【発明が解決しようとする課題】
【０００６】
特許文献１に記載されている光学系は全長が十分に短い光学系を実現できておらず、撮像装置が大型化してしまうという問題があった。また、収差補正が十分とはいえないため、高い分解能が確保できているとはいえない。【０００７】
また、短い露光時間で、明るく鮮明な標本像を得るには、明視野観察や暗視野観察では、照明光の強度を大きくすれば良い。また、蛍光観察では、励起光の強度を大きくして、標本から発生する蛍光の強度を大きくすれば良い。しかしながら、照明光や励起光の強度を大きくすると、標本へのダメージが大きくなってしまう。【０００８】
像側の解像力の上限は像側の開口数（ＮＡ’）と画素ピッチにより決まるが、画素ピッチについては、近年、可視光波長の１倍から３倍程度狭ピッチ化に向けて撮像素子が進化しているにもかかわらず、像側の開口数が小さいままだと、像側で十分な解像力を達成することができない。【０００９】
一方、像側の開口数については、顕微鏡対物レンズの物体側の開口数をさらに大きくすることで、像側の開口数を大きくすることができる。そこで、特許文献１に記載の顕微鏡対物レンズと同様な光学系で、物体側の開口数をさらに大きくして像側の開口数を大きくしようとすると、レンズ径が大型化する、ワーキングディスタンスが短くなる、観察視野の範囲が狭くなる、という問題の少なくともひとつは避けられない。また、瞳が大きくなることにより諸収差の補正が困難になる。【００１０】
本発明は、上記に鑑みてなされたものであって、収差が良好に補正され、それにより高い分解能を有しながらも、全長が短い光学系及びそれを用いた撮像装置、撮像システムを提供することを目的とする。また、本発明は、像側の開口数が大きく、諸収差が良好に補正された光学系及びそれを用いた光学機器を提供することを目的とする。
【課題を解決するための手段】
【００１１】
上述した課題を解決し、目的を達成するために、本発明の光学系は、
光強度を電気信号に変換する２次元的に配列された複数の画素と、複数の画素の各々に配置される複数の色フィルタと、を備えた撮像素子上に光学像を形成する光学系であって、
光学系は、物体側より順に、
複数のレンズからなり正の屈折力を有する第１レンズ群と、
絞りと、
複数のレンズからなる第２レンズ群と、を有し、
光学系を構成するレンズ群は、第１レンズ群と第２レンズ群とからなり、
第１レンズ群は、最も物体側に配置された第１物体側レンズと、最も像側に配置された第１像側レンズと、を有し、
第２レンズ群は、最も物体側に配置された第２物体側レンズと、最も像側に配置された第２像側レンズと、を有し、
第１レンズ群は、負レンズと、負レンズよりも物体側に配置された正レンズと、を有し、
以下の条件式（１５）、（１６）、（１９）、（２０）を満足することを特徴とする。
β≦−１．１      （１５）
０．０８＜ＮＡ      （１６）
１．０＜ＷＤ／ＢＦ      （１９）
０．５＜２×（ＷＤ×ｔａｎ（ｓｉｎ−１ＮＡ）＋Ｙobj）／φs＜４．０      （２０）
ここで、
βは、光学系の結像倍率、
ＮＡは、光学系の物体側の開口数、
ＷＤは、物体から第１物体側レンズの物体側面までの光軸上の距離、
ＢＦは、第２像側レンズの像側面から像までの光軸上の距離、
Ｙobjは、最大物体高、
φsは、絞りの直径、
である。
【００１６】
また、本発明の光学機器の一例である顕微鏡、あるいは本発明の撮像装置は、上記の光学系と、撮像素子と、を備えることを特徴とする。【００１７】
また、本実施形態の撮像システムは、上記の撮像装置と、物体を保持するステージと、物体を照明する照明装置と、を有することを特徴とする。
【発明の効果】
【００１８】
本発明によれば、収差が良好に補正され、それにより高い分解能を有しながらも、全長が短い光学系及びそれを用いた撮像装置、撮像システムを提供できる。また、本発明によれば、像側の開口数が大きく、諸収差が良好に補正された光学系及びそれを用いた光学機器を提供できる。
【図面の簡単な説明】
【００１９】
【図１】実施例１にかかる光学系の光学構成を示す光軸に沿う断面図である。
【図２】実施例１にかかる光学系の球面収差（ＳＡ）、非点収差（ＡＳ）、歪曲収差（ＤＴ）、倍率色収差（ＣＣ）を示す図である。
【図３】実施例２にかかる光学系の光学構成を示す光軸に沿う断面図である。
【図４】実施例２にかかる光学系の球面収差（ＳＡ）、非点収差（ＡＳ）、歪曲収差（ＤＴ）、倍率色収差（ＣＣ）を示す図である。
【図５】実施例３にかかる光学系の光学構成を示す光軸に沿う断面図である。
【図６】実施例３にかかる光学系の球面収差（ＳＡ）、非点収差（ＡＳ）、歪曲収差（ＤＴ）、倍率色収差（ＣＣ）を示す図である。
【図７】実施例４にかかる光学系の光学構成を示す光軸に沿う断面図である。
【図８】実施例４にかかる光学系の球面収差（ＳＡ）、非点収差（ＡＳ）、歪曲収差（ＤＴ）、倍率色収差（ＣＣ）を示す図である。
【図９】実施例５にかかる光学系の光学構成を示す光軸に沿う断面図である。
【図１０】実施例５にかかる光学系の球面収差（ＳＡ）、非点収差（ＡＳ）、歪曲収差（ＤＴ）、倍率色収差（ＣＣ）を示す図である。
【図１１】実施例６にかかる光学系の光学構成を示す光軸に沿う断面図である。
【図１２】実施例６にかかる光学系の球面収差（ＳＡ）、非点収差（ＡＳ）、歪曲収差（ＤＴ）、倍率色収差（ＣＣ）を示す図である。
【図１３】実施例７にかかる光学系の光学構成を示す光軸に沿う断面図である。
【図１４】実施例７にかかる光学系の球面収差（ＳＡ）、非点収差（ＡＳ）、歪曲収差（ＤＴ）、倍率色収差（ＣＣ）を示す図である。
【図１５】実施例８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１６】実施例９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１７】実施例１０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１８】実施例１１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１９】実施例１２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２０】実施例１３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２１】実施例１４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２２】実施例１５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２３】実施例１６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２４】実施例１７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２５】実施例１８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２６】実施例１９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２７】実施例２０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２８】実施例２１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２９】実施例２２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３０】実施例２３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３１】実施例２４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３２】実施例２５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３３】実施例２６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３４】実施例２７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３５】実施例２８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３６】実施例２９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３７】実施例３０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３８】実施例３１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３９】実施例３２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４０】実施例３３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４１】実施例３４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４２】実施例３５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４３】実施例３６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４４】実施例３７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４５】実施例３８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４６】実施例３９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４７】実施例４０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４８】実施例４１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４９】実施例４２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５０】実施例４３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５１】実施例４４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５２】実施例４５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５３】実施例４６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５４】実施例４７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５５】実施例４８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５６】実施例４９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５７】実施例５０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５８】実施例５１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５９】実施例５２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６０】実施例５３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６１】実施例５４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６２】実施例５５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６３】実施例５６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６４】実施例５７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６５】実施例５８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６６】実施例５９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６７】実施例６０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６８】実施例６１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６９】実施例６２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７０】実施例６３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７１】実施例６４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７２】実施例６５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７３】実施例６６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７４】実施例６７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７５】実施例６８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７６】実施例６９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７７】実施例７０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７８】実施例７１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７９】実施例７２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８０】実施例７３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８１】実施例７４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８２】実施例７５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８３】実施例７６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８４】実施例７７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８５】実施例７８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８６】実施例７９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８７】実施例８０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８８】実施例８１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８９】実施例８２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９０】実施例８３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９１】実施例８４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９２】実施例８５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９３】実施例８６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９４】実施例８７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９５】実施例８８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９６】実施例８９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９７】実施例９０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９８】実施例９１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９９】実施例９２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１００】実施例９３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１０１】実施例９４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１０２】実施例９５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１０３】実施例９６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１０４】光学機器である顕微鏡の構成を示す図である。
【図１０５】光学機器である他の顕微鏡の構成を示す図である。
【図１０６】光学機器である他の顕微鏡の構成を示す図である。
【図１０７】（ａ）は光学機器である他の顕微鏡の構成を示す図、（ｂ）は顕微鏡を固定した状態を示す図である。
【発明を実施するための形態】
【００２０】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００２１】
例えば、第１実施形態の光学系から第７実施形態の光学系では、レンズユニットＧfに対物レンズの作用を持たせ、レンズユニットＧrに結像レンズの機能を持たせることで、光学機器としての顕微鏡の光学系を構成することができる。この顕微鏡の実施形態は後述する。
【００２２】
また、以下の説明では、「標本像」を、適宜、「像」とし、「標本」を適宜、「物体」とする。
【００２３】
また、以下の説明において、波長によって値が変化する変数（例えば、焦点距離、結像倍率、開口数等）は、特に断りがない限りｄ線を基準としている。また、光学系全系の倍率についてはβを用いているが、βは投影倍率又は結像倍率として説明している。また、以下の実施形態の光学系は焦点距離が一定の光学系である。ただし、光学系はフォーカシング機能を備えていても良い。
【００２４】
第１実施形態の光学系について説明する。本実施形態の光学系は、物体側より順に、正の屈折力を持つレンズユニットＧfと、絞りと、正の屈折力を持つレンズユニットＧrと、からなり、以下の条件式（１）、（２）、（３）を満足する一対のレンズを、少なくとも１つ有し、一対のレンズの一方のレンズは、レンズユニットＧfに含まれ、一対のレンズの他方のレンズは、レンズユニットＧrに含まれることを特徴とする。
−１．１＜ｒOBf／ｒTLr＜−０．９      （１）
−１．１＜ｒOBr／ｒTLf＜−０．９      （２）
−０．１＜（ｄOB−ｄTL）／（ｄOB＋ｄTL）＜０．１      （３）
但し、
ｒOBfは、一方のレンズの物体側面の近軸曲率半径、
ｒOBrは、一方のレンズの像側面の近軸曲率半径、
ｒTLfは、他方のレンズの物体側面の近軸曲率半径、
ｒTLrは、他方のレンズの像側面の近軸曲率半径、
ｄOBは、一方のレンズの光軸上の厚さ、
ｄTLは、他方のレンズの光軸上の厚さ、
である。
【００２５】
本実施形態の光学系は、正の屈折力を持つレンズユニットＧfと、絞り（開口絞り）と、正の屈折力を持つレンズユニットＧrで構成されている。そして、絞りを挟んで、物体側にレンズユニットＧfが配置され、像側にレンズユニットＧrが配置されている。更に、条件式（１）、（２）、（３）を満足する一対のレンズを、少なくとも１つ有している。
【００２６】
条件式（１）、（２）、（３）を満足することで、レンズユニットＧfとレンズユニットＧrの各々は、形状が絞りについて面対称となるレンズを少なくとも１つ有する。すなわち、本実施形態の光学系では、形状が絞りに対して面対称となる一対のレンズが少なくとも１つ存在する。そのため、レンズの形状に関して、光学系が対称性を持つことになる。これにより、倍率色収差、歪曲収差及びコマ収差を良好に補正できる。なお、対称性については、完全対称である場合だけでなく、ほぼ対称である場合も含む。
【００２７】
また、光学系の像側の開口数を大きくすると、軸外収差の発生が顕著になりやすいが、本実施形態の光学系によれば、光学系の像側の開口数を大きくしても、軸外収差の発生を抑え易くなる。その結果、諸収差が良好に補正され、明るく鮮明な標本像が得られる。
【００２８】
第２実施形態の光学系について説明する。本実施形態の光学系は、以下の条件式（４）、（５）を満足することを特徴とする。
０．１＜ＮＡ、０．１＜ＮＡ’      （４）
−２＜β＜−０．５      （５）
但し、
ＮＡは、光学系の物体側の開口数、
ＮＡ’は、光学系の像側の開口数、
βは、光学系の投影倍率、
である。
【００２９】
条件式（４）、（５）を満足することで、明るく鮮明な像を形成することができる。そのため、照明光や励起光の光強度が小さくても、明るく鮮明な像が得られる。また、光学系の倍率（投影倍率）を等倍、あるいは、等倍に近くできる。この場合、物体側の開口数を大きくすることで、像側の開口数も大きくできる（像側の開口数をそれほど小さくせずに済む）。その結果、光学系を小型に保ったまま、像側の開口数を大きくできる。また、諸収差も良好に補正できる。
【００３０】
像側の開口数を大きくするためには、物体側の開口数をより大きくする必要があるが、条件式（４）の下限値を上回ることでその必要がなくなる。そのため、光学系の小型化が容易となる。また条件式（５）の下限値を上回ることで、光学系の倍率が大きくなりすぎない。この場合、レンズユニットＧfで発生した諸収差、例えば、球面収差や像面湾曲が、レンズユニットＧrで大幅に拡大されることがない。よって、条件式（５）の下限値を上回ることは、収差を良好に補正する面で好ましい。
【００３１】
条件式（５）の上限値を下回ることで、形成された像が小さくなりすぎない。よって、標本の微細構造の観察や撮像が容易になる。
【００３２】
ここで、条件式（４）に代えて、以下の条件式（４’）を満足することが好ましい。
０．１３＜ＮＡ＜０．９、０．１３＜ＮＡ’＜０．９      （４’）
【００３３】
ここで、条件式（５）に代えて、以下の条件式（５’）を満足することが好ましい。
−１．５＜β＜−０．７５      （５’）
また、条件式（５）に代えて、以下の条件式（５’’）を満足することがより好ましい。
−１．２＜β＜−０．８      （５’’）
【００３４】
第３実施形態の光学系について説明する。本実施形態の光学系は、物体側より順に、正の屈折力を持つレンズユニットＧfと、絞りと、正の屈折力を持つレンズユニットＧrと、からなり、以下の条件式（４）、（６）を満足することを特徴とする。
０．１＜ＮＡ、０．１＜ＮＡ’      （４）
０．５＜ｆOB／ｆTL＜２      （６）
但し、
ＮＡは、光学系の物体側の開口数、
ＮＡ’は、光学系の像側の開口数、
ｆOBは、レンズユニットＧfの焦点距離、
ｆTLは、レンズユニットＧrの焦点距離、
である。
【００３５】
本実施形態の光学系は、正の屈折力を持つレンズユニットＧfと、絞り（開口絞り）と、正の屈折力を持つレンズユニットＧrで構成されている。そして、絞りを挟んで、物体側にレンズユニットＧfが配置され、像側にレンズユニットＧrが配置されている。そのため、本実施形態の光学系では、屈折力が絞りについて対称となる。すなわち、屈折力に関して、光学系が対称性を持つことになる。そのため、倍率色収差、歪曲収差及びコマ収差を良好に補正できる。
【００３６】
また、光学系の像側の開口数を大きくすると、軸外収差の発生が顕著になりやすい。しかしながら、本実施形態の光学系によれば、光学系の像側の開口数を大きくしても、軸外収差の発生を抑え易くなる。その結果、諸収差が良好に補正され、明るく鮮明な標本像が得られる。
【００３７】
条件式（４）の技術的意義は上述したとおりである。また、条件式（６）の技術的意義は、条件式（５）の技術的意義と同様である。
【００３８】
ここで、条件式（６）に代えて、以下の条件式（６’）を満足することが好ましい。
０．７５＜ｆOB／ｆTL＜１．５      （６’）
また、条件式（６）に代えて、以下の条件式（６’’）を満足することがより好ましい。
０．８＜ｆOB／ｆTL＜１．２      （６’’）
【００３９】
第４実施形態の光学系について説明する。本実施形態の光学系は、物体側より順に、正の屈折力を持つレンズユニットＧfと、絞りと、正の屈折力を持つレンズユニットＧrと、からなり、以下の条件式（７）、（８）、（９）を満足することを特徴とする。
３０％≦ＭＴＦOB      （７）
３０％≦ＭＴＦTL      （８）
０＜ｄ1／Σｄ＜０．５      （９）
但し、
ＭＴＦOBは、レンズユニットＧfにおける軸上でのＭＴＦであって、ｆｃ／４の空間周波数に対するＭＴＦ、
ＭＴＦTLは、レンズユニットＧrにおける軸上でのＭＴＦであって、ｆｃ’／４の空間周波数に対するＭＴＦ、
ｆｃは、光学系の物体側の開口数に対するカットオフ周波数、
ｆｃ’は、光学系の像側の開口数に対するカットオフ周波数、
であり、それぞれ、ｅ線の平行光を絞り側から入射させたときの集光位置におけるＭＴＦ、
ｄ1は、レンズユニットＧfの最も像側に位置する面からレンズユニットＧrの最も物体側に位置する面までの光軸上の距離、
Σｄは、光学系全系の光軸上でのレンズ厚さの総和、
である。
【００４０】
条件式（７）、（８）を満足することにより、対物レンズに相当する作用をレンズユニットＧfに、結像レンズに相当する作用をレンズユニットＧrに、それぞれ持たせることが可能となる。これにより、光学系は顕微鏡光学系およびそれに類する、鮮明な標本像を得るための目的に適したものとなる。なお、条件式（７）に代えて、後述の条件式（７−１）または（７−１’）を満足しても良い。また、条件式（８）に代えて、後述の条件式（８−１）または（８−１’）を満足しても良い。
【００４１】
条件式（９）を満足することにより、レンズユニットＧfとレンズユニットＧrを、絞り（瞳）の近くに配置できる。ここで、光学系の像側の開口数を大きくすると、軸外収差の発生が顕著になりやすい。しかしながら、本実施形態の光学系によれば、光学系の像側の開口数を大きくしても、軸外収差、特にコマ収差の発生を抑え易くなる。その結果、諸収差が良好に補正され、明るく鮮明な標本像が得られる。なお、条件式（９）に代えて、後述の条件式（９−１）、（９−１’）、（９−１’’）、（９−１’’’）のいずれかを満足しても良い。
【００４２】
第５実施形態の光学系について説明する。本実施形態の光学系は、物体側より順に、正の屈折力を持つレンズユニットＧfと、絞りと、正の屈折力を持つレンズユニットＧrと、からなり、以下の条件式（７）、（８）、（１０）を満足することを特徴とする。
３０％≦ＭＴＦOB      （７）
３０％≦ＭＴＦTL      （８）
０＜ｄ2／Σｄ＜４      （１０）
但し、
ＭＴＦOBは、レンズユニットＧfにおける軸上でのＭＴＦであって、ｆｃ／４の空間周波数に対するＭＴＦ、
ＭＴＦTLは、レンズユニットＧrにおける軸上でのＭＴＦであって、ｆｃ’／４の空間周波数に対するＭＴＦ、
ｆｃは、光学系の物体側の開口数に対するカットオフ周波数、
ｆｃ’は、光学系の像側の開口数に対するカットオフ周波数、
であり、それぞれ、ｅ線の平行光を絞り側から入射させたときの集光位置におけるＭＴＦ、
ｄ2は、レンズユニットＧfの前側主点からレンズユニットＧrの後側主点までの光軸上の距離、
Σｄは、光学系全系の光軸上でのレンズ厚さの総和、
である。
【００４３】
条件式（７）、（８）の技術的意義は既に説明したとおりである。なお、条件式（７）に代えて、後述の条件式（７−１）または（７−１’）を満足しても良い。また、条件式（８）に代えて、後述の条件式（８−１）または（８−１’）を満足しても良い。
【００４４】
条件式（１０）を満足することにより、レンズユニットＧfの後側主点とレンズユニットＧrの前側主点が、絞り（瞳）の近くに位置する。ここで、光学系の像側の開口数を大きくすると、軸外収差の発生が顕著になりやすい。しかしながら、本実施形態の光学系によれば、光学系の像側の開口数を大きくしても、軸外収差、特にコマ収差の発生を抑え易くなる。その結果、諸収差が良好に補正され、明るく鮮明な標本像が得られる。なお、条件式（１０）に代えて、後述の条件式（１０−１）、（１０−１’）、（１０−１’’）、（１０−１’’’）のいずれかを満足しても良い。
【００４５】
なお、第１実施形態の光学系〜第５実施形態の光学系（以下、適宜、本実施形態の光学系とする）は、各々、他の実施形態の光学系の構成を備え、条件式を満足することが好ましい。これにより、像側の開口数が大きく、諸収差が良好に補正された光学系を提供できる。また、諸収差が良好に補正され、明るく鮮明な標本像が得られる。
【００４６】
また、本実施形態の光学系は、以下の条件式（１１）を満足することが好ましい。
−０．０５＜Δｆ／Ｙ＜０．０５      （１１）
但し、
Δｆは、Ｃ線における焦点位置とＦ線における焦点位置の差であって、絞り側からレンズユニットＧrに平行光を入射させたときの集光位置における差、
Ｙは、光学系全系における最大像高、
である。
【００４７】
本実施形態の光学系では、レンズ形状、屈折力、あるいはその両方に関して、光学系が対称性を持つ。そのため、倍率色収差、歪曲収差及びコマ収差は、レンズユニットＧfとレンズユニットＧrとで、逆方向に発生する。そこで、レンズユニットＧfとレンズユニットＧrとを組み合わせた状態にすることで、レンズユニットＧfで発生した収差をレンズユニットＧrで相殺できる。
【００４８】
しかしながら、軸上色収差は、レンズユニットＧfとレンズユニットＧrとで、同じ方向に発生する。そのため、レンズユニットＧfとレンズユニットＧrとを組み合わせた状態では、レンズユニットＧfで発生した収差をレンズユニットＧrで相殺できない。そこで、軸上色収差については、レンズユニットＧrのみで補正されている必要がある。なお、レンズユニットＧfのみでも、軸上色収差が補正されている必要がある。
【００４９】
条件式（１１）の上限値を下回るか、下限値を上回ることで、光学系全体での軸上色収差の補正が容易となる。
【００５０】
また、本実施形態の光学系は、一対のレンズを少なくとも２つ有することが好ましい。
【００５１】
レンズ形状に関して、光学系の対称性がより高まる。そのため、倍率色収差、歪曲収差及びコマ収差を、更に良好に補正できる。
【００５２】
また、本実施形態の光学系は、一対のレンズを少なくとも３つ有することが好ましい。
【００５３】
レンズ形状に関して、光学系の対称性が更に高まる。そのため、倍率色収差、歪曲収差及びコマ収差を良好に補正できる。
【００５４】
また、本実施形態の光学系は、以下の条件式（１２）を満足することが好ましい。
−１０°＜θo＜１０°      （１２）
但し、
θoは、光軸に垂直な面の法線と物体側における主光線とのなす角度、
である。
【００５５】
条件式（１２）の下限値を上回るか、上限値を下回ることで、光学系において、物体側でテレセントリック性を持たせることができる。これにより、物体（被写体）距離の変動に対する倍率の変動を抑えることができる。例えば、本実施形態の光学系を使って寸法計測を行う場合、物体（被検物）が光軸方向に凹凸を持つ場合でも、凹部における倍率と凸部における倍率は同じであるため、正確な計測ができる。
【００５６】
なお、本実施形態の光学系では、絞りに対して最も近い位置に配置された一対のレンズでは、各々のレンズが正レンズであることが好ましい。また、絞りに対して２番目に近い位置に配置された一対のレンズでは、各々のレンズが負レンズであることが好ましい。
【００５７】
第６実施形態の光学系について説明する。本実施形態の光学系は、物体側より順に、正の屈折力を持つレンズユニットＧfと、絞りと、正の屈折力を持つレンズユニットＧrと、からなり、以下の条件式（４−１）、（５）、（９−１）、（１３）を満足することを特徴とする。
０．０８＜ＮＡ、０．０８＜ＮＡ’      （４−１）
−２＜β＜−０．５      （５）
０＜ｄ1／Σｄ＜０．２      （９−１）
−２０＜Δｆcd／εｄ＜２０      （１３）
但し、
ＮＡは、光学系の物体側の開口数、
ＮＡ’は、光学系の像側の開口数、
βは、光学系の投影倍率、
ｄ1は、レンズユニットＧfの最も像側に位置する面からレンズユニットＧrの最も物体側に位置する面までの光軸上の距離、
Σｄは、光学系全系の光軸上でのレンズ厚さの総和、
εdは、光学系の像側の開口数で決まるｄ線でのエアリーディスク半径、
Δｆcdは、Ｃ線における焦点位置とｄ線における焦点位置の差であって、絞り側からレンズユニットＧrに平行光を入射させたときの集光位置における差、
である。
【００５８】
ＮＡにより物体側の分解能の上限が決まり、ＮＡ’と撮像素子の画素ピッチにより像側の解像力の上限が決まる。物体側より、正の屈折力を持つレンズユニットＧf、絞り、正の屈折力を持つレンズユニットＧrからなり、且つ条件式（４−１）と（５）を同時に満足することで、物体側の分解能と像側の解像力のバランスを良好することができる。また、諸収差を良好に補正して、結像性能を最大限まで高めることができ、且つ小型の光学系を構成することができる。特に、本実施形態の光学系は、画素ピッチが可視光波長の１倍から３倍程度の撮像素子に対して好適な光学系である。
【００５９】
また、条件式（４−１）、（５）を同時に満足することで、光学系を小型に保ったまま、照明光や励起光の強度が小さくても、明るくて鮮明な像を得ることができる。
【００６０】
像側の開口数を大きくするためには、物体側の開口数をより大きくする必要があるが、条件式（５）の下限値を上回ることでその必要がなくなる。そのため、光学系の小型化が容易となる。また条件式（５）の下限値を上回ることで、光学系の倍率が大きくなりすぎない。この場合、レンズユニットＧfで発生した諸収差、例えば、球面収差や像面湾曲が、レンズユニットＧrで大幅に拡大されることがない。よって、条件式（５）の下限値を上回ることは、収差を良好に補正する面で好ましい。
【００６１】
条件式（５）の上限値を下回ることで、形成された像が小さくなりすぎない。よって、標本の微細構造の観察や撮像が容易になる。
【００６２】
ここで、条件式（４−１）に代えて、以下の条件式（４−１’）を満足することが好ましい。
０．１＜ＮＡ＜０．９、０．１＜ＮＡ’＜０．９      （４−１’）
また、条件式（４−１）に代えて、上述の条件式（４’）を満足することが好ましい。
【００６３】
また、条件式（５）に代えて、上述の条件式（５’）を満足することが好ましい。また、条件式（５）に代えて、上述の条件式（５’’）を満足することがより好ましい。
【００６４】
また、条件式（９−１）、（１３）を満足することにより、レンズユニットＧfにおけるレンズ配置とレンズユニットＧrにおけるレンズ配置に関して、絞りに対する対称性を持たせながら、レンズユニットＧfとレンズユニットＧrとを絞りの近くに配置することができる。光学系の像側の開口数を大きくしたときに、軸外収差、特にコマ収差の発生が顕著になるが、このようにすることで、この収差の発生をより抑え易くなる。なお、ｄ1は２つの面の間隔であるが、２つの面とは、いずれもレンズ面のことである。
【００６５】
ここで、条件式（９−１）に代えて、以下の条件式（９−１’）を満足することが好ましい。
０＜ｄ1／Σｄ＜０．１５      （９−１’）
また、条件式（９−１）に代えて、以下の条件式（９−１’’）を満足することがより好ましい。
０＜ｄ1／Σｄ＜０．０７      （９−１’’）
また、条件式（９−１）に代えて、以下の条件式（９−１’’’）を満足することがより好ましい。
０＜ｄ1／Σｄ＜０．０３      （９−１’’’）
【００６６】
また、条件式（１３）を満足することで、軸上色収差の補正状態を良好に保ちつつ、倍率色収差、コマ収差などの軸外収差を良好に補正することができる。本実施形態の光学系では、条件式（４−１）、（５）を満足することにより、物体側の開口数に対して像側の開口数を大きくすること、あるいは、物体側の開口数に対して像側の開口数が小さくなり過ぎないようにすることが可能になる。これにより、より明るく鮮明な像を形成することを可能としているが、その分、光学系全体の軸上色収差の発生をより小さく抑制する必要がある。
【００６７】
本実施形態の光学系は、物体側より順に、正の屈折力を持つレンズユニットＧf、絞り、正の屈折力を持つレンズユニットＧｒからなり、条件式（５）を満足する光学系、すなわち、結像倍率が等倍あるいは等倍に近い光学系である。このような光学系で、条件式（１３）の上限値を下回るか、下限値を上回ることにより、レンズユニットＧrでの軸上色収差の発生を抑制できる。レンズユニットＧrでの軸上色収差の発生が抑制できることで、レンズユニットＧfでの過剰な軸上色収差の補正を不要にすることができる。そのため、レンズユニットＧfにおけるレンズ配置とレンズユニットＧrにおけるレンズ配置に関して、絞りに対する対称性を持たせることができる。光学系の開口数を大きくすることにより、コマ収差や倍率色収差などの収差の発生が顕著になるが、レンズユニットＧfにおけるレンズ配置とレンズユニットＧrにおけるレンズ配置が絞りに対して対称性を持つので、これらの収差を良好に補正することが可能となる。なお、対称性については、完全対称である場合だけでなく、ほぼ対称である場合も含む。
【００６８】
ここで、条件式（１３）に代えて、以下の条件式（１３’）を満足することが好ましい。
−１５＜Δｆcd／εｄ＜１５      （１３’）
また、条件式（１３）に代えて、以下の条件式（１３’’）を満足することがより好ましい。
−１２＜Δｆcd／εｄ＜１２      （１３’’）
また、条件式（１３）に代えて、以下の条件式（１３’’’）を満足することがより好ましい。
−７＜Δｆcd／εｄ＜７      （１３’’’）
【００６９】
第７実施形態の光学系について説明する。本実施形態の光学系は、物体側より順に、正の屈折力を持つレンズユニットＧfと、絞りと、正の屈折力を持つレンズユニットＧrと、からなり、以下の条件式（４−１）、（５）、（１０−１）、（１３）を満足することを特徴とする。
０．０８＜ＮＡ、０．０８＜ＮＡ’      （４−１）
−２＜β＜−０．５      （５）
０＜ｄ2／Σｄ＜２      （１０−１）
−２０＜Δｆcd／εｄ＜２０      （１３）
但し、
ＮＡは、光学系の物体側の開口数、
ＮＡ’は、光学系の像側の開口数、
βは、光学系の投影倍率、
ｄ2は、レンズユニットＧfの前側主点からレンズユニットＧrの後側主点までの光軸上の距離、
Σｄは、光学系全系の光軸上でのレンズ厚さの総和、
εdは、光学系の像側の開口数で決まるｄ線でのエアリーディスク半径、
Δｆcdは、Ｃ線における焦点位置とｄ線における焦点位置の差であって、絞り側からレンズユニットＧrに平行光を入射させたときの集光位置における差、
である。
【００７０】
条件式（４−１）、（５）、（１３）の技術的意義は、上述のとおりである。
【００７１】
また、（１０−１）、（１３）を満足することにより、レンズユニットＧfにおけるレンズ配置とレンズユニットＧrにおけるレンズ配置に関して、絞りに対する対称性を持たせながら、レンズユニットＧfの主点とレンズユニットＧrの主点とを絞りの近くに位置させることができる。光学系の像側の開口数を大きくしたときに、軸外収差、特にコマ収差の発生が顕著になるが、このようにすることで、この収差の発生をより抑え易くなる。
【００７２】
ここで、条件式（１０−１）に代えて、以下の条件式（１０−１’）を満足することが好ましい。
０＜ｄ2／Σｄ＜１．５      （１０−１’）
また、条件式（１０−１）に代えて、以下の条件式（１０−１’’）を満足することがより好ましい。
０＜ｄ2／Σｄ＜１      （１０−１’’）
また、条件式（１０−１）に代えて、以下の条件式（１０−１’’’）を満足することがより好ましい。
０＜ｄ2／Σｄ＜０．７（１０−１’’’）
また、条件式（１０−１）に代えて、以下の条件式（１０−１’’’’）を満足することがより好ましい。
０＜ｄ2／Σｄ＜０．４        （１０−１’’’’）
【００７３】
なお、第６実施形態の光学系と第７実施形態の光学系（以下、適宜、本実施形態の光学系とする）は、各々、他の実施形態の光学系の構成を備え、条件式を満足することが好ましい。これにより、像側の開口数が大きく、諸収差が良好に補正された光学系を提供できる。また、諸収差が良好に補正され、明るく鮮明な標本像が得られる。
【００７４】
また、本実施形態の光学系は、以下の条件式（７−１）、（８−１）を満足することが好ましい。
４０％≦ＭＴＦOB      （７−１）
４０％≦ＭＴＦTL      （８−１）
但し、
ＭＴＦOBは、レンズユニットＧfにおける軸上でのＭＴＦであって、ｆｃ／４の空間周波数に対するＭＴＦ、
ＭＴＦTLは、レンズユニットＧrにおける軸上でのＭＴＦであって、ｆｃ’／４の空間周波数に対するＭＴＦ、
ｆｃは、光学系の物体側の開口数に対するカットオフ周波数、
ｆｃ’は、光学系の像側の開口数に対するカットオフ周波数、
であり、それぞれ、ｅ線の平行光を絞り側から入射させたときの集光位置におけるＭＴＦ、
である。
【００７５】
条件式（７−１）、（８−１）を満足することにより、対物レンズに相当する作用をレンズユニットＧfに、結像レンズに相当する作用をレンズユニットＧrに、それぞれ持たせることが可能となる。これにより、レンズユニットＧfからの射出光が略平行光束となるような光学配置において、軸上の収差が良好に補正できる。よって、条件式（５）を満足する光学系において、さらに条件式（７−１）、（８−１）を満足することで、レンズユニットＧfの構成とレンズユニットＧrの構成について、絞りに対する対称性を持たせやすくなる。その結果、軸外の歪曲収差、倍率色収差及びコマ収差を良好に抑えることができる。
【００７６】
さらに、絞りを通過する光束が略平行となるため、各種の観察（位相差観察、偏光観察、微分干渉観察等）に必要な光学素子、例えば、位相板や偏光板等を絞りの近傍に挿入することが可能になる。
【００７７】
ここで、条件式（７−１）に代えて、以下の条件式（７−１’）を満足することが好ましい。
５０％≦ＭＴＦOB      （７−１’）
また、条件式（８−１）に代えて、以下の条件式（８−１’）を満足することが好ましい。
５０％≦ＭＴＦTL      （８−１’）
【００７８】
また、本実施形態の光学系は、以下の条件式（６）を満足することが好ましい。
０．５＜ｆOB／ｆTL＜２      （６）
但し、
ｆOBは、レンズユニットＧfの焦点距離、
ｆTLは、レンズユニットＧrの焦点距離、
である。
【００７９】
本実施形態の光学系は、条件式（５）を満足する光学系、すなわち、投影倍率が等倍あるいは等倍に近い光学系である。投影倍率が等倍、あるいは等倍に近い光学系において条件式（６）を満足することにより、レンズユニットＧfの構成とレンズユニットＧrの構成について、絞りに対する対称性を持たせることことが可能となる。光学系の像側の開口数を大きくしたときに、倍率色収差やコマ収差などの軸外収差の発生が顕著になるが、レンズユニットＧfの構成とレンズユニットＧrの構成が絞りに対して対称性を持つので、これらの収差を良好に補正することが可能となる。
【００８０】
なお、条件式（６）に代えて、上述の条件式（６’）を満足することが好ましい。また、条件式（６）に代えて、上述の条件式（６’’）を満足することがより好ましい。
【００８１】
また、本実施形態の光学系は、以下の条件式（１４）を満足することが好ましい。
０．７＜ｄSHOB／ｄSHTL＜１．３      （１４）
但し、
ｄSHOBは、レンズユニットＧfの前側主点から絞りまでの光軸上の距離、
ｄSHTLは、絞りからレンズユニットＧrの後側主点までの光軸上の距離、
である。
【００８２】
条件式（１４）の技術的意義は、条件式（６）の技術的意義と同じである。
【００８３】
ここで、条件式（１４）に代えて、以下の条件式（１４’）を満足することが好ましい。
０．８＜ｄSHOB／ｄSHTL＜１．２      （１４’）
また、条件式（１４）に代えて、以下の条件式（１４’’）を満足することが好ましい。
０．９＜ｄSHOB／ｄSHTL＜１．１      （１４’’）
【００８４】
また、本実施形態の光学系では、レンズユニットＧfの最も像側に、正レンズＬf1が配置されていることが好ましい。
【００８５】
このようにすることで、レンズユニットＧｆの主点を絞り側（絞りの近く）に位置させることが可能となるので、共役長（物体から像までの距離）の短縮に有利になる。また、光学系の像側の開口数を大きくしたときに、軸外収差、特にコマ収差の発生が顕著になるが、レンズユニットＧfの主点を絞り（瞳）の近くに位置させていることで、この収差の発生をより抑え易くなる。
【００８６】
また、本実施形態の光学系では、レンズユニットＧrの最も物体側に、正レンズＬr1が配置されていることが好ましい。
【００８７】
このようにすることで、レンズユニットＧrの主点を絞り側（絞りの近く）に位置させることが可能となるので、共役長の短縮に有利になる。また、光学系の像側の開口数を大きくしたときに、軸外収差、特にコマ収差の発生が顕著になるが、レンズユニットＧrの主点を絞り（瞳）の近くに位置させていることで、この収差の発生をより抑え易くなる。
【００８８】
また、本実施形態の光学系では、正レンズＬf1よりも物体側に、負レンズＬf2が正レンズＬf1と隣り合うように配置されていることが好ましい。
【００８９】
負レンズＬf2によって、正レンズＬf1で発生する色収差を良好に補正できる。しかも、負レンズＬf2を正レンズＬf1と隣り合うように配置しているので、レンズユニットＧfでの倍率色収差の発生を抑制できる。その結果、光学系全体の倍率色収差を良好に補正することができる。
【００９０】
また、本実施形態の光学系では、正レンズＬr1よりも像側に、負レンズＬr2が正レンズＬr1と隣り合うように配置されていることが好ましい。
【００９１】
負レンズＬr2によって、正レンズＬr1で発生する色収差を良好に補正できる。しかも、負レンズＬr2を正レンズＬr1と隣り合うように配置しているので、レンズユニットＧrでの倍率色収差の発生を抑制できる。その結果、光学系全体の倍率色収差を良好に補正することができる。
【００９２】
また、本実施形態の光学系では、負レンズＬf2の物体側面が物体側に凹面であることが好ましい。
【００９３】
このようにすると、負レンズＬf2への軸外光束の入射角を大きくすることができるため、広い観察範囲（実視野）を保ちながら光学系の共役長を短縮することができる。
【００９４】
また、本実施形態の光学系では、負レンズＬr2の像側面が像側に凹面であることが好ましい。
【００９５】
このようにすると、負レンズＬr2からの軸外光束の射出角を大きくすることができるため、広い観察範囲を保ちながら光学系の共役長を短縮することができる。
【００９６】
また、本実施形態の光学系では、レンズユニットＧfは、最も物体側に配置されたレンズＬfeを有し、レンズＬfeの少なくとも一方のレンズ面の形状は、変曲点を有する形状であることが好ましい。
【００９７】
物体に近いレンズ面の面形状を、変曲点を有する面形状にして、周辺での屈折力を中心の屈折力と異ならせることにより、レンズユニットＧfの主面を最適な位置に保ちながら、物体面に対する軸外光束の射出角を緩和することが可能となる。また、物体に近いレンズ面は軸外光束の通過位置が高くなるため、その面に変曲点を設けて、周辺での屈折力を中心の屈折力と異ならせることにより、像面湾曲や非点収差などの軸外収差が良好に補正できる。
【００９８】
また、本実施形態の光学系では、レンズユニットＧrは、最も像側に配置されたレンズＬreを有し、レンズＬreの少なくとも一方のレンズ面の形状は、変曲点を有する形状であることが好ましい。
【００９９】
像に近いレンズ面の面形状を、変曲点を有する面形状にして、周辺での屈折力を中心の屈折力と異ならせることにより、レンズユニットＧｒの主面を最適な位置に保ちながら、像面に対する軸外光束の入射角を緩和することが可能となる。像に近いレンズ面は軸外光束の通過位置が高くなるため、その面に変曲点を設けて、周辺での屈折力を中心の屈折力と異ならせることにより、像面湾曲や非点収差などの軸外収差が良好に補正できる。
【０１００】
また、本実施形態の光学系では、レンズＬfeは負の屈折力を有することが好ましい。
【０１０１】
このようにすることで、レンズユニットＧfの主面を絞り側に位置させることが可能となるので、共役長の短縮に有利になる。また、レンズユニットＧfの主面が絞り（瞳）の近くに位置することで、光学系の像側の開口数を大きくしても、軸外収差、特にコマ収差の発生を抑えることができる。
【０１０２】
また、本実施形態の光学系では、レンズＬreは負の屈折力を有することが好ましい。
【０１０３】
このようにすることで、レンズユニットＧrの主面を絞り側に位置させることが可能となるので、共役長の短縮に有利になる。また、レンズユニットＧrの主面が絞り（瞳）の近くに位置することで、光学系の像側の開口数を大きくしても、軸外収差、特にコマ収差の発生を抑えることができる。
【０１０４】
また、本実施形態の光学系では、以下の条件式（１）、（２）、（３）を満足する一対のレンズを、少なくとも１つ有し、一対のレンズの一方のレンズは、レンズユニットＧfに含まれ、一対のレンズの他方のレンズは、レンズユニットＧrに含まれることことが好ましい。
−１．１＜ｒOBf／ｒTLr＜−０．９      （１）
−１．１＜ｒOBr／ｒTLf＜−０．９      （２）
−０．１＜（ｄOB−ｄTL）／（ｄOB＋ｄTL）＜０．１      （３）
但し、
ｒOBfは、一方のレンズの物体側面の近軸曲率半径、
ｒOBrは、一方のレンズの像側面の近軸曲率半径、
ｒTLfは、他方のレンズの物体側面の近軸曲率半径、
ｒTLrは、他方のレンズの像側面の近軸曲率半径、
ｄOBは、一方のレンズの光軸上の厚さ、
ｄTLは、他方のレンズの光軸上の厚さ、
である。
【０１０５】
条件式（１）、（２）、（３）の技術的意義は、上述のとおりである。
【０１０６】
また、本実施形態の光学系は、一対のレンズを少なくとも２つ有することが好ましい。
【０１０７】
レンズ形状に関して、光学系の対称性がより高まる。そのため、倍率色収差、歪曲収差及びコマ収差を、更に良好に補正できる。
【０１０８】
また、本実施形態の光学系は、一対のレンズを少なくとも３つ有することが好ましい。
【０１０９】
レンズ形状に関して、光学系の対称性が更に高まる。そのため、倍率色収差、歪曲収差及びコマ収差を良好に補正できる。
【０１１０】
また、本実施形態の光学系は、以下の条件式（１２−１）を満足することが好ましい。
−１０°＜θo＜３０°      （１２−１）
但し、
θoは、光軸に垂直な面の法線と物体側における主光線とのなす角度、
である。
【０１１１】
条件式（１２−１）の下限値を上回るか、上限値を下回ることで、光学系において、物体側でテレセントリック性を持たせることができる。これにより、物体（被写体）距離の変動に対する倍率の変動を抑えることができる。例えば、本実施形態の光学系を使って寸法計測を行う場合、物体（被検物）が光軸方向に凹凸を持つ場合でも、凹部における倍率と凸部における倍率の差を小さくすることができるため、正確な計測ができる。
【０１１２】
また、より高いテレセントリック性が光学系に求められる場合、本実施形態の光学系は、以下の条件式（１２−１’）を満足することが好ましい。
−５°＜θo＜５°      （１２−１’）
【０１１３】
また、より小型化（光学系の全長短縮、細径化）が光学系に求められる場合、本実施形態の光学系は、以下の条件式（１２−１’’）を満足することが好ましい。
１５°＜θo＜３０°      （１２−１’’）
【０１１４】
従来の顕微鏡で用いられる結像レンズの焦点距離は、顕微鏡対物レンズの焦点距離の約１０倍の長さである。そのため、像側の開口数（ＮＡ’）は、０．０８程度というように小さくなってしまう。しかしながら、上述の第１実施形態の光学系から第７実施形態の光学系では、像側の開口数が大きく、諸収差が良好に補正された光学系が実現できる。
【０１１５】
また、本実施形態の光学機器（例えば、顕微鏡）は、上述の光学系と、撮像素子と、を備えることを特徴とする。
【０１１６】
本実施形態の光学機器によれば、像側の開口数が大きく、諸収差が良好に補正された光学機器を実現できる。また、諸収差が良好に補正され、明るく鮮明な標本像が得られる。
【０１１７】
第８実施形態の光学系〜第１０実施形態の光学系（以下、適宜、本実施形態の光学系とする）について説明する。なお、以下の説明において、周辺光線は、光軸上の物点から出て光学系の入射瞳の周辺部を通る光線であるが、光軸上の物点から出た場合を軸上周辺光線とし、光軸外の物点から出た場合を軸外周辺光線とする。また、本実施形態の光学系は、物体が光学系から有限の距離にあることを前提とする光学系（有限遠補正光学系）である。
【０１１８】
また、本実施形態の光学系を用いた撮像装置では、撮影で得た画像をデジタルズームして拡大表示することができる。そのため、これらの実施形態の光学系は、諸収差が良好に補正されているので高い分解能を有すると共に、広い観察範囲の像を形成することができる。これらの実施形態の光学系では、特に、軸上と軸外の色収差が良好に補正されているので、画素ピッチの小さい撮像素子と組み合わせることで、撮影した画像をデジタルズームして拡大した場合であっても、高い解像度の拡大画像が得られる。
【０１１９】
第８実施形態の光学系は、
光強度を電気信号に変換する２次元的に配列された複数の画素と、複数の画素の各々に配置される複数の色フィルタと、を備えた撮像素子上に光学像を形成する光学系であって、
光学系は、物体側より順に、
複数のレンズからなり正の屈折力を有する第１レンズ群と、
絞りと、
複数のレンズからなる第２レンズ群と、を有し、
光学系を構成するレンズ群は、第１レンズ群と第２レンズ群とからなり、
第１レンズ群は、最も物体側に配置された第１物体側レンズを有し、
第２レンズ群は、最も像側に配置された第２像側レンズを有し、
第１レンズ群は、負レンズと、負レンズよりも物体側に配置された正レンズと、を有し、
以下の条件式（１５）、（１６）、（１９）、（２０）を満足することを特徴とする。
β≦−１．１      （１５）
０．０８＜ＮＡ      （１６）
１．０＜ＷＤ／ＢＦ      （１９）
０．５＜２×（ＷＤ×ｔａｎ（ｓｉｎ−１ＮＡ）＋Ｙobj）／φs＜４．０      （２０）
ここで、
βは、光学系の結像倍率、
ＮＡは、光学系の物体側の開口数、
ＷＤは、物体から第１物体側レンズの物体側面までの光軸上の距離、
ＢＦは、第２像側レンズの像側面から像までの光軸上の距離、
Ｙobjは、最大物体高、
φsは、絞りの直径、
である。
【０１２０】
第９実施形態の光学系は、
光強度を電気信号に変換する２次元的に配列された複数の画素と、複数の画素の各々に配置される複数の色フィルタと、を備えた撮像素子上に光学像を形成する光学系であって、
光学系は、物体側より順に、
複数のレンズからなる第１レンズ群と、
絞りと、
複数のレンズからなる第２レンズ群と、を有し、
光学系を構成するレンズ群は、第１レンズ群と第２レンズ群とからなり、
第１レンズ群は、最も物体側に配置された第１物体側レンズを有し、
第２レンズ群は、最も像側に配置された第２像側レンズを有し、
以下の条件式（１６）、（２１）、（２３−１）、（２４−１）を満足することを特徴とする。
０．０８＜ＮＡ      （１６）
０．０１＜Ｄmax／φs＜３．０      （２１）
０．６≦ＬL／Ｄoi      （２３−１）
０．０１５＜１／νｄmin−１／νｄmax      （２４−１）
ここで、
ＮＡは、光学系の物体側の開口数、
Ｄmaxは、光学系における隣り合うレンズの光軸上の間隔のうち、最大となる間隔、
φsは、絞りの直径、
ＬLは、第１物体側レンズの物体側面から第２像側レンズの像側面までの光軸上の距離、
Ｄoiは、物体から像までの光軸上の距離、
νｄminは、光学系を構成するレンズのアッベ数のうち、最小となるアッベ数、
νｄmaxは、光学系を構成するレンズのアッベ数のうち、最大となるアッベ数、
である。
【０１２１】
第１０実施形態の光学系は、
光強度を電気信号に変換する２次元的に配列された複数の画素と、複数の画素の各々に配置される複数の色フィルタと、を備え、画素のピッチが５．０μｍ以下である撮像素子上に光学像を形成する光学系であって、
光学系は、物体側より順に、
複数のレンズからなる第１レンズ群と、
絞りと、
複数のレンズからなる第２レンズ群と、を有し、
光学系を構成するレンズ群は、第１レンズ群と第２レンズ群とからなり、
第１レンズ群は、最も物体側に配置された第１物体側レンズを有し、
第２レンズ群は、最も像側に配置された第２像側レンズを有し、
以下の条件式（１６）、（１８）、（２５）を満足することを特徴とする。
０．０８＜ＮＡ      （１６）
−３０＜（ΔＤG2dC＋（ΔＤG1dC×βG2C２／（１＋βG2C×ΔＤG1dC／ｆG2C）））／εd＜３０      （１８）
０．１５＜Ｄos／Ｄoi＜０．８      （２５）
ここで、
ＮＡは、光学系の物体側の開口数、
ΔＤG1dCは、光軸上の物点に対する第１レンズ群の像点において、ｄ線における像点ＰG1の位置からＣ線における像点の位置までの距離、
ΔＤG2dCは、像点ＰG1を物点としたときの第２レンズ群の像点において、ｄ線における像点の位置からＣ線における像点の位置までの距離、であって、
ΔＤG1dCとΔＤG2dCの正負は、Ｃ線における像点の位置がｄ線における像点の位置よりも像側にある場合を正、Ｃ線における像点の位置がｄ線における像点の位置よりも物体側にある場合を負とし、
βG2Cは、像点ＰG1を物点としたときの第２レンズ群のＣ線における結像倍率、
ｆG2Cは、第２レンズ群のＣ線における焦点距離、
εdは、光学系の像側の開口数で決まるｄ線でのエアリーディスク半径、
Ｄosは、物体から絞りまでの光軸上の距離、
Ｄoiは、物体から像までの光軸上の距離、
であり、
物点、像点はそれぞれ光軸上の点であり、虚物点、虚像点である場合も含む。
【０１２２】
第８実施形態の光学系、第９実施形態の光学系及び第１０実施形態の光学系は、いずれも、撮像素子上に光学像を形成する光学系である。ここで、撮像素子は、光強度を電気信号に変換する２次元的に配列された複数の画素と、複数の画素の各々に配置される複数の色フィルタと、を備えている。
【０１２３】
第８実施形態の光学系は、以下の条件式（１５）を満足することが好ましい。
β≦−１．１      （１５）
ここで、
βは、光学系の結像倍率、
である。
【０１２４】
光学系の物体側の開口数を拡大し（開口数を大きくし）、ワーキングディスタンスをある程度長くすると、光学系（最も物体側に位置するレンズ）に入射する軸上周辺光線の高さが高くなるため、軸上収差が発生しやすくなる。更に倍率が小さいと、軸外光線の高さも高くなるため、軸外収差も発生しやすくなる。そこで、条件式（１５）を満足することで、光学系に入射する軸上周辺光線や軸外光線について、これらの光線の高さを抑制できるので、軸上収差の発生や軸外収差の発生をより抑制できる。
【０１２５】
また、第９実施形態の光学系は、以下の条件式（１５−１）を満足することが好ましい。
β≦−１．０      （１５−１）
ここで、
βは、光学系の結像倍率、
である。
【０１２６】
条件式（１５−１）を満足することで、光学系が拡大光学系になる。これにより、より詳細な観察を実現することができる。
【０１２７】
また、第１０実施形態の光学系は、以下の条件式（１５−２）を満足することが好ましい。
−１．１≦β≦―０．９      （１５−２）
ここで、
βは、光学系の結像倍率、
である。
【０１２８】
また、本実施形態の光学系は、以下の条件式（１６）を満足することが好ましい。
０．０８＜ＮＡ      （１６）
ここで、
ＮＡは、光学系の物体側の開口数、
である。
【０１２９】
条件式（１６）を満足することで、高い分解能を有する光学系や撮像装置を実現できる。
【０１３０】
また、本実施形態の光学系は、顕微鏡に用いられる光学系であることが好ましい。
【０１３１】
また、本実施形態の光学系は、物体側より順に、複数のレンズからなる第１レンズ群と、絞りと、複数のレンズからなる第２レンズ群と、を有し、光学系を構成するレンズ群は、第１レンズ群と第２レンズ群とからなることが好ましい。なお、絞りは、開口絞りであることが好ましい。
【０１３２】
また、本実施形態の光学系では、第１レンズ群は、最も物体側に配置された第１物体側レンズを有することが好ましい。また、第１レンズ群は、最も像側に配置された第１像側レンズを有することが好ましい。また、第２レンズ群は、最も物体側に配置された第２物体側レンズを有ことが好ましい。また、第２レンズ群は、最も像側に配置された第２像側レンズを有することが好ましい。
【０１３３】
また、本実施形態の光学系は、以下の条件式（１７）を満足することが好ましい。
ＬTL／２Ｙ＜１５      （１７）
ここで、
ＬTLは、第１物体側レンズの物体側面から像までの光軸上の距離、
Ｙは、光学系全系における最大像高、
である。
【０１３４】
条件（１７）を満足することで、光学系や撮像装置全体の小型化ができる。
【０１３５】
また、本実施形態の光学系では、光学系を構成するレンズ群は、第１レンズ群と第２レンズ群とからなり、画素のピッチは５．０μｍ以下であり、以下の条件式（１８）を満足することが好ましい。
−３０＜（ΔＤG2dC＋（ΔＤG1dC×βG2C２／（１＋βG2C×ΔＤG1dC／ｆG2C）））／εd＜３０      （１８）
ここで、
ΔＤG1dCは、光軸上の物点に対する第１レンズ群の像点において、ｄ線における像点ＰG1の位置からＣ線における像点の位置までの距離、
ΔＤG2dCは、像点ＰG1を物点としたときの第２レンズ群の像点において、ｄ線における像点の位置からＣ線における像点の位置とのまでの距離、であって、
ΔＤG1dCとΔＤG2dCの正負は、Ｃ線における像点の位置がｄ線における像点の位置よりも像側にある場合を正、Ｃ線における像点の位置がｄ線における像点の位置よりも物体側にある場合を負とし、
βG2Cは、像点ＰG1を物点としたときの第２レンズ群のＣ線における結像倍率、
ｆG2Cは、第２レンズ群のＣ線における焦点距離、
εdは、光学系の像側の開口数で決まるｄ線でのエアリーディスク半径、
であり、
物点、像点はそれぞれ光軸上の点であり、虚物点、虚像点である場合も含む。
【０１３６】
条件式（１８）は、第１レンズ群と第２レンズ群との軸上色収差補正機能のバランスに関する条件式であって、ｄ線における像位置とＣ線における像位置との差に関する条件式である。第１レンズ群と第２レンズ群とが条件式（１８）を満足することで、光学系全体での軸上色収差を良好に補正することができる。また、軸上色収差が良好に補正されることで、光学系の分解能を高くすることができる。その結果、標本の微細な構造をカラーでも高い解像力で観察することができる。
【０１３７】
特に、条件式（１５―２）、(１６)を満足する光学系、すなわち、像側の開口数が大きい光学系においては、高い解像力を得るためには軸上色収差がより良好に補正されている必要があるが、条件式（１８）を満足することで、上述の効果が得られる。
【０１３８】
なお、εdを求める際には、光学系を理想光学系とみなす。光学系を理想光学系とみなせば、エアリーディスクの形状は円になる。エアリーディスク半径の大きさは像側の開口数で決まるので、エアリーディスク半径を一義的に求めることができる。
【０１３９】
また、画素のピッチは０．５μｍ以上とすることが好ましい。
【０１４０】
ここで、条件式（１８）に代えて、以下の条件式（１８’）を満足することが好ましい。
−２１＜（ΔＤG2dC＋（ΔＤG1dC×βG2C２／（１＋βG2C×ΔＤG1dC／ｆG2C）））／εd＜２１      （１８’）
また、条件式（１８）に代えて、以下の条件式（１８’’）を満足することがより好ましい。
−１５＜（ΔＤG2dC＋（ΔＤG1dC×βG2C２／（１＋βG2C×ΔＤG1dC／ｆG2C）））／εd＜１５      （１８’’）
また、条件式（１８）に代えて、以下の条件式（１８’’’）を満足することがより好ましい。
−９＜（ΔＤG2dC＋（ΔＤG1dC×βG2C２／（１＋βG2C×ΔＤG1dC／ｆG2C）））／εd＜９      （１８’’’）
【０１４１】
また、第８実施形態の光学系と第１０実施形態の光学系では、第１レンズ群は正の屈折力を有し、以下の条件式（１９）を満足することが好ましい。
１．０＜ＷＤ／ＢＦ      （１９）
ここで、
ＷＤは、物体から第１物体側レンズの物体側面までの光軸上の距離、
ＢＦは、第２像側レンズの像側面から像までの光軸上の距離、
である。
【０１４２】
絞りより物体側に、正の屈折力を有するレンズ群を配置することが好ましい。これにより、主点を物体側に位置させることができる。そのため、軸上色収差を良好に補正した状態を保ちながら、光学系の全長を短縮することができる。
【０１４３】
条件式（１９）において、ＷＤは物体から第１物体側レンズの物体側面までの光軸上の距離であるが、本明細書中では、ワーキングディスタンスと呼ぶこととする。また、ＢＦは第２像側レンズの像側面から像までの光軸上の距離であるが、本明細書中では、バックフォーカスと呼ぶこととする。よって、条件式（１９）は、ワーキングディスタンスとバックフォーカスの適切な比を規定する条件式ということができる。
【０１４４】
条件式（１９）の下限値を下回らないようにすることで、バックフォーカスが長くなり過ぎることを防止できる。このようにすると、絞りから像までの距離を短くできるので、絞りよりも像側において主光線の高さを高くすることができる。その結果、第２レンズ群では主光線の高さが高くなった状態で収差補正が行えるので、特に倍率色収差を良好に補正することができる。
【０１４５】
ここで、条件式（１９）に代えて、以下の条件式（１９’）を満足することが好ましい。
１．２＜ＷＤ／ＢＦ＜５０．０      （１９’）
また、条件式（１９）に代えて、以下の条件式（１９’’）を満足することがより好ましい。
１．４＜ＷＤ／ＢＦ＜３５．０      （１９’’）
また、条件式（１９）に代えて、以下の条件式（１９’’’）を満足することがより好ましい。
２．０＜ＷＤ／ＢＦ＜１７．５      （１９’’’）
【０１４６】
また、第８実施形態の光学系では、第１レンズ群は、負レンズと、負レンズよりも物体側に配置された正レンズと、を有し、以下の条件式（２０）を満足することが好ましい。
０．５＜２×（ＷＤ×ｔａｎ（ｓｉｎ−１ＮＡ）＋Ｙobj）／φs＜４．０      （２０）
ここで、
ＷＤは、物体から第１物体側レンズの物体側面までの光軸上の距離、
ＮＡは、光学系の物体側の開口数、
Ｙobjは、最大物体高、
φsは、絞りの直径、
である。
【０１４７】
第１レンズ群に正レンズと負レンズとを配置することで、軸上色収差を良好に補正することができる。このとき、正レンズを負レンズよりも物体側に配置することで、軸上色収差をより良好に補正することができる。
【０１４８】
条件式（２０）を満足することで、色収差をより良好に補正することができる。なお、絞りは開口絞りであるので、ＮＡを決める絞りということもできる。
【０１４９】
条件式（２０）の下限値を下回らないようにすることで、第１レンズ群での所定の屈折作用が小さくなり過ぎることを抑制できる。そのため、主点を十分に物体側に位置させることができるので、光学系の全長を短縮することができる。なお、所定の屈折作用とは、光軸に対して近づくように光線を屈折させる作用である。所定の屈折作用が大きいほど、光線は光軸に対してより近づく方向に屈折される。例えば、所定の屈折作用が大きいほど、収斂作用では収斂が強まり、発散作用では発散が弱まる。
【０１５０】
条件式（２０）の上限値を上回らないようにすることで、第１レンズ群における所定の屈折作用が大きくなり過ぎることを抑制できる。これにより、軸上周辺光線による軸上色収差と最大像高での軸外色収差とを良好且つバランスよく補正することができる。なお、条件式（１６）を満足する範囲においても、軸上色収差と軸外色収差とを良好且つバランスよく補正することができる。
【０１５１】
なお、条件式（１６）、（１９）、（２０）を満足することで、光学系を構成する光学部品の厚さを適切に確保しつつ、物体側の開口数の拡大や、光学系の全長の短縮や、色収差の良好な補正を同時に実現できる。
【０１５２】
ここで、条件式（２０）に代えて、以下の条件式（２０’）を満足することが好ましい。
０．６３＜２×（ＷＤ×ｔａｎ（ｓｉｎ−１ＮＡ）＋Ｙobj）／φs＜３．７０      （２０’）
また、条件式（２０）に代えて、以下の条件式（２０’’）を満足することがより好ましい。
０．７８＜２×（ＷＤ×ｔａｎ（ｓｉｎ−１ＮＡ）＋Ｙobj）／φs＜３．５０      （２０’’） 
また、条件式（２０）に代えて、以下の条件式（２０’’’）を満足することがより好ましい。
０．９８＜２×（ＷＤ×ｔａｎ（ｓｉｎ−１ＮＡ）＋Ｙobj）／φs＜３．１５      （２０’’’）
【０１５３】
また、第１０実施形態の光学系では、第１レンズ群は、負レンズと、負レンズよりも物体側に配置された正レンズと、を有し、以下の条件式（２０−１）を満足することが好ましい。
１．０＜２×（ＷＤ×ｔａｎ（ｓｉｎ−１ＮＡ）＋Ｙobj）／φs＜５．０      （２０−１）
ここで、
ＷＤは、物体から第１物体側レンズの物体側面までの光軸上の距離、
ＮＡは、光学系の物体側の開口数、
Ｙobjは、最大物体高、
φsは、絞りの直径、
である。
【０１５４】
条件式（２０−１）を満足することで、光学系を構成する光学部品の厚さを適切に確保しつつ、物体側の開口数の拡大や、光学系の全長の短縮や、色収差の良好な補正を同時に実現できる。
【０１５５】
条件式（２０−１）の技術的意義は、条件式（２０）の技術的意義と同じである。
【０１５６】
なお、条件式（１６）、（２０−１）、後述の条件式（２５）を満足することで、物体側の開口数の拡大と光学系の全長の短縮を行いながら、必要なレンズ厚を確保しつつ色収差をより良好に補正することができる。
【０１５７】
ここで、条件式（２０−１）に代えて、以下の条件式（２０−１’）を満足することが好ましい。
１．３３＜２×（ＷＤ×ｔａｎ（ｓｉｎ−１ＮＡ）＋Ｙobj）／φs＜４．７５      （２０−１’）
また、条件式（２０−１）に代えて、以下の条件式（２０−１’’）を満足することがより好ましい。
１．７８＜２×（ＷＤ×ｔａｎ（ｓｉｎ−１ＮＡ）＋Ｙobj）／φs＜４．５１      （２０−１’’）    
また、条件式（２０−１）に代えて、以下の条件式（２０−１’’’）を満足することがより好ましい。
２．３７＜２×（ＷＤ×ｔａｎ（ｓｉｎ−１ＮＡ）＋Ｙobj）／φs＜４．２９      （２０−１’’’）
【０１５８】
また、本実施形態の光学系は、以下の条件式（２１）を満足することが好ましい。
０．０１＜Ｄmax／φs＜３．０      （２１）
ここで、
Ｄmaxは、光学系における隣り合うレンズの光軸上の間隔のうち、最大となる間隔、
φsは、絞りの直径、
である。
【０１５９】
条件式（２１）を満足することで、色コマ収差をより良好に補正することができる。
【０１６０】
上限式（２１）の下限値を下回らないようにすることで、製造誤差による収差の悪化を低減することができる。製造誤差としては、例えば、レンズ組立て時におけるレンズの偏心がある。
【０１６１】
条件式（２１）の上限値を上回らないようにすることで、物体側の開口数が大きい場合であっても、軸上周辺光線の高さに対する軸外周辺光線の高さがレンズ間で大きく変化することを抑制できる。例えば、隣り合うレンズを、それぞれ、レンズＬAとレンズＬBとする。軸外周辺光線の高さは、レンズＬAにおける高さとレンズＬBにおける高さとで異なるが、レンズＬAとレンズＬBとの間隔を適切にすることで、その差を少なくできる。その結果、レンズＬAに入射する軸外光束における色収差と、レンズＬBから出射する軸外光束における色収差の差を小さくできるので、色コマ収差の発生を抑制できる。
【０１６２】
また、条件式（２０）、（２１）を満足することで、光学系を構成する光学部品の厚さを適切に確保しつつ、物体側の開口数の拡大と光学系の全長の短縮を行いながら、色コマ収差をより良好に補正することができる。
【０１６３】
また、条件式（２１）、後述の条件式（２３−１）と（２４−１）を満足することで、光学系を構成する光学部品の厚さを適切に確保しつつ、色コマ収差を良好に補正でき、しかも、物体側の開口数の拡大と光学系の全長の短縮とを両立させることができる。
【０１６４】
なお、条件式（１８）、（２１）を満足することで、光学系を構成する光学部品の厚さを適切に確保しつつ、物体側の開口数の拡大と光学系の全長の短縮を行いながら、色コマ収差をより良好に補正することができる。
【０１６５】
ここで、条件式（２１）に代えて、以下の条件式（２１’）を満足することが好ましい。
０．０１＜Ｄmax／φs＜２．８５      （２１’）
また、条件式（２１）に代えて、以下の条件式（２１’’）を満足することがより好ましい。
０．０２＜Ｄmax／φs＜２．５０      （２１’’）
また、条件式（２１）に代えて、以下の条件式（２１’’’）を満足することがより好ましい。
０．０３＜Ｄmax／φs＜２．００      （２１’’’）
【０１６６】
また、本実施形態の光学系は、以下の条件式（２２）を満足することが好ましい。
０．０１≦ＤG1max／φs＜２．０      （２２）
ここで、
ＤG1maxは、第１レンズ群における隣り合うレンズの光軸上の間隔のうち、最大となる間隔、
φsは、絞りの直径、
である。
【０１６７】
条件式（２２）を満足することで、色コマ収差をより良好に補正することができる。
【０１６８】
上限式（２２）の下限値を下回らないようにすることで、製造誤差による収差の悪化を低減することができる。製造誤差としては、例えば、レンズ組立て時におけるレンズの偏心がある。
【０１６９】
条件式（２２）の上限値を上回らないようにすることで、物体側の開口数が大きい場合であっても、軸上周辺光線の高さに対する軸外周辺光線の高さがレンズ間で大きく変化することを抑制できる。例えば、隣り合うレンズを、それぞれ、レンズＬAとレンズＬBとする。軸外周辺光線の高さは、レンズＬAにおける高さとレンズＬBにおける高さとで異なるが、レンズＬAとレンズＬBとの間隔を適切にすることで、その差を少なくできる。その結果、レンズＬAに入射する軸外光束における色収差と、レンズＬBから出射する軸外光束における色収差の差を小さくできるので、色コマ収差の発生を抑制できる。
【０１７０】
また、条件式（２０）、（２２）を満足することで、光学系を構成する光学部品の厚さを適切に確保しつつ、物体側の開口数の拡大と光学系の全長の短縮を行いながら、色コマ収差をより良好に補正することができる。
【０１７１】
また、条件式（２２）、後述の条件式（２３−１）と（２４−１）を満足することで、光学系を構成する光学部品の厚さを適切に確保しつつ、色コマ収差を良好に補正でき、しかも、物体側の開口数の拡大と光学系の全長の短縮とを両立させることができる。
【０１７２】
なお、条件式（１８）、（２２）を満足することで、光学系を構成する光学部品の厚さを適切に確保しつつ、物体側の開口数の拡大と光学系の全長の短縮を行いながら、色コマ収差をより良好に補正することができる。
【０１７３】
ここで、条件式（２２）に代えて、以下の条件式（２２’）を満足することが好ましい。
０．０１≦ＤG1max／φs＜１．８０      （２２’）
また、条件式（２２）に代えて、以下の条件式（２２’’）を満足することがより好ましい。
０．０２＜ＤG1max／φs＜１．６２      （２２’’）
また、条件式（２２）に代えて、以下の条件式（２２’’’）を満足することがより好ましい。
０．０３＜ＤG1max／φs＜１．４６      （２２’’’）
【０１７４】
また、第８実施形態の光学系と第１０実施形態の光学系は、以下の条件式（２３）を満足することが好ましい。
０．４＜ＬL／Ｄoi      （２３）
ここで、
ＬLは、第１物体側レンズの物体側面から第２像側レンズの像側面までの光軸上の距離、
Ｄoiは、物体から像までの光軸上の距離、
である。
【０１７５】
条件式（２３）の下限値を下回らないようにすることで、全長を短縮した光学系においても、物体の周辺から像の周辺に至る主光線の高さを比較的緩やかに変化させることが可能になるので、光学系を構成するレンズの曲率半径（近軸曲率半径）が小さくなり過ぎることを防止できる。その結果、軸上色収差と倍率色収差の発生を抑制できる。
【０１７６】
また、条件式（２０）、（２３）を満足することで、全長を短縮すると共に物体側の開口数を拡大した光学系においても、軸上色収差と倍率色収差とをより良好に補正することができる。
【０１７７】
なお、条件式（２３）、後述の条件式（２５）を満足することで、全長を短縮すると共に物体側の開口数を拡大した光学系においても、軸上色収差と倍率色収差とをより良好に補正することができる。
【０１７８】
ここで、条件式（２３）に代えて、以下の条件式（２３’）を満足することが好ましい。
０．４２＜ＬL／Ｄoi＜０．９９      （２３’）
また、条件式（２３）に代えて、以下の条件式（２３’’）を満足することがより好ましい。
０．４４＜ＬL／Ｄoi＜０．９８      （２３’’）
また、条件式（２３）に代えて、以下の条件式（２３’’’）を満足することがより好ましい。
０．４７＜ＬL／Ｄoi＜０．９７      （２３’’’）
【０１７９】
また、第９実施形態の光学系は、以下の条件式（２３−１）を満足することが好ましい。
０．６≦ＬL／Ｄoi      （２３−１）
ここで、
ＬLは、第１物体側レンズの物体側面から第２像側レンズの像側面までの光軸上の距離、
Ｄoiは、物体から像までの光軸上の距離、
である。
【０１８０】
条件式（２３−１）の技術的意義は、条件式（２３）の技術的意義と同じである。
【０１８１】
なお、条件式（２３−１）、後述の条件式（２４−１）を満足することで、特に、色収差（軸上色収差と倍率色収差）の良好な補正と光学系の全長の短縮とを両立させることができる。
【０１８２】
ここで、条件式（２３−１）に代えて、以下の条件式（２３−１’）を満足することが好ましい。
０．６３＜ＬL／Ｄoi＜０．９９      （２３−１’）
また、条件式（２３−１）に代えて、以下の条件式（２３−１’’）を満足することがより好ましい。
０．６６＜ＬL／Ｄoi＜０．９８      （２３−１’’）
また、条件式（２３−１）に代えて、以下の条件式（２３−１’’’）を満足することがより好ましい。
０．７０＜ＬL／Ｄoi＜０．９７      （２３−１’’’）
【０１８３】
また、第８実施形態の光学系と第１０実施形態の光学系は、以下の条件式（２４）を満足することが好ましい。
０．０１＜１／νｄmin−１／νｄmax      （２４）
ここで、
νｄminは、光学系を構成するレンズのアッベ数のうち、最小となるアッベ数、
νｄmaxは、光学系を構成するレンズのアッベ数のうち、最大となるアッベ数、
である。
【０１８４】
条件式（２４）の下限値を下回らないようにすることで、軸上色収差と倍率色収差とを良好に補正することができる。なお、光学系が回折光学素子を含む場合、回折光学素子を構成するレンズは、条件式（２４）における「光学系を構成するレンズ」から除くものとする。
【０１８５】
条件式（２０）、（２４）を満足することで、全長を短縮すると共に物体側の開口数を拡大した光学系においても、軸上色収差と倍率色収差とをより良好に補正することができる。
【０１８６】
条件式（２４）、後述の条件式（２５）を満足することで、全長を短縮すると共に物体側の開口数を拡大した光学系においても、軸上色収差と倍率色収差とをより良好に補正することができる。
【０１８７】
ここで、条件式（２４）に代えて、以下の条件式（２４’）を満足することが好ましい。
０．０１２＜１／νｄmin−１／νｄmax＜０．０５０      （２４’）
また、条件式（２４）に代えて、以下の条件式（２４’’）を満足することがより好ましい。
０．０１４＜１／νｄmin−１／νｄmax＜０．０４０      （２４’’）
また、条件式（２４）に代えて、以下の条件式（２４’’’）を満足することがより好ましい。
０．０１６＜１／νｄmin−１／νｄmax＜０．０３５      （２４’’’）
【０１８８】
また、第９実施形態の光学系は、以下の条件式（２４−１）を満足することが好ましい。
０．０１５＜１／νｄmin−１／νｄmax      （２４−１）
ここで、
νｄminは、光学系を構成するレンズのアッベ数のうち、最小となるアッベ数、
νｄmaxは、光学系を構成するレンズのアッベ数のうち、最大となるアッベ数、
である。
【０１８９】
条件式（２４−１）の技術的意義は、条件式（２４）の技術的意義と同じである。
【０１９０】
なお、条件式（１５−１）、（１６）（２４−１）を満足することにより、軸上色収差と倍率色収差とを良好に補正することができる。その結果、微細な標本構造をカラーでも高い解像力で観察することができる。
【０１９１】
ここで、条件式（２４−１）に代えて、以下の条件式（２４−１’）を満足することが好ましい。
０．０１７＜１／νｄmin−１／νｄmax＜０．０５０      （２４−１’）
また、条件式（２４−１）に代えて、以下の条件式（２４−１’’）を満足することがより好ましい。
０．０１９＜１／νｄmin−１／νｄmax＜０．０４０      （２４−１’’）
また、条件式（２４−１）に代えて、以下の条件式（２４−１’’’）を満足することがより好ましい。
０．０２１＜１／νｄmin−１／νｄmax＜０．０３５      （２４−１’’’）
【０１９２】
また、第８実施形態の光学系と第１０実施形態の光学系は、以下の条件式（２５）を満足することが好ましい。
０．１５＜Ｄos／Ｄoi＜０．８      （２５）
ここで、
Ｄosは、物体から絞りまでの光軸上の距離、
Ｄoiは、物体から像までの光軸上の距離、
である。
【０１９３】
条件式（２５）の下限値を下回らないようにすることで、第１レンズ群を構成するレンズにおいて適切な厚みを確保しながら、第１レンズ群の正の屈折力を適切に保つことができる。その結果、第１レンズ群での像面湾曲などの単色収差を良好に補正しつつ、色収差も良好に補正することができる。また、第１レンズ群において軸上色収差を良好に補正できることから、第２レンズ群での軸上色収差の過剰な補正が不要となる。これにより、第２レンズ群での倍率色収差が良好に補正できるようになるため、光学系全系での倍率色収差を良好に補正することができる。
【０１９４】
条件式（２５）の上限値を超えないようにすることで、絞りから像の周辺に至る主光線の高さを比較的緩やかに変化させることが可能になるので、第２レンズ群を構成するレンズの曲率半径が小さくなり過ぎることを防止できる。そのため、第２レンズ群での像面湾曲などの単色収差を良好に補正しつつ、色収差も良好に補正することができる。
【０１９５】
条件式（１６）、（１９）、（２０）、（２５）を満足することで、物体側の開口数の拡大と光学系の全長の短縮を行いながら、像面湾曲などの単色収差の発生を抑えつつ、色収差をより良好に補正することができる。
【０１９６】
条件式（１８）、（２５）を満足することで、像面湾曲などの単色収差の発生を抑えつつ、物体側の開口数の拡大や、光学系の全長の短縮や、色収差の良好な補正を同時に実現できる。
【０１９７】
ここで、条件式（２５）に代えて、以下の条件式（２５’）を満足することが好ましい。
０．１９＜Ｄos／Ｄoi＜０．７６      （２５’）
また、条件式（２５）に代えて、以下の条件式（２５’’）を満足することがより好ましい。
０．２１＜Ｄos／Ｄoi＜０．７２      （２５’’）
また、条件式（２５）に代えて、以下の条件式（２５’’’）を満足することがより好ましい。
０．３５＜Ｄos／Ｄoi＜０．６９      （２５’’’）
【０１９８】
また、第９実施形態の光学系は、以下の条件式（２５−１）を満足することが好ましい。
０．１５＜Ｄos／Ｄoi＜０．６５      （２５−１）
ここで、
Ｄosは、物体から絞りまでの光軸上の距離、
Ｄoiは、物体から像までの光軸上の距離、
である。
【０１９９】
条件式（２５−１）の技術的意義は、条件式（２５）の技術的意義と同じである。
【０２００】
条件式（２３−１）、（２４−１）、（２５−１）を満足することで、物体側の開口数の拡大と光学系の全長の短縮を行いながら、軸上色収差と倍率色収差とをより良好に補正することができる。
【０２０１】
ここで、条件式（２５−１）に代えて、以下の条件式（２５−１’）を満足することが好ましい。
０．１７＜Ｄos／Ｄoi＜０．６２      （２５−１’）
また、条件式（２５−１）に代えて、以下の条件式（２５−１’’）を満足することがより好ましい。
０．２１＜Ｄos／Ｄoi＜０．５９      （２５−１’’）
また、条件式（２５−１）に代えて、以下の条件式（２５−１’’’）を満足することがより好ましい。
０．３５＜Ｄos／Ｄoi＜０．５６      （２５−１’’’）
【０２０２】
また、本実施形態の光学系は、以下の条件式（２６）を満足することが好ましい。
０．９５＜φG1o／（２×Ｙ／｜β｜）      （２６）
φG1oは、第１物体側レンズの物体側面の有効口径、
Ｙは、光学系全系における最大像高、
βは、光学系の結像倍率、
である。
【０２０３】
条件式（２６）の下限値を下回らないようにすることで、軸外周辺光線がレンズに入射するときの入射角の差、すなわち上側光線の入射角と下側光線の入射角の差を小さくすることができる。これにより、コマ収差と色コマ収差を良好に補正することができる。また、物体側の開口数を拡大した光学系においても、コマ収差及び色コマ収差を良好に補正することができる。
【０２０４】
ここで、条件式（２６）に代えて、以下の条件式（２６’）を満足することが好ましい。
１．００＜φG1o／（２×Ｙ／｜β｜）＜１０．００      （２６’）
また、条件式（２６）に代えて、以下の条件式（２６’’）を満足することがより好ましい。
１．０５＜φG1o／（２×Ｙ／｜β｜）＜７．００      （２６’’）
また、条件式（２６）に代えて、以下の条件式（２６’’’）を満足することがより好ましい。
１．１１＜φG1o／（２×Ｙ／｜β｜）＜５．００      （２６’’’）
【０２０５】
また、本実施形態の光学系は、以下の条件式（２７）を満足することが好ましい。
０＜ＢＦ／ＬL＜０．４      （２７）
ここで、
ＢＦは、第２像側レンズの像側面から像までの光軸上の距離、
ＬLは、第１物体側レンズの物体側面から第２像側レンズの像側面までの光軸上の距離、
である。
【０２０６】
条件式（２７）の下限値を下回らないようにすることで、第２像側レンズと撮像素子との間隔を大きくすることができる。これにより、第２像側レンズと撮像素子との間での多重反射によってゴーストが生じても、ゴーストが高密度で撮像素子面に入射することを防止できる。
【０２０７】
条件式（２７）が上限値を上回らないようにすることで、光学系の全長に対するバックフォーカスのスペースの占有率が大きくなり過ぎることを防止できる。これにより、レンズを配置する際の位置の自由度が増えるので、諸収差を良好に補正することができる。例えば、第１レンズ群や第２レンズ群に、色収差補正の働きを持つレンズを配置し、これらのレンズ同士の位置関係を調整することにより、軸上色収差の良好な補正と倍率色収差の良好な補正とを両立させることができる。
【０２０８】
条件式（１６）、（１９）、（２０）、（２７）を満足することで、物体側の開口数の拡大と光学系の全長の短縮を行いながら、軸上色収差と倍率色収差とをより良好に補正することができる。
【０２０９】
条件式（２３−１）、（２４−１）、（２７）を満足することで、物体側の開口数の拡大と光学系の全長の短縮を行いながら、軸上色収差と倍率色収差とをより良好に補正することができる。
【０２１０】
条件式（１８）、（２７）を満足することで、物体側の開口数の拡大と光学系の全長の短縮を行いながら、軸上色収差と倍率色収差とをより良好に補正することができる。
【０２１１】
ここで、条件式（２７）に代えて、以下の条件式（２７’）を満足することが好ましい。
０．０１＜ＢＦ／ＬL＜０．３６      （２７’）
また、条件式（２７）に代えて、以下の条件式（２７’’）を満足することがより好ましい。
０．０２＜ＢＦ／ＬL＜０．３２      （２７’’）
また、条件式（２７）に代えて、以下の条件式（２７’’’）を満足することがより好ましい。
０．０３＜ＢＦ／ＬL＜０．２８      （２７’’’）
【０２１２】
また、本実施形態の光学系は、以下の条件式（２８）を満足することが好ましい。
０＜ＢＦ／Ｙ＜７．０      （２８）
ここで、
ＢＦは、第２像側レンズの像側面から像までの光軸上の距離、
Ｙは、光学系全系における最大像高、
である。
【０２１３】
条件式（２８）を満足することにより、光学系の全長を短縮しながら、特に像の周辺部における収差をより良好に補正することができる。
【０２１４】
条件式（２８）の下限値を下回らないようにすることで、第２像側レンズと撮像素子との間隔を大きくすることができる。これにより、第２像側レンズと撮像素子との間での多重反射によってゴーストが生じても、ゴーストが高密度で撮像素子面に入射することを防止できる。
【０２１５】
条件式（２８）の上限値を上回らないようにすることで、光学系の全長に対するバックフォーカスのスペースの占有率が大きくなり過ぎることを防止できる。これにより、レンズを配置する際の位置の自由度が増えるので、諸収差を良好に補正することができる。例えば、第１レンズ群や第２レンズ群に、色収差補正の働きを持つレンズを配置し、これらのレンズ同士の位置関係を調整することにより、軸上色収差の良好な補正と倍率色収差の良好な補正とを両立させることができる。
【０２１６】
ここで、条件式（２８）に代えて、以下の条件式（２８’）を満足することが好ましい。
０．０５＜ＢＦ／Ｙ＜６．３０      （２８’）
また、条件式（２８）に代えて、以下の条件式（２８’’）を満足することがより好ましい。
０．１０＜ＢＦ／Ｙ＜５．６７      （２８’’）
また、条件式（２８）に代えて、以下の条件式（２８’’’）を満足することがより好ましい。
０．１５＜ＢＦ／Ｙ＜５．１０      （２８’’’）
【０２１７】
また、第８実施形態の光学系と第１０実施形態の光学系は、以下の条件式（２９）を満足することが好ましい。
−０．２＜φG1o／ＲG1o＜３．０      （２９）
ここで、
φG1oは、第１物体側レンズの物体側面の有効口径、
ＲG1oは、第１物体側レンズの物体側面の曲率半径、
である。
【０２１８】
物体側の開口数を拡大すると共にワーキングディスタンスを長くした光学系では、第１物体側レンズに入射する光束の径は十分に広がっている。条件式（２９）の下限値を下回らないようにすることで、このような光学系においても、入射した光束がさらに発散することを抑制できる。その結果、第１物体側レンズよりも像側に配置されたレンズにおいて、球面収差やコマ収差など諸収差の発生を抑制できる。
【０２１９】
条件式（２９）の上限値を上回らないようにすることで、軸外周辺光線がレンズに入射するときの入射角の差、すなわち上側光線の入射角と下側光線の入射角の差が大きくなり過ぎることを防止できるので、コマ収差の発生を抑制できる。
【０２２０】
特にワーキングディスタンスを十分に確保した場合、物体側の開口数が大きい光学系において、光学系の全長を短縮しつつ、コマ収差等の諸収差をより良好に補正することができる。
【０２２１】
ここで、条件式（２９）に代えて、以下の条件式（２９’）を満足することが好ましい。
−０．１５＜φG1o／ＲG1o＜２．１０      （２９’）
また、条件式（２９）に代えて、以下の条件式（２９’’）を満足することがより好ましい。
−０．１０＜φG1o／ＲG1o＜１．４７      （２９’’）
また、条件式（２９）に代えて、以下の条件式（２９’’’）を満足することがより好ましい。
−０．０５＜φG1o／ＲG1o＜１．０３      （２９’’’）
【０２２２】
また、本実施形態の光学系では、第２レンズ群は、４枚のレンズを有し、４枚のレンズのうち少なくとも１枚は負レンズで、少なくとも１枚は正レンズであり、正レンズのうち最も物体側に位置する正レンズの物体側面は、物体側に凸面であることが好ましい。
【０２２３】
このようにすることで、光学系の全長を短縮しつつ、諸収差、特に倍率色収差をより良好に補正することができる。すなわち、第２レンズ群の主点を物体側に位置させるように調整したり、光学特性の異なるレンズを複数配置させることができる。そのため、共役長（物体から像までの距離）を短縮しつつ、第２レンズ群での色収差やその他の諸収差を良好に補正することができる。その結果、光学系の全長を短縮しつつ、光学系全系での倍率色収差をはじめ諸収差をより良好に補正することができる。
【０２２４】
また、本実施形態の光学系では、前記第１レンズ群は、最も像側に配置された第１像側レンズを有し、絞りの両側に位置する２つのレンズの間隔が一定であり、以下の条件式（３０）を満足することが好ましい。
ＤG1G2／φs＜２．０      （３０）
ここで、
ＤG1G2は、第１像側レンズの像側面から第２物体側レンズの物体側面までの光軸上の距離、
φsは、絞りの直径、
である。
【０２２５】
条件式（３０）を満足することで、光学系の全長を短縮しつつ、第１レンズ群における所定の屈折作用と第２レンズ群における所定の屈折作用とのバランスを適切に保つことができる。その結果、倍率色収差や他の軸外収差をより良好に補正することができる。なお、所定の屈折作用とは、条件式（２０）で説明した所定の屈折作用と同じである。
【０２２６】
条件式（３０）の上限値を上回らないようにすることで、第２レンズ群へ入射する軸外光束の入射角が小さくなり過ぎることを防止しながら、光学系を細径化することができる。そのため、第１レンズ群における所定の屈折作用が大きくなり過ぎないように抑制し、また、必要な結像倍率を維持しながら第２レンズ群における所定の屈折作用が小さくなり過ぎないようにすることができる。このように、第１レンズ群における所定の屈折作用と第２レンズ群における所定の屈折作用とのバランスを適切に保つことができるので、倍率色収差や他の軸外収差をより良好に補正することができる。
【０２２７】
ここで、条件式（３０）に代えて、以下の条件式（３０’）を満足することが好ましい。
０．０１＜ＤG1G2／φs＜１．８０      （３０’）
また、条件式（３０）に代えて、以下の条件式（３０’’）を満足することがより好ましい。
０．０３＜ＤG1G2／φs＜１．５３      （３０’’）
また、条件式（３０）に代えて、以下の条件式（３０’’’）を満足することがより好ましい。
０．０５＜ＤG1G2／φs＜１．３０      （３０’’’）
【０２２８】
また、第８本実施形態の光学系と第９本実施形態の光学系は、以下の条件式（３１）を満足することが好ましい。
０．１＜ＬG1／ＬG2＜１．５      （３１）
ここで、
ＬG1は、第１物体側レンズの物体側面から第１像側レンズの像側面までの光軸上の距離、
ＬG2は、第２物体側レンズの物体側面から第２像側レンズの像側面までの光軸上の距離、
である。
【０２２９】
条件式（３１）の下限値を下回らないようにすることで、第１レンズ群を構成するレンズにおいて適切な厚みを確保しながら、第１レンズ群の正の屈折力を適切に保つことができる。そのため、軸上色収差を良好に補正しながら、主点を物体側に位置させて光学系の全長を短縮することができる。
【０２３０】
条件式（３１）の上限値を上回らないようにすることで、適切なワーキングディスタンスを確保する場合に、第２レンズ群において絞りから像の周辺に至る主光線の高さを比較的緩やかに変化させることが可能になるので、第２レンズ群を構成するレンズの曲率半径が小さくなり過ぎることを防止できる。そのため、倍率色収差をより良好に補正することができる。
【０２３１】
条件式（１６）、（１９）、（２０）、（３１）を満足することで、物体側の開口数の拡大と光学系の全長の短縮を行いながら、十分なワーキングディスタンスを確保しつつ、軸上色収差と倍率色収差とをより良好に補正することができる。
【０２３２】
条件式（２３−１）、（２４−１）、（３１）を満足することで、物体側の開口数の拡大と光学系の全長の短縮を行いながら、軸上色収差と倍率色収差とをより良好に補正することができる。
【０２３３】
ここで、条件式（３１）に代えて、以下の条件式（３１’）を満足することが好ましい。
０．１４＜ＬG1／ＬG2＜１．４３      （３１’）
また、条件式（３１）に代えて、以下の条件式（３１’’）を満足することがより好ましい。
０．２０＜ＬG1／ＬG2＜１．３５      （３１’’）
また、条件式（３１）に代えて、以下の条件式（３１’’’）を満足することがより好ましい。
０．２９＜ＬG1／ＬG2＜１．２９      （３１’’’）
【０２３４】
また、第１０実施形態の光学系は、以下の条件式（３１−１）を満足することが好ましい。
０．１＜ＬG1／ＬG2＜１．４      （３１−１）
ここで、
ＬG1は、第１物体側レンズの物体側面から第１像側レンズの像側面までの光軸上の距離、
ＬG2は、第２物体側レンズの物体側面から第２像側レンズの像側面までの光軸上の距離、
である。
【０２３５】
条件式（３１−１）の技術的意義は、条件式（３１）の技術的意義と同じである。
【０２３６】
条件式（１８）、（３１−１）を満足することで、物体側の開口数の拡大と光学系の全長の短縮を行いながら、適切なワーキングディスタンスを確保しつつ、軸上色収差と倍率色収差とをより良好に補正することができる。
【０２３７】
ここで、条件式（３１−１）に代えて、以下の条件式（３１−１’）を満足することが好ましい。
０．１４＜ＬG1／ＬG2＜１．３３      （３１−１’）
また、条件式（３１−１）に代えて、以下の条件式（３１−１’’）を満足することがより好ましい。
０．２０＜ＬG1／ＬG2＜１．２６      （３１−１’’）
また、条件式（３１−１）に代えて、以下の条件式（３１−１’’’）を満足することがより好ましい。
０．２９＜ＬG1／ＬG2＜１．２０      （３１−１’’’）
【０２３８】
また、本実施形態の光学系は、以下の条件式（３２）を満足することが好ましい。
０．１＜ＬG1s／ＬsG2＜１．５      （３２）
ここで、
ＬG1sは、第１物体側レンズの物体側面から絞りまでの光軸上の距離、
ＬsG2は、絞りから第２像側レンズの像側面までの光軸上の距離、
である。
【０２３９】
条件式（３２）を満足することで、光学系の全長を短縮しつつ、像の周辺部における収差、特に倍率色収差をより良好に補正することができる。
【０２４０】
条件式（３２）の下限値を下回らないようにすることで、第１レンズ群を配置するスペースを十分に確保することができる。これにより、第１レンズ群を構成するレンズにおいて適切な厚みを確保して、レンズ面の曲率について選択の自由度を増やすことや、光学特性の異なるレンズを多数配置することができる。そのため、第１レンズ群における単色収差を補正しつつ、色収差も良好に補正することができる。また、第１レンズ群において軸上色収差を良好に補正できることから、第２レンズ群での軸上色収差の過剰な補正が不要となる。これにより、第２レンズ群での倍率色収差が良好に行えるようになるため、光学系全系での倍率色収差が良好に補正できる。
【０２４１】
条件式（３２）の上限値を上回らないようにすることで、第２レンズ群を配置するスペースを十分に確保することができる。これにより、第２レンズ群を構成するレンズにおいて適切な厚みを確保して曲率の選択の自由度を増やすことや、特性の異なるレンズを多数配置することができる。そのため、第２レンズ群における単色収差を補正しつつ、色収差も良好に補正することができる。また、第２レンズ群において軸上色収差を良好に補正できることから、第１レンズ群での軸上色収差の過剰な補正が不要となる。これにより、第１レンズ群での倍率色収差が良好に行えるようになるため、光学系全系での倍率色収差が良好に補正できる。
【０２４２】
ここで、条件式（３２）に代えて、以下の条件式（３２’）を満足することが好ましい。
０．１４＜ＬG1s／ＬsG2＜１．３５      （３２’）
また、条件式（３２）に代えて、以下の条件式（３２’’）を満足することがより好ましい。
０．２０＜ＬG1s／ＬsG2＜１．２２      （３２’’）
また、条件式（３２）に代えて、以下の条件式（３２’’’）を満足することがより好ましい。
０．２９＜ＬG1s／ＬsG2＜１．０９      （３２’’’）
【０２４３】
また、本実施形態の光学系は、以下の条件式（３３）を満足することが好ましい。
０．８≦φG1max／φG2max＜５．０      （３３）
ここで、
φG1maxは、第１レンズ群を構成するレンズの有効口径のうち、最大となる有効口径、
φG2maxは、第２レンズ群を構成するレンズの有効口径のうち、最大となる有効口径、
である。
【０２４４】
条件式（３３）を満足することで、光学系の全長を短縮しつつ、第１レンズ群における所定の屈折作用と第２レンズ群における所定の屈折作用とのバランスを適切に保つことができる。その結果、倍率色収差や他の軸外収差をより良好に補正することができる。
【０２４５】
条件式（３３）の下限値を下回らないようにすることで、第１レンズを構成するレンズの径が小さくなり過ぎることを防止しながら、光学系を細径化することができる。そのため、第１レンズ群のうちの物体側の領域で、軸外光束の光線高が低くなり過ぎることを防止できる。これにより、第１レンズ群の光軸方向のスペースが適切に確保できるため、倍率色収差等を良好に補正することができる。
【０２４６】
条件式（３３）の上限値を上回らないようにすることで、第２レンズ群を構成するレンズの径が小さくなり過ぎることを防止しながら、光学系を細径化することができる。この場合、第２レンズ群への軸外光束の入射角を小さくし過ぎる必要がなくなるため、第１レンズ群における所定の屈折作用が大きくなり過ぎないように抑制し、また、必要な結像倍率を維持しながら第２レンズ群における所定の屈折作用が小さくなり過ぎないようにすることができる。このように、第１レンズ群における所定の屈折作用と第２レンズ群における所定の屈折作用とのバランスを適切に保つことができるので、倍率色収差や他の軸外収差をより良好に補正することができる。
【０２４７】
ここで、条件式（３３）に代えて、以下の条件式（３３’）を満足することが好ましい。
０．８４＜φG1max／φG2max＜４．５０      （３３’）
また、条件式（３３）に代えて、以下の条件式（３３’’）を満足することがより好ましい。
０．８８＜φG1max／φG2max＜３．５０      （３３’’）
また、条件式（３３）に代えて、以下の条件式（３３’’’）を満足することがより好ましい。
０．９３＜φG1max／φG2max＜２．５０      （３３’’’）
【０２４８】
また、本実施形態の光学系は、以下の条件式（３４）を満足することが好ましい。
０．５＜Ｄos／ＬG1＜４．０      （３４）
ここで、
Ｄosは、物体から絞りまでの光軸上の距離、
ＬG1は、第１物体側レンズの物体側面から第１像側レンズの像側面までの光軸上の距離、
である。
【０２４９】
条件式（３４）の下限値を下回らないようにすることで、第２レンズ群を配置するスペースを十分に確保することができる。これにより、第２レンズ群を構成するレンズにおいて適切な厚みを確保して曲率の選択の自由度を増やすことや、特性の異なるレンズを多数配置することができる。そのため、第２レンズ群における単色収差を補正しつつ、色収差も良好に補正することができる。また、第２レンズ群において軸上色収差を良好に補正できることから、第１レンズ群での軸上色収差の過剰な補正が不要となる。これにより、第１レンズ群での倍率色収差が良好に行えるようになるため、光学系全系での倍率色収差が良好に補正できる。
【０２５０】
条件式（３４）の上限値を上回らないようにすることで、第１レンズ群を配置するスペースを適切に確保することができる。これにより、第１レンズ群を構成するレンズにおいて適切な厚みを確保して、レンズ面の曲率について選択の自由度を増やすことや、光学特性の異なるレンズを多数配置することができる。そのため、第１レンズ群における単色収差を補正しつつ、色収差も良好に補正することができる。また、第１レンズ群において軸上色収差を良好に補正できることから、第２レンズ群での軸上色収差の過剰な補正が不要となる。これにより、第２レンズ群での倍率色収差が良好に行えるようになるため、光学系全系での倍率色収差が良好に補正できる。
【０２５１】
条件式（１６）、（１９）、（２０）、（３４）満足することで、物体側の開口数の拡大と光学系の全長の短縮を行いながら、倍率色収差をより良好に補正することができる。
【０２５２】
条件式（２３−１）、（２４−１）、（３４）を満足することで、物体側の開口数の拡大と光学系の全長の短縮を行いながら、軸上色収差と倍率色収差とをより良好に補正することができる。
【０２５３】
条件式（１８）、（３４）を満足することで、物体側の開口数の拡大と光学系の全長の短縮を行いながら、倍率色収差をより良好に補正することができる。
【０２５４】
ここで、条件式（３４）に代えて、以下の条件式（３４’）を満足することが好ましい。
０．７＜Ｄos／ＬG1＜３．８      （３４’）
また、条件式（３４）に代えて、以下の条件式（３４’’）を満足することがより好ましい。
１．０＜Ｄos／ＬG1＜３．６      （３４’’）
また、条件式（３４）に代えて、以下の条件式（３４’’’）を満足することがより好ましい。
１．５＜Ｄos／ＬG1＜３．４      （３４’’’）
【０２５５】
また、本実施形態の光学系は、以下の条件式（３５）、（３６）を満足することが好ましい。
１．０＜ＤENP／Ｙ      （３５）
０≦ＣＲＡobj／ＣＲＡimg＜０．５      （３６）
ここで、
ＤENPは、光学系の入射瞳位置から第１物体側レンズの物体側面までの光軸上の距離、
Ｙは、光学系全系における最大像高、
ＣＲＡobjは、第１物体側レンズに入射する主光線と光軸とのなす角度の最大値、
ＣＲＡimgは、像面に入射する主光線と光軸とのなす角度の最大値、
であり、
角度の正負は、光軸から時計回りの方向に測った場合の角度を負、反時計回りの方向に測ったときの角度を正とする。
【０２５６】
条件式（３６）の下限値を下回らないようにすることで、撮像面への軸外光束の入射角が大きくなり過ぎず、周辺光量の低下をより効率的に防止できる。
【０２５７】
条件式（３６）の上限値を上回らないようにすることで、光学系のうちの像側に近い領域に発散作用をもたせて、光学系の構成をテレフォトタイプの構成にすることができる。その結果、光学系の全長を短縮することができる。
【０２５８】
条件式（１６）、（１９）、（２０）、（３５）、（３６）を満足することは、色収差の良好な補正や、周辺光量を確保しながら光学系の全長を短縮することに有利となる。
【０２５９】
条件式（２３−１）、（２４−１）、（３５）、（３６）を満足することは、色収差の良好な補正や、周辺光量を確保しながら光学系の全長を短縮することに有利となる。
【０２６０】
条件式（１８）、（３５）、（３６）を満足することは、色収差の良好な補正や、周辺光量を確保しながら光学系の全長を短縮することに有利となる。
【０２６１】
ここで、条件式（３６）に代えて、以下の条件式（３６’）を満足することが好ましい。
０．０１＜ＣＲＡobj／ＣＲＡimg＜０．４８      （３６’）
また、条件式（３６）に代えて、以下の条件式（３６’’）を満足することがより好ましい。
０．０２＜ＣＲＡobj／ＣＲＡimg＜０．４６      （３６’’）
また、条件式（３６）に代えて、以下の条件式（３６’’’）を満足することがより好ましい。
０．０３＜ＣＲＡobj／ＣＲＡimg＜０．４４      （３６’’’）
【０２６２】
また、本実施形態の光学系では、第１レンズ群は、第１物体側レンズと、第１物体側レンズに隣り合うように配置されるレンズとを有し、少なくとも一方のレンズが正の屈折力を持つことが好ましい。
【０２６３】
第１物体側レンズと、第１物体側レンズよりも像側に、第１物体側レンズと隣り合うように配置されたレンズの一方のレンズが正の屈折力を持つことにより、第１レンズ群の主点を物体側に位置させることができる。その結果、ワーキングディスタンスを十分に確保することができる。なお、第１物体側レンズと、第１物体側レンズよりも像側に、第１物体側レンズと隣り合うように配置されたレンズは、それぞれが分離した状態であっても、接合された状態であっても良い。
【０２６４】
また、第８実施形態の光学系と第１０実施形態の光学系では、第１物体側レンズは正の屈折力を有することが好ましい。そして、以下の条件式（３７）を満足することがより好ましい。
０．０５＜ｆG1o／ｆ      （３７）
ここで、
ｆG1oは、第１物体側レンズの焦点距離、
ｆは、光学系全系の焦点距離、
である。
【０２６５】
条件式（２０）を満足する光学系において、第１物体側レンズに正の屈折力を持たせることにより、第１レンズ群の主点を物体側に位置させながら、軸外周辺光線の高さを抑えられる。そのため、物体側の開口数の拡大と光学系の全長の短縮とを両立させることができる。更に、条件式（３７）を満足することで、球面収差やコマ収差の発生をより効果的に抑えることができる。
【０２６６】
条件式（２５）を満足する光学系において、第１物体側レンズに正の屈折力を持たせることにより、第１レンズ群の主点を物体側に位置させながら、軸外周辺光線の高さを抑えられる。そのため、物体側の開口数の拡大と光学系の全長の短縮とを両立させることができる。更に、条件式（３７）を満足することで、球面収差やコマ収差の発生をより効果的に抑えることができる。
【０２６７】
ここで、条件式（３７）に代えて、以下の条件式（３７’）を満足することが好ましい。
０．０６＜ｆG1o／ｆ＜５０．００      （３７’）
また、条件式（３７）に代えて、以下の条件式（３７’’）を満足することがより好ましい。
０．０７＜ｆG1o／ｆ＜２５．００      （３７’’）
また、条件式（３７）に代えて、以下の条件式（３７’’’）を満足することがより好ましい。
０．１０＜ｆG1o／ｆ＜２０．００      （３７’’’）
【０２６８】
また、第９実施形態の光学系では、第１物体側レンズは負の屈折力を有することが好ましい。そして、以下の条件式（３７−１）を満足することがより好ましい。
ｆG1o／ｆ＜−０．０１      （３７−１）
ここで、
ｆG1oは、第１物体側レンズの焦点距離、
ｆは、光学系全系の焦点距離、
である。
【０２６９】
条件式（２３−１）、（２４−１）を満足する光学系において、第１物体側レンズに負の屈折力を持たせることで、第１レンズ群を配置するスペースを十分に確保すると共に、第１レンズ群のうちの物体側の領域で軸外主光線の高さを適切に保つことができる。更に、条件式（３７−１）を満足することで、軸外周辺光線が過剰に発散することを抑制できる。これにより、倍率色収差等をより良好に補正することができる。
【０２７０】
ここで、条件式（３７−１）に代えて、以下の条件式（３７−１’）を満足することが好ましい。
−５００．００＜ｆG1o／ｆ＜−０．０２      （３７−１’）
また、条件式（３７−１）に代えて、以下の条件式（３７−１’’）を満足することがより好ましい。
−２５０．００＜ｆG1o／ｆ＜−０．０４      （３７−１’’）
また、条件式（３７−１）に代えて、以下の条件式（３７−１’’’）を満足することがより好ましい。
−１００．００＜ｆG1o／ｆ＜−０．０８      （３７−１’’’）
【０２７１】
また、第８実施形態の光学系と第１０実施形態の光学系では、第１物体側レンズの物体側面が物体側に凸であることが好ましい。そして、以下の条件式（３８）を満足することがより好ましい。
０．０２＜ＲG1o／ＷＤ      （３８）
ここで、
ＲG1oは、第１物体側レンズの物体側面の曲率半径、
ＷＤは、物体から第１物体側レンズの物体側面までの光軸上の距離、
である。
【０２７２】
条件式（２０）を満足する光学系において、第１物体側レンズの物体側面に正の屈折力を持たせることにより、第１レンズ群の主点を物体側に位置させながら、軸外周辺光線の高さを抑えられる。そのため、物体側の開口数の拡大と光学系の全長の短縮とを両立させることができる。更に、条件式（３８）を満足することで、球面収差やコマ収差の発生をより効果的に抑えることができる。
【０２７３】
条件式（２５）を満足する光学系において、第１物体側レンズの物体側面に正の屈折力を持たせることにより、第１レンズ群の主点を物体側に位置させながら、軸外周辺光線の高さを抑えられる。そのため、物体側の開口数の拡大と光学系の全長の短縮とを両立させることができる。更に、条件式（３８）を満足することで、球面収差やコマ収差の発生をより効果的に抑えることができる。
【０２７４】
ここで、条件式（３８）に代えて、以下の条件式（３８’）を満足することが好ましい。
０．０２＜ＲG1o／ＷＤ＜２０．００      （３８’）
また、条件式（３８）に代えて、以下の条件式（３８’’）を満足することがより好ましい。
０．０３＜ＲG1o／ＷＤ＜１５．００      （３８’’）
また、条件式（３８）に代えて、以下の条件式（３８’’’）を満足することがより好ましい。
０．０４＜ＲG1o／ＷＤ＜１０．００      （３８’’’）
【０２７５】
また、第９実施形態の光学系では、第１物体側レンズの物体側面が物体側に凹であることが好ましい。そして、以下の条件式（３８−１）を満足することがより好ましい。
ＲG1o／ＷＤ＜−０．１      （３８−１）
ここで、
ＲG1oは、第１物体側レンズの物体側面の曲率半径、
ＷＤは、物体から第１物体側レンズの物体側面までの光軸上の距離、
である。
【０２７６】
条件式（２３−１）、（２４−１）を満足する光学系において、第１物体側レンズの物体側面に負の屈折力を持たせることで、第１レンズ群を配置するスペースを十分に確保すると共に、第１レンズ群のうちの物体側の領域で軸外主光線の高さを適切に保つことができる。更に、条件式（３８−１）を満足することで、軸外周辺光線の発散を抑制できる。これにより、倍率色収差等をより良好に補正することができる。
【０２７７】
ここで、条件式（３８−１）に代えて、以下の条件式（３８−１’）を満足することが好ましい。
−２５０．００＜ＲG1o／ＷＤ＜−０．１４      （３８−１’）
また、条件式（３８−１）に代えて、以下の条件式（３８−１’’）を満足することがより好ましい。
−１００．００＜ＲG1o／ＷＤ＜−０．２０      （３８−１’’）
また、条件式（３８−１）に代えて、以下の条件式（３８−１’’’）を満足することがより好ましい。
−５０．００＜ＲG1o／ＷＤ＜−０．２９      （３８−１’’’）
【０２７８】
また、本実施形態の光学系では、第２レンズ群は、最も像側に所定のレンズ群を有し、所定のレンズ群は全体で負の屈折力を有すると共に、負の屈折力をもつ単レンズか２枚のレンズからなり、２枚のレンズは、物体側から負の屈折力をもつレンズと、正または負の屈折力を持つレンズと、からなることが好ましい。
【０２７９】
条件式（２０）を満足する光学系において、更に、第２レンズ群の最も像側の位置に、所定のレンズ群、すなわち、負の屈折力を有するレンズ群を配置することにより、主点を物体側に位置させることができる。これにより、光学系の全長を短縮しつつ、第２レンズ群において絞りから像の周辺に至る主光線の高さを比較的緩やかに変化させることが可能になるため、特に倍率色収差を良好に補正できる。
【０２８０】
条件式（２１）、（２３−１）、（２４−１）を満足する光学系において、更に第２レンズ群の最も像側の位置に、所定のレンズ群、すなわち、負の屈折力を有するレンズ群を配置することにより、主点を物体側に位置させることができる。これにより、光学系の全長を短縮しつつ、第２レンズ群において絞りから像の周辺に至る主光線の高さを比較的緩やかに変化させることが可能になるため、特に倍率色収差を良好に補正できる。
【０２８１】
条件式（１８）、（２５）を満足する光学系において、更に第２レンズ群の最も像側の位置に、所定のレンズ群、すなわち、負の屈折力を有するレンズ群を配置することにより、主点を物体側に位置させることができる。これにより、光学系の全長を短縮しつつ、第２レンズ群において絞りから像の周辺に至る主光線の高さを比較的緩やかに変化させることが可能になるため、特に倍率色収差を良好に補正できる。
【０２８２】
また、本実施形態の光学系では、第２像側レンズの像側面が像側に凹であり、以下の条件式（３９）を満足することが好ましい。
０．１≦ＲG2i／ＢＦ      （３９）
ここで、
ＲG2iは、第２像側レンズの像側面の曲率半径、
ＢＦは、第２像側レンズの像側面から像までの光軸上の距離、
である。
【０２８３】
第２レンズ群の主点を物体側に位置させることができるため、良好な結像性能を保ちつつ光学系を短縮できる。
【０２８４】
ここで、条件式（３９）に代えて、以下の条件式（３９’）を満足することが好ましい。
０．２＜ＲG2i／ＢＦ      （３９’）
また、条件式（３９）に代えて、以下の条件式（３９’’）を満足することがより好ましい。
０．４＜ＲG2i／ＢＦ      （３９’’）
また、条件式（３９）に代えて、以下の条件式（３９’’’）を満足することがより好ましい。
０．８＜ＲG2i／ＢＦ      （３９’’’）
【０２８５】
また、本実施形態の光学系では、第２レンズ群は、最も像側に所定のレンズ群を有し、所定のレンズ群よりも物体側に正レンズが配置され、正レンズは所定のレンズ群と隣り合うように配置されていることが好ましい。
【０２８６】
所定のレンズ群よりも物体側に正レンズを配置し、この正レンズを所定のレンズ群と隣り合うように配置することによって、光学系の全長を短縮しつつ、軸外光束の第２レンズ群への入射角が大きくなることを抑制できる。その結果、軸外光束の光線高が高くなり過ぎることを防止できるので、光学系の細径化ができる。また、所定のレンズ群では発散作用によって正方向の歪曲収差が生じるが、正レンズによってこの歪曲収差を良好に補正することができる。なお、所定のレンズ群と正レンズとは、それぞれが分離して配置されていても、接合されていても良い。
【０２８７】
また、本実施形態の光学系では、第１像側レンズの像側面が像側に凹であり、以下の条件式（４０）を満足することが好ましい。
０．２＜ＲG1i／ＤG1is      （４０）
ここで、
ＲG1iは、第１像側レンズの像側面の曲率半径、
ＤG1isは、第１像側レンズの像側面から絞りまでの光軸上の距離、
である。
【０２８８】
第１像側レンズの像側面を像側に凹にすることで、第１レンズ群の主点を物体側に位置させることができる。これにより、適切なワーキングディスタンスを確保することができる。また、絞りに対してレンズ面が凹面を向けることになるので、像の周辺部（像高が高い位置）でのコマ収差の発生を抑制できる。
【０２８９】
更に、条件式（４０）を満足することにより、光学系の周辺部における発散作用を適切に保つことができるため、色コマ収差の発生を抑制できる。
【０２９０】
ここで、条件式（４０）に代えて、以下の条件式（４０’）を満足することが好ましい。
０．４＜ＲG1i／ＤG1is      （４０’）
また、条件式（４０）に代えて、以下の条件式（４０’’）を満足することがより好ましい。
０．８＜ＲG1i／ＤG1is      （４０’’）
また、条件式（４０）に代えて、以下の条件式（４０’’’）を満足することがより好ましい。
１．６＜ＲG1i／ＤG1is      （４０’’’）
【０２９１】
また、本実施形態の光学系では、第１レンズ群は、３枚以上の正レンズを有し、このうち少なくとも２枚の正レンズが隣り合って配置され、隣り合って配置された２枚のレンズでは物体側面が物体側に凸面であることが好ましい。
【０２９２】
このようにすることで、第１レンズ群における正の屈折力を、３枚以上のレンズに分散させ、それそれのレンズを異なる位置に配置させることができる。その結果、高い開口数で入射する光束を収差の発生を抑制しながら収斂させ、かつ像面湾曲と倍率色収差を良好に補正することができる。更に、そのうちの２枚のレンズが隣り合って配置され、且つ物体側面を物体側に凸面とすることで、球面収差を良好に補正することができる。
【０２９３】
また、本実施形態の光学系では、３枚以上の正レンズのうち、少なくとも１枚の正レンズは非球面レンズであり、非球面レンズは少なくとも１面が非球面であることが好ましい。
【０２９４】
このようにすることで、高次の軸外収差が良好に補正できる。
【０２９５】
また、本実施形態の光学系では、第１レンズ群は、少なくとも１つの接合レンズを有することが好ましい。
【０２９６】
色収差補正の作用を持つレンズを他のレンズと接合させ、この接合レンズを第１レンズ群に配置することにより、第１レンズ群での軸上色収差を補正しながら、同時に倍率色収差の発生を抑制できる。その結果、光学系の軸上色収差と倍率色収差とを良好に補正することができる。
【０２９７】
また、本実施形態の光学系では、第１レンズ群の接合レンズよりも物体側に正レンズが配置され、正レンズは単レンズであることが好ましい。
【０２９８】
このようにすることで、第１レンズ群における正の屈折力を、接合レンズと正レンズとに分散することができる。その結果、球面収差をより良好に補正することができる。
【０２９９】
また、本実施形態の光学系では、第２レンズ群は、少なくとも１つの接合レンズを有することが好ましい。
【０３００】
色収差補正の作用を持つレンズを他のレンズと接合させ、この接合レンズを第２レンズ群に配置することにより、第２レンズ群での軸上色収差を補正しながら、同時に倍率色収差の発生を抑制できる。その結果、光学系全体での軸上色収差と倍率色収差とを良好に補正することができる。
【０３０１】
また、本実施形態の光学系では、第２レンズ群の接合レンズよりも像側に正レンズが配置され、正レンズは単レンズであることが好ましい。
【０３０２】
このようにすることで、第２レンズ群における正の屈折力を、接合レンズと正レンズとに分散することができる。その結果、球面収差をより良好に補正することができる。
【０３０３】
また、第８実施形態の光学系と第１０実施形態の光学系では、第１物体側レンズは正の屈折力を有すると共に、単レンズまたは接合レンズであることが好ましい。
【０３０４】
物体側第１レンズに正の屈折力を持たせることで、第１レンズ群の主点を極力物体側に位置させることができる。その結果、適切なワーキングディスタンスの確保と光学系の小型化とを両立させることができる。より長いワーキングディスタンスが必要とされる場合、このようにすることが好ましい。
【０３０５】
また、本実施形態の光学系は、変曲点を有するレンズを少なくとも１つ有し、変曲点を有するレンズでは、レンズ面の形状における変曲点の数が１つ以上であることが好ましい。
【０３０６】
このようにすることで、高次の軸外収差が良好に補正できる。
【０３０７】
また、本実施形態の光学系では、第２像側レンズの少なくとも一方のレンズ面の形状は、変曲点を有する形状であることが好ましい。
【０３０８】
このようにすることで、高次の軸外収差を良好に補正できるが、これ以外に、光学系の小型化と撮像素子への入射角の緩和とを両立させることができる。光学系を小型化するには、第２レンズ群において、より像側に近い領域での屈折力が負の屈折力となるようにして、これにより、第２レンズ群の主点を物体側に位置させることが望ましい。加えて、撮像素子への入射角の緩和させるために、第２像側レンズの少なくとも一方の面を、少なくとも１つの変曲点を持つ形状にする。このようにすることにより、像面に対する軸外光束の入射角を小さくすることができる。
【０３０９】
また、本実施形態の光学系では、第１レンズ群は、少なくとも１枚の負レンズを有し、負レンズは単レンズであることが好ましい。
【０３１０】
このようにすることで、第１レンズ群で十分に色収差の補正をすることができる。その結果、光学系全体で軸上色収差を補正しつつ、倍率色収差を良好に補正することができる。
【０３１１】
また、本実施形態の光学系では、第１像側レンズは接合レンズであることが好ましい。
【０３１２】
第１レンズ群では、絞り付近に負レンズを配置することにより、軸上色収差と像面湾曲を同時に良好に補正することができる。ここで、この負レンズと隣り合う位置に正レンズを配置し、負レンズと正レンズとを接合することにより、倍率色収差の発生を抑制できる。
【０３１３】
また、本実施形態の光学系では、第２物体側レンズは接合レンズであることが好ましい。
【０３１４】
第２レンズ群では、絞り付近に負レンズを配置することにより、軸上色収差と像面湾曲を同時に良好に補正することができる。ここで、この負レンズと隣り合う位置に正レンズ配置し、負レンズと正レンズとを接合することにより、倍率色収差の発生を抑制できる。
【０３１５】
また、第８実施形態の光学系では、フォーカシング時、第２レンズ群を構成する複数のレンズのうち、一部のレンズが光軸方向に移動することが好ましい。
【０３１６】
第２レンズ群は第１レンズ群よりも像側に位置するため、第２レンズ群における光束径は、第１レンズ群における光束径よりも小さい。そのため、第２レンズ群においてレンズを移動させても、収差の変動は小さい。そこで、フォーカシング時のレンズの移動を、第２レンズ群を構成する複数のレンズのうちの一部を使って行えば、レンズの移動に伴う収差の変動を小さくできる。
【０３１７】
また、第８実施形態の光学系では、フォーカシング時、第１物体側レンズから第２像側レンズまでの光学系が一体となって光軸方向に移動することが好ましい。
【０３１８】
また、本実施形態の光学系では、フォーカシング時、第１物体側レンズから第２像側レンズまでの空気間隔が変化しないことが好ましい。
【０３１９】
このようにすることで、フォーカシング時に、絞りの両側に位置するレンズ（単レンズあるいは接合レンズ）の位置関係が変動しなくなる。その結果、第１レンズ群における倍率色収差と第２レンズ群における倍率色収差のバランスが崩れないため、フォーカシングを行っても良好な結像性能を維持することができる。なお、第１レンズ群と第２レンズ群には、色収差を補正する作用が大きいレンズおよびレンズ対を絞り付近に配置することが倍率色収差を良好に補正するために望ましい。
【０３２０】
また、第８実施形態の光学系は、以下の条件式（３７−２）を満足することが好ましい。
０．５＜ｆG1o／ｆ＜１００      （３７−２）
ここで、
ｆG1oは、第１物体側レンズの焦点距離、
ｆは、光学系全系の焦点距離、
である。
【０３２１】
また、第８実施形態の光学系と第１０実施形態の光学系は、以下の条件式（４１）を満足することが好ましい。
０．５＜ｆG1o／ｆG1＜２０      （４１）
ここで、
ｆG1oは、第１物体側レンズの焦点距離、
ｆG1は、第１レンズ群の焦点距離、
である。
【０３２２】
条件式（４１）の上限値を上回らないようにすることで、第１物体側レンズの正の屈折力が小さくなり過ぎないようにすることができる。これにより、第１レンズ群の主点を物体側に極力位置させることができる。その結果、適切なワーキングディスタンスの確保と光学系の小型化とを両立させることができる。より長いワーキングディスタンスが必要とされる場合、このようにすることが好ましい。
【０３２３】
ここで、条件式（４１）に代えて、以下の条件式（４１’）を満足することが好ましい。
０．７１＜ｆG1o／ｆG1＜１０．００      （４１’）
また、条件式（４１）に代えて、以下の条件式（４１’’）を満足することがより好ましい。
１．００＜ｆG1o／ｆG1＜７．００      （４１’’）
また、条件式（４１）に代えて、以下の条件式（４１’’’）を満足することがより好ましい。
１．６７＜ｆG1o／ｆG1＜５．００      （４１’’’）
【０３２４】
また、本実施形態の光学系は、以下の条件式（４２）を満足することが好ましい。
０．０１＜１／νｄG1min−１／νｄG1max      （４２）
ここで、
νｄG1minは、第１レンズ群を構成するレンズのアッベ数のうち、最小となるアッベ数、
νｄG1maxは、第１レンズ群を構成するレンズのアッベ数のうち、最大となるアッベ数、
である。
【０３２５】
本実施形態の光学系では、以下の（ｉ）、（ｉｉ）が実現されていることが好ましい。（ｉ）物体側の開口数の拡大と光学系の全長の短縮、（ｉｉ）軸上色収差と倍率色収差の良好な補正。条件式（４２）は、（ｉ）と（ｉｉ）とを両立させるための条件式である。
【０３２６】
条件式（４２）の下限値を下回らないようにすることで、第１レンズ群での軸上色収差の発生を抑制できる。また、第１レンズ群において軸上色収差の発生を抑制できることから、第２レンズ群での軸上色収差の過剰な補正が不要となる。これにより、第２レンズ群での倍率色収差の補正が良好に行えるようになるため、光学系全系での倍率色収差が良好に補正できる。
【０３２７】
ここで、条件式（４２）に代えて、以下の条件式（４２’）を満足することが好ましい。
０．０１１＜１／νｄG1min−１／νｄG1max      （４２’）
また、条件式（４２）に代えて、以下の条件式（４２’’）を満足することがより好ましい。
０．０１４＜１／νｄG1min−１／νｄG1max      （４２’’）
また、条件式（４２）に代えて、以下の条件式（４２’’’）を満足することがより好ましい。
０．０２０＜１／νｄG1min−１／νｄG1max      （４２’’’）
【０３２８】
また、本実施形態の光学系は、以下の条件式（４３）を満足することが好ましい。
０．０１＜１／νｄG2min−１／νｄG2max      （４３）
ここで、
νｄG2minは、第２レンズ群を構成するレンズのアッベ数のうち、最小となるアッベ数、
νｄG2maxは、第２レンズ群を構成するレンズのアッベ数のうち、最大となるアッベ数、
である。
【０３２９】
本実施形態の光学系では、上述の（ｉ）、（ｉｉ）が実現されていることが好ましい。条件式（４３）は、（ｉ）と（ｉｉ）とを両立させるための条件式である。
【０３３０】
条件式（４３）の下限値を下回らないようにすることで、第２レンズ群での軸上色収差の発生を抑制できる。また、第２レンズ群において軸上色収差の発生を抑制できることから、第１レンズ群での軸上色収差の過剰な補正が不要となる。これにより、第１レンズ群での倍率色収差の補正が良好に行えるようになるため、光学系全系での倍率色収差が良好に補正できる。
【０３３１】
ここで、条件式（４３）に代えて、以下の条件式（４３’）を満足することが好ましい。
０．０１１＜１／νｄG2min−１／νｄG2max      （４３’）
また、条件式（４３）に代えて、以下の条件式（４３’’）を満足することがより好ましい。
０．０１４＜１／νｄG2min−１／νｄG2max      （４３’’）
また、条件式（４３）に代えて、以下の条件式（４３’’’）を満足することがより好ましい。
０．０２０＜１／νｄG2min−１／νｄG2max      （４３’’’）
【０３３２】
また、本実施形態の光学系は、以下の条件式（４４）を満足する正レンズを少なくとも１枚有することが好ましい。
０．５９＜θgF＜０．８      （４４）
ここで
θgFは、正レンズの部分分散比であって、θgF＝（ｎｇ−ｎＦ）／（ｎＦ−ｎＣ）で表され、
ｎＣ、ｎＦ、ｎｇは、それぞれ、Ｃ線、Ｆ線、ｇ線に対する屈折率、
である。
【０３３３】
本実施形態の光学系では、上述の（ｉ）、（ｉｉ）が実現されていることが好ましい。条件式（４４）は、（ｉ）と（ｉｉ）とを両立させるための条件式である。
【０３３４】
ｄ線とＣ線に関する軸上色収差と倍率色収差を良好に補正したときに、条件式（４４）を満たす正レンズを光学系内に配置することにより、ｇ線における軸上色収差および倍率色収差を良好に補正することができる。
【０３３５】
条件式（４４）を満足する材料は、一般的には高分散である場合が多い。そのため、条件式（４４）を満足する材料を正の屈折力を持つレンズに用いることは、このレンズに通常とは逆の色収差を補正する作用を持たせることになる。しかしながら、より良好な色収差補正を行う場合は、条件式（４４）を満足する材料を正の屈折力を持つレンズに用いることが望ましい。
【０３３６】
また、第８実施形態の光学系と第１０実施形態の光学系では、条件式（４４）を満足する正レンズが、第１レンズ群に含まれていることが好ましい。
【０３３７】
光学系において適切なワーキングディスタンスの確保しようとすると、第１レンズ群の収差が第２レンズ群にて拡大されてしまう場合が多い。そこで、第１レンズ群単独で、ｇ線における色収差をより良好に補正することが望ましい。そこで、上述のようにすることで、第１レンズ群単独で、ｇ線における色収差をより良好に補正することができる。
【０３３８】
また、本実施形態の光学系では、条件式（４４）を満足する正レンズが、以下の条件式（４５）を満足することが好ましい。
０．３＜Ｄp1s／ＬG1s≦１      （４５）
ここで、
Ｄp1sは、正レンズの物体側面から絞りまでの光軸上の距離、
ＬG1sは、第１物体側レンズの物体側面から絞りまでの光軸上の距離、
である。
【０３３９】
条件式（４５）を満足することで、色収差を良好に補正しながら、且つ第１レンズ群の主点を物体側に位置させることができる。その結果、ワーキングディスタンスを一定量確保しつつ、光学系を小型化することができる。
【０３４０】
ここで、条件式（４５）に代えて、以下の条件式（４５’）を満足することが好ましい。
０．３２＜Ｄp1s／ＬG1s≦１．００      （４５’）
また、条件式（４５）に代えて、以下の条件式（４５’’）を満足することがより好ましい。
０．５０＜Ｄp1s／ＬG1s≦１．００      （４５’’）
また、条件式（４５）に代えて、以下の条件式（４５’’’）を満足することがより好ましい。
０．７０＜Ｄp1s／ＬG1s≦１．００      （４５’’’）
【０３４１】
また、本実施形態の光学系では、第１レンズ群は、以下の条件式（４６）を満足する負レンズを２枚以上有することが好ましい。
０．０１＜１／νｄG1n−１／νｄG1max      （４６）
ここで、
νｄG1nは、第１レンズを構成する負レンズのアッベ数、
νｄG1maxは、第１レンズ群を構成するレンズのアッベ数のうち、最大となるアッベ数、
である。
【０３４２】
条件式（４６）を満足することにより、軸上色収差と倍率色収差とをより良好に補正することができる。条件式（４６）を満足する負レンズ、すなわち、色収差を補正する作用を持つ負レンズを２枚以上用い、これらの負レンズが適切な位置関係となるように配置する。これにより、第１レンズ群における軸上色収差の発生を抑制したときに、第１レンズ群における倍率色収差をより良好に補正することができる。その結果、光学系全体の軸上色収差と倍率色収差とをより良好に補正することができる。特に、拡大光学系の場合、第１レンズ群での倍率色収差を良好に補正するためには、条件式（４６）を満足することが望ましい。
【０３４３】
また、本実施形態の光学系では、条件式（４６）を満足する２枚以上の負レンズは、最も物体側に配置された物体側負レンズと、最も像側に配置された像側負レンズと、を有し、物体側負レンズが以下の条件式（４７）を満足することが好ましい。
０．２＜Ｄnoni／ＬG1s＜０．９      （４７）
ここで、
Ｄnoniは、物体側負レンズの物体側面から像側負レンズの物体側面までの光軸上の距離、
ＬG1sは、第１物体側レンズの物体側面から絞りまでの光軸上の距離、
である。
【０３４４】
条件式（４７）を満足することにより、軸上色収差と倍率色収差とをより良好に補正することができる。条件式（４６）を満足する負レンズ、すなわち、色収差を補正する作用を持つ負レンズを２枚以上用い、条件式（４７）を満足する位置にこれらの負レンズを配置する。これにより、第１レンズ群における軸上色収差の発生を抑制したときに、第１レンズ群における倍率色収差をより良好に補正することができる。その結果、光学系全体の軸上色収差と倍率色収差とをより良好に補正することができる。特に、拡大光学系の場合、第１レンズ群での倍率色収差を良好に補正するためには、条件式（４７）を満足することが望ましい。
【０３４５】
ここで、条件式（４７）に代えて、以下の条件式（４７’）を満足することが好ましい。
０．２１＜Ｄnoni／ＬG1s＜０．８６      （４７’）
また、条件式（４７）に代えて、以下の条件式（４７’’）を満足することがより好ましい。
０．２２＜Ｄnoni／ＬG1s＜０．８１      （４７’’）
また、条件式（４７）に代えて、以下の条件式（４７’’’）を満足することがより好ましい。
０．２３＜Ｄnoni／ＬG1s＜０．７７      （４７’’’）
【０３４６】
また、本実施形態の光学系では、第１レンズ群が正の屈折力を有すると共に、少なくとも１つの回折光学素子を有することが好ましい。
【０３４７】
第１レンズ群では軸上周辺光線の高さが高い。そこで、第１レンズ群の屈折力を正の屈折利力にすると共に、第１レンズ群に回折光学素子を配置することで、第１レンズ群における軸上色収差の発生を抑制できる。
【０３４８】
また、本実施形態の光学系では、絞りよりも物体側で以下の条件式（４８）を満足する位置に、少なくとも１つの回折光学素子を配置することが好ましい。
０．１＜ＤDLs／ＤG1is      （４８）
ここで、
ＤDLsは、回折光学素子から絞りまでの光軸上の距離、
ＤG1isは、第１像側レンズの像側面から絞りまでの光軸上の距離、
である。
【０３４９】
第１レンズ群内の条件式（４８）を満足する位置では、主光線の高さが比較的高くなるため、その位置に回折光学素子を配置することで、特にＦ線とｇ線に関する倍率色収差をより良好に補正することができる。なお、ＤDLsは、より詳しくは、回折光学素子の回折面から絞りまでの距離である。
【０３５０】
また、本実施形態の光学系では、絞りよりも像側で以下の条件式（４９）を満足する位置に、少なくとも１つの回折光学素子を配置することが好ましい。
０．２＜ＤsDL／ＬsG2＜０．９      （４９）
ここで、
ＤsDLは、絞りから回折光学素子までの光軸上の距離、
ＬsG2は、絞りから第２像側レンズの像側面までの光軸上の距離、
である。
【０３５１】
第２レンズ群内の条件式（４９）を満足する位置では、主光線の高さが比較的高くなるため、その位置に回折光学素子を配置することで、特にＦ線とｇ線に関する倍率色収差をより良好に補正することができる。なお、ＤsDLは、より詳しくは、絞りから回折光学素子の回折面までの距離である。
【０３５２】
ここで、条件式（４９）に代えて、以下の条件式（４９’）を満足することが好ましい。
０．２１＜ＤsDL／ＬsG2＜０．８６      （４９’）
また、条件式（４９）に代えて、以下の条件式（４９’’）を満足することがより好ましい。
０．２２＜ＤsDL／ＬsG2＜０．８６      （４９’’）
また、条件式（４９）に代えて、以下の条件式（４９’’’）を満足することがより好ましい。
０．２３＜ＤsDL／ＬsG2＜０．８６      （４９’’’）
【０３５３】
また、本実施形態の光学系は、以下の条件式（５０）、（５１）を満足する負レンズを有することが好ましい。
０．０１＜１／νｄn1−１／νｄG1max      （５０）
０＜Ｄn1s／Ｄos＜０．３      （５１）
ここで、
νｄn1は、負レンズのアッベ数、
νｄG1maxは、第１レンズ群を構成するレンズのアッベ数のうち、最大となるアッベ数、
Ｄn1sは、負レンズの物体側面から絞りまでの光軸上の距離、
Ｄosは、物体から絞りまでの光軸上の距離、
である。
【０３５４】
光学系の全長の短縮と色収差と像面湾曲の良好な補正とを両立させるために、条件式（５０）、（５１）を満足することがより好ましい。
【０３５５】
条件式（５０）、（５１）の下限値を下回らないようにすることで、負レンズの厚みを適切に確保することができる。
【０３５６】
条件式（５０）、（５１）の上限値を上回らないようにすることで、高分散であることにより色収差を補正する作用を持つ負レンズを、絞り付近に配置することができる。絞りの付近では軸上周辺光線の高さが低いため、負レンズによって色収差と同時に像面湾曲を良好に補正することができる。
【０３５７】
ここで、条件式（５１）に代えて、以下の条件式（５１’）を満足することが好ましい。
０．０１＜Ｄn1s／Ｄos＜０．２９      （５１’）
また、条件式（５１）に代えて、以下の条件式（５１’’）を満足することがより好ましい。
０．０２＜Ｄn1s／Ｄos＜０．２７      （５１’’）
また、条件式（５１）に代えて、以下の条件式（５１’’’）を満足することがより好ましい。
０．０３＜Ｄn1s／Ｄos＜０．２６      （５１’’’）
【０３５８】
また、本実施形態の光学系は、以下の条件式（５２）、（５３）を満足する負レンズを有することが好ましい。
０．０１＜１／νｄn2−１／νｄG2max      （５２）
０＜Ｄsn2／Ｄsi＜０．４      （５３）
ここで、
νｄn2は、負レンズのアッベ数、
νｄG2maxは、第２レンズ群を構成するレンズのアッベ数のうち、最大となるアッベ数、
Ｄsn2は、絞りから負レンズの像側面までの光軸上の距離、
Ｄsiは、絞りから像までの光軸上の距離、
である。
【０３５９】
光学系の全長の短縮と色収差と像面湾曲の良好な補正とを両立させるために、条件式（５２）、（５３）を満足することがより好ましい。
【０３６０】
条件式（５２）、（５３）の下限値を下回らないようにすることで、負レンズの厚みを適切に確保することができる。
【０３６１】
条件式（５２）、（５３）の上限値を上回らないようにすることで、高分散であることにより色収差を補正する作用を持つ負レンズを、絞り付近に配置することができる。絞りの付近では軸上周辺光線の高さが低いため、負レンズによって色収差と同時に像面湾曲を良好に補正することができる。
【０３６２】
ここで、条件式（５３）に代えて、以下の条件式（５３’）を満足することが好ましい。
０．０１＜Ｄsn2／Ｄsi＜０．３８      （５３’）
また、条件式（５３）に代えて、以下の条件式（５３’’）を満足することがより好ましい。
０．０２＜Ｄsn2／Ｄsi＜０．３６      （５３’’）
また、条件式（５３）に代えて、以下の条件式（５３’’’）を満足することがより好ましい。
０．０３＜Ｄsn2／Ｄsi＜０．３４      （５３’’’）
【０３６３】
また、本実施形態の光学系は、以下の条件式（５４）を満足する位置に負レンズを有することが好ましい。
０．６＜Ｄsn3／Ｄsi＜１      （５４）
ここで、
Ｄsn3は、絞りから負レンズの像側面までの光軸上の距離、
Ｄsiは、絞りから像までの光軸上の距離、
である。
【０３６４】
光学系の全長の短縮と倍率色収差などの軸外収差の良好な補正とを両立させるために、条件式（５４）を満足することがより好ましい。
【０３６５】
条件式（５４）の下限値を下回らないようにすることで、第２レンズ群において、より像側に近い領域に負レンズを配置することができる。これにより、主点を物体側に位置させることができるので、光学系の全長を短縮しても、第２レンズ群において絞りから像の周辺に至る主光線の高さを比較的緩やかに変化させることが可能になる。その結果、特に倍率色収差を良好に補正できる。
【０３６６】
条件式（５４）の上限値を上回らないようにすることで、負レンズと撮像素子との間隔を大きくすることができ。そのため、負レンズと撮像素子との間での多重反射によってゴーストが生じても、ゴーストが高密度で撮像素子面に入射することを防止できる。
【０３６７】
ここで、条件式（５４）に代えて、以下の条件式（５４’）を満足することが好ましい。
０．６３＜Ｄsn3／Ｄsi＜０．９８      （５４’）
また、条件式（５４）に代えて、以下の条件式（５４’’）を満足することがより好ましい。
０．６６＜Ｄsn3／Ｄsi＜０．９６      （５４’’）
また、条件式（５４）に代えて、以下の条件式（５４’’’）を満足することがより好ましい。
０．７０＜Ｄsn3／Ｄsi＜０．９４      （５４’’’）
【０３６８】
また、本実施形態の光学系は、以下の条件式（５５）を満足する位置に正レンズを有することが好ましい。
０．３＜Ｄp2s／Ｄos＜０．９９      （５５）
ここで、
Ｄp2sは、正レンズの物体側面から絞りまでの光軸上の距離、
Ｄosは、物体から絞りまでの光軸上の距離、
である。
【０３６９】
光学系の全長の短縮と、倍率色収差と軸外収差との良好な補正とを両立させるために、条件式（５５）を満足することがより好ましい。
【０３７０】
条件式（５５）の下限値を下回らないようにすることで、物体側に正レンズを配置することができる。これにより、第１レンズ群の主点を物体側に位置させることができるので、適切なワーキングディスタンスを確保することができる。
【０３７１】
条件式（５５）の上限値を上回らないようにすることで、正レンズが物体に近づき過ぎることを防止できる。その結果、適切なワーキングディスタンスを確保することができる。
【０３７２】
ここで、条件式（５５）に代えて、以下の条件式（５５’）を満足することが好ましい。
０．３５＜Ｄp2s／Ｄos＜０．８９      （５５’）
また、条件式（５５）に代えて、以下の条件式（５５’’）を満足することがより好ましい。
０．４２＜Ｄp2s／Ｄos＜０．８０      （５５’’）
また、条件式（５５）に代えて、以下の条件式（５５’’’）を満足することがより好ましい。
０．４９＜Ｄp2s／Ｄos０＜０．７０      （５５’’’）
【０３７３】
なお、第８実施形態の光学系では、条件式（５５）に代えて、以下の条件式（５５−１）を満足することが好ましい。
０．３＜Ｄp2s／Ｄos＜０．７      （５５−１）
【０３７４】
また、第９実施形態の光学系では、条件式（５５）に代えて、以下の条件式（５５−２）を満足することが好ましい。
０．５＜Ｄp2s／Ｄos＜０．９９      （５５−２）
【０３７５】
また、第８施形態の光学系と第１０施形態の光学系では、第１レンズ群は、負レンズと、負レンズよりも物体側に配置された正レンズと、を有し、以下の条件式（５６）を満足することが好ましい。
０．７８＜ＬL／Ｄoi＋０．０７×ＷＤ／ＢＦ      （５６）
ここで、
ＬLは、第１物体側レンズの物体側面から第２像側レンズの像側面までの光軸上の距離、
Ｄoiは、物体から像までの光軸上の距離、
ＷＤは、物体から第１物体側レンズの物体側面までの光軸上の距離、
ＢＦは、第２像側レンズの像側面から像までの光軸上の距離、
である。
【０３７６】
条件式（５６）の下限値を下回らないようにすることで、全長を短縮した光学系においても、物体の周辺から像の周辺に至る主光線の高さを比較的緩やかに変化させることが可能になるので、光学系を構成するレンズの曲率半径が小さくなり過ぎることを防止できる。その結果、軸上色収差と倍率色収差の発生を抑えることができる。
【０３７７】
条件式（１６）、（１９）、（２０）、（５６）を満足することで、物体側の開口数の拡大と光学系の全長の短縮を行いながら、軸上色収差と倍率色収差の発生をより効果的に抑制できる。
【０３７８】
条件式（２５）、（５６）満足することで、物体側の開口数の拡大と光学系の全長の短縮を行いながら、ワーキングディスタンスを適切に確保しつつ、軸上色収差と倍率色収差とをより良好に補正することができる。
【０３７９】
ここで、条件式（５６）に代えて、以下の条件式（５６’）を満足することが好ましい。
０．８７＜ＬL／Ｄoi＋０．０７×ＷＤ／ＢＦ      （５６’）
また、条件式（５６）に代えて、以下の条件式（５６’’）を満足することがより好ましい。
０．９６＜ＬL／Ｄoi＋０．０７×ＷＤ／ＢＦ      （５６’’）
また、条件式（５６）に代えて、以下の条件式（５６’’’）を満足することがより好ましい。
１．０７＜ＬL／Ｄoi＋０．０７×ＷＤ／ＢＦ      （５６’’’）
【０３８０】
また、第８施形態の光学系と第１０施形態の光学系では、以下の条件式（５７）を満足することが好ましい。
Ｄos／ＬG1−０．３９×ＷＤ／ＢＦ＜１．８      （５７）
ここで、
Ｄosは、物体から絞りまでの光軸上の距離、
ＬG1は、第１物体側レンズの物体側面から第１像側レンズの像側面までの光軸上の距離、
ＷＤは、物体から第１物体側レンズの物体側面までの光軸上の距離、
ＢＦは、第２像側レンズの像側面から像までの光軸上の距離、
である。
【０３８１】
条件式（５７）の上限値を上回らないようにすることで、全長を短縮した光学系においても、物体の周辺から像の周辺に至る主光線の高さを比較的緩やかに変化させることが可能になり、光学系を構成するレンズの曲率半径が小さくなり過ぎないようにすることができる。そのため、軸上色収差及び倍率色収差の発生を抑えることができる。
【０３８２】
条件式（１６）、（１９）、（２０）、（５７）を満足することで、物体側の開口数の拡大と光学系の全長の短縮を行いながら、軸上色収差と倍率色収差の発生をより効果的に抑制できる。
【０３８３】
条件式（２５）、（５７）を満足することで、物体側の開口数の拡大と光学系の全長の短縮を行いながら、ワーキングディスタンスを適切に確保しつつ、軸上色収差と倍率色収差とをより良好に補正することができる。
【０３８４】
ここで、条件式（５７）に代えて、以下の条件式（５７’）を満足することが好ましい。
Ｄos／ＬG1−０．３９×ＷＤ／ＢＦ＜１．５３      （５７’）
また、条件式（５７）に代えて、以下の条件式（５７’’）を満足することがより好ましい。
Ｄos／ＬG1−０．３９×ＷＤ／ＢＦ＜１．４０      （５７’’）
また、条件式（５７）に代えて、以下の条件式（５７’’’）を満足することがより好ましい。
Ｄos／ＬG1−０．３９×ＷＤ／ＢＦ＜１．３０      （５７’’’）
【０３８５】
また、本実施形態の撮像装置は、上述の光学系と、撮像素子と、を備えることを特徴とする。
【０３８６】
また、本実施形態の撮像システムは、撮像装置と、物体を保持するステージと、物体を照明する照明装置と、を有することを特徴とする。
【０３８７】
照明装置により物体を照明することで、撮像時のノイズが低減できるので、高い解像度で画像を取得することができる。
【０３８８】
また、本実施形態の撮像システムでは、撮像装置とステージとが一体になっていることが好ましい。
【０３８９】
本実施形態の光学系は物体側の開口数が大きいため、高い分解能を有するが、被写界深度が浅くなる。そこで、本実施形態の光学系用いる撮像システムでは、撮像装置と物体を保持するステージとを一体にすることが好ましい。このようにすることで、撮像装置と物体の相対位置や相対距離を一定に保つことができるので、解像度の高い像画像を取得することができる。
【０３９０】
また、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０３９１】
実施例１にかかる光学系について説明する。図１は実施例１にかかる光学系の光学構成を示す光軸に沿う断面図である。また、図２は実施例１にかかる光学系の収差図である。
【０３９２】
図２に示す収差図において、”ＦＩＹ”は像高を示している。なお、収差図における記号は、後述の実施例においても共通である。また、実施例１〜７の収差図において、（ａ）、（ｂ）、（ｃ）、（ｄ）は、それぞれ、球面収差（ＳＡ）、非点収差（ＡＳ）、歪曲収差（ＤＴ）、倍率色収差（ＣＣ）を示している。
【０３９３】
実施例１の光学系は、図１に示すように、物体側より順に、正屈折力のレンズユニットＧfと、開口絞りＳと、正屈折力のレンズユニットＧrと、を有している。なお、実施例１〜７において、レンズ断面中、Ｉは撮像素子の撮像面を示している。実施例１の光学系は、画素ピッチが０．６μｍから１．２μｍの撮像素子に好適である。
【０３９４】
レンズユニットＧfは、両凸正レンズＬ１と、物体側に凸面を向けた負メニスカスレンズＬ２と、像側に凸面を向けた正メニスカスレンズＬ３と、両凹負レンズＬ４と、物体側に凸面を向けた正メニスカスレンズＬ５と、からなる。
【０３９５】
レンズユニットＧrは、像側に凸面を向けた正メニスカスレンズＬ６と、両凹負レンズＬ７と、物体側に凸面を向けた正メニスカスレンズＬ８と、像側に凸面を向けた負メニスカスレンズＬ９と、両凸正レンズＬ１０と、からなる。
【０３９６】
開口絞りＳは、レンズ５とレンズ６の間に配置されている。
【０３９７】
非球面は、レンズＬ１〜レンズＬ１０の全てのレンズの両面に設けられている。
【０３９８】
本実施例の光学系は、条件式（１）、（２）、（３）を満足する一対のレンズを５つ有する。一対のレンズは、レンズＬ１とレンズＬ１０、レンズＬ２とレンズＬ９、レンズＬ３とレンズＬ８、レンズＬ４とレンズＬ７と、レンズＬ５とレンズＬ６である。また、一対のレンズにおいて、一方のレンズの形状と他方のレンズの形状は同じになっている。
【０３９９】
次に、実施例２にかかる光学系について説明する。図３は実施例２にかかる光学系の光学構成を示す光軸に沿う断面図である。また、図４は実施例２にかかる光学系の収差図である。
【０４００】
実施例２の光学系は、図３に示すように、物体側より順に、正屈折力のレンズユニットＧfと、開口絞りＳと、正屈折力のレンズユニットＧrと、を有している。実施例２の光学系は、画素ピッチが０．６μｍから１．２μｍの撮像素子に好適である。
【０４０１】
レンズユニットＧfは、両凸正レンズＬ１と、物体側に凸面を向けた負メニスカスレンズＬ２と、像側に凸面を向けた正メニスカスレンズＬ３と、両凹負レンズＬ４と、物体側に凸面を向けた正メニスカスレンズＬ５と、からなる。
【０４０２】
レンズユニットＧrは、像側に凸面を向けた正メニスカスレンズＬ６と、両凹負レンズＬ７と、物体側に凸面を向けた正メニスカスレンズＬ８と、像側に凸面を向けた負メニスカスレンズＬ９と、両凸正レンズＬ１０と、からなる。
【０４０３】
開口絞りＳは、レンズ５とレンズ６の間に配置されている。
【０４０４】
非球面は、レンズＬ１〜レンズＬ１０の全てのレンズの両面に設けられている。
【０４０５】
本実施例の光学系は、条件式（１）、（２）、（３）を満足する一対のレンズを５つ有する。一対のレンズは、レンズＬ１とレンズＬ１０、レンズＬ２とレンズＬ９、レンズＬ３とレンズＬ８、レンズＬ４とレンズＬ７と、レンズＬ５とレンズＬ６である。また、一対のレンズにおいて、一方のレンズの形状と他方のレンズの形状は、若干異なっている。
【０４０６】
次に、実施例３にかかる光学系について説明する。図５は実施例３にかかる光学系の光学構成を示す光軸に沿う断面図である。また、図６は実施例３にかかる光学系の収差図である。
【０４０７】
実施例３の光学系は、図５に示すように、物体側より順に、正屈折力のレンズユニットＧfと、開口絞りＳと、正屈折力のレンズユニットＧrと、を有している。実施例３の光学系は、画素ピッチが０．６μｍから１．２μｍの撮像素子に好適である。
【０４０８】
レンズユニットＧfは、両凸正レンズＬ１と、像側に凸面を向けた正メニスカスレンズＬ２と、物体側に凸面を向けた負メニスカスレンズＬ３と、像側に凸面を向けた負メニスカスレンズＬ４と、両凹負レンズＬ５と、物体側に凸面を向けた正メニスカスレンズＬ６と、からなる。
【０４０９】
レンズユニットＧrは、像側に凸面を向けた正メニスカスレンズＬ７と、両凹負レンズＬ８と、物体側に凸面を向けた負メニスカスレンズＬ９と、像側に凸面を向けた負メニスカスレンズＬ１０と、物体側に凸面を向けた正メニスカスレンズＬ１１と、両凸正レンズＬ１２と、からなる。
【０４１０】
開口絞りＳは、レンズ６とレンズ７の間に配置されている。
【０４１１】
非球面は、レンズＬ１〜レンズＬ１２の全てのレンズの両面に設けられている。
【０４１２】
本実施例の光学系は、条件式（１）、（２）、（３）を満足する一対のレンズを６つ有する。一対のレンズは、レンズＬ１とレンズＬ１２、レンズＬ２とレンズＬ１１、レンズＬ３とレンズＬ１０、レンズＬ４とレンズＬ９と、レンズＬ５とレンズＬ８、レンズＬ６とレンズＬ７である。また、一対のレンズにおいて、一方のレンズの形状と他方のレンズの形状は同じになっている。
【０４１３】
次に、実施例４にかかる光学系について説明する。図７は実施例４にかかる光学系の光学構成を示す光軸に沿う断面図である。また、図８は実施例４にかかる光学系の収差図である。
【０４１４】
実施例４の光学系は、図７に示すように、物体側より順に、正屈折力のレンズユニットＧfと、開口絞りＳと、正屈折力のレンズユニットＧrと、を有している。実施例４の光学系は、画素ピッチが０．６μｍから１．２μｍの撮像素子に好適である。
【０４１５】
レンズユニットＧfは、両凸正レンズＬ１と、物体側に凸面を向けた負メニスカスレンズＬ２と、像側に凸面を向けた正メニスカスレンズＬ３と、物体側に凸面を向けた負メニスカスレンズＬ４と、両凸正レンズＬ５と、からなる。
【０４１６】
レンズユニットＧrは、両凸正レンズＬ６と、像側に凸面を向けた負メニスカスレンズＬ７と、物体側に凸面を向けた正メニスカスレンズＬ８と、像側に凸面を向けた負メニスカスレンズＬ９と、像側に凸面を向けた負メニスカスレンズＬ１０と、両凸正レンズＬ１１と、からなる。
【０４１７】
開口絞りＳは、レンズ５とレンズ６の間に配置されている。
【０４１８】
非球面は、レンズＬ１〜レンズＬ１１の全てのレンズの両面に設けられている。
【０４１９】
本実施例の光学系は、条件式（１）、（２）、（３）を満足する一対のレンズを４つ有する。一対のレンズは、レンズＬ１とレンズＬ１１、レンズＬ３とレンズＬ８、レンズＬ４とレンズＬ７と、レンズＬ５とレンズＬ６である。また、一対のレンズにおいて、一方のレンズの形状と他方のレンズの形状は同じになっている。
【０４２０】
次に、実施例５にかかる光学系について説明する。図９は実施例５にかかる光学系の光学構成を示す光軸に沿う断面図である。また、図１０は実施例５にかかる光学系の収差図である。
【０４２１】
実施例５の光学系は、図９に示すように、物体側より順に、正屈折力のレンズユニットＧfと、開口絞りＳと、正屈折力のレンズユニットＧrと、を有している。実施例５の光学系は、画素ピッチが１．０μｍから１．６μｍの撮像素子に好適である。
【０４２２】
レンズユニットＧfは、両凸正レンズＬ１と、物体側に凸面を向けた負メニスカスレンズＬ２と、像側に凸面を向けた正メニスカスレンズＬ３と、物体側に凸面を向けた負メニスカスレンズＬ４と、両凸正レンズＬ５と、からなる。
【０４２３】
レンズユニットＧrは、両凸正レンズＬ６と、像側に凸面を向けた負メニスカスレンズＬ７と、物体側に凸面を向けた正メニスカスレンズＬ８と、像側に凸面を向けた正メニスカスレンズＬ９と、両凹負レンズＬ１０と、両凸正レンズＬ１１と、からなる。
【０４２４】
開口絞りＳは、レンズ５とレンズ６の間に配置されている。
【０４２５】
非球面は、レンズＬ１〜レンズＬ１１の全てのレンズの両面に設けられている。
【０４２６】
本実施例の光学系は、条件式（１）、（２）、（３）を満足する一対のレンズを２つ有する。一対のレンズは、レンズＬ３とレンズＬ８、レンズＬ５とレンズＬ６である。また、一対のレンズにおいて、一方のレンズの形状と他方のレンズの形状は同じになっている。
【０４２７】
次に、実施例６にかかる光学系について説明する。図１１は実施例６にかかる光学系の光学構成を示す光軸に沿う断面図である。また、図１２は実施例６にかかる光学系の収差図である。
【０４２８】
実施例６の光学系は、図１１に示すように、物体側より順に、正屈折力のレンズユニットＧfと、開口絞りＳと、正屈折力のレンズユニットＧrと、を有している。実施例６の光学系は、画素ピッチが０．９μｍから１．５μｍの撮像素子に好適である。
【０４２９】
レンズユニットＧfは、像側に凸面を向けた負メニスカスレンズＬ１と、物体側に凸面を向けた正メニスカスレンズＬ２と、両凹負レンズＬ３と、両凸正レンズＬ４と、からなる。
【０４３０】
レンズユニットＧrは、両凸正レンズＬ５と、両凹負レンズＬ６と、像側に凸面を向けた正メニスカスレンズＬ７と、両凹負レンズＬ８と、からなる。
【０４３１】
開口絞りＳは、両凸正レンズＬ４の像側にあって、像側面頂よりも物体側に位置している。
【０４３２】
非球面は、レンズＬ１〜レンズＬ８の全てのレンズの両面に設けられている。
【０４３３】
本実施例の光学系は、条件式（１）、（２）、（３）を満足する一対のレンズを有していない。
【０４３４】
次に、実施例７にかかる光学系について説明する。図１３は実施例７にかかる光学系の光学構成を示す光軸に沿う断面図である。また、図１４は実施例７にかかる光学系の収差図である。
【０４３５】
実施例７の光学系は、図１３に示すように、物体側より順に、正屈折力のレンズユニットＧfと、開口絞りＳと、正屈折力のレンズユニットＧrと、を有している。実施例７の光学系は、画素ピッチが０．７μｍから１．３μｍの撮像素子に好適である。
【０４３６】
レンズユニットＧfは、両凹負レンズＬ１と、物体側に凸面を向けた正メニスカスレンズＬ２と、両凹負レンズＬ３と、両凸正レンズＬ４と、からなる。
【０４３７】
レンズユニットＧrは、両凸正レンズＬ５と、両凹負レンズＬ６と、像側に凸面を向けた正メニスカスレンズＬ７と、物体側に凸面を向けた負メニスカスレンズＬ８と、からなる。
【０４３８】
開口絞りＳは、両凸正レンズＬ５の物体側にあって、物体側面頂よりも像側に位置している。
【０４３９】
非球面は、レンズＬ１〜レンズＬ８の全てのレンズの両面に設けられている。
【０４４０】
本実施例の光学系は、条件式（１）、（２）、（３）を満足する一対のレンズを有していない。
【０４４１】
以下の実施例の一部には、回折光学素子が用いられている。ここで用いられている回折光学素子は、少なくとも２層の互いに異なる光学材料で積層された光学素子であって、その境界面にレリーフパターンを形成してなり、広い波長域で回折効率を高くした、特許第３７１７５５５号公報に記載されているような回折光学素子を用いている。しかし、本実施例の光学系に用いる回折光学素子は、そのようなものに限定されず、例えば、特開２００３−２１５４５７号公報や特開平１１−１３３３０５号公報に記載されたような回折光学素子であってもかまわない。
【０４４２】
次に、実施例８にかかる光学系について説明する。図１５（ａ）は実施例８にかかる光学系の光学構成を示す光軸に沿う断面図である。また、図１５（ｂ）、（ｃ）、（ｄ）、（ｅ）は、実施例８にかかる光学系の収差図である。
【０４４３】
図１５に示す収差図において、“ＦＩＹ”は像高を示している。なお、収差図における記号は、後述の実施例においても共通である。また、実施例８〜９６の収差図において、（ｂ）、（ｃ）、（ｄ）、（ｅ）は、それぞれ、球面収差（ＳＡ）、非点収差（ＡＳ）、歪曲収差（ＤＴ）、倍率色収差（ＣＣ）を示している。
【０４４４】
実施例８の光学系は、図１５（ａ）に示すように、物体側より順に、正の屈折力の第１レンズ群Ｇ１と、開口絞りＳと、正の屈折力の第２レンズ群Ｇ２と、を有している。なお、実施例８〜９６において、レンズ断面図中、Ｓは絞りを示し、Ｃはカバーガラスを示し、Ｉは撮像素子の撮像面を示している。
【０４４５】
第１レンズ群Ｇ１は、両凸正レンズＬ１と、物体側に凸面を向けた正メニスカスレンズＬ２と、両凸正レンズＬ３と、両凹負レンズＬ４とからなる。両凸正レンズＬ３と両凹負レンズＬ４とは接合されている。
【０４４６】
第２レンズ群Ｇ２は、像側に凸面を向けた負メニスカスレンズＬ５と、像側に凸面を向けた正メニスカスレンズＬ６と、物体側に凸面を向けた正メニスカスレンズＬ７と、両凸正レンズＬ８と、両凹負レンズＬ９とからなる。負メニスカスレンズＬ５と正メニスカスレンズＬ６とは接合されている。所定のレンズ群は両凹負レンズＬ９からなる。
【０４４７】
開口絞りＳは、両凹負レンズＬ４と負メニスカスレンズＬ５の間に配置されている。
【０４４８】
非球面は、正メニスカスレンズＬ２の像側の面と、正メニスカスレンズＬ７の両面と、両凸正レンズＬ８の両面と、両凹負レンズＬ９の両面との７面に用いられている。
【０４４９】
次に、実施例９にかかる光学系について説明する。図１６（ａ）は実施例９にかかる光学系の光学構成を示す光軸に沿う断面図である。また、図１６（ｂ）、（ｃ）、（ｄ）、（ｅ）は、実施例９にかかる光学系の収差図である。
【０４５０】
実施例９の光学系は、図１６（ａ）に示すように、物体側より順に、正の屈折力の第１レンズ群Ｇ１と、開口絞りＳと、正の屈折力の第２レンズ群Ｇ２と、を有している。
【０４５１】
第１レンズ群Ｇ１は、両凸正レンズＬ１と、両凹負レンズＬ２と、両凸正レンズＬ３と、両凸正レンズＬ４と、両凹負レンズＬ５とからなる。両凸正レンズＬ４と両凹負レンズＬ５とは接合されている。
【０４５２】
第２レンズ群Ｇ２は、像側に凸面を向けた負メニスカスレンズＬ６と、像側に凸面を向けた正メニスカスレンズＬ７と、両凸正レンズＬ８と、両凸正レンズＬ９と、両凹負レンズＬ１０とからなる。負メニスカスレンズＬ６と正メニスカスレンズＬ７とは接合されている。所定のレンズ群は両凹負レンズＬ１０からなる。
【０４５３】
開口絞りＳは、両凹負レンズＬ５と負メニスカスレンズＬ６の間に配置されている。
【０４５４】
非球面は、両凹負レンズＬ２の両面と、両凸正レンズＬ３の像側の面と、両凸正レンズＬ８の両面と、両凸正レンズＬ９の両面と、両凹負レンズＬ１０の両面との９面に用いられている。
【０４５５】
次に、実施例１０にかかる光学系について説明する。図１７（ａ）は実施例１０にかかる光学系の光学構成を示す光軸に沿う断面図である。また、図１７（ｂ）、（ｃ）、（ｄ）、（ｅ）は、実施例１０にかかる光学系の収差図である。
【０４５６】
実施例１０の光学系は、図１７（ａ）に示すように、物体側より順に、正の屈折力の第１レンズ群Ｇ１と、開口絞りＳと、正の屈折力の第２レンズ群Ｇ２と、を有している。
【０４５７】
第１レンズ群Ｇ１は、両凸正レンズＬ１と、物体側に凸面を向けた正メニスカスレンズＬ２と、両凸正レンズＬ３と、両凹負レンズＬ４とからなる。両凸正レンズＬ３と両凹負レンズＬ４とは接合されている。
【０４５８】
第２レンズ群Ｇ２は、像側に凸面を向けた負メニスカスレンズＬ５と、像側に凸面を向けた正メニスカスレンズＬ６と、両凸正レンズＬ７と、両凹負レンズＬ８と、両凸正レンズＬ９と、像側に凸面を向けた負メニスカスレンズＬ１０とからなる。負メニスカスレンズＬ５と正メニスカスレンズＬ６とは接合されている。また、両凸正レンズＬ７と両凹負レンズＬ８とは接合されている。所定のレンズ群は負メニスカスレンズＬ１０からなる。
【０４５９】
開口絞りＳは、両凹負レンズＬ４と負メニスカスレンズＬ５の間に配置されている。
【０４６０】
非球面は、正メニスカスレンズＬ２の像側の面と、両凸正レンズＬ９の両面と、負メニスカスレンズＬ１０の両面との５面に用いられている。
【０４６１】
次に、実施例１１にかかる光学系について説明する。図１８（ａ）は実施例１１にかかる光学系の光学構成を示す光軸に沿う断面図である。また、図１８（ｂ）、（ｃ）、（ｄ）、（ｅ）は、実施例１１にかかる光学系の収差図である。
【０４６２】
実施例１１の光学系は、図１８（ａ）に示すように、物体側より順に、正の屈折力の第１レンズ群Ｇ１と、開口絞りＳと、正の屈折力の第２レンズ群Ｇ２と、を有している。
【０４６３】
第１レンズ群Ｇ１は、両凸正レンズＬ１と、物体側に凸面を向けた正メニスカスレンズＬ２と、両凸正レンズＬ３と、両凹負レンズＬ４とからなる。両凸正レンズＬ３と両凹負レンズＬ４とは接合されている。
【０４６４】
第２レンズ群Ｇ２は、物体側に凸面を向けた負メニスカスレンズＬ５と、物体側に凸面を向けた正メニスカスレンズＬ６と、両凸正レンズＬ７、両凸正レンズＬ８と、両凹負レンズＬ９と、両凹負レンズＬ１０とからなる。負メニスカスレンズＬ５と正メニスカスレンズＬ６とは接合されている。また、両凸正レンズＬ８と両凹負レンズＬ９とは接合されている。所定のレンズ群は両凹負レンズＬ１０からなる。
【０４６５】
開口絞りＳは、両凹負レンズＬ４と負メニスカスレンズＬ５の間に配置されている。
【０４６６】
非球面は、正メニスカスレンズＬ２の像側の面と、両凸正レンズＬ７の両面と、両凹負レンズＬ１０の両面との５面に用いられている。
【０４６７】
次に、実施例１２にかかる光学系について説明する。図１９（ａ）は実施例１２にかかる光学系の光学構成を示す光軸に沿う断面図である。また、図１９（ｂ）、（ｃ）、（ｄ）、（ｅ）は、実施例１２にかかる光学系の収差図である。
【０４６８】
実施例１２の光学系は、図１９（ａ）に示すように、物体側より順に、正の屈折力の第１レンズ群Ｇ１と、開口絞りＳと、正の屈折力の第２レンズ群Ｇ２と、を有している。
【０４６９】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０４７０】
第２レンズ群Ｇ２は、物体側に凸面を向けた負メニスカスレンズＬ７と、物体側に凸面を向けた正メニスカスレンズＬ８と、物体側に凸面を向けた正メニスカスレンズＬ９と、物体側に凸面を向けた正メニスカスレンズＬ１０と、両凹負レンズＬ１１とからなる。負メニスカスレンズＬ７と正メニスカスレンズＬ８とは接合されている。所定のレンズ群は両凹負レンズＬ１１からなる。
【０４７１】
開口絞りＳは、両凹負レンズＬ６と負メニスカスレンズＬ７の間に配置されている。
【０４７２】
非球面は、両凸正レンズＬ１の像側の面と、両凹負レンズＬ２の両面と、両凸正レンズＬ３の物体側の面と、正メニスカスレンズＬ９の両面と、正メニスカスレンズＬ１０の両面と、両凹負レンズＬ１１の両面との１０面に用いられている。
【０４７３】
次に、実施例１３にかかる光学系について説明する。図２０（ａ）は実施例１３にかかる光学系の光学構成を示す光軸に沿う断面図である。また、図２０（ｂ）、（ｃ）、（ｄ）、（ｅ）は、実施例１３にかかる光学系の収差図である。
【０４７４】
実施例１３の光学系は、図２０（ａ）に示すように、物体側より順に、正の屈折力の第１レンズ群Ｇ１と、開口絞りＳと、正の屈折力の第２レンズ群Ｇ２と、を有している。
【０４７５】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０４７６】
第２レンズ群Ｇ２は、両凸正レンズＬ７と、両凹負レンズＬ８と、物体側に凸面を向けた正メニスカスレンズＬ９と、物体側に凸面を向けた正メニスカスレンズＬ１０と、両凹負レンズＬ１１とからなる。所定のレンズ群は両凹負レンズＬ１１からなる。
【０４７７】
開口絞りＳは、両凹負レンズＬ６と両凸正レンズＬ７の間に配置されている。
【０４７８】
非球面は、両凸正レンズＬ１の像側の面と、両凹負レンズＬ２の両面と、両凸正レンズＬ３の物体側の面と、正メニスカスレンズＬ９の両面と、正メニスカスレンズＬ１０の両面と、両凹負レンズＬ１１の両面との１０面に用いられている。
【０４７９】
次に、実施例１４にかかる光学系について説明する。図２１（ａ）は実施例１４にかかる光学系の光学構成を示す光軸に沿う断面図である。また、図２１（ｂ）、（ｃ）、（ｄ）、（ｅ）は、実施例１４にかかる光学系の収差図である。
【０４８０】
実施例１４の光学系は、図２１（ａ）に示すように、物体側より順に、正の屈折力の第１レンズ群Ｇ１と、開口絞りＳと、負の屈折力の第２レンズ群Ｇ２と、を有している。
【０４８１】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０４８２】
第２レンズ群Ｇ２は、物体側に凸面を向けた負メニスカスレンズＬ７と、両凸正レンズＬ８と、物体側に凸面を向けた正メニスカスレンズＬ９と、両凹負レンズＬ１０とからなる。所定のレンズ群は両凹負レンズＬ１０からなる。
【０４８３】
開口絞りＳは、両凹負レンズＬ６と負メニスカスレンズＬ７の間に配置されている。
【０４８４】
非球面は、両凸正レンズＬ１の像側の面と、両凹負レンズＬ２の両面と、両凸正レンズＬ３の物体側面と、両凸正レンズＬ８の両面と、正メニスカスレンズＬ９の両面と、両凹負レンズＬ１０の両面との１０面に用いられている。
【０４８５】
次に、実施例１５にかかる光学系について説明する。図２２（ａ）は実施例１５にかかる光学系の光学構成を示す光軸に沿う断面図である。また、図２２（ｂ）、（ｃ）、（ｄ）、（ｅ）は、実施例１５にかかる光学系の収差図である。
【０４８６】
実施例１５の光学系は、図２２（ａ）に示すように、物体側より順に、正の屈折力の第１レンズ群Ｇ１と、開口絞りＳと、正の屈折力の第２レンズ群Ｇ２と、を有している。
【０４８７】
第１レンズ群Ｇ１は、物体側に凸面を向けた正メニスカスレンズＬ１と、両凸正レンズＬ２と、両凸正レンズＬ３と、両凸正レンズＬ４と、両凹負レンズＬ５とからなる。両凸正レンズＬ４と両凹負レンズＬ５とは接合されている。
【０４８８】
第２レンズ群Ｇ２は、両凹負レンズＬ６と、両凸正レンズＬ７と、両凸正レンズＬ８と、両凸正レンズＬ９と、両凹負レンズＬ１０と、両凹負レンズＬ１１とからなる。両凹負レンズＬ６と両凸正レンズＬ７とは接合されている。所定のレンズ群は、両凹負レンズＬ１０と両凹負レンズＬ１１とからなる。
【０４８９】
開口絞りＳは、両凹負レンズＬ５と両凹負レンズＬ６の間に配置されている。
【０４９０】
非球面は、正メニスカスレンズＬ１の両面と、両凸正レンズＬ３の像側の面と、両凸正レンズＬ８の両面と、両凸正レンズＬ９の両面と、両凹負レンズＬ１０の両面と、両凹負レンズＬ１１の両面との１１面に用いられている。
【０４９１】
次に、実施例１６にかかる光学系について説明する。図２３（ａ）は実施例１６にかかる光学系の光学構成を示す光軸に沿う断面図である。また、図２３（ｂ）、（ｃ）、（ｄ）、（ｅ）は、実施例１６にかかる光学系の収差図である。
【０４９２】
実施例１６の光学系は、図２３（ａ）に示すように、物体側より順に、正の屈折力の第１レンズ群Ｇ１と、開口絞りＳと、正の屈折力の第２レンズ群Ｇ２と、を有している。
【０４９３】
第１レンズ群Ｇ１は、物体側に凸面を向けた正メニスカスレンズＬ１と、両凸正レンズＬ２と、両凸正レンズＬ３と、両凸正レンズＬ４と、両凹負レンズＬ５とからなる。両凸正レンズＬ４と両凹負レンズＬ５とは接合されている。
【０４９４】
第２レンズ群Ｇ２は、両凹負レンズＬ６と、両凸正レンズＬ７と、両凸正レンズＬ８と、両凸正レンズＬ９と、両凹負レンズＬ１０とからなる。両凹負レンズＬ６と両凸正レンズＬ７とは接合されている。所定のレンズ群は両凹負レンズＬ１０からなる。
【０４９５】
開口絞りＳは、両凹負レンズＬ５と両凹負レンズＬ６の間に配置されている。
【０４９６】
非球面は、正メニスカスレンズＬ１の両面と、両凸正レンズＬ３の像側の面と、両凸正レンズＬ８の両面と、両凸正レンズＬ９の両面と、両凹負レンズＬ１０の両面との９面に用いられている。
【０４９７】
次に、実施例１７にかかる光学系について説明する。図２４（ａ）は実施例１７にかかる光学系の光学構成を示す光軸に沿う断面図である。また、図２４（ｂ）、（ｃ）、（ｄ）、（ｅ）は、実施例１７にかかる光学系の収差図である。
【０４９８】
実施例１７の光学系は、図２４（ａ）に示すように、物体側より順に、正の屈折力の第１レンズ群Ｇ１と、開口絞りＳと、正の屈折力の第２レンズ群Ｇ２と、を有している。
【０４９９】
第１レンズ群Ｇ１は、両凸正レンズＬ１と、両凸正レンズＬ２と、両凸正レンズＬ３と、両凹負レンズＬ４とからなる。両凸正レンズＬ３と両凹負レンズＬ４とは接合されている。
【０５００】
第２レンズ群Ｇ２は、像側に凸面を向けた負メニスカスレンズＬ５と、像側に凸面を向けた正メニスカスレンズＬ６と、両凸正レンズＬ７と、物体側に凸面を向けた正メニスカスレンズＬ８と、両凹負レンズＬ９とからなる。負メニスカスレンズＬ５と正メニスカスレンズＬ６とは接合されている。所定のレンズ群は両凹負レンズＬ９からなる。
【０５０１】
開口絞りＳは、両凹負レンズＬ４と負メニスカスレンズＬ５の間に配置されている。
【０５０２】
非球面は、両凸正レンズＬ２の像側の面と、両凸正レンズＬ７の両面と、正メニスカスレンズＬ８の両面と、両凹負レンズＬ９の両面との７面に用いられている。
【０５０３】
次に、実施例１８にかかる光学系について説明する。図２５（ａ）は実施例１８にかかる光学系の光学構成を示す光軸に沿う断面図である。また、図２５（ｂ）、（ｃ）、（ｄ）、（ｅ）は、実施例１８にかかる光学系の収差図である。
【０５０４】
実施例１８の光学系は、図２５（ａ）に示すように、物体側より順に、正の屈折力の第１レンズ群Ｇ１と、開口絞りＳと、正の屈折力の第２レンズ群Ｇ２と、を有している。
【０５０５】
第１レンズ群Ｇ１は、両凸正レンズＬ１と、物体側に凸面を向けた正メニスカスレンズＬ２と、両凸正レンズＬ３と、両凹負レンズＬ４とからなる。両凸正レンズＬ３と両凹負レンズＬ４とは接合されている。
【０５０６】
第２レンズ群Ｇ２は、物体側に凸面を向けた負メニスカスレンズＬ５と、物体側に凸面を向けた正メニスカスレンズＬ６と、両凸正レンズＬ７と、像側に凸面を向けた正メニスカスレンズＬ８と、両凹負レンズＬ９と、像側に凸面を向けた負メニスカスレンズＬ１０とからなる。負メニスカスレンズＬ５と正メニスカスレンズＬ６とは接合されている。所定のレンズ群は、両凹負レンズＬ９と負メニスカスレンズＬ１０とからなる。
【０５０７】
開口絞りＳは、両凹負レンズＬ４と負メニスカスレンズＬ５の間に配置されている。
【０５０８】
非球面は、正メニスカスレンズＬ２の像側の面と、両凸正レンズＬ７の両面と、負メニスカスレンズＬ１０の両面との５面に用いられている。
【０５０９】
次に、実施例１９にかかる光学系について説明する。図２６（ａ）は実施例１９にかかる光学系の光学構成を示す光軸に沿う断面図である。また、図２６（ｂ）、（ｃ）、（ｄ）、（ｅ）は、実施例１９にかかる光学系の収差図である。
【０５１０】
実施例１９の光学系は、図２６（ａ）に示すように、物体側より順に、正の屈折力の第１レンズ群Ｇ１と、開口絞りＳと、負の屈折力の第２レンズ群Ｇ２と、を有している。
【０５１１】
第１レンズ群Ｇ１は、回折光学素子ＤＬと、両凸正レンズＬ１と、物体側に凸面を向けた正メニスカスレンズＬ２と、両凸正レンズＬ３と、両凹負レンズＬ４からなる。両凸正レンズＬ３と両凹負レンズＬ４とは接合されている。
【０５１２】
第２レンズ群Ｇ２は、物体側に凸面を向けた負メニスカスレンズＬ５と、物体側に凸面を向けた正メニスカスレンズＬ６と、物体側に凸面を向けた正メニスカスレンズＬ７と、像側に凸面を向けた負メニスカスレンズＬ８と、両凸正レンズＬ９と、両凹負レンズＬ１０と、両凹負レンズＬ１１とからなる。負メニスカスレンズＬ５と正メニスカスレンズＬ６とは接合されている。所定のレンズ群は、両凹負レンズＬ１０と両凹負レンズＬ１１とからなる。
【０５１３】
回折光学素子ＤＬは、全体として正の屈折力を有している。回折光学素子ＤＬは、物体側に凸面を向けた正メニスカスレンズと、物体側に凸面を向けた負メニスカスレンズとにより構成されている。正メニスカスレンズと負メニスカスレンズとの境界面にレリーフパターンを形成して、境界面を回折面としている。
【０５１４】
開口絞りＳは、両凹負レンズＬ４と負メニスカスレンズＬ５の間に配置されている。
【０５１５】
非球面は、両凸正レンズＬ１の物体側の面と、正メニスカスレンズＬ２の像側の面と、正メニスカスレンズＬ７の両面と、負メニスカスレンズＬ８の両面と、両凸正レンズＬ９の両面と、両凹負レンズＬ１０の両面と、両凹負レンズＬ１１の両面との１２面に用いられている。
【０５１６】
次に、実施例２０にかかる光学系について説明する。図２７（ａ）は実施例２０にかかる光学系の光学構成を示す光軸に沿う断面図である。また、図２７（ｂ）、（ｃ）、（ｄ）、（ｅ）は、実施例２０にかかる光学系の収差図である。
【０５１７】
実施例２０の光学系は、図２７（ａ）に示すように、正の屈折力の第１レンズ群Ｇ１と、開口絞りＳと、正の屈折力の第２レンズ群Ｇ２と、を有している。
【０５１８】
第１レンズ群Ｇ１は、両凸正レンズＬ１と、両凹負レンズＬ２と、両凸正レンズＬ３と、両凸正レンズＬ４と、両凹負レンズＬ５とからなる。両凸正レンズＬ４と両凹負レンズＬ５とは接合されている。
【０５１９】
第２レンズ群Ｇ２は、両凹負レンズＬ６と、両凸正レンズＬ７と、両凸正レンズＬ８と、物体側に凸面を向けた正メニスカスレンズＬ９と、両凸正レンズＬ１０と、像側に凸面を向けた負メニスカスレンズＬ１１と、像側に凸面を向けた負メニスカスレンズＬ１２とからなる。両凹負レンズＬ６と両凸正レンズＬ７とは接合されている。所定のレンズ群は、負メニスカスレンズＬ１１と負メニスカスレンズＬ１２とからなる。
【０５２０】
開口絞りＳは、両凹負レンズＬ５と両凹負レンズＬ６の間に配置されている。
【０５２１】
非球面は、両凸正レンズＬ１の両面と、両凹負レンズＬ２の両面と、両凸正レンズＬ３の両面と、両凸正レンズＬ８の両面と、正メニスカスレンズＬ９の両面と、両凸正レンズＬ１０の両面と、負メニスカスレンズＬ１１の両面と、負メニスカスレンズＬ１２の両面との１６面に設けられている。
【０５２２】
次に、実施例２１にかかる光学系について説明する。図２８（ａ）は実施例２１にかかる光学系の光学構成を示す光軸に沿う断面図である。また、図２８（ｂ）、（ｃ）、（ｄ）、（ｅ）は、実施例２１にかかる光学系の収差図である。
【０５２３】
実施例２１の光学系は、図２８（ａ）に示すように、正の屈折力の第１レンズ群Ｇ１と、開口絞りＳと、負の屈折力の第２レンズ群Ｇ２と、を有している。
【０５２４】
第１レンズ群Ｇ１は、両凸正レンズＬ１と、物体側に凸面を向けた負メニスカスレンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０５２５】
第２レンズ群Ｇ２は、両凹負レンズＬ７と、物体側に凸面を向けた正メニスカスレンズＬ８と、物体側に凸面を向けた正メニスカスレンズＬ９と、両凸正レンズＬ１０と、物体側に凸面を向けた正メニスカスレンズＬ１１と、両凹負レンズＬ１２と、物体側に凸面を向けた負メニスカスレンズＬ１３とからなる。両凹負レンズＬ７と正メニスカスレンズＬ８とは接合されている。所定のレンズ群は、両凹負レンズＬ１２と負メニスカスレンズＬ１３とからなる。
【０５２６】
開口絞りＳは、両凹負レンズＬ６と両凹負レンズＬ７の間に配置されている。
【０５２７】
非球面は、両凸正レンズＬ１の両面と、負メニスカスレンズＬ２の両面と、両凸正レンズＬ３の物体側の面と、両凸正レンズＬ４の像側の面と、正メニスカスレンズＬ９の両面と、両凸正レンズＬ１０の両面と、正メニスカスレンズＬ１１の両面と、両凹負レンズＬ１２の両面と、負メニスカスレンズＬ１３の両面との１６面に設けられている。
【０５２８】
次に、実施例２２にかかる光学系について説明する。図２９（ａ）は実施例２２にかかる光学系の光学構成を示す光軸に沿う断面図である。また、図２９（ｂ）、（ｃ）、（ｄ）、（ｅ）は、実施例２２にかかる光学系の収差図である。
【０５２９】
実施例２２の光学系は、図２９（ａ）に示すように、正の屈折力の第１レンズ群Ｇ１と、開口絞りＳと、負の屈折力の第２レンズ群Ｇ２と、を有している。
【０５３０】
第１レンズ群Ｇ１は、物体側に凸面を向けた正メニスカスレンズＬ１と、物体側に凸面を向けた負メニスカスレンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０５３１】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２と、像側に凸面を向けた負メニスカスレンズＬ１３とからなる。負メニスカスレンズＬ７と正メニスカスレンズＬ８とは接合されている。所定のレンズ群は、両凹負レンズＬ１２と負メニスカスレンズＬ１３とからなる。
【０５３２】
開口絞りＳは、両凹負レンズＬ６と負メニスカスレンズＬ７の間に配置されている。
【０５３３】
非球面は、正メニスカスレンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面と、負メニスカスレンズＬ１３の両面との１４面に設けられている。
【０５３４】
次に、実施例２３にかかる光学系について説明する。図３０（ａ）は実施例２３にかかる光学系の光学構成を示す光軸に沿う断面図である。また、図３０（ｂ）、（ｃ）、（ｄ）、（ｅ）は、実施例２３にかかる光学系の収差図である。
【０５３５】
実施例２３の光学系は、図３０（ａ）に示すように、正の屈折力の第１レンズ群Ｇ１と、開口絞りＳと、負の屈折力の第２レンズ群Ｇ２と、を有している。
【０５３６】
第１レンズ群Ｇ１は、物体側に凸面を向けた負メニスカスレンズＬ１と、物体側に凸面を向けた正メニスカスレンズＬ２と、物体側に凸面を向けた負メニスカスレンズＬ３と、両凸正レンズＬ４と、両凸正レンズＬ５と、両凸正レンズＬ６と、両凹負レンズＬ７とからなる。負メニスカスレンズＬ１と正メニスカスレンズＬ２とは接合されている。また、両凸正レンズＬ６と両凹負レンズＬ７とは接合されている。
【０５３７】
第２レンズ群Ｇ２は、物体側に凸面を向けた負メニスカスレンズＬ８と、物体側に凸面を向けた正メニスカスレンズＬ９と、両凸正レンズＬ１０と、両凹負レンズＬ１１と、両凸正レンズＬ１２と、両凹負レンズＬ１３と、像側に凸面を向けた負メニスカスレンズＬ１４とからなる。負メニスカスレンズＬ８と正メニスカスレンズＬ９とは接合されている。所定のレンズ群は、両凹負レンズＬ１３と負メニスカスレンズＬ１４とからなる。
【０５３８】
開口絞りＳは、両凹負レンズＬ７と負メニスカスレンズＬ８の間に配置されている。
【０５３９】
非球面は、両凸正レンズＬ４の物体側の面と、両凸正レンズＬ５の像側の面と、両凸正レンズＬ１０の両面と、両凹負レンズＬ１１の両面と、両凸正レンズＬ１２の両面と、両凹負レンズＬ１３の両面と、負メニスカスレンズＬ１４の両面との１２面に設けられている。
【０５４０】
次に、実施例２４にかかる光学系について説明する。図３１（ａ）は実施例２４にかかる光学系の光学構成を示す光軸に沿う断面図である。また、図３１（ｂ）、（ｃ）、（ｄ）、（ｅ）は、実施例２４にかかる光学系の収差図である。
【０５４１】
実施例２４の光学系は、図３１（ａ）に示すように、正の屈折力の第１レンズ群Ｇ１と、開口絞りＳと、正の屈折力の第２レンズ群Ｇ２と、を有している。
【０５４２】
第１レンズ群Ｇ１は、両凸正レンズＬ１と、両凹負レンズＬ２と、両凸正レンズＬ３と、両凸正レンズＬ４と、像側に凸面を向けた正メニスカスレンズＬ５と、両凹負レンズＬ６とからなる。正メニスカスレンズＬ５と両凹負レンズＬ６は接合されている。
【０５４３】
第２レンズ群Ｇ２は、両凹負レンズＬ７と、両凸正レンズＬ８と、両凸正レンズＬ９と、物体側に凸面を向けた負メニスカスレンズＬ１０と、両凸正レンズＬ１１と、両凹負レンズＬ１２と、像側に凸面を向けた負メニスカスレンズＬ１３とからなる。両凹負レンズＬ７と両凸正レンズＬ８とは接合されている。所定のレンズ群は、両凹負レンズＬ１２と負メニスカスレンズＬ１３とからなる。
【０５４４】
開口絞りＳは、両凹負レンズＬ６と両凹負レンズＬ７の間に配置されている。
【０５４５】
非球面は、両凸正レンズＬ１の両面と、両凸正レンズＬ３の物体側の面と、両凸正レンズＬ４の像側の面と、両凸正レンズＬ９の両面と、負メニスカスレンズＬ１０の両面と、両凸正レンズＬ１１の両面と、両凹負レンズＬ１２の両面と、負メニスカスレンズＬ１３の両面との１４面に設けられている。
【０５４６】
次に、実施例２５にかかる光学系について説明する。図３２（ａ）は実施例２５にかかる光学系の光学構成を示す光軸に沿う断面図である。また、図３２（ｂ）、（ｃ）、（ｄ）、（ｅ）は、実施例２５にかかる光学系の収差図である。
【０５４７】
実施例２５の光学系は、図３２（ａ）に示すように、正の屈折力の第１レンズ群Ｇ１と、開口絞りＳと、正の屈折力の第２レンズ群Ｇ２と、を有している。
【０５４８】
第１レンズ群Ｇ１は、両凸正レンズＬ１と、両凹負レンズＬ２と、両凸正レンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０５４９】
第２レンズ群Ｇ２は、物体側に凸面を向けた負メニスカスレンズＬ７と、両凸正レンズＬ８と、物体側に凸面を向けた正メニスカスレンズＬ９と、両凹負レンズＬ１０と、両凸正レンズＬ１１と、両凹負レンズＬ１２と、両凹負レンズＬ１３とからなる。負メニスカスレンズＬ７と両凸正レンズＬ８とは接合されている。所定のレンズ群は、両凹負レンズＬ１２と両凹負レンズＬ１３とからなる。
【０５５０】
開口絞りＳは、両凹負レンズＬ６と負メニスカスレンズＬ７の間に配置されている。
【０５５１】
非球面は、両凸正レンズＬ１の両面と、両凸正レンズＬ３の物体側の面と、両凸正レンズＬ４の像側の面と、正メニスカスレンズＬ９の両面と、両凹負レンズＬ１０の両面と、両凸正レンズＬ１１の両面と、両凹負レンズＬ１２の両面と、両凹負レンズＬ１３の両面との１４面に設けられている。
【０５５２】
次に、実施例２６にかかる光学系について説明する。図３３（ａ）は実施例２６にかかる光学系の光学構成を示す光軸に沿う断面図である。また、図３３（ｂ）、（ｃ）、（ｄ）、（ｅ）は、実施例２６にかかる光学系の収差図である。
【０５５３】
実施例２６の光学系は、図３３（ａ）に示すように、正の屈折力の第１レンズ群Ｇ１と、開口絞りＳと、負の屈折力の第２レンズ群Ｇ２と、を有している。
【０５５４】
第１レンズ群Ｇ１は、両凸正レンズＬ１と、物体側に凸面を向けた負メニスカスレンズＬ２と、両凸正レンズＬ３と、両凸正レンズＬ４と、像側に凸面を向けた正メニスカスレンズＬ５と、像側に凸面を向けた負メニスカスレンズＬ６とからなる。正メニスカスレンズＬ５と負メニスカスレンズＬ６とは接合されている。
【０５５５】
第２レンズ群Ｇ２は、物体側に凸面を向けた負メニスカスレンズＬ７と、物体側に凸面を向けた正メニスカスレンズＬ８と、物体側に凸面を向けた正メニスカスレンズＬ９と、両凹負レンズＬ１０と、両凸正レンズＬ１１と、両凹負レンズＬ１２と、像側に凸面を向けた負メニスカスレンズＬ１３とからなる。負メニスカスレンズＬ７と正メニスカスレンズＬ８とは接合されている。所定のレンズ群は、両凹負レンズＬ１２と負メニスカスレンズＬ１３とからなる。
【０５５６】
開口絞りＳは、負メニスカスレンズＬ６と負メニスカスレンズＬ７の間に配置されている。
【０５５７】
非球面は、両凸正レンズＬ１の両面と、両凸正レンズＬ３の物体側の面と、両凸正レンズＬ４の像側の面と、正メニスカスレンズＬ９の両面と、両凹負レンズＬ１０の両面と、両凸正レンズＬ１１の両面と、両凹負レンズＬ１２の両面と、負メニスカスレンズＬ１３の両面との１４面に設けられている。
【０５５８】
次に、実施例２７にかかる光学系について説明する。図３４（ａ）は実施例２７にかかる光学系の光学構成を示す光軸に沿う断面図である。また、図３４（ｂ）、（ｃ）、（ｄ）、（ｅ）は、実施例２７にかかる光学系の収差図である。
【０５５９】
実施例２７の光学系は、図３４（ａ）に示すように、正の屈折力の第１レンズ群Ｇ１と、開口絞りＳと、負の屈折力の第２レンズ群Ｇ２と、を有している。
【０５６０】
第１レンズ群Ｇ１は、両凸正レンズＬ１と、両凸正レンズＬ２と、両凸正レンズＬ３と、像側に凸面を向けた正メニスカスレンズＬ４と、像側に凸面を向けた負メニスカスレンズＬ５とからなる。正メニスカスレンズＬ４と負メニスカスレンズＬ５とは接合されている。
【０５６１】
第２レンズ群Ｇ２は、物体側に凸面を向けた負メニスカスレンズＬ６と、物体側に凸面を向けた正メニスカスレンズＬ７と、物体側に凸面を向けた正メニスカスレンズＬ８と、両凹負レンズＬ９と、両凸正レンズＬ１０と、両凹負レンズＬ１１と、像側に凸面を向けた負メニスカスレンズＬ１２とからなる。負メニスカスレンズＬ６と正メニスカスレンズＬ７とは接合されている。所定のレンズ群は、両凹負レンズＬ１１と負メニスカスレンズＬ１２とからなる。
【０５６２】
開口絞りＳは、負メニスカスレンズＬ５と負メニスカスレンズＬ６の間に配置されている。
【０５６３】
非球面は、両凸正レンズＬ１の両面と、両凸正レンズＬ２の物体側の面と、両凸正レンズＬ３の像側の面と、正メニスカスレンズＬ８の両面と、両凹負レンズＬ９の両面と、両凸正レンズＬ１０の両面と、両凹負レンズＬ１１の両面と、負メニスカスレンズＬ１２の両面との１４面に設けられている。
【０５６４】
次に、実施例２８にかかる光学系について説明する。図３５（ａ）は実施例２８にかかる光学系の光学構成を示す光軸に沿う断面図である。また、図３５（ｂ）、（ｃ）、（ｄ）、（ｅ）は、実施例２８にかかる光学系の収差図である。
【０５６５】
実施例２８の光学系は、図３５（ａ）に示すように、正の屈折力の第１レンズ群Ｇ１と、開口絞りＳと、負の屈折力の第２レンズ群Ｇ２と、を有している。
【０５６６】
第１レンズ群Ｇ１は、物体側に凸面を向けた正メニスカスレンズＬ１と、物体側に凸面を向けた正メニスカスレンズＬ２と、両凸正レンズＬ３と、像側に凸面を向けた正メニスカスレンズＬ４と、像側に凸面を向けた負メニスカスレンズＬ５とからなる。正メニスカスレンズＬ４と負メニスカスレンズＬ５とは接合されている。
【０５６７】
第２レンズ群Ｇ２は、両凹負レンズＬ６と、両凸正レンズＬ７と、物体側に凸面を向けた正メニスカスレンズＬ８と、像側に凸面を向けた負メニスカスレンズＬ９と、両凸正レンズＬ１０と、両凹負レンズＬ１１と、両凹負レンズＬ１２とからなる。両凹負レンズＬ６と両凸正レンズＬ７とは接合されている。所定のレンズ群は、両凹負レンズＬ１１と両凹負レンズＬ１２とからなる。
【０５６８】
開口絞りＳは、負メニスカスレンズＬ５と両凹負レンズＬ６の間に配置されている。
【０５６９】
非球面は、正メニスカスレンズＬ１の両面と、正メニスカスレンズＬ２の物体側の面と、両凸正レンズＬ３の像側の面と、正メニスカスレンズＬ８の両面と、負メニスカスレンズＬ９の両面と、両凸正レンズＬ１０の両面と、両凹負レンズＬ１１の両面と、両凹負レンズＬ１２の両面との１４面に設けられている。
【０５７０】
次に、実施例２９にかかる光学系について説明する。図３６（ａ）は実施例２９にかかる光学系の光学構成を示す光軸に沿う断面図である。また、図３６（ｂ）、（ｃ）、（ｄ）、（ｅ）は、実施例２９にかかる光学系の収差図である。
【０５７１】
実施例２９の光学系は、図３６（ａ）に示すように、正の屈折力の第１レンズ群Ｇ１と、開口絞りＳと、負の屈折力の第２レンズ群Ｇ２と、を有している。
【０５７２】
第１レンズ群Ｇ１は、物体側に凸面を向けた正メニスカスレンズＬ１と、物体側に凸面を向けた正メニスカスレンズＬ２と、両凸正レンズＬ３と、像側に凸面を向けた正メニスカスレンズＬ４と、像側に凸面を向けた負メニスカスレンズＬ５とからなる。正メニスカスレンズＬ４と負メニスカスレンズＬ５とは接合されている。
【０５７３】
第２レンズ群Ｇ２は、両凹負レンズＬ６と、両凸正レンズＬ７と、物体側に凸面を向けた正メニスカスレンズＬ８と、像側に凸面を向けた負メニスカスレンズＬ９と、両凸正レンズＬ１０と、両凹負レンズＬ１１と、両凹負レンズＬ１２とからなる。両凹負レンズＬ６と両凸正レンズＬ７とは接合されている。所定のレンズ群は、両凹負レンズＬ１１と両凹負レンズＬ１２とからなる。
【０５７４】
開口絞りＳは、負メニスカスレンズＬ５と両凹負レンズＬ６の間に配置されている。
【０５７５】
非球面は、正メニスカスレンズＬ１の両面と、正メニスカスレンズＬ２の物体側の面と、両凸正レンズＬ３の像側の面と、正メニスカスレンズＬ８の両面と、負メニスカスレンズＬ９の両面と、両凸正レンズＬ１０の両面と、両凹負レンズＬ１１の両面と、両凹負レンズＬ１２の両面との１４面に設けられている。
【０５７６】
次に、実施例３０にかかる光学系について説明する。図３７（ａ）は実施例３０にかかる光学系の光学構成を示す光軸に沿う断面図である。また、図３７（ｂ）、（ｃ）、（ｄ）、（ｅ）は、実施例３０にかかる光学系の収差図である。
【０５７７】
実施例３０の光学系は、図３７（ａ）に示すように、正の屈折力の第１レンズ群Ｇ１と、開口絞りＳと、負の屈折力の第２レンズ群Ｇ２と、を有している。
【０５７８】
第１レンズ群Ｇ１は、物体側に凸面を向けた正メニスカスレンズＬ１と、物体側に凸面を向けた正メニスカスレンズＬ２と、両凸正レンズＬ３と、像側に凸面を向けた正メニスカスレンズＬ４と、像側に凸面を向けた負メニスカスレンズＬ５とからなる。正メニスカスレンズＬ４と負メニスカスレンズＬ５とは接合されている。
【０５７９】
第２レンズ群Ｇ２は、両凹負レンズＬ６と、両凸正レンズＬ７と、物体側に凸面を向けた正メニスカスレンズＬ８と、両凸正レンズＬ９と、両凹負レンズＬ１０と、両凹負レンズＬ１１とからなる。両凹負レンズＬ６と両凸正レンズＬ７とは接合されている。所定のレンズ群は、両凹負レンズＬ１０と両凹負レンズＬ１１とからなる。
【０５８０】
開口絞りＳは、負メニスカスレンズＬ５と両凹負レンズＬ６の間に配置されている。
【０５８１】
非球面は、正メニスカスレンズＬ１の両面と、正メニスカスレンズＬ２の物体側の面と、両凸正レンズＬ３の像側の面と、正メニスカスレンズＬ８の両面と、両凸正レンズＬ９の両面と、両凹負レンズＬ１０の両面と、両凹負レンズＬ１１の両面との１２面に設けられている。
【０５８２】
次に、実施例３１にかかる光学系について説明する。図３８（ａ）は実施例３１にかかる光学系の光学構成を示す光軸に沿う断面図である。また、図３８（ｂ）、（ｃ）、（ｄ）、（ｅ）は、実施例３１にかかる光学系の収差図である。
【０５８３】
実施例３１の光学系は、図３８（ａ）に示すように、正の屈折力の第１レンズ群Ｇ１と、開口絞りＳと、負の屈折力の第２レンズ群Ｇ２と、を有している。
【０５８４】
第１レンズ群Ｇ１は、物体側に凸面を向けた正メニスカスレンズＬ１と、物体側に凸面を向けた正メニスカスレンズＬ２と、物体側に凸面を向けた正メニスカスレンズＬ３と、両凸正レンズＬ４と、両凹負レンズＬ５とからなる。両凸正レンズＬ４と両凹負レンズＬ５とは接合されている。
【０５８５】
第２レンズ群Ｇ２は、物体側に凸面を向けた負メニスカスレンズＬ６と、物体側に凸面を向けた正メニスカスレンズＬ７と、物体側に凸面を向けた正メニスカスレンズＬ８と、物体側に凸面を向けた正メニスカスレンズＬ９と、両凸正レンズＬ１０と、両凹負レンズＬ１１と、物体側に凸面を向けた正メニスカスレンズＬ１２とからなる。負メニスカスレンズＬ６と正メニスカスレンズＬ７とは接合されている。所定のレンズ群は、両凹負レンズＬ１１と正メニスカスレンズＬ１２とからなる。
【０５８６】
開口絞りＳは、両凹負レンズＬ５と負メニスカスレンズＬ６の間に配置されている。
【０５８７】
非球面は、正メニスカスレンズＬ１の両面と、正メニスカスレンズＬ２の物体側の面と、正メニスカスレンズＬ３の像側の面と、正メニスカスレンズＬ８の両面と、正メニスカスレンズＬ９の両面と、両凸正レンズＬ１０の両面と、両凹負レンズＬ１１の両面と、正メニスカスレンズＬ１２の両面との１４面に設けられている。
【０５８８】
次に、実施例３２にかかる光学系について説明する。図３９（ａ）は実施例３２にかかる光学系の光学構成を示す光軸に沿う断面図である。また、図３９（ｂ）、（ｃ）、（ｄ）、（ｅ）は、実施例３２にかかる光学系の収差図である。
【０５８９】
実施例３２の光学系は、図３９（ａ）に示すように、正の屈折力の第１レンズ群Ｇ１と、開口絞りＳと、負の屈折力の第２レンズ群Ｇ２と、を有している。
【０５９０】
第１レンズ群Ｇ１は、物体側に凸面を向けた正メニスカスレンズＬ１と、物体側に凸面を向けた正メニスカスレンズＬ２と、物体側に凸面を向けた正メニスカスレンズＬ３と、両凸正レンズＬ４と、両凹負レンズＬ５とからなる。両凸正レンズＬ４と両凹負レンズＬ５とは接合されている。
【０５９１】
第２レンズ群Ｇ２は、物体側に凸面を向けた負メニスカスレンズＬ６と、物体側に凸面を向けた正メニスカスレンズＬ７と、物体側に凸面を向けた正メニスカスレンズＬ８と、両凸正レンズＬ９と、両凹負レンズＬ１０と、像側に凸面を向けた正メニスカスレンズＬ１１とからなる。負メニスカスレンズＬ６と正メニスカスレンズＬ７とは接合されている。所定のレンズ群は、両凹負レンズＬ１０と正メニスカスレンズＬ１１とからなる。
【０５９２】
開口絞りＳは、両凹負レンズＬ５と負メニスカスレンズＬ６の間に配置されている。
【０５９３】
非球面は、正メニスカスレンズＬ１の両面と、正メニスカスレンズＬ２の物体側の面と、正メニスカスレンズＬ３の像側の面と、正メニスカスレンズＬ８の両面と、両凸正レンズＬ９の両面と、両凹負レンズＬ１０の両面と、正メニスカスレンズＬ１１の両面との１２面に設けられている。
【０５９４】
次に、実施例３３にかかる光学系について説明する。図４０（ａ）は実施例３３にかかる光学系の光学構成を示す光軸に沿う断面図である。また、図４０（ｂ）、（ｃ）、（ｄ）、（ｅ）は、実施例３３にかかる光学系の収差図である。
【０５９５】
実施例３３の光学系は、図４０（ａ）に示すように、正の屈折力の第１レンズ群Ｇ１と、開口絞りＳと、負の屈折力の第２レンズ群Ｇ２と、を有している。
【０５９６】
第１レンズ群Ｇ１は、物体側に凸面を向けた正メニスカスレンズＬ１と、物体側に凸面を向けた負メニスカスレンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０５９７】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０５９８】
開口絞りＳは、両凹負レンズＬ６と負メニスカスレンズＬ７の間に配置されている。
【０５９９】
非球面は、正メニスカスレンズＬ１の両面と、両凸正レンズＬ３の物体側の面と、両凸正レンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０６００】
次に、実施例３４にかかる光学系について説明する。図４１（ａ）は実施例３４にかかる光学系の光学構成を示す光軸に沿う断面図である。また、図４１（ｂ）、（ｃ）、（ｄ）、（ｅ）は、実施例３４にかかる光学系の収差図である。
【０６０１】
実施例３４の光学系は、図４１（ａ）に示すように、正の屈折力の第１レンズ群Ｇ１と、開口絞りＳと、正の屈折力の第２レンズ群Ｇ２と、を有している。
【０６０２】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６０３】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凸正レンズＬ１１と、両凹負レンズＬ１２と、両凹負レンズＬ１３とからなる。両凹負レンズＬ７と正メニスカスレンズＬ８とは接合されている。所定のレンズ群は、両凹負レンズＬ１２と両凹負レンズＬ１３とからなる。
【０６０４】
開口絞りＳは、両凹負レンズＬ６と両凹負レンズＬ７の間に配置されている。
【０６０５】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凸正レンズＬ１１の両面と、両凹負レンズＬ１２の両面と、両凹負レンズＬ１３の両面との１５面に設けられている。
【０６０６】
次に、実施例３５にかかる光学系について説明する。図４２（ａ）は実施例３５にかかる光学系の光学構成を示す光軸に沿う断面図である。また、図４２（ｂ）、（ｃ）、（ｄ）、（ｅ）は、実施例３５にかかる光学系の収差図である。
【０６０７】
実施例３５の光学系は、図４２（ａ）に示すように、正の屈折力の第１レンズ群Ｇ１と、開口絞りＳと、負の屈折力の第２レンズ群Ｇ２と、を有している。
【０６０８】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６０９】
第２レンズ群Ｇ２は、両凹負レンズＬ７と、物体側に凸面を向けた正メニスカスレンズＬ８と、両凸正レンズＬ９と、両凸正レンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６１０】
開口絞りＳは、両凹負レンズＬ６と両凹負レンズＬ７の間に配置されている。
【０６１１】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、両凸正レンズＬ１０の両面と、両凹負レンズＬ１１の両面と、両凹負レンズＬ１２の両面との１３面に設けられている。
【０６１２】
次に、実施例３６にかかる光学系について説明する。図４３（ａ）は実施例３６にかかる光学系の光学構成を示す光軸に沿う断面図である。また、図４３（ｂ）、（ｃ）、（ｄ）、（ｅ）は、実施例３６にかかる光学系の収差図である。
【０６１３】
実施例３６の光学系は、図４３（ａ）に示すように、正の屈折力の第１レンズ群Ｇ１と、開口絞りＳと、正の屈折力の第２レンズ群Ｇ２と、を有している。
【０６１４】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６１５】
第２レンズ群Ｇ２は、両凹負レンズＬ７と、物体側に凸面を向けた正メニスカスレンズＬ８と、両凸正レンズＬ９と、両凸正レンズＬ１０と、両凹負レンズＬ１１とからなる。両凹負レンズＬ７と正メニスカスレンズＬ８とは接合されている。所定のレンズ群は両凹負レンズＬ１１からなる。
【０６１６】
開口絞りＳは、両凹負レンズＬ６と両凹負レンズＬ７の間に配置されている。
【０６１７】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、両凸正レンズＬ１０の両面と、両凹負レンズＬ１１の両面との１１面に設けられている。
【０６１８】
次に、実施例３７にかかる光学系について説明する。図４４（ａ）は実施例３７にかかる光学系の光学構成を示す光軸に沿う断面図である。また、図４４（ｂ）、（ｃ）、（ｄ）、（ｅ）は、実施例３７にかかる光学系の収差図である。
【０６１９】
実施例３７の光学系は、図４４（ａ）に示すように、正の屈折力の第１レンズ群Ｇ１と、開口絞りＳと、正の屈折力の第２レンズ群Ｇ２と、を有している。
【０６２０】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６２１】
第２レンズ群Ｇ２は、両凹負レンズＬ７と、物体側に凸面を向けた正メニスカスレンズＬ８と、両凸正レンズＬ９と、両凸正レンズＬ１０と、両凸正レンズＬ１１と、両凹負レンズＬ１２と、物体側に凸面を向けた正メニスカスレンズＬ１３とからなる。両凹負レンズＬ７と正メニスカスレンズＬ８とは接合されている。所定のレンズ群は、両凹負レンズＬ１２と正メニスカスレンズＬ１３とからなる。
【０６２２】
開口絞りＳは、両凹負レンズＬ６と両凹負レンズＬ７の間に配置されている。
【０６２３】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、両凸正レンズＬ１０の両面と、両凸正レンズＬ１１の両面と、両凹負レンズＬ１２の両面との１３面に設けられている。
【０６２４】
次に、実施例３８にかかる光学系について説明する。図４５（ａ）は実施例３８にかかる光学系の光学構成を示す光軸に沿う断面図である。また、図４５（ｂ）、（ｃ）、（ｄ）、（ｅ）は、実施例３８にかかる光学系の収差図である。
【０６２５】
実施例３８の光学系は、図４５（ａ）に示すように、正の屈折力の第１レンズ群Ｇ１と、開口絞りＳと、負の屈折力の第２レンズ群Ｇ２と、を有している。
【０６２６】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６２７】
第２レンズ群Ｇ２は、両凹負レンズＬ７と、物体側に凸面を向けた正メニスカスレンズＬ８と、物体側に凸面を向けた正メニスカスレンズＬ９と、両凸正レンズＬ１０と、両凸正レンズＬ１１と、両凹負レンズＬ１２とからなる。両凹負レンズＬ７と正メニスカスレンズＬ８とは接合されている。所定のレンズ群は両凹負レンズＬ１２からなる。
【０６２８】
開口絞りＳは、両凹負レンズＬ６と両凹負レンズＬ７の間に配置されている。
【０６２９】
非球面は、両凸正レンズＬ１の像側の面と、両凹負レンズＬ２の両面と、両凸正レンズＬ３の物体側の面と、両凸正レンズＬ４の像側の面と、正メニスカスレンズＬ９の両面と、両凸正レンズＬ１０の両面と、両凸正レンズＬ１１の両面と、両凹負レンズＬ１２の両面との１３面に設けられている。
【０６３０】
次に、実施例３９にかかる光学系について説明する。図４６（ａ）は実施例３９にかかる光学系の光学構成を示す光軸に沿う断面図である。また、図４６（ｂ）、（ｃ）、（ｄ）、（ｅ）は、実施例３９にかかる光学系の収差図である。
【０６３１】
実施例３９の光学系は、図４６（ａ）に示すように、正の屈折力の第１レンズ群Ｇ１と、開口絞りＳと、負の屈折力の第２レンズ群Ｇ２と、を有している。
【０６３２】
第１レンズ群Ｇ１は、両凸正レンズＬ１と、両凹負レンズＬ２と、両凸正レンズＬ３と、両凸正レンズＬ４と、両凸正レンズＬ５と、像側に凸面を向けた負メニスカスレンズＬ６とからなる。両凸正レンズＬ５と負メニスカスレンズＬ６とは接合されている。
【０６３３】
第２レンズ群Ｇ２は、両凸正レンズＬ７と、両凹負レンズＬ８と、像側に凸面を向けた負メニスカスレンズＬ９と、両凸正レンズＬ１０と、両凹負レンズＬ１１とからなる。両凸正レンズＬ７と両凹負レンズＬ８とは接合されている。所定のレンズ群は両凹負レンズＬ１１からなる。
【０６３４】
開口絞りＳは、負メニスカスレンズＬ６と両凸正レンズＬ７の間に配置されている。
【０６３５】
非球面は、両凸正レンズＬ１の両面と、両凸正レンズＬ３の物体側の面と、両凸正レンズＬ４の像側の面と、負メニスカスレンズＬ９の両面と、両凸正レンズＬ１０の両面と、両凹負レンズＬ１１の両面との１０面に設けられている。
【０６３６】
次に、実施例４０にかかる光学系について説明する。図４７（ａ）は実施例４０にかかる光学系の光学構成を示す光軸に沿う断面図である。また、図４７（ｂ）、（ｃ）、（ｄ）、（ｅ）は、実施例４０にかかる光学系の収差図である。
【０６３７】
実施例４０の光学系は、図４７（ａ）に示すように、正の屈折力の第１レンズ群Ｇ１と、開口絞りＳと、負の屈折力の第２レンズ群Ｇ２と、を有している。
【０６３８】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ１と両凹負レンズＬ２とは接合されている。また、両凸正レンズＬ５と両凹負レンズＬ６とは接合されている。
【０６３９】
第２レンズ群Ｇ２は、両凸正レンズＬ７と、両凹負レンズＬ８と、像側に凸面を向けた負メニスカスレンズＬ９と、両凸正レンズＬ１０と、両凹負レンズＬ１１とからなる。両凸正レンズＬ７と両凹負レンズＬ８とは接合されている。所定のレンズ群は両凹負レンズＬ１１からなる。
【０６４０】
開口絞りＳは、両凹負レンズＬ６と両凸正レンズＬ７の間に配置されている。
【０６４１】
非球面は、両凸正レンズＬ１の物体側の面と、両凸正レンズＬ１と両凹負レンズＬ２との接合面と、両凹負レンズＬ２の像側の面と、両凸正レンズＬ３の物体側の面と、両凸正レンズＬ４の像側の面と、負メニスカスレンズＬ９の両面と、両凸正レンズＬ１０の両面と、両凹負レンズＬ１１の両面との１１面に設けられている。
【０６４２】
次に、実施例４１にかかる光学系について説明する。図４８（ａ）は実施例４１にかかる光学系の光学構成を示す光軸に沿う断面図である。また、図４８（ｂ）、（ｃ）、（ｄ）、（ｅ）は、実施例４１にかかる光学系の収差図である。
【０６４３】
実施例４１の光学系は、図４８（ａ）に示すように、正の屈折力の第１レンズ群Ｇ１と、開口絞りＳと、正の屈折力の第２レンズ群Ｇ２と、を有している。
【０６４４】
第１レンズ群Ｇ１は、物体側に凸面を向けた負メニスカスレンズＬ１と、両凸正レンズＬ２と、両凹負レンズＬ３と、両凸正レンズＬ４と、両凸正レンズＬ５と、両凹負レンズＬ６とからなる。負メニスカスレンズＬ１と両凸正レンズＬ２とは接合されている。また、両凸正レンズＬ５と両凹負レンズＬ６とは接合されている。
【０６４５】
第２レンズ群Ｇ２は、物体側に凸面を向けた負メニスカスレンズＬ７と、物体側に凸面を向けた正メニスカスレンズＬ８と、物体側に凸面を向けた正メニスカスレンズＬ９と、両凸正レンズＬ１０と、物体側に凸面を向けた負メニスカスレンズＬ１１と、像側に凸面を向けた負メニスカスレンズＬ１２と、両凹負レンズＬ１３とからなる。負メニスカスレンズＬ７と正メニスカスレンズＬ８とは接合されている。所定のレンズ群は両凹負レンズＬ１３からなる。
【０６４６】
開口絞りＳは、両凹負レンズＬ６と負メニスカスレンズＬ７の間に配置されている。
【０６４７】
非球面は、両凹負レンズＬ３の両面と、両凸正レンズＬ４の両面と、両凸正レンズＬ１０の両面と、両凹負レンズＬ１３の両面との８面に設けられている。
【０６４８】
次に、実施例４２にかかる光学系について説明する。図４９（ａ）は実施例４２にかかる光学系の光学構成を示す光軸に沿う断面図である。また、図４９（ｂ）、（ｃ）、（ｄ）、（ｅ）は、実施例４２にかかる光学系の収差図である。
【０６４９】
実施例４２の光学系は、図４９（ａ）に示すように、正の屈折力の第１レンズ群Ｇ１と、開口絞りＳと、正の屈折力の第２レンズ群Ｇ２と、を有している。
【０６５０】
第１レンズ群Ｇ１は、両凸正レンズＬ１と、像側に凸面を向けた負メニスカスレンズＬ２と、両凹負レンズＬ３と、両凸正レンズＬ４と、両凸正レンズＬ５と、両凹負レンズＬ６とからなる。両凸正レンズＬ１と負メニスカスレンズＬ２とは接合されている。また、両凸正レンズＬ５と両凹負レンズＬ６とは接合されている。
【０６５１】
第２レンズ群Ｇ２は、物体側に凸面を向けた負メニスカスレンズＬ７と、物体側に凸面を向けた正メニスカスレンズＬ８と、物体側に凸面を向けた正メニスカスレンズＬ９と、物体側に凸面を向けた正メニスカスレンズＬ１０と、両凸正レンズＬ１１と、物体側に凸面を向けた負メニスカスレンズＬ１２と、像側に凸面を向けた負メニスカスレンズＬ１３と、両凹負レンズＬ１４とからなる。負メニスカスレンズＬ７と正メニスカスレンズＬ８とは接合されている。所定のレンズ群は両凹負レンズＬ１４からなる。
【０６５２】
開口絞りＳは、両凹負レンズＬ６と負メニスカスレンズＬ７の間に配置されている。
【０６５３】
非球面は、両凹負レンズＬ３の両面と、両凸正レンズＬ４の両面と、両凸正レンズＬ１１の両面と、両凹負レンズＬ１４の両面との８面に設けられている。
【０６５４】
次に、実施例４３にかかる光学系について説明する。図５０（ａ）は実施例４３にかかる光学系の光学構成を示す光軸に沿う断面図である。また、図５０（ｂ）、（ｃ）、（ｄ）、（ｅ）は、実施例４３にかかる光学系の収差図である。
【０６５５】
実施例４３の光学系は、図５０（ａ）に示すように、正の屈折力の第１レンズ群Ｇ１と、開口絞りＳと、負の屈折力の第２レンズ群Ｇ２と、を有している。
【０６５６】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６５７】
第２レンズ群Ｇ２は、両凹負レンズＬ７と、物体側に凸面を向けた正メニスカスレンズＬ８と、両凸正レンズＬ９と、両凸正レンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６５８】
開口絞りＳは、両凹負レンズＬ６と両凹負レンズＬ７の間に配置されている。
【０６５９】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、両凸正レンズＬ１０の両面と、両凹負レンズＬ１１の両面と、両凹負レンズＬ１２の両面との１３面に設けられている。
【０６６０】
次に、実施例４４にかかる光学系について説明する。図５１（ａ）は実施例４４にかかる光学系の光学構成を示す光軸に沿う断面図である。また、図５１（ｂ）、（ｃ）、（ｄ）、（ｅ）は、実施例４４にかかる光学系の収差図である。
【０６６１】
実施例４４の光学系は、図５１（ａ）に示すように、正の屈折力の第１レンズ群Ｇ１と、開口絞りＳと、正の屈折力の第２レンズ群Ｇ２と、を有している。
【０６６２】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６６３】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６６４】
開口絞りＳは、両凹負レンズＬ６と両凹負レンズＬ７の間に配置されている。
【０６６５】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凹負レンズＬ１１の両面と、両凹負レンズＬ１２の両面との１３面に設けられている。
【０６６６】
次に、実施例４５にかかる光学系について説明する。図５２（ａ）は実施例４５にかかる光学系の光学構成を示す光軸に沿う断面図である。また、図５２（ｂ）、（ｃ）、（ｄ）、（ｅ）は、実施例４５にかかる光学系の収差図である。
【０６６７】
実施例４５の光学系は、図５２（ａ）に示すように、正の屈折力の第１レンズ群Ｇ１と、開口絞りＳと、正の屈折力の第２レンズ群Ｇ２と、を有している。
【０６６８】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６６９】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６７０】
開口絞りＳは、両凹負レンズＬ６と両凹負レンズＬ７の間に配置されている。
【０６７１】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凹負レンズＬ１１の両面と、両凹負レンズＬ１２の両面との１３面に設けられている。
【０６７２】
次に、実施例４６にかかる光学系について説明する。図５３（ａ）は実施例４６にかかる光学系の光学構成を示す光軸に沿う断面図である。また、図５３（ｂ）、（ｃ）、（ｄ）、（ｅ）は、実施例４６にかかる光学系の収差図である。
【０６７３】
実施例４６の光学系は、図５３（ａ）に示すように、正の屈折力の第１レンズ群Ｇ１と、開口絞りＳと、正の屈折力の第２レンズ群Ｇ２と、を有している。
【０６７４】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６７５】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６７６】
開口絞りＳは、両凹負レンズＬ６と両凹負レンズＬ７の間に配置されている。
【０６７７】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凹負レンズＬ１１の両面と、両凹負レンズＬ１２の両面との１３面に設けられている。
【０６７８】
次に、実施例４７にかかる光学系について説明する。図５４（ａ）は実施例４７にかかる光学系の光学構成を示す光軸に沿う断面図である。また、図５４（ｂ）、（ｃ）、（ｄ）、（ｅ）は、実施例４７にかかる光学系の収差図である。
【０６７９】
実施例４７の光学系は、図５４（ａ）に示すように、正の屈折力の第１レンズ群Ｇ１と、開口絞りＳと、負の屈折力の第２レンズ群Ｇ２と、を有している。
【０６８０】
第１レンズ群Ｇ１は、両凸正レンズＬ１と、両凹負レンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０６８１】
第２レンズ群Ｇ２は、両凹負レンズＬ７と、物体側に凸面を向けた正メニスカスレンズＬ８と、両凸正レンズＬ９と、両凸正レンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６８２】
開口絞りＳは、両凹負レンズＬ６と両凹負レンズＬ７の間に配置されている。
【０６８３】
非球面は、両凸正レンズＬ１の像側の面と、両凹負レンズＬ２の両面と、両凸正レンズＬ３の物体側の面と、両凸正レンズＬ４の像側の面と、両凸正レンズＬ９の両面と、両凸正レンズＬ１０の両面と、両凹負レンズＬ１１の両面と、両凹負レンズＬ１２の両面との１３面に設けられている。
【０６８４】
次に、実施例４８にかかる光学系について説明する。図５５（ａ）は実施例４８にかかる光学系の光学構成を示す光軸に沿う断面図である。また、図５５（ｂ）、（ｃ）、（ｄ）、（ｅ）は、実施例４８にかかる光学系の収差図である。
【０６８５】
実施例４８の光学系は、図５５（ａ）に示すように、正の屈折力の第１レンズ群Ｇ１と、開口絞りＳと、負の屈折力の第２レンズ群Ｇ２と、を有している。
【０６８６】
第１レンズ群Ｇ１は、像側に凸面を向けた正メニスカスレンズＬ１と、両凹負レンズＬ２と、両凸正レンズＬ３と、両凸正レンズＬ４と、物体側に凸面を向けた正メニスカスレンズＬ５と、物体側に凸面を向けた負メニスカスレンズＬ６とからなる。正メニスカスレンズＬ５と負メニスカスレンズＬ６とは接合されている。
【０６８７】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凹負レンズＬ１１と、両凹負レンズＬ１２とからなる。両凹負レンズＬ７と正メニスカスレンズＬ８とは接合されている。所定のレンズ群は、両凹負レンズＬ１１と両凹負レンズＬ１２とからなる。
【０６８８】
開口絞りＳは、負メニスカスレンズＬ６と両凹負レンズＬ７の間に配置されている。
【０６８９】
非球面は、正メニスカスレンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凹負レンズＬ１１の両面と、両凹負レンズＬ１２の両面の１３面に設けられている。
【０６９０】
次に、実施例４９にかかる光学系について説明する。図５６（ａ）は実施例４９にかかる光学系の光学構成を示す光軸に沿う断面図である。また、図５６（ｂ）、（ｃ）、（ｄ）、（ｅ）は、実施例４９にかかる光学系の収差図である。
【０６９１】
実施例４９の光学系は、図５６（ａ）に示すように、正の屈折力の第１レンズ群Ｇ１と、開口絞りＳと、正の屈折力の第２レンズ群Ｇ２と、を有している。
【０６９２】
第１レンズ群Ｇ１は、像側に凸面を向けた正メニスカスレンズＬ１と、両凹負レンズＬ２と、両凸正レンズＬ３と、両凸正レンズＬ４と、物体側に凸面を向けた正メニスカスレンズＬ５と、物体側に凸面を向けた負メニスカスレンズＬ６とからなる。正メニスカスレンズＬ５と負メニスカスレンズＬ６とは接合されている。
【０６９３】
第２レンズ群Ｇ２は、物体側に凸面を向けた負メニスカスレンズＬ７と、物体側に凸面を向けた正メニスカスレンズＬ８と、両凸正レンズＬ９と、物体側に凸面を向けた正メニスカスレンズＬ１０と、両凹負レンズＬ１１と、像側に凸面を向けた負メニスカスレンズＬ１２とからなる。負メニスカスレンズＬ７と正メニスカスレンズＬ８とは接合されている。所定のレンズ群は、両凹負レンズＬ１１と負メニスカスレンズＬ１２とからなる。
【０６９４】
開口絞りＳは、負メニスカスレンズＬ６と負メニスカスレンズＬ７の間に配置されている。
【０６９５】
非球面は、正メニスカスレンズＬ１の像側の面と、両凹負レンズＬ２の両面と、両凸正レンズＬ３の物体側の面と、両凸正レンズＬ４の像側の面と、両凸正レンズＬ９の両面と、正メニスカスレンズＬ１０の両面と、両凹負レンズＬ１１の両面と、負メニスカスレンズＬ１２の両面との１３面に設けられている。
【０６９６】
次に、実施例５０にかかる光学系について説明する。図５７（ａ）は実施例５０にかかる光学系の光学構成を示す光軸に沿う断面図である。また、図５７（ｂ）、（ｃ）、（ｄ）、（ｅ）は、実施例５０にかかる光学系の収差図である。
【０６９７】
実施例５０の光学系は、図５７（ａ）に示すように、正の屈折力の第１レンズ群Ｇ１と、開口絞りＳと、負の屈折力の第２レンズ群Ｇ２と、を有している。
【０６９８】
第１レンズ群Ｇ１は、両凸正レンズＬ１と、両凹負レンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０６９９】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０７００】
開口絞りＳは、両凹負レンズＬ６と負メニスカスレンズＬ７の間に配置されている。
【０７０１】
非球面は、両凸正レンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０７０２】
次に、実施例５１にかかる光学系について説明する。図５８（ａ）は実施例５１にかかる光学系の光学構成を示す光軸に沿う断面図である。また、図５８（ｂ）、（ｃ）、（ｄ）、（ｅ）は、実施例５１にかかる光学系の収差図である。
【０７０３】
実施例５１の光学系は、図５８（ａ）に示すように、正の屈折力の第１レンズ群Ｇ１と、開口絞りＳと、負の屈折力の第２レンズ群Ｇ２と、を有している。
【０７０４】
第１レンズ群Ｇ１は、両凸正レンズＬ１と、両凹負レンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０７０５】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０７０６】
開口絞りＳは、両凹負レンズＬ６と負メニスカスレンズＬ７の間に配置されている。
【０７０７】
非球面は、両凸正レンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０７０８】
次に、実施例５２にかかる光学系について説明する。図５９（ａ）は実施例５２にかかる光学系の光学構成を示す光軸に沿う断面図である。また、図５９（ｂ）、（ｃ）、（ｄ）、（ｅ）は、実施例５２にかかる光学系の収差図である。
【０７０９】
実施例５２の光学系は、図５９（ａ）に示すように、正の屈折力の第１レンズ群Ｇ１と、開口絞りＳと、負の屈折力の第２レンズ群Ｇ２と、を有している。
【０７１０】
第１レンズ群Ｇ１は、両凸正レンズＬ１と、両凹負レンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０７１１】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０７１２】
開口絞りＳは、両凹負レンズＬ６と負メニスカスレンズＬ７の間に配置されている。
【０７１３】
非球面は、両凸正レンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０７１４】
次に、実施例５３にかかる光学系について説明する。図６０（ａ）は実施例５３にかかる光学系の光学構成を示す光軸に沿う断面図である。また、図６０（ｂ）、（ｃ）、（ｄ）、（ｅ）は、実施例５３にかかる光学系の収差図である。
【０７１５】
実施例５３の光学系は、図６０（ａ）に示すように、正の屈折力の第１レンズ群Ｇ１と、開口絞りＳと、負の屈折力の第２レンズ群Ｇ２と、を有している。
【０７１６】
第１レンズ群Ｇ１は、両凸正レンズＬ１と、両凹負レンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０７１７】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０７１８】
開口絞りＳは、両凹負レンズＬ６と負メニスカスレンズＬ７の間に配置されている。
【０７１９】
非球面は、両凸正レンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０７２０】
次に、実施例５４にかかる光学系について説明する。図６１（ａ）は実施例５４にかかる光学系の光学構成を示す光軸に沿う断面図である。また、図６１（ｂ）、（ｃ）、（ｄ）、（ｅ）は、実施例５４にかかる光学系の収差図である。
【０７２１】
実施例５４の光学系は、図６１（ａ）に示すように、正の屈折力の第１レンズ群Ｇ１と、開口絞りＳと、負の屈折力の第２レンズ群Ｇ２と、を有している。
【０７２２】
第１レンズ群Ｇ１は、両凸正レンズＬ１と、両凹負レンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０７２３】
第２レンズ群Ｇ２は、物体側に凸面を向けた負メニスカスレンズＬ７と、物体側に凸面を向けた正メニスカスレンズＬ８と、両凸正レンズＬ９と、両凹負レンズＬ１０と、両凸正レンズＬ１１と、両凹負レンズＬ１２とからなる。負メニスカスレンズＬ７と正メニスカスレンズＬ８とは接合されている。所定のレンズ群は両凹負レンズＬ１２からなる。
【０７２４】
開口絞りＳは、両凹負レンズＬ６と負メニスカスレンズＬ７の間に配置されている。
【０７２５】
非球面は、両凸正レンズＬ１の両面と、両凸正レンズＬ３の物体側の面と、正メニスカスレンズＬ４の像側の面と、両凸正レンズＬ９の両面と、両凹負レンズＬ１０の両面と、両凸正レンズＬ１１の両面と、両凹負レンズＬ１２の両面との１２面に設けられている。
【０７２６】
次に、実施例５５にかかる光学系について説明する。図６２（ａ）は実施例５５にかかる光学系の光学構成を示す光軸に沿う断面図である。また、図６２（ｂ）、（ｃ）、（ｄ）、（ｅ）は、実施例５５にかかる光学系の収差図である。
【０７２７】
実施例５５の光学系は、図６２（ａ）に示すように、正の屈折力の第１レンズ群Ｇ１と、開口絞りＳと、負の屈折力の第２レンズ群Ｇ２と、を有している。
【０７２８】
第１レンズ群Ｇ１は、物体側に凸面を向けた正メニスカスレンズＬ１と、両凸正レンズＬ２と、物体側に凸面を向けた正メニスカスレンズＬ３と、両凸正レンズＬ４と、両凹負レンズＬ５とからなる。両凸正レンズＬ４と両凹負レンズＬ５とは接合されている。
【０７２９】
第２レンズ群Ｇ２は、物体側に凸面を向けた負メニスカスレンズＬ６と、物体側に凸面を向けた正メニスカスレンズＬ７と、両凸正レンズＬ８と、両凹負レンズＬ９と、両凸正レンズＬ１０と、像側に凸面を向けた負メニスカスレンズＬ１１と、両凹負レンズＬ１２とからなる。負メニスカスレンズＬ６と正メニスカスレンズＬ７とは接合されている。所定のレンズ群は両凹負レンズＬ１２からなる。
【０７３０】
開口絞りＳは、両凹負レンズＬ５と負メニスカスレンズＬ６の間に配置されている。
【０７３１】
非球面は、正メニスカスレンズＬ１の両面と、両凸正レンズＬ２の物体側の面と、正メニスカスレンズＬ３の像側の面と、両凸正レンズＬ８の物体側の面と、両凹負レンズＬ９の両面と、両凸正レンズＬ１０の両面と、負メニスカスレンズＬ１１の両面と、両凹負レンズＬ１２の像側の面との１２面に設けられている。
【０７３２】
次に、実施例５６にかかる光学系について説明する。図６３（ａ）は実施例５６にかかる光学系の光学構成を示す光軸に沿う断面図である。また、図６３（ｂ）、（ｃ）、（ｄ）、（ｅ）は、実施例５６にかかる光学系の収差図である。
【０７３３】
実施例５６の光学系は、図６３（ａ）に示すように、正の屈折力の第１レンズ群Ｇ１と、開口絞りＳと、負の屈折力の第２レンズ群Ｇ２と、を有している。
【０７３４】
第１レンズ群Ｇ１は、回折光学素子ＤＬと、両凸正レンズＬ１と、物体側に凸面を向けた正メニスカスレンズＬ２と、両凸正レンズＬ３と、両凹負レンズＬ４とからなる。両凸正レンズＬ３と両凹負レンズＬ４とは接合されている。
【０７３５】
第２レンズ群Ｇ２は、物体側に凸面を向けた負メニスカスレンズＬ５と、物体側に凸面を向けた正メニスカスレンズＬ６と、物体側に凸面を向けた正メニスカスレンズＬ７と、像側に凸面を向けた負メニスカスレンズＬ８と、両凸正レンズＬ９と、両凹負レンズＬ１０と、両凹負レンズＬ１１とからなる。負メニスカスレンズＬ５と正メニスカスレンズＬ６とは接合されている。所定のレンズ群は、両凹負レンズＬ１０と両凹負レンズＬ１１とからなる。
【０７３６】
回折光学素子ＤＬは、全体として正の屈折力を有している。回折光学素子ＤＬは、物体側に凸面を向けた正メニスカスレンズと、物体側に凸面を向けた負メニスカスレンズとにより構成されている。正メニスカスレンズと負メニスカスレンズとの境界面にレリーフパターンを形成して、境界面を回折面としている。
【０７３７】
開口絞りＳは、両凹負レンズＬ４と負メニスカスレンズＬ５の間に配置されている。
【０７３８】
非球面は、両凸正レンズＬ１の物体側の面と、正メニスカスレンズＬ２の像側の面と、正メニスカスレンズＬ７の両面と、負メニスカスレンズＬ８の両面と、両凸正レンズＬ９の両面と、両凹負レンズＬ１０の両面と、両凹負レンズＬ１１の両面との１２面に設けられている。
【０７３９】
次に、実施例５７にかかる光学系について説明する。図６４（ａ）は実施例５７にかかる光学系の光学構成を示す光軸に沿う断面図である。また、図６４（ｂ）、（ｃ）、（ｄ）、（ｅ）は、実施例５７にかかる光学系の収差図である。
【０７４０】
実施例５７の光学系は、図６４（ａ）に示すように、正の屈折力の第１レンズ群Ｇ１と、開口絞りＳと、負の屈折力の第２レンズ群Ｇ２と、を有している。
【０７４１】
第１レンズ群Ｇ１は、物体側に凸面を向けた正メニスカスレンズＬ１と、両凸正レンズＬ２と、回折光学素子ＤＬと、両凸正レンズＬ３と、両凹負レンズＬ４とからなる。両凸正レンズＬ３と両凹負レンズＬ４とは接合されている。
【０７４２】
第２レンズ群Ｇ２は、物体側に凸面を向けた負メニスカスレンズＬ５と、物体側に凸面を向けた正メニスカスレンズＬ６と、物体側に凸面を向けた正メニスカスレンズＬ７と、両凸正レンズＬ８と、両凹負レンズＬ９と、物体側に凸面を向けた負メニスカスレンズＬ１０とからなる。負メニスカスレンズＬ５と正メニスカスレンズＬ６とは接合されている。所定のレンズ群は、両凹負レンズＬ９と負メニスカスレンズＬ１０とからなる。
【０７４３】
回折光学素子ＤＬは、全体として正の屈折力を有している。回折光学素子ＤＬは、物体側に凸面を向けた正メニスカスレンズと、物体側に凸面を向けた負メニスカスレンズとにより構成されている。正メニスカスレンズと負メニスカスレンズとの境界面にレリーフパターンを形成して、境界面を回折面としている。
【０７４４】
開口絞りＳは、両凹負レンズＬ４と負メニスカスレンズＬ５の間に配置されている。
【０７４５】
非球面は、正メニスカスレンズＬ１の両面と、両凸正レンズＬ２の物体側の面と、正メニスカスレンズＬ７の両面と、両凸正レンズＬ８の両面と、両凹負レンズＬ９の両面と、負メニスカスレンズＬ１０の両面との１１面に設けられている。
【０７４６】
次に、実施例５８にかかる光学系について説明する。図６５（ａ）は実施例５８にかかる光学系の光学構成を示す光軸に沿う断面図である。また、図６５（ｂ）、（ｃ）、（ｄ）、（ｅ）は、実施例５８にかかる光学系の収差図である。
【０７４７】
実施例５８の光学系は、図６５（ａ）に示すように、正の屈折力の第１レンズ群Ｇ１と、開口絞りＳと、負の屈折力の第２レンズ群Ｇ２と、を有している。
【０７４８】
第１レンズ群Ｇ１は、物体側に凸面を向けた正メニスカスレンズＬ１と、物体側に凸面を向けた負メニスカスレンズＬ２と、両凸正レンズＬ３と、物体側に凸面を向けた正メニスカスレンズＬ４と、両凸正レンズＬ５と、両凹負レンズＬ６とからなる。両凸正レンズＬ５と両凹負レンズＬ６とは接合されている。
【０７４９】
第２レンズ群Ｇ２は、両凹負レンズＬ７と、物体側に凸面を向けた正メニスカスレンズＬ８と、両凸正レンズＬ９と、両凹負レンズＬ１０と、回折光学素子ＤＬと、両凹負レンズＬ１１とからなる。両凹負レンズＬ７と正メニスカスレンズＬ８は接合されている。所定のレンズ群は、両凹負レンズＬ１０と両凹負レンズＬ１１とからなる。
【０７５０】
回折光学素子ＤＬは、全体として正の屈折力を有している。回折光学素子ＤＬは、両凸正レンズと、像側に凸面を向けた負メニスカスレンズとにより構成されている。両凸正レンズと負メニスカスレンズとの境界面にレリーフパターンを形成して、境界面を回折面としている。
【０７５１】
開口絞りＳは、両凹負レンズＬ６と両凹負レンズＬ７の間に配置されている。
【０７５２】
非球面は、正メニスカスレンズＬ１の両面と、両凸正レンズＬ３の物体側の面と、正メニスカスレンズＬ４の像側の面と、両凸正レンズＬ９の両面と、両凹負レンズＬ１０の両面と、両凹負レンズＬ１１の両面との１０面に設けられている。
【０７５３】
次に、実施例５９にかかる光学系について説明する。図６６（ａ）は実施例５９にかかる光学系の光学構成を示す光軸に沿う断面図である。また、図６６（ｂ）、（ｃ）、（ｄ）、（ｅ）は、実施例５９にかかる光学系の収差図である。
【０７５４】
実施例５９の光学系は、図６６（ａ）に示すように、正の屈折力の第１レンズ群Ｇ１と、開口絞りＳと、負の屈折力の第２レンズ群Ｇ２と、を有している。
【０７５５】
第１レンズ群Ｇ１は、物体側に凸面を向けた正メニスカスレンズＬ１と、物体側に凸面を向けた負メニスカスレンズＬ２と、両凸正レンズＬ３と、両凸正レンズＬ４と、両凸正レンズＬ５と、両凹負レンズＬ６とからなる。両凸正レンズＬ５と両凹負レンズＬ６とは接合されている。
【０７５６】
第２レンズ群Ｇ２は、両凹負レンズＬ７と、両凸正レンズＬ８と、回折光学素子ＤＬと、物体側に凸面を向けた負メニスカスレンズＬ９と、両凸正レンズＬ１０と、両凹負レンズＬ１１とからなる。両凹負レンズＬ７と両凸正レンズＬ８とは接合されている。所定のレンズ群は両凹負レンズＬ１１からなる。
【０７５７】
回折光学素子ＤＬは、全体として正の屈折力を有している。回折光学素子ＤＬは、物体側に凸面を向けた正メニスカスレンズと、物体側に凸面を向けた負メニスカスレンズとより構成されている。正メニスカスレンズと負メニスカスレンズとの境界面にレリーフパターンを形成して、境界面を回折面としている。
【０７５８】
開口絞りＳは、両凹負レンズＬ６と両凹負レンズＬ７の間に配置されている。
【０７５９】
非球面は、正メニスカスレンズＬ１の両面と、両凸正レンズＬ３の物体側の面と、両凸正レンズＬ４の像側の面と、回折光学素子ＤＬの両面と、負メニスカスレンズＬ９の両面と、両凸正レンズＬ１０の両面と、両凹負レンズＬ１１の両面との１２面に設けられている。
【０７６０】
次に、実施例６０にかかる光学系について説明する。図６７（ａ）は実施例６０にかかる光学系の光学構成を示す光軸に沿う断面図である。また、図６７（ｂ）、（ｃ）、（ｄ）、（ｅ）は、実施例６０にかかる光学系の収差図である。
実施例６０の光学系は、図６７（ａ）に示すように、正の屈折力の第１レンズ群Ｇ１と、開口絞りＳと、正の屈折力の第２レンズ群Ｇ２と、を有している。
【０７６１】
第１レンズ群Ｇ１は、両凸正レンズＬ１と、物体側に凸面を向けた負メニスカスレンズＬ２と、両凸正レンズＬ３と、回折光学素子ＤＬと、両凸正レンズＬ４と、両凹負レンズＬ５とからなる。両凸正レンズＬ４と両凹負レンズＬ５とは接合されている。
【０７６２】
第２レンズ群Ｇ２は、物体側に凸面を向けた負メニスカスレンズＬ６と、物体側に凸面を向けた正メニスカスレンズＬ７と、物体側に凸面を向けた正メニスカスレンズＬ８と、両凹負レンズＬ９と、両凸正レンズＬ１０と、両凹負レンズＬ１１とからなる。負メニスカスレンズＬ６と正メニスカスレンズＬ７とは接合されている。所定のレンズ群は両凹負レンズＬ１１からなる。
【０７６３】
回折光学素子ＤＬは、全体として負の屈折力を有している。回折光学素子ＤＬは、像側に凸面を向けた正メニスカスレンズと、像側に凸面を向けた負メニスカスレンズとにより構成されている。正メニスカスレンズと負メニスカスレンズとの境界面にレリーフパターンを形成して、境界面を回折面としている。
【０７６４】
開口絞りＳは、両凹負レンズＬ５と負メニスカスレンズＬ６の間に配置されている。
【０７６５】
非球面は、両凸正レンズＬ１の両面と、両凸正レンズＬ３の物体側の面と、正メニスカスレンズＬ８の両面と、両凹負レンズＬ９の両面と、両凸正レンズＬ１０の両面と、両凹負レンズＬ１１の両面との１１面に設けられている。
【０７６６】
次に、実施例６１にかかる光学系について説明する。図６８（ａ）は実施例６１にかかる光学系の光学構成を示す光軸に沿う断面図ある。また、図６８（ｂ）、（ｃ）、（ｄ）、（ｅ）は、実施例６１にかかる光学系の収差図である。
【０７６７】
実施例６１の光学系は、図６８（ａ）に示すように、物体側から順に、正の屈折力の第１レンズ群Ｇ１と、開口絞りＳと、正の屈折力の第２レンズ群Ｇ２と、を有している。
【０７６８】
第１レンズ群Ｇ１は、像側に凸面を向けた負メニスカスレンズＬ１と、両凸正レンズＬ２と、物体側に凸面を向けた負メニスカスレンズＬ３と、両凸正レンズＬ４と、両凸正レンズＬ５と、両凹負レンズＬ６とからなる。両凸正レンズＬ５と両凹負レンズＬ６とは接合されている。
【０７６９】
第２レンズ群Ｇ２は、両凹負レンズＬ７と、両凸正レンズＬ８と、両凸正レンズＬ９と、像側に凸面を向けた負メニスカスレンズＬ１０と、像側に凸面を向けた正メニスカスレンズＬ１１と、像側に凸面を向けた負メニスカスレンズＬ１２と、物体側に凸面を向けた負メニスカスレンズＬ１３とからなる。両凹負レンズＬ７と両凸正レンズＬ８とは接合されている。所定のレンズ群は、負メニスカスレンズＬ１２と負メニスカスレンズＬ１３とからなる。
【０７７０】
開口絞りＳは、両凹負レンズＬ６と両凹負レンズＬ７の間に配置されている。
【０７７１】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、負メニスカスレンズＬ１０の両面と、正メニスカスレンズＬ１１の両面と、負メニスカスレンズＬ１２の両面と、負メニスカスレンズＬ１３の両面との１８面に用いられている。
【０７７２】
次に、実施例６２にかかる光学系について説明する。図６９（ａ）は実施例６２にかかる光学系の光学構成を示す光軸に沿う断面図ある。また、図６９（ｂ）、（ｃ）、（ｄ）、（ｅ）は、実施例６２にかかる光学系の収差図である。
【０７７３】
実施例６２の光学系は、図６９（ａ）に示すように、物体側から順に、正の屈折力の第１レンズ群Ｇ１と、開口絞りＳと、正の屈折力の第２レンズ群Ｇ２と、を有している。
【０７７４】
第１レンズ群Ｇ１は、像側に凸面を向けた負メニスカスレンズＬ１と、両凸正レンズＬ２と、物体側に凸面を向けた負メニスカスレンズＬ３と、両凸正レンズＬ４と、両凸正レンズＬ５と、両凹負レンズＬ６とからなる。両凸正レンズＬ５と両凹負レンズＬ６とは接合されている。
【０７７５】
第２レンズ群Ｇ２は、両凹負レンズＬ７と、両凸正レンズＬ８と、両凸正レンズＬ９と、像側に凸面を向けた負メニスカスレンズＬ１０と、像側に凸面を向けた正メニスカスレンズＬ１１と、像側に凸面を向けた負メニスカスレンズＬ１２と、物体側に凸面を向けた負メニスカスレンズＬ１３とからなる。両凹負レンズＬ７と両凸正レンズＬ８とは接合されている。所定のレンズ群は、負メニスカスレンズＬ１２と負メニスカスレンズＬ１３とからなる。
【０７７６】
開口絞りＳは、両凹負レンズＬ６と両凹負レンズＬ７の間に配置されている。
【０７７７】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、負メニスカスレンズＬ１０の両面と、正メニスカスレンズＬ１１の両面と、負メニスカスレンズＬ１２の両面と、負メニスカスレンズＬ１３の両面との１８面に用いられている。
【０７７８】
次に、実施例６３にかかる光学系について説明する。図７０（ａ）は実施例６３にかかる光学系の光学構成を示す光軸に沿う断面図ある。また、図７０（ｂ）、（ｃ）、（ｄ）、（ｅ）は、実施例６３にかかる光学系の収差図である。
【０７７９】
実施例６３の光学系は、図７０（ａ）に示すように、物体側から順に、正の屈折力の第１レンズ群Ｇ１と、開口絞りＳと、正の屈折力の第２レンズ群Ｇ２と、を有している。
【０７８０】
第１レンズ群Ｇ１は、像側に凸面を向けた負メニスカスレンズＬ１と、両凸正レンズＬ２と、両凸正レンズＬ３と、両凸正レンズＬ４と、両凹負レンズＬ５とからなる。両凸正レンズＬ４と両凹負レンズＬ５とは接合されている。
【０７８１】
第２レンズ群Ｇ２は、両凹負レンズＬ６と、両凸正レンズＬ７と、両凸正レンズＬ８と、像側に凸面を向けた正メニスカスレンズＬ９と、像側に凸面を向けた負メニスカスレンズＬ１０と、物体側に凸面を向けた負メニスカスレンズＬ１１とからなる。両凹負レンズＬ６と両凸正レンズＬ７とは接合されている。所定のレンズ群は、負メニスカスレンズＬ１０と負メニスカスレンズＬ１１とからなる。
【０７８２】
開口絞りＳは、両凹負レンズＬ５と両凹負レンズＬ６の間に配置されている。
【０７８３】
非球面は、負メニスカスレンズＬ１の両面と、両凸正レンズＬ２の両面と、両凸正レンズＬ３の両面と、両凸正レンズＬ８の両面と、正メニスカスレンズＬ９の両面と、負メニスカスレンズＬ１０の両面と、負メニスカスレンズＬ１１の両面との１４面に用いられている。
【０７８４】
次に、実施例６４にかかる光学系について説明する。図７１（ａ）は実施例６４にかかる光学系の光学構成を示す光軸に沿う断面図ある。また、図７１（ｂ）、（ｃ）、（ｄ）、（ｅ）は、実施例６４にかかる光学系の収差図である。
【０７８５】
実施例６４の光学系は、図７１（ａ）に示すように、物体側から順に、正の屈折力の第１レンズ群Ｇ１と、開口絞りＳと、正の屈折力の第２レンズ群Ｇ２と、を有している。
【０７８６】
第１レンズ群Ｇ１は、像側に凸面を向けた負メニスカスレンズＬ１と、両凸正レンズＬ２と、両凸正レンズＬ３と、両凸正レンズＬ４と、両凹負レンズＬ５とからなる。両凸正レンズＬ４と両凹負レンズＬ５とは接合されている。
【０７８７】
第２レンズ群Ｇ２は、両凹負レンズＬ６と、両凸正レンズＬ７と、両凸正レンズＬ８と、像側に凸面を向けた正メニスカスレンズＬ９と、像側に凸面を向けた負メニスカスレンズＬ１０と、物体側に凸面を向けた負メニスカスレンズＬ１１とからなる。両凹負レンズＬ６と両凸正レンズＬ７とは接合されている。所定のレンズ群は、負メニスカスレンズＬ１０と負メニスカスレンズＬ１１とからなる。
【０７８８】
開口絞りＳは、両凹負レンズＬ５と両凹負レンズＬ６の間に配置されている。
【０７８９】
非球面は、負メニスカスレンズＬ１の両面と、両凸正レンズＬ２の両面と、両凸正レンズＬ３の両面と、両凸正レンズＬ８の両面と、正メニスカスレンズＬ９の両面と、負メニスカスレンズＬ１０の両面と、負メニスカスレンズＬ１１の両面との１４面に用いられている。
【０７９０】
次に、実施例６５にかかる光学系について説明する。図７２（ａ）は実施例６５にかかる光学系の光学構成を示す光軸に沿う断面図ある。また、図７２（ｂ）、（ｃ）、（ｄ）、（ｅ）は、実施例６５にかかる光学系の収差図である。
【０７９１】
実施例６５の光学系は、図７２（ａ）に示すように、物体側から順に、正の屈折力の第１レンズ群Ｇ１と、開口絞りＳと、正の屈折力の第２レンズ群Ｇ２と、を有している。
【０７９２】
第１レンズ群Ｇ１は、像側に凸面を向けた負メニスカスレンズＬ１と、両凸正レンズＬ２と、物体側に凸面を向けた負メニスカスレンズＬ３と、両凸正レンズＬ４と、両凸正レンズＬ５と、両凹負レンズＬ６とからなる。両凸正レンズＬ５と両凹負レンズＬ６とは接合されている。
【０７９３】
第２レンズ群Ｇ２は、両凹負レンズＬ７と、両凸正レンズＬ８と、両凸正レンズＬ９と、像側に凸面を向けた負メニスカスレンズＬ１０と、像側に凸面を向けた正メニスカスレンズＬ１１と、像側に凸面を向けた負メニスカスレンズＬ１２と、物体側に凸面を向けた負メニスカスレンズＬ１３とからなる。両凹負レンズＬ７と両凸正レンズＬ８とは接合されている。所定のレンズ群は、負メニスカスレンズＬ１２と負メニスカスレンズＬ１３とからなる。
【０７９４】
開口絞りＳは、両凹負レンズＬ６と両凹負レンズＬ７の間に配置されている。
【０７９５】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、負メニスカスレンズＬ１０の両面と、正メニスカスレンズＬ１１の両面と、負メニスカスレンズＬ１２の両面と、負メニスカスレンズＬ１３の両面との１８面に用いられている。
【０７９６】
次に、実施例６６にかかる光学系について説明する。図７３（ａ）は実施例６６にかかる光学系の光学構成を示す光軸に沿う断面図ある。また、図７３（ｂ）、（ｃ）、（ｄ）、（ｅ）は、実施例６６にかかる光学系の収差図である。
【０７９７】
実施例６６の光学系は、図７３（ａ）に示すように、物体側から順に、正の屈折力の第１レンズ群Ｇ１と、開口絞りＳと、正の屈折力の第２レンズ群Ｇ２と、を有している。
【０７９８】
第１レンズ群Ｇ１は、像側に凸面を向けた負メニスカスレンズＬ１と、両凸正レンズＬ２と、物体側に凸面を向けた負メニスカスレンズＬ３と、両凸正レンズＬ４と、両凸正レンズＬ５と、両凹負レンズＬ６とからなる。両凸正レンズＬ５と両凹負レンズＬ６とは接合されている。
【０７９９】
第２レンズ群Ｇ２は、両凹負レンズＬ７と、両凸正レンズＬ８と、両凸正レンズＬ９と、像側に凸面を向けた負メニスカスレンズＬ１０と、像側に凸面を向けた正メニスカスレンズＬ１１と、像側に凸面を向けた負メニスカスレンズＬ１２と、物体側に凸面を向けた負メニスカスレンズＬ１３とからなる。両凹負レンズＬ７と両凸正レンズＬ８とは接合されている。所定のレンズ群は、負メニスカスレンズＬ１２と負メニスカスレンズＬ１３とからなる。
【０８００】
開口絞りＳは、両凹負レンズＬ６と両凹負レンズＬ７の間に配置されている。
【０８０１】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、負メニスカスレンズＬ１０の両面と、正メニスカスレンズＬ１１の両面と、負メニスカスレンズＬ１２の両面と、負メニスカスレンズＬ１３の両面との１８面に用いられている。
【０８０２】
次に、実施例６７にかかる光学系について説明する。図７４（ａ）は実施例６７にかかる光学系の光学構成を示す光軸に沿う断面図ある。また、図７４（ｂ）、（ｃ）、（ｄ）、（ｅ）は、実施例６７にかかる光学系の収差図である。
【０８０３】
実施例６７の光学系は、図７４（ａ）に示すように、物体側から順に、正の屈折力の第１レンズ群Ｇ１と、開口絞りＳと、正の屈折力の第２レンズ群Ｇ２と、を有している。
【０８０４】
第１レンズ群Ｇ１は、像側に凸面を向けた負メニスカスレンズＬ１と、両凸正レンズＬ２と、物体側に凸面を向けた負メニスカスレンズＬ３と、両凸正レンズＬ４と、両凸正レンズＬ５と、両凹負レンズＬ６とからなる。両凸正レンズＬ５と両凹負レンズＬ６とは接合されている。
【０８０５】
第２レンズ群Ｇ２は、両凹負レンズＬ７と、両凸正レンズＬ８と、両凸正レンズＬ９と、像側に凸面を向けた負メニスカスレンズＬ１０と、像側に凸面を向けた正メニスカスレンズＬ１１と、像側に凸面を向けた負メニスカスレンズＬ１２と、物体側に凸面を向けた負メニスカスレンズＬ１３とからなる。両凹負レンズＬ７と両凸正レンズＬ８とは接合されている。所定のレンズ群は、負メニスカスレンズＬ１２と負メニスカスレンズＬ１３とからなる。
【０８０６】
開口絞りＳは、両凹負レンズＬ６と両凹負レンズＬ７の間に配置されている。
【０８０７】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、負メニスカスレンズＬ１０の両面と、正メニスカスレンズＬ１１の両面と、負メニスカスレンズＬ１２の両面と、負メニスカスレンズＬ１３の両面との１８面に用いられている。
【０８０８】
次に、実施例６８にかかる光学系について説明する。図７５（ａ）は実施例６８にかかる光学系の光学構成を示す光軸に沿う断面図ある。また、図７５（ｂ）、（ｃ）、（ｄ）、（ｅ）は、実施例６８にかかる光学系の収差図である。
【０８０９】
実施例６８の光学系は、図７５（ａ）に示すように、物体側から順に、正の屈折力の第１レンズ群Ｇ１と、開口絞りＳと、正の屈折力の第２レンズ群Ｇ２と、を有している。
【０８１０】
第１レンズ群Ｇ１は、両凹負レンズＬ１と、両凸正レンズＬ２と、両凸正レンズＬ３と、両凸正レンズＬ４と、両凸正レンズＬ５と、両凹負レンズＬ６と、両凸正レンズＬ７と、像側に凸面を向けた負メニスカスレンズＬ８とからなる。両凸正レンズＬ７と負メニスカスレンズＬ８とは接合されている。
【０８１１】
第２レンズ群Ｇ２は、両凸正レンズＬ９と、像側に凸面を向けた正メニスカスレンズＬ１０と、両凹負レンズＬ１１と、両凸正レンズＬ１２と、物体側に凸面を向けた正メニスカスレンズＬ１３と、両凸正レンズＬ１４と、物体側に凸面を向けた負メニスカスレンズＬ１５と、像側に凸面を向けた負メニスカスレンズＬ１６と、両凹負レンズＬ１７とからなる。正メニスカスレンズＬ１０と両凹負レンズＬ１１と両凸正レンズＬ１２とは接合されている。所定のレンズ群は、負メニスカスレンズＬ１６と両凹負レンズＬ１７とからなる。
【０８１２】
開口絞りＳは、負メニスカスレンズＬ８と両凸正レンズＬ９の間に配置されている。より詳細には、開口絞りＳは、両凸正レンズＬ９の物体側面の面頂と像側面の面頂の間に配置されている。
【０８１３】
非球面は、両凹負レンズＬ１の両面と、両凸正レンズＬ２の両面と、両凸正レンズＬ３の両面と、両凸正レンズＬ４の両面と、両凸正レンズＬ５の両面と、両凹負レンズＬ６の両面と、両凸正レンズＬ９の両面と、正メニスカスレンズＬ１３の両面と、両凸正レンズＬ１４の両面と、負メニスカスレンズＬ１５の両面と、負メニスカスレンズＬ１６の両面と、両凹負レンズＬ１７の両面との２４面に用いられている。
【０８１４】
次に、実施例６９にかかる光学系について説明する。図７６（ａ）は実施例６９にかかる光学系の光学構成を示す光軸に沿う断面図ある。また、図７６（ｂ）、（ｃ）、（ｄ）、（ｅ）は、実施例６９にかかる光学系の収差図である。
【０８１５】
実施例６９の光学系は、図７６（ａ）に示すように、物体側から順に、正の屈折力の第１レンズ群Ｇ１と、開口絞りＳと、正の屈折力の第２レンズ群Ｇ２と、を有している。
【０８１６】
第１レンズ群Ｇ１は、両凹負レンズＬ１と、両凸正レンズＬ２と、両凸正レンズＬ３と、両凸正レンズＬ４と、両凸正レンズＬ５と、両凹負レンズＬ６と、両凸正レンズＬ７と、両凹負レンズＬ８とからなる。両凸正レンズＬ７と両凹負レンズＬ８とは接合されている。
【０８１７】
第２レンズ群Ｇ２は、両凸正レンズＬ９と、像側に凸面を向けた正メニスカスレンズＬ１０と、両凹負レンズＬ１１と、両凸正レンズＬ１２、物体側に凸面を向けた正メニスカスレンズＬ１３と、両凸正レンズＬ１４と、物体側に凸面を向けた負メニスカスレンズＬ１５と、両凸正レンズＬ１６と、両凹負レンズＬ１７とからなる。正メニスカスレンズＬ１０と両凹負レンズＬ１１と両凸正レンズＬ１２とは接合されている。所定のレンズ群は、両凹負レンズＬ１７からなる。
【０８１８】
開口絞りＳは、両凹負レンズＬ８と両凸正レンズＬ９の間に配置されている。より詳細には、開口絞りＳは、両凸正レンズＬ９の物体側面の面頂と像側面の面頂の間に配置されている。
【０８１９】
非球面は、両凹負レンズＬ１の両面と、両凸正レンズＬ２の両面と、両凸正レンズＬ３の両面と、両凸正レンズＬ４の両面と、両凸正レンズＬ５の両面と、両凹負レンズＬ６の両面と、両凸正レンズＬ９の両面と、正メニスカスレンズＬ１３の両面と、両凸正レンズＬ１４の両面と、負メニスカスレンズＬ１５の両面と、両凸正レンズＬ１６の両面と、両凹負レンズＬ１７の両面との２４面に用いられている。
【０８２０】
次に、実施例７０にかかる光学系について説明する。図７７（ａ）は実施例７０にかかる光学系の光学構成を示す光軸に沿う断面図ある。また、図７７（ｂ）、（ｃ）、（ｄ）、（ｅ）は、実施例７０にかかる光学系の収差図である。
【０８２１】
実施例７０の光学系は、図７７（ａ）に示すように、物体側から順に、正の屈折力の第１レンズ群Ｇ１と、開口絞りＳと、正の屈折力の第２レンズ群Ｇ２と、を有している。
【０８２２】
第１レンズ群Ｇ１は、両凹負レンズＬ１と、両凸正レンズＬ２と、両凸正レンズＬ３と、両凸正レンズＬ４と、両凸正レンズＬ５と、両凹負レンズＬ６と、両凸正レンズＬ７と、両凹負レンズＬ８とからなる。両凸正レンズＬ７と両凹負レンズＬ８とは接合されている。
【０８２３】
第２レンズ群Ｇ２は、両凸正レンズＬ９と、像側に凸面を向けた正メニスカスレンズＬ１０と、両凹負レンズＬ１１と、両凸正レンズＬ１２と、物体側に凸面を向けた正メニスカスレンズＬ１３と、両凸正レンズＬ１４と、物体側に凸面を向けた負メニスカスレンズＬ１５と、像側に凸面を向けた負メニスカスレンズＬ１６とからなる。正メニスカスレンズＬ１０と両凹負レンズＬ１１と両凸正レンズＬ１２とは接合されている。所定のレンズ群は、負メニスカスレンズＬ１５と負メニスカスレンズＬ１６とからなる。
【０８２４】
開口絞りＳは、両凹負レンズＬ８と両凸正レンズＬ９の間に配置されている。
【０８２５】
非球面は、両凹負レンズＬ１の両面と、両凸正レンズＬ２の両面と、両凸正レンズＬ３の両面と、両凸正レンズＬ４の両面と、両凸正レンズＬ５の両面と、両凹負レンズＬ６の両面と、両凸正レンズＬ９の両面と、正メニスカスレンズＬ１３の両面と、両凸正レンズＬ１４の両面と、負メニスカスレンズＬ１５の両面と、負メニスカスレンズＬ１６の両面との２２面に用いられている。
【０８２６】
次に、実施例７１にかかる光学系について説明する。図７８（ａ）は実施例７１にかかる光学系の光学構成を示す光軸に沿う断面図ある。また、図７８（ｂ）、（ｃ）、（ｄ）、（ｅ）は、実施例７１にかかる光学系の収差図である。
【０８２７】
実施例７１の光学系は、図７８（ａ）に示すように、物体側から順に、正の屈折力の第１レンズ群Ｇ１と、開口絞りＳと、正の屈折力の第２レンズ群Ｇ２と、を有している。
【０８２８】
第１レンズ群Ｇ１は、両凹負レンズＬ１と、両凸正レンズＬ２と、両凸正レンズＬ３と、両凸正レンズＬ４と、両凹負レンズＬ５と、両凸正レンズＬ６と、両凹負レンズＬ７とからなる。両凸正レンズＬ６と両凹負レンズＬ７とは接合されている。
【０８２９】
第２レンズ群Ｇ２は、両凸正レンズＬ８と、像側に凸面を向けた正メニスカスレンズＬ９と、両凹負レンズＬ１０と、両凸正レンズＬ１１と、物体側に凸面を向けた正メニスカスレンズＬ１２と、両凸正レンズＬ１３と、物体側に凸面を向けた負メニスカスレンズＬ１４と、像側に凸面を向けた負メニスカスレンズＬ１５とからなる。正メニスカスレンズＬ９と両凹負レンズＬ１０と両凸正レンズＬ１１とは接合されている。所定のレンズ群は、負メニスカスレンズＬ１４と負メニスカスレンズＬ１５とからなる。
【０８３０】
開口絞りＳは、両凹負レンズＬ７と両凸正レンズＬ８の間に配置されている。より詳細には、開口絞りＳは、両凸正レンズＬ８の物体側面の面頂と像側面の面頂の間に配置されている。
【０８３１】
非球面は、両凹負レンズＬ１の両面と、両凸正レンズＬ２の両面と、両凸正レンズＬ３の両面と、両凸正レンズＬ４の両面と、両凹負レンズＬ５の両面と、両凸正レンズＬ８の両面と、正メニスカスレンズＬ１２の両面と、両凸正レンズＬ１３の両面と、負メニスカスレンズＬ１４の両面と、負メニスカスレンズＬ１５の両面との２０面に用いられている。
【０８３２】
次に、実施例７２にかかる光学系について説明する。図７９（ａ）は実施例７２にかかる光学系の光学構成を示す光軸に沿う断面図ある。また、図７９（ｂ）、（ｃ）、（ｄ）、（ｅ）は、実施例７２にかかる光学系の収差図である。
【０８３３】
実施例７２の光学系は、図７９（ａ）に示すように、物体側から順に、正の屈折力の第１レンズ群Ｇ１と、開口絞りＳと、正の屈折力の第２レンズ群Ｇ２と、を有している。
【０８３４】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５とからなる。正メニスカスレンズＬ４と両凹負レンズＬ５とは接合されている。
【０８３５】
第２レンズ群Ｇ２は、両凹負レンズＬ６と、両凸正レンズＬ７と、両凸正レンズＬ８と、像側に凸面を向けた負メニスカスレンズＬ９と、像側に凸面を向けた正メニスカスレンズＬ１０と、両凸正レンズＬ１１と、物体側に凸面を向けた負メニスカスレンズＬ１２とからなる。両凹負レンズＬ６と両凸正レンズＬ７とは接合されている。所定のレンズ群は負メニスカスレンズＬ１２からなる。
【０８３６】
開口絞りＳは、両凹負レンズＬ５と両凹負レンズＬ６の間に配置されている。
【０８３７】
非球面は、負メニスカスレンズＬ１の両面と、両凸正レンズＬ２の両面と、両凸正レンズＬ３の両面と、両凸正レンズＬ８の両面と、負メニスカスレンズＬ９の両面と、正メニスカスレンズＬ１０の両面と、両凸正レンズＬ１１の両面と、負メニスカスレンズＬ１２の両面との１６面に用いられている。
【０８３８】
次に、実施例７３にかかる光学系について説明する。図８０（ａ）は実施例７３にかかる光学系の光学構成を示す光軸に沿う断面図ある。また、図８０（ｂ）、（ｃ）、（ｄ）、（ｅ）は、実施例７３にかかる光学系の収差図である。
【０８３９】
実施例７３の光学系は、図８０（ａ）に示すように、物体側から順に、正の屈折力の第１レンズ群Ｇ１と、開口絞りＳと、正の屈折力の第２レンズ群Ｇ２と、を有している。
【０８４０】
第１レンズ群Ｇ１は、両凹負レンズＬ１と、像側に凸面を向けた正メニスカスレンズＬ２と、両凸正レンズＬ３と、両凸正レンズＬ４と、両凸正レンズＬ５と、像側に凸面を向けた負メニスカスレンズＬ６と、像側に凸面を向けた正メニスカスレンズＬ７と、両凹負レンズＬ８と、両凸正レンズＬ９と、像側に凸面を向けた負メニスカスレンズＬ１０とからなる。両凸正レンズＬ９と負メニスカスレンズＬ１０とは接合されている。
【０８４１】
第２レンズ群Ｇ２は、物体側に凸面を向けた正メニスカスレンズＬ１１と、両凸正レンズＬ１２と、両凹負レンズＬ１３と、両凸正レンズＬ１４と、物体側に凸面を向けた正メニスカスレンズＬ１５と、両凸正レンズＬ１６と、物体側に凸面を向けた負メニスカスレンズＬ１７と、像側に凸面を向けた正メニスカスレンズＬ１８と、両凹負レンズＬ１９とからなる。両凸正レンズＬ１２と両凹負レンズＬ１３と両凸正レンズＬ１４とは接合されている。所定のレンズ群は両凹負レンズＬ１９からなる。
【０８４２】
開口絞りＳは、負メニスカスレンズＬ１０と正メニスカスレンズＬ１１の間に配置されている。
【０８４３】
非球面は、両凹負レンズＬ１の両面と、正メニスカスレンズＬ２の両面と、両凸正レンズＬ３の両面と、両凸正レンズＬ４の両面と、両凸正レンズＬ５の両面と、負メニスカスレンズＬ６の両面と、正メニスカスレンズＬ７の両面と、両凹負レンズＬ８の両面と、正メニスカスレンズＬ１１の両面と、正メニスカスレンズＬ１５の両面と、両凸正レンズＬ１６の両面と、負メニスカスレンズＬ１７の両面と、正メニスカスレンズＬ１８の両面と、両凹負レンズＬ１９の両面との２８面に用いられている。
【０８４４】
次に、実施例７４にかかる光学系について説明する。図８１（ａ）は実施例７４にかかる光学系の光学構成を示す光軸に沿う断面図ある。また、図８１（ｂ）、（ｃ）、（ｄ）、（ｅ）は、実施例７４にかかる光学系の収差図である。
【０８４５】
実施例７４の光学系は、図８１（ａ）に示すように、物体側から順に、正の屈折力の第１レンズ群Ｇ１と、開口絞りＳと、正の屈折力の第２レンズ群Ｇ２と、を有している。
【０８４６】
第１レンズ群Ｇ１は、像側に凸面を向けた負メニスカスレンズＬ１と、両凸正レンズＬ２と、像側に凸面を向けた負メニスカスレンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０８４７】
第２レンズ群Ｇ２は、両凹負レンズＬ７と、両凸正レンズＬ８と、両凸正レンズＬ９と、両凸正レンズＬ１０と、両凹負レンズＬ１１と、両凸正レンズＬ１２と、像側に凸面を向けた負メニスカスレンズＬ１３と、両凹負レンズＬ１４とからなる。両凹負レンズＬ７と両凸正レンズＬ８とは接合されている。所定のレンズ群は、負メニスカスレンズＬ１３と両凹負レンズＬ１４と、からなる。
【０８４８】
開口絞りＳは、両凹負レンズＬ６と両凹負レンズＬ７の間に配置されている。
【０８４９】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、両凸正レンズＬ１０の両面と、両凹負レンズＬ１１の両面と、両凸正レンズＬ１２の両面と、負メニスカスレンズＬ１３の両面と、両凹負レンズＬ１４の両面との２０面に用いられている。
【０８５０】
次に、実施例７５にかかる光学系について説明する。図８２（ａ）は実施例７５にかかる光学系の光学構成を示す光軸に沿う断面図ある。また、図８２（ｂ）、（ｃ）、（ｄ）、（ｅ）は、実施例７５にかかる光学系の収差図である。
【０８５１】
実施例７５の光学系は、図８２（ａ）に示すように、物体側から順に、正の屈折力の第１レンズ群Ｇ１と、開口絞りＳと、正の屈折力の第２レンズ群Ｇ２と、を有している。
【０８５２】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５とからなる。正メニスカスレンズＬ４と両凹負レンズＬ５とは接合されている。
【０８５３】
第２レンズ群Ｇ２は、両凹負レンズＬ６と、両凸正レンズＬ７と、両凸正レンズＬ８と、両凸正レンズＬ９と、両凹負レンズＬ１０と、両凸正レンズＬ１１と、像側に凸面を向けた負メニスカスレンズＬ１２と、両凹負レンズＬ１３とからなる。両凹負レンズＬ６と両凸正レンズＬ７とは接合されている。所定のレンズ群は、負メニスカスレンズＬ１２と両凹負レンズＬ１３からなる。
【０８５４】
開口絞りＳは、両凹負レンズＬ５と両凹負レンズＬ６の間に配置されている。
【０８５５】
非球面は、負メニスカスレンズＬ１の両面と、両凸正レンズＬ２の両面と、両凸正レンズＬ３の両面と、両凸正レンズＬ８の両面と、両凸正レンズＬ９の両面と、両凹負レンズＬ１０の両面と、両凸正レンズＬ１１の両面と、負メニスカスレンズＬ１２の両面と、両凹負レンズＬ１３の両面との１８面に用いられている。
【０８５６】
次に、実施例７６にかかる光学系について説明する。図８３（ａ）は実施例７６にかかる光学系の光学構成を示す光軸に沿う断面図ある。また、図８３（ｂ）、（ｃ）、（ｄ）、（ｅ）は、実施例７６にかかる光学系の収差図である。
【０８５７】
実施例７６の光学系は、図８３（ａ）に示すように、物体側から順に、正の屈折力の第１レンズ群Ｇ１と、開口絞りＳと、正の屈折力の第２レンズ群Ｇ２と、を有している。
【０８５８】
第１レンズ群Ｇ１は、像側に凸面を向けた負メニスカスレンズＬ１と、両凸正レンズＬ２と、両凹負レンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０８５９】
第２レンズ群Ｇ２は、両凹負レンズＬ７と、両凸正レンズＬ８と、両凸正レンズＬ９と、両凸正レンズＬ１０と、両凹負レンズＬ１１と、両凸正レンズＬ１２と、像側に凸面を向けた負メニスカスレンズＬ１３と、両凹負レンズＬ１４とからなる。両凹負レンズＬ７と両凸正レンズＬ８とは接合されている。所定のレンズ群は、負メニスカスレンズＬ１３と両凹負レンズＬ１４とからなる。
【０８６０】
開口絞りＳは、両凹負レンズＬ６と両凹負レンズＬ７の間に配置されている。
【０８６１】
非球面は、負メニスカスレンズＬ１の両面と、両凸正レンズＬ２の両面と、両凹負レンズＬ３の両面と、両凸正レンズＬ４の両面と、両凸正レンズＬ９の両面と、両凸正レンズＬ１０の両面と、両凹負レンズＬ１１の両面と、両凸正レンズＬ１２の両面と、負メニスカスレンズＬ１３の両面と、両凹負レンズＬ１４の両面との２０面に用いられている。
【０８６２】
次に、実施例７７にかかる光学系について説明する。図８４（ａ）は実施例７７にかかる光学系の光学構成を示す光軸に沿う断面図ある。また、図８４（ｂ）、（ｃ）、（ｄ）、（ｅ）は、実施例７７にかかる光学系の収差図である。
【０８６３】
実施例７７の光学系は、図８４（ａ）に示すように、物体側から順に、正の屈折力の第１レンズ群Ｇ１と、開口絞りＳと、正の屈折力の第２レンズ群Ｇ２と、を有している。
【０８６４】
第１レンズ群Ｇ１は、像側に凸面を向けた負メニスカスレンズＬ１と、両凸正レンズＬ２と、両凹負レンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０８６５】
第２レンズ群Ｇ２は、両凹負レンズＬ７と、両凸正レンズＬ８と、両凸正レンズＬ９と、両凸正レンズＬ１０と、像側に凸面を向けた負メニスカスレンズＬ１１と、両凸正レンズＬ１２と、像側に凸面を向けた負メニスカスレンズＬ１３と、両凹負レンズＬ１４とからなる。両凹負レンズＬ７と両凸正レンズＬ８とは接合されている。所定のレンズ群は、負メニスカスレンズＬ１３と両凹負レンズＬ１４とからなる。
【０８６６】
開口絞りＳは、両凹負レンズＬ６と両凹負レンズＬ７の間に配置されている。
【０８６７】
非球面は、負メニスカスレンズＬ１の両面と、両凸正レンズＬ２の両面と、両凹負レンズＬ３の両面と、両凸正レンズＬ４の両面と、両凸正レンズＬ９の両面と、両凸正レンズＬ１０の両面と、負メニスカスレンズＬ１１の両面と、両凸正レンズＬ１２の両面と、負メニスカスレンズＬ１３の両面と、両凹負レンズＬ１４の両面との２０面に用いられている。
【０８６８】
次に、実施例７８にかかる光学系について説明する。図８５（ａ）は実施例７８にかかる光学系の光学構成を示す光軸に沿う断面図ある。また、図８５（ｂ）、（ｃ）、（ｄ）、（ｅ）は、実施例７８にかかる光学系の収差図である。
【０８６９】
実施例７８の光学系は、図８５（ａ）に示すように、物体側から順に、正の屈折力の第１レンズ群Ｇ１と、開口絞りＳと、正の屈折力の第２レンズ群Ｇ２と、を有している。
【０８７０】
第１レンズ群Ｇ１は、像側に凸面を向けた負メニスカスレンズＬ１と、両凸正レンズＬ２と、像側に凸面を向けた負メニスカスレンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０８７１】
第２レンズ群Ｇ２は、両凹負レンズＬ７と、両凸正レンズＬ８と、両凸正レンズＬ９と、両凸正レンズＬ１０と、像側に凸面を向けた負メニスカスレンズＬ１１と、両凸正レンズＬ１２と、像側に凸面を向けた負メニスカスレンズＬ１３と、両凹負レンズＬ１４とからなる。両凹負レンズＬ７と両凸正レンズＬ８とは接合されている。所定のレンズ群は、負メニスカスレンズＬ１３と両凹負レンズＬ１４とからなる。
【０８７２】
開口絞りＳは、両凹負レンズＬ６と両凹負レンズＬ７の間に配置されている。
【０８７３】
非球面は、負メニスカスレンズＬ１の両面と、両凸正レンズＬ２の両面と、負メニスカスレンズＬ３の両面と、両凸正レンズＬ４の両面と、両凸正レンズＬ９の両面と、両凸正レンズＬ１０の両面と、負メニスカスレンズＬ１１の両面と、両凸正レンズＬ１２の両面と、負メニスカスレンズＬ１３の両面と、両凹負レンズＬ１４の両面との２０面に用いられている。
【０８７４】
次に、実施例７９にかかる光学系について説明する。図８６（ａ）は実施例７９にかかる光学系の光学構成を示す光軸に沿う断面図ある。また、図８６（ｂ）、（ｃ）、（ｄ）、（ｅ）は、実施例７９にかかる光学系の収差図である。
【０８７５】
実施例７９の光学系は、図８６（ａ）に示すように、物体側から順に、正の屈折力の第１レンズ群Ｇ１と、開口絞りＳと、正の屈折力の第２レンズ群Ｇ２と、を有している。
【０８７６】
第１レンズ群Ｇ１は、両凸正レンズＬ１と、両凹負レンズＬ２と、両凸正レンズＬ３と、両凸正レンズＬ４と、像側に凸面を向けた正メニスカスレンズＬ５と、両凹負レンズＬ６とからなる。正メニスカスレンズＬ５と両凹負レンズＬ６とは接合されている。
【０８７７】
第２レンズ群Ｇ２は、両凹負レンズＬ７と、両凸正レンズＬ８と、両凸正レンズＬ９と、物体側に凸面を向けた負メニスカスレンズＬ１０と、両凸正レンズＬ１１と、両凹負レンズＬ１２と、像側に凸面を向けた負メニスカスレンズＬ１３とからなる。両凹負レンズＬ７と両凸正レンズＬ８とは接合されている。所定のレンズ群は、両凹負レンズＬ１２と負メニスカスレンズＬ１３とからなる。
【０８７８】
開口絞りＳは、両凹負レンズＬ６と両凹負レンズＬ７の間に配置されている。
【０８７９】
非球面は、両凸正レンズＬ１の両面と、両凸正レンズＬ３の物体側面と、両凸正レンズＬ４の像側面と、両凸正レンズＬ９の両面と、負メニスカスレンズＬ１０の両面と、両凸正レンズＬ１１の両面と、両凹負レンズＬ１２の両面と、負メニスカスレンズＬ１３の両面との１４面に用いられている。
【０８８０】
次に、実施例８０にかかる光学系について説明する。図８７（ａ）は実施例８０にかかる光学系の光学構成を示す光軸に沿う断面図ある。また、８７（ｂ）、（ｃ）、（ｄ）、（ｅ）は、実施例８０にかかる光学系の収差図である。
【０８８１】
実施例８０の光学系は、図８７（ａ）に示すように、物体側から順に、正の屈折力の第１レンズ群Ｇ１と、開口絞りＳと、正の屈折力の第２レンズ群Ｇ２と、を有している。
【０８８２】
第１レンズ群Ｇ１は、像側に凸面を向けた負メニスカスレンズＬ１と、両凸正レンズＬ２と、両凹負レンズＬ３と、両凸正レンズＬ４と、両凸正レンズＬ５と、両凹負レンズＬ６とからなる。両凸正レンズＬ５と両凹負レンズＬ６とは接合されている。
【０８８３】
第２レンズ群Ｇ２は、両凹負レンズＬ７と、両凸正レンズＬ８と、両凸正レンズＬ９と、物体側に凸面を向けた負メニスカスレンズＬ１０と、物体側に凸面を向けた正メニスカスレンズＬ１１と、両凹負レンズＬ１２と、両凹負レンズＬ１３とからなる。両凹負レンズＬ７と両凸正レンズＬ８とは接合されている。所定のレンズ群は、両凹負レンズＬ１２と両凹負レンズＬ１３とからなる。
【０８８４】
開口絞りＳは、両凹負レンズＬ６と両凹負レンズＬ７の間に配置されている。
【０８８５】
非球面は、負メニスカスレンズＬ１の像側面と、両凸正レンズＬ２の物体側面と、両凸正レンズＬ４の両面と、両凸正レンズＬ９の両面と、負メニスカスレンズＬ１０の両面と、正メニスカスレンズＬ１１の物体側面と、両凹負レンズＬ１３の像側面との１０面に用いられている。
【０８８６】
次に、実施例８１にかかる光学系について説明する。図８８（ａ）は実施例８１にかかる光学系の光学構成を示す光軸に沿う断面図ある。また、図８８（ｂ）、（ｃ）、（ｄ）、（ｅ）は、実施例８１にかかる光学系の収差図である。
【０８８７】
実施例８１の光学系は、図８８（ａ）に示すように、物体側から順に、正の屈折力の第１レンズ群Ｇ１と、開口絞りＳと、正の屈折力の第２レンズ群Ｇ２と、を有している。
【０８８８】
第１レンズ群Ｇ１は、像側に凸面を向けた負メニスカスレンズＬ１と、両凸正レンズＬ２と、両凹負レンズＬ３と、両凸正レンズＬ４と、両凸正レンズＬ５と、両凹負レンズＬ６とからなる。両凸正レンズＬ５と両凹負レンズＬ６とは接合されている。
【０８８９】
第２レンズ群Ｇ２は、両凹負レンズＬ７と、両凸正レンズＬ８と、両凸正レンズＬ９と、物体側に凸面を向けた正メニスカスレンズＬ１０と、物体側に凸面を向けた負メニスカスレンズＬ１１と、物体側に凸面を向けた正メニスカスレンズＬ１２と、両凹負レンズＬ１３とからなる。両凹負レンズＬ７と両凸正レンズＬ８とは接合されている。所定のレンズ群は両凹負レンズＬ１３からなる。
【０８９０】
開口絞りＳは、両凹負レンズＬ６と両凹負レンズＬ７の間に配置されている。
【０８９１】
非球面は、負メニスカスレンズＬ１の像側面と、両凸正レンズＬ２の物体側面と、両凸正レンズＬ４の両面と、両凸正レンズＬ９の両面と、正メニスカスレンズＬ１０の両面と、負メニスカスレンズＬ１１の両面と、正メニスカスレンズＬ１２の物体側面と、両凹負レンズＬ１３の像側面との１２面に用いられている。
【０８９２】
次に、実施例８２にかかる光学系について説明する。図８９（ａ）は実施例８２にかかる光学系の光学構成を示す光軸に沿う断面図ある。また、図８９（ｂ）、（ｃ）、（ｄ）、（ｅ）は、実施例８２にかかる光学系の収差図である。
【０８９３】
実施例８２の光学系は、図８９（ａ）に示すように、物体側から順に、正の屈折力の第１レンズ群Ｇ１と、開口絞りＳと、正の屈折力の第２レンズ群Ｇ２と、を有している。
【０８９４】
第１レンズ群Ｇ１は、像側に凸面を向けた負メニスカスレンズＬ１と、両凸正レンズＬ２と、両凹負レンズＬ３と、両凸正レンズＬ４と、両凸正レンズＬ５と、両凹負レンズＬ６とからなる。両凸正レンズＬ５と両凹負レンズＬ６とは接合されている。
【０８９５】
第２レンズ群Ｇ２は、両凹負レンズＬ７と、両凸正レンズＬ８と、両凸正レンズＬ９と、両凹負レンズＬ１０と、物体側に凸面を向けた正メニスカスレンズＬ１１と、両凹負レンズＬ１２とからなる。両凹負レンズＬ７と両凸正レンズＬ８とは接合されている。所定のレンズ群は両凹負レンズＬ１２からなる。
【０８９６】
開口絞りＳは、両凹負レンズＬ６と両凹負レンズＬ７の間に配置されている。
【０８９７】
非球面は、負メニスカスレンズＬ１の像側面と、両凸正レンズＬ２の物体側面と、両凸正レンズＬ４の両面と、両凸正レンズＬ９の両面と、両凹負レンズＬ１０の両面と、正メニスカスレンズＬ１１の物体側面と、両凹負レンズＬ１２の像側面との１０面に用いられている。
【０８９８】
次に、実施例８３にかかる光学系について説明する。図９０（ａ）は実施例８３にかかる光学系の光学構成を示す光軸に沿う断面図ある。また、図９０（ｂ）、（ｃ）、（ｄ）、（ｅ）は、実施例８３にかかる光学系の収差図である。
【０８９９】
実施例８３の光学系は、図９０（ａ）に示すように、物体側から順に、正の屈折力の第１レンズ群Ｇ１と、開口絞りＳと、正の屈折力の第２レンズ群Ｇ２と、を有している。
【０９００】
第１レンズ群Ｇ１は、像側に凸面を向けた負メニスカスレンズＬ１と、両凸正レンズＬ２と、両凹負レンズＬ３と、両凸正レンズＬ４と、両凸正レンズＬ５と、両凸正レンズＬ６と、両凹負レンズＬ７とからなる。両凸正レンズＬ６と両凹負レンズＬ７とは接合されている。
【０９０１】
第２レンズ群Ｇ２は、両凹負レンズＬ８と、両凸正レンズＬ９と、両凸正レンズＬ１０と、両凸正レンズＬ１１と、像側に凸面を向けた負メニスカスレンズＬ１２と、両凸正レンズＬ１３と、像側に凸面を向けた負メニスカスレンズＬ１４と、両凹負レンズＬ１５とからなる。両凹負レンズＬ８と両凸正レンズＬ９とは接合されている。所定のレンズ群は、負メニスカスレンズＬ１４と両凹負レンズＬ１５とからなる。
【０９０２】
開口絞りＳは、両凹負レンズＬ７と両凹負レンズＬ８の間に配置されている。
【０９０３】
非球面は、負メニスカスレンズＬ１の両面と、両凸正レンズＬ２の両面と、両凹負レンズＬ３の両面と、両凸正レンズＬ４の両面と、両凸正レンズＬ５の両面と、両凸正レンズＬ１０の両面と、両凸正レンズＬ１１の両面と、負メニスカスレンズＬ１２の両面と、両凸正レンズＬ１３の両面と、負メニスカスレンズＬ１４の両面と、両凹負レンズＬ１５の両面との２２面に用いられている。
【０９０４】
次に、実施例８４にかかる光学系について説明する。図９１（ａ）は実施例８４にかかる光学系の光学構成を示す光軸に沿う断面図ある。また、図９１（ｂ）、（ｃ）、（ｄ）、（ｅ）は、実施例８４にかかる光学系の収差図である。
【０９０５】
実施例８４の光学系は、図９１（ａ）に示すように、物体側から順に、正の屈折力の第１レンズ群Ｇ１と、開口絞りＳと、正の屈折力の第２レンズ群Ｇ２と、を有している。
【０９０６】
第１レンズ群Ｇ１は、両凸正レンズＬ１と、像側に凸面を向けた負メニスカスレンズＬ２と、像側に凸面を向けた正メニスカスレンズＬ３と、物体側に凸面を向けた負メニスカスレンズＬ４とからなる。両凸正レンズＬ１と負メニスカスレンズＬ２とは接合されている。
【０９０７】
第２レンズ群Ｇ２は、両凸正レンズＬ５と、両凹負レンズＬ６と、像側に凸面を向けた負メニスカスレンズＬ７と、物体側に凸面を向けた正メニスカスレンズＬ８と、像側に凸面を向けた正メニスカスレンズＬ９と、物体側に凸面を向けた負メニスカスレンズＬ１０とからなる。所定のレンズ群は負メニスカスレンズＬ１０からなる。
【０９０８】
開口絞りＳは、負メニスカスレンズＬ４と両凸正レンズＬ５の間に配置されている。より詳細には、開口絞りＳは、両凸正レンズＬ５の物体側面の面頂と像側面の面頂の間に配置されている。
【０９０９】
非球面は、正メニスカスレンズＬ３の両面と、負メニスカスレンズＬ４の両面と、両凸正レンズＬ５の両面と、両凹負レンズＬ６の両面と、負メニスカスレンズＬ７の両面と、正メニスカスレンズＬ８の両面と、正メニスカスレンズＬ９の両面と、負メニスカスレンズＬ１０の両面との１６面に用いられている。
【０９１０】
次に、実施例８５にかかる光学系について説明する。図９２（ａ）は実施例８５にかかる光学系の光学構成を示す光軸に沿う断面図ある。また、図９２（ｂ）、（ｃ）、（ｄ）、（ｅ）は、実施例８５にかかる光学系の収差図である。
【０９１１】
実施例８５の光学系は、図９２（ａ）に示すように、物体側から順に、正の屈折力の第１レンズ群Ｇ１と、開口絞りＳと、正の屈折力の第２レンズ群Ｇ２と、を有している。
【０９１２】
第１レンズ群Ｇ１は、像側に凸面を向けた負メニスカスレンズＬ１と、両凸正レンズＬ２と、両凸正レンズＬ３と、両凸正レンズＬ４と、両凹負レンズＬ５からなる。両凸正レンズＬ４と両凹負レンズＬ５とは接合されている。
【０９１３】
第２レンズ群Ｇ２は、両凹負レンズＬ６と、両凸正レンズＬ７と、両凸正レンズＬ８と、両凹負レンズＬ９と、両凸正レンズＬ１０と、物体側に凸面を向けた負メニスカスレンズＬ１１とからなる。両凹負レンズＬ６と両凸正レンズＬ７とは接合されている。所定のレンズ群は負メニスカスレンズＬ１１からなる。
【０９１４】
開口絞りＳは、両凹負レンズＬ５と両凹負レンズＬ６の間に配置されている。
【０９１５】
非球面は、負メニスカスレンズＬ１の両面と、両凸正レンズＬ２の両面と、両凸正レンズＬ３の両面と、両凸正レンズＬ８の両面と、両凹負レンズＬ９の両面と、両凸正レンズＬ１０の両面と、負メニスカスレンズＬ１１の両面との１４面に用いられている。
【０９１６】
次に、実施例８６にかかる光学系について説明する。図９３（ａ）は実施例８６にかかる光学系の光学構成を示す光軸に沿う断面図ある。また、図９３（ｂ）、（ｃ）、（ｄ）、（ｅ）は、実施例８６にかかる光学系の収差図である。
【０９１７】
実施例８６の光学系は、図９３（ａ）に示すように、物体側から順に、正の屈折力の第１レンズ群Ｇ１と、開口絞りＳと、正の屈折力の第２レンズ群Ｇ２と、を有している。
【０９１８】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５からなる。正メニスカスレンズＬ４と両凹負レンズＬ５とは接合されている。
【０９１９】
第２レンズ群Ｇ２は、両凹負レンズＬ６と、両凸正レンズＬ７と、両凸正レンズＬ８と、両凹負レンズＬ９と、両凸正レンズＬ１０と、物体側に凸面を向けた負メニスカスレンズＬ１１とからなる。両凹負レンズＬ６と両凸正レンズＬ７とは接合されている。所定のレンズ群は負メニスカスレンズＬ１１からなる。
【０９２０】
開口絞りＳは、両凹負レンズＬ５と両凹負レンズＬ６の間に配置されている。
【０９２１】
非球面は、負メニスカスレンズＬ１の両面と、両凸正レンズＬ２の両面と、両凸正レンズＬ３の両面と、両凸正レンズＬ８の両面と、両凹負レンズＬ９の両面と、両凸正レンズＬ１０の両面と、負メニスカスレンズＬ１１の両面との１４面に用いられている。
【０９２２】
次に、実施例８７にかかる光学系について説明する。図９４（ａ）は実施例８７にかかる光学系の光学構成を示す光軸に沿う断面図ある。また、図９４（ｂ）、（ｃ）、（ｄ）、（ｅ）は、実施例８７にかかる光学系の収差図である。
【０９２３】
実施例８７の光学系は、図９４（ａ）に示すように、物体側から順に、正の屈折力の第１レンズ群Ｇ１と、開口絞りＳと、正の屈折力の第２レンズ群Ｇ２と、を有している。
【０９２４】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５からなる。正メニスカスレンズＬ４と両凹負レンズＬ５とは接合されている。
【０９２５】
第２レンズ群Ｇ２は、両凹負レンズＬ６と、両凸正レンズＬ７と、両凸正レンズＬ８と、像側に凸面を向けた負メニスカスレンズＬ９と、像側に凸面を向けた正メニスカスレンズＬ１０と、物体側に凸面を向けた負メニスカスレンズＬ１１とからなる。両凹負レンズＬ６と両凸正レンズＬ７とは接合されている。所定のレンズ群は負メニスカスレンズＬ１１からなる。
【０９２６】
開口絞りＳは、両凹負レンズＬ５と両凹負レンズＬ６の間に配置されている。
【０９２７】
非球面は、負メニスカスレンズＬ１の両面と、両凸正レンズＬ２の両面と、両凸正レンズＬ３の両面と、両凸正レンズＬ８の両面と、負メニスカスレンズＬ９の両面と、正メニスカスレンズＬ１０の両面と、負メニスカスレンズＬ１１の両面との１４面に用いられている。
【０９２８】
次に、実施例８８にかかる光学系について説明する。図９５（ａ）は実施例８８にかかる光学系の光学構成を示す光軸に沿う断面図ある。また、図９５（ｂ）、（ｃ）、（ｄ）、（ｅ）は、実施例８８にかかる光学系の収差図である。
【０９２９】
実施例８８の光学系は、図９５（ａ）に示すように、物体側から順に、正の屈折力の第１レンズ群Ｇ１と、開口絞りＳと、正の屈折力の第２レンズ群Ｇ２と、を有している。
【０９３０】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５からなる。正メニスカスレンズＬ４と両凹負レンズＬ５とは接合されている。
【０９３１】
第２レンズ群Ｇ２は、物体側に凸面を向けた負メニスカスレンズＬ６と、両凸正レンズＬ７と、両凸正レンズＬ８と、像側に凸面を向けた負メニスカスレンズＬ９と、像側に凸面を向けた正メニスカスレンズＬ１０と、物体側に凸面を向けた負メニスカスレンズＬ１１とからなる。負メニスカスレンズＬ６と両凸正レンズＬ７とは接合されている。所定のレンズ群は負メニスカスレンズＬ１１からなる。
【０９３２】
開口絞りＳは、両凹負レンズＬ５と負メニスカスレンズＬ６の間に配置されている。より詳細には、開口絞りＳは、両凹負レンズＬ５の物体側面の面頂と像側面の面頂の間に配置されている。
【０９３３】
非球面は、負メニスカスレンズＬ１の両面と、両凸正レンズＬ２の両面と、両凸正レンズＬ３の両面と、両凸正レンズＬ８の両面と、負メニスカスレンズＬ９の両面と、正メニスカスレンズＬ１０の両面と、負メニスカスレンズＬ１１の両面との１４面に用いられている。
【０９３４】
次に、実施例８９にかかる光学系について説明する。図９６（ａ）は実施例８９にかかる光学系の光学構成を示す光軸に沿う断面図ある。また、図９６（ｂ）、（ｃ）、（ｄ）、（ｅ）は、実施例８９にかかる光学系の収差図である。
【０９３５】
実施例８９の光学系は、図９６（ａ）に示すように、物体側から順に、正の屈折力の第１レンズ群Ｇ１と、開口絞りＳと、正の屈折力の第２レンズ群Ｇ２と、を有している。
【０９３６】
第１レンズ群Ｇ１は、像側に凸面を向けた負メニスカスレンズＬ１と、両凸正レンズＬ２と、両凸正レンズＬ３と、像側に凸面を向けた正メニスカスレンズＬ４と、両凹負レンズＬ５からなる。正メニスカスレンズＬ４と両凹負レンズＬ５とは接合されている。
【０９３７】
第２レンズ群Ｇ２は、両凹負レンズＬ６と、両凸正レンズＬ７と、両凸正レンズＬ８と、両凸正レンズＬ９と、像側に凸面を向けた負メニスカスレンズＬ１０と、像側に凸面を向けた正メニスカスレンズＬ１１と、物体側に凸面を向けた負メニスカスレンズＬ１２とからなる。両凹負レンズＬ６と両凸正レンズＬ７とは接合されている。所定のレンズ群は負メニスカスレンズＬ１２からなる。
【０９３８】
開口絞りＳは、両凹負レンズＬ５と両凹負レンズＬ６の間に配置されている。
【０９３９】
非球面は、負メニスカスレンズＬ１の両面と、両凸正レンズＬ２の両面と、両凸正レンズＬ３の両面と、両凸正レンズＬ８の両面と、両凸正レンズＬ９の両面と、負メニスカスレンズＬ１０の両面と、正メニスカスレンズＬ１１の両面と、負メニスカスレンズＬ１２の両面との１６面に用いられている。
【０９４０】
次に、実施例９０にかかる光学系について説明する。図９７（ａ）は実施例９０にかかる光学系の光学構成を示す光軸に沿う断面図ある。また、図９７（ｂ）、（ｃ）、（ｄ）、（ｅ）は、実施例９０にかかる光学系の収差図である。
【０９４１】
実施例９０の光学系は、図９７（ａ）に示すように、物体側から順に、正の屈折力の第１レンズ群Ｇ１と、開口絞りＳと、正の屈折力の第２レンズ群Ｇ２と、を有している。
【０９４２】
第１レンズ群Ｇ１は、両凹負レンズＬ１と、両凸正レンズＬ２と、両凸正レンズＬ３と、両凸正レンズＬ４と、像側に凸面を向けた正メニスカスレンズＬ５と、両凹負レンズＬ６からなる。両凹負レンズＬ１と両凸正レンズＬ２とは接合されている。また、両凸正レンズＬ４と正メニスカスレンズＬ５と両凹負レンズＬ６とは接合されている。
【０９４３】
第２レンズ群Ｇ２は、物体側に凸面を向けた負メニスカスレンズＬ７と、両凸正レンズＬ８と、両凸正レンズＬ９と、両凹負レンズＬ１０と、両凸正レンズＬ１１と、両凹負レンズＬ１２と、物体側に凸面を向けた正メニスカスレンズＬ１３とからなる。負メニスカスレンズＬ７と両凸正レンズＬ８とは接合されている。所定のレンズ群は、両凹負レンズＬ１２と正メニスカスレンズＬ１３とからなる。
【０９４４】
開口絞りＳは、両凹負レンズＬ６と負メニスカスレンズＬ７の間に配置されている。
【０９４５】
非球面は用いられていない。
【０９４６】
次に、実施例９１にかかる光学系について説明する。図９８（ａ）は実施例９１にかかる光学系の光学構成を示す光軸に沿う断面図ある。また、図９８（ｂ）、（ｃ）、（ｄ）、（ｅ）は、実施例９１にかかる光学系の収差図である。
【０９４７】
実施例９１の光学系は、図９８（ａ）に示すように、物体側から順に、正の屈折力の第１レンズ群Ｇ１と、開口絞りＳと、正の屈折力の第２レンズ群Ｇ２と、を有している。
【０９４８】
第１レンズ群Ｇ１は、両凹負レンズＬ１と、両凸正レンズＬ２と、両凸正レンズＬ３と、両凸正レンズＬ４と、像側に凸面を向けた正メニスカスレンズＬ５と、両凹負レンズＬ６からなる。両凹負レンズＬ１と両凸正レンズＬ２とは接合されている。また、両凸正レンズＬ４と正メニスカスレンズＬ５と両凹負レンズＬ６とは接合されている。
【０９４９】
第２レンズ群Ｇ２は、物体側に凸面を向けた負メニスカスレンズＬ７と、両凸正レンズＬ８と、両凸正レンズＬ９と、両凹負レンズＬ１０と、両凸正レンズＬ１１と、両凹負レンズＬ１２と、物体側に凸面を向けた正メニスカスレンズＬ１３とからなる。負メニスカスレンズＬ７と両凸正レンズＬ８とは接合されている。所定のレンズ群は、両凹負レンズＬ１２と正メニスカスレンズＬ１３とからなる。
【０９５０】
開口絞りＳは、両凹負レンズＬ６と負メニスカスレンズＬ７の間に配置されている。
【０９５１】
非球面は用いられていない。
【０９５２】
次に、実施例９２にかかる光学系について説明する。図９９（ａ）は実施例９２にかかる光学系の光学構成を示す光軸に沿う断面図ある。また、図９９（ｂ）、（ｃ）、（ｄ）、（ｅ）は、実施例９２にかかる光学系の収差図である。
【０９５３】
実施例９２の光学系は、図９９（ａ）に示すように、物体側から順に、正の屈折力の第１レンズ群Ｇ１と、開口絞りＳと、正の屈折力の第２レンズ群Ｇ２と、を有している。
【０９５４】
第１レンズ群Ｇ１は、像側に凸面を向けた負メニスカスレンズＬ１と、像側に凸面を向けた正メニスカスレンズＬ２と、両凸正レンズＬ３と、物体側に凸面を向けた正メニスカスレンズＬ４と、両凸正レンズＬ５と、両凹負レンズＬ６からなる。負メニスカスレンズＬ１と正メニスカスレンズＬ２とは接合されている。また、両凸正レンズＬ５と両凹負レンズＬ６とは接合されている。
【０９５５】
第２レンズ群Ｇ２は、物体側に凸面を向けた負メニスカスレンズＬ７と、両凸正レンズＬ８と、両凸正レンズＬ９と、物体側に凸面を向けた負メニスカスレンズＬ１０と、両凸正レンズＬ１１と、物体側に凸面を向けた負メニスカスレンズＬ１２とからなる。負メニスカスレンズＬ７と両凸正レンズＬ８とは接合されている。所定のレンズ群は負メニスカスレンズＬ１２からなる。
【０９５６】
開口絞りＳは、両凹負レンズＬ６と負メニスカスレンズＬ７の間に配置されている。
【０９５７】
非球面は用いられていない。
【０９５８】
次に、実施例９３にかかる光学系について説明する。図１００（ａ）は実施例９３にかかる光学系の光学構成を示す光軸に沿う断面図ある。また図１００（ｂ）、（ｃ）、（ｄ）、（ｅ）は、実施例９３にかかる光学系の収差図である。
【０９５９】
実施例９３の光学系は、図１００（ａ）に示すように、物体側から順に、正の屈折力の第１レンズ群Ｇ１と、開口絞りＳと、正の屈折力の第２レンズ群Ｇ２と、を有している。
【０９６０】
第１レンズ群Ｇ１は、両凹負レンズＬ１と、両凸正レンズＬ２と、両凸正レンズＬ３と、両凸正レンズＬ４と、像側に凸面を向けた正メニスカスレンズＬ５と、両凹負レンズＬ６からなる。両凹負レンズＬ１と両凸正レンズＬ２とは接合されている。また、両凸正レンズＬ４と正メニスカスレンズＬ５と両凹負レンズＬ６とは接合されている。
【０９６１】
第２レンズ群Ｇ２は、物体側に凸面を向けた負メニスカスレンズＬ７と、両凸正レンズＬ８と、両凸正レンズＬ９と、両凹負レンズＬ１０と、両凸正レンズＬ１１と、両凹負レンズＬ１２と、物体側に凸面を向けた正メニスカスレンズＬ１３とからなる。負メニスカスレンズＬ７と両凸正レンズＬ８とは接合されている。所定のレンズ群は、両凹負レンズＬ１２と正メニスカスレンズＬ１３とからなる。
【０９６２】
開口絞りＳは、両凹負レンズＬ６と負メニスカスレンズＬ７の間に配置されている。
【０９６３】
非球面は用いられていない。
【０９６４】
次に、実施例９４にかかる光学系について説明する。図１０１（ａ）は実施例９４にかかる光学系の光学構成を示す光軸に沿う断面図ある。また、図１０１（ｂ）、（ｃ）、（ｄ）、（ｅ）は、実施例９４にかかる光学系の収差図である。
【０９６５】
実施例９４の光学系は、図１０１（ａ）に示すように、物体側から順に、正の屈折力の第１レンズ群Ｇ１と、開口絞りＳと、正の屈折力の第２レンズ群Ｇ２と、を有している。
【０９６６】
第１レンズ群Ｇ１は、像側に凸面を向けた正メニスカスレンズＬ１と、像側に凸面を向けた正メニスカスレンズＬ２と、物体側に凸面を向けた正メニスカスレンズＬ３と、両凸正レンズＬ４と、両凹負レンズＬ５とからなる。両凸正レンズＬ４と両凹負レンズＬ５とは接合されている。
【０９６７】
第２レンズ群Ｇ２は、両凹負レンズＬ６と、両凸正レンズＬ７と、両凸正レンズＬ８と、両凹負レンズＬ９と、両凸正レンズＬ１０と、物体側に凸面を向けた負メニスカスレンズＬ１１とからなる。両凹負レンズＬ６と両凸正レンズＬ７とは接合されている。所定のレンズ群は負メニスカスレンズＬ１１からなる。
【０９６８】
開口絞りＳは、両凹負レンズＬ５と両凹負レンズＬ６の間に配置されている。
【０９６９】
非球面は用いられていない。
【０９７０】
次に、実施例９５にかかる光学系について説明する。図１０２（ａ）は実施例９５にかかる光学系の光学構成を示す光軸に沿う断面図ある。また、図１０２（ｂ）、（ｃ）、（ｄ）、（ｅ）は、実施例９５にかかる光学系の収差図である。
【０９７１】
実施例９５の光学系は、図１０２（ａ）に示すように、物体側から順に、正の屈折力の第１レンズ群Ｇ１と、開口絞りＳと、正の屈折力の第２レンズ群Ｇ２と、を有している。
【０９７２】
第１レンズ群Ｇ１は、像側に凸面を向けた正メニスカスレンズＬ１と、両凸正レンズＬ２と、回折光学素子ＤＬと、両凸正レンズＬ３と、像側に凸面を向けた負メニスカスレンズＬ４とからなる。両凸正レンズＬ３と負メニスカスレンズＬ４とは接合されている。
【０９７３】
第２レンズ群Ｇ２は、両凹負レンズＬ５と、両凸正レンズＬ６と、両凸正レンズＬ７と、物体側に凸面を向けた負メニスカスレンズＬ８と、両凸正レンズＬ９と、物体側に凸面を向けた負メニスカスレンズＬ１０と、両凹負レンズＬ１１とからなる。両凹負レンズＬ５と両凸正レンズＬ６とは接合されている。所定のレンズ群は、負メニスカスレンズＬ１０と両凹負レンズＬ１１とからなる。
【０９７４】
回折光学素子ＤＬは、全体として負の屈折力を有している。回折光学素子ＤＬは、像側に凸面を向けた負メニスカスレンズと、両凹負レンズとにより構成されている。負メニスカスレンズと両凹負レンズの境界面にレリーフパターンを形成して、境界面を回折面としている。
【０９７５】
開口絞りＳは、負メニスカスレンズＬ４と両凹負レンズＬ５の間に配置されている。
【０９７６】
非球面は、正メニスカスレンズＬ１の像側面と、両凸正レンズＬ２の物体側面と、両凸正レンズＬ７の両面と、負メニスカスレンズＬ８の両面と、両凸正レンズＬ９の物体側面と、両凹負レンズＬ１１の像側面との８面に用いられている。
【０９７７】
次に、実施例９６かかる光学系について説明する。図１０３（ａ）は実施例９６にかかる光学系の光学構成を示す光軸に沿う断面図ある。また、図１０３（ｂ）、（ｃ）、（ｄ）、（ｅ）は、実施例９６にかかる光学系の収差図である。
【０９７８】
実施例９６の光学系は、図１０３（ａ）に示すように、物体側から順に、正の屈折力の第１レンズ群Ｇ１と、開口絞りＳと、正の屈折力の第２レンズ群Ｇ２と、を有している。
【０９７９】
第１レンズ群Ｇ１は、像側に凸面を向けた正メニスカスレンズＬ１と、両凸正レンズＬ２と、像側に凸面を向けた正メニスカスレンズＬ３と、回折光学素子ＤＬと、両凸正レンズＬ４と、像側に凸面を向けた負メニスカスレンズＬ５とからなる。両凸正レンズＬ４と負メニスカスレンズＬ５とは接合されている。
【０９８０】
第２レンズ群Ｇ２は、両凹負レンズＬ６と、両凸正レンズＬ７と、両凸正レンズＬ８と、物体側に凸面を向けた負メニスカスレンズＬ９と、両凸正レンズＬ１０と、両凹負レンズＬ１１と、像側に凸面を向けた負メニスカスレンズＬ１２とからなる。両凹負レンズＬ６と両凸正レンズＬ７とは接合されている。所定のレンズ群は、両凹負レンズＬ１１と負メニスカスレンズＬ１２とからなる。
【０９８１】
回折光学素子ＤＬは、全体として負の屈折力を有している。回折光学素子ＤＬは、像側に凸面を向けた負メニスカスレンズと、両凹負レンズとにより構成されている。負メニスカスレンズと両凹負レンズの境界面にレリーフパターンを形成して、境界面を回折面としている。
【０９８２】
開口絞りＳは、負メニスカスレンズＬ５と両凹負レンズＬ６の間に配置されている。
【０９８３】
非球面は、正メニスカスレンズＬ１の像側面と、両凸正レンズＬ２の物体側面と、両凸正レンズＬ８の両面と、負メニスカスレンズＬ９の両面と、両凸正レンズＬ１０の物体側面と、負メニスカレンズＬ１２の像側面との８面に用いられている。
【０９８４】
次に、上記各実施例の撮像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、＊印は非球面、焦点距離は光学系全系の焦点距離、ｆｂはバックフォーカス、ＮＡは物体側の開口数、ＮＡ’は像側の開口数を示している。なお、全長は、レンズ最前面からレンズ最終面までの距離にバックフォーカスを加えたものである。バックフォーカスは、レンズ最終面から近軸像面までの距離を空気換算して表したものである。
【０９８５】
また、非球面形状は、光軸方向をｚ、光軸に直交する方向をｙにとり、円錐係数をｋ、非球面係数をＡ４、Ａ６、Ａ８、Ａ１０、Ａ１２、Ａ１４としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋Ａ１４ｙ14
また、Ｅ又はｅは１０のべき乗を表している。なお、これら諸元値の記号は後述の実施例の数値データにおいても共通である。
【０９８６】
数値実施例１
単位ｍｍ
面データ
面番号       r            d        nd       νd
物面         ∞         10.00
1*        56.907        2.99     1.53368   55.90
2*        -4.184        0.89
3*         5.571        2.08     1.63490   23.88
4*         2.582        1.78
5*       -12.567        1.55     1.53368   55.90
6*        -9.471        0.16
7*       -81.714        1.53     1.61417   25.64
8*        16.993        1.27
9*        10.146        0.89     1.53368   55.90
10*      2551.254        0.05
11（絞り）   ∞          0.05
12*     -2551.254        0.89     1.53368   55.90
13*       -10.146        1.27
14*       -16.993        1.53     1.61417   25.64
15*        81.714        0.16
16*         9.471        1.55     1.53368   55.90
17*        12.567        1.78
18*        -2.582        2.08     1.63490   23.88
19*        -5.571        0.89
20*         4.184        2.99     1.53368   55.90
21*       -56.907       10.00
像面         ∞
非球面係数
第１面
k=-971.414
A4=5.02632E-004,A6=-1.89989E-005,A8=7.41491E-008
第２面
k=-3.546
A4=-1.17216E-004,A6=-3.40925E-006,A8=-7.12080E-008
第３面
k=-0.820
A4=-3.68418E-004,A6=1.23021E-006,A8=-1.91476E-007
第４面
k=-2.549
A4=-5.11751E-005,A6=2.59016E-005,A8=-4.23106E-006
第５面
k=-41.834
A4=1.16926E-003,A6=4.04202E-005,A8=5.90751E-007
第６面
k=-10.826
A4=1.20017E-003,A6=-1.67324E-004,A8=1.00681E-005
第７面
k=-323.372
A4=-1.33721E-003,A6=-7.57104E-005
第８面
k=-56.057
A4=5.62466E-004,A6=2.31800E-005
第９面
k=-8.574
A4=-4.31572E-004,A6=7.85879E-006
第１０面
k=-3367.122
A4=-1.08162E-003
第１２面
k=-3367.122
A4=1.08162E-003
第１３面
k=-8.574
A4=4.31572E-004,A6=-7.85879E-006
第１４面
k=-56.057
A4=-5.62466E-004,A6=-2.31800E-005
第１５面
k=-323.372
A4=1.33721E-003,A6=7.57104E-005
第１６面
k=-10.826
A4=-1.20017E-003,A6=1.67324E-004,A8=-1.00681E-005
第１７面
k=-41.834
A4=-1.16926E-003,A6=-4.04202E-005,A8=-5.90751E-007
第１８面
k=-2.549
A4=5.11751E-005,A6=-2.59016E-005,A8=4.23106E-006
第１９面
k=-0.820
A4=3.68418E-004,A6=-1.23021E-006,A8=1.91476E-007
第２０面
k=-3.546
A4=1.17216E-004,A6=3.40925E-006,A8=7.12080E-008
第２１面
k=-971.414
A4=-5.02632E-004,A6=1.89989E-005,A8=-7.41491E-008
各種データ
焦点距離     103.95
像高           3.00
物体高         3.00
ｆｂ(in air)  10.00
全長(in air)  36.40
ＮＡ           0.25
ＮＡ’         0.25
【０９８７】
数値実施例２
単位ｍｍ
面データ
面番号       r            d        nd       νd
物面         ∞         10.00
1*        56.907        2.99     1.53368   55.90
2*        -4.184        0.89
3*         5.571        2.08     1.63490   23.88
4*         2.582        1.78
5*       -12.567        1.55     1.53368   55.90
6*        -9.471        0.16
7*       -81.714        1.53     1.61417   25.64
8*        16.993        1.27
9*        10.146        0.89     1.53368   55.90
10*      2551.254        0.05
11（絞り）   ∞          0.05
12*     -2755.354        0.88     1.53368   55.90
13*       -10.197        1.27
14*       -17.162        1.52     1.61417   25.64
15*        80.905        0.16
16*         9.945        1.51     1.53368   55.90
17*        13.196        1.78
18*        -2.579        2.10     1.63490   23.88
19*        -5.515        0.89
20*         4.205        3.01     1.53368   55.90
21*       -52.429        9.95
像面         ∞
非球面係数
第１面
k=-971.414
A4=5.02632E-004,A6=-1.89989E-005,A8=7.41491E-008
第２面
k=-3.546
A4=-1.17216E-004,A6=-3.40925E-006,A8=-7.12080E-008
第３面
k=-0.820
A4=-3.68418E-004,A6=1.23021E-006,A8=-1.91476E-007
第４面
k=-2.549
A4=-5.11751E-005,A6=2.59016E-005,A8=-4.23106E-006
第５面
k=-41.834
A4=1.16926E-003,A6=4.04202E-005,A8=5.90751E-007
第６面
k=-10.826
A4=1.20017E-003,A6=-1.67324E-004,A8=1.00681E-005
第７面
k=-323.372
A4=-1.33721E-003,A6=-7.57104E-005
第８面
k=-56.057
A4=5.62466E-004,A6=2.31800E-005
第９面
k=-8.574
A4=-4.31572E-004,A6=7.85879E-006
第１０面
k=-3367.122
A4=-1.08162E-003
第１２面
k=-1.000
A4=1.01390E-003
第１３面
k=-34.706
A4=1.53163E-004,A6=-3.32586E-005
第１４面
k=-115.470
A4=-3.35747E-004,A6=-6.40043E-005,A8=-2.43136E-006
第１５面
k=-3938.246
A4=3.76944E-004,A6=7.29277E-005,A8=-4.82792E-007
第１６面
k=-8.155
A4=-1.45390E-003,A6=1.19689E-004,A8=-4.23958E-006
第１７面
k=-54.092
A4=-1.43817E-003,A6=-4.56510E-005,A8=-9.34587E-007
第１８面
k=-2.544
A4=-2.21738E-004,A6=-1.23369E-005,A8=1.78875E-006
第１９面
k=-0.962
A4=5.90516E-004,A6=-9.40093E-007,A8=2.83619E-007
第２０面
k=-3.386
A4=-5.94157E-004,A6=-2.05054E-005,A8=-1.51161E-007
第２１面
k=-997.069
A4=-1.39558E-003,A6=3.03292E-008,A8=-2.09782E-007
焦点距離      117.54
像高            3.00
物体高          3.04
ｆｂ(in air)    9.95
全長 (in air)  36.31
ＮＡ            0.25
ＮＡ’          0.25
【０９８８】
数値実施例３
単位ｍｍ
面データ
面番号       r            d        nd       νd
物面         ∞         10.00
1*        24.287        3.82     1.53368   55.90
2*        -8.002        0.24
3*       -41.811        1.65     1.53368   55.90
4*        -5.934        0.10
5*         5.062        1.71     1.63490   23.88
6*         2.521        2.46
7*        -5.494        1.55     1.53368   55.90
8*        -8.447        0.84
9*       -19.714        1.55     1.61417   25.64
10*        62.109        0.30
11*         8.611        1.45     1.53368   55.90
12*        83.241        0.10
13（絞り）   ∞          0.10
14*       -83.241        1.45     1.53368   55.90
15*        -8.611        0.30
16*       -62.109        1.55     1.61417   25.64
17*        19.714        0.84
18*         8.447        1.55     1.53368   55.90
19*         5.494        2.46
20*        -2.521        1.71     1.63490   23.88
21*        -5.062        0.10
22*         5.934        1.65     1.53368   55.90
23*        41.811        0.24
24*         8.002        3.82     1.53368   55.90
25*       -24.287       10.00
像面         ∞
非球面係数
第１面
k=-38.162
A4=2.16640E-004,A6=-1.95771E-005
第２面
k=0.297
A4=1.77235E-004
第３面
k=51.696
A4=-7.96667E-005
第４面
k=-8.215
A4=3.34614E-004,A6=-1.45043E-005
第５面
k=-2.669
A4=-6.29227E-004
第６面
k=-2.293
A4=-1.77915E-003
第７面
k=-13.090
A4=2.91976E-003,A6=-9.94891E-005,A8=3.38774E-006
第８面
k=-29.993
A4=2.31315E-003,A6=-2.67174E-004,A8=8.20378E-006
第９面
k=-144.855
A4=-1.30120E-003,A6=-1.92446E-004
第１０面
k=-112.335
A4=-4.38857E-004,A6=7.19917E-005
第１１面
k=-11.820
A4=-1.83703E-003,A6=5.10296E-005
第１２面
k=-992.499
A4=-2.26937E-003
第１４面
k=-992.499
A4=2.26937E-003
第１５面
k=-11.820
A4=1.83703E-003,A6=-5.10296E-005
第１６面
k=-112.335
A4=4.38857E-004,A6=-7.19917E-005
第１７面
k=-144.855
A4=1.30120E-003,A6=1.92446E-004
第１８面
k=-29.993
A4=-2.31315E-003,A6=2.67174E-004,A8=-8.20378E-006
第１９面
k=-13.090
A4=-2.91976E-003,A6=9.94891E-005,A8=-3.38774E-006
第２０面
k=-2.293
A4=1.77915E-003
第２１面
k=-2.669
A4=6.29227E-004
第２２面
k=-8.215
A4=-3.34614E-004,A6=1.45043E-005
第２３面
k=51.696
A4=7.96667E-005
第２４面
k=0.297
A4=-1.77235E-004
第２５面
k=-38.162
A4=-2.16640E-004,A6=1.95771E-005
各種データ
焦点距離     -66.52
像高           3.00
物体高         3.00
ｆｂ(in air)  10.00
全長 (in air) 41.51
ＮＡ           0.25
ＮＡ’         0.25
【０９８９】
数値実施例４
単位ｍｍ
面データ
面番号       r            d        nd       νd
物面         ∞         10.00
1*       118.590        3.22     1.53368   55.90
2*        -4.253        1.22
3*         5.650        2.03     1.63490   23.88
4*         2.592        2.12
5*       -12.289        1.26     1.53368   55.90
6*       -10.692        0.42
7*      2017.727        0.75     1.61417   25.64
8*        18.173        0.91
9*         9.307        1.21     1.53368   55.90
10*     -1637.972        0.05
11（絞り）   ∞          0.05
12*      1637.972        1.21     1.53368   55.90
13*        -9.307        0.91
14*       -18.173        0.75     1.61417   25.64
15*     -2017.727        0.42
16*        10.692        1.26     1.53368   55.90
17*        12.289        2.12 
18*        -2.552        1.28     1.63490   23.88
19*        -4.995        0.20
20*        -8.574        1.73     1.61417   25.64
21*       -10.336        0.27
22*         4.253        3.22     1.53368   55.90
23*      -118.590       10.00
像面         ∞
非球面係数
第１面
k=-8136.470
A4=5.71134E-004,A6=-2.00614E-005
第２面
k=-3.272
A4=9.59493E-005,A6=-1.26826E-005
第３面
k=-1.068
A4=-5.23801E-004
第４面
k=-2.482
A4=-8.74470E-004
第５面
k=-40.369
A4=1.42420E-004,A6=-3.86408E-005,A8=7.11239E-006
第６面
k=-10.478
A4=1.17511E-003,A6=-2.78573E-004,A8=1.44945E-005
第７面
k=-29.482
A4=-1.47024E-003,A6=-9.25880E-005
第８面
k=-73.068
A4=2.28159E-004,A6=2.12332E-005
第９面
k=-8.721
A4=-3.04856E-004,A6=1.03002E-005
第１０面
k=-9998.897
A4=-9.87805E-004
第１２面
k=-9998.897
A4=9.87805E-004
第１３面
k=-8.721
A4=3.04856E-004,A6=-1.03002E-005
第１４面
k=-73.068
A4=-2.28159E-004,A6=-2.12332E-005
第１５面
k=-29.482
A4=1.47024E-003,A6=9.25880E-005
第１６面
k=-10.478
A4=-1.17511E-003,A6=2.78573E-004,A8=-1.44945E-005
第１７面
k=-40.369
A4=-1.42420E-004,A6=3.86408E-005,A8=-7.11239E-006
第１８面
k=-2.482
A4=8.47704E-004,A6=-1.73683E-005
第１９面
k=-1.007
A4=1.61790E-003,A6=-3.90652E-005
第２０面
k=-5.877
A4=7.79125E-004,A6=-1.32507E-005
第２１面
k=-1.068
A4=5.79930E-004,A6=8.86427E-007
第２２面
k=-3.272
A4=-9.59493E-005,A6=1.26826E-005
第２３面
k=-8136.470
A4=-5.71134E-004,A6=2.00614E-005
各種データ
焦点距離      60.48
像高           3.00
物体高         3.00
ｆｂ(in air)  10.00
全長(in air)  36.64
ＮＡ           0.25
ＮＡ’         0.25
【０９９０】
数値実施例５
単位ｍｍ
面データ
面番号       r            d        nd       νd
物面         ∞         10.00
1*       156.483        2.97     1.53368   55.90
2*        -4.185        0.64
3*         5.631        2.24     1.63490   22.53
4*         2.482        2.06
5*       -12.289        1.26     1.53368   55.90
6*       -10.692        0.30
7*       749.711        0.75     1.61417   26.36
8*        20.875        0.91
9*         9.307        1.21     1.53368   55.90
10*     -1637.972        0.05
11（絞り）   ∞          0.05
12*      1637.972        1.21     1.53368   55.90
13*        -9.307        0.36
14*       -16.779        1.62     1.61417   29.34
15*      -107.079        0.10
16*        10.692        1.26     1.53368   55.90
17*        12.289        2.12
18*        -6.330        2.13     1.63490   23.88
19*        -4.032        0.20
20*        -3.868        1.91     1.58366   31.95
21*        11.399        1.30
22*         4.898        4.02     1.53368   55.90
23*       -20.043       18.15
像面         ∞
非球面係数
第１面
k=-9921.522
A4=5.99647E-004,A6=-2.35081E-005,A8=-3.20796E-007
第２面
k=-3.735
A4=-2.94840E-005,A6=-9.87589E-006,A8=-3.04656E-007
第３面
k=-1.357
A4=-7.07427E-004,A6=1.47946E-006,A8=1.15313E-007
第４面
k=-2.659
A4=-7.98462E-004,A6=-2.43747E-005,A8=5.79988E-007
第５面
k=-40.369
A4=1.42420E-004,A6=-3.86408E-005,A8=7.11239E-006
第６面
k=-10.478
A4=1.17511E-003,A6=-2.78573E-004,A8=1.44945E-005
第７面
k=-2.268
A4=-1.14080E-004,A6=-1.24060E-004,A8=-2.30974E-006
第８面
k=-31.531
A4=4.20068E-004,A6=7.16535E-005,A8=-5.41984E-006
第９面
k=-8.721
A4=-3.04856E-004,A6=1.03002E-005
第１０面
k=-9998.897
A4=-9.87805E-004
第１２面
k=-9998.897
A4=9.87805E-004
第１３面
k=-8.721
A4=3.04856E-004,A6=-1.03002E-005
第１４面
k=-70.427
A4=1.69673E-004,A6=-2.70114E-005,A8=1.08912E-007
第１５面
k=-9997.910
A4=1.71452E-003,A6=1.19083E-004,A8=-3.69775E-006
第１６面
k=-10.478
A4=-1.17511E-003,A6=2.78573E-004,A8=-1.44945E-005
第１７面
k=-40.369
A4=-1.42420E-004,A6=3.86408E-005,A8=-7.11239E-006
第１８面
k=-2.482
A4=4.04572E-004,A6=-8.29704E-005
第１９面
k=-1.068
A4=2.63204E-003,A6=-1.24324E-004
第２０面
k=-2.596
A4=3.85952E-003,A6=-1.23399E-004
第２１面
k=-50.829
A4=9.71515E-004,A6=-1.03384E-005
第２２面
k=-5.617
A4=-9.26264E-005,A6=-1.51831E-005,A8=2.25669E-007
第２３面
k=-1.000
A4=-4.00926E-004,A6=-3.90604E-006,A8=-5.44114E-008
各種データ
焦点距離      26.53
像高           5.00
物体高         2.99
ｆｂ(in air)  18.15
全長(in air)  46.84
ＮＡ           0.25
ＮＡ’         0.15
【０９９１】
数値実施例６
単位ｍｍ
面データ
面番号       r            d        nd       νd
物面         ∞          1.21
1*        -0.784        0.48     1.53071   55.78
2*      -130.797        0.05
3*         0.642        0.59     1.53071   55.78
4*         2.354        0.49
5*        -2.684        0.29     1.63490   23.88
6*        17.387        0.04
7*         2.980        0.70     1.53071   55.78
8*        -1.789       -0.11
9（絞り）   ∞          0.21
10*         1.410        0.54     1.53463   56.22
11*       -25.302        0.05
12*       -63.214        0.30     1.63490   23.88
13*         2.768        0.71
14*        -2.355        0.65     1.53463   56.22
15*        -0.912        0.13
16*      -251.493        0.59     1.53463   56.22
17*         1.312        1.46
像面         ∞
非球面係数
第１面
k=-7.734
A4=1.18541E-001,A6=-5.85984E-002,A8=2.76156E-002,A10=-7.67536E-003,
A12=1.18366E-003,A14=-7.33016E-005
第２面
k=0.000
A4=8.48095E-002,A6=-1.72116E-002,A8=-1.25962E-002,A10=6.37573E-003,
A12=-8.49967E-004,A14=-3.53042E-006
第３面
k=-3.546
A4=2.70583E-001,A6=-2.54490E-001,A8=1.89589E-001,A10=-1.87543E-001,
A12=5.94237E-002
第４面
k=-1.947
A4=9.60228E-002,A6=-2.78077E-002,A8=-2.47936E-003,A10=-5.89337E-002,
A12=1.60644E-001
第５面
k=-24.611
A4=-1.29167E-001,A6=1.92617E-001,A8=-6.67246E-002,A10=-9.41339E-002,
A12=-7.64900E-002
第６面
k=0.000
A4=7.10538E-002,A6=3.04047E-001,A8=-7.45538E-001,A10=-1.67999E-001,
A12=5.47114E-001
第７面
k=-4.762
A4=9.68323E-002,A6=3.65189E-001,A8=-8.02417E-001,A10=7.47746E-002,
A12=6.35189E-001
第８面
k=-0.571
A4=4.95207E-002,A6=-1.12153E-001,A8=7.03902E-001,A10=-1.28927E+000,
A12=1.11371E+000
第１０面
k=0.062
A4=1.37414E-002,A6=-5.71487E-002,A8=-3.66765E-002,A10=4.18364E-001,
A12=-4.83502E-001
第１１面
k=0.000
A4=1.42573E-001,A6=-6.53135E-001,A8=3.84898E-001,A10=2.63676E+000,
A12=-3.61580E+000,A14=4.20017E-001,A16=4.40252E-001
第１２面
k=-495.266
A4=1.85957E-001,A6=-8.01875E-001,A8=7.78375E-001,A10=2.01491E+000,
A12=-2.75814E+000
第１３面
k=-4.665
A4=1.82826E-001,A6=-3.29495E-001,A8=5.73943E-001,A10=-1.56281E-001,
A12=-1.45670E-001
第１４面
k=-1.122
A4=-5.90880E-002,A6=1.80998E-001,A8=-4.20905E-001,A10=3.48644E-001,
A12=-1.35538E-001
第１５面
k=-4.154
A4=-2.53695E-001,A6=3.45811E-001,A8=-3.37286E-001,A10=1.58499E-001,
A12=-2.70778E-002
第１６面
k=-420.200
A4=-4.70698E-002,A6=-1.74511E-002,A8=1.68346E-002,A10=-4.41443E-003,
A12=5.27904E-004,A14=-2.63829E-005
第１７面
k=-9.247
A4=-7.76409E-002,A6=2.54240E-002,A8=-8.61348E-003,A10=1.79672E-003,
A12=-2.29048E-004,A14=1.31057E-005
各種データ
焦点距離       1.52
像高           2.85
物体高         2.24
ｆｂ(in air)   1.46
全長(in air)   7.16
ＮＡ           0.22
ＮＡ’         0.17
【０９９２】
数値実施例７
単位ｍｍ
面データ
面番号       r            d        nd       νd
物面         ∞          1.46
1*        -1.312        0.59     1.53463   56.22
2*       251.493        0.13
3*         0.912        0.65     1.53463   56.22
4*         2.355        0.71
5*        -2.768        0.30     1.63490   23.88
6*        63.214        0.05
7*        25.302        0.54     1.53463   56.22
8*        -1.410        0.21
9（絞り）   ∞         -0.11
10*         1.789        0.70     1.53071   55.78
11*        -2.980        0.04
12*       -17.387        0.29     1.63490   23.88
13*         2.684        0.49
14*        -2.354        0.59     1.53071   55.78
15*        -0.642        0.05
16*       130.797        0.48     1.53071   55.78
17*         0.784        1.21
像面         ∞
非球面係数
第１面
k=-9.247
A4=7.76409E-002,A6=-2.54240E-002,A8=8.61348E-003,A10=-1.79672E-003,
A12=2.29048E-004,A14=-1.31057E-005
第２面
k=-420.200
A4=4.70698E-002,A6=1.74511E-002,A8=-1.68346E-002,A10=4.41443E-003,
A12=-5.27904E-004,A14=2.63829E-005
第３面
k=-4.154
A4=2.53695E-001,A6=-3.45811E-001,A8=3.37286E-001,A10=-1.58499E-001,
A12=2.70778E-002
第４面
k=-1.122
A4=5.90880E-002,A6=-1.80998E-001,A8=4.20905E-001,A10=-3.48644E-001,
A12=1.35538E-001
第５面
k=-4.665
A4=-1.82826E-001,A6=3.29495E-001,A8=-5.73943E-001,A10=1.56281E-001,
A12=1.45670E-001
第６面
k=-495.266
A4=-1.85957E-001,A6=8.01875E-001,A8=-7.78375E-001,A10=-2.01491E+000,
A12=2.75814E+000
第７面
k=0.000
A4=-1.42573E-001,A6=6.53135E-001,A8=-3.84898E-001,A10=-2.63676E+000,
A12=3.61580E+000,A14=-4.20017E-001,A16=-4.40252E-001
第８面
k=0.062
A4=-1.37414E-002,A6=5.71487E-002,A8=3.66765E-002,A10=-4.18364E-001,
A12=4.83502E-001
第１０面
k=-0.571
A4=-4.95207E-002,A6=1.12153E-001,A8=-7.03902E-001,A10=1.28927E+000,
A12=-1.11371E+000
第１１面
k=-4.762
A4=-9.68323E-002,A6=-3.65189E-001,A8=8.02417E-001,A10=-7.47746E-002,
A12=-6.35189E-001
第１２面
k=0.000
A4=-7.10538E-002,A6=-3.04047E-001,A8=7.45538E-001,A10=1.67999E-001,
A12=-5.47114E-001
第１３面
k=-24.611
A4=1.29167E-001,A6=-1.92617E-001,A8=6.67246E-002,A10=9.41339E-002,
A12=7.64900E-002
第１４面
k=-1.947
A4=-9.60228E-002,A6=2.78077E-002,A8=2.47936E-003,A10=5.89337E-002,
A12=-1.60644E-001
第１５面
k=-3.546
A4=-2.70583E-001,A6=2.54490E-001,A8=-1.89589E-001,A10=1.87543E-001,
A12=-5.94237E-002
第１６面
k=0.000
A4=-8.48095E-002,A6=1.72116E-002,A8=1.25962E-002,A10=-6.37573E-003,
A12=8.49967E-004,A14=3.53042E-006
第１７面
k=-7.734
A4=-1.18541E-001,A6=5.85984E-002,A8=-2.76156E-002,A10=7.67536E-003,
A12=-1.18366E-003,A14=7.33016E-005
各種データ
焦点距離       1.52
像高           2.24
物体高         2.85
ｆｂ(in air)   1.21
全長(in air)   6.91
ＮＡ           0.17
ＮＡ’         0.22
【０９９３】
数値実施例８
単位ｍｍ
面データ
面番号       r          d         nd        νd      θgf
1      20.000      3.16     1.49700    81.61    0.538
2     -29.914      1.23
3      12.304      3.27     1.49700    81.61    0.538
4*    133.906      0.19
5       9.781      3.54     1.61800    63.33    0.544
6     -30.296      0.98     1.72047    34.71    0.583
7       6.120      1.14
8(絞り)  ∞        0.73
9     -13.763      0.70     1.90366    31.32    0.595
10    -552.475      1.65     1.61800    63.33    0.544
11     -30.000      0.10
12*      7.964      2.99     1.49700    81.61    0.538
13*     29.995      1.94
14*    105.854      2.67     1.58364    30.30    0.599
15*     -9.793      5.72
16*     -5.613      0.70     1.53368    55.90    0.563
17*   4970.723      3.70
18        ∞        0.30     1.51640    65.06    0.535
19        ∞        0.31
像面        ∞
非球面データ
第４面
k=0.000
A4=7.06954e-05  
第１２面
k=-0.579
A4=3.23636e-08  
第１３面
k=0.000
A4=1.99801e-05  
第１４面
k=0.000
A4=-5.42705e-04  
第１５面
k=0.000
A4=-1.29917e-05  
第１６面
k=0.000
A4=4.43608e-04  
第１７面
k=0.000
A4=-7.74339e-04,A6=-4.96705e-06  
各種データ
ＮＡ                    0.15   
倍率                   -1.04   
焦点距離                9.34   
像高(mm)                4.92   
ｆｂ(mm) (in air)       4.21
全長(mm) (in air)      34.92
【０９９４】
数値実施例９
単位ｍｍ
面データ
面番号       r          d         nd        νd      θgf
1      24.757      4.50     1.49700    81.61    0.538
2     -20.382      0.14
3*    -83.898      1.15     1.53368    55.90    0.563
4*     28.935      0.15
5      14.657      4.68     1.49700    81.61    0.538
6*    -22.520      2.49
7       8.244      3.90     1.61800    63.33    0.544
8     -18.524      0.70     1.72047    34.71    0.583
9       6.509      1.16
10(絞り)  ∞        1.00
11      -7.654      1.06     1.90366    31.32    0.595
12     -19.862      2.42     1.61800    63.33    0.544
13     -14.476      0.10
14*     10.185      4.10     1.49700    81.61    0.538
15*    -13.446      0.10
16*     22.889      3.01     1.58364    30.30    0.599
17*    -29.222      5.24
18*     -6.641      0.70     1.53368    55.90    0.563
19*     16.877      3.70
20        ∞        0.30     1.51640    65.06    0.535
21        ∞        0.31
像面        ∞
非球面データ
第３面
k=0.000
A4=-5.08296e-05,A6=-5.46138e-07  
第４面
k=0.000
A4=1.91756e-05,A6=-4.56532e-07  
第６面
k=0.000
A4=4.28078e-05  
第１４面
k=-0.579
A4=-5.62366e-07  
第１５面
k=0.000
A4=1.84420e-04  
第１６面
k=0.000
A4=-4.33240e-05  
第１７面
k=0.000
A4=1.44611e-04  
第１８面
k=0.000
A4=2.83534e-04  
第１９面
k=0.000
A4=-7.46747e-04,A6=4.74306e-06  
各種データ
ＮＡ                    0.21   
倍率                   -1.05   
焦点距離                9.35   
像高(mm)                4.92   
ｆｂ(mm) (in air)       4.21
全長(mm) (in air)      40.82
【０９９５】
数値実施例１０
単位ｍｍ
面データ
面番号       r          d         nd        νd      θgf
1      20.000      3.29     1.49700    81.61    0.538
2     -27.197      0.40
3      12.782      3.47     1.49700    81.61    0.538
4*    186.607      0.99
5      10.290      3.50     1.61800    63.33    0.544
6     -17.388      0.86     1.72047    34.71    0.583
7       6.090      1.02
8(絞り)  ∞        0.75
9     -12.294      0.70     1.90366    31.32    0.595
10     -69.652      1.69     1.61800    63.33    0.544
11     -20.000      0.10
12       8.145      3.21     1.49700    81.61    0.538
13     -15.000      0.95     1.51742    52.43    0.556
14      11.934      0.72
15*     12.723      2.63     1.58364    30.30    0.599
16*    -12.612      5.70
17*     -5.132      0.73     1.53368    55.90    0.563
18*    -59.830      3.70
19        ∞        0.30     1.51640    65.06    0.535
20        ∞        0.31
像面        ∞
非球面データ
第４面
k=0.000
A4=9.03821e-05  
第１５面
k=0.000
A4=-1.16458e-04  
第１６面
k=0.000
A4=3.05202e-04  
第１７面
k=0.000
A4=4.25245e-04  
第１８面
k=0.000
A4=-8.51966e-04,A6=-6.89946e-06  
各種データ
ＮＡ                    0.15   
倍率                   -1.03   
焦点距離                9.35   
像高(mm)                4.92   
ｆｂ(mm) (in air)       4.21
全長(mm) (in air)      34.91
【０９９６】
数値実施例１１
単位ｍｍ
面データ
面番号       r          d         nd        νd      θgf
1      15.000      3.56     1.49700    81.61    0.538
2     -34.400      0.10
3      11.283      3.07     1.49700    81.61    0.538
4*    114.633      1.10
5      11.882      3.29     1.61800    63.33    0.544
6     -23.894      1.08     1.72047    34.71    0.583
7       6.254      0.98
8(絞り)  ∞        0.41
9      28.157      0.70     1.90366    31.32    0.595
10      12.525      1.62     1.61800    63.33    0.544
11      29.622      4.65
12*     19.060      2.87     1.49700    81.61    0.538
13*    -20.715      0.10
14      30.351      3.69     1.86400    40.58    0.567
15      -8.760      0.84     1.56384    60.67    0.540
16      33.363      1.93
17*     -8.111      0.70     1.53368    55.90    0.563
18*     20.135      3.70
19        ∞        0.30     1.51640    65.06    0.535
20        ∞        0.31
像面        ∞
非球面データ
第４面
k=0.000
A4=1.82154e-04  
第１２面
k=-0.579
A4=-2.53743e-05  
第１３面
k=0.000
A4=1.30619e-04  
第１７面
k=0.000
A4=2.60653e-04  
第１８面
k=0.000
A4=-2.39609e-04,A6=9.46048e-07  
各種データ
ＮＡ                    0.15   
倍率                   -1.03   
焦点距離               10.22   
像高(mm)                4.92   
ｆｂ(mm) (in air)       4.21
全長(mm) (in air)      34.91
【０９９７】
数値実施例１２
単位ｍｍ
面データ
面番号       r          d         nd        νd      θgf
1      96.073      2.73     1.84666    23.77    0.620
2*    -18.251      0.30
3*    -23.375      0.50     1.58364    30.30    0.599
4*     10.401      0.30
5*      9.515      3.87     1.49700    81.61    0.538
6     -32.363      0.10
7      10.328      3.78     1.49700    81.61    0.538
8     -34.714      0.30
9      10.969      2.74     1.61800    63.33    0.544
10     -26.411      0.61     1.72047    34.71    0.583
11       5.686      1.34
12(絞り)  ∞        0.30
13      15.413      0.50     1.72047    34.71    0.583
14       9.057      1.61     1.61800    63.33    0.544
15       9.689      1.83
16*      9.565      2.26     1.49700    81.61    0.538
17*    340.758      1.70
18*     11.503      2.38     1.63490    23.88    0.630
19*   1563.756      3.01
20*     -5.590      1.96     1.53368    55.90    0.563
21*     57.014      2.21
22        ∞        0.38     1.51640    65.06    0.535
23        ∞        0.30
像面        ∞
非球面データ
第２面
k=-4.214
第３面
k=0.000
A4=3.91871e-05,A6=3.19948e-08  
第４面
k=0.000
A4=-2.66544e-04,A6=4.29908e-08  
第５面
k=-1.434
A4=-1.94439e-04  
第１６面
k=-0.579
A4=2.99389e-04  
第１７面
k=0.000
A4=-1.11526e-04  
第１８面
k=2.656
A4=-2.50790e-04  
第１９面
k=0.000
A4=1.33117e-04  
第２０面
k=0.000
A4=2.61407e-04  
第２１面
k=0.000
A4=-4.36562e-04  
各種データ
ＮＡ                    0.18   
倍率                   -1.05   
焦点距離                7.99   
像高(mm)                4.92   
ｆｂ(mm) (in air)       2.77
全長(mm) (in air)      34.88
【０９９８】
数値実施例１３
単位ｍｍ
面データ
面番号       r          d         nd        νd      θgf
1      47.665      2.51     1.84666    23.77    0.620
2*    -21.643      0.30
3*    -78.703      0.50     1.58364    30.30    0.599
4*      8.889      0.30
5*      8.817      3.03     1.49700    81.61    0.538
6     -86.120      0.10
7       9.186      3.18     1.49700    81.61    0.538
8     -23.055      0.30
9      12.987      2.57     1.61800    63.33    0.544
10     -22.422      0.87     1.72047    34.71    0.583
11       5.211      0.94
12(絞り)  ∞        0.30
13      19.357      1.64     1.61800    63.33    0.544
14     -39.123      0.50     1.72047    34.71    0.583
15      11.556      3.60
16*     11.244      2.21     1.49700    81.61    0.538
17*   5498.309      2.42
18*      8.310      2.64     1.63490    23.88    0.630
19*     32.497      2.45
20*     -8.166      0.75     1.53368    55.90    0.563
21*     18.771      2.20
22        ∞        0.38     1.51640    65.06    0.535
23        ∞        0.31
像面        ∞
非球面データ
第２面
k=-3.077
第３面
k=0.000
A4=-3.60571e-05  
第４面
k=0.000
A4=-1.12816e-04  
第５面
k=-0.996
A4=-7.73645e-05  
第１６面
k=-0.579
A4=7.09702e-04  
第１７面
k=0.000
A4=5.12138e-04  
第１８面
k=-0.174
A4=-2.01937e-06  
第１９面
k=0.000
A4=-3.03025e-07  
第２０面
k=0.000
A4=1.53947e-06  
第２１面
k=0.000
A4=-1.55823e-06  
各種データ
ＮＡ                    0.13   
倍率                   -1.05   
焦点距離                8.59   
像高(mm)                4.92   
ｆｂ(mm) (in air)       2.76
全長(mm) (in air)      33.88
【０９９９】
数値実施例１４
単位ｍｍ
面データ
面番号       r          d         nd        νd      θgf
1      47.850      2.59     1.84666    23.77    0.620
2*    -22.343      0.30
3*    -42.136      0.50     1.58364    30.30    0.599
4*      8.363      0.45
5*      8.022      4.21     1.49700    81.61    0.538
6     -27.821      0.10
7      12.314      3.81     1.49700    81.61    0.538
8     -15.006      0.30
9      15.820      2.48     1.61800    63.33    0.544
10     -16.606      0.86     1.72047    34.71    0.583
11       5.917      1.11
12(絞り)  ∞        0.30
13      19.831      1.50     1.59542    57.26    0.547
14       8.704      3.25
15*     30.113      2.20     1.49700    81.61    0.538
16*   -129.450      1.44
17*     11.178      3.22     1.63490    23.88    0.630
18*     69.854      2.52
19*    -11.756      1.72     1.53368    55.90    0.563
20*     28.321      2.45
21        ∞        0.38     1.51640    65.06    0.535
22        ∞        0.30
像面        ∞
非球面データ
第２面
k=-6.782
第３面
k=0.000
A4=-1.06326e-04  
第４面
k=0.000
A4=-4.80995e-04  
第５面
k=-1.297
A4=-2.89846e-04  
第１５面
k=-0.579
A4=-2.76313e-06  
第１６面
k=0.000
A4=4.96403e-06  
第１７面
k=1.161
A4=-1.96685e-05  
第１８面
k=0.000
A4=9.87207e-06  
第１９面
k=0.000
A4=8.51271e-06  
第２０面
k=0.000
A4=-2.32962e-05  
各種データ
ＮＡ                    0.14   
倍率                   -1.05   
焦点距離                9.49   
像高(mm)                4.92   
ｆｂ(mm) (in air)       3.00
全長(mm) (in air)      35.87
【１０００】
数値実施例１５
単位ｍｍ
面データ
面番号       r          d         nd        νd      θgf
1*     17.425      1.99     1.84666    23.77    0.620
2*     26.052      2.15
3      78.603      2.65     1.49700    81.61    0.538
4     -23.793      0.10
5      20.854      2.93     1.49700    81.61    0.538
6*    -28.805      0.97
7      10.233      3.22     1.61800    63.33    0.544
8     -14.403      0.70     1.72047    34.71    0.583
9       6.263      1.54
10(絞り)  ∞        2.59
11     -23.449      1.10     1.90366    31.32    0.595
12      23.820      4.50     1.61800    63.33    0.544
13     -13.224      0.10
14*     20.191      4.92     1.49700    81.61    0.538
15*    -12.021      2.06
16*     16.842      2.97     1.58364    30.30    0.599
17*    -61.090      2.44
18*    -13.902      0.70     1.49700    81.61    0.538
19*     22.930      2.41
20*     -7.006      0.70     1.53368    55.90    0.563
21*     42.359      2.70
22        ∞        0.30     1.51640    65.06    0.535
23        ∞        0.31
像面        ∞
非球面データ
第１面
k=0.000
A4=1.14998e-04  
第２面
k=0.000
A4=1.87722e-04  
第６面
k=0.000
A4=7.02747e-05  
第１４面
k=-0.579
A4=-8.56059e-05  
第１５面
k=0.000
A4=-4.50576e-05  
第１６面
k=0.000
A4=6.70751e-05  
第１７面
k=0.000
A4=3.13794e-05  
第１８面
k=0.000
A4=3.45712e-04  
第１９面
k=0.000
A4=3.55414e-04  
第２０面
k=0.000
A4=2.17628e-04  
第２１面
k=0.000
A4=-2.39642e-04,A6=-9.62165e-07  
各種データ
ＮＡ                    0.21   
倍率                   -1.05   
焦点距離                8.84   
像高(mm)                4.92   
ｆｂ(mm) (in air)       3.21
全長(mm) (in air)      43.94
【１００１】
数値実施例１６
単位ｍｍ
面データ
面番号       r          d         nd        νd      θgf
1*     44.490      2.90     1.84666    23.77    0.620
2*   1042.481      0.10
3      32.397      3.52     1.49700    81.61    0.538
4     -23.206      0.10
5      14.648      3.55     1.49700    81.61    0.538
6*    -33.420      0.10
7      11.152      3.61     1.61800    63.33    0.544
8      -8.805      0.70     1.72047    34.71    0.583
9       5.456      0.96
10(絞り)  ∞        0.72
11      -9.368      0.70     1.90366    31.32    0.595
12      58.101      4.03     1.61800    63.33    0.544
13     -11.863      1.16
14*     22.578      4.50     1.49700    81.61    0.538
15*    -10.017      1.59
16*     33.644      3.89     1.58364    30.30    0.599
17*    -23.118      5.88
18*     -8.960      0.70     1.53368    55.90    0.563
19*     13.998      3.70
20        ∞        0.30     1.51640    65.06    0.535
21        ∞        0.31
像面        ∞
非球面データ
第１面
k=0.000
A4=9.48776e-05  
第２面
k=0.000
A4=1.31636e-04  
第６面
k=0.000
A4=4.63529e-05  
第１４面
k=-0.579
A4=-8.09511e-05  
第１５面
k=0.000
A4=1.88059e-05  
第１６面
k=0.000
A4=-7.81147e-05  
第１７面
k=0.000
A4=-1.26355e-05  
第１８面
k=0.000
A4=2.75080e-04  
第１９面
k=0.000
A4=-4.02076e-04,A6=6.67549e-07  
各種データ
ＮＡ                    0.18   
倍率                   -1.05   
焦点距離               10.48   
像高(mm)                4.92   
ｆｂ(mm) (in air)       4.21
全長(mm) (in air)      42.91
【１００２】
数値実施例１７
単位ｍｍ
面データ
面番号       r          d         nd        νd      θgf
1      30.001      3.55     1.49700    81.61    0.538
2     -20.144      0.10
3      14.839      2.95     1.49700    81.61    0.538
4*   -204.753      1.38
5       9.541      3.61     1.61800    63.33    0.544
6     -22.503      0.94     1.72047    34.71    0.583
7       5.977      1.25
8(絞り)  ∞        1.09
9      -7.570      1.76     1.90366    31.32    0.595
10     -16.099      2.78     1.61800    63.33    0.544
11     -10.217      0.10
12*     11.695      5.99     1.49700    81.61    0.538
13*    -15.540      1.31
14*     26.431      2.57     1.58364    30.30    0.599
15*    405.879      5.84
16*     -6.493      0.70     1.53368    55.90    0.563
17*    676.071      3.70
18        ∞        0.30     1.51640    65.06    0.535
19        ∞        0.31
像面        ∞
非球面データ
第４面
k=0.000
A4=5.71106e-05  
第１２面
k=-0.579
A4=1.53768e-05  
第１３面
k=0.000
A4=6.02131e-05  
第１４面
k=0.000
A4=-8.63826e-05  
第１５面
k=0.000
A4=-5.74333e-05  
第１６面
k=0.000
A4=1.82606e-04  
第１７面
k=0.000
A4=-4.51042e-04,A6=-1.53697e-06  
各種データ
ＮＡ                    0.20   
倍率                   -1.05   
焦点距離               10.21   
像高(mm)                4.92   
ｆｂ(mm) (in air)       4.21
全長(mm) (in air)      40.13
【１００３】
数値実施例１８
単位ｍｍ
面データ
面番号       r          d         nd        νd      θgf
1      20.000      3.41     1.49700    81.61    0.538
2     -21.403      0.10
3      10.837      2.84     1.49700    81.61    0.538
4*    419.463      0.10
5      29.618      2.52     1.61800    63.33    0.544
6     -14.040      0.70     1.72047    34.71    0.583
7       9.509      3.36
8(絞り)  ∞        0.20
9      15.000      0.70     1.59551    39.24    0.580
10       4.665      2.31     1.64769    33.79    0.594
11      14.569      0.75
12*     18.814      2.92     1.49700    81.61    0.538
13*     -8.306      0.10
14     -27.184      4.50     1.86400    40.58    0.567
15     -13.984      0.80
16     -10.364      2.42     1.56384    60.67    0.540
17      42.568      2.09
18*     -4.588      0.88     1.53368    55.90    0.563
19*    -17.205      3.70
20        ∞        0.30     1.51640    65.06    0.535
21        ∞        0.31
像面        ∞
非球面データ
第４面
k=0.000
A4=1.96955e-04  
第１２面
k=-0.579
A4=1.16008e-04  
第１３面
k=0.000
A4=6.10145e-04  
第１８面
k=0.000
A4=5.15864e-04  
第１９面
k=0.000
A4=-8.95475e-04,A6=-1.08381e-05  
各種データ
ＮＡ                    0.15   
倍率                   -1.04   
焦点距離                8.63   
像高(mm)                4.92   
ｆｂ(mm) (in air)       4.21
全長(mm) (in air)      34.91
【１００４】
数値実施例１９
単位ｍｍ
面データ
面番号       r          d         nd        νd      θgf
1      15.792      2.15     1.60999    27.48    0.620
2      23.978      0.00  1001.00000    -3.45    0.296
3      23.978      0.20     1.63762    34.21    0.594
4      23.780      2.78
5*     14.045      4.50     1.49700    81.61    0.538
6     -93.714      0.10
7      12.954      2.81     1.49700    81.61    0.538
8*     48.862      0.93
9      27.146      2.74     1.61800    63.33    0.544
10     -13.584      0.73     1.72047    34.71    0.583
11      18.090      1.34
12(絞り)  ∞        0.02
13      13.257      0.72     1.90366    31.32    0.595
14       5.010      1.34     1.61800    63.33    0.544
15       8.118      0.75
16*      6.148      2.11     1.49700    81.61    0.538
17*     10.525      2.08
18*     -7.323      3.11     1.49700    81.61    0.538
19*     -7.585      0.91
20*     14.481      3.56     1.58364    30.30    0.599
21*    -16.233      1.90
22*    -12.939      0.71     1.49700    81.61    0.538
23*     41.071      4.34
24*     -7.245      0.70     1.53368    55.90    0.563
25*  54812.275      1.21
26        ∞        0.38     1.51640    65.06    0.535
27        ∞        0.29
像面        ∞
非球面データ
第５面
k=-0.985
A4=-4.58140e-06  
第８面
k=0.000
A4=3.12616e-05  
第１６面
k=-0.579
A4=-1.17288e-04  
第１７面
k=0.000
A4=-4.12749e-05  
第１８面
k=0.000
A4=-8.96232e-05  
第１９面
k=0.000
A4=5.26452e-05  
第２０面
k=0.000
A4=3.84196e-05  
第２１面
k=0.000
A4=6.16533e-05  
第２２面
k=0.000
A4=1.47300e-04  
第２３面
k=0.000
A4=-6.49627e-05  
第２４面
k=0.000
A4=-5.07397e-05  
第２５面
k=0.000
A4=-5.85345e-04,A6=1.30476e-06  
各種データ
ＮＡ                    0.15   
倍率                   -1.00   
焦点距離                9.02   
像高(mm)                4.92   
ｆｂ(mm) (in air)       1.75
全長(mm) (in air)      42.28
【１００５】
数値実施例２０
単位ｍｍ
面データ
面番号       r          d         nd        νd      θgf
1*     32.834      2.51     1.84666    23.77    0.620
2*    -14.478      0.74
3*    -13.008      0.70     1.58364    30.30    0.599
4*     10.024      0.11
5*      6.167      4.69     1.49700    81.61    0.538
6*     -9.896      0.16
7      14.247      2.75     1.61800    63.33    0.544
8      -9.168      0.89     1.72047    34.71    0.583
9       8.096      1.17
10(絞り)  ∞        1.16
11      -9.133      0.89     1.72047    34.71    0.583
12      13.575      1.99     1.61800    63.33    0.544
13     -13.167      0.10
14*     35.940      1.45     1.49700    81.61    0.538
15*    -35.021      0.10
16*      9.242      1.85     1.49700    81.61    0.538
17*     17.291      2.09
18*     14.145      2.00     1.63490    23.88    0.630
19*    -39.253      5.67
20*     -5.955      0.70     1.53368    55.90    0.563
21*    -14.900      2.22
22*     -5.519      0.90     1.53368    55.90    0.563
23*    -70.863      1.20
24        ∞        0.38     1.51640    65.06    0.535
25        ∞        0.30
像面        ∞
非球面データ
第１面
k=0.000
A4=1.50492e-04,A6=-3.54780e-06  
第２面
k=-2.669
A4=2.22005e-04,A6=-2.69213e-06  
第３面
k=0.000
A4=3.10091e-04  
第４面
k=0.000
A4=-3.25978e-04  
第５面
k=-1.313
A4=-2.31327e-04,A6=3.63551e-06  
第６面
k=-1.763
A4=1.38063e-04,A6=-2.69269e-07  
第１４面
k=-0.579
A4=1.44838e-04,A6=-1.01594e-06  
第１５面
k=0.000
A4=2.79291e-04,A6=-6.60640e-07  
第１６面
k=0.000
A4=1.42801e-04,A6=2.79003e-07  
第１７面
k=0.000
A4=-1.94371e-04,A6=1.98964e-06  
第１８面
k=-2.995
A4=2.02338e-04,A6=-3.03901e-06  
第１９面
k=0.000
A4=3.16281e-04,A6=-2.16676e-06  
第２０面
k=0.000
A4=1.23235e-03  
第２１面
k=0.000
A4=7.37586e-04  
第２２面
k=0.000
A4=1.78231e-04  
第２３面
k=-207.247
A4=-9.71403e-04,A6=-5.03108e-06  
各種データ
ＮＡ                    0.23   
倍率                   -1.33   
焦点距離                5.76   
像高(mm)                4.92   
ｆｂ(mm) (in air)       1.75
全長(mm) (in air)      36.60
【１００６】
数値実施例２１
単位ｍｍ
面データ
面番号       r          d         nd        νd      θgf
1*     37.191      2.51     1.84666    23.77    0.620
2*    -60.365      0.10
3*     45.462      0.70     1.58364    30.30    0.599
4*     17.208      0.10
5*     14.316      4.65     1.49700    81.61    0.538
6     -53.760      0.10
7      23.156      3.55     1.49700    81.61    0.538
8*    -23.670      0.10
9      22.799      2.41     1.61800    63.33    0.544
10     -29.442      0.70     1.72047    34.71    0.583
11       7.650      1.45
12(絞り)  ∞        1.07
13     -25.486      0.70     1.72047    34.71    0.583
14       7.699      2.32     1.61800    63.33    0.544
15      50.679      0.10
16*     12.228      2.01     1.49700    81.61    0.538
17*     98.730     16.81
18*     31.846      6.30     1.49700    81.61    0.538
19*    -77.563      2.03
20*     14.198      3.25     1.63490    23.88    0.630
21*    201.898      4.35
22*    -12.028      0.70     1.53368    55.90    0.563
23*     20.065      1.37
24*     34.840      0.70     1.53368    55.90    0.563
25*     16.829      1.23
26        ∞        0.38     1.51640    65.06    0.535
27        ∞        0.30
像面        ∞
非球面データ
第１面
k=0.000
A4=-2.94380e-05  
第２面
k=-32.935
A4=6.14622e-06  
第３面
k=0.000
A4=-1.75346e-07  
第４面
k=0.000
A4=-4.72517e-05  
第５面
k=-0.524
A4=-1.41649e-05  
第８面
k=-7.887
A4=1.22953e-05  
第１６面
k=-0.579
A4=2.95007e-05  
第１７面
k=0.000
A4=-2.68357e-05  
第１８面
k=0.000
A4=6.31745e-05  
第１９面
k=0.000
A4=1.15528e-04  
第２０面
k=0.000
A4=6.62069e-06  
第２１面
k=0.000
A4=-5.81516e-05  
第２２面
k=0.000
A4=1.13853e-04  
第２３面
k=0.000
A4=-1.70151e-04  
第２４面
k=0.000
A4=-3.46508e-04  
第２５面
k=0.000
A4=-8.40323e-05  
各種データ
ＮＡ                    0.23   
倍率                   -1.33   
焦点距離               11.95   
像高(mm)                4.92   
ｆｂ(mm) (in air)       1.78
全長(mm) (in air)      59.87
【１００７】
数値実施例２２
単位ｍｍ
面データ
面番号       r          d         nd        νd      θgf
1*     19.718      2.47     1.84666    23.77    0.620
2*     57.140      0.10
3      28.082      0.70     1.65412    39.68    0.574
4      15.535      0.71
5*     16.135      3.81     1.49700    81.61    0.538
6    -111.432      0.10
7      12.560      3.28     1.49700    81.61    0.538
8*   9264.110      0.10
9      23.767      2.95     1.61800    63.33    0.544
10     -17.820      0.70     1.72047    34.71    0.583
11      14.919      0.94
12(絞り)  ∞       -0.22
13      36.855      0.70     1.90366    31.32    0.595
14       6.199      2.19     1.61800    63.33    0.544
15      13.800      0.10
16*      7.064      3.86     1.49700    81.61    0.538
17*  -1661.525      5.38
18*     -7.343      0.70     1.49700    81.61    0.538
19*     26.316      2.07
20*     14.001      4.50     1.58364    30.30    0.599
21*     -8.579      3.08
22*     -9.265      0.70     1.49700    81.61    0.538
23*     10.893      2.23
24*    -15.074      1.42     1.53368    55.90    0.563
25*    -20.788      0.76
26        ∞        0.38     1.51640    65.06    0.535
27        ∞        0.30
像面        ∞
非球面データ
第１面
k=0.000
A4=4.20748e-06  
第２面
k=0.000
A4=1.02174e-05  
第５面
k=0.362
A4=-1.39316e-06  
第８面
k=0.000
A4=7.34221e-05  
第１６面
k=-0.579
A4=-1.11345e-04  
第１７面
k=0.000
A4=-3.97260e-04  
第１８面
k=0.000
A4=3.14959e-04  
第１９面
k=0.000
A4=9.18979e-04  
第２０面
k=0.000
A4=-3.01972e-04  
第２１面
k=0.000
A4=1.22286e-04  
第２２面
k=0.000
A4=3.61097e-10  
第２３面
k=0.000
A4=-2.33784e-10  
第２４面
k=0.000
A4=7.88303e-11  
第２５面
k=0.000
A4=-9.83303e-04,A6=-4.80768e-06  
各種データ
ＮＡ                    0.23   
倍率                   -1.33   
焦点距離                9.09   
像高(mm)                4.92   
ｆｂ(mm) (in air)       1.31
全長(mm) (in air)      43.88
【１００８】
数値実施例２３
単位ｍｍ
面データ
面番号       r          d         nd        νd      θgf
1      21.347      0.70     1.83400    37.16    0.577
2      19.857      2.68     1.84666    23.77    0.620
3      82.525      0.10
4      28.223      0.70     1.65412    39.68    0.574
5      13.598      0.10
6*     13.218      4.13     1.49700    81.61    0.538
7    -426.276      0.10
8      12.661      3.24     1.49700    81.61    0.538
9*   -620.123      0.10
10      23.276      3.03     1.61800    63.33    0.544
11     -15.973      0.70     1.72047    34.71    0.583
12      14.351      0.94
13(絞り)  ∞       -0.12
14      52.229      0.70     1.90366    31.32    0.595
15       6.517      2.05     1.61800    63.33    0.544
16      14.011      0.10
17*      7.279      3.70     1.49700    81.61    0.538
18*    -52.147      6.22
19*     -8.485      0.70     1.49700    81.61    0.538
20*     18.496      2.19
21*     16.238      3.38     1.58364    30.30    0.599
22*     -8.208      3.48
23*    -14.030      0.80     1.49700    81.61    0.538
24*     10.694      2.34
25*    -13.561      0.70     1.53368    55.90    0.563
26*    -32.525      1.56
27        ∞        0.38     1.51640    65.06    0.535
28        ∞        0.30
像面        ∞
非球面データ
第６面
k=0.102
A4=-3.11348e-06  
第９面
k=0.000
A4=7.09963e-05  
第１７面
k=-0.579
A4=-1.62833e-04  
第１８面
k=0.000
A4=-2.59299e-04  
第１９面
k=0.000
A4=2.69659e-05  
第２０面
k=0.000
A4=5.59803e-04  
第２１面
k=0.000
A4=-2.63419e-04  
第２２面
k=0.000
A4=1.85257e-04  
第２３面
k=0.000
A4=1.30466e-10  
第２４面
k=0.000
A4=-4.02512e-11  
第２５面
k=0.000
A4=1.98197e-11  
第２６面
k=0.000
A4=-7.91121e-04,A6=-7.74500e-06  
各種データ
ＮＡ                    0.23   
倍率                   -1.33   
焦点距離                8.95   
像高(mm)                4.92   
ｆｂ(mm) (in air)       2.12
全長(mm) (in air)      44.87
【１００９】
数値実施例２４
単位ｍｍ
面データ
面番号       r          d         nd        νd      θgf
1*     29.347      3.01     1.84666    23.77    0.620
2*    -36.004      0.10
3    -397.741      0.70     1.65412    39.68    0.574
4      21.124      0.10
5*     19.426      4.27     1.49700    81.61    0.538
6     -31.982      0.10
7      20.342      3.53     1.49700    81.61    0.538
8*    -22.961      0.10
9    -172.666      2.93     1.61800    63.33    0.544
10     -11.505      0.70     1.72047    34.71    0.583
11      24.226      0.79
12(絞り)  ∞        0.17
13    -243.374      0.70     1.90366    31.32    0.595
14       9.660      3.41     1.61800    63.33    0.544
15     -43.351      0.10
16*     11.180      4.50     1.49700    81.61    0.538
17* -10186.757      8.48
18*    719.997      0.70     1.49700    81.61    0.538
19*     13.006      6.32
20*     13.192      3.44     1.58364    30.30    0.599
21*    -15.080      3.70
22*     -9.430      0.81     1.49700    81.61    0.538
23*     10.877      2.39
24*    -10.747      0.51     1.53368    55.90    0.563
25*  -3339.876      1.95
26        ∞        0.38     1.51640    65.06    0.535
27        ∞        0.30
像面        ∞
非球面データ
第１面
k=0.000
A4=1.00145e-05  
第２面
k=0.000
A4=4.66734e-05  
第５面
k=0.699
A4=2.24508e-05  
第８面
k=0.000
A4=8.05284e-05  
第１６面
k=-0.579
A4=7.50799e-06  
第１７面
k=0.000
A4=-8.03928e-05  
第１８面
k=0.000
A4=-2.62042e-04  
第１９面
k=0.000
A4=2.02927e-08  
第２０面
k=0.000
A4=1.22996e-05  
第２１面
k=0.000
A4=1.31433e-04  
第２２面
k=0.000
A4=1.29005e-10  
第２３面
k=0.000
A4=-8.96164e-11  
第２４面
k=0.000
A4=3.63415e-11  
第２５面
k=0.000
A4=-8.06302e-04,A6=-6.85664e-06  
各種データ
ＮＡ                    0.38   
倍率                   -2.20   
焦点距離                5.02   
像高(mm)                4.92   
ｆｂ(mm) (in air)       2.50
全長(mm) (in air)      54.08
【１０１０】
数値実施例２５
単位ｍｍ
面データ
面番号       r          d         nd        νd      θgf
1*     32.463      2.90     1.84666    23.77    0.620
2*    -21.826      0.10
3    -115.439      0.70     1.65412    39.68    0.574
4      19.615      0.71
5*     22.162      3.86     1.49700    81.61    0.538
6     -24.111      0.10
7      34.797      3.13     1.49700    81.61    0.538
8*    -16.663      0.10
9     -45.805      3.04     1.61800    63.33    0.544
10      -9.473      0.70     1.72047    34.71    0.583
11      97.538      0.68
12(絞り)  ∞        0.42
13     213.328      0.70     1.90366    31.32    0.595
14       9.662      3.29     1.61800    63.33    0.544
15     -95.685      0.10
16*     11.359      4.50     1.49700    81.61    0.538
17*    192.634     12.20
18*    -46.287      0.70     1.49700    81.61    0.538
19*     55.888      3.89
20*     15.242      3.43     1.58364    30.30    0.599
21*    -12.872      3.53
22*     -9.883      0.70     1.49700    81.61    0.538
23*     10.330      2.47
24*     -8.858      0.47     1.53368    55.90    0.563
25*     38.821      2.50
26        ∞        0.30     1.51640    65.06    0.535
27        ∞        0.30
像面        ∞
非球面データ
第１面
k=0.000
A4=-8.60855e-06  
第２面
k=0.000
A4=5.67857e-05  
第５面
k=-0.732
A4=8.88649e-05  
第８面
k=0.000
A4=9.71863e-05  
第１６面
k=-0.579
A4=3.62332e-05  
第１７面
k=0.000
A4=-4.68359e-05  
第１８面
k=0.000
A4=-3.90596e-04  
第１９面
k=0.000
A4=5.65832e-09  
第２０面
k=0.000
A4=1.29627e-04  
第２１面
k=0.000
A4=2.61604e-04  
第２２面
k=0.000
A4=6.73337e-11  
第２３面
k=0.000
A4=-2.85935e-10  
第２４面
k=0.000
A4=-1.78374e-11  
第２５面
k=0.000
A4=-1.17807e-03,A6=-1.38777e-06  
各種データ
ＮＡ                    0.43   
倍率                   -2.55   
焦点距離                4.06   
像高(mm)                4.92   
ｆｂ(mm) (in air)       3.00
全長(mm) (in air)      55.41
【１０１１】
数値実施例２６
単位ｍｍ
面データ
面番号       r          d         nd        νd      θgf
1*     35.723      2.54     1.84666    23.77    0.620
2*    -51.097      0.10
3      36.176      0.71     1.65412    39.68    0.574
4      20.906      0.70
5*     23.037      3.88     1.49700    81.61    0.538
6     -48.688      0.10
7      28.972      4.09     1.49700    81.61    0.538
8*    -14.465      0.10
9     -30.479      2.71     1.61800    63.33    0.544
10     -11.008      0.70     1.72047    34.71    0.583
11     -45.001      0.00
12(絞り)  ∞        0.36
13     142.278      0.70     1.90366    31.32    0.595
14       7.974      3.29     1.61800    63.33    0.544
15      42.037      0.10
16*      9.420      4.50     1.49700    81.61    0.538
17*     50.449     11.08
18*    -10.686      0.70     1.49700    81.61    0.538
19*     14.658      2.13
20*      8.921      3.26     1.58364    30.30    0.599
21*    -11.441      2.20
22*     -6.836      0.70     1.49700    81.61    0.538
23*     17.063      2.85
24*     -7.530      1.89     1.53368    55.90    0.563
25*    -23.262      1.20
26        ∞        0.30     1.51640    65.06    0.535
27        ∞        0.31
像面        ∞
非球面データ
第１面
k=0.000
A4=2.15858e-05  
第２面
k=0.000
A4=5.89518e-05  
第５面
k=1.031
A4=4.92091e-05  
第８面
k=0.000
A4=1.43893e-04  
第１６面
k=-0.579
A4=1.23991e-05  
第１７面
k=0.000
A4=-1.44605e-04  
第１８面
k=0.000
A4=-9.44986e-05  
第１９面
k=0.000
A4=2.20099e-08  
第２０面
k=0.000
A4=-2.09970e-04  
第２１面
k=0.000
A4=1.31063e-04  
第２２面
k=0.000
A4=-4.92137e-11  
第２３面
k=0.000
A4=-3.04317e-10  
第２４面
k=0.000
A4=-4.31877e-12  
第２５面
k=0.000
A4=-1.03058e-03,A6=-5.12548e-06  
各種データ
ＮＡ                    0.40   
倍率                   -2.55   
焦点距離                4.53   
像高(mm)                4.92   
ｆｂ(mm) (in air)       1.71
全長(mm) (in air)      51.12
【１０１２】
数値実施例２７
単位ｍｍ
面データ
面番号       r          d         nd        νd      θgf
1*     35.661      2.32     1.84666    23.77    0.620
2*    -73.499      0.43
3*     34.183      4.48     1.49700    81.61    0.538
4     -54.877      0.10
5      25.768      4.00     1.49700    81.61    0.538
6*    -15.284      0.10
7     -32.854      2.97     1.61800    63.33    0.544
8     -10.053      0.70     1.72047    34.71    0.583
9     -46.051      0.05
10(絞り)  ∞        0.47
11     635.573      0.70     1.90366    31.32    0.595
12       8.195      3.10     1.61800    63.33    0.544
13      42.918      0.10
14*      9.414      4.50     1.49700    81.61    0.538
15*     63.321     11.58
16*     -9.781      0.70     1.49700    81.61    0.538
17*     27.718      2.51
18*      9.851      3.31     1.58364    30.30    0.599
19*    -11.040      2.20
20*     -7.575      0.70     1.49700    81.61    0.538
21*     13.961      2.79
22*     -8.162      1.28     1.53368    55.90    0.563
23*    -48.156      1.52
24        ∞        0.30     1.51640    65.06    0.535
25        ∞        0.31
像面        ∞
非球面データ
第１面
k=0.000
A4=3.30814e-05  
第２面
k=0.000
A4=7.07042e-05  
第３面
k=7.049
A4=5.92848e-05  
第６面
k=0.000
A4=1.66928e-04  
第１４面
k=-0.579
A4=1.76892e-05  
第１５面
k=0.000
A4=-1.15869e-04  
第１６面
k=0.000
A4=-1.90405e-04  
第１７面
k=0.000
A4=4.29668e-08  
第１８面
k=0.000
A4=-1.26564e-04  
第１９面
k=0.000
A4=2.29008e-04  
第２０面
k=0.000
A4=-5.43091e-12  
第２１面
k=0.000
A4=-1.28275e-10  
第２２面
k=0.000
A4=-4.59881e-11  
第２３面
k=0.000
A4=-1.00347e-03,A6=-7.29887e-06  
各種データ
ＮＡ                    0.40   
倍率                   -2.55   
焦点距離                4.30   
像高(mm)                4.92   
ｆｂ(mm) (in air)       2.02
全長(mm) (in air)      51.12
【１０１３】
数値実施例２８
単位ｍｍ
面データ
面番号       r          d         nd        νd      θgf
1*     26.126      2.52     1.84666    23.77    0.620
2*    156.726      0.44
3*     19.398      3.22     1.49700    81.61    0.538
4     668.362      0.10
5      22.441      4.29     1.49700    81.61    0.538
6*    -18.521      0.10
7     -32.011      3.31     1.61800    63.33    0.544
8     -10.629      0.70     1.72047    34.71    0.583
9     -32.981     -0.18
10(絞り)  ∞        0.91
11     -54.468      0.70     1.90366    31.32    0.595
12      10.084      3.88     1.61800    63.33    0.544
13     -38.832      5.09
14*     11.830      4.50     1.49700    81.61    0.538
15*     32.748      6.33
16*    -51.536      0.70     1.49700    81.61    0.538
17*  -5076.695      1.50
18*     16.498      4.50     1.58364    30.30    0.599
19*    -18.479      2.95
20*    -13.897      0.70     1.49700    81.61    0.538
21*     14.288      2.43
22*     -9.910      0.50     1.53368    55.90    0.563
23*     19.020      1.20
24        ∞        0.30     1.51640    65.06    0.535
25        ∞        0.31
像面        ∞
非球面データ
第１面
k=0.000
A4=4.45476e-05  
第２面
k=0.000
A4=4.21609e-05  
第３面
k=1.630
A4=-6.68631e-05  
第６面
k=0.000
A4=1.02748e-04  
第１４面
k=-0.579
A4=-5.95923e-05  
第１５面
k=0.000
A4=-1.92311e-04  
第１６面
k=0.000
A4=-2.60712e-04  
第１７面
k=0.000
A4=3.61925e-09  
第１８面
k=0.000
A4=6.14546e-07  
第１９面
k=0.000
A4=8.97691e-05  
第２０面
k=0.000
A4=7.96105e-11  
第２１面
k=0.000
A4=1.79636e-10  
第２２面
k=0.000
A4=2.08521e-10  
第２３面
k=0.000
A4=-7.36017e-04,A6=1.85128e-08  
各種データ
ＮＡ                    0.40   
倍率                   -1.60   
焦点距離                5.39   
像高(mm)                4.92   
ｆｂ(mm) (in air)       1.71
全長(mm) (in air)      50.89
【１０１４】
数値実施例２９
単位ｍｍ
面データ
面番号       r          d         nd        νd      θgf
1*     25.723      3.03     1.84666    23.77    0.620
2*    149.616      0.54
3*     19.523      3.74     1.49700    81.61    0.538
4     156.580      0.10
5      20.438      3.50     1.49700    81.61    0.538
6*    -18.183      0.15
7     -28.405      3.65     1.61800    63.33    0.544
8     -10.074      0.70     1.72047    34.71    0.583
9     -29.736      0.03
10(絞り)  ∞        0.98
11     -37.887      0.70     1.90366    31.32    0.595
12      10.973      3.19     1.61800    63.33    0.544
13     -29.734      5.20
14*     11.850      4.46     1.49700    81.61    0.538
15*     32.907      6.37
16*    -43.174      0.70     1.49700    81.61    0.538
17*   -583.895      1.39
18*     16.200      4.17     1.58364    30.30    0.599
19*    -16.507      2.96
20*    -13.189      0.70     1.49700    81.61    0.538
21*     14.167      2.41
22*     -9.282      0.50     1.53368    55.90    0.563
23*     18.028      1.20
24        ∞        0.30     1.51640    65.06    0.535
25        ∞        0.31
像面        ∞
非球面データ
第１面
k=0.000
A4=4.82416e-05  
第２面
k=0.000
A4=4.12737e-05  
第３面
k=1.920
A4=-6.92724e-05  
第６面
k=0.000
A4=1.06996e-04  
第１４面
k=-0.579
A4=-5.87534e-05  
第１５面
k=0.000
A4=-1.97727e-04  
第１６面
k=0.000
A4=-3.03525e-04  
第１７面
k=0.000
A4=2.27302e-08  
第１８面
k=0.000
A4=1.91296e-05  
第１９面
k=0.000
A4=1.02712e-04  
第２０面
k=0.000
A4=9.87048e-11  
第２１面
k=0.000
A4=9.22769e-11  
第２２面
k=0.000
A4=9.06991e-11  
第２３面
k=0.000
A4=-8.67255e-04,A6=8.57757e-07  
各種データ
ＮＡ                    0.31   
倍率                   -1.56   
焦点距離                5.41   
像高(mm)                4.92   
ｆｂ(mm) (in air)       1.70
全長(mm) (in air)      50.87
【１０１５】
数値実施例３０
単位ｍｍ
面データ
面番号       r          d         nd        νd      θgf
1*     19.930      3.24     1.84666    23.77    0.620
2*     61.126      0.64
3*     20.022      2.36     1.49700    81.61    0.538
4      64.679      0.10
5      14.877      3.79     1.49700    81.61    0.538
6*    -20.728      0.44
7     -22.514      2.78     1.61800    63.33    0.544
8      -8.591      0.70     1.72047    34.71    0.583
9     -28.840      0.09
10(絞り)  ∞        0.69
11     -75.968      0.70     1.90366    31.32    0.595
12      10.025      3.17     1.61800    63.33    0.544
13     -47.134      7.43
14*     11.048      4.18     1.49700    81.61    0.538
15*     29.122      8.18
16*     16.083      3.74     1.58364    30.30    0.599
17*    -23.253      3.00
18*    -11.275      0.70     1.49700    81.61    0.538
19*     22.496      2.40
20*     -8.030      0.70     1.53368    55.90    0.563
21*     19.993      1.20
22        ∞        0.30     1.51640    65.06    0.535
23        ∞        0.31
像面        ∞
非球面データ
第１面
k=0.000
A4=5.96209e-05  
第２面
k=0.000
A4=4.52358e-05  
第３面
k=3.494
A4=-1.04703e-04  
第６面
k=0.000
A4=1.16629e-04  
第１４面
k=-0.579
A4=-1.22009e-05  
第１５面
k=0.000
A4=9.35253e-06  
第１６面
k=0.000
A4=-4.21205e-05  
第１７面
k=0.000
A4=3.29945e-05  
第１８面
k=0.000
A4=2.14586e-04  
第１９面
k=0.000
A4=2.96805e-04  
第２０面
k=0.000
A4=8.17176e-05  
第２１面
k=0.000
A4=-6.90519e-04,A6=7.86063e-07  
各種データ
ＮＡ                    0.31   
倍率                   -1.55   
焦点距離                5.52   
像高(mm)                4.92   
ｆｂ(mm) (in air)       1.70
全長(mm) (in air)      50.72
【１０１６】
数値実施例３１
単位ｍｍ
面データ
面番号       r          d         nd        νd      θgf
1*     22.255      1.40     1.84666    23.77    0.620
2*     49.454      0.10
3*     15.934      1.56     1.49700    81.61    0.538
4      49.074      0.10
5       8.678      2.60     1.49700    81.61    0.538
6*     24.865      0.10
7      16.464      2.59     1.62041    60.29    0.543
8     -16.180      0.71     1.72047    34.71    0.583
9      20.086      0.50
10(絞り)  ∞       -0.14
11      16.335      0.77     1.90366    31.32    0.595
12       4.955      2.54     1.62041    60.29    0.543
13      13.367      0.10
14*      8.375      3.54     1.49700    81.61    0.538
15*     12.841      5.26
16*     18.465      1.08     1.49700    81.61    0.538
17*     20.987      1.60
18*     17.258      3.54     1.58364    30.30    0.599
19*    -13.619      2.16
20*     -7.110      0.80     1.49700    81.61    0.538
21*      6.864      4.38
22*     38.244      1.35     1.53368    55.90    0.563
23*     40.675      1.79
24        ∞        0.38     1.51640    65.06    0.535
25        ∞        0.31
像面        ∞
非球面データ
第１面
k=0.000
A4=9.39832e-05  
第２面
k=0.000
A4=2.63124e-05  
第３面
k=1.034
A4=-8.38701e-05  
第６面
k=0.000
A4=2.34844e-04  
第１４面
k=-0.579
A4=-1.61090e-04  
第１５面
k=0.000
A4=9.62591e-05  
第１６面
k=0.000
A4=-2.20378e-04  
第１７面
k=0.000
A4=1.44465e-04  
第１８面
k=0.000
A4=5.22295e-05  
第１９面
k=0.000
A4=-1.67837e-04  
第２０面
k=0.000
A4=2.06606e-04  
第２１面
k=0.000
A4=-1.79135e-04  
第２２面
k=0.000
A4=-1.13764e-04  
第２３面
k=0.000
A4=-6.19905e-04,A6=-1.16506e-05  
各種データ
ＮＡ                    0.20   
倍率                   -2.00   
焦点距離                6.48   
像高(mm)                4.92   
ｆｂ(mm) (in air)       2.35
全長(mm) (in air)      38.99
【１０１７】
数値実施例３２
単位ｍｍ
面データ
面番号       r          d         nd        νd      θgf
1*     18.031      1.98     1.84666    23.77    0.620
2*     33.383      0.30
3*     14.122      2.63     1.49700    81.61    0.538
4     112.900      0.10
5      10.797      2.81     1.49700    81.61    0.538
6*     43.886      0.22
7      23.680      2.64     1.61800    63.33    0.544
8     -13.093      0.70     1.72047    34.71    0.583
9      24.412      0.49
10(絞り)  ∞       -0.33
11      21.319      0.72     1.90366    31.32    0.595
12       5.225      2.41     1.61800    63.33    0.544
13      10.578      0.10
14*      7.000      3.27     1.49700    81.61    0.538
15*      8.979      9.72
16*     11.132      4.18     1.58364    30.30    0.599
17*    -33.189      2.46
18*     -6.616      0.73     1.49700    81.61    0.538
19*     19.087      5.41
20*    -10.000      1.47     1.53368    55.90    0.563
21*     -8.861      2.27
22        ∞        0.38     1.51640    65.06    0.535
23        ∞        0.31
像面        ∞
非球面データ
第１面
k=0.000
A4=6.50944e-05  
第２面
k=0.000
A4=5.45929e-05  
第３面
k=0.635
A4=-3.35884e-05  
第６面
k=0.000
A4=1.78338e-04  
第１４面
k=-0.579
A4=-1.63080e-07  
第１５面
k=0.000
A4=7.02281e-08  
第１６面
k=0.000
A4=-2.61423e-04  
第１７面
k=0.000
A4=-6.18829e-04  
第１８面
k=0.000
A4=4.05381e-10  
第１９面
k=0.000
A4=-6.67366e-10  
第２０面
k=0.000
A4=3.21970e-10  
第２１面
k=0.000
A4=2.90162e-04,A6=-7.28026e-06  
各種データ
ＮＡ                    0.23   
倍率                   -2.00   
焦点距離               10.51   
像高(mm)                4.92   
ｆｂ(mm) (in air)       2.83
全長(mm) (in air)      44.85
【１０１８】
数値実施例３３
単位ｍｍ
面データ
面番号       r          d         nd        νd      θgf
1*     20.173      2.85     1.84666    23.77    0.620
2*     44.670      0.10
3      22.987      0.70     1.65412    39.68    0.574
4      13.553      0.10
5*     11.056      5.41     1.49700    81.61    0.538
6    -117.884      0.10
7      15.197      3.48     1.49700    81.61    0.538
8*   -137.586      0.10
9      40.695      3.13     1.61800    63.33    0.544
10     -15.237      0.70     1.72047    34.71    0.583
11      13.540      0.95
12(絞り)  ∞       -0.41
13      21.538      0.70     1.90366    31.32    0.595
14       6.309      2.36     1.61800    63.33    0.544
15      11.008      0.10
16*      6.948      3.38     1.49700    81.61    0.538
17*    -55.578      5.87
18*     -6.796      0.70     1.49700    81.61    0.538
19*     18.459      2.11
20*      7.634      3.91     1.58364    30.30    0.599
21*    -13.003      1.75
22*     -6.810      0.70     1.49700    81.61    0.538
23*     24.381      4.54
24        ∞        0.38     1.51640    65.06    0.535
25        ∞        0.30
像面        ∞
非球面データ
第１面
k=0.000
A4=-5.73554e-06  
第２面
k=0.000
A4=-9.15135e-06  
第５面
k=-0.393
A4=-2.44007e-05  
第８面
k=0.000
A4=6.95514e-05  
第１６面
k=-0.579
A4=-2.22085e-04  
第１７面
k=0.000
A4=-4.21651e-04  
第１８面
k=0.000
A4=-3.61868e-04  
第１９面
k=0.000
A4=-7.75281e-04  
第２０面
k=0.000
A4=-6.02773e-04  
第２１面
k=0.000
A4=-6.83570e-05  
第２２面
k=0.000
A4=1.18563e-09  
第２３面
k=0.000
A4=-1.14221e-09,A6=-1.28369e-05  
各種データ
ＮＡ                    0.23   
倍率                   -1.33   
焦点距離               10.24   
像高(mm)                4.92   
ｆｂ(mm) (in air)       5.09
全長(mm) (in air)      43.88
【１０１９】
数値実施例３４
単位ｍｍ
面データ
面番号       r          d         nd        νd      θgf
1      30.333      3.43     1.84666    23.77    0.620
2*    -17.121      0.96
3*    -13.803      0.88     1.58364    30.30    0.599
4*     13.612      0.11
5*     11.200      3.75     1.49700    81.61    0.538
6     -27.595      0.10
7      15.356      3.57     1.49700    81.61    0.538
8*    -16.003      0.10
9      17.504      2.87     1.61800    63.33    0.544
10     -11.810      0.70     1.72047    34.71    0.583
11       8.524      0.97
12(絞り)  ∞        0.56
13     -53.831      0.70     1.72047    34.71    0.583
14       6.850      2.02     1.61800    63.33    0.544
15      23.795      2.48
16*     16.577      4.50     1.49700    81.61    0.538
17*    -46.561      1.38
18*     20.918      2.44     1.49700    81.61    0.538
19*    198.692      2.30
20*     15.525      2.93     1.63490    23.88    0.630
21*    -50.829      5.23
22*     -9.522      0.71     1.53368    55.90    0.563
23*     17.577      1.58
24*    -21.349      0.92     1.53368    55.90    0.563
25*     27.363      0.66
26        ∞        0.38     1.51640    65.06    0.535
27        ∞        0.30
像面        ∞
非球面データ
第２面
k=-3.179
第３面
k=0.000
A4=7.36835e-05  
第４面
k=0.000
A4=-1.21732e-04  
第５面
k=-0.072
A4=-1.81623e-04  
第８面
k=-6.612
A4=3.49560e-05  
第１６面
k=-0.579
A4=1.35029e-04  
第１７面
k=0.000
A4=2.51766e-04  
第１８面
k=0.000
A4=2.91305e-04  
第１９面
k=0.000
A4=6.43367e-05  
第２０面
k=-1.062
A4=1.69562e-04  
第２１面
k=0.000
A4=2.58930e-04  
第２２面
k=0.000
A4=-4.19918e-04  
第２３面
k=0.000
A4=-1.49907e-04  
第２４面
k=0.000
A4=1.57977e-04  
第２５面
k=0.000
A4=-4.67783e-04  
各種データ
ＮＡ                    0.23   
倍率                   -1.33   
焦点距離                6.71   
像高(mm)                4.92   
ｆｂ(mm) (in air)       1.21
全長(mm) (in air)      46.39
【１０２０】
数値実施例３５
単位ｍｍ
面データ
面番号       r          d         nd        νd      θgf
1      31.851      3.46     1.84666    23.77    0.620
2*    -16.956      0.92
3*    -14.469      0.79     1.58364    30.30    0.599
4*     13.498      0.11
5*     11.902      3.99     1.49700    81.61    0.538
6     -24.185      0.10
7      15.502      3.62     1.49700    81.61    0.538
8*    -16.536      0.10
9      17.521      2.82     1.61800    63.33    0.544
10     -12.188      0.70     1.72047    34.71    0.583
11       8.905      1.29
12(絞り)  ∞        0.87
13     -25.439      0.70     1.72047    34.71    0.583
14       7.636      2.05     1.61800    63.33    0.544
15      40.459      3.76
16*     12.506      4.08     1.49700    81.61    0.538
17*    -25.450      4.84
18*     16.621      2.91     1.63490    23.88    0.630
19*    -45.468      5.15
20*    -11.176      0.70     1.53368    55.90    0.563
21*     28.944      1.68
22*    -16.379      0.70     1.53368    55.90    0.563
23*     19.903      0.84
24        ∞        0.38     1.51640    65.06    0.535
25        ∞        0.30
像面        ∞
非球面データ
第２面
k=-3.154
第３面
k=0.000
A4=4.19783e-05  
第４面
k=0.000
A4=-1.40144e-04  
第５面
k=0.014
A4=-1.86929e-04  
第８面
k=-4.445
A4=2.87986e-05  
第１６面
k=-0.579
A4=8.24143e-06  
第１７面
k=0.000
A4=2.95157e-05  
第１８面
k=-4.329
A4=1.98827e-04  
第１９面
k=0.000
A4=1.82474e-04  
第２０面
k=0.000
A4=-5.85060e-05  
第２１面
k=0.000
A4=7.89211e-12  
第２２面
k=0.000
A4=-1.93685e-04  
第２３面
k=0.000
A4=-5.50486e-04  
各種データ
ＮＡ                    0.23   
倍率                   -1.33   
焦点距離                6.94   
像高(mm)                4.92   
ｆｂ(mm) (in air)       1.39
全長(mm) (in air)      46.76
【１０２１】
数値実施例３６
単位ｍｍ
面データ
面番号       r          d         nd        νd      θgf
1      36.714      3.44     1.84666    23.77    0.620
2*    -16.452      0.92
3*    -14.367      0.70     1.58364    30.30    0.599
4*     13.393      0.36
5*     12.942      3.94     1.49700    81.61    0.538
6     -22.078      0.10
7      13.900      3.96     1.49700    81.61    0.538
8*    -17.689      0.30
9      17.537      2.78     1.61800    63.33    0.544
10     -13.673      0.70     1.72047    34.71    0.583
11       9.167      1.30
12(絞り)  ∞        0.93
13     -18.729      0.70     1.72047    34.71    0.583
14       7.839      2.04     1.61800    63.33    0.544
15      43.718      4.70
16*     11.769      4.45     1.49700    81.61    0.538
17*    -21.669      4.26
18*     14.851      2.87     1.63490    23.88    0.630
19*   -125.046      5.08
20*     -7.502      0.70     1.53368    55.90    0.563
21*     12.654      2.99
22        ∞        0.38     1.51640    65.06    0.535
23        ∞        0.30
像面        ∞
非球面データ
第２面
k=-2.632
第３面
k=0.000
A4=2.85023e-05  
第４面
k=0.000
A4=-1.67992e-04  
第５面
k=-0.266
A4=-1.93461e-04  
第８面
k=-4.885
A4=-9.96312e-06  
第１６面
k=-0.579
A4=1.15323e-05  
第１７面
k=0.000
A4=8.61252e-05  
第１８面
k=-1.042
A4=5.95706e-05  
第１９面
k=0.000
A4=8.80359e-05  
第２０面
k=0.000
A4=4.18334e-04  
第２１面
k=0.000
A4=-2.24974e-04  
各種データ
ＮＡ                    0.23   
倍率                   -1.33   
焦点距離                8.73   
像高(mm)                4.92   
ｆｂ(mm) (in air)       3.55
全長(mm) (in air)      47.77
【１０２２】
数値実施例３７
単位ｍｍ
面データ
面番号       r          d         nd        νd      θgf
1      35.018      3.51     1.84666    23.77    0.620
2*    -16.160      0.79
3*    -14.606      0.70     1.58364    30.30    0.599
4*     12.706      0.30
5*     10.540      4.39     1.49700    81.61    0.538
6     -25.094      0.10
7      18.037      3.48     1.49700    81.61    0.538
8*    -15.488      0.30
9      17.578      2.82     1.61800    63.33    0.544
10     -11.708      0.71     1.72047    34.71    0.583
11       8.764      1.28
12(絞り)  ∞        0.86
13     -50.664      1.06     1.72047    34.71    0.583
14       6.843      3.93     1.61800    63.33    0.544
15      22.209      3.20
16*     18.515      3.84     1.49700    81.61    0.538
17*    -19.905      0.36
18*     61.312      2.44     1.49700    81.61    0.538
19*   -138.576      1.98
20*     16.819      3.04     1.63490    23.88    0.630
21*    -44.496      5.21
22*     -6.697      0.83     1.53368    55.90    0.563
23*     12.737      1.65
24      91.429      0.70     1.53368    55.90    0.563
25     100.508      0.51
26        ∞        0.38     1.51640    65.06    0.535
27        ∞        0.30
像面        ∞
非球面データ
第２面
k=-3.277
第３面
k=0.000
A4=8.48353e-05  
第４面
k=0.000
A4=-1.01898e-04  
第５面
k=-0.286
A4=-1.38466e-04  
第８面
k=-5.555
A4=4.80018e-05  
第１６面
k=-0.579
A4=1.25353e-04  
第１７面
k=0.000
A4=2.20448e-04  
第１８面
k=0.000
A4=3.34293e-04  
第１９面
k=0.000
A4=1.43266e-04  
第２０面
k=-4.552
A4=2.56841e-04  
第２１面
k=0.000
A4=2.84837e-04  
第２２面
k=0.000
A4=2.73060e-04  
第２３面
k=0.000
A4=-9.16648e-04  
各種データ
ＮＡ                    0.23   
倍率                   -1.33   
焦点距離                8.25   
像高(mm)                4.92   
ｆｂ(mm) (in air)       1.06
全長(mm) (in air)      48.56
【１０２３】
数値実施例３８
単位ｍｍ
面データ
面番号       r          d         nd        νd      θgf
1      49.656      3.69     1.84666    23.77    0.620
2*    -17.011      0.30
3*    -16.943      0.70     1.58364    30.30    0.599
4*     15.231      0.30
5*     12.554      5.18     1.49700    81.61    0.538
6     -22.778      0.10
7      19.262      4.38     1.49700    81.61    0.538
8*    -14.960      0.30
9      23.487      2.73     1.61800    63.33    0.544
10     -17.685      0.70     1.72047    34.71    0.583
11       9.522      1.44
12(絞り)  ∞        0.85
13     -38.910      0.70     1.72047    34.71    0.583
14       6.507      2.02     1.61800    63.33    0.544
15      13.505      1.43
16*     14.532      8.57     1.49700    81.61    0.538
17*     57.509      0.41
18*     13.489      4.45     1.49700    81.61    0.538
19*   -401.830      1.74
20*     15.589      3.51     1.63490    23.88    0.630
21*    -58.753      4.86
22*     -7.832      1.58     1.53368    55.90    0.563
23*     15.936      2.94
24        ∞        0.38     1.51640    65.06    0.535
25        ∞        0.30
像面        ∞
非球面データ
第２面
k=-2.652
第３面
k=0.000
A4=-1.47660e-05  
第４面
k=0.000
A4=-1.00180e-04  
第５面
k=-0.298
A4=-1.23946e-04  
第８面
k=-4.494
A4=1.28557e-05  
第１６面
k=-0.579
A4=1.96708e-04  
第１７面
k=0.000
A4=1.64979e-04  
第１８面
k=0.000
A4=2.23578e-04  
第１９面
k=0.000
A4=1.34637e-04  
第２０面
k=-3.507
A4=3.22843e-04  
第２１面
k=0.000
A4=3.61442e-04  
第２２面
k=0.000
A4=-5.63782e-04  
第２３面
k=0.000
A4=-1.15728e-03  
各種データ
ＮＡ                    0.23   
倍率                   -1.33   
焦点距離                9.31       
像高(mm)                4.92   
ｆｂ(mm) (in air)       3.49
全長(mm) (in air)      53.44
【１０２４】
数値実施例３９
単位ｍｍ
面データ
面番号       r          d         nd        νd      θgf
1*     15.101      3.29     1.49700    81.61    0.538
2*  -1411.511      0.81
3    -675.554      0.86     1.50220    54.74    0.551
4      13.373      1.32
5*     14.021      5.03     1.49700    81.61    0.538
6     -18.164      0.10
7      14.881      3.21     1.49700    81.61    0.538
8*    -54.750      0.32
9      50.000      3.52     1.61800    63.33    0.544
10     -18.151      1.71     1.72047    34.71    0.583
11   -3000.000      0.50
12(絞り)  ∞        0.37
13      47.485      4.43     1.75500    52.32    0.547
14     -30.000      1.93     1.71775    32.36    0.593
15       6.109      3.62
16*     -7.419      4.50     1.49700    81.61    0.538
17*     -8.241      0.90
18*     12.630      4.46     1.80610    40.40    0.570
19*    -59.865      3.19
20*    -14.507      1.72     1.60614    32.96    0.598
21*     19.347      1.54
22        ∞        0.38     1.51640    65.06    0.535
23        ∞        0.31
像面        ∞
非球面データ
第１面
k=0.000
A4=6.55745e-05  
第２面
k=0.000
A4=1.15283e-04  
第５面
k=-0.990
A4=1.66321e-05  
第８面
k=0.000
A4=1.25514e-04  
第１６面
k=-0.579
A4=-1.39447e-05  
第１７面
k=0.000
A4=6.26727e-05  
第１８面
k=0.000
A4=-5.34476e-05  
第１９面
k=0.000
A4=-7.96647e-05  
第２０面
k=0.000
A4=6.62595e-05  
第２１面
k=0.000
A4=-6.63922e-05,A6=-4.52844e-06  
各種データ
ＮＡ                    0.23   
倍率                   -1.30   
焦点距離               11.64   
像高(mm)                4.92   
ｆｂ(mm) (in air)       2.10
全長(mm) (in air)      47.88
【１０２５】
数値実施例４０
単位ｍｍ
面データ
面番号       r          d         nd        νd      θgf
1*     13.980      5.56     1.49700    81.61    0.538
2*    -20.000      0.90     1.51633    64.06    0.533
3*     13.407      1.32
4*     13.448      4.59     1.49700    81.61    0.538
5     -23.931      0.10
6      20.404      3.02     1.49700    81.61    0.538
7*    -54.118      0.30
8      15.790      4.48     1.61800    63.33    0.544
9     -19.586      0.70     1.72047    34.71    0.583
10      16.357      0.91
11(絞り)  ∞        0.94
12      14.986      4.50     1.75500    52.32    0.547
13     -30.000      1.15     1.62588    35.70    0.589
14       5.558      3.03
15*     -7.759      4.50     1.49700    81.61    0.538
16*     -9.446      0.30
17*     14.699      4.50     1.80610    40.40    0.570
18*    -33.410      2.70
19*    -12.364      2.02     1.53368    55.90    0.563
20*     20.278      1.43
21        ∞        0.38     1.51640    65.06    0.535
22        ∞        0.31
像面        ∞
非球面データ
第１面
k=0.000
A4=7.72147e-06,A6=-1.56655e-07  
第２面
k=0.000
A4=4.95212e-06  
第３面
k=0.000
A4=7.51990e-06  
第４面
k=-0.280
A4=-4.12102e-05  
第７面
k=0.000
A4=9.26104e-05  
第１５面
k=-0.579
A4=-1.80982e-05  
第１６面
k=0.000
A4=6.97386e-05  
第１７面
k=0.000
A4=-8.07041e-05  
第１８面
k=0.000
A4=-1.42087e-04  
第１９面
k=0.000
A4=1.27864e-04  
第２０面
k=0.000
A4=-1.23475e-04,A6=-7.64122e-06  
各種データ
ＮＡ                    0.23   
倍率                   -1.30   
焦点距離               11.19   
像高(mm)                4.92   
ｆｂ(mm) (in air)       1.99
全長(mm) (in air)      47.51
【１０２６】
数値実施例４１
単位ｍｍ
面データ
面番号       r          d         nd        νd      θgf
1      25.769      1.00     1.78800    47.37    0.556
2      18.855      2.85     1.84666    23.78    0.620
3     -40.476      5.37
4*    -12.747      0.60     1.58366    30.23    0.594
5*     11.476      0.10
6*      8.066      3.75     1.49700    81.61    0.538
7*     -8.996      0.10
8      24.048      2.60     1.61800    63.33    0.544
9      -8.000      1.00     1.72047    34.71    0.583
10      26.872      1.85
11(絞り)  ∞        0.30
12       9.076      0.60     1.90366    31.32    0.595
13       5.849      1.82     1.53996    59.46    0.544
14      16.303      1.19
15      10.078      2.13     1.49700    81.61    0.538
16      27.029      0.10
17*     14.378      3.00     1.63491    23.81    0.624
18*    -11.061      0.10
19      30.935      1.06     1.49700    81.61    0.538
20       5.275      2.65
21      -8.961      3.00     1.75299    26.43    0.613
22     -10.149      5.48
23*     -7.320      0.60     1.63491    23.81    0.624
24*     17.259      1.08
25        ∞        0.38     1.51641    65.06    0.535
26        ∞        0.29
像面        ∞
非球面データ
第４面
k=0.000
A4=-1.76429e-04,A6=6.30527e-07  
第５面
k=0.000
A4=-2.32457e-04,A6=-6.86686e-07  
第６面
k=-1.081
A4=-2.89278e-04,A6=1.34631e-06  
第７面
k=-0.300
A4=4.59425e-05,A6=1.49990e-06  
第１７面
k=0.000
A4=-2.67915e-04,A6=-3.04912e-06,A8=-1.25579e-07  
第１８面
k=0.000
A4=3.85802e-04,A6=-8.69760e-06,A8=-2.98874e-08  
第２３面
k=0.000
A4=8.84524e-04,A6=-1.13249e-05,A8=3.91153e-07  
第２４面
k=0.000
A4=-6.21360e-04,A6=1.53368e-05,A8=-3.89452e-07  
各種データ
ＮＡ                    0.23   
倍率                   -1.32   
焦点距離                5.34   
像高(mm)                4.75   
ｆｂ(mm) (in air)       1.63
全長(mm) (in air)      42.87
【１０２７】
数値実施例４２
単位ｍｍ
面データ
面番号       r          d         nd        νd      θgf
1      40.476      1.93     1.84666    23.78    0.620
2     -18.855      1.00     1.78800    47.37    0.556
3     -25.769      5.63
4*    -12.272      1.63     1.58366    30.23    0.594
5*     12.511      0.10
6*      8.053      3.59     1.49700    81.61    0.538
7*     -9.092      0.10
8      36.029      2.41     1.61800    63.33    0.544
9      -8.000      1.85     1.72047    34.71    0.583
10     127.453      0.79
11(絞り)  ∞        0.30
12      11.461      0.60     1.90366    31.32    0.595
13       5.817      1.60     1.53996    59.46    0.544
14      12.210      0.10
15       8.567      1.27     1.48749    70.23    0.530
16      13.023      0.57
17      12.975      1.75     1.49700    81.61    0.538
18      21.711      0.10
19*     13.032      3.00     1.63491    23.81    0.624
20*    -10.432      0.10
21      32.856      1.80     1.49700    81.61    0.538
22       5.469      3.30
23      -8.726      3.00     1.84666    23.78    0.618
24      -9.698      4.14
25*     -7.320      0.60     1.63491    23.81    0.624
26*     17.259      1.08
27        ∞        0.38     1.51641    65.06    0.535
28        ∞        0.30
像面        ∞
非球面データ
第４面
k=0.000
A4=-2.20622e-04,A6=1.84877e-06  
第５面
k=0.000
A4=-2.39829e-04,A6=1.41106e-06  
第６面
k=-1.082
A4=-2.94477e-04,A6=2.15880e-06  
第７面
k=-0.170
A4=9.04640e-05,A6=1.74380e-06  
第１９面
k=0.000
A4=-1.93247e-04,A6=-2.53963e-06,A8=-5.80800e-08  
第２０面
k=0.000
A4=3.92431e-04,A6=-6.94103e-06,A8=2.82007e-08  
第２５面
k=0.000
A4=8.84524e-04,A6=-1.13249e-05,A8=3.91153e-07  
第２６面
k=0.000
A4=-6.21360e-04,A6=1.53368e-05,A8=-3.89452e-07  
各種データ
ＮＡ                    0.23   
倍率                   -1.32   
焦点距離                5.31   
像高(mm)                4.75   
ｆｂ(mm) (in air)       1.63
全長(mm) (in air)      42.87
【１０２８】
数値実施例４３
単位ｍｍ
面データ
面番号       r          d         nd        νd      θgf
1      32.668      3.43     1.84666    23.77    0.620
2*    -16.839      0.79
3*    -14.534      0.70     1.58364    30.30    0.599
4*     13.753      0.35
5*     13.429      3.98     1.49700    81.61    0.538
6     -19.967      0.10
7      15.031      3.74     1.49700    81.61    0.538
8*    -17.691      0.30
9      17.346      2.79     1.61800    63.33    0.544
10     -12.239      0.70     1.72047    34.71    0.583
11       9.694      1.03
12(絞り)  ∞        1.14
13     -19.591      0.70     1.72047    34.71    0.583
14       7.666      2.09     1.61800    63.33    0.544
15      39.824      5.19
16*     13.644      5.65     1.49700    81.61    0.538
17*    -18.626      3.78
18*     18.113      2.84     1.63490    23.88    0.630
19*    -72.883      4.98
20*    -17.228      0.70     1.53368    55.90    0.563
21*     19.172      1.78
22*    -13.391      0.84     1.53368    55.90    0.563
23*     32.664      0.80
24        ∞        0.38     1.51640    65.06    0.535
25        ∞        0.30
像面        ∞
非球面データ
第２面
k=-2.852
第３面
k=0.000
A4=3.99545e-06  
第４面
k=0.000
A4=-1.80111e-04  
第５面
k=0.023
A4=-1.98268e-04  
第８面
k=-2.944
A4=1.69124e-05  
第１６面
k=-0.579
A4=-6.22198e-05  
第１７面
k=0.000
A4=1.32946e-05  
第１８面
k=-1.194
A4=2.27221e-07  
第１９面
k=0.000
A4=5.73551e-06  
第２０面
k=0.000
A4=2.95534e-06  
第２１面
k=0.000
A4=-1.18942e-06  
第２２面
k=0.000
A4=2.62449e-06  
第２３面
k=0.000
A4=-2.59746e-06  
各種データ
ＮＡ                    0.23   
倍率                   -1.33   
焦点距離                7.78   
像高(mm)                4.92   
ｆｂ(mm) (in air)       1.35
全長(mm) (in air)      48.97
【１０２９】
数値実施例４４
単位ｍｍ
面データ
面番号       r          d         nd        νd      θgf
1      36.494      3.32     1.84666    23.77    0.620
2*    -16.015      0.72
3*    -14.579      0.71     1.58364    30.30    0.599
4*     16.856      0.41
5*     16.777      3.81     1.49700    81.61    0.538
6     -15.718      0.10
7      19.072      3.37     1.49700    81.61    0.538
8*    -17.469      0.30
9      17.675      2.70     1.61800    63.33    0.544
10     -12.437      0.70     1.72047    34.71    0.583
11       8.495      1.08
12(絞り)  ∞        0.82
13     -14.896      0.70     1.72047    34.71    0.583
14      10.195      1.80     1.61800    63.33    0.544
15      27.848      1.85
16*     15.325      5.04     1.49700    81.61    0.538
17*    -10.454      9.60
18*     13.414      2.88     1.63490    23.88    0.630
19*    990.845      4.74
20*    -11.800      0.70     1.53368    55.90    0.563
21*     51.656      1.21
22*    -22.343      0.70     1.53368    55.90    0.563
23*     18.755      1.20
24        ∞        0.38     1.51640    65.06    0.535
25        ∞        0.30
像面        ∞
非球面データ
第２面
k=-2.354
第３面
k=0.000
A4=-1.41730e-05  
第４面
k=0.000
A4=-1.08331e-04  
第５面
k=0.711
A4=-2.05079e-04  
第８面
k=-1.019
A4=6.63327e-06  
第１６面
k=-0.579
A4=-1.14177e-04  
第１７面
k=0.000
A4=3.77032e-05  
第１８面
k=0.662
A4=-1.06116e-05  
第１９面
k=0.000
A4=1.38376e-05  
第２０面
k=0.000
A4=3.62602e-06  
第２１面
k=0.000
A4=-2.19557e-06  
第２２面
k=0.000
A4=4.13364e-06  
第２３面
k=0.000
A4=-2.84367e-06  
各種データ
ＮＡ                    0.23   
倍率                   -1.33   
焦点距離                7.87   
像高(mm)                4.92   
ｆｂ(mm) (in air)       1.75
全長(mm) (in air)      49.02
【１０３０】
数値実施例４５
単位ｍｍ
面データ
面番号       r          d         nd        νd      θgf
1      74.956      2.98     1.84666    23.77    0.620
2*    -14.732      0.57
3*    -12.899      0.70     1.58364    30.30    0.599
4*     43.976      0.34
5*     33.291      3.01     1.49700    81.61    0.538
6     -17.492      0.10
7      15.494      3.16     1.49700    81.61    0.538
8*    -22.742      0.30
9      16.979      2.57     1.61800    63.33    0.544
10     -17.660      0.70     1.72047    34.71    0.583
11       7.386      1.26
12(絞り)  ∞        0.85
13     -15.256      0.76     1.72047    34.71    0.583
14      17.797      1.70     1.61800    63.33    0.544
15      48.679      1.26
16*     14.757      3.95     1.49700    81.61    0.538
17*     -9.274     14.60
18*     12.062      2.80     1.63490    23.88    0.630
19*     97.824      2.82
20*    -17.861      0.70     1.53368    55.90    0.563
21*    237.695      1.46
22*    -11.342      0.70     1.53368    55.90    0.563
23*     17.018      1.20
24        ∞        0.38     1.51640    65.06    0.535
25        ∞        0.30
像面        ∞
非球面データ
第２面
k=-2.161
第３面
k=0.000
A4=1.48176e-04  
第４面
k=0.000
A4=2.73952e-05  
第５面
k=10.865
A4=-1.41264e-04  
第８面
k=-1.121
A4=5.97656e-05  
第１６面
k=-0.579
A4=-1.45146e-04  
第１７面
k=0.000
A4=5.53442e-05  
第１８面
k=0.704
A4=-1.23220e-05  
第１９面
k=0.000
A4=4.74431e-06  
第２０面
k=0.000
A4=1.29150e-06  
第２１面
k=0.000
A4=1.11008e-06  
第２２面
k=0.000
A4=2.59060e-06  
第２３面
k=0.000
A4=-1.53883e-06  
各種データ
ＮＡ                    0.23   
倍率                   -1.33   
焦点距離                7.55   
像高(mm)                4.92   
ｆｂ(mm) (in air)       1.75
全長(mm) (in air)      49.05
【１０３１】
数値実施例４６
単位ｍｍ
面データ
面番号       r          d         nd        νd      θgf
1      71.023      2.80     1.84666    23.77    0.620
2*    -14.922      0.95
3*    -12.661      0.70     1.58364    30.30    0.599
4*     52.837      0.32
5*     34.772      2.72     1.49700    81.61    0.538
6     -16.453      0.10
7      17.240      2.71     1.49700    81.61    0.538
8*    -21.457      0.30
9      17.407      2.53     1.61800    63.33    0.544
10     -17.609      0.70     1.72047    34.71    0.583
11       7.015      1.23
12(絞り)  ∞        0.75
13     -16.751      0.77     1.72047    34.71    0.583
14      18.568      1.71     1.61800    63.33    0.544
15      54.564      1.28
16*     16.776      3.75     1.49700    81.61    0.538
17*     -8.639     15.60
18*     12.605      2.73     1.63490    23.88    0.630
19*    175.251      2.76
20*    -17.864      0.70     1.53368    55.90    0.563
21*    246.294      1.46
22*    -11.062      0.70     1.53368    55.90    0.563
23*     16.891      1.20
24        ∞        0.38     1.51640    65.06    0.535
25        ∞        0.30
像面        ∞
非球面データ
第２面
k=-2.471
第３面
k=0.000
A4=1.72263e-04  
第４面
k=0.000
A4=3.64682e-05  
第５面
k=13.812
A4=-1.65670e-04  
第８面
k=-1.177
A4=8.11125e-05  
第１６面
k=-0.579
A4=-1.27084e-04  
第１７面
k=0.000
A4=4.62229e-05  
第１８面
k=0.914
A4=-7.54532e-06  
第１９面
k=0.000
A4=1.97223e-06  
第２０面
k=0.000
A4=4.00526e-07  
第２１面
k=0.000
A4=8.92606e-07  
第２２面
k=0.000
A4=5.45128e-07  
第２３面
k=0.000
A4=-3.69544e-07  
各種データ
ＮＡ                    0.20   
倍率                   -1.33   
焦点距離                7.55   
像高(mm)                4.92   
ｆｂ(mm) (in air)       1.75
全長(mm) (in air)      49.05
【１０３２】
数値実施例４７
単位ｍｍ
面データ
面番号       r          d         nd        νd      θgf
1      53.186      3.31     1.84666    23.77    0.620
2*    -15.475      0.51
3*    -15.703      0.70     1.58364    30.30    0.599
4*     13.712      0.34
5*     13.464      4.14     1.49700    81.61    0.538
6     -19.181      0.10
7      17.400      3.90     1.49700    81.61    0.538
8*    -17.175      0.30
9      17.131      2.69     1.61800    63.33    0.544
10     -20.225      0.70     1.72047    34.71    0.583
11       9.630      1.97
12(絞り)  ∞        2.03
13     -26.870      0.70     1.72047    34.71    0.583
14       7.211      2.12     1.61800    63.33    0.544
15      28.975      4.80
16*     14.848      5.21     1.49700    81.61    0.538
17*    -15.080      3.09
18*     17.473      2.77     1.63490    23.88    0.630
19*   -177.281      4.94
20*    -18.091      0.70     1.53368    55.90    0.563
21*     24.560      1.58
22*    -15.011      0.70     1.53368    55.90    0.563
23*     19.931      1.20
24        ∞        0.38     1.51640    65.06    0.535
25        ∞        0.30
像面        ∞
非球面データ
第２面
k=-2.086
第３面
k=0.000
A4=-2.15591e-05  
第４面
k=0.000
A4=-1.47223e-04  
第５面
k=-0.289
A4=-1.86447e-04  
第８面
k=-1.390
A4=1.40344e-06  
第１６面
k=-0.579
A4=-6.47710e-05  
第１７面
k=0.000
A4=1.29548e-05  
第１８面
k=-0.598
A4=-1.56300e-06  
第１９面
k=0.000
A4=-1.87807e-06  
第２０面
k=0.000
A4=2.90468e-06  
第２１面
k=0.000
A4=-2.72835e-06  
第２２面
k=0.000
A4=2.59014e-06  
第２３面
k=0.000
A4=-3.73844e-06  
各種データ
ＮＡ                    0.23   
倍率                   -1.33   
焦点距離                8.00   
像高(mm)                4.92   
ｆｂ(mm) (in air)       1.75
全長(mm) (in air)      49.07
【１０３３】
数値実施例４８
単位ｍｍ
面データ
面番号       r          d         nd        νd      θgf
1  -39350.564      2.80     1.84666    23.77    0.620
2*    -15.096      0.36
3*    -15.047      0.70     1.58364    30.30    0.599
4*     15.659      0.30
5*     14.778      3.69     1.49700    81.61    0.538
6     -22.190      0.10
7      19.531      4.09     1.49700    81.61    0.538
8*    -14.652      0.30
9      17.123      2.28     1.61800    63.33    0.544
10     199.434      0.70     1.72047    34.71    0.583
11      10.381      4.19
12(絞り)  ∞        4.31
13     -76.959      0.70     1.72047    34.71    0.583
14       8.399      2.01     1.61800    63.33    0.544
15      22.390      3.54
16*     14.258      3.78     1.49700    81.61    0.538
17*    -14.525      2.72
18*     14.720      2.59     1.63490    23.88    0.630
19*     53.371      4.84
20*    -13.285      0.70     1.53368    55.90    0.563
21*     25.319      1.55
22*    -14.684      0.89     1.53368    55.90    0.563
23*     31.963      1.20
24        ∞        0.38     1.51640    65.06    0.535
25        ∞        0.30
像面        ∞
非球面データ
第２面
k=-0.684
第３面
k=0.000
A4=-8.51383e-05  
第４面
k=0.000
A4=-1.17461e-04  
第５面
k=-0.882
A4=-1.49470e-04  
第８面
k=-0.931
A4=1.39588e-05  
第１６面
k=-0.579
A4=-3.93181e-05  
第１７面
k=0.000
A4=3.73980e-05  
第１８面
k=0.481
A4=9.25556e-07  
第１９面
k=0.000
A4=-2.64171e-06  
第２０面
k=0.000
A4=4.07916e-06  
第２１面
k=0.000
A4=-5.47250e-06  
第２２面
k=0.000
A4=4.16590e-06  
第２３面
k=0.000
A4=-6.37036e-06  
各種データ
ＮＡ                    0.20   
倍率                   -1.33   
焦点距離                7.74   
像高(mm)                4.92   
ｆｂ(mm) (in air)       1.75
全長(mm) (in air)      48.87
【１０３４】
数値実施例４９
単位ｍｍ
面データ
面番号       r          d         nd        νd      θgf
1    -759.356      2.69     1.84666    23.77    0.620
2*    -16.189      0.67
3*    -15.594      0.70     1.58364    30.30    0.599
4*     13.189      0.30
5*     12.715      3.60     1.49700    81.61    0.538
6     -30.208      0.10
7      18.195      4.42     1.49700    81.61    0.538
8*    -14.458      0.30
9      23.874      1.96     1.61800    63.33    0.544
10      58.560      0.70     1.72047    34.71    0.583
11      13.172      5.42
12(絞り)  ∞        5.58
13     224.670      0.70     1.72047    34.71    0.583
14       9.058      2.04     1.61800    63.33    0.544
15      19.643      0.90
16*      9.888      3.32     1.49700    81.61    0.538
17*    -27.891      2.58
18*      9.778      2.40     1.63490    23.88    0.630
19*     18.665      4.60
20*     -8.157      0.70     1.53368    55.90    0.563
21*   2626.112      1.31
22*     -9.615      2.09     1.53368    55.90    0.563
23*   -515.428      1.20
24        ∞        0.38     1.51640    65.06    0.535
25        ∞        0.30
像面        ∞
非球面データ
第２面
k=-0.608
第３面
k=0.000
A4=-9.35581e-05  
第４面
k=0.000
A4=-1.70494e-04  
第５面
k=-1.128
A4=-1.69703e-04  
第８面
k=-1.027
A4=9.58875e-06  
第１６面
k=-0.579
A4=8.05044e-05  
第１７面
k=0.000
A4=9.03489e-05  
第１８面
k=-0.016
A4=3.31417e-06  
第１９面
k=0.000
A4=-2.16071e-06  
第２０面
k=0.000
A4=2.33119e-06  
第２１面
k=0.000
A4=-5.11799e-06  
第２２面
k=0.000
A4=2.87005e-06  
第２３面
k=0.000
A4=-7.50459e-06  
各種データ
ＮＡ                    0.20   
倍率                   -1.33   
焦点距離                7.45   
像高(mm)                4.92   
ｆｂ(mm) (in air)       1.76
全長(mm) (in air)      48.85
【１０３５】
数値実施例５０
単位ｍｍ
面データ
面番号       r          d         nd        νd      θgf
1*     52.649      2.73     1.84666    23.77    0.620
2*    -38.622      2.79
3     -19.976      2.81     1.65412    39.68    0.574
4      30.338      0.20
5*     20.044      4.31     1.49700    81.61    0.538
6     -18.337      0.10
7      10.677      4.30     1.49700    81.61    0.538
8*    161.939      0.12
9      24.169      3.23     1.61800    63.33    0.544
10     -32.541      0.71     1.72047    34.71    0.583
11      12.119      0.91
12(絞り)  ∞        0.15
13      49.063      0.77     1.90366    31.32    0.595
14       7.771      1.92     1.61800    63.33    0.544
15      10.588      0.20
16*      6.409      4.13     1.49700    81.61    0.538
17*    -23.504      1.62
18*   -223.234      0.71     1.49700    81.61    0.538
19*      6.065      7.57
20*     20.127      3.49     1.58364    30.30    0.599
21*     -9.164      2.84
22*    -13.178      0.79     1.53368    55.90    0.563
23*     11.671      9.70
24        ∞        0.38     1.51640    65.06    0.535
25        ∞        0.30
像面        ∞
非球面データ
第１面
k=0.000
A4=5.94361e-05  
第２面
k=0.000
A4=5.27712e-05  
第５面
k=-0.816
A4=-7.30838e-06  
第８面
k=0.000
A4=1.01191e-04  
第１６面
k=-0.579
A4=-6.69835e-05  
第１７面
k=0.000
A4=-5.31017e-05  
第１８面
k=0.000
A4=-5.11715e-04  
第１９面
k=0.000
A4=-4.64797e-04  
第２０面
k=0.000
A4=-2.92520e-04  
第２１面
k=0.000
A4=1.24424e-04  
第２２面
k=0.000
A4=9.16605e-05  
第２３面
k=0.000
A4=-5.17129e-04,A6=-2.60414e-06  
各種データ
ＮＡ                    0.17   
倍率                   -1.40   
焦点距離               14.81   
像高(mm)                4.92   
ｆｂ(mm) (in air)      10.25
全長(mm) (in air)      56.63
【１０３６】
数値実施例５１
単位ｍｍ
面データ
面番号       r          d         nd        νd      θgf
1*     48.290      4.00     1.84666    23.77    0.620
2*    -46.881      2.58
3     -22.804      1.76     1.65412    39.68    0.574
4      27.062      0.14
5*     18.619      5.28     1.49700    81.61    0.538
6     -19.533      0.10
7      10.604      4.45     1.49700    81.61    0.538
8*    131.823      0.10
9      23.442      3.28     1.61800    63.33    0.544
10     -31.030      0.70     1.72047    34.71    0.583
11      11.383      1.20
12(絞り)  ∞       -0.09
13      36.337      0.70     1.90366    31.32    0.595
14       7.635      2.06     1.61800    63.33    0.544
15      10.913      0.10
16*      6.511      4.50     1.49700    81.61    0.538
17*    -24.120      1.67
18*    -46.412      0.73     1.49700    81.61    0.538
19*      6.211      4.33
20*     16.578      3.80     1.58364    30.30    0.599
21*     -8.549      2.73
22*     -9.091      0.70     1.53368    55.90    0.563
23*     18.805     10.20
24        ∞        0.38     1.51640    65.06    0.535
25        ∞        0.30
像面        ∞
非球面データ
第１面
k=0.000
A4=5.83731e-05  
第２面
k=0.000
A4=5.27684e-05  
第５面
k=-0.912
A4=-8.58617e-06  
第８面
k=0.000
A4=1.02848e-04  
第１６面
k=-0.579
A4=-3.17468e-05  
第１７面
k=0.000
A4=-1.40882e-04  
第１８面
k=0.000
A4=-7.46576e-04  
第１９面
k=0.000
A4=-6.42486e-04  
第２０面
k=0.000
A4=-2.69039e-04  
第２１面
k=0.000
A4=1.54596e-04  
第２２面
k=0.000
A4=1.25420e-04  
第２３面
k=0.000
A4=-5.64464e-04,A6=-5.63513e-07  
各種データ
ＮＡ                    0.20   
倍率                   -1.33   
焦点距離               14.41   
像高(mm)                4.92   
ｆｂ(mm) (in air)      10.75
全長(mm) (in air)      55.55
【１０３７】
数値実施例５２
単位ｍｍ
面データ
面番号       r          d         nd        νd      θgf
1*     51.478      3.20     1.84666    23.77    0.620
2*    -38.560      2.65
3     -19.565      3.38     1.65412    39.68    0.574
4      30.186      0.21
5*     19.873      4.50     1.49700    81.61    0.538
6     -18.633      0.10
7      10.628      4.21     1.49700    81.61    0.538
8*    212.692      0.10
9      24.897      3.19     1.61800    63.33    0.544
10     -30.693      0.70     1.72047    34.71    0.583
11      12.401      0.90
12(絞り)  ∞        0.10
13      55.667      0.70     1.90366    31.32    0.595
14       7.805      1.84     1.61800    63.33    0.544
15      10.579      0.30
16*      6.428      4.02     1.49700    81.61    0.538
17*    -23.103      1.57
18*   -110.480      0.70     1.49700    81.61    0.538
19*      6.147      6.35
20*     17.957      3.44     1.58364    30.30    0.599
21*     -9.569      2.94
22*    -11.357      0.70     1.53368    55.90    0.563
23*     14.587     11.70
24        ∞        0.38     1.51640    65.06    0.535
25        ∞        0.30
像面        ∞
非球面データ
第１面
k=0.000
A4=6.61716e-05  
第２面
k=0.000
A4=5.97222e-05  
第５面
k=-0.834
A4=-2.83924e-06  
第８面
k=0.000
A4=1.05701e-04  
第１６面
k=-0.579
A4=-6.90189e-05  
第１７面
k=0.000
A4=-5.47808e-05  
第１８面
k=0.000
A4=-4.86035e-04  
第１９面
k=0.000
A4=-5.42665e-04  
第２０面
k=0.000
A4=-3.04526e-04  
第２１面
k=0.000
A4=2.66622e-05  
第２２面
k=0.000
A4=-2.09838e-04  
第２３面
k=0.000
A4=-6.85269e-04,A6=-2.12762e-06  
各種データ
ＮＡ                    0.17   
倍率                   -1.40   
焦点距離               15.30   
像高(mm)                4.92   
ｆｂ(mm) (in air)      12.25
全長(mm) (in air)      58.05
【１０３８】
数値実施例５３
単位ｍｍ
面データ
面番号       r          d         nd        νd      θgf
1*     70.275      2.70     1.84666    23.77    0.620
2*    -30.659      2.30
3     -17.537      2.26     1.65412    39.68    0.574
4      35.866      0.35
5*     27.673      3.95     1.49700    81.61    0.538
6     -17.104      0.10
7       9.747      3.94     1.49700    81.61    0.538
8*    162.593      0.10
9      24.099      3.09     1.61800    63.33    0.544
10     -26.964      0.70     1.72047    34.71    0.583
11      12.683      0.88
12(絞り)  ∞        0.07
13      64.816      0.70     1.90366    31.32    0.595
14       7.829      1.84     1.61800    63.33    0.544
15      10.768      0.10
16*      6.611      3.23     1.49700    81.61    0.538
17*    -21.476      1.33
18*   -267.827      0.70     1.49700    81.61    0.538
19*      6.489      6.45
20*     23.224      3.31     1.58364    30.30    0.599
21*     -9.742      3.29
22*     -7.668      0.70     1.53368    55.90    0.563
23*    185.012     13.20
24        ∞        0.38     1.51640    65.06    0.535
25        ∞        0.30
像面        ∞
非球面データ
第１面
k=0.000
A4=9.37043e-05  
第２面
k=0.000
A4=8.05222e-05  
第５面
k=0.415
A4=9.29789e-06  
第８面
k=0.000
A4=1.46231e-04  
第１６面
k=-0.579
A4=-1.60507e-04  
第１７面
k=0.000
A4=1.24501e-04  
第１８面
k=0.000
A4=-1.08756e-04  
第１９面
k=0.000
A4=-6.99654e-04  
第２０面
k=0.000
A4=-3.08028e-04  
第２１面
k=0.000
A4=-1.14935e-04  
第２２面
k=0.000
A4=-6.53850e-04  
第２３面
k=0.000
A4=-9.34773e-04,A6=6.44915e-07  
各種データ
ＮＡ                    0.17   
倍率                   -1.40   
焦点距離               15.97   
像高(mm)                4.92   
ｆｂ(mm) (in air)      13.75
全長(mm) (in air)      55.83
【１０３９】
数値実施例５４
単位ｍｍ
面データ
面番号       r          d         nd        νd      θgf
1*     51.478      3.20     1.84666    23.77    0.620
2*    -38.560      2.65
3     -19.565      3.38     1.65412    39.68    0.574
4      30.186      0.21
5*     19.873      4.50     1.49700    81.61    0.538
6     -18.633      0.10
7      10.628      4.21     1.49700    81.61    0.538
8*    212.692      0.10
9      24.897      3.19     1.61800    63.33    0.544
10     -30.693      0.70     1.72047    34.71    0.583
11      12.401      0.90
12(絞り)  ∞        0.10
13      55.667      0.70     1.90366    31.32    0.595
14       7.805      1.84     1.61800    63.33    0.544
15      10.579      0.30
16*      6.428      4.02     1.49700    81.61    0.538
17*    -23.103      1.57
18*   -110.480      0.70     1.49700    81.61    0.538
19*      6.147      6.35
20*     17.957      3.44     1.58364    30.30    0.599
21*     -9.569      2.94
22*    -11.357      0.70     1.53368    55.90    0.563
23*     14.587     11.70
24        ∞        0.38     1.51640    65.06    0.535
25        ∞        0.30
像面        ∞
非球面データ
第１面
k=0.000
A4=6.61716e-05  
第２面
k=0.000
A4=5.97222e-05  
第５面
k=-0.834
A4=-2.83924e-06  
第８面
k=0.000
A4=1.05701e-04  
第１６面
k=-0.579
A4=-6.90189e-05  
第１７面
k=0.000
A4=-5.47808e-05  
第１８面
k=0.000
A4=-4.86035e-04  
第１９面
k=0.000
A4=-5.42665e-04  
第２０面
k=0.000
A4=-3.04526e-04  
第２１面
k=0.000
A4=2.66622e-05  
第２２面
k=0.000
A4=-2.09838e-04  
第２３面
k=0.000
A4=-6.85269e-04,A6=-2.12762e-06  
各種データ
ＮＡ                    0.17   
倍率                   -1.40   
焦点距離               15.30   
像高(mm)                4.92   
ｆｂ(mm) (in air)      12.25
全長(mm) (in air)      58.05
【１０４０】
数値実施例５５
単位ｍｍ
面データ
面番号       r          d         nd        νd      θgf
1*     25.913      2.07     1.84666    23.77    0.620
2*     31.151      0.30
3*     17.097      6.09     1.49700    81.61    0.538
4    -111.014      0.10
5      16.382      3.66     1.49700    81.61    0.538
6*     76.965      0.10
7      12.471      5.23     1.61800    63.33    0.544
8     -19.985      0.70     1.72047    34.71    0.583
9      10.437      1.53
10(絞り)  ∞       -0.40
11      15.326      0.70     1.90366    31.32    0.595
12       5.760      2.24     1.61800    63.33    0.544
13       7.466      0.10
14*      5.529      3.20     1.49700    81.61    0.538
15    -250.000      0.93
16*    -31.020      1.06     1.49700    81.61    0.538
17*      6.332      2.81
18*     13.296      4.02     1.58364    30.30    0.599
19*     -8.640      0.80
20*     -7.506      4.48     1.53368    55.90    0.563
21*     -8.795      0.39
22     -11.302      2.00     1.53368    55.90    0.563
23*     23.373      2.15
24        ∞        0.38     1.51640    65.06    0.535
25        ∞        0.31
像面        ∞
非球面データ
第１面
k=0.000
A4=9.25518e-06  
第２面
k=0.000
A4=8.47403e-06  
第３面
k=-0.200
A4=2.89370e-06  
第６面
k=0.000
A4=6.07603e-05  
第１４面
k=-0.579
A4=2.14569e-05,A6=8.56596e-07  
第１６面
k=0.000
A4=-1.21434e-05  
第１７面
k=0.000
A4=1.82906e-06  
第１８面
k=0.000
A4=-5.24617e-05  
第１９面
k=0.000
A4=-1.13335e-06  
第２０面
k=0.000
A4=1.01208e-05  
第２１面
k=0.000
A4=-2.49639e-05  
第２３面
k=0.000
A4=-2.94354e-05,A6=-6.86427e-06  
各種データ
ＮＡ                    0.23   
倍率                   -1.10   
焦点距離               12.36   
像高(mm)                4.92   
ｆｂ(mm) (in air)       2.72
全長(mm) (in air)      44.83
【１０４１】
数値実施例５６
単位ｍｍ
面データ
面番号       r          d         nd        νd      θgf
1      22.916      1.51     1.60999    27.48    0.620
2      44.302      0.00  1001.00000    -3.45    0.296
3      44.303      0.20     1.63762    34.21    0.594
4      44.214      0.75
5*     11.892      4.50     1.49700    81.61    0.538
6     -75.023      0.10
7      16.979      2.78     1.49700    81.61    0.538
8*     35.199      0.71
9      19.063      2.75     1.61800    63.33    0.544
10     -18.581      0.77     1.72047    34.71    0.583
11      33.626      1.26
12(絞り)  ∞        0.30
13      29.197      0.83     1.90366    31.32    0.595
14       5.383      1.47     1.61800    63.33    0.544
15       9.288      0.91
16*      6.872      3.01     1.49700    81.61    0.538
17*     12.602      1.91
18*     -9.053      3.06     1.49700    81.61    0.538
19*    -10.553      0.91
20*     12.072      3.90     1.58364    30.30    0.599
21*    -24.825      1.94
22*    -19.526      1.01     1.49700    81.61    0.538
23*     11.127      7.48
24*    -59.537      1.12     1.53368    55.90    0.563
25*     19.034      1.10
26        ∞        0.38     1.51640    65.06    0.535
27        ∞        0.41
像面        ∞
非球面データ
第５面
k=-0.513
A4=-1.39397e-05  
第８面
k=0.000
A4=7.69283e-05  
第１６面
k=-0.579
A4=-1.27245e-04  
第１７面
k=0.000
A4=-2.00147e-04  
第１８面
k=0.000
A4=-1.96482e-04  
第１９面
k=0.000
A4=-5.46173e-07  
第２０面
k=0.000
A4=-4.97701e-05  
第２１面
k=0.000
A4=5.00869e-05  
第２２面
k=0.000
A4=-1.31586e-04  
第２３面
k=0.000
A4=-1.81687e-04  
第２４面
k=0.000
A4=-3.30547e-04  
第２５面
k=0.000
A4=-3.69284e-04,A6=-2.84789e-06  
各種データ
ＮＡ                    0.20   
倍率                   -1.56   
焦点距離                7.72   
像高(mm)                4.92   
ｆｂ(mm) (in air)       1.76
全長(mm) (in air)      44.95
【１０４２】
数値実施例５７
単位ｍｍ
面データ
面番号       r          d         nd        νd      θgf
1*     14.849      2.81     1.84666    23.77    0.620
2*     24.251      1.16
3*     11.029      2.65     1.49700    81.61    0.538
4    -159.692      0.10
5      24.766      1.11     1.60999    27.48    0.620
6      25.004      0.00  1001.00000    -3.45    0.296
7      25.005      0.20     1.63762    34.21    0.594
8      24.343      0.11
9      16.634      2.86     1.61800    63.33    0.544
10     -14.550      0.72     1.72047    34.71    0.583
11      28.345      0.47
12(絞り)  ∞       -0.05
13      28.631      0.72     1.90366    31.32    0.595
14       6.286      1.64     1.61800    63.33    0.544
15      14.078      5.35
16*      7.582      3.02     1.49700    81.61    0.538
17*     14.928      8.00
18*     15.671      3.78     1.58364    30.30    0.599
19*    -20.144      1.79
20*    -10.482      0.70     1.49700    81.61    0.538
21*      8.846      3.50
22*     13.317      2.28     1.53368    55.90    0.563
23*      9.855      2.70
24        ∞        0.38     1.51640    65.06    0.535
25        ∞        0.30
像面        ∞
非球面データ
第１面
k=0.000
A4=1.89575e-05  
第２面
k=0.000
A4=2.05342e-05  
第３面
k=-1.001
A4=-2.79051e-05  
第１６面
k=-0.579
A4=-9.97074e-05  
第１７面
k=0.000
A4=4.56155e-05  
第１８面
k=0.000
A4=-1.55616e-04  
第１９面
k=0.000
A4=-9.53455e-05  
第２０面
k=0.000
A4=6.03104e-05  
第２１面
k=0.000
A4=5.76196e-05  
第２２面
k=0.000
A4=5.52326e-05  
第２３面
k=0.000
A4=-1.67453e-04,A6=-3.57134e-06  
各種データ
ＮＡ                    0.20   
倍率                   -1.60   
焦点距離                8.33   
像高(mm)                4.92   
ｆｂ(mm) (in air)       3.25
全長(mm) (in air)      46.16
【１０４３】
数値実施例５８
単位ｍｍ
面データ
面番号       r          d         nd        νd      θgf
1*     23.262      3.28     1.84666    23.77    0.620
2*    191.812      1.33
3      53.883      0.50     1.62588    35.70    0.589
4      14.902      0.14
5*     13.978      5.96     1.49700    81.61    0.538
6     -29.978      0.10
7      15.765      3.37     1.49700    81.61    0.538
8*    510.224      0.10
9      32.798      3.12     1.61800    63.33    0.544
10     -19.809      0.50     1.72047    34.71    0.583
11      12.325      1.78
12(絞り)  ∞        0.78
13    -140.812      0.50     1.90366    31.32    0.595
14       9.869      2.61     1.61800    63.33    0.544
15     113.862      2.42
16*     11.277      3.74     1.49700    81.61    0.538
17*    -59.524      8.10
18*  -3485.657      0.70     1.49700    81.61    0.538
19*      9.598      0.46
20       9.139      5.57     1.60999    27.48    0.620
21     -16.931      0.00  1001.00000    -3.45    0.296
22     -16.932      0.20     1.63762    34.21    0.594
23     -49.525      3.11
24*     -7.878      1.91     1.53368    55.90    0.563
25*     24.022      3.30
26        ∞        0.38     1.51640    65.06    0.535
27        ∞        0.31
像面        ∞
非球面データ
第１面
k=0.000
A4=1.21996e-05  
第２面
k=0.000
A4=2.73727e-05  
第５面
k=-0.165
A4=-1.19710e-05  
第８面
k=0.000
A4=3.40041e-05  
第１６面
k=-0.579
A4=-1.81901e-05,A6=2.18274e-07  
第１７面
k=0.000
A4=-9.14712e-05,A6=5.79438e-07  
第１８面
k=0.000
A4=-2.04464e-04  
第１９面
k=0.000
A4=3.63528e-05  
第２４面
k=0.000
A4=-3.43309e-05  
第２５面
k=0.000
A4=-4.64396e-04  
各種データ
ＮＡ                    0.23   
倍率                   -1.33   
焦点距離                9.33   
像高(mm)                4.92   
ｆｂ(mm) (in air)       3.86
全長(mm) (in air)      54.14
【１０４４】
数値実施例５９
単位ｍｍ
面データ
面番号       r          d         nd        νd      θgf
1*     22.101      3.18     1.84666    23.77    0.620
2*    124.650      0.30
3     114.152      0.70     1.62588    35.70    0.589
4      16.412      0.30
5*     13.305      5.99     1.49700    81.61    0.538
6     -31.233      0.30
7      17.773      3.61     1.49700    81.61    0.538
8*    -77.787      0.30
9      40.293      3.15     1.61800    63.33    0.544
10     -16.251      0.70     1.72047    34.71    0.583
11      16.421      1.03
12(絞り)  ∞        0.57
13     -40.907      0.70     1.90366    31.32    0.595
14       9.293      3.10     1.61800    63.33    0.544
15     -40.883      1.32
16*     12.708      2.72     1.60999    27.48    0.620
17      27.809      0.00  1001.00000    -3.45    0.296
18      27.809      0.20     1.63762    34.21    0.594
19*     27.322      6.28
20*     28.448      1.49     1.49700    81.61    0.538
21*     12.258      7.34
22*     10.768      3.89     1.58364    30.30    0.599
23*    -26.410      3.22
24*     -9.722      0.95     1.53368    55.90    0.563
25*     10.802      3.19
26        ∞        0.38     1.51640    65.06    0.535
27        ∞        0.30
像面        ∞
非球面データ
第１面
k=0.000
A4=1.81664e-05  
第２面
k=0.000
A4=3.17867e-05  
第５面
k=-0.472
A4=-1.54652e-05  
第８面
k=0.000
A4=2.70940e-05  
第１６面
k=-0.579
A4=5.37723e-05,A6=1.28843e-06  
第１９面
k=0.000
A4=7.64130e-05,A6=1.59199e-06  
第２０面
k=0.000
A4=2.38574e-05  
第２１面
k=0.000
A4=-5.41581e-05  
第２２面
k=0.000
A4=-9.20996e-05  
第２３面
k=0.000
A4=1.48765e-05  
第２４面
k=0.000
A4=2.30798e-04  
第２５面
k=0.000
A4=-1.65854e-04  
各種データ
ＮＡ                    0.23   
倍率                   -1.33   
焦点距離               10.42   
像高(mm)                4.92   
ｆｂ(mm) (in air)       3.74
全長(mm) (in air)      55.07
【１０４５】
数値実施例６０
単位ｍｍ
面データ
面番号       r          d         nd        νd      θgf
1*     30.853      3.59     1.84666    23.77    0.620
2*   -228.348      0.30
3      34.422      0.70     1.62588    35.70    0.589
4      14.782      0.30
5*     12.104      6.41     1.49700    81.61    0.538
6     -35.889      0.30
7     -49.464      0.20     1.63762    34.21    0.594
8     -49.078      0.00  1001.00000    -3.45    0.296
9     -49.077      0.70     1.60999    27.48    0.620
10     -60.906      0.30
11      16.056      4.14     1.61800    63.33    0.544
12     -51.065      0.70     1.72047    34.71    0.583
13      11.329      1.50
14(絞り)  ∞       -0.25
15      29.773      0.70     1.90366    31.32    0.595
16       8.337      3.21     1.61800    63.33    0.544
17      36.482      1.31
18*     10.000      3.43     1.49700    81.61    0.538
19*    108.943      5.30
20*   -760.614      0.70     1.49700    81.61    0.538
21*     12.153      8.57
22*     10.932      4.26     1.58364    30.30    0.599
23*    -46.469      4.54
24*    -10.332      0.75     1.53368    55.90    0.563
25*     15.919      2.85
26        ∞        0.38     1.51640    65.06    0.535
27        ∞        0.30
像面        ∞
非球面データ
第１面
k=0.000
A4=9.77276e-06  
第２面
k=0.000
A4=1.67764e-05  
第５面
k=-0.659
A4=1.08105e-05  
第１８面
k=-0.579
A4=5.63637e-06,A6=5.19107e-07  
第１９面
k=0.000
A4=2.26706e-06,A6=6.14099e-07  
第２０面
k=0.000
A4=-3.93066e-06  
第２１面
k=0.000
A4=1.90962e-06  
第２２面
k=0.000
A4=-3.81502e-05  
第２３面
k=0.000
A4=2.47354e-06  
第２４面
k=0.000
A4=7.91457e-06,A6=1.44833e-06  
第２５面
k=0.000
A4=-1.11135e-05,A6=-2.19459e-06  
各種データ
ＮＡ                    0.23   
倍率                   -1.33   
焦点距離               10.62   
像高(mm)                4.92   
ｆｂ(mm) (in air)       3.41
全長(mm) (in air)      55.07
【１０４６】
数値実施例６１
単位ｍｍ
面データ
面番号       r          d         nd        νd      θgf
1*     -8.586      6.54     1.53368    55.90    0.563
2*    -38.013      0.08
3*     23.658      5.62     1.63490    23.88    0.630
4*    -13.749      0.05
5*    483.930      0.50     1.58364    30.30    0.599
6*     31.754      0.05
7*     10.006      6.19     1.49700    81.61    0.538
8*    -22.587      0.05
9      36.901      4.56     1.61800    63.33    0.544
10      -9.647      0.50     1.72047    34.71    0.583
11      15.812      1.63
12(絞り)  ∞        0.83
13     -23.387      0.50     1.72047    34.71    0.583
14      18.752      3.04     1.61800    63.33    0.544
15     -24.584      0.12
16*     13.844      5.92     1.49700    81.61    0.538
17*    -20.251      9.46
18*    -10.122      5.91     1.58364    30.30    0.599
19*    -13.868      2.45
20*     -9.722      7.60     1.58364    30.30    0.599
21*     -7.658      3.02
22*    -16.164      3.70     1.63490    23.88    0.630
23*    -27.524      0.05
24*      7.572      5.94     1.53368    55.90    0.563
25*      3.912      6.00
26        ∞        0.30     1.51640    65.06    0.535
27        ∞        6.28
像面        ∞
非球面データ
第１面
k=0.580
A4=-9.12075e-04,A6=5.36263e-05,A8=-3.61636e-06  
第２面
k=0.348
A4=-6.71325e-04,A6=4.96564e-06,A8=-1.02244e-07  
第３面
k=-0.448
A4=2.69179e-05,A6=2.59561e-07,A8=1.81093e-09  
第４面
k=-2.729
A4=2.62358e-05,A6=1.66698e-06,A8=-5.24204e-09  
第５面
k=-2409.520
A4=-5.88015e-06,A6=-5.65544e-08  
第６面
k=0.023
A4=8.78714e-06,A6=4.93409e-09  
第７面
k=-2.423
A4=-3.77237e-05,A6=-3.90286e-07,A8=6.14283e-09  
第８面
k=1.443
A4=-3.05033e-05,A6=1.08600e-07,A8=1.41866e-09  
第１６面
k=-1.658
A4=-1.51099e-05,A6=1.28932e-07,A8=-7.26513e-10  
第１７面
k=0.184
A4=-2.43950e-05,A6=-7.20933e-08,A8=4.75546e-10  
第１８面
k=0.132
A4=6.92244e-06,A6=6.19572e-07,A8=8.38466e-09  
第１９面
k=-2.887
A4=8.20744e-06,A6=-4.23855e-07,A8=2.80030e-09  
第２０面
k=-0.631
A4=-4.16331e-06,A6=-1.26465e-07,A8=-9.14719e-09  
第２１面
k=-1.191
A4=5.22955e-05,A6=-4.06789e-07,A8=-1.05876e-09  
第２２面
k=-31.151
A4=7.85252e-05,A6=-4.81367e-07,A8=-3.45006e-09,A10=2.89579e-12  
第２３面
k=-0.713
A4=-4.71492e-05,A6=-4.75038e-08,A8=-1.74975e-10,A10=-7.97360e-12  
第２４面
k=-4.264
A4=-3.18002e-04,A6=1.39934e-06,A8=7.25578e-09,A10=-5.39754e-11  
第２５面
k=-1.881
A4=-3.56331e-04,A6=5.70132e-06,A8=-5.32334e-08,A10=2.10863e-10  
各種データ
ＮＡ                    0.60   
倍率                   -3.57   
焦点距離                8.96  
像高(mm)                7.93   
ｆｂ(mm) (in air)      12.47
全長(mm) (in air)      86.77
【１０４７】
数値実施例６２
単位ｍｍ
面データ
面番号       r          d         nd        νd      θgf
1*     -8.518      6.48     1.53368    55.90    0.563
2*    -38.017      0.07
3*     23.626      5.62     1.63490    23.88    0.630
4*    -13.766      0.05
5*    474.790      0.49     1.58364    30.30    0.599
6*     31.840      0.05
7*      9.994      6.43     1.49700    81.61    0.538
8*    -22.550      0.06
9      37.796      4.55     1.61800    63.33    0.544
10      -9.723      0.50     1.72047    34.71    0.583
11      15.791      1.51
12(絞り)  ∞        0.83
13     -23.405      0.50     1.72047    34.71    0.583
14      18.836      3.04     1.61800    63.33    0.544
15     -24.432      0.05
16*     13.826      5.68     1.49700    81.61    0.538
17*    -20.280      9.47
18*    -10.093      5.91     1.58364    30.30    0.599
19*    -13.913      3.08
20*     -9.681      7.68     1.58364    30.30    0.599
21*     -7.639      3.02
22*    -16.165      3.77     1.63490    23.88    0.630
23*    -27.283      0.05
24*      7.584      5.93     1.53368    55.90    0.563
25*      3.906      6.00
26        ∞        0.30     1.51640    65.06    0.535
27        ∞        5.82
像面        ∞
非球面データ
第１面
k=0.475
A4=-8.84441e-04,A6=6.04064e-05,A8=-5.76698e-06  
第２面
k=-0.958
A4=-6.68132e-04,A6=5.04103e-06,A8=-1.03257e-07  
第３面
k=-0.479
A4=2.66301e-05,A6=2.47046e-07,A8=1.70474e-09  
第４面
k=-2.726
A4=2.62640e-05,A6=1.67016e-06,A8=-5.41971e-09  
第５面
k=-2345.875
A4=-5.83422e-06,A6=-4.85118e-08  
第６面
k=-0.006
A4=8.68836e-06,A6=-4.70192e-09  
第７面
k=-2.425
A4=-3.77595e-05,A6=-3.84874e-07,A8=5.86446e-09  
第８面
k=1.450
A4=-3.05845e-05,A6=1.01828e-07,A8=1.52990e-09  
第１６面
k=-1.658
A4=-1.51124e-05,A6=1.26975e-07,A8=-7.28488e-10  
第１７面
k=0.179
A4=-2.42938e-05,A6=-6.94876e-08,A8=3.98116e-10  
第１８面
k=0.132
A4=7.07169e-06,A6=6.32887e-07,A8=9.67925e-09  
第１９面
k=-2.890
A4=8.40985e-06,A6=-4.16581e-07,A8=2.92048e-09  
第２０面
k=-0.632
A4=-3.89651e-06,A6=-1.34905e-07,A8=-9.44213e-09  
第２１面
k=-1.191
A4=5.24213e-05,A6=-4.02486e-07,A8=-1.05494e-09  
第２２面
k=-30.784
A4=7.94179e-05,A6=-4.73842e-07,A8=-3.45074e-09,A10=2.80530e-12  
第２３面
k=-0.621
A4=-4.77440e-05,A6=-4.56224e-08,A8=-8.13918e-11,A10=-7.89572e-12  
第２４面
k=-4.243
A4=-3.18831e-04,A6=1.39907e-06,A8=7.38731e-09,A10=-5.05176e-11  
第２５面
k=-1.870
A4=-3.34225e-04,A6=5.68135e-06,A8=-5.42846e-08,A10=2.31442e-10  
各種データ
ＮＡ                    0.60   
倍率                   -3.56   
焦点距離                8.92   
像高(mm)                7.93   
ｆｂ(mm) (in air)      12.02
全長(mm) (in air)      86.83
【１０４８】
数値実施例６３
単位ｍｍ
面データ
面番号       r          d         nd        νd      θgf
1*     -7.039      4.91     1.53368    55.90    0.563
2*    -17.920      0.05
3*     15.584      4.58     1.63490    23.88    0.630
4*    -12.462      0.05
5*      6.979      3.28     1.49700    81.61    0.538
6*    -19.498      0.05
7      39.995      2.50     1.61800    63.33    0.544
8      -7.177      0.50     1.72047    34.71    0.583
9       9.843      0.80
10(絞り)  ∞        0.58
11     -13.844      0.50     1.72047    34.71    0.583
12       9.243      2.44     1.61800    63.33    0.544
13     -20.574      0.05
14*     10.818      3.74     1.49700    81.61    0.538
15*    -12.062     13.98
16*     -6.434      6.53     1.58364    30.30    0.599
17*     -5.371      3.16
18*    -11.488      1.97     1.63490    23.88    0.630
19*    -18.115      0.27
20*      5.193      3.81     1.53368    55.90    0.563
21*      2.478      4.35
22        ∞        0.26     1.51640    65.06    0.535
23        ∞        0.91
像面        ∞
非球面データ
第１面
k=-7.688
A4=-5.30828e-03,A6=1.00779e-03,A8=-3.13102e-04  
第２面
k=9.824
A4=-1.93476e-03,A6=2.83575e-05,A8=-1.27395e-06  
第３面
k=-1.316
A4=3.98817e-05,A6=1.75107e-07,A8=2.54238e-08  
第４面
k=-5.068
A4=1.22657e-04,A6=6.73445e-06,A8=-1.01603e-07  
第５面
k=-2.319
A4=-8.13599e-05,A6=-6.40124e-06,A8=1.43467e-07  
第６面
k=3.388
A4=-1.26292e-04,A6=-1.27410e-06,A8=9.01790e-08  
第１４面
k=-2.381
A4=-1.37296e-04,A6=1.42467e-06,A8=-9.01579e-09  
第１５面
k=-0.582
A4=-2.02116e-05,A6=-1.14010e-06,A8=-9.41687e-09  
第１６面
k=-0.049
A4=-2.66503e-04,A6=1.37620e-05,A8=-2.75338e-07  
第１７面
k=-1.101
A4=2.02237e-04,A6=-2.08688e-06,A8=-2.48953e-08  
第１８面
k=-33.992
A4=2.88723e-04,A6=-5.74254e-06,A8=-5.45486e-08,A10=-8.25069e-11  
第１９面
k=-1.062
A4=-1.89497e-04,A6=-2.28174e-07,A8=-1.72532e-08,A10=-3.24889e-10  
第２０面
k=-4.642
A4=-1.21065e-03,A6=1.21481e-05,A8=1.80222e-07,A10=-1.84008e-09  
第２１面
k=-1.845
A4=-8.86076e-04,A6=4.64728e-05,A8=-1.48831e-06,A10=2.99535e-08  
各種データ
ＮＡ                    0.60   
倍率                   -3.56   
焦点距離                4.98   
像高(mm)                4.75   
ｆｂ(mm) (in air)       5.43
全長(mm) (in air)      59.20
【１０４９】
数値実施例６４
単位ｍｍ
面データ
面番号       r          d         nd        νd      θgf
1*     -8.599      5.93     1.53368    55.90    0.563
2*    -19.840      0.05
3*     17.840      5.28     1.63490    23.88    0.630
4*    -14.375      0.06
5*      7.961      3.54     1.49700    81.61    0.538
6*    -22.188      0.05
7      52.926      2.61     1.61800    63.33    0.544
8      -8.538      0.50     1.72047    34.71    0.583
9      11.099      0.96
10(絞り)  ∞        0.66
11     -15.771      0.50     1.72047    34.71    0.583
12      10.927      2.65     1.61800    63.33    0.544
13     -21.930      0.05
14*     12.592      4.04     1.49700    81.61    0.538
15*    -13.902     15.89
16*     -7.470      7.77     1.58364    30.30    0.599
17*     -6.239      3.85
18*    -13.303      2.40     1.63490    23.88    0.630
19*    -20.860      0.30
20*      6.006      4.42     1.53368    55.90    0.563
21*      2.794      5.00
22        ∞        0.30     1.51640    65.06    0.535
23        ∞        0.53
像面        ∞
非球面データ
第１面
k=-6.559
A4=-3.07798e-03,A6=7.19063e-04,A8=-1.43633e-04  
第２面
k=8.617
A4=-1.24859e-03,A6=1.39145e-05,A8=-4.33338e-07  
第３面
k=-1.217
A4=2.14714e-05,A6=4.97776e-07,A8=6.93013e-09  
第４面
k=-5.042
A4=7.67295e-05,A6=3.42831e-06,A8=-3.37151e-08  
第５面
k=-2.297
A4=-6.04721e-05,A6=-3.09153e-06,A8=4.84282e-08  
第６面
k=3.319
A4=-8.28348e-05,A6=-6.61324e-07,A8=3.24620e-08  
第１４面
k=-2.342
A4=-9.16209e-05,A6=8.36992e-07,A8=-4.45060e-09  
第１５面
k=-0.501
A4=-1.62220e-05,A6=-5.10344e-07,A8=-3.96678e-09  
第１６面
k=-0.081
A4=-1.74720e-04,A6=6.86575e-06,A8=-9.76272e-08  
第１７面
k=-1.090
A4=1.45428e-04,A6=-1.07366e-06,A8=-5.76918e-09  
第１８面
k=-35.703
A4=2.12538e-04,A6=-2.80559e-06,A8=-1.82100e-08,A10=-2.49815e-12  
第１９面
k=-1.240
A4=-1.24964e-04,A6=-2.05558e-07,A8=-4.46527e-09,A10=-7.30148e-11  
第２０面
k=-4.876
A4=-8.70533e-04,A6=5.71807e-06,A8=5.33843e-08,A10=-2.87801e-10  
第２１面
k=-1.928
A4=-3.56431e-04,A6=1.04471e-05,A8=-2.60887e-07,A10=3.89803e-09  
各種データ
ＮＡ                    0.60   
倍率                   -3.56   
焦点距離                5.34   
像高(mm)                5.50   
ｆｂ(mm) (in air)       5.73
全長(mm) (in air)      67.24
【１０５０】
数値実施例６５
単位ｍｍ
面データ
面番号       r          d         nd        νd      θgf
1*     -6.269      4.80     1.53368    55.90    0.563
2*    -27.398      0.05
3*     17.424      4.12     1.63490    23.88    0.630
4*    -10.162      0.05
5*    329.227      0.61     1.58364    30.30    0.599
6*     23.639      0.05
7*      7.301      4.38     1.49700    81.61    0.538
8*    -16.656      0.05
9      26.802      3.49     1.61800    63.33    0.544
10      -7.076      0.50     1.72047    34.71    0.583
11      11.663      1.25
12(絞り)  ∞        0.71
13     -16.523      0.50     1.72047    34.71    0.583
14      14.445      2.57     1.61800    63.33    0.544
15     -18.236      0.06
16*     10.173      4.62     1.49700    81.61    0.538
17*    -14.804      6.97
18*     -7.554      4.14     1.58364    30.30    0.599
19*     -9.958      2.28
20*     -7.176      4.95     1.61421    25.60    0.621
21*     -5.830      2.02
22*    -11.735      2.84     1.63490    23.88    0.630
23*    -20.945      0.05
24*      5.546      4.33     1.53368    55.90    0.563
25*      2.897      4.50
26        ∞        0.30     1.51640    65.06    0.535
27        ∞        3.63
像面        ∞
非球面データ
第１面
k=0.659
A4=-2.04816e-03,A6=2.35320e-04,A8=-4.81520e-05  
第２面
k=-1.065
A4=-1.68684e-03,A6=2.29728e-05,A8=-9.25180e-07  
第３面
k=-0.588
A4=6.51788e-05,A6=1.13163e-06,A8=1.95724e-08  
第４面
k=-2.720
A4=6.41977e-05,A6=7.66373e-06,A8=-3.86820e-08  
第５面
k=-1871.246
A4=-1.46877e-05,A6=-2.79488e-07  
第６面
k=-0.064
A4=2.14004e-05,A6=4.39293e-08  
第７面
k=-2.423
A4=-9.35989e-05,A6=-1.73930e-06,A8=5.12031e-08  
第８面
k=1.436
A4=-7.63094e-05,A6=4.05361e-07,A8=1.19948e-08  
第１６面
k=-1.670
A4=-3.89307e-05,A6=5.41575e-07,A8=-3.89066e-09  
第１７面
k=0.072
A4=-6.09183e-05,A6=-2.19847e-07,A8=6.07739e-09  
第１８面
k=0.089
A4=9.88125e-06,A6=2.25429e-06,A8=5.40413e-08  
第１９面
k=-2.920
A4=2.34541e-05,A6=-1.70730e-06,A8=1.38533e-08  
第２０面
k=-0.618
A4=-1.37263e-05,A6=-1.25116e-06,A8=-8.15675e-08  
第２１面
k=-1.185
A4=1.29062e-04,A6=-1.87858e-06,A8=-1.27341e-08  
第２２面
k=-30.535
A4=2.12596e-04,A6=-2.32471e-06,A8=-3.18933e-08,A10=2.49260e-11  
第２３面
k=0.060
A4=-1.34020e-04,A6=-1.76460e-07,A8=8.51270e-10,A10=-1.31091e-10  
第２４面
k=-4.296
A4=-8.13846e-04,A6=6.17276e-06,A8=7.50056e-08,A10=-7.01350e-10  
第２５面
k=-1.860
A4=-8.20694e-04,A6=2.77718e-05,A8=-5.24812e-07,A10=5.58526e-09  
各種データ
ＮＡ                    0.60   
倍率                   -3.56   
焦点距離                6.16   
像高(mm)                5.50   
ｆｂ(mm) (in air)       8.33
全長(mm) (in air)      63.71
【１０５１】
数値実施例６６
単位ｍｍ
面データ
面番号       r          d         nd        νd      θgf
1*     -6.744      4.55     1.53368    55.90    0.563
2*    -28.324      0.05
3*     17.647      4.11     1.63490    23.88    0.630
4*    -10.252      0.05
5*    368.125      0.70     1.58364    30.30    0.599
6*     23.485      0.05
7*      7.303      3.75     1.49700    81.61    0.538
8*    -16.608      0.05
9      27.992      3.48     1.61800    63.33    0.544
10      -7.240      0.50     1.72047    34.71    0.583
11      11.712      0.93
12(絞り)  ∞        0.68
13     -16.247      0.50     1.72047    34.71    0.583
14      14.941      2.48     1.61800    63.33    0.544
15     -17.172      0.05
16*     10.250      5.04     1.49700    81.61    0.538
17*    -14.686      7.09
18*     -7.433      3.40     1.58364    30.30    0.599
19*    -10.047      2.59
20*     -6.674      5.39     1.61421    25.60    0.621
21*     -5.707      2.10
22*    -11.710      2.68     1.63490    23.88    0.630
23*    -20.113      0.08
24*      5.560      4.27     1.53368    55.90    0.563
25*      2.881      4.50
26        ∞        0.30     1.51640    65.06    0.535
27        ∞        2.87
像面        ∞
非球面データ
第１面
k=0.466
A4=-1.83113e-03,A6=2.20399e-04,A8=-4.01986e-05  
第２面
k=-4.154
A4=-1.67302e-03,A6=2.41417e-05,A8=-9.14504e-07  
第３面
k=-0.713
A4=6.22862e-05,A6=1.21873e-06,A8=2.05895e-08  
第４面
k=-2.747
A4=6.54960e-05,A6=7.63953e-06,A8=-3.72649e-08  
第５面
k=-2888.742
A4=-1.51322e-05,A6=-1.13362e-07  
第６面
k=-0.115
A4=2.12292e-05,A6=-4.40257e-08  
第７面
k=-2.422
A4=-9.18841e-05,A6=-1.69650e-06,A8=4.50496e-08  
第８面
k=1.359
A4=-7.73141e-05,A6=3.20836e-07,A8=1.45375e-08  
第１６面
k=-1.661
A4=-3.80858e-05,A6=6.00548e-07,A8=-3.31015e-09  
第１７面
k=0.087
A4=-6.24513e-05,A6=-2.33471e-07,A8=7.81939e-09  
第１８面
k=0.116
A4=6.47632e-06,A6=1.93794e-06,A8=8.75430e-08  
第１９面
k=-2.967
A4=3.57609e-05,A6=-1.49735e-06,A8=2.83588e-08  
第２０面
k=-0.611
A4=-1.58294e-05,A6=-1.07032e-06,A8=-9.97644e-08  
第２１面
k=-1.189
A4=1.28670e-04,A6=-1.99874e-06,A8=-1.23533e-08  
第２２面
k=-30.969
A4=2.14284e-04,A6=-2.50014e-06,A8=-3.94482e-08,A10=1.75181e-11  
第２３面
k=0.274
A4=-1.40593e-04,A6=-2.34596e-07,A8=-2.72736e-09,A10=-1.34264e-10  
第２４面
k=-4.460
A4=-8.31533e-04,A6=6.06058e-06,A8=7.30319e-08,A10=-5.38583e-10  
第２５面
k=-1.870
A4=-7.81641e-04,A6=2.80809e-05,A8=-5.72873e-07,A10=6.43070e-09  
各種データ
ＮＡ                    0.60   
倍率                   -3.56   
焦点距離                5.82   
像高(mm)                5.23   
ｆｂ(mm) (in air)       7.57
全長(mm) (in air)      62.10
【１０５２】
数値実施例６７
単位ｍｍ
面データ
面番号       r          d         nd        νd      θgf
1*    -11.654      8.90     1.53368    55.90    0.563
2*    -53.270      0.09
3*     32.497      7.73     1.63490    23.88    0.630
4*    -18.865      0.05
5*    609.908      0.55     1.58364    30.30    0.599
6*     43.689      0.05
7*     13.655      8.70     1.49700    81.61    0.538
8*    -30.942      0.05
9      54.201      6.26     1.61800    63.33    0.544
10     -13.279      0.50     1.72047    34.71    0.583
11      21.817      2.42
12(絞り)  ∞        1.14
13     -31.961      0.52     1.72047    34.71    0.583
14      25.513      4.08     1.61800    63.33    0.544
15     -33.246      0.15
16*     18.998      8.40     1.49700    81.61    0.538
17*    -27.856     12.95
18*    -14.193      8.09     1.58364    30.30    0.599
19*    -19.094      4.04
20*    -13.249     10.54     1.58364    30.30    0.599
21*    -10.558      4.39
22*    -22.376      5.26     1.63490    23.88    0.630
23*    -37.463      0.05
24*     10.448      8.01     1.53368    55.90    0.563
25*      5.391      8.22
26        ∞        0.30     1.51640    65.06    0.535
27        ∞        8.21
像面        ∞
非球面データ
第１面
k=1.075
A4=-3.07742e-04,A6=9.46748e-06,A8=-3.95246e-07  
第２面
k=0.243
A4=-2.62486e-04,A6=1.05472e-06,A8=-1.12886e-08  
第３面
k=-0.422
A4=1.05645e-05,A6=4.99657e-08,A8=2.12551e-10  
第４面
k=-2.716
A4=1.02640e-05,A6=3.36920e-07,A8=-5.29009e-10  
第５面
k=-1981.989
A4=-2.50643e-06,A6=-1.03156e-08  
第６面
k=0.024
A4=3.45165e-06,A6=-4.51348e-11  
第７面
k=-2.412
A4=-1.51250e-05,A6=-7.89064e-08,A8=6.63287e-10  
第８面
k=1.432
A4=-1.17703e-05,A6=2.10026e-08,A8=1.62417e-10  
第１６面
k=-1.632
A4=-6.09995e-06,A6=2.72227e-08,A8=-7.60562e-11  
第１７面
k=0.162
A4=-9.42741e-06,A6=-1.49326e-08,A8=6.00257e-11  
第１８面
k=0.151
A4=1.94021e-06,A6=1.05693e-07,A8=8.44621e-10  
第１９面
k=-2.829
A4=3.81519e-06,A6=-6.91852e-08,A8=2.58538e-10  
第２０面
k=-0.623
A4=-2.50444e-06,A6=-3.72162e-08,A8=-1.04792e-09  
第２１面
k=-1.166
A4=2.08328e-05,A6=-9.68055e-08,A8=-1.11067e-10  
第２２面
k=-30.999
A4=2.88686e-05,A6=-9.73152e-08,A8=-4.06882e-10,A10=1.90801e-13  
第２３面
k=-1.442
A4=-1.86838e-05,A6=-1.59948e-08,A8=-2.14349e-11,A10=-4.13529e-13  
第２４面
k=-4.203
A4=-1.26702e-04,A6=3.03286e-07,A8=8.98650e-10,A10=-3.27718e-12  
第２５面
k=-1.867
A4=-1.38264e-04,A6=1.20863e-06,A8=-5.84639e-09,A10=1.39250e-11  
各種データ
ＮＡ                    0.60   
倍率                   -3.55   
焦点距離               12.29   
像高(mm)               10.82   
ｆｂ(mm) (in air)      16.62
全長(mm) (in air)     119.56
【１０５３】
数値実施例６８
単位ｍｍ
面データ
面番号       r          d         nd        νd      θgf
1*    -63.538     10.02     1.85135    40.10    0.569
2*     32.204      0.05
3*     32.533      7.00     1.53368    55.90    0.563
4*   -106.297      0.26
5*     54.300     10.00     1.49700    81.61    0.538
6*    -23.738      0.98
7*     85.904      4.20     1.49700    81.61    0.538
8*    -97.520      0.06
9*    105.081      8.88     1.63490    23.88    0.630
10*    -33.023      0.42
11*    -38.264      2.80     1.58364    30.30    0.599
12*     53.734      0.07
13      62.691     11.68     1.49700    81.61    0.538
14     -22.596      5.75     1.72047    34.71    0.583
15    -112.813      3.53
16(絞り)  ∞       -1.56
17*     70.148      2.54     1.53368    55.90    0.563
18*   -183.515      0.24
19    -284.510      8.92     1.49700    81.61    0.538
20     -28.520      8.41     1.72047    34.71    0.583
21     198.897     17.49     1.49700    81.61    0.538
22     -40.316     16.34
23*     93.660      5.46     1.84666    23.78    0.620
24*    212.953     16.44
25*     25.378      9.46     1.53368    55.90    0.563
26*   -119.565      0.48
27*     52.177      9.92     1.53368    55.90    0.563
28*     10.383     12.85
29*    -44.349      7.33     1.53368    55.90    0.563
30*    -53.218      2.07
31*    -20.191     10.09     1.53368    55.90    0.563
32*     50.820      2.00
33        ∞        0.30     1.51640    65.06    0.535
34        ∞        1.80
像面        ∞
非球面データ
第１面
k=4.443
A4=-1.05776e-04,A6=-3.64425e-07,A8=1.98904e-09  
第２面
k=-19.238
A4=-3.91023e-05,A6=-3.11804e-08,A8=-5.67242e-11  
第３面
k=-20.954
A4=2.62599e-06,A6=1.82851e-08,A8=4.54659e-11  
第４面
k=9.940
A4=-1.61900e-05,A6=9.03155e-09,A8=1.79996e-10  
第５面
k=1.123
A4=2.67856e-07,A6=-3.15865e-08,A8=3.49785e-11  
第６面
k=-2.027
A4=3.50357e-06,A6=2.04747e-08,A8=6.93297e-11  
第７面
k=2.496
A4=-4.68859e-06,A6=-7.75345e-09,A8=6.02390e-11  
第８面
k=3.339
A4=3.50988e-07,A6=2.15482e-08,A8=-2.56013e-11  
第９面
k=3.604
A4=1.20384e-07,A6=1.78755e-08,A8=-3.15317e-13  
第１０面
k=0.355
A4=1.24700e-05,A6=2.89708e-10,A8=3.47525e-11  
第１１面
k=1.839
A4=3.37433e-06,A6=3.63821e-09,A8=5.61429e-11  
第１２面
k=-10.495
A4=-1.54011e-05,A6=-1.49070e-09,A8=3.23097e-11  
第１７面
k=0.528
A4=-5.62809e-07,A6=-5.77511e-09,A8=-1.61623e-11  
第１８面
k=-142.321
A4=4.44624e-06,A6=9.06780e-09,A8=-3.00760e-11  
第２３面
k=-1.909
A4=-9.55582e-07,A6=-2.84663e-09,A8=4.48649e-12  
第２４面
k=-158.290
A4=-2.56151e-06,A6=-1.96788e-09,A8=4.34014e-12  
第２５面
k=-1.408
A4=-7.29707e-06,A6=-3.93011e-09,A8=-1.35076e-11  
第２６面
k=-36.249
A4=6.21711e-07,A6=-2.35958e-09,A8=-9.91770e-12  
第２７面
k=-11.909
A4=-5.75821e-06,A6=3.19672e-08,A8=-4.31284e-11  
第２８面
k=-1.033
A4=-2.20475e-05,A6=7.79789e-08,A8=9.56535e-11  
第２９面
k=5.439
A4=-2.60359e-05,A6=9.13286e-08,A8=2.72747e-12  
第３０面
k=2.910
A4=-1.84445e-06,A6=5.39362e-08,A8=-9.42280e-11  
第３１面
k=-0.869
A4=3.33460e-05,A6=-1.85661e-08,A8=8.80359e-11  
第３２面
k=-24.510
A4=-1.19291e-05,A6=-5.06023e-10,A8=-1.47595e-11  
各種データ
ＮＡ                    0.60   
倍率                   -3.51   
焦点距離                7.51   
像高(mm)               20.78   
ｆｂ(mm) (in air)       4.00
全長(mm) (in air)     196.17
【１０５４】
数値実施例６９
単位ｍｍ
面データ
面番号       r          d         nd        νd      θgf
1*    -29.955      5.67     1.85135    40.10    0.569
2*     21.219      0.05
3*     26.565      3.07     1.53368    55.90    0.563
4*    -29.352      0.05
5*     27.194      4.58     1.49700    81.61    0.538
6*    -12.447      0.05
7*     41.662      1.69     1.49700    81.61    0.538
8*    -59.590      0.05
9*     44.366      3.67     1.63490    23.88    0.630
10*    -17.202      0.50
11*    -19.670      1.21     1.58364    30.30    0.599
12*     30.021      0.20
13      23.366      5.25     1.49700    81.61    0.538
14     -12.616      0.50     1.72047    34.71    0.583
15      68.194      2.31
16(絞り)  ∞      -1.10
17*     21.245      1.85     1.53368    55.90    0.563
18*    -93.246      0.09
19    -148.608      2.90     1.49700    81.61    0.538
20     -12.601      1.24     1.72047    34.71    0.583
21      37.919      4.85     1.49700    81.61    0.538
22     -24.743      6.71
23*     34.680      2.10     1.84666    23.78    0.620
24*     92.807      9.47
25*     12.166      7.28     1.53368    55.90    0.563
26*    -40.917      0.63
27*     40.697      4.65     1.53368    55.90    0.563
28*      5.464      4.96
29*     69.863      4.34     1.53368    55.90    0.563
30*    -23.297      2.44
31*     -8.406      3.04     1.53368    55.90    0.563
32*     13.145      2.00
33        ∞        0.30     1.51640    65.06    0.535
34        ∞        0.95
像面        ∞
非球面データ
第１面
k=-2.844
A4=-5.95233e-04,A6=-2.01185e-05,A8=-4.04057e-08  
第２面
k=-26.594
A4=-2.91563e-04,A6=3.38545e-08,A8=-4.48601e-09  
第３面
k=-38.988
A4=1.31076e-05,A6=1.39853e-07,A8=7.03094e-09  
第４面
k=7.191
A4=-8.19846e-05,A6=-3.06820e-07,A8=2.47340e-08  
第５面
k=1.384
A4=5.08576e-06,A6=-7.77373e-07,A8=6.23909e-09  
第６面
k=-1.761
A4=1.48354e-05,A6=4.86920e-07,A8=6.06003e-09  
第７面
k=-14.126
A4=-5.35357e-05,A6=-2.25010e-07,A8=6.88366e-09  
第８面
k=-2.133
A4=1.05864e-05,A6=6.95122e-07,A8=-3.15146e-09  
第９面
k=3.451
A4=2.22795e-06,A6=4.87778e-07,A8=-1.66619e-09  
第１０面
k=0.360
A4=1.03539e-04,A6=-6.33943e-08,A8=4.04592e-09  
第１１面
k=1.941
A4=2.37787e-05,A6=1.62382e-07,A8=7.66827e-09  
第１２面
k=-10.761
A4=-1.30990e-04,A6=-1.71078e-07,A8=5.02262e-09  
第１７面
k=-0.267
A4=-1.00551e-05,A6=-2.52136e-07,A8=4.24466e-10  
第１８面
k=-207.405
A4=2.84376e-05,A6=3.79772e-07,A8=-4.21658e-09  
第２３面
k=-1.706
A4=-7.10617e-06,A6=-8.60971e-08,A8=7.01716e-10  
第２４面
k=-186.451
A4=-2.28317e-05,A6=-6.42653e-08,A8=6.74174e-10  
第２５面
k=-1.569
A4=-6.55071e-05,A6=-2.05782e-07,A8=-4.37955e-09,A10=-2.52773e-14  
第２６面
k=-3.839
A4=-8.01566e-06,A6=-2.54791e-07,A8=-1.15935e-09,A10=-2.54003e-14  
第２７面
k=-34.425
A4=-4.77157e-05,A6=1.08255e-06,A8=-4.06557e-09  
第２８面
k=-1.002
A4=-1.54742e-04,A6=2.47821e-06,A8=-3.91574e-09  
第２９面
k=-50.008
A4=-5.21414e-05,A6=4.83615e-07,A8=-8.84765e-09,A10=1.50137e-12  
第３０面
k=-29.019
A4=1.22863e-04,A6=8.90770e-07,A8=-5.28257e-09,A10=5.46743e-13  
第３１面
k=-0.773
A4=3.16385e-04,A6=9.74440e-08,A8=1.40543e-08,A10=-5.53413e-14  
第３２面
k=-16.868
A4=-1.76589e-04,A6=8.02882e-07,A8=-7.40507e-09,A10=-1.70931e-12  
各種データ
ＮＡ                    0.59   
倍率                   -3.51   
焦点距離                3.49   
像高(mm)               10.82   
ｆｂ(mm) (in air)       3.15
全長(mm) (in air)      87.44
【１０５５】
数値実施例７０
単位ｍｍ
面データ
面番号       r          d         nd        νd      θgf
1*    -51.987      5.12     1.85135    40.10    0.569
2*     34.312      0.50
3*     36.711      2.87     1.53366    55.96    0.555
4*    -92.469      0.20
5*     26.612      4.74     1.49700    81.61    0.538
6*    -11.451      0.05
7*     45.611      2.06     1.49700    81.61    0.538
8*    -54.045      0.20
9*     33.570      3.44     1.63484    23.91    0.622
10*    -21.835      1.05
11*    -19.881      0.50     1.58360    30.33    0.591
12*     20.272      0.52
13      29.888      5.28     1.49700    81.61    0.538
14      -9.919      0.50     1.72047    34.71    0.583
15    2653.840      0.67
16(絞り)  ∞        0.00
17*     22.326      5.73     1.53366    55.96    0.555
18*    -48.583      0.50
19    -361.891      3.71     1.49700    81.61    0.538
20     -14.580      0.81     1.72047    34.71    0.583
21      49.171     13.96     1.49700    81.61    0.538
22     -23.109      1.04
23*     34.641      3.26     1.84666    23.78    0.621
24*     68.766      8.81
25*     14.872      7.26     1.53366    55.96    0.555
26*    -32.487      0.20
27*     24.860      4.91     1.53366    55.96    0.555
28*      5.064     10.91
29*     -6.358      3.04     1.53366    55.96    0.555
30*   -143.898      1.00
31        ∞        0.30     1.51633    64.14    0.535
32        ∞        2.00
像面        ∞
非球面データ
第１面
k=-2.324
A4=-5.99284e-04,A6=-2.07443e-05,A8=-5.78774e-08  
第２面
k=-45.725
A4=-3.42295e-04,A6=-7.55261e-07,A8=-1.43674e-08  
第３面
k=-4.989
A4=1.53046e-05,A6=-3.22204e-07,A8=1.52980e-08  
第４面
k=10.000
A4=-1.19884e-04,A6=7.20040e-07,A8=1.57561e-08  
第５面
k=2.681
A4=5.72765e-06,A6=-6.11721e-07,A8=7.66294e-09  
第６面
k=-2.065
A4=2.37171e-05,A6=6.14576e-07,A8=9.37247e-09  
第７面
k=8.756
A4=-2.94464e-05,A6=-1.23697e-07,A8=8.83931e-09  
第８面
k=-18.390
A4=1.93047e-05,A6=8.03884e-07,A8=-2.96453e-09  
第９面
k=4.712
A4=2.70731e-07,A6=5.42517e-07,A8=-1.96572e-10  
第１０面
k=0.590
A4=9.35359e-05,A6=8.42783e-08,A8=1.48700e-09  
第１１面
k=1.834
A4=2.94251e-05,A6=-5.71155e-08,A8=8.02874e-09  
第１２面
k=-8.347
A4=-9.71672e-05,A6=9.03846e-09,A8=5.98733e-09  
第１７面
k=-0.493
A4=-1.13272e-05,A6=-1.77520e-07,A8=1.69868e-09  
第１８面
k=0.000
A4=4.90449e-05,A6=8.80405e-08,A8=2.05302e-12  
第２３面
k=-0.340
A4=-4.99251e-06,A6=-1.15596e-07,A8=5.65807e-10  
第２４面
k=0.000
A4=-2.71164e-05,A6=-5.85984e-08,A8=5.28978e-10  
第２５面
k=-1.287
A4=-5.62805e-05,A6=-7.66209e-08,A8=-1.46489e-09  
第２６面
k=-28.138
A4=-8.59208e-06,A6=-1.62519e-07,A8=-5.25099e-10  
第２７面
k=-11.343
A4=-9.45284e-05,A6=8.98312e-07,A8=-3.28383e-09  
第２８面
k=-1.166
A4=-2.25428e-04,A6=2.61901e-06,A8=-9.65650e-09  
第２９面
k=-0.771
A4=-1.76889e-04,A6=3.16654e-06,A8=-5.43037e-08  
第３０面
k=0.000
A4=-3.96799e-04,A6=8.52970e-07,A8=-2.37397e-09  
各種データ
ＮＡ                    0.62   
倍率                   -3.55   
焦点距離                3.98   
像高(mm)               11.04   
ｆｂ(mm) (in air)       3.20
全長(mm) (in air)      95.03
【１０５６】
数値実施例７１
単位ｍｍ
面データ
面番号       r          d         nd        νd      θgf
1*    -33.708      5.42     1.85135    40.10    0.569
2*     30.549      0.05
3*     32.705      3.04     1.53366    55.96    0.555
4*    -33.718      0.05
5*     30.277      5.37     1.49700    81.61    0.538
6*     -9.108      1.92
7*     30.171      4.74     1.63484    23.91    0.622
8*    -20.083      0.50
9*    -21.758      0.50     1.58360    30.33    0.591
10*     20.217      0.31
11      22.752      5.35     1.49700    81.61    0.538
12     -11.085      0.50     1.72047    34.71    0.583
13     109.760      1.33
14(絞り)  ∞       -1.02
15*     19.480      3.80     1.53366    55.96    0.555
16*    -36.243      0.50
17     -46.615      2.73     1.49700    81.61    0.538
18     -13.271      1.29     1.72047    34.71    0.583
19      63.152     10.17     1.49700    81.61    0.538
20     -21.328      5.57
21*     33.223      2.86     1.84666    23.78    0.621
22*     62.274     10.12
23*     13.399      6.98     1.53366    55.96    0.555
24*    -44.297      0.10
25*     23.820      4.79     1.53366    55.96    0.555
26*      5.404     10.39
27*     -5.660      2.59     1.53366    55.96    0.555
28*    -57.346      1.00
29        ∞        0.30     1.51633    64.14    0.535
30        ∞        1.99
像面        ∞
非球面データ
第１面
k=-2.324
A4=-5.99284e-04,A6=-2.07443e-05,A8=-5.78774e-08  
第２面
k=-8.453
A4=-3.06218e-04,A6=-6.21190e-07,A8=-3.79375e-09  
第３面
k=-10.000
A4=-2.32237e-05,A6=-4.72804e-07,A8=1.21769e-08  
第４面
k=9.824
A4=-9.50929e-05,A6=4.21290e-07,A8=1.39565e-08  
第５面
k=0.977
A4=-1.41054e-06,A6=-7.40956e-07,A8=9.05571e-09  
第６面
k=-1.674
A4=-1.61992e-06,A6=3.89543e-07,A8=9.27075e-09  
第７面
k=4.822
A4=-3.06329e-06,A6=5.40103e-07,A8=3.70020e-10  
第８面
k=0.187
A4=1.04929e-04,A6=2.35490e-07,A8=2.61993e-09  
第９面
k=1.884
A4=1.43703e-05,A6=-1.78034e-07,A8=9.88090e-09  
第１０面
k=-9.975
A4=-1.06112e-04,A6=2.10535e-07,A8=3.08727e-09  
第１５面
k=-0.105
A4=-1.01308e-05,A6=-9.94355e-08,A8=2.46319e-09  
第１６面
k=-9.295
A4=5.21616e-05,A6=2.67714e-07,A8=8.32227e-10  
第２１面
k=-0.825
A4=-4.71738e-06,A6=-1.19133e-07,A8=6.33286e-10  
第２２面
k=-9.836
A4=-2.62975e-05,A6=-4.49742e-08,A8=5.50344e-10  
第２３面
k=-1.187
A4=-5.59393e-05,A6=-2.19981e-07,A8=-1.27378e-09  
第２４面
k=-9.425
A4=-3.47590e-06,A6=-2.14126e-07,A8=-4.68874e-10  
第２５面
k=-10.000
A4=-9.66569e-05,A6=9.71367e-07,A8=-4.26857e-09  
第２６面
k=-1.038
A4=-1.80783e-04,A6=9.34922e-07,A8=-2.73424e-09  
第２７面
k=-0.796
A4=2.33856e-05,A6=1.10760e-06,A8=-4.51672e-08  
第２８面
k=0.564
A4=-3.12661e-04,A6=2.54558e-07,A8=-1.58646e-09  
各種データ
ＮＡ                    0.60   
倍率                   -3.53   
焦点距離                3.86   
像高(mm)               11.04   
ｆｂ(mm) (in air)       3.18
全長(mm) (in air)      93.13
【１０５７】
数値実施例７２
単位ｍｍ
面データ
面番号       r          d         nd        νd      θgf
1*    -36.181     28.58     1.53368    55.90    0.563
2*    -56.946      0.76
3*     61.405     21.75     1.63490    23.88    0.630
4*    -75.609      1.28
5*     31.784     13.63     1.49700    81.61    0.538
6*   -109.442      0.05
7    -131.758     11.91     1.61800    63.33    0.544
8     -32.872      1.02     1.72047    34.71    0.583
9     118.946      2.88
10(絞り)  ∞        4.53
11     -75.872      1.04     1.72047    34.71    0.583
12      62.232     13.45     1.61800    63.33    0.544
13     -92.209      2.29
14*     55.068     22.12     1.49700    81.61    0.538
15*    -67.262     34.05
16*    -33.410      0.69     1.58364    30.30    0.599
17*    -66.553     65.37
18*   -110.319     24.35     1.63490    23.88    0.630
19*    -70.789      9.27
20*     28.392     16.92     1.53368    55.90    0.563
21*   -885.222      0.49
22*    189.555     21.44     1.53368    55.90    0.563
23*     11.316     18.40
24        ∞        0.30     1.51640    65.06    0.535
25        ∞        0.07
像面        ∞
非球面データ
第１面
k=-173.796
A4=-3.35526e-04,A6=1.26109e-05,A8=-3.73711e-07  
第２面
k=5.924
A4=-1.68456e-05,A6=1.61406e-08,A8=-3.13890e-11  
第３面
k=-0.972
A4=-6.35538e-07,A6=1.17469e-09,A8=-2.12993e-13  
第４面
k=-7.795
A4=6.08950e-07,A6=2.28598e-09,A8=-1.15413e-12  
第５面
k=-2.835
A4=-1.32987e-06,A6=-7.65103e-10,A8=-7.52953e-14  
第６面
k=6.750
A4=-1.65736e-06,A6=-2.85490e-10,A8=1.21681e-12  
第１4面
k=-0.859
A4=-1.10335e-06,A6=-2.25718e-10,A8=1.30529e-13  
第１５面
k=0.165
A4=3.95032e-08,A6=-6.71393e-10,A8=2.80361e-13  
第１６面
k=-0.459
A4=4.57377e-06,A6=-3.03724e-09,A8=9.29938e-13  
第１７面
k=-4.247
A4=5.69051e-06,A6=-4.82179e-09,A8=1.67011e-12  
第１８面
k=-63.971
A4=1.34636e-06,A6=-3.87038e-09,A8=-3.48009e-13,A10=1.77701e-15  
第１９面
k=-1.377
A4=-6.47891e-07,A6=1.15104e-10,A8=-1.46999e-12,A10=1.56999e-15  
第２０面
k=-1.324
A4=-3.27595e-06,A6=5.51173e-09,A8=-9.45068e-13,A10=5.26132e-15  
第２１面
k=-1.000
A4=5.09843e-07,A6=-7.59988e-10,A8=-3.15984e-12  
第２２面
k=-1.000
A4=-1.12247e-06,A6=-1.43359e-09,A8=-6.54554e-12  
第２３面
k=-0.877
A4=-2.88824e-05,A6=1.68813e-07,A8=-5.77452e-10,A10=7.15614e-12  
各種データ
ＮＡ                    0.81   
倍率                   -3.56   
焦点距離               23.68   
像高(mm)                7.93   
ｆｂ(mm) (in air)      18.67
全長(mm) (in air)     316.53
【１０５８】
数値実施例７３
単位ｍｍ
面データ
面番号       r          d         nd        νd      θgf
1*    -40.282      4.79     1.58364    30.30    0.599
2*    463.655      0.15
3*    -56.383      3.04     1.53368    55.90    0.563
4*    -22.798      0.05
5*     52.768      3.31     1.53368    55.90    0.563
6*    -30.496      0.05
7*     99.502      4.30     1.53368    55.90    0.563
8*    -15.870      0.05
9*     55.361      2.56     1.53368    55.90    0.563
10*    -40.687      0.05
11*    -41.002      0.70     1.58364    30.30    0.599
12*   -132.635      0.05
13*   -197.895      2.52     1.63490    23.88    0.630
14*    -19.020      0.05
15*    -24.922      0.70     1.58364    30.30    0.599
16*     37.592      0.05
17      32.596      6.26     1.49700    81.61    0.538
18     -15.766      0.70     1.72047    34.71    0.583
19    -483.885      0.05
20(絞り)  ∞       -0.00
21*     31.326      1.93     1.53368    55.90    0.563
22*    336.567      0.43
23     129.510      5.53     1.49700    81.61    0.538
24     -16.383      0.69     1.72047    34.71    0.583
25      44.942      5.29     1.49700    81.61    0.538
26     -28.775     10.44
27*     43.477      3.20     1.84666    23.78    0.620
28*    108.100      8.65
29*     13.858      7.47     1.53368    55.90    0.563
30*    -48.612      1.07
31*     26.460      6.21     1.53368    55.90    0.563
32*      4.837      7.57
33*   -354.887      1.05     1.53368    55.90    0.563
34*    -13.673      1.18
35*    -10.332      1.47     1.53368    55.90    0.563
36*     10.221      2.00
37        ∞        0.30     1.51640    65.06    0.535
38        ∞        1.07
像面        ∞
非球面データ
第１面
k=-3.208
A4=-4.00276e-04,A6=-1.07790e-05,A8=-1.87287e-08  
第２面
k=7.798
A4=-2.75758e-04,A6=2.10308e-08,A8=-1.33321e-08  
第３面
k=-18.910
A4=-2.56423e-05,A6=8.98086e-08,A8=-7.50836e-10  
第４面
k=4.218
A4=-8.97703e-05,A6=6.34630e-09,A8=1.59473e-10  
第５面
k=2.825
A4=4.35005e-06,A6=-3.43208e-07,A8=1.63947e-09  
第６面
k=-1.000
A4=-2.56460e-06,A6=2.06882e-08,A8=5.97876e-10  
第７面
k=-1.000
A4=-3.77951e-06,A6=-6.33826e-09,A8=6.94696e-10  
第８面
k=-1.945
A4=3.71988e-06,A6=-6.66431e-08,A8=2.51358e-09  
第９面
k=-18.446
A4=-4.05634e-05,A6=-2.46856e-07,A8=2.65735e-09  
第１０面
k=-1.000
A4=1.06948e-06,A6=9.57333e-09,A8=3.53159e-11  
第１１面
k=-1.000
A4=9.00548e-08,A6=1.08965e-08,A8=2.56428e-11  
第１２面
k=-25.185
A4=1.20782e-05,A6=3.66535e-07,A8=-1.92641e-09  
第１３面
k=9.934
A4=-5.58480e-06,A6=3.40383e-07,A8=-7.89811e-10  
第１４面
k=0.011
A4=6.84867e-05,A6=2.15623e-08,A8=3.28107e-09  
第１５面
k=2.072
A4=1.58083e-05,A6=1.06906e-07,A8=3.45403e-09  
第１６面
k=-5.656
A4=-8.90526e-05,A6=-2.43611e-07,A8=1.71510e-09  
第２１面
k=0.012
A4=-4.60350e-06,A6=-1.00301e-07,A8=1.22359e-09  
第２２面
k=-1157.205
A4=2.04437e-05,A6=1.78478e-07,A8=1.96410e-10  
第２７面
k=0.320
A4=-1.89280e-06,A6=-5.83570e-08,A8=1.95523e-10  
第２８面
k=-177.199
A4=-1.76597e-05,A6=-2.74436e-08,A8=1.63913e-10  
第２９面
k=-1.424
A4=-4.44964e-05,A6=-1.14731e-07,A8=-1.32031e-09  
第３０面
k=-49.536
A4=-3.58778e-06,A6=-1.51652e-07,A8=-4.21497e-10  
第３１面
k=-11.097
A4=-4.01806e-05,A6=5.78536e-07,A8=-3.83048e-09  
第３２面
k=-1.067
A4=-5.14012e-05,A6=3.96589e-06,A8=5.12675e-10  
第３３面
k=-84.746
A4=-9.39725e-05,A6=2.40683e-06,A8=1.83664e-08  
第３４面
k=-19.376
A4=3.43366e-04,A6=1.79039e-06,A8=-6.69090e-09  
第３５面
k=-5.308
A4=2.75881e-04,A6=2.51333e-07,A8=1.18669e-08  
第３６面
k=-14.558
A4=-1.72642e-04,A6=1.29748e-06,A8=-2.49913e-08  
各種データ
ＮＡ                    0.80   
倍率                   -3.54   
焦点距離                3.60   
像高(mm)                7.39   
ｆｂ(mm) (in air)       3.27
全長(mm) (in air)      94.87
【１０５９】
数値実施例７４
単位ｍｍ
面データ
面番号       r          d         nd        νd      θgf
1*    -22.220     11.55     1.53368    55.90    0.563
2*   -110.607      0.80
3*     69.374      9.96     1.84666    23.77    0.620
4*    -55.648     11.12
5*    -53.462      3.04     1.58364    30.30    0.599
6*  -1333.696      0.30
7*     41.975     11.11     1.49700    81.61    0.538
8*    -33.586      6.66
9     -93.239      5.38     1.61800    63.33    0.544
10     -21.843      1.00     1.72047    34.71    0.583
11      39.981     13.59
12(絞り)  ∞        1.53
13     -61.889      1.00     1.72047    34.71    0.583
14      50.762      5.24     1.61800    63.33    0.544
15     -54.934      0.10
16*     59.467      7.14     1.49700    81.61    0.538
17*    -66.460      0.10
18*     82.096      7.55     1.49700    81.61    0.538
19*    -54.564      3.09
20*    -64.204      3.00     1.58364    30.30    0.599
21*    444.592      8.67
22*     71.214     10.98     1.63490    23.88    0.630
23*    -83.225     28.34
24*    -67.867      6.01     1.53368    55.90    0.563
25*   -608.925      5.07
26*    -29.940      1.00     1.53368    55.90    0.563
27*     92.925      5.00
28        ∞        0.30     1.51640    65.06    0.535
29        ∞        6.50
像面        ∞
非球面データ
第１面
k=-3.559
A4=7.43178e-07,A6=9.21714e-09,A8=5.34633e-12  
第２面
k=-56.705
A4=1.26171e-05,A6=-2.11058e-08,A8=1.11767e-11  
第３面
k=-0.891
A4=-4.74513e-07,A6=-1.03632e-10,A8=4.27759e-13  
第４面
k=-2.005
A4=-2.95949e-07,A6=1.71592e-09,A8=-1.02814e-12  
第５面
k=0.000
A4=1.12076e-06,A6=-3.15698e-09,A8=-9.10021e-12  
第６面
k=0.000
A4=-1.68052e-06,A6=-2.21792e-10,A8=-7.11388e-12  
第７面
k=-2.402
A4=-2.97163e-07,A6=-2.14703e-09,A8=5.48901e-12  
第８面
k=-3.764
A4=-7.20305e-07,A6=-1.04316e-09,A8=3.58089e-12  
第１６面
k=-0.278
A4=9.99889e-07,A6=-1.23318e-09,A8=-5.26020e-13  
第１７面
k=-0.949
A4=6.09329e-08,A6=-2.45917e-10,A8=8.84736e-16  
第１８面
k=3.430
A4=2.90794e-08,A6=5.65189e-10,A8=-6.39630e-16  
第１９面
k=-2.160
A4=-3.62571e-07,A6=-3.42492e-09,A8=-3.01979e-13  
第２０面
k=-0.380
A4=9.15647e-07,A6=-7.30470e-09,A8=-7.03078e-13  
第２１面
k=0.000
A4=1.54086e-06,A6=1.31932e-09,A8=6.29723e-16  
第２２面
k=-8.393
A4=1.48279e-07,A6=1.47956e-10,A8=2.41697e-13,A10=-4.40436e-16  
第２３面
k=0.000
A4=-1.31114e-06,A6=1.09844e-09,A8=-5.20796e-13,A10=1.48100e-16  
第２４面
k=-2.311
A4=-2.41567e-05,A6=2.27044e-08,A8=-4.28423e-11,A10=-3.47983e-14  
第２５面
k=0.000
A4=-4.10895e-06,A6=-3.67106e-09,A8=-4.04819e-11,A10=-2.16188e-17  
第２６面
k=0.000
A4=-1.11631e-06,A6=8.03468e-09,A8=-1.08760e-11,A10=2.40056e-17  
第２７面
k=-33.623
A4=-2.66905e-05,A6=4.78713e-08,A8=-7.55486e-11,A10=4.72095e-14  
各種データ
ＮＡ                    0.23   
倍率                   -1.33   
焦点距離               23.92   
像高(mm)               21.63   
ｆｂ(mm) (in air)      11.70
全長(mm) (in air)     175.01
【１０６０】
数値実施例７５
単位ｍｍ
面データ
面番号       r          d         nd        νd      θgf
1*    -18.167      3.69     1.53368    55.90    0.563
2*  -6801.076      0.08
3*     21.678      6.12     1.84666    23.77    0.620
4*   -284.362      0.36
5*     12.760      5.89     1.49700    81.61    0.538
6*    -83.302      2.65
7     -13.598      1.64     1.59522    67.74    0.544
8      -8.480      0.70     1.72047    34.71    0.583
9     110.487      4.96
10(絞り)  ∞        0.80
11     -48.292      0.70     1.72047    34.71    0.583
12      19.168      3.57     1.61800    63.33    0.544
13     -22.873      0.05
14*     28.235      4.20     1.49700    81.61    0.538
15*    -20.667      0.05
16*     30.523      4.86     1.49700    81.61    0.538
17*    -26.992      2.22
18*    -43.570      1.92     1.58364    30.30    0.599
19*     28.439      3.33
20*     37.236      3.81     1.63490    23.88    0.630
21*    -37.308     12.91
22*    -11.417      0.70     1.53368    55.90    0.563
23*    -54.620      3.52
24*    -15.141      1.00     1.53368    55.90    0.563
25*     52.853      1.42
26        ∞        0.30     1.51640    65.06    0.535
27        ∞        0.50
像面        ∞
非球面データ
第１面
k=-4.386
A4=8.13964e-05  
第２面
k=-48.345
A4=-1.43933e-04,A6=-8.00000e-08  
第３面
k=-0.148
A4=2.62435e-05,A6=7.46587e-08  
第４面
k=-2.471
A4=1.13156e-04,A6=-3.03432e-07  
第５面
k=0.000
A4=-3.28501e-05  
第６面
k=0.000
A4=1.86975e-04,A6=1.18474e-06  
第１４面
k=-0.451
A4=-7.69062e-06,A6=-1.43734e-08  
第１５面
k=-1.249
A4=2.02493e-05,A6=4.19132e-09  
第１６面
k=0.000
A4=-8.45589e-06,A6=8.20795e-08  
第１７面
k=-1.911
A4=-3.58629e-05,A6=5.27389e-08  
第１８面
k=-0.212
A4=-6.84952e-05,A6=-5.77815e-08  
第１９面
k=0.000
A4=-4.80004e-05,A6=-6.13427e-08  
第２０面
k=-6.911
A4=3.04669e-05,A6=-1.68754e-07  
第２１面
k=0.000
A4=1.99883e-06,A6=-1.14266e-08  
第２２面
k=0.000
A4=-3.55672e-05,A6=1.28738e-06  
第２３面
k=0.000
A4=7.71680e-05  
第２４面
k=0.000
A4=1.41483e-04,A6=1.00000e-07  
第２５面
k=-200.000
A4=-1.00622e-04,A6=-2.32970e-07  
各種データ
ＮＡ                    0.23   
倍率                   -1.33   
焦点距離                8.65   
像高(mm)               10.82   
ｆｂ(mm) (in air)       2.12
全長(mm) (in air)      71.86
【１０６１】
数値実施例７６
単位ｍｍ
面データ
面番号       r          d         nd        νd      θgf
1*     -6.594      2.71     1.53368    55.90    0.563
2*    -15.141      0.05
3*     22.089      3.91     1.84666    23.77    0.620
4*    -18.712      2.70
5*    -17.254      1.10     1.58364    30.30    0.599
6*     34.657      0.11
7*     12.140      3.83     1.49700    81.61    0.538
8*    -10.668      1.93
9     -37.991      1.88     1.61800    63.33    0.544
10      -6.858      0.70     1.72047    34.71    0.583
11      12.533      3.26
12(絞り)  ∞        0.31
13     -25.651      0.70     1.72047    34.71    0.583
14      12.946      2.21     1.61800    63.33    0.544
15     -21.372      0.05
16*     25.619      3.07     1.49700    81.61    0.538
17*    -16.426      0.05
18*     23.987      3.45     1.49700    81.61    0.538
19*    -18.969      0.05
20*    -67.273      1.10     1.58364    30.30    0.599
21*     23.516      0.82
22*     23.296      3.10     1.63490    23.88    0.630
23*    -29.511     11.11
24*    -16.767      0.50     1.53368    55.90    0.563
25*    -22.808      1.74
26*     -7.454      0.50     1.53368    55.90    0.563
27*     39.382      2.00
28        ∞        0.40     1.51640    65.06    0.535
29        ∞        2.09
像面        ∞
非球面データ
第１面
k=-3.337
A4=7.81336e-05,A6=7.26382e-07,A8=2.76889e-08  
第２面
k=-12.283
A4=1.65761e-04,A6=-4.78004e-06,A8=1.77405e-08  
第３面
k=-0.001
A4=2.82582e-06,A6=6.40852e-09,A8=4.33750e-09  
第４面
k=-3.772
A4=3.75820e-05,A6=3.81325e-07,A8=-1.37171e-09  
第５面
k=0.000
A4=7.52926e-05,A6=-1.78578e-06,A8=-1.36686e-08  
第６面
k=0.000
A4=-5.68162e-05,A6=-5.39505e-07,A8=-3.46650e-08  
第７面
k=-2.416
A4=-3.38395e-05,A6=-3.57963e-07,A8=2.59868e-08  
第８面
k=-4.028
A4=2.66890e-05,A6=7.32902e-07,A8=2.65023e-08  
第１６面
k=-0.019
A4=8.97367e-05,A6=-1.03233e-06,A8=7.72299e-09  
第１７面
k=-1.855
A4=1.90242e-05,A6=-6.72839e-07  
第１８面
k=0.000
A4=9.30171e-06,A6=3.12746e-07  
第１９面
k=-1.268
A4=-1.75825e-05,A6=-1.24240e-07,A8=6.25523e-09  
第２０面
k=0.000
A4=-2.42353e-06,A6=-2.15990e-06,A8=7.78426e-09  
第２１面
k=0.000
A4=2.55273e-05,A6=-1.61257e-08  
第２２面
k=-7.622
A4=-3.41674e-06,A6=-3.51619e-08,A8=5.04095e-09,A10=-4.72437e-11  
第２３面
k=0.000
A4=-8.30630e-05,A6=3.95126e-08,A8=3.41864e-09,A10=-2.19047e-11  
第２４面
k=0.000
A4=-6.73311e-04,A6=3.53688e-06,A8=6.26103e-08,A10=-2.83370e-09  
第２５面
k=-31.496
A4=-2.03990e-04,A6=-1.56737e-06,A8=-7.81513e-08  
第２６面
k=0.000
A4=4.15201e-04,A6=-1.51111e-06,A8=1.73325e-09  
第２７面
k=-182.577
A4=-7.13102e-04,A6=1.05027e-05,A8=-1.26316e-07,A10=-4.92836e-11  
各種データ
ＮＡ                    0.23   
倍率                   -1.34   
焦点距離                7.83   
像高(mm)                7.46   
ｆｂ(mm) (in air)       4.36
全長(mm) (in air)      55.30
【１０６２】
数値実施例７７
単位ｍｍ
面データ
面番号       r          d         nd        νd      θgf
1*     -5.961      2.31     1.53368    55.90    0.563
2*    -24.609      0.05
3*     17.837      2.80     1.84666    23.77    0.620
4*    -14.424      1.82
5*    -15.035      0.46     1.58364    30.30    0.599
6*   3512.460      0.05
7*      9.702      3.32     1.49700    81.61    0.538
8*     -7.673      0.99
9     -31.622      1.50     1.61800    63.33    0.544
10      -5.784      0.70     1.72047    34.71    0.583
11       9.829      3.18
12(絞り)  ∞        0.25
13     -19.695      0.70     1.72047    34.71    0.583
14      12.012      1.60     1.61800    63.33    0.544
15     -12.780      0.05
16*     18.475      2.02     1.49700    81.61    0.538
17*    -13.500      0.05
18*     11.482      2.43     1.49700    81.61    0.538
19*    -27.656      0.49
20*    -13.626      0.52     1.58364    30.30    0.599
21*   -361.234      1.85
22*     16.895      1.87     1.63490    23.88    0.630
23*    -23.260      5.30
24*     -7.198      0.46     1.53368    55.90    0.563
25*    -10.330      1.16
26*     -5.492      0.50     1.53368    55.90    0.563
27*     18.144      2.00
28        ∞        0.30     1.51640    65.06    0.535
29        ∞        0.81
像面        ∞
非球面データ
第１面
k=-3.978
A4=6.83164e-05,A6=1.94032e-05,A8=1.33454e-07  
第２面
k=-58.626
A4=7.53903e-04,A6=-2.26638e-05,A8=1.17000e-07  
第３面
k=-1.266
A4=-2.77500e-05,A6=6.78520e-07,A8=4.37879e-09  
第４面
k=-3.007
A4=1.25194e-05,A6=2.27427e-06,A8=9.94944e-10  
第５面
k=0.000
A4=1.27950e-04,A6=-1.46201e-06,A8=-1.05504e-07  
第６面
k=0.000
A4=-1.14481e-04,A6=-3.81661e-07,A8=-1.23805e-07  
第７面
k=-1.950
A4=-9.72173e-06,A6=-4.81006e-06,A8=1.46505e-07  
第８面
k=-4.052
A4=1.27783e-05,A6=1.17082e-06,A8=9.41636e-08  
第１６面
k=-2.587
A4=7.94127e-05,A6=2.33251e-09,A8=-2.69891e-08  
第１７面
k=0.444
A4=-2.36239e-05,A6=3.53777e-07  
第１８面
k=0.000
A4=2.69183e-05,A6=7.42095e-07  
第１９面
k=-0.016
A4=-7.15117e-05,A6=-3.49750e-06,A8=-9.15827e-10  
第２０面
k=-1.384
A4=8.37580e-05,A6=-8.92246e-06,A8=7.34778e-08  
第２１面
k=0.000
A4=5.59543e-05,A6=-9.82470e-07  
第２２面
k=-9.050
A4=2.70247e-05,A6=7.50428e-07,A8=-7.24965e-08,A10=1.48867e-10  
第２３面
k=0.000
A4=-3.00084e-05,A6=-9.41421e-07,A8=-1.23680e-08,A10=-4.67028e-10  
第２４面
k=-0.035
A4=-1.97646e-03,A6=3.98966e-05,A8=-7.44586e-07,A10=-1.49643e-08  
第２５面
k=0.000
A4=3.47230e-05,A6=-6.91721e-06,A8=-6.57343e-08  
第２６面
k=0.000
A4=3.62836e-06,A6=9.62479e-06,A8=-6.05415e-07  
第２７面
k=-77.408
A4=-1.88100e-03,A6=3.52845e-05,A8=-1.48363e-06,A10=1.10111e-08  
各種データ
ＮＡ                    0.22   
倍率                   -1.34   
焦点距離                5.46   
像高(mm)                5.33   
ｆｂ(mm) (in air)       3.01
全長(mm) (in air)      39.44
【１０６３】
数値実施例７８
単位ｍｍ
面データ
面番号       r          d         nd        νd      θgf
1*     -5.094      2.25     1.53368    55.90    0.563
2*    -21.978      0.05
3*     14.759      2.61     1.84666    23.77    0.620
4*    -12.484      1.35
5*    -12.647      0.50     1.58364    30.30    0.599
6*   -300.282      0.05
7*      8.853      2.98     1.49700    81.61    0.538
8*     -6.900      0.75
9     -25.846      1.61     1.61800    63.33    0.544
10      -5.005      0.70     1.72047    34.71    0.583
11       8.524      2.75
12(絞り)  ∞        0.24
13     -16.089      0.70     1.72047    34.71    0.583
14      10.367      1.58     1.61800    63.33    0.544
15     -11.398      0.05
16*     14.113      1.91     1.49700    81.61    0.538
17*    -13.179      0.05
18*     12.193      2.41     1.49700    81.61    0.538
19*    -16.975      0.56
20*    -11.963      0.46     1.58364    30.30    0.599
21*  -1533.737      1.63
22*     14.750      1.84     1.63490    23.88    0.630
23*    -19.850      4.58
24*     -8.763      0.50     1.53368    55.90    0.563
25*    -22.584      1.25
26*     -5.430      0.50     1.53368    55.90    0.563
27*     17.171      1.00
28        ∞        0.30     1.51640    65.06    0.535
29        ∞        1.30
像面        ∞
非球面データ
第１面
k=-3.753
A4=1.53644e-04,A6=3.51095e-05,A8=3.76371e-07  
第２面
k=-52.983
A4=1.19282e-03,A6=-4.36922e-05,A8=4.49809e-07  
第３面
k=-1.023
A4=-4.33927e-05,A6=1.26681e-06,A8=1.69670e-08  
第４面
k=-2.862
A4=8.92430e-06,A6=4.43110e-06,A8=-2.90479e-08  
第５面
k=0.000
A4=1.82796e-04,A6=-3.80553e-06,A8=-3.13184e-07  
第６面
k=0.000
A4=-1.74059e-04,A6=-1.12245e-06,A8=-3.34962e-07  
第７面
k=-2.012
A4=1.52723e-05,A6=-8.41101e-06,A8=3.66174e-07  
第８面
k=-3.986
A4=8.69409e-06,A6=1.21957e-06,A8=2.32185e-07  
第１６面
k=-1.895
A4=1.31025e-04,A6=-4.14291e-07,A8=-1.11771e-07  
第１７面
k=-0.030
A4=5.11989e-06,A6=1.41228e-06  
第１８面
k=0.000
A4=3.58772e-05,A6=3.68790e-06  
第１９面
k=-0.665
A4=-9.13946e-05,A6=-9.02423e-06,A8=-1.32639e-07  
第２０面
k=-0.869
A4=9.86704e-05,A6=-1.97220e-05,A8=3.10896e-08  
第２１面
k=0.000
A4=1.09340e-04,A6=1.74012e-06  
第２２面
k=-7.881
A4=4.76596e-05,A6=1.36921e-06,A8=-6.41081e-08,A10=-1.98830e-09  
第２３面
k=0.000
A4=-1.16502e-04,A6=-1.10099e-07,A8=-1.34141e-08,A10=-1.23320e-09  
第２４面
k=-0.003
A4=-2.69363e-03,A6=5.72972e-05,A8=-2.11668e-06,A10=-1.79590e-08  
第２５面
k=0.000
A4=-1.49191e-04,A6=-1.19921e-05,A8=-8.57893e-07  
第２６面
k=0.000
A4=-2.57594e-04,A6=1.16204e-05,A8=-9.02596e-07  
第２７面
k=-68.041
A4=-2.65930e-03,A6=7.91869e-05,A8=-3.96242e-06,A10=4.79066e-08  
各種データ
ＮＡ                    0.23   
倍率                   -1.33   
焦点距離                4.88   
像高(mm)                4.75   
ｆｂ(mm) (in air)       2.50
全長(mm) (in air)      36.35
【１０６４】
数値実施例７９
単位ｍｍ
面データ
面番号       r          d         nd        νd      θgf
1*     29.347      3.01     1.84666    23.77    0.620
2*    -36.004      0.10
3    -397.741      0.70     1.65412    39.68    0.574
4      21.124      0.10
5*     19.426      4.27     1.49700    81.61    0.538
6     -31.982      0.10
7      20.342      3.53     1.49700    81.61    0.538
8*    -22.961      0.10
9    -172.666      2.93     1.61800    63.33    0.544
10     -11.505      0.70     1.72047    34.71    0.583
11      24.226      0.79
12(絞り)  ∞        0.17
13    -243.374      0.70     1.90366    31.32    0.595
14       9.660      3.41     1.61800    63.33    0.544
15     -43.351      0.10
16*     11.180      4.50     1.49700    81.61    0.538
17* -10186.757      8.48
18*    719.997      0.70     1.49700    81.61    0.538
19*     13.006      6.32
20*     13.192      3.44     1.58364    30.30    0.599
21*    -15.080      3.70
22*     -9.430      0.81     1.49700    81.61    0.538
23*     10.877      2.39
24*    -10.747      0.51     1.53368    55.90    0.563
25*  -3339.876      1.75
26        ∞        0.38     1.51640    65.06    0.535
27        ∞        0.50
像面        ∞
非球面データ
第１面
k=0.000
A4=1.00145e-05  
第２面
k=0.000
A4=4.66734e-05  
第５面
k=0.699
A4=2.24508e-05  
第８面
k=0.000
A4=8.05284e-05  
第１６面
k=-0.579
A4=7.50799e-06  
第１７面
k=0.000
A4=-8.03928e-05  
第１８面
k=0.000
A4=2.62042e-04  
第１９面
k=0.000
A4=2.02927e-08  
第２０面
k=0.000
A4=1.22996e-05  
第２１面
k=0.000
A4=1.31433e-04  
第２２面
k=0.000
A4=1.29005e-10  
第２３面
k=0.000
A4=-8.96164e-11  
第２４面
k=0.000
A4=3.63415e-11  
第２５面
k=0.000
A4=-8.06302e-04,A6=-6.85664e-06  
各種データ
ＮＡ                    0.38   
倍率                   -2.20   
焦点距離                5.02   
像高(mm)                4.92   
ｆｂ(mm) (in air)       2.50
全長(mm) (in air)      54.08
【１０６５】
数値実施例８０
単位ｍｍ
面データ
面番号       r          d         nd        νd      θgf
1      -4.006      2.23     1.53368    55.90    0.563
2*     -5.643      0.10
3*     25.874      2.62     1.84666    23.77    0.620
4      -8.470      0.46
5      -9.951      0.50     1.58364    30.30    0.599
6      31.833      0.10
7*     15.267      2.87     1.49700    81.61    0.538
8*     -7.030      0.10
9      11.408      2.73     1.61800    63.33    0.544
10      -5.135      0.70     1.72047    34.71    0.583
11       5.898      1.39
12(絞り)  ∞        0.95
13     -13.978      0.70     1.72047    34.71    0.583
14      12.361      2.62     1.61800    63.33    0.544
15      -9.042      0.05
16*     13.037      3.38     1.49700    81.61    0.538
17*     -8.022      1.85
18*     60.912      0.50     1.58364    30.30    0.599
19*     10.361      4.64
20*      7.593      2.80     1.63490    23.88    0.630
21      57.244      3.84
22      -9.323      0.50     1.53368    55.90    0.563
23     402.242      1.68
24      -6.000      0.50     1.53368    55.90    0.563
25*     39.607      0.90
26        ∞        0.30     1.51640    65.06    0.535
27        ∞        0.50
像面        ∞
非球面データ
第２面
k=0.000
A4=2.35623e-04  
第３面
k=0.000
A4=-2.82645e-04  
第７面
k=0.000
A4=-2.81954e-05  
第８面
k=0.000
A4=5.97163e-04  
第１６面
k=0.000
A4=-3.21151e-04  
第１７面
k=0.000
A4=4.81608e-05  
第１８面
k=0.000
A4=1.49059e-04  
第１９面
k=0.000
A4=-1.11086e-04  
第２０面
k=0.000
A4=-1.48114e-04  
第２５面
k=0.000
A4=-8.65591e-04,A6=-1.95796e-05  
各種データ
ＮＡ                    0.32   
倍率                   -2.00   
焦点距離                3.72   
像高(mm)                3.87   
ｆｂ(mm) (in air)       1.60
全長(mm) (in air)      39.40
【１０６６】
数値実施例８１
単位ｍｍ
面データ
面番号       r          d         nd        νd      θgf
1      -4.999      2.50     1.53368    55.90    0.563
2*     -7.791      0.10
3*     26.421      2.58     1.84666    23.77    0.620
4      -8.717      0.45
5     -16.546      0.50     1.58364    30.30    0.599
6       7.490      0.18
7*      7.494      3.51     1.49700    81.61    0.538
8*     -6.731      0.10
9       8.184      2.60     1.61800    63.33    0.544
10      -9.417      0.70     1.72047    34.71    0.583
11       5.248      1.23
12(絞り)  ∞        1.08
13      -8.120      0.70     1.72047    34.71    0.583
14     263.853      2.25     1.61800    63.33    0.544
15      -8.897      0.05
16*     14.031      3.32     1.49700    81.61    0.538
17*     -8.260      0.05
18*     16.860      1.79     1.49700    81.61    0.538
19*     32.221      0.80
20*     38.453      0.50     1.58364    30.30    0.599
21*      8.351      3.63
22*      6.933      2.65     1.63490    23.88    0.630
23      26.183      4.93
24      -6.000      0.50     1.53368    55.90    0.563
25*     12.318      2.01
26        ∞        0.30     1.51640    65.06    0.535
27        ∞        0.50
像面        ∞
非球面データ
第２面
k=0.000
A4=1.99427e-04  
第３面
k=0.000
A4=-3.99767e-04  
第７面
k=0.000
A4=-2.57298e-04  
第８面
k=0.000
A4=4.27793e-04  
第１６面
k=0.000
A4=-2.36647e-04  
第１７面
k=0.000
A4=-2.67152e-05  
第１８面
k=0.000
A4=2.23589e-09  
第１９面
k=0.000
A4=-2.43051e-09  
第２０面
k=0.000
A4=-1.76676e-04  
第２１面
k=0.000
A4=-4.16810e-04  
第２２面
k=0.000
A4=-2.89542e-04  
第２５面
k=0.000
A4=-8.76890e-04,A6=6.34071e-06  
各種データ
ＮＡ                    0.32   
倍率                   -2.00   
焦点距離                4.27   
像高(mm)                3.87   
ｆｂ(mm) (in air)       2.70
全長(mm) (in air)      39.40
【１０６７】
数値実施例８２
単位ｍｍ
面データ
面番号       r          d         nd        νd      θgf
1      -5.000      2.61     1.53368    55.90    0.563
2*     -6.052      0.10
3*     29.971      2.45     1.84666    23.77    0.620
4      -8.900      0.10
5     -12.880      0.50     1.58364    30.30    0.599
6      15.407      0.28
7*     14.854      2.80     1.49700    81.61    0.538
8*     -7.113      0.10
9      10.444      2.55     1.61800    63.33    0.544
10      -6.908      0.70     1.72047    34.71    0.583
11       5.463      1.42
12(絞り)  ∞        1.00
13     -10.334      0.70     1.72047    34.71    0.583
14      16.417      2.68     1.61800    63.33    0.544
15      -7.780      0.05
16*     12.572      3.57     1.49700    81.61    0.538
17*     -7.222      1.66
18*   -222.930      0.50     1.58364    30.30    0.599
19*      9.006      3.98
20*      7.379      2.73     1.63490    23.88    0.630
21      40.501      5.73
22      -6.000      0.50     1.53368    55.90    0.563
23*     11.000      2.01
24        ∞        0.30     1.51640    65.06    0.535
25        ∞        0.50
像面        ∞
非球面データ
第２面
k=0.000
A4=-1.05936e-11  
第３面
k=0.000
A4=-3.54087e-04  
第７面
k=0.000
A4=-4.91474e-04  
第８面
k=0.000
A4=2.22934e-04  
第１６面
k=0.000
A4=-5.25327e-04  
第１７面
k=0.000
A4=1.12098e-04  
第１８面
k=0.000
A4=-1.70703e-05  
第１９面
k=0.000
A4=-4.89824e-04  
第２０面
k=0.000
A4=-3.06971e-04  
第２３面
k=0.000
A4=-1.00102e-03,A6=-4.72860e-06  
各種データ
ＮＡ                    0.32   
倍率                   -2.00   
焦点距離                4.22   
像高(mm)                3.87   
ｆｂ(mm) (in air)       2.70
全長(mm) (in air)      39.40
【１０６８】
数値実施例８３
単位ｍｍ
面データ
面番号       r          d         nd        νd      θgf
1*     -8.255      2.60     1.53368    55.90    0.563
2*    -14.196      1.24
3*    101.410      6.01     1.84666    23.77    0.620
4*    -20.773      6.49
5*    -16.458      1.50     1.58364    30.30    0.599
6*    115.582      0.05
7*     25.167      4.74     1.49700    81.61    0.538
8*    -58.962      0.05
9*    108.206      3.90     1.49700    81.61    0.538
10*    -18.035      2.69
11     262.420      3.93     1.61800    63.33    0.544
12     -14.956      0.59     1.72047    34.71    0.583
13      30.541      6.11
14(絞り)  ∞        1.38
15     -26.136      0.63     1.72047    34.71    0.583
16      63.605      2.51     1.61800    63.33    0.544
17     -37.610      0.05
18*     76.408      4.37     1.49700    81.61    0.538
19*    -22.777      0.05
20*     44.456      5.20     1.49700    81.61    0.538
21*    -44.738      3.37
22*    -32.651      0.69     1.58364    30.30    0.599
23*   -325.190      0.05
24*     27.615      4.73     1.63490    23.88    0.630
25*   -102.253     19.80
26*    -14.459      0.70     1.53368    55.90    0.563
27*   -111.000      2.16
28*    -17.656      1.10     1.53368    55.90    0.563
29*    110.376      1.20
30        ∞        0.30     1.51640    65.06    0.535
31        ∞        0.50
像面        ∞
非球面データ
第１面
k=-1.539
A4=1.48943e-05,A6=-3.89277e-07,A8=-3.16495e-10  
第２面
k=-2.553
A4=8.26430e-05,A6=-3.70903e-07,A8=-4.35290e-10  
第３面
k=0.000
A4=5.57538e-06,A6=3.09183e-09,A8=-7.06884e-12  
第４面
k=-0.148
A4=1.09741e-05,A6=4.10988e-08,A8=-1.79459e-11  
第５面
k=-0.223
A4=2.76548e-06,A6=9.37309e-08,A8=1.06388e-10  
第６面
k=-29.473
A4=-5.12018e-06,A6=-1.66723e-08,A8=2.66467e-10  
第７面
k=-2.649
A4=2.86256e-06,A6=6.93196e-08,A8=2.24500e-10  
第８面
k=0.000
A4=4.46646e-06,A6=2.43563e-08  
第９面
k=0.000
A4=-6.36933e-06,A6=-6.27240e-09  
第１０面
k=-3.004
A4=8.21883e-06,A6=8.91877e-08,A8=6.92116e-11  
第１８面
k=0.000
A4=5.10610e-06,A6=-7.42857e-08,A8=-1.54961e-11  
第１９面
k=0.000
A4=3.08416e-06,A6=2.25200e-08,A8=-1.04000e-10  
第２０面
k=0.000
A4=4.03758e-06,A6=3.78128e-09,A8=-8.78028e-11  
第２１面
k=0.001
A4=-8.30957e-06,A6=-7.77920e-08,A8=-7.06650e-12  
第２２面
k=0.000
A4=1.08913e-06,A6=-3.06879e-08,A8=-1.47637e-11  
第２３面
k=-1487.500
A4=1.34349e-06,A6=1.87699e-08,A8=1.46137e-11  
第２４面
k=-1.292
A4=4.79292e-06,A6=9.60595e-10,A8=1.17371e-10  
第２５面
k=-27.655
A4=6.98089e-06,A6=1.06437e-08  
第２６面
k=-0.383
A4=-7.30149e-05,A6=4.72395e-07,A8=-3.56824e-09  
第２７面
k=0.000
A4=3.59150e-05,A6=-3.31847e-07,A8=-8.89867e-10  
第２８面
k=0.000
A4=5.68566e-05  
第２９面
k=-1058.583
A4=-1.26430e-04,A6=-5.45019e-09,A8=6.66594e-11  
各種データ
ＮＡ                    0.33   
倍率                   -1.32   
焦点距離                9.91   
像高(mm)               10.82   
ｆｂ(mm) (in air)       1.90
全長(mm) (in air)      88.59
【１０６９】
数値実施例８４
単位ｍｍ
面データ
面番号       r          d         nd        νd      θgf
1       5.522      3.32     1.49700    81.54    0.537
2      -4.753      0.70     1.72047    34.71    0.583
3      -6.534      0.05
4*    -11.725      1.03     1.53368    55.90    0.563
5*     -2.515      0.35
6*      2.408      1.07     1.58364    30.30    0.599
7*      1.032      1.34
8(絞り)  ∞       -0.63
9*      2.834      1.69     1.49700    81.54    0.537
10*     -7.273      0.11
11*    -52.231      0.42     1.58364    30.30    0.599
12*      3.627      2.78
13*    -10.317      0.64     1.53368    55.90    0.563
14*    -20.884      0.43
15*     36.783      0.98     1.58364    30.30    0.599
16*     70.302      0.36
17*   -113.857      2.13     1.53368    55.90    0.563
18*     -2.520      0.73
19*      5.467      1.41     1.53368    55.90    0.563
20*      1.773      3.00
21        ∞        0.30     1.51640    65.06    0.535
22        ∞        2.68
像面        ∞
非球面データ
第４面
k=-2.346
A4=-5.47816e-04,A6=-1.85200e-05,A8=-1.11713e-06  
第５面
k=-4.656
A4=-1.45735e-03,A6=1.26259e-04,A8=-9.07838e-07  
第６面
k=-0.427
A4=-1.37657e-02,A6=1.04387e-03,A8=-1.43077e-04  
第７面
k=-1.871
A4=1.08273e-02,A6=-1.21053e-04,A8=-1.09274e-04  
第９面
k=-1.286
A4=-9.36741e-04,A6=5.67573e-04,A8=9.10428e-05  
第１０面
k=-2.245
A4=-4.60559e-03,A6=8.95601e-04,A8=6.69421e-06  
第１１面
k=-934.669
A4=-1.82784e-02,A6=2.13051e-03,A8=-1.14784e-04  
第１２面
k=-5.112
A4=-4.07687e-04,A6=-4.69186e-04,A8=1.51357e-04  
第１３面
k=-0.526
A4=-3.38283e-04,A6=3.66199e-05,A8=6.67864e-06  
第１４面
k=-0.958
A4=2.56611e-04,A6=-1.97950e-05,A8=-3.52754e-07  
第１５面
k=-0.461
A4=-4.06730e-05,A6=6.44269e-06,A8=-9.11321e-07  
第１６面
k=-633.160
A4=-8.54163e-03,A6=7.70310e-04,A8=-2.24802e-05  
第１７面
k=-9931.442
A4=-9.69825e-03,A6=9.38022e-04,A8=-3.70711e-05  
第１８面
k=-3.263
A4=-3.49796e-03,A6=2.98375e-04,A8=-1.72732e-05  
第１９面
k=0.012
A4=-2.75744e-03,A6=1.27065e-04,A8=-1.14029e-05  
第２０面
k=-2.861
A4=-1.60534e-03,A6=1.89038e-04,A8=-1.72789e-05  
各種データ
ＮＡ                    0.42   
倍率                   -2.54   
焦点距離                5.60   
像高(mm)                2.82   
ｆｂ(mm) (in air)       5.88
全長(mm) (in air)      24.78
【１０７０】
数値実施例８５
単位ｍｍ
面データ
面番号       r          d         nd        νd      θgf
1*     -5.514      1.29     1.53368    55.90    0.563
2*    -11.922      0.05
3*      5.778      1.67     1.63490    23.88    0.630
4*    -29.284      0.05
5*      4.017      1.87     1.49700    81.61    0.538
6*    -15.570      0.05
7      34.714      1.69     1.61800    63.33    0.544
8      -3.637      0.50     1.72047    34.71    0.583
9       6.126      0.50
10(絞り)  ∞        0.57
11      -4.026      0.50     1.72047    34.71    0.583
12       6.286      2.41     1.61800    63.33    0.544
13      -4.605      0.05
14*      4.993      3.09     1.49700    81.61    0.538
15*    -10.575      4.34
16*     -3.072      0.50     1.58364    30.30    0.599
17*     12.916      3.27
18*     34.808      2.40     1.63490    23.88    0.630
19*     -5.789      0.05
20*      5.466      3.30     1.53368    55.90    0.563
21*      2.769      2.00
22        ∞        0.30     1.51640    65.06    0.535
23        ∞        1.21
像面        ∞
非球面データ
第１面
k=-12.202
A4=1.84539e-03,A6=3.72790e-04,A8=-1.11934e-05  
第２面
k=-1.452
A4=1.42284e-04,A6=-2.93804e-05,A8=1.26134e-05  
第３面
k=-0.043
A4=2.43901e-04,A6=-5.83025e-06,A8=2.13535e-06  
第４面
k=-234.585
A4=3.56864e-04,A6=4.51097e-05,A8=6.12625e-07  
第５面
k=-2.940
A4=-8.89164e-04,A6=-7.32674e-05,A8=-4.90767e-06  
第６面
k=4.395
A4=2.86421e-05,A6=-8.09298e-05,A8=-2.56197e-06  
第１４面
k=-0.616
A4=-4.85884e-04,A6=-3.21813e-06,A8=-2.60788e-07  
第１５面
k=0.121
A4=3.77898e-05,A6=-2.13024e-05,A8=5.58090e-07  
第１６面
k=-0.444
A4=2.49937e-03,A6=-2.65748e-05,A8=-3.54361e-06  
第１７面
k=0.000
A4=1.53490e-03,A6=1.15188e-04,A8=-1.26803e-05  
第１８面
k=-55.238
A4=-4.63820e-04,A6=-5.23030e-05,A8=4.97870e-07,A10=3.80003e-08  
第１９面
k=-0.135
A4=7.41400e-05,A6=7.36376e-06,A8=-1.55794e-06,A10=3.62379e-08  
第２０面
k=-1.532
A4=-8.00176e-04,A6=6.13990e-05,A8=2.02773e-06,A10=-7.50573e-10  
第２１面
k=-0.303
A4=-7.75557e-03,A6=1.59034e-05,A8=-1.60847e-06,A10=-3.30506e-07  
各種データ
ＮＡ                    0.40   
倍率                   -2.58   
焦点距離                6.09   
像高(mm)                2.86   
ｆｂ(mm) (in air)       3.40
全長(mm) (in air)      31.54
【１０７１】
数値実施例８６
単位ｍｍ
面データ
面番号       r          d         nd        νd      θgf
1*     -2.994      0.88     1.53368    55.90    0.563
2*     -8.073      0.05
3*      6.018      1.86     1.63490    23.88    0.630
4*    -20.490      0.05
5*      3.224      2.35     1.49700    81.61    0.538
6*    -12.832      0.05
7     -29.415      1.62     1.61800    63.33    0.544
8      -3.584      0.50     1.72047    34.71    0.583
9       8.995      0.50
10(絞り)  ∞        0.63
11      -4.307      0.50     1.72047    34.71    0.583
12       7.428      2.35     1.61800    63.33    0.544
13      -4.986      0.05
14*      4.490      3.26     1.49700    81.61    0.538
15*    -11.421      3.45
16*     -3.264      0.50     1.58364    30.30    0.599
17*     16.176      2.44
18*     30.183      2.05     1.63490    23.88    0.630
19*     -5.566      0.05
20*      4.781      3.10     1.53368    55.90    0.563
21*      2.375      2.00
22        ∞        0.30     1.51640    65.06    0.535
23        ∞        0.80
像面        ∞
非球面データ
第１面
k=-3.628
A4=2.21200e-03,A6=-2.31748e-04,A8=5.92955e-05  
第２面
k=-4.147
A4=1.98768e-04,A6=-1.64515e-04,A8=1.62766e-05  
第３面
k=-0.230
A4=1.23394e-04,A6=5.43421e-06,A8=4.73002e-06  
第４面
k=-128.688
A4=2.32019e-05,A6=4.04905e-05,A8=8.00733e-06  
第５面
k=-2.606
A4=-3.31913e-04,A6=5.07700e-06,A8=-4.37050e-06  
第６面
k=6.614
A4=-1.77928e-04,A6=-3.96916e-05,A8=-5.59983e-07  
第１４面
k=-0.665
A4=-6.37173e-04,A6=3.43918e-06,A8=-3.68651e-07  
第１５面
k=-0.288
A4=6.95438e-05,A6=-1.77347e-05,A8=4.94606e-07  
第１６面
k=-0.710
A4=4.67166e-03,A6=-3.63236e-04,A8=1.79484e-05  
第１７面
k=-0.162
A4=4.32027e-03,A6=-4.81582e-05,A8=5.13546e-06  
第１８面
k=-0.001
A4=-2.62657e-04,A6=-2.72183e-04,A8=8.71964e-06,A10=1.73439e-07  
第１９面
k=0.002
A4=-3.81707e-04,A6=-1.42470e-05,A8=-2.09683e-06,A10=8.83630e-08  
第２０面
k=-2.233
A4=-1.78749e-03,A6=1.38140e-04,A8=1.79702e-05,A10=-6.32913e-07  
第２１面
k=-0.253
A4=-1.47421e-02,A6=2.66260e-04,A8=-2.46439e-06,A10=3.18446e-07  
各種データ
ＮＡ                    0.40   
倍率                   -1.99   
焦点距離                5.65   
像高(mm)                2.30   
ｆｂ(mm) (in air)       3.00
全長(mm) (in air)      29.24
【１０７２】
数値実施例８７
単位ｍｍ
面データ
面番号       r          d         nd        νd      θgf
1*     -3.798      1.90     1.53368    55.90    0.563
2*     -6.396      0.05
3*      7.086      2.06     1.63490    23.88    0.630
4*     -9.324      0.18
5*      3.430      2.38     1.49700    81.61    0.538
6*    -13.065      0.06
7     -11.385      1.90     1.61800    63.33    0.544
8      -3.594      0.50     1.72047    34.71    0.583
9      16.094      0.33
10(絞り)  ∞        0.33
11     -16.057      0.50     1.72047    34.71    0.583
12       5.835      2.86     1.61800    63.33    0.544
13      -8.690      0.05
14*      6.232      4.02     1.49700    81.61    0.538
15*     -9.315      3.51
16*     -4.074      3.92     1.58364    30.30    0.599
17*     -8.282      2.17
18*    -13.370      2.21     1.63490    23.88    0.630
19*     -7.760      1.21
20*      3.535      3.61     1.53368    55.90    0.563
21*      1.476      4.00
22        ∞        0.30     1.51640    65.06    0.535
23        ∞        1.33
像面        ∞
非球面データ
第１面
k=-0.655
A4=-2.80796e-04,A6=-9.63910e-03,A8=4.92454e-03  
第２面
k=5.942
A4=-1.18699e-02,A6=7.12983e-04,A8=-1.53686e-04  
第３面
k=-0.447
A4=-1.97368e-04,A6=6.28902e-05,A8=-7.46102e-07  
第４面
k=-16.463
A4=4.48373e-04,A6=1.18444e-04,A8=-4.32048e-06  
第５面
k=-2.743
A4=-6.97098e-04,A6=-3.36286e-05,A8=2.94162e-07  
第６面
k=9.641
A4=-8.56705e-04,A6=-1.66634e-05,A8=4.35943e-06  
第１４面
k=-0.885
A4=-8.82094e-04,A6=-1.12042e-05,A8=6.24152e-07  
第１５面
k=-0.269
A4=1.80079e-04,A6=-4.28347e-05,A8=9.77123e-07  
第１６面
k=-0.713
A4=4.31675e-03,A6=-2.71566e-04,A8=3.38626e-06  
第１７面
k=-0.493
A4=3.60750e-03,A6=-1.95719e-04,A8=2.22810e-06  
第１８面
k=-78.870
A4=1.08920e-03,A6=-2.97701e-04,A8=1.06145e-05,A10=-4.47403e-07  
第１９面
k=-0.052
A4=-7.53657e-04,A6=-8.77181e-07,A8=-1.92215e-06,A10=1.95988e-08  
第２０面
k=-2.024
A4=-4.21997e-03,A6=1.26487e-04,A8=1.39491e-05,A10=-4.19985e-07  
第２１面
k=-0.889
A4=-2.88436e-02,A6=3.04215e-03,A8=-2.40665e-04,A10=2.08658e-05  
各種データ
ＮＡ                    0.74   
倍率                   -4.18   
焦点距離                2.80   
像高(mm)                2.23   
ｆｂ(mm) (in air)       5.53
全長(mm) (in air)      39.27
【１０７３】
数値実施例８８
単位ｍｍ
面データ
面番号       r          d         nd        νd      θgf
1*     -2.732      1.36     1.53368    55.90    0.563
2*     -4.589      0.05
3*      7.247      1.87     1.63490    23.88    0.630
4*     -8.455      0.05
5*      3.138      2.15     1.49700    81.61    0.538
6*    -12.154      0.04
7     -15.110      1.79     1.61800    63.33    0.544
8      -3.447      0.50     1.72047    34.71    0.583
9      25.308      0.17
10(絞り)  ∞       -0.01
11     110.943      0.50     1.72047    34.71    0.583
12       4.107      2.60     1.61800    63.33    0.544
13      -9.964      0.05
14*      5.280      2.65     1.49700    81.61    0.538
15*    -11.739      3.54
16*     -3.025      2.06     1.58364    30.30    0.599
17*     -7.825      1.50
18*    -15.729      2.16     1.63490    23.88    0.630
19*     -5.597      0.34
20*      3.756      3.64     1.53368    55.90    0.563
21*      1.383      2.00
22        ∞        0.30     1.51640    65.06    0.535
23        ∞        1.54
像面        ∞
非球面データ
第１面
k=-2.227
A4=1.03707e-03,A6=-3.66686e-03,A8=2.87380e-03  
第２面
k=3.573
A4=-1.72203e-02,A6=2.19859e-03,A8=-3.34713e-04  
第３面
k=0.001
A4=6.91776e-04,A6=2.83494e-05,A8=8.43494e-09  
第４面
k=-16.058
A4=5.58712e-04,A6=1.20511e-04,A8=-1.10589e-06  
第５面
k=-3.338
A4=-9.15433e-04,A6=1.68698e-05,A8=-5.04647e-06  
第６面
k=10.493
A4=-4.85932e-04,A6=-8.48143e-07,A8=2.87740e-06  
第１４面
k=-0.972
A4=-9.54935e-04,A6=-1.60895e-05,A8=9.62636e-07  
第１５面
k=0.853
A4=7.88421e-05,A6=-7.27968e-05,A8=1.26076e-06  
第１６面
k=-0.842
A4=4.87822e-03,A6=-3.71445e-04,A8=-1.52508e-05  
第１７面
k=-1.191
A4=3.67852e-03,A6=-5.93789e-05,A8=-5.04387e-06  
第１８面
k=-144.172
A4=1.13639e-03,A6=-4.17245e-04,A8=1.97474e-05,A10=-9.49865e-07  
第１９面
k=0.008
A4=-8.04993e-04,A6=1.17608e-05,A8=-2.70155e-06,A10=-3.55017e-08  
第２０面
k=-2.462
A4=-6.02434e-03,A6=-6.10236e-07,A8=4.06972e-05,A10=-1.31050e-06  
第２１面
k=-0.990
A4=-3.54488e-02,A6=4.28101e-03,A8=-2.94472e-04,A10=1.55285e-05  
各種データ
ＮＡ                    0.75   
倍率                   -4.18   
焦点距離                1.99   
像高(mm)                2.30   
ｆｂ(mm) (in air)       3.74
全長(mm) (in air)      30.73
【１０７４】
数値実施例８９
単位ｍｍ
面データ
面番号       r          d         nd        νd      θgf
1*     -5.138      2.14     1.53368    55.90    0.563
2*     -6.198      0.05
3*      8.105      2.22     1.63490    23.88    0.630
4*    -11.185      0.05
5*      3.574      3.37     1.49700    81.61    0.538
6*    -13.843      0.05
7     -14.787      2.55     1.61800    63.33    0.544
8      -4.610      0.53     1.72047    34.71    0.583
9     125.202      0.12
10(絞り)  ∞        0.37
11     -29.837      0.53     1.72047    34.71    0.583
12       7.231      2.99     1.61800    63.33    0.544
13     -33.219      0.05
14*      7.572      2.49     1.49700    81.61    0.538
15*    -27.697      0.10
16*     33.001      3.56     1.49700    81.61    0.538
17*    -10.371      2.80
18*     -4.952      1.36     1.58364    30.30    0.599
19*    -14.665      3.75
20*    -17.212      2.97     1.63490    23.88    0.630
21*     -7.864      0.96
22*      3.950      4.37     1.53368    55.90    0.563
23*      1.555      3.21
24        ∞        0.30     1.51640    65.06    0.535
25        ∞       11.94
像面        ∞
非球面データ
第１面
k=-88.989
A4=-5.99357e-03,A6=6.73377e-03,A8=-4.61378e-03  
第２面
k=5.622
A4=-9.89655e-03,A6=8.20507e-04,A8=-1.50643e-04  
第３面
k=-1.540
A4=-4.59246e-04,A6=1.09257e-04,A8=-3.18105e-06  
第４面
k=-25.930
A4=6.83244e-04,A6=1.11972e-04,A8=-2.05324e-06  
第５面
k=-3.141
A4=-3.44558e-04,A6=-5.70704e-06,A8=-5.53375e-08  
第６面
k=7.221
A4=-9.36274e-04,A6=-1.66819e-05,A8=2.04119e-06  
第１４面
k=-1.090
A4=-7.88092e-04,A6=-1.01703e-05,A8=3.83265e-07  
第１５面
k=-24.035
A4=8.25593e-05,A6=1.53390e-06,A8=-6.89536e-09  
第１６面
k=-3.821
A4=-3.09218e-05,A6=1.81194e-07,A8=1.48021e-07  
第１７面
k=-0.514
A4=1.71442e-04,A6=-2.85613e-05,A8=5.77601e-07  
第１８面
k=-0.768
A4=3.97431e-03,A6=-1.53083e-04,A8=1.20068e-06  
第１９面
k=0.112
A4=3.02336e-03,A6=-1.24246e-04,A8=1.29603e-06  
第２０面
k=-105.496
A4=7.78025e-04,A6=-2.00034e-04,A8=6.78493e-06,A10=-2.09010e-07  
第２１面
k=-0.635
A4=-4.86148e-04,A6=-4.19913e-07,A8=-1.09125e-06,A10=1.63697e-08  
第２２面
k=-1.372
A4=-4.25916e-03,A6=3.29135e-05,A8=1.23251e-05,A10=-3.44890e-07  
第２３面
k=-0.921
A4=-2.47609e-02,A6=1.80785e-03,A8=-2.77502e-05,A10=-3.48041e-06  
各種データ
ＮＡ                    0.95   
倍率                   -8.37   
焦点距離                2.62   
像高(mm)                2.30   
ｆｂ(mm) (in air)      15.35
全長(mm) (in air)      52.72
【１０７５】
数値実施例９０
単位ｍｍ
面データ
面番号       r          d         nd        νd      θgf
1     -10.000      5.00     2.00100    29.13    0.600
2      14.403      4.74     1.90366    31.32    0.595
3     -10.848      0.13
4      19.239      3.06     1.84666    23.78    0.620
5     -35.634      2.85
6      11.706      2.97     1.49700    81.61    0.538
7     -23.462      1.87     1.72916    54.68    0.544
8     -10.000      0.50     1.76182    26.52    0.613
9       8.807      2.18
10(絞り)  ∞        0.10
11     160.537      0.50     1.84666    23.78    0.620
12       7.000      2.91     1.65160    58.55    0.542
13     -17.489      0.10
14       6.830      3.73     1.49700    81.61    0.538
15     -12.198      0.82
16      -8.988      2.29     1.72825    28.46    0.608
17       8.015      2.84
18      30.017      3.00     1.84666    23.78    0.620
19      -9.829      4.23
20      -6.731      0.50     1.43875    94.93    0.534
21       7.361      0.72
22       7.764      5.00     2.00100    29.13    0.600
23      17.906      4.14
24        ∞        0.38     1.51640    65.06    0.535
25        ∞        0.45
像面        ∞
各種データ
ＮＡ                    0.39   
倍率                   -2.04   
焦点距離               10.15   
像高(mm)                2.82   
ｆｂ(mm) (in air)       4.84
全長(mm) (in air)      54.88
【１０７６】
数値実施例９１
単位ｍｍ
面データ
面番号       r          d         nd        νd      θgf
1     -10.000      4.63     2.00100    29.13    0.600
2      18.300      3.42     1.90366    31.32    0.595
3      -9.713      0.10
4      14.345      2.73     1.84666    23.78    0.620
5     -82.083      3.46
6      12.268      2.91     1.49700    81.61    0.538
7     -11.850      1.47     1.72916    54.68    0.544
8     -10.000      0.50     1.76182    26.52    0.613
9       9.606      2.02
10(絞り)  ∞        0.10
11      59.973      0.50     1.84666    23.78    0.620
12       7.193      2.80     1.65160    58.55    0.542
13     -15.686      0.10
14       7.063      3.37     1.49700    81.61    0.538
15     -11.667      0.75
16      -9.306      5.00     1.63980    34.46    0.592
17       6.435      4.14
18      19.482      2.64     2.00100    29.13    0.600
19     -12.687      1.49
20     -10.019      0.50     1.43875    94.93    0.534
21       6.821      0.73
22       7.316      5.00     2.00100    29.13    0.600
23       8.425      4.00
24        ∞        0.30     1.51640    65.06    0.535
25        ∞        0.36
像面        ∞
各種データ
ＮＡ                    0.41   
倍率                   -2.04   
焦点距離                9.96   
像高(mm)                2.25   
ｆｂ(mm) (in air)       4.55
全長(mm) (in air)      52.90
【１０７７】
数値実施例９２
単位ｍｍ
面データ
面番号       r          d         nd        νd      θgf
1     -10.000      5.49     2.00100    29.13    0.600
2     -61.066      3.34     1.84666    23.78    0.620
3      -6.934      0.10
4      78.347      5.54     1.84666    23.78    0.620
5     -39.821      0.10
6      11.573      2.73     1.49700    81.61    0.538
7      43.659      0.10
8      14.320      4.05     1.69680    55.53    0.543
9     -10.443      0.50     1.72151    29.23    0.605
10       7.760      2.80
11(絞り)  ∞        0.10
12      64.900      0.50     1.84666    23.78    0.620
13       7.618      3.08     1.59522    67.74    0.544
14    -124.496      0.10
15      14.276      2.92     1.49700    81.61    0.538
16     -29.492     17.45
17      35.576      8.57     1.49700    81.61    0.538
18      10.934      6.60
19      22.042      2.17     1.84666    23.78    0.620
20    -346.488      0.10
21      10.303      9.00     2.00100    29.13    0.600
22       5.000      4.00
23        ∞        0.30     1.51640    65.06    0.535
24        ∞        0.36
像面        ∞
各種データ
ＮＡ                    0.74   
倍率                   -4.09   
焦点距離                6.29   
像高(mm)                2.25   
ｆｂ(mm) (in air)       4.56
全長(mm) (in air)      79.91
【１０７８】
数値実施例９３
単位ｍｍ
面データ
面番号       r          d         nd        νd      θgf
1     -10.032      4.92     2.00100    29.13    0.600
2      19.088      3.27     1.90366    31.32    0.595
3      -9.704      0.10
4      14.300      2.59     1.84666    23.78    0.620
5     -95.704      3.79
6      13.188      2.70     1.49700    81.61    0.538
7     -11.814      1.46     1.72916    54.68    0.544
8     -10.000      0.50     1.76182    26.52    0.613
9       9.651      1.97
10(絞り)  ∞        0.10
11      57.750      0.50     1.84666    23.78    0.620
12       7.886      2.63     1.65160    58.55    0.542
13     -15.437      0.10
14       6.898      3.22     1.49700    81.61    0.538
15     -12.109      0.76
16      -9.386      5.00     1.64394    31.87    0.599
17       6.269      4.13
18      19.105      2.59     1.96066    27.70    0.596
19     -12.400      1.79
20      -9.554      0.50     1.43875    94.95    0.545
21       6.985      0.72
22       7.392      5.00     2.00100    29.13    0.600
23       8.938      4.00
24        ∞        0.30     1.51640    65.06    0.535
25        ∞        0.35
像面        ∞
各種データ
ＮＡ                    0.40   
倍率                   -2.04   
焦点距離                9.83   
像高(mm)                2.25   
ｆｂ(mm) (in air)       4.55
全長(mm) (in air)      52.90
【１０７９】
数値実施例９４
単位ｍｍ
面データ
面番号       r          d         nd        νd      θgf
1     -10.000      8.75     1.84666    23.78    0.620
2      -7.538      0.10
3    -519.674      2.18     1.84666    23.78    0.620
4     -20.460      3.68
5      11.754      2.66     1.49700    81.61    0.538
6      57.369      0.10
7      12.489      3.87     1.69680    55.53    0.543
8     -10.229      0.50     1.72151    29.23    0.605
9       7.301      2.63
10(絞り)  ∞        0.96
11     -31.688      0.50     1.84666    23.78    0.620
12       8.281      3.25     1.59522    67.74    0.544
13     -17.511      0.10
14      13.000      2.53     1.49700    81.61    0.538
15    -175.541     18.98
16    -115.321      0.50     1.49700    81.61    0.538
17      15.268      3.47
18      29.518      2.47     1.84666    23.78    0.620
19     -38.911     10.28
20       9.569      7.36     2.00100    29.13    0.600
21       5.000      4.46
22        ∞        0.30     1.51640    65.06    0.535
23        ∞        0.36
像面        ∞
各種データ
ＮＡ                    0.69   
倍率                   -4.09   
焦点距離                6.84   
像高(mm)                2.25   
ｆｂ(mm) (in air)       5.02
全長(mm) (in air)      79.91
【１０８０】
数値実施例９５
単位ｍｍ
面データ
面番号       r          d         nd        νd      θgf
1      -7.000      2.11     1.53368    55.90    0.563
2*     -5.323      0.10
3*     22.215      2.37     1.84666    23.77    0.620
4      -9.110      2.81
5      -5.145      0.50     1.60999    27.48    0.620
6     -11.263      0.00  1001.00000    -3.45    0.296
7     -11.263      0.20     1.63762    34.21    0.594
8      91.067      0.65
9      83.446      2.36     1.61800    63.33    0.544
10      -4.282      0.70     1.72047    34.71    0.583
11     -10.570      0.10
12(絞り)  ∞        1.06
13     -11.698      0.70     1.72047    34.71    0.583
14      10.934      2.92     1.61800    63.33    0.544
15     -10.364      0.05
16*     10.909      3.56     1.49700    81.61    0.538
17*    -11.347      2.54
18*     10.087      1.66     1.58364    30.30    0.599
19*      7.386      4.73
20*     13.468      2.76     1.63490    23.88    0.630
21     -20.719      2.70
22     127.874      0.50     1.53368    55.90    0.563
23       4.905      2.69
24      -6.683      0.50     1.53368    55.90    0.563
25*     42.216      1.10
26        ∞        0.30     1.51640    65.06    0.535
27        ∞        0.30
像面        ∞
非球面データ
第２面
k=0.000
A4=4.45010e-05  
第３面
k=0.000
A4=8.14332e-05  
第１６面
k=0.000
A4=-2.69612e-04  
第１７面
k=0.000
A4=9.67105e-05  
第１８面
k=0.000
A4=-2.81280e-05  
第１９面
k=0.000
A4=4.63309e-05  
第２０面
k=0.000
A4=-7.88627e-05  
第２５面
k=0.000
A4=-1.52626e-03,A6=-3.11735e-05  
各種データ
ＮＡ                    0.32   
倍率                   -2.00   
焦点距離                3.75   
像高(mm)                3.87   
ｆｂ(mm) (in air)       1.60
全長(mm) (in air)      39.89
【１０８１】
数値実施例９６
単位ｍｍ
面データ
面番号       r          d         nd        νd      θgf
1      -7.000      2.16     1.53368    55.90    0.563
2*     -5.934      0.10
3*     33.139      2.32     1.84666    23.77    0.620
4      -9.292      0.10
5    -191.804      1.74     1.49700    81.61    0.538
6     -17.291      2.00
7      -5.386      0.50     1.60999    27.48    0.620
8     -11.263      0.00     1001.00000    -3.45    0.296
9     -11.263      0.20     1.63762    34.21    0.594
10      23.280      0.72
11      30.025      2.34     1.61800    63.33    0.544
12      -4.979      0.70     1.72047    34.71    0.583
13     -10.584      0.10
14(絞り)  ∞        1.07
15     -11.693      0.70     1.72047    34.71    0.583
16      12.173      2.75     1.61800    63.33    0.544
17     -10.862      0.05
18*     10.882      3.39     1.49700    81.61    0.538
19*    -11.666      2.60
20*      8.928      1.63     1.58364    30.30    0.599
21*      6.663      4.22
22*     12.130      2.64     1.63490    23.88    0.630
23     -24.243      2.64
24     -50.390      0.50     1.53368    55.90    0.563
25       5.177      2.62
26      -6.111      0.50     1.53368    55.90    0.563
27*  -7309.424      1.10
28        ∞        0.30     1.51640    65.06    0.535
29        ∞        0.30
像面        ∞
非球面データ
第２面
k=0.000
A4=2.52174e-05  
第３面
k=0.000
A4=8.68592e-05  
第１８面
k=0.000
A4=-2.56350e-04  
第１９面
k=0.000
A4=1.10244e-04  
第２０面
k=0.000
A4=-1.71924e-05  
第２１面
k=0.000
A4=4.70589e-05  
第２２面
k=0.000
A4=-4.16768e-05  
第２７面
k=0.000
A4=-1.84423e-03,A6=-2.68348e-05  
各種データ
ＮＡ                    0.32   
倍率                   -2.00   
焦点距離                3.71   
像高(mm)                3.87   
ｆｂ(mm) (in air)       1.60
全長(mm) (in air)      39.90
【１０８２】
実施例１〜７のレンズユニットＧfとレンズユニットＧrを構成するレンズを以下に示す。
レンズユニットＧf        レンズユニットＧr
実施例１          Ｌ１〜Ｌ５                Ｌ６〜Ｌ１０
実施例２          Ｌ１〜Ｌ５                Ｌ６〜Ｌ１０
実施例３          Ｌ１〜Ｌ６                Ｌ７〜Ｌ１２
実施例４          Ｌ１〜Ｌ５                Ｌ６〜Ｌ１１
実施例５          Ｌ１〜Ｌ５                Ｌ６〜Ｌ８
実施例６          Ｌ１〜Ｌ４                Ｌ５〜Ｌ８
実施例７          Ｌ１〜Ｌ４                Ｌ５〜Ｌ８
【１０８３】
次に、実施例１〜７における条件式（１）〜（１４）の値を掲げる。なお、ハイフン（−）は、該当する構成がないか、条件式を満足しないことを示している。また、実施例６、７については、条件式（１）〜（３）を満足する一対のレンズがないため、条件式（１）〜（３）に関する記載は省略している。
実施例１   実施例２   実施例３   実施例４   実施例５
(1)rOBf/rTLr
r1,r21     -1         -1.085       -          -          -
r3,r19     -1         -1.010       -          -          -
r5,r17     -1         -0.952       -          -         -1
r7,r15     -1         -1.010       -          -          -
r9,r13     -1         -0.995       -          -         -1
r1,r25      -           -         -1          -          -
r3,r23      -           -         -1          -          -
r5,r21      -           -         -1          -          -
r7,r19      -           -         -1          -          -
r9,r17      -           -         -1          -          -
r11,r15      -           -         -1          -          -
r1,r23      -           -          -         -1          -
r5,r17      -           -          -         -1          -
r7,r15      -           -          -         -1          -
r9,r13      -           -          -         -1          -
実施例１   実施例２   実施例３   実施例４   実施例５
(2)rOBr/rTLf
r2,r20     -1        -0.995        -          -          -
r4,r18     -1        -1.001        -          -          -
r6,r16     -1        -0.952        -          -         -1
r8,r14     -1        -0.990        -          -          -
r10,r12     -1        -0.926        -          -         -1
r2,r24      -           -         -1          -          -
r4,r22      -           -         -1          -          -
r6,r20      -           -         -1          -          -
r8,r18      -           -         -1          -          -
r10,r16      -           -         -1          -          -
r12,r14      -           -         -1          -          -
r2,r22      -           -          -         -1          -
r6,r16      -           -          -         -1          -
r8,r14      -           -          -         -1          -
r10,r12      -           -          -         -1          -
実施例１   実施例２   実施例３
(3)(dOB-dTL)/(dOB+dTL)
d1,d20               0         -0.003      -
d3,d18               0         -0.005      -
d5,d16               0          0.013      -
d7,d14               0          0.003      -
d9,d12               0          0.006      -
d1,d24               -          -          0
d3,d22               -          -          0
d5,d20               -          -          0
d7,d19               -          -          0
d9,d17               -          -          0
d11,d17               -          -          0
d1,d22               -          -          -
d5,d16               -          -          -
d7,d14               -          -          -
d9,d12               -          -          -
実施例４   実施例５
(3)(dOB-dTL)/(dOB+dTL)
d1,d20               -          -
d3,d18               -          -
d5,d16               -          0
d7,d14               -          -
d9,d12               -          0
d1,d24               -          -
d3,d22               -          -
d5,d20               -          -
d7,d19               -          -
d9,d17               -          -
d11,d17               -          -
d1,d22               0          -
d5,d16               0          -
d7,d14               0          -
d9,d12               0          -
実施例１  実施例２  実施例３  実施例４  実施例５
(4)NA            0.25       0.25      0.25       0.25       0.25
NA’          0.25       0.25      0.25       0.25       0.15
(5)β           -1.00      -0.99     -1.00      -1.00      -1.68
(6)fOB/fTL       1.00       1.01      1.00       1.00       0.60
(9)d1/Σd        0.006      0.006     0.009      0.006      0.005
(7)MTFOB        66         64        62         60         64
(8)MTFTL        66         64        62         67         67
(10)d2/Σd       1.35       1.35      1.28       1.33       1.26
(11)Δf/Y        0.0004    -0.0041   -0.0047    -0.0007    -0.0008
(12)θo          0.4        0.4       1.6        0.9        2.2
(13)Δfcd/εd    8.40       9.90     11.20       7.70       1.70
(14)dSHOB/dSHTL  1.00       0.99      1.00       0.97       0.71
実施例６  実施例７
(4)NA            0.22       0.17
NA’          0.17       0.22
(5)β           -1.27      -0.79
(6)fOB/fTL       0.79       1.27
(9)d1/Σd        0.024      0.024
(7)MTFOB        61         66
(8)MTFTL        66         61
(10)d2/Σd       0.38       0.38
(11)Δf/Y       -0.0047    -0.0058
(12)θo         28.4       25.3
(13)Δfcd/εd    2.50       2.50
(14)dSHOB/dSHTL  0.88       1.13
【１０８４】
また、ｆｃ／４とｆｃ’／４の値を以下に示す。
実施例１  実施例２  実施例３  実施例４  実施例５
Fc/4         229        229       229       229       229
Fc/4’       229        232       229       229       137
実施例６  実施例７
Fc/4         201       159
Fc/4’       159       201
【１０８５】
実施例８〜９６における条件式（１５）〜（５７）の値を掲げる。なお、ハイフン（−）は、該当する構成がないか、条件式を満足しないことを示している。
(15),(15-1),(15-2)  β
(16)                NA
(17)                LTL/2Y
(18)                (ΔDG2dC+(ΔDG1dC×βG2C2/(1+βG2C×ΔDG1dC／fG2C)))/εd
(19)                WD/BF
(20),(20-1)         2×(WD×tan(sin-1NA)+Yobj)/φs
(21)                Dmax／φs
(22)                DG1max／φs
(23),(23-1)         LL/Doi
(24),(24-1)         1/νdmin-1/νdmax
(25),(25-1)         Dos/Doi
(26)                φG1o/(2×Y/|β|)
(27)                BF/LL
(28)                BF/Y
(29)                φG1o/RG1o
(30)                DG1G2/φs
(31),(31-1)         LG1/LG2
(32)                LG1s/LsG2
(33)                φG1max/φG2max
(34)                Dos/LG1
(35)                DENP/Y
(36)                CRAobj/CRAimg
(37),(37-1)         fG1o/f
(38),(38-1)         RG1o/WD
(39)                RG2i/BF
(40)                RG1i/DG1is
(41)                fG1o/fG1
(42)                1/νdG1min-1/νdG1ma
(43)                1/νdG2min-1/νdG2max
(45)                Dp1s/LG1s
(47)                Dnoni/LG1s
(49)                DsDL/LsG2
(51)                Dn1s/Dos
(53)                Dsn2/Dsi
(54)                Dsn3/Dsi
(55)                Dp2s/Dos
(56)                LL/Doi+0.07×WD/BF
(57)                Dos/LG1−0.39×WD/BF
実施例８    実施例９    実施例１０  実施例１１  実施例１２
(15)     -1.04       -1.05       -1.03       -1.03       -1.05 
(16)      0.15        0.21        0.15        0.15        0.18 
(17)      3.6         4.2         3.6         3.6         3.6 
(18)     10.74       11.51        9.01       10.78        8.52 
(19)      5.80        3.94        5.80        5.80        6.91 
(20)      3.54        2.91        3.64        3.64        2.93 
(21)      1.18        0.92        1.21        0.98        0.53 
(22)      0.25        0.44        0.21        0.23        0.05 
(23)      0.51        0.63        0.51        0.51        0.58 
(24)      0.02        0.02        0.02        0.02        0.03 
(25)      0.64        0.62        0.64        0.64        0.66 
(26)      1.36        1.62        1.37        1.43        1.42 
(27)      0.14        0.12        0.14        0.14        0.09 
(28)      0.88        0.88        0.88        0.88        0.59 
(29)      0.64        0.61        0.65        0.90        0.14 
(30)      0.39        0.38        0.37        0.29        0.29 
(31)      0.75        1.06        0.76        0.71        1.00 
(32)      0.79        1.06        0.79        0.75        1.07 
(33)      1.61        1.51        1.66        1.54        1.59 
(34)      3.11        2.03        3.08        3.13        2.40 
(35)      5.50       11.95        5.85        6.43        6.26 
(36)      0.25        0.13        0.24        0.22        0.20 
(37)      2.64        2.49        2.54        2.11        2.29 
(38)      0.80        1.46        0.80        0.60        4.80 
(39)   1152.63        3.92      -13.88        4.67       19.69 
(40)      5.35        5.59        5.98        6.35        4.24 
(41)      1.78        1.85        1.69        1.65        1.46 
(42)      0.02        0.02        0.02        0.02        0.03 
(43)      0.02        0.02        0.02        0.02        0.03 
(45)       -           -           -           -          1.00 
(47)       -           -           -           -          0.70 
(49)       -           -           -           -           -
(51)      0.06        0.05        0.05        0.05        0.05 
(53)      0.07        0.09        0.07        0.05        0.04 
(54)      0.80        0.80        0.80        0.80        0.84 
(55)      0.35        0.53        0.35        0.35        0.45 
(56)      0.92        0.91        0.92        0.92        1.07 
(57)      0.85        0.49        0.82        0.87       -0.29
実施例１３  実施例１４  実施例１５  実施例１６  実施例１７
(15)     -1.05       -1.05       -1.05       -1.05       -1.05 
(16)      0.13        0.14        0.21        0.18        0.20 
(17)      3.5         3.7         4.5         4.4         4.1  
(18)      6.04        6.34       10.28        8.68       11.52 
(19)      7.28        7.67        4.83        3.95        4.59 
(20)      4.19        3.70        2.57        3.46        3.09 
(21)      1.01        0.75        0.66        1.30        1.03 
(22)      0.08        0.11        0.34        0.02        0.24 
(23)      0.57        0.55        0.68        0.64        0.60 
(24)      0.03        0.03        0.03        0.03        0.02 
(25)      0.65        0.68        0.54        0.54        0.56 
(26)      1.20        1.32        1.47        1.36        1.52 
(27)      0.09        0.10        0.08        0.11        0.12 
(28)      0.59        0.64        0.67        0.88        0.88 
(29)      0.24        0.26        0.79        0.29        0.47 
(30)      0.35        0.33        0.66        0.37        0.41 
(31)      0.84        0.98        0.67        0.65        0.60 
(32)      0.88        1.03        0.66        0.67        0.62 
(33)      1.28        1.47        1.06        1.14        1.31 
(34)      2.60        2.61        2.19        2.23        2.68 
(35)      5.88        6.91        6.85        6.30        5.97 
(36)      0.21        0.19        0.22        0.27        0.27 
(37)      2.08        1.93        6.36        5.23        2.43 
(38)      2.27        1.99        1.09        2.62        1.52 
(39)      6.50        9.05       12.80        3.25      156.92 
(40)      5.55        5.34        4.06        5.65        4.77 
(41)      1.54        1.55        3.77        4.43        1.81 
(42)      0.03        0.03        0.03        0.03        0.02 
(43)      0.03        0.03        0.02        0.02        0.02 
(45)      1.00        1.00        1.00        1.00         -
(47)      0.68        0.71         -           -           -
(49)       -           -           -           -           -
(51)      0.05        0.05        0.07        0.05        0.07 
(53)      0.13         -          0.13        0.05        0.11 
(54)      0.85        0.84        0.88        0.84        0.84 
(55)      0.41        0.41        0.50        0.48        0.41 
(56)      1.08        1.08        1.02        0.92        0.92 
(57)     -0.23       -0.38        0.31        0.69        0.89
実施例１８  実施例１９  実施例２０  実施例２１  実施例２２
(15)     -1.04       -1.00       -1.33       -1.33       -1.33 
(16)      0.15        0.15        0.23        0.23        0.23 
(17)      3.6         4.3         3.7         6.1         4.5  
(18)      8.44       -1.96        3.68        4.38        7.50 
(19)      5.80       14.66        7.34       15.71       20.84 
(20)      2.91        3.25        2.49        2.51        2.23 
(21)      0.60        0.78        1.02        1.96        0.56 
(22)      0.02        0.50        0.13        0.01        0.07 
(23)      0.51        0.58        0.69        0.65        0.58 
(24)      0.02        0.02        0.03        0.03        0.03 
(25)      0.63        0.66        0.54        0.52        0.62 
(26)      1.37        1.48        1.57        2.47        2.48 
(27)      0.14        0.05        0.05        0.03        0.03 
(28)      0.88        0.38        0.38        0.39        0.29 
(29)      0.64        0.92        0.35        0.49        0.93 
(30)      0.60        0.24        0.42        0.29        0.07 
(31)      0.55        0.76        0.63        0.37        0.55 
(32)      0.74        0.82        0.65        0.39        0.59 
(33)      1.74        1.56        1.21        1.32        1.85 
(34)      3.93        2.71        2.19        3.11        3.07 
(35)      5.45        8.40        5.33        6.28        5.18 
(36)      0.22        0.18        0.21        0.21        0.26 
(37)      2.48        7.65        2.11        2.30        3.80 
(38)      0.80        0.57        2.38        1.24        0.66 
(39)     -3.99    29134.52      -37.68        8.81      -14.44 
(40)      2.83       13.46        6.90        5.27       15.92 
(41)      1.25        4.74        1.03        1.73        2.37 
(42)      0.02        0.02        0.03        0.03        0.03 
(43)      0.02        0.02        0.03        0.03        0.02 
(45)       -          1.00        1.00        1.00        1.00 
(47)       -          0.77        0.61        0.71        0.73 
(49)       -           -           -           -           -
(51)      0.11        0.05        0.07        0.05        0.04 
(53)      0.04        0.03        0.09        0.04        0.02 
(54)      0.80        0.92        0.92        0.96        0.95 
(55)      0.34        0.40        0.50        0.35        0.35 
(56)      0.92        1.61        1.20        1.75        2.03 
(57)      1.67       -3.01       -0.67       -3.02       -5.05
実施例２３  実施例２４  実施例２５  実施例２６  実施例２７
(15)     -1.33       -2.20       -2.55       -2.55       -2.55 
(16)      0.23        0.38        0.43        0.40        0.40 
(17)      4.6         5.5         5.6         5.2         5.2  
(18)      4.83        7.31        8.28       15.29       15.98 
(19)     13.36        6.01        3.71        8.73        7.43 
(20)      2.27        1.52        1.26        1.37        1.41 
(21)      0.66        0.74        1.04        0.86        0.93 
(22)      0.01        0.01        0.06        0.05        0.03 
(23)      0.57        0.74        0.78        0.74        0.73 
(24)      0.03        0.03        0.03        0.03        0.03 
(25)      0.62        0.46        0.41        0.47        0.46 
(26)      2.49        3.73        3.70        4.37        4.38 
(27)      0.05        0.05        0.06        0.04        0.04 
(28)      0.46        0.53        0.63        0.37        0.43 
(29)      0.86        0.57        0.44        0.47        0.47 
(30)      0.09        0.08        0.09        0.03        0.04 
(31)      0.59        0.44        0.43        0.47        0.45 
(32)      0.63        0.46        0.44        0.46        0.45 
(33)      1.79        1.27        1.09        1.34        1.35 
(34)      2.99        2.07        1.79        2.01        2.05 
(35)      5.53        5.31        4.99        4.22        4.18 
(36)      0.23        0.16        0.14        0.20        0.18 
(37)    -48.46        3.89        3.89        5.56        6.66 
(38)      0.71        1.86        2.82        2.26        2.26 
(39)    -14.49    -1270.10       12.52      -12.86      -22.66 
(40)     15.35       30.48      142.69   -13851.56     -953.80 
(41)    -29.10        1.39        1.22        2.03        2.35 
(42)      0.03        0.03        0.03        0.03        0.03 
(43)      0.02        0.02        0.02        0.02        0.02 
(45)      0.96        1.00        1.00        1.00        1.00 
(47)      0.90        0.72        0.73        0.79         -
(49)       -           -           -           -           -
(51)      0.04        0.05        0.05        0.02        0.02 
(53)      0.02        0.02        0.03        0.03        0.03 
(54)      0.92        0.93        0.92        0.95        0.94 
(55)      0.34        0.51        0.58        0.50        0.49 
(56)      1.51        1.16        1.04        1.35        1.25 
(57)     -2.23       -0.28        0.35       -1.40       -0.85 
実施例２８  実施例２９  実施例３０  実施例３１  実施例３２
(15)     -1.60       -1.56       -1.55       -2.00       -2.00 
(16)      0.40        0.31        0.31        0.20        0.23 
(17)      5.2         5.2         5.2         4.0         4.6  
(18)     14.82       10.68        9.97       13.17       12.33 
(19)      8.86        8.88        8.96        8.42        8.45 
(20)      1.50        1.65        1.68        2.02        1.98 
(21)      0.47        0.63        0.81        0.79        1.15 
(22)      0.03        0.05        0.06        0.02        0.04 
(23)      0.73        0.73        0.73        0.61        0.60 
(24)      0.03        0.03        0.03        0.03        0.03 
(25)      0.46        0.47        0.45        0.51        0.53 
(26)      3.06        2.31        2.34        2.14        2.94 
(27)      0.04        0.04        0.04        0.07        0.07 
(28)      0.37        0.37        0.37        0.51        0.60 
(29)      0.72        0.57        0.74        0.47        0.80 
(30)      0.05        0.10        0.08        0.05        0.02 
(31)      0.43        0.47        0.41        0.34        0.37 
(32)      0.42        0.46        0.41        0.36        0.39 
(33)      1.20        1.13        1.08        1.14        1.59 
(34)      2.08        2.04        2.16        3.34        3.24 
(35)      3.79        4.22        3.96        2.46        3.54 
(36)      0.20        0.19        0.20        0.32        0.27 
(37)      6.81        6.71        6.11        7.21        4.16 
(38)      1.63        1.60        1.23        1.06        0.72 
(39)     10.52        9.98       11.07       16.38       -2.99 
(40)    185.32     -988.41     -327.47       40.51       49.74 
(41)      2.91        2.82        2.61        3.98        3.64 
(42)      0.03        0.03        0.03        0.03        0.03 
(43)      0.02        0.02        0.02        0.02        0.02 
(45)      1.00        1.00        1.00        1.00        1.00 
(47)       -           -           -           -           -
(49)       -           -           -           -           -
(51)      0.02        0.02        0.03        0.04        0.03 
(53)      0.04        0.05        0.04        0.02        0.01 
(54)      0.95        0.95        0.95        0.72        0.70 
(55)      0.48        0.49        0.47        0.32        0.32 
(56)      1.35        1.36        1.36        1.20        1.19 
(57)     -1.38       -1.42       -1.34        0.05       -0.05
実施例３３  実施例３４  実施例３５  実施例３６  実施例３７
(15)     -1.33       -1.33       -1.33       -1.33       -1.33 
(16)      0.23        0.23        0.23        0.23        0.23 
(17)      4.5         4.7         4.8         4.9         5.0  
(18)      7.72        2.62        3.45        4.97        2.00 
(19)      5.75       12.05       10.55        4.40       13.69 
(20)      2.35        2.55        2.55        2.53        2.56 
(21)      0.64        0.89        0.88        0.86        0.89 
(22)      0.01        0.16        0.16        0.15        0.14 
(23)      0.52        0.72        0.72        0.69        0.73 
(24)      0.03        0.03        0.03        0.03        0.03 
(25)      0.64        0.54        0.54        0.54        0.53 
(26)      2.57        1.78        1.81        1.83        1.83 
(27)      0.13        0.03        0.03        0.08        0.03 
(28)      1.06        0.27        0.31        0.75        0.24 
(29)      0.94        0.43        0.42        0.37        0.39 
(30)      0.06        0.26        0.37        0.38        0.37 
(31)      0.77        0.61        0.62        0.69        0.61 
(32)      0.83        0.63        0.65        0.72        0.63 
(33)      1.97        1.15        1.16        1.10        1.11 
(34)      2.86        2.04        2.05        2.02        2.03 
(35)      7.17        8.17        9.29        9.68        9.74 
(36)      0.20        0.14        0.13        0.15        0.16 
(37)      4.03        1.99        1.95        1.58        1.63 
(38)      0.67        1.88        1.98        2.27        2.15 
(39)      4.67       20.40       13.06        3.44       84.44 
(40)     14.22        8.78        6.88        7.05        6.82 
(41)      2.63        1.14        1.15        1.19        1.15 
(42)      0.03        0.03        0.03        0.03        0.03 
(43)      0.02        0.03        0.03        0.03        0.03 
(45)      1.00        1.00        1.00        1.00        1.00 
(47)      0.74        0.65        0.64        0.66        0.66 
(49)       -           -           -           -           -
(51)      0.03        0.05        0.06        0.06        0.06 
(53)      0.01        0.04        0.05        0.06        0.06 
(54)      0.80        0.95        0.95        0.88        0.88 
(55)      0.37        0.52        0.53        0.53        0.53 
(56)      0.93        1.56        1.46        1.00        1.69 
(57)      0.62       -2.66       -2.07        0.30       -3.31
実施例３８  実施例３９  実施例４０  実施例４１  実施例４２
(15)     -1.33       -1.30       -1.30       -1.32       -1.32 
(16)      0.23        0.23        0.23        0.23        0.23 
(17)      5.4         4.9         4.8         4.5         4.5 
(18)      4.49       14.80       12.59        0.65        0.40 
(19)      5.80        7.71        7.83        6.54        6.33 
(20)      2.51        2.26        2.30        1.66        1.63 
(21)      0.70        0.52        0.45        0.72        0.74 
(22)      0.04        0.19        0.20        0.71        0.74 
(23)      0.67        0.70        0.71        0.76        0.76 
(24)      0.03        0.02        0.02        0.03        0.03 
(25)      0.55        0.58        0.60        0.56        0.56 
(26)      2.06        1.88        1.90        1.59        1.52 
(27)      0.07        0.05        0.05        0.04        0.04 
(28)      0.74        0.45        0.43        0.37        0.37 
(29)      0.31        0.94        1.03        0.44        0.27 
(30)      0.33        0.13        0.28        0.28        0.14 
(31)      0.63        0.81        0.92        0.80        0.83 
(32)      0.66        0.82        0.93        0.87        0.86 
(33)      1.31        1.12        1.26        1.31        1.28 
(34)      2.22        1.88        1.84        1.77        1.65 
(35)      8.79        8.44       10.70        9.76        8.07 
(36)      0.20        0.34        0.28        0.11        0.13 
(37)      1.65        2.58        1.56      -17.82        2.90 
(38)      2.36        0.88        0.84        2.24        3.64 
(39)      4.40        8.68        9.57        9.83        9.82 
(40)      6.60    -6028.80       17.96       14.50      161.18 
(41)      1.21        2.66        1.42       -5.68        0.99 
(42)      0.03        0.02        0.02        0.03        0.03 
(43)      0.03        0.02        0.02        0.03        0.03 
(45)      1.00         -           -          0.95        1.00 
(47)      0.69         -           -          0.37        0.41 
(49)       -           -           -           -           -
(51)      0.05        0.06        0.04        0.09        0.09 
(53)      0.05        0.25        0.26        0.04        0.04 
(54)      0.89        0.92        0.92        0.93        0.93 
(55)      0.49        0.55        0.57        0.59        0.63 
(56)      1.08        1.24        1.26        1.21        1.20 
(57)     -0.04       -1.13       -1.22       -0.78       -0.81
実施例４３  実施例４４  実施例４５  実施例４６  実施例４７
(15)     -1.33       -1.33       -1.33       -1.33       -1.33 
(16)      0.23        0.23        0.23        0.20        0.23 
(17)      5.0         5.0         5.0         5.0         5.0  
(18)      4.40        4.37        5.34        4.33        6.79 
(19)     10.74        8.43        8.41        8.41        8.39 
(20)      2.54        2.49        2.31        2.45        2.47 
(21)      0.89        1.61        2.27        2.76        0.82 
(22)      0.13        0.12        0.09        0.17        0.08 
(23)      0.73        0.73        0.73        0.73        0.73 
(24)      0.03        0.03        0.03        0.03        0.03 
(25)      0.52        0.51        0.48        0.48        0.53 
(26)      1.78        1.75        1.65        1.50        1.80 
(27)      0.03        0.04        0.04        0.04        0.04 
(28)      0.30        0.38        0.38        0.38        0.38 
(29)      0.40        0.35        0.16        0.16        0.25 
(30)      0.37        0.32        0.33        0.35        0.66 
(31)      0.59        0.55        0.47        0.44        0.63 
(32)      0.60        0.57        0.50        0.47        0.65 
(33)      1.03        1.10        1.10        1.02        1.05 
(34)      2.00        2.05        2.18        2.23        2.06 
(35)      8.38        7.21        5.10        4.92        9.56 
(36)      0.14        0.15        0.20        0.20        0.12 
(37)      1.74        1.72        1.96        1.96        1.81 
(38)      2.05        2.30        4.74        4.49        3.37 
(39)     22.06        9.97        9.04        8.98       10.58 
(40)      9.42        7.85        5.84        5.69        4.88 
(41)      1.20        1.15        1.09        1.04        1.24 
(42)      0.03        0.03        0.03        0.03        0.03 
(43)      0.03        0.03        0.03        0.03        0.03 
(45)      1.00        1.00        1.00        1.00        1.00 
(47)      0.67        0.66        0.65        0.62        0.65 
(49)       -           -           -           -           -
(51)      0.05        0.05        0.06        0.06        0.08 
(53)      0.06        0.05        0.05        0.04        0.09 
(54)      0.95        0.94        0.94        0.94        0.94 
(55)      0.53        0.52        0.50        0.49        0.54 
(56)      1.48        1.32        1.32        1.32        1.32 
(57)     -2.19       -1.24       -1.09       -1.05       -1.21
実施例４８  実施例４９  実施例５０  実施例５１  実施例５２
(15)     -1.33       -1.33       -1.40       -1.33       -1.40 
(16)      0.20        0.20        0.17        0.20        0.17 
(17)      5.0         5.0         5.8         5.7         5.9  
(18)      7.70        7.79        1.61        3.08        1.10 
(19)      8.50        8.49        3.05        2.84        2.57 
(20)      2.37        2.12        2.29        2.18        2.23 
(21)      1.45        1.67        0.97        0.47        0.79 
(22)      0.06        0.10        0.36        0.28        0.33 
(23)      0.72        0.72        0.52        0.52        0.51 
(24)      0.03        0.03        0.03        0.03        0.03 
(25)      0.55        0.57        0.61        0.63        0.61 
(26)      1.65        1.65        2.10        2.31        2.11 
(27)      0.04        0.04        0.22        0.24        0.27 
(28)      0.38        0.38        2.11        2.21        2.52 
(29)      0.00       -0.02        0.28        0.35        0.29 
(30)      1.45        1.67        0.13        0.12        0.12 
(31)      0.66        0.75        0.89        1.05        0.99 
(32)      0.71        0.80        0.92        1.11        1.02 
(33)      1.15        1.35        1.44        1.67        1.49 
(34)      2.32        2.39        2.53        2.43        2.47 
(35)      9.80       10.26        6.96        7.76        6.93 
(36)      0.12        0.12        0.28        0.26        0.28 
(37)      2.31        2.62        1.80        1.99        1.73 
(38)  -2459.34      -47.39        1.66        1.56        1.62 
(39)     16.97     -272.93        1.12        1.73        1.18 
(40)      2.48        2.43       13.27        9.52       13.77 
(41)      1.35        1.30        1.62        1.68        1.60 
(42)      0.03        0.03        0.03        0.03        0.03 
(43)      0.03        0.03        0.02        0.02        0.02 
(45)      1.00        1.00        1.00        1.00        1.00 
(47)      0.59        0.55        0.68        0.64        0.68 
(49)       -           -           -           -           -
(51)      0.14        0.17        0.03        0.03        0.03 
(53)      0.17        0.22        0.03        0.02        0.02 
(54)      0.94        0.93        0.70        0.66        0.65 
(55)      0.55        0.57        0.41        0.43        0.42 
(56)      1.32        1.32        0.74        0.72        0.69 
(57)     -0.99       -0.92        1.34        1.33        1.47
実施例５３  実施例５４  実施例５５  実施例５６  実施例５７
(15)     -1.40       -1.40       -1.10       -1.56       -1.60 
(16)      0.17        0.17        0.23        0.20        0.20 
(17)      5.7         5.9         4.6         4.6         4.7  
(18)      1.55        1.10       16.84       -0.34       -4.26 
(19)      2.24        2.57       11.88       13.08        7.02 
(20)      2.20        2.23        2.77        2.20        1.94 
(21)      0.80        0.79        0.31        1.01        0.98 
(22)      0.28        0.33        0.03        0.10        0.14 
(23)      0.48        0.51        0.53        0.62        0.61 
(24)      0.03        0.03        0.03        0.02        0.03 
(25)      0.59        0.61        0.68        0.57        0.51 
(26)      2.01        2.11        2.50        2.22        2.04 
(27)      0.33        0.27        0.07        0.04        0.08 
(28)      2.82        2.52        0.58        0.39        0.69 
(29)      0.20        0.29        0.86        0.61        0.85 
(30)      0.12        0.12        0.13        0.21        0.05 
(31)      0.90        0.99        0.80        0.51        0.38 
(32)      0.94        1.02        0.89        0.55        0.40 
(33)      1.44        1.49        2.25        1.53        1.36 
(34)      2.64        2.47        2.94        2.85        3.07 
(35)      5.50        6.93       10.06        6.49        3.36 
(36)      0.35        0.28        0.19        0.15        0.23 
(37)      1.60        1.73       12.47        9.82        4.78 
(38)      2.26        1.62        0.77        0.93        0.63 
(39)     13.33        1.18        8.21       10.05        2.92 
(40)     14.46       13.77        6.80       26.71       59.95 
(41)      1.60        1.60       10.30        6.18        3.14 
(42)      0.03        0.03        0.03        0.02        0.03 
(43)      0.02        0.02        0.02        0.02        0.02 
(45)      1.00        1.00        1.00        1.00        0.45 
(47)      0.68        0.68         -          0.77        0.26 
(49)       -           -           -           -           -
(51)      0.03        0.03        0.04        0.05        0.03 
(53)      0.02        0.02        0.01        0.04        0.02 
(54)      0.61        0.65        0.89        0.94        0.90 
(55)      0.40        0.42        0.37        0.38        0.34 
(56)      0.64        0.69        1.37        1.53        1.10 
(57)      1.77        1.47       -1.70       -2.25        0.33
実施例５８  実施例５９  実施例６０  実施例６１  実施例６２
(15)     -1.33       -1.33       -1.33       -3.57       -3.56 
(16)      0.23        0.23        0.23        0.60        0.60 
(17)      5.5         5.6         5.6         5.5         5.5  
(18)      8.68       -0.12        1.62        4.121       2.714 
(19)      7.46        7.70        8.43        0.12        0.14
(20)      2.18        2.19        1.98        0.57        0.58
(21)      0.82        0.75        0.79        0.80        0.79 
(22)      0.14        0.03        0.03        0.01        0.01 
(23)      0.60        0.60        0.61        0.84        0.84 
(24)      0.03        0.03        0.03        0.030       0.030 
(25)      0.59        0.58        0.58        0.31        0.31 
(26)      2.61        2.57        2.51        1.30        1.32 
(27)      0.08        0.08        0.07        0.17        0.16 
(28)      0.81        0.79        0.72        1.59        1.53 
(29)      0.83        0.86        0.60       -0.67       -0.69 
(30)      0.26        0.16        0.11        0.21        0.20 
(31)      0.63        0.59        0.54        0.51        0.50 
(32)      0.67        0.62        0.59        0.53        0.53 
(33)      1.64        1.60        1.51        0.77        0.78 
(34)      2.71        2.66        2.77        1.13        1.13 
(35)      8.99        7.42        6.89        3.20        3.18 
(36)      0.15        0.18        0.19        0.41        0.40 
(37)      3.32        3.00        3.04       -2.51       -2.50 
(38)      0.78        0.74        1.04       -5.56       -5.20 
(39)      6.02        2.79        4.50        0.31        0.32 
(40)      6.92       16.02        7.56        9.68       10.43 
(41)      1.79        1.97        1.70       -2.20       -2.16 
(42)      0.03        0.03        0.03        0.03        0.03 
(43)      0.02        0.02        0.02        0.03        0.03 
(45)      1.00        1.00        0.39        0.74        0.75 
(47)      0.66        0.73        0.68        0.44        0.45 
(49)      0.83        0.26         -           -           -
(51)      0.05        0.03        0.04        0.08        0.07 
(53)      0.04        0.04        0.01        0.02        0.02 
(54)      0.88        0.89        0.90        0.79        0.80 
(55)      0.40        0.40        0.39        0.70        0.70 
(56)      1.12        1.14        1.20        0.85        0.85 
(57)     -0.19       -0.34       -0.51        1.08        1.08
実施例６３  実施例６４  実施例６５  実施例６６  実施例６７
(15)     -3.56       -3.56       -3.56       -3.56       -3.55 
(16)      0.60        0.60        0.60        0.60        0.60 
(17)      6.2         6.1         5.8         5.9         5.5  
(18)      2.887       3.456       1.820       2.639       4.128 
(19)      0.16        0.15        0.13        0.19        0.14
(20)      0.53        0.51        0.55        0.58        0.58
(21)      1.85        1.84        0.80        0.80        0.78 
(22)      0.01        0.01        0.01        0.01        0.01 
(23)      0.89        0.90        0.85        0.86        0.84 
(24)      0.030       0.030       0.030       0.030       0.030 
(25)      0.29        0.29        0.32        0.31        0.31 
(26)      1.32        1.27        1.33        1.49        1.32 
(27)      0.10        0.09        0.15        0.14        0.16 
(28)      1.16        1.06        1.53        1.47        1.55 
(29)     -0.50       -0.46       -0.66       -0.65       -0.69 
(30)      0.18        0.19        0.23        0.18        0.22 
(31)      0.44        0.43        0.51        0.48        0.49 
(32)      0.45        0.45        0.54        0.50        0.52 
(33)      0.78        0.76        0.82        0.86        0.78 
(34)      1.11        1.10        1.13        1.14        1.14 
(35)      3.26        3.07        3.81        3.20        3.22 
(36)      0.32        0.31        0.32        0.36        0.41 
(37)     -5.18       -6.53       -2.68       -3.08       -2.46 
(38)     -7.97       -9.78       -5.56       -4.54       -5.14 
(39)      0.45        0.48        0.34        0.38        0.32 
(40)     12.25       11.51        9.32       12.61        9.00 
(41)     -3.88       -4.55       -2.24       -2.35       -2.12 
(42)      0.03        0.03        0.03        0.03        0.03 
(43)      0.03        0.03        0.03        0.03        0.03 
(45)      0.70        0.69        0.75        0.75        0.75 
(47)       -           -          0.44        0.44        0.44 
(49)       -           -           -           -           -
(51)      0.07        0.07        0.09        0.07        0.08 
(53)      0.03        0.02        0.03        0.03        0.02 
(54)      0.87        0.88        0.81        0.83        0.80 
(55)      0.67        0.65        0.71        0.69        0.70 
(56)      0.90        0.91        0.86        0.87        0.85 
(57)      1.04        1.04        1.08        1.06        1.09
実施例６８  実施例６９  実施例７０  実施例７１  実施例７２
(15)     -3.51       -3.51       -3.55       -3.53       -3.56 
(16)      0.60        0.59        0.62        0.60        0.81 
(17)      4.7         4.0         4.3         4.2        20.0 
(18)      5.676      -2.165       2.520      -4.024      16.232 
(19)      0.43        0.44        0.41        0.43        0.06
(20)      0.47        0.59        0.55        0.56        0.15
(21)      0.53        0.68        0.72        0.70        1.29 
(22)      0.03        0.04        0.07        0.13        0.03 
(23)      0.97        0.95        0.95        0.95        0.94 
(24)      0.030       0.030       0.030       0.030       0.030 
(25)      0.34        0.34        0.30        0.32        0.26 
(26)      1.13        1.21        1.23        1.22        1.60 
(27)      0.02        0.04        0.04        0.04        0.06 
(28)      0.20        0.30        0.30        0.30        2.37 
(29)     -0.21       -0.25       -0.15       -0.23       -0.20 
(30)      0.06        0.09        0.04        0.02        0.15 
(31)      0.49        0.47        0.42        0.45        0.37 
(32)      0.52        0.52        0.43        0.48        0.38 
(33)      0.80        0.84        0.69        0.73        0.80 
(34)      1.09        1.14        1.07        1.10        1.05 
(35)      4.29        3.54        3.75        3.97        9.28 
(36)      0.19        0.20        0.24        0.23        0.31 
(37)     -3.19       -3.97       -5.93       -4.70      -15.07 
(38)    -36.12      -20.98      -38.61      -23.70      -31.38 
(39)     12.39        4.04      -43.59      -17.45        0.60 
(40)    -32.00       29.54     3950.63       82.32       41.33 
(41)     -0.90       -1.09       -1.81       -1.34      -11.72 
(42)      0.03        0.03        0.03        0.03        0.03 
(43)      0.03        0.03        0.03        0.03        0.03 
(45)      0.50        0.47        0.43        0.45        0.64 
(47)      0.86        0.90        0.96        0.94         -
(49)       -           -           -           -           -
(51)      0.14        0.09        0.04        0.06        0.05 
(53)      0.14        0.08        0.16        0.11        0.02 
(54)      0.97        0.94        0.95        0.95        0.92 
(55)      0.82        0.76        0.76        0.77        0.63 
(56)      1.00        0.98        0.98        0.98        0.94 
(57)      0.92        0.97        0.92        0.93        1.03
実施例７３  実施例７４  実施例７５  実施例７６  実施例７７
(15)     -3.54       -1.33       -1.33       -1.34       -1.34 
(16)      0.80        0.23        0.23        0.23        0.22 
(17)      6.4         4.0         3.3         3.7         3.7  
(18)     14.496       5.058       9.279       1.986       2.892 
(19)      0.38        0.98        2.77        1.02        0.89
(20)      0.37        1.52        1.91        1.78        1.79
(21)      0.51        1.13        1.29        1.49        1.03 
(22)      0.01        0.44        0.26        0.36        0.35 
(23)      0.95        0.87        0.89        0.85        0.86 
(24)      0.030       0.030       0.030       0.030       0.030 
(25)      0.32        0.46        0.41        0.45        0.47 
(26)      1.66        1.08        1.18        1.10        1.08 
(27)      0.04        0.07        0.03        0.09        0.09 
(28)      0.46        0.55        0.21        0.60        0.58 
(29)     -0.17       -1.58       -1.05       -1.85       -1.45 
(30)      0.00        0.60        0.58        0.48        0.66 
(31)      0.47        0.70        0.49        0.66        0.74 
(32)      0.47        0.84        0.60        0.77        0.89 
(33)      0.74        1.14        1.01        1.16        1.18 
(34)      1.05        1.41        1.53        1.41        1.43 
(35)      6.37        4.25        3.26        3.76        4.20 
(36)      0.10        0.21        0.20        0.21        0.21 
(37)    -17.56       -2.28       -3.95       -3.14       -2.82 
(38)    -31.36       -1.92       -2.96       -1.44       -2.15 
(39)      3.03        7.87       23.82        8.76        5.83 
(40)  -9696.32        2.94       22.27        3.84        3.10 
(41)     -5.11       -0.58       -0.65       -0.76       -0.85 
(42)      0.03        0.03        0.03        0.03        0.03 
(43)      0.03        0.03        0.03        0.03        0.03 
(45)      0.35        0.83        0.86        0.88        0.86 
(47)      0.97        0.36         -          0.40        0.37 
(49)       -           -           -           -           -
(51)      0.02        0.17        0.18        0.15        0.19 
(53)      0.13        0.03        0.03        0.03        0.04 
(54)      0.95        0.88        0.95        0.86        0.86 
(55)      0.80        0.72        0.69        0.73        0.74 
(56)      0.98        0.94        1.09        0.92        0.92 
(57)      0.90        1.03        0.45        1.02        1.08
実施例７８  実施例７９  実施例８０  実施例８１  実施例８２
(15)     -1.33       -2.20       -2.00       -2.00       -2.00 
(16)      0.23        0.38        0.32        0.32        0.32 
(17)      3.8         5.5         5.1         5.1         5.1  
(18)      2.970       7.326       5.550       6.867       6.856 
(19)      0.92        6.01        1.47        0.89        0.89
(20)      1.77        1.51        1.28        1.29        1.26
(21)      0.98        0.73        1.07        1.14        1.30 
(22)      0.29        0.01        0.11        0.10        0.06 
(23)      0.87        0.74        0.90        0.87        0.87 
(24)      0.030       0.030       0.030       0.030       0.030 
(25)      0.46        0.46        0.39        0.40        0.38 
(26)      1.08        3.74        1.22        1.24        1.24 
(27)      0.08        0.05        0.05        0.08        0.08 
(28)      0.55        0.53        0.44        0.72        0.72 
(29)     -1.52        0.57       -1.18       -0.96       -0.96 
(30)      0.64        0.08        0.54        0.54        0.55 
(31)      0.71        0.44        0.54        0.62        0.55 
(32)      0.85        0.46        0.57        0.65        0.59 
(33)      1.14        1.27        0.83        0.87        0.80 
(34)      1.40        2.07        1.31        1.28        1.32 
(35)      4.06        5.31        4.96        4.82        4.44 
(36)      0.21        0.16        0.23        0.23        0.23 
(37)     -2.67        3.89      -13.18       -8.91      -93.62 
(38)     -2.12        1.86       -1.60       -2.00       -2.00 
(39)      6.61    -1270.10       23.23        4.39        3.92 
(40)      3.10       30.48        4.24        4.27        3.86 
(41)     -0.80        1.39       -6.32       -5.14      -49.35 
(42)      0.03        0.03        0.03        0.03        0.03 
(43)      0.03        0.02        0.03        0.03        0.03 
(45)      0.85        1.00        0.83        0.82        0.80 
(47)      0.38        0.72        0.46        0.48        0.46 
(49)       -           -           -           -           -
(51)      0.19        0.05        0.13        0.11        0.13 
(53)      0.05        0.02        0.06        0.07        0.07 
(54)      0.88        0.93        0.93        0.89        0.89 
(55)      0.74        0.51        0.70        0.70        0.68 
(56)      0.94        1.16        1.00        0.94        0.94 
(57)      1.04       -0.28        0.74        0.93        0.97
実施例８３  実施例８４  実施例８５  実施例８６  実施例８７
(15)     -1.32       -2.54       -2.58       -1.99       -4.18 
(16)      0.33        0.42        0.40        0.40        0.74 
(17)      4.1         4.4         5.5         6.4         8.8  
(18)      9.402      21.517       3.391       2.859       8.190 
(19)      3.16        0.58        1.03        1.19        0.11
(20)      1.25        1.45        1.36        1.29        0.42
(21)      1.19        0.74        1.11        0.80        0.59 
(22)      0.39        0.09        0.01        0.01        0.03 
(23)      0.91        0.67        0.80        0.79        0.84 
(24)      0.030       0.021       0.030       0.030       0.030 
(25)      0.49        0.40        0.32        0.35        0.25 
(26)      1.07        2.82        2.13        1.96        2.00 
(27)      0.02        0.32        0.12        0.12        0.17 
(28)      0.18        2.12        1.23        1.35        2.52 
(29)     -2.12        1.14       -0.86       -1.51       -0.56 
(30)      0.45        0.19        0.27        0.26        0.11 
(31)      0.74        0.56        0.36        0.41        0.37 
(32)      0.85        0.71        0.37        0.43        0.38 
(33)      1.09        0.95        0.76        0.85        0.71 
(34)      1.37        1.74        1.57        1.57        1.11 
(35)      5.65       23.80        4.49        4.50       17.87 
(36)      0.22        0.06        0.34        0.42        0.05 
(37)     -4.40        1.03       -3.39       -1.68       -8.39 
(38)     -1.31        1.58       -1.53       -0.81       -5.89 
(39)     55.20        0.30        0.79        0.77        0.26 
(40)      4.99        0.77       12.26       17.99       49.15 
(41)     -1.49        1.19       -4.03       -1.67       -6.31 
(42)      0.03        0.02        0.03        0.03        0.03 
(43)      0.03        0.02        0.03        0.03        0.03 
(45)      0.90         -          0.83        0.88        0.79 
(47)      0.42        0.27         -           -           -
(49)       -           -           -           -           -
(51)      0.14        0.21        0.09        0.09        0.08 
(53)      0.04        0.09        0.04        0.05        0.03 
(54)      0.96        0.65        0.85        0.86        0.81 
(55)      0.78        0.69        0.56        0.60        0.74 
(56)      1.13        0.71        0.87        0.88        0.85 
(57)      0.13        1.52        1.17        1.10        1.06
実施例８８  実施例８９  実施例９０  実施例９１  実施例９２
(15)     -4.18       -8.37       -2.04       -2.04       -4.09 
(16)      0.75        0.95        0.39        0.41        0.74 
(17)      6.7        11.5         9.8        11.8        17.8  
(18)      7.905      17.163      10.582       9.821      16.263 
(19)      0.17        0.01        0.81        0.86        0.21
(20)      0.47        0.20        0.89        0.83        0.37
(21)      0.65        0.44        0.60        0.59        1.95 
(22)      0.01        0.01        0.41        0.49        0.01 
(23)      0.86        0.70        0.85        0.85        0.93 
(24)      0.030       0.030       0.032       0.032       0.030 
(25)      0.27        0.21        0.46        0.44        0.32 
(26)      1.92        2.76        2.02        2.44        2.80 
(27)      0.14        0.41        0.10        0.10        0.06 
(28)      1.67        6.72        1.76        2.07        2.07 
(29)     -0.77       -0.29       -0.56       -0.54       -0.31 
(30)      0.03        0.06        0.33        0.30        0.32 
(31)      0.41        0.42        0.79        0.71        0.43 
(32)      0.42        0.42        0.87        0.78        0.49 
(33)      0.83        0.74        1.36        1.34        1.11 
(34)      1.11        1.03        1.29        1.31        1.17 
(35)      6.98       -8.15       10.00       26.35      -13.67 
(36)      0.08        0.00        0.41        0.16        0.00 
(37)     -8.54      -71.88       -0.53       -0.60       -2.01 
(38)     -4.16      -25.04       -2.50       -2.50      -10.00 
(39)      0.36        0.10        3.60        1.81        1.07 
(40)    150.63     1016.39        4.03        4.75        2.77 
(41)     -4.92      -53.92       -0.58       -0.69       -2.18 
(42)      0.03        0.03        0.03        0.03        0.03 
(43)      0.03        0.03        0.03        0.03        0.03 
(45)      0.82        0.80        0.58        0.62        0.64 
(47)       -           -          0.88        0.88        0.87 
(49)       -           -           -           -           -
(51)      0.08        0.06        0.10        0.10        0.13 
(53)      0.02        0.02        0.02        0.02        0.01 
(54)      0.83        0.63        0.66        0.67        0.92 
(55)      0.76        0.79        0.67        0.66        0.75 
(56)      0.87        0.71        0.90        0.91        0.95 
(57)      1.04        1.02        0.98        0.98        1.09
実施例９３  実施例９４  実施例９５  実施例９６
(15)     -2.04       -4.09       -2.00       -2.00 
(16)      0.40        0.69        0.32        0.32 
(17)     11.8        17.8         5.2         5.2  
(18)      8.840      14.080       1.990       0.995 
(19)      0.86        0.20        1.18        1.17
(20)      0.82        0.37        0.94        0.91
(21)      0.60        2.33        0.85        0.73 
(22)      0.55        0.45        0.50        0.35 
(23)      0.85        0.92        0.91        0.91 
(24)      0.032       0.030       0.030       0.030 
(25)      0.44        0.31        0.33        0.36 
(26)      2.38        2.64        1.27        1.26 
(27)      0.10        0.07        0.04        0.04 
(28)      2.07        2.28        0.44        0.44 
(29)     -0.52       -0.29       -0.70       -0.70 
(30)      0.30        0.44        0.21        0.20 
(31)      0.72        0.44        0.47        0.53 
(32)      0.79        0.49        0.45        0.51 
(33)      1.33        0.97        0.70        0.74 
(34)      1.31        1.17        1.18        1.16 
(35)     23.83       -6.82        9.42        9.76 
(36)      0.18        0.00        0.05        0.05 
(37)     -0.62        2.01        7.72       11.52 
(38)     -2.51      -10.00       -3.48       -3.50 
(39)      1.92        0.98       24.77    -4293.76 
(40)      4.90        2.78     -105.70     -105.84 
(41)     -0.68        2.46        3.35        4.88 
(42)      0.03        0.03        0.03        0.03 
(43)      0.03        0.03        0.03        0.03 
(45)      0.61        0.64        0.81        0.83 
(47)      0.88         -          0.31        0.29 
(49)       -           -           -           -
(51)      0.10        0.12        0.06        0.05 
(53)      0.02        0.03        0.06        0.07 
(54)      0.67        0.91        0.94        0.94 
(55)      0.65        0.96        0.86        0.87 
(56)      0.91        0.94        0.99        0.99 
(57)      0.97        1.09        0.72        0.70
【１０８６】
また、変数の値を以下に掲げる。なお、ＮG1は第１レンズ群におけるレンズ枚数、ＮG2は第２レンズ群におけるレンズ枚数、ｆG2は第２レンズ群の焦点距離、ｆG2iは第２像側レンズの焦点距離である。また、ｆL1〜ｆL19は各レンズの焦点距離で、レンズ断面図におけるＬ１〜Ｌ１９に対応する。なお、回折光学素子を有する実施例については、レンズ断面図においてＤＬで示されたレンズについての焦点距離は記載を省略している。
実施例８      実施例９     実施例１０   実施例１１
Doi             60.0          57.9         60.0         60.0 
Yobj             4.7           4.7          4.8          4.8 
Y               4.92          4.92         4.92         4.92 
LTL             35.02         40.92        35.01        35.01 
LL              30.71         36.61        30.70        30.70 
WD             25.00         17.00        25.00        25.00 
BF              4.31          4.31         4.31         4.31 
NA              0.15          0.21         0.15         0.15 
β             -1.04         -1.05        -1.03        -1.03 
f               9.34          9.35         9.35        10.22 
φG1o           12.87         15.15        13.09        13.55 
φs              4.84          5.70         4.73         4.77
Dos             38.52         35.88        38.53        38.18 
DG1G2             1.87          2.17         1.77         1.40 
LG1             12.37         17.71        12.51        12.20 
LG2             16.47         16.73        16.42        17.10 
CRAobj(MAX)      5.01          3.02         4.85         4.57 
CRAobj(MIN)      0.00          0.00         0.00         0.00 
CRAimg          20.40         23.21        20.47        20.41 
Dmax             5.72          5.24         5.70         4.65 
DG1max            1.23          2.49         0.99         1.10 
νdmax           81.61         81.61        81.61        81.61 
νdmin           30.30         30.30        30.30        31.32 
NG1              4.00          5.00         4.00         4.00 
NG2              5.00          5.00         6.00         6.00 
fG1             13.85         12.59        14.04        13.02 
fG2             53.90         19.64        34.90        39.91 
fG1o             24.63         23.26        23.74        21.53 
fG2i            -10.50         -8.84       -10.57       -10.74 
fL1             24.63         23.26        23.74        21.53 
fL2             27.02        -40.17        27.43        24.93 
fL3             12.38         18.64        10.99        13.31 
fL4             -6.99          9.77        -6.17        -6.78 
fL5            -15.63         -6.61       -16.62       -25.51 
fL6             51.27        -14.37        44.82        33.89 
fL7             20.88         73.73        11.13        20.46 
fL8             15.49         12.37       -12.69         8.23 
fL9            -10.50         22.47        11.28       -12.22 
fL10              -           -8.84       -10.57        -10.74 
実施例１２   実施例１３   実施例１４   実施例１５
Doi             55.0         55.0         60.0         60.0 
Yobj             4.7          4.7          4.7          4.7 
Y               4.92         4.92         4.92         4.92 
LTL             35.01        34.01        36.00        44.05 
LL              32.11        31.12        32.87        40.74 
WD             20.00        21.00        24.00        15.97 
BF              2.90         2.89         3.13         3.31 
NA              0.18         0.13         0.14         0.21 
β             -1.05        -1.05        -1.05        -1.05 
f               7.99         8.59         9.49         8.84 
φG1o           13.29        11.27        12.33        13.69 
φs              5.73         3.56         4.32         6.29
Dos             36.58        35.61        40.71        32.22 
DG1G2             1.64         1.24         1.41         4.13 
LG1             15.23        13.67        15.60        14.70 
LG2             15.23        16.21        15.86        21.90 
CRAobj(MAX)       5.01        5.02         4.45         5.03 
CRAobj(MIN)       0.00        0.00         0.00         0.00 
CRAimg           24.98       24.22        22.84        23.11 
Dmax              3.01        3.60         3.25         4.13
DG1max             0.30        0.30         0.45         2.15 
νdmax            81.61       81.61        81.61        81.61 
νdmin            23.77       23.77        23.77        23.77 
NG1               6.00        6.00         6.00         5.00 
NG2               5.00        5.00         4.00         6.00 
fG1              12.56       11.59        11.80        14.91 
fG2              65.83       67.00        -52.46       12.97 
fG1o              18.32       17.88        18.30        56.21 
fG2i              -9.44      -10.56       -15.34       -11.21 
fL1               18.32       17.88        18.30        56.21 
fL2              -12.27      -13.66        -11.91       37.07 
fL3              15.26        16.27        13.04        24.83 
fL4              16.48        13.67        14.27        10.19 
fL5              12.90        13.69        13.50        -5.97 
fL6              -6.44        -5.79        -5.96       -12.93 
fL7             -31.52        21.18       -27.43        14.43 
fL8             114.04       -12.33        49.38        15.97 
fL9              19.76        22.67        20.52        22.94 
fL10             18.24        16.87       -15.34        -17.31 
fL11             -9.44       -10.56          -          -11.21 
実施例１６   実施例１７   実施例１８   実施例１９
Doi            60.0          60.0         60.0         70.0 
Yobj            4.7           4.7          4.7          4.9 
Y              4.92          4.92         4.92         4.92 
LTL            43.01         40.23        35.01        42.41 
LL             38.70         35.92        30.70        40.53 
WD            17.00         19.78        25.00        27.58 
BF             4.31          4.31         4.31         1.88 
NA             0.18          0.20         0.15         0.15 
β            -1.05         -1.05        -1.04        -1.00 
f             10.48         10.21         8.63         9.02 
φG1o          12.75         14.20        12.86        14.58 
φs             4.52          5.67         5.89         5.59
Dos            32.54         33.57        38.03        45.84 
DG1G2            1.68         2.34          3.56         1.37 
LG1            14.57         12.53         9.67        16.92 
LG2            22.44         21.05        17.47        22.24 
CRAobj(MAX)     4.97          5.01         5.00         4.01 
CRAobj(MIN)     0.00          0.00         0.00         0.00 
CRAimg         18.67         18.43        22.74        21.84 
Dmax            5.88          5.84         3.56         4.34 
DG1max           0.10         1.38          0.10         2.78 
νdmax          81.61        81.61         81.61        81.61 
νdmin          23.77        30.30         33.79        30.30 
NG1             5.00         4.00          4.00         7.00 
NG2             5.00         5.00          6.00         7.00 
fG1            12.37        13.75         17.15        14.57 
fG2            13.91        16.65         35.67       -25.41 
fG1o           54.82         24.83         21.39        68.99 
fG2i          -10.13        -12.05        -12.01       -13.57 
fL1            54.82         24.83        21.39        24.92 
fL2            27.79         27.96        22.33        34.57 
fL3            21.01         11.33        15.76        15.04 
fL4             8.55         -6.47        -7.77       -10.67 
fL5            -4.58        -17.53       -11.67        -9.30 
fL6            -8.88         38.34         9.71        18.19 
fL7            16.30         14.48        12.02        25.65 
fL8            14.63         48.32        28.79       145.05 
fL9            24.09        -12.05       -14.54        13.70 
fL10           -10.13          -          -12.01       -19.71 
fL11              -            -             -         -13.57 
実施例２０   実施例２１   実施例２２   実施例２３
Doi            50.5          90.0         74.0         75.0 
Yobj            3.7           3.7          3.7          3.7 
Y              4.92          4.92         4.92         4.92 
LTL            36.73         60.00        44.01        45.00 
LL             34.85         58.09        42.57        42.76 
WD            13.80         30.00        30.00        30.00 
BF             1.88          1.91         1.44         2.25 
NA             0.23          0.23         0.23         0.23 
β            -1.33         -1.33        -1.33        -1.33 
f              5.76         11.95         9.09         8.95 
φG1o          11.62         18.29        18.37        18.43 
φs             5.58          8.60         9.67         9.49
Dos            27.52         46.38        45.86        46.52 
DG1G2            2.33          2.52         0.72         0.82 
LG1            12.55         14.93        14.92        15.58 
LG2            19.96         40.64        26.93        26.36 
CRAobj(MAX)     5.03          3.42         3.77         3.66 
CRAobj(MIN)     0.00          0.00         0.00         0.00 
CRAimg         24.38         16.41        14.28        16.19 
Dmax            5.67         16.81         5.38         6.22 
DG1max          0.74          0.10          0.71         0.10 
νdmax         81.61         81.61         81.61        81.61 
νdmin         23.77         23.77         23.77        30.30 
NG1            5.00          6.00          6.00         7.00 
NG2            7.00          7.00          7.00         7.00 
fG1            11.79         15.93         14.56        14.90 
fG2            20.63       -148.45        -15.87       -17.93 
fG1o           12.16         27.51         34.51      -433.62 
fG2i          -11.27        -61.84       -112.48       -44.15 
fL1            12.16         27.51         34.51      -433.62 
fL2            -9.59        -47.88        -54.36        30.29 
fL3             8.46         23.28         28.64       -40.89 
fL4             9.45         24.16         25.30        25.88 
fL5            -5.84         21.16         16.94        25.01 
fL6            -7.46         -8.36        -11.17        15.79 
fL7            11.13         -8.13         -8.34       -10.39 
fL8            35.93         14.39         16.41        -8.30 
fL9            37.12         27.87         14.16        17.85 
fL10           16.62         46.31        -11.47        13.12 
fL11          -19.11         23.89          9.84       -11.60 
fL12          -11.27        -13.98         -9.96         9.84 
fL13             -          -61.84       -112.48       -12.08 
fL14             -             -            -          -44.15 
実施例２４   実施例２５   実施例２６   実施例２７
Doi            70.0          67.0         67.0         67.0 
Yobj            2.2           1.9          1.9          1.9 
Y              4.92          4.92         4.92         4.92 
LTL            54.21         55.51        51.22        51.22 
LL             51.58         52.41        49.41        49.09 
WD            15.80         11.50        15.80        15.80 
BF             2.63          3.10         1.81         2.13 
NA             0.38          0.43         0.40         0.40 
β            -2.20         -2.55        -2.55        -2.55 
f              5.02          4.06         4.53         4.30 
φG1o          16.68         14.25        16.84        16.89 
φs            11.49         11.77        12.92        12.50
Dos            32.14         27.52        31.44        30.95 
DG1G2            0.96          1.10         0.36         0.52 
LG1            15.55         15.33        15.63        15.10 
LG2            35.06         35.97        33.42        33.47 
CRAobj(MAX)     3.01          3.02         3.01         3.02 
CRAobj(MIN)     0.00          0.00         0.00         0.00 
CRAimg         19.17         20.97        14.87        16.57 
Dmax            8.48         12.20        11.08        11.58 
DG1max           0.10          0.71         0.70         0.43 
νdmax          81.61         81.61        81.61        81.61 
νdmin          23.77         23.77        23.77        23.77 
NG1             6.00          6.00         6.00         5.00 
NG2             7.00          7.00         7.00         7.00 
fG1            14.02         12.99        12.42        12.17 
fG2           919.29         85.22        -9.39        -9.08 
fG1o           19.51         15.80         25.17        28.64 
fG2i          -20.20        -13.47        -21.78       -18.62 
fL1            19.51         15.80         25.17        28.64 
fL2           -30.65        -25.58        -77.15        43.10 
fL3            25.01         23.90         32.04        19.95 
fL4            22.31         23.14         20.04        22.33 
fL5            19.81         18.73         26.48       -18.00 
fL6           -10.74        -11.95        -20.40        -9.19 
fL7           -10.27        -11.22         -9.37        15.85 
fL8            13.10         14.37         15.36        21.65 
fL9            22.47         24.09         22.49       -14.46 
fL10           -26.66        -50.83       -12.32         9.47 
fL11            12.62         12.52         9.13        -9.78 
fL12           -10.03        -10.05        -9.73       -18.62 
fL13           -20.20        -13.47       -21.78          -
実施例２８   実施例２９   実施例３０   実施例３１
Doi            67.0          67.0         67.0         60.0 
Yobj            3.1           3.2          3.2          2.5 
Y              4.92          4.92         4.92         4.92 
LTL            50.99         50.97        50.83        39.12 
LL             49.18         49.16        49.02        36.64 
WD            16.02         16.04        16.18        20.90 
BF             1.81          1.81         1.81         2.48 
NA             0.40          0.31         0.31         0.20 
β            -1.60         -1.56        -1.55        -2.00 
f              5.39          5.41         5.52         6.48 
φG1o          18.74         14.61        14.78        10.53 
φs            13.40         10.17        10.06         6.66
Dos            30.52         31.48        30.31        30.56 
DG1G2            0.73          1.01         0.78         0.35 
LG1            14.68         15.41        14.04         9.16 
LG2            33.77         32.74        34.20        27.13 
CRAobj(MAX)     5.01          4.86         5.01         4.25 
CRAobj(MIN)     0.00          0.00         0.00         0.00 
CRAimg         24.98         24.99        24.99        13.24 
Dmax            6.33          6.37         8.18         5.26 
DG1max           0.44          0.54         0.64         0.10 
νdmax         81.61         81.61        81.61        81.61 
νdmin         23.77         23.77        23.77        23.77 
NG1             5.00          5.00         5.00         5.00 
NG2             7.00          7.00         6.00         7.00 
fG1            12.63         12.85        12.89        11.74 
fG2           -19.08        -18.81       -27.03       -14.14 
fG1o           36.71         36.28        33.71        46.69 
fG2i          -12.14        -11.41       -10.64      1004.70 
fL1            36.71         36.28        33.71        46.69 
fL2            40.13         44.47        57.34        46.74 
fL3            21.15         19.96        18.06        25.46 
fL4            24.31         23.47        20.89        13.56 
fL5           -22.06        -21.47       -17.23       -12.34 
fL6            -9.37         -9.35        -9.76        -8.13 
fL7            13.36         13.37        13.67        11.38 
fL8            34.78         34.82        33.26        38.36 
fL9          -104.76        -93.84        16.88       270.72 
fL10           15.68         14.70        -15.01        13.62 
fL11          -14.06        -13.63        -10.64        -6.90 
fL12          -12.14        -11.41           -        1004.70 
実施例３２   実施例３３   実施例３４   実施例３５
Doi            70.0          74.0         62.7         63.0 
Yobj            2.5           3.7          3.7          3.7 
Y              4.92          4.92         4.92         4.92 
LTL            44.98         44.01        46.52        46.88 
LL             42.01         38.79        45.18        45.36 
WD            25.04         30.00        16.17        16.07 
BF             2.96          5.22         1.34         1.52 
NA             0.23          0.23         0.23         0.23 
β            -2.00         -1.33        -1.33        -1.33 
f             10.51         10.24         6.71         6.94 
φG1o          14.46         19.03        13.17        13.35 
φs             8.46          9.19         5.88         5.84
Dos           36.91          47.62        33.61        33.98 
DG1G2           0.16           0.54         1.53         2.17 
LG1            11.38         16.67        16.47        16.61 
LG2            30.47         21.58        27.18        26.59 
CRAobj(MAX)     3.30          3.22         3.54         3.17 
CRAobj(MIN)     0.00          0.00         0.00         0.00 
CRAimg         12.08         16.48        25.00        25.00 
Dmax            9.72          5.87         5.23         5.15 
DG1max          0.30          0.10         0.96         0.92 
νdmax          81.61        81.61         81.61        81.61 
νdmin          23.77        23.77         23.77        23.77 
NG1             5.00         6.00          6.00         6.00 
NG2             6.00         6.00          7.00         6.00 
fG1            12.00        15.66         11.76        11.71 
fG2           -16.50        -40.91       416.18     -1160.10 
fG1o           43.72         41.25        13.37        13.51 
fG2i          100.51        -10.63       -22.33       -16.72 
fL1            43.72         41.25        13.37        13.51 
fL2            32.19        -52.01       -11.61       -11.84 
fL3            28.02         20.63        16.56        16.66 
fL4            14.03         27.75        16.39        16.73 
fL5           -11.74         18.33        11.85        12.07 
fL6            -7.83         -9.85        -6.77        -7.04 
fL7            14.26        -10.09        -8.39        -8.08 
fL8            41.26         20.06        14.89        14.88 
fL9            14.80         12.65        25.19        17.50 
fL10           -9.79         -9.90        46.83        19.53 
fL11          100.51          8.86        19.06       -15.02 
fL12             -          -10.63       -11.47       -16.72 
fL13             -             -         -22.33          -
実施例３６   実施例３７   実施例３８   実施例３９
Doi            64.1          65.0         74.6         65.2 
Yobj            3.7           3.7          3.7          3.8 
Y              4.92          4.92         4.92         4.92 
LTL            47.90         48.69        53.56        48.01 
LL             44.23         47.50        49.95        45.78 
WD            16.16         16.30        21.00        17.18 
BF             3.68          1.19         3.62         2.23 
NA             0.23          0.23         0.23         0.23 
β            -1.33         -1.33        -1.33        -1.30 
f              8.73          8.25         9.31        11.64 
φG1o          13.51         13.57        15.22        14.22 
φs             5.94          5.87         6.90         6.93
Dos            34.66         34.69        40.82        37.85 
DG1G2            2.23          2.15         2.29         0.87 
LG1            17.20         17.11        18.37        20.17 
LG2            24.80         28.25        29.28        24.74 
CRAobj(MAX)     3.04          3.04         3.19         3.59 
CRAobj(MIN)     0.00          0.00         0.00         0.00 
CRAimg         20.87         18.64        15.64        10.46 
Dmax            5.08          5.21         4.86         3.62 
DG1max          0.92          0.79         0.30         1.32 
νdmax          81.61         81.61        81.61        81.61 
νdmin          23.77         23.77        23.77        32.36 
NG1             6.00          6.00         6.00         6.00 
NG2             5.00          7.00         6.00         5.00 
fG1            11.61         11.76        12.68        11.29 
fG2           238.11        152.21       -40.68       -27.34 
fG1o            13.83         13.48        15.35        30.09 
fG2i            -8.72       1846.69        -9.62       -13.42 
fL1            13.83         13.48        15.35        30.09 
fL2           -11.77        -11.53       -13.63       -26.10 
fL3            17.05         15.57        17.12        16.79 
fL4            16.34         17.36        17.69        23.91 
fL5            12.87         11.81        16.75        21.98 
fL6            -7.52         -6.86        -8.50       -25.35 
fL7            -7.59         -8.30        -7.69        24.96 
fL8            15.13         14.58        18.30        -6.92 
fL9            16.05         19.96        36.70       183.01 
fL10            21.08         85.87        26.35        13.30 
fL11            -8.72         19.60        19.77       -13.42 
fL12              -    †††ⴠ⸸〱††††㤭㘮′††††ⴠ戼㹲昊猼扵砠汭獮樺㵰栢瑴㩰⼯睷⹷灪⹯潧樮≰䰾㌱⼼畳㹢†††††††‭††††㠱㘴㘮‹††††ⴠ††††††㰭牢ਾ㰠牢ਾ†††††龮雦设볯邼†龮雦设볯醼†龮雦设볯銼†龮雦设볯鎼戼㹲䐊猼扵砠汭獮樺㵰栢瑴㩰⼯睷⹷灪⹯潧樮≰漾⁩⼼畳㹢†††††㘠⸴′††††㔠⸴‵††††㐵ㄮ††††㘠⸵‰戼㹲夊猼扵砠汭獮樺㵰栢瑴㩰⼯睷⹷灪⹯潧樮≰漾橢⼼畳㹢††††††⸳‸†††††⸳‶††††㌠㘮†††††⸳‷戼㹲夊†††††††⸴㈹†††††⸴㔷††††㐠㜮‵††††⸴㈹㰠牢ਾ㱌畳⁢浸湬㩳灪∽瑨灴⼺眯睷樮潰朮⹯灪㸢䱔⼼畳㹢††††††㜴㘮‴††††㌴〮‰†††㐠⸳〰††††㤴ㄮ‰戼㹲䰊猼扵砠汭獮樺㵰栢瑴㩰⼯睷⹷灪⹯潧樮≰䰾㰠猯扵‾†††††㐠⸵㈵††††㐠⸱㐲††††ㄴ㈮‴†††㐠⸷㈶㰠牢ਾ䑗猼扵砠汭獮樺㵰栢瑴㩰⼯睷⹷灪⹯潧樮≰‾㰠猯扵‾†††††㘱㘮‰††††ㄱ㐮‹†††ㄠ⸱㈱††††㔱㤮‰戼㹲䈊⁆††††††⸲㈱†††††⸱㘷††††ㄠ㜮‶††††⸱㠴㰠牢ਾ䅎††††††〠㈮″††††〠㈮″††††⸰㌲††††〠㈮″戼㹲츊₲†††††ⴠ⸱〳††††ⴠ⸱㈳††††ㄭ㌮′†††ⴠ⸱㌳㰠牢ਾ⁦††††††ㄱㄮ‹††††㔠㌮‴††††⸵ㄳ††††㜠㜮‸戼㹲켊㲆畳⁢浸湬㩳灪∽瑨灴⼺眯睷樮潰朮⹯灪㸢ㅇ㱯猯扵‾††††ㄠ⸴㈴††††ㄠ⸱㌴††††〱㤮‵†††ㄠ⸳㤱㰠牢ਾ蛏猼扵砠汭獮樺㵰栢瑴㩰⼯睷⹷灪⹯潧樮≰猾㰠猯扵‾†††††㘠㜮‰††††㜠㘮‰††††⸷〶††††㔠㠮㰶牢ਾ㱄畳⁢浸湬㩳灪∽瑨灴⼺眯睷樮潰朮⹯灪㸢獯⼼畳㹢††††††㠳㐮‸††††〳㘮‹†††㌠⸰㐱††††㌳㠮′戼㹲䐊猼扵砠汭獮樺㵰栢瑴㩰⼯睷⹷灪⹯潧樮≰䜾䜱′⼼畳㹢†††††ㄠ㠮‵††††㈠ㄮ‵††††⸱㤰††††㈠ㄮ‷戼㹲䰊猼扵砠汭獮樺㵰栢瑴㩰⼯睷⹷灪⹯潧樮≰䜾㰱猯扵‾†††††㈠⸰㜹††††ㄠ⸷㔳††††㠱㈮″†††ㄠ⸶㤸㰠牢ਾ㱌畳⁢浸湬㩳灪∽瑨灴⼺眯睷樮潰朮⹯灪㸢㉇⼼畳㹢††††††㈲㜮‰††††ㄲ㜮‴†††㈠⸱㌹††††㠲㔮‶戼㹲䌊䅒猼扵砠汭獮樺㵰栢瑴㩰⼯睷⹷灪⹯潧樮≰漾橢⼼畳㹢䴨塁 ††⸳㄰†††††⸳㐴††††㌠㤮‴††††⸳㐴㰠牢ਾ剃㱁畳⁢浸湬㩳灪∽瑨灴⼺眯睷樮潰朮⹯灪㸢扯㱪猯扵⠾䥍⥎††〠〮‰††††〠〮‰††††⸰〰††††〠〮‰戼㹲䌊䅒猼扵砠汭獮樺㵰栢瑴㩰⼯睷⹷灪⹯潧樮≰椾杭⼼畳㹢††††ㄠ⸰㌸††††㌠⸱〵††††ㄳ㈮‸†††㈠⸵㄰㰠牢ਾ㱄畳⁢浸湬㩳灪∽瑨灴⼺眯睷樮潰朮⹯灪㸢慭㱸猯扵‾†††††㌠〮″††††㔠㐮‸††††⸵㌶††††㔠ㄮ‹戼㹲䐊猼扵砠汭獮樺㵰栢瑴㩰⼯睷⹷灪⹯潧樮≰䜾洱硡⼼畳㹢†††††ㄠ㌮′††††㔠㌮‷††††⸵㌶††††〠㜮‹戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㐳㜮‱††††㌲㜮‸†††㈠⸳㠷††††㌲㜮‷戼㹲上猼扵砠汭獮樺㵰栢瑴㩰⼯睷⹷灪⹯潧樮≰䜾㰱猯扵‾††††††⸶〰†††††⸶〰††††㘠〮‰††††⸶〰㰠牢ਾ㱎畳⁢浸湬㩳灪∽瑨灴⼺眯睷樮潰朮⹯灪㸢㉇⼼畳㹢††††††㔠〮‰††††㜠〮‰���†††⸸〰††††㘠〮‰戼㹲昊猼扵砠汭獮樺㵰栢瑴㩰⼯睷⹷灪⹯潧樮≰䜾㰱猯扵‾†††††ㄠ⸲㔳††††ㄠ⸶㘷††††㔱㔮‷†††ㄠ⸱㠲㰠牢ਾ㱦畳⁢浸湬㩳灪∽瑨灴⼺眯睷樮潰朮⹯灪㸢㉇⼼畳㹢†††††ㄭ㌶〮‵††††㘱㌮‴†††㔠⸰㤶†††ㄭ㐴ㄮ′戼㹲昊猼扵砠汭獮樺㵰栢瑴㩰⼯睷⹷灪⹯潧樮≰䜾漱⼼畳㹢†††††ㄠ⸷ㄵ††††㤭⸵㔲††††ㄠ⸵㈴††††㌱㔮‵戼㹲昊猼扵砠汭獮樺㵰栢瑴㩰⼯睷⹷灪⹯潧樮≰䜾椲⼼畳㹢†††††ㄭ⸴㤰††††ⴠ⸸㈰††††ⴠ⸸㈰†††ⴠ㜱㘮‸戼㹲昊猼扵砠汭獮樺㵰栢瑴㩰⼯睷⹷灪⹯潧樮≰䰾‱⼼畳㹢†††††ㄠ⸷ㄵ††††㤭⸵㔲††††ㄠ⸵㈴††††㌱㔮‵戼㹲昊猼扵砠汭獮樺㵰栢瑴㩰⼯睷⹷灪⹯潧樮≰䰾′⼼畳㹢†††††ㄭ⸵〴††††ㄠ⸵㌵††††㤭⸵㔲†††ⴠ㈱〮‰戼㹲昊猼扵砠汭獮樺㵰栢瑴㩰⼯睷⹷灪⹯潧樮≰䰾″⼼畳㹢†††††ㄠ⸸㘰††††ㄭ⸰㔲††††ㄭ⸰㘳††††㘱㠮′戼㹲昊猼扵砠汭獮樺㵰栢瑴㩰⼯睷⹷灪⹯潧樮≰䰾‴⼼畳㹢†††††㌠⸰㈲†††††⸹㌲†††††⸹㌲††††㜱〮‰戼㹲昊猼扵砠汭獮樺㵰栢瑴㩰⼯睷⹷灪⹯潧樮≰䰾‵⼼畳㹢†††††ㄠ⸴㘸††††ㄠ⸰㈰††††ㄠ⸰㈸††††㈱〮‵戼㹲昊猼扵砠汭獮樺㵰栢瑴㩰⼯睷⹷灪⹯潧樮≰䰾‶⼼畳㹢†††††ㄭ⸲㜲††††ⴠ⸸㔴††††ㄭ⸰㤳††††㜭㐮‱戼㹲昊猼扵砠汭獮樺㵰栢瑴㩰⼯睷⹷灪⹯潧樮≰䰾‷⼼畳㹢†††††ㄠ⸳㌸††††ㄭ⸹㜹††††ㄭ⸳㜷††††㜭㔮‷戼㹲昊猼扵砠汭獮樺㵰栢瑴㩰⼯睷⹷灪⹯潧樮≰䰾‸⼼畳㹢†††††ⴠ⸷〴††††ㄠ⸵㈹††††ㄠ⸸㈹††††㐱㤮‹戼㹲昊猼扵砠汭獮樺㵰栢瑴㩰⼯睷⹷灪⹯潧樮≰䰾‹⼼畳㹢††††ⴠ㘷⸳㘸††††㌠⸱㐰††††㐠⸶㠹††††㘱㠮′戼㹲昊猼扵砠汭獮樺㵰栢瑴㩰⼯睷⹷灪⹯潧樮≰䰾〱⼼畳㹢†††††ㄠ⸳㈲††††ㄠ⸰㈳††††㘠⸰㌸††††㌲ㄮ″戼㹲昊猼扵砠汭獮樺㵰栢瑴㩰⼯睷⹷灪⹯潧樮≰䰾ㄱ⼼畳㹢†††††ㄭ⸴㤰††††ㄭ⸲㜹†††††⸹〶†††ⴠ㘱㠮‹戼㹲昊猼扵砠汭獮樺㵰栢瑴㩰⼯睷⹷灪⹯潧樮≰䰾㈱⼼畳㹢††††††ⴠ††††ㄠ〲⸰㤴††††ㄭ⸳〵†††ⴠ㜱㘮‸戼㹲昊猼扵砠汭獮樺㵰栢瑴㩰⼯睷⹷灪⹯潧樮≰䰾㌱⼼畳㹢††††††ⴠ†††††ⴠ⸸㈰††††㐲⸷〷†††††㰭牢ਾ㱦畳⁢浸湬㩳灪∽瑨灴⼺眯睷樮潰朮⹯灪㸢ㅌ㰴猯扵‾††††††‭††††††‭†††††㠭〮′††††ⴠ戼㹲 戼㹲 †††††껥붖뻤钼볯ₔ†껥붖뻤钼볯ₕ†껥붖뻤钼볯ₖ†껥붖뻤钼볯㲗牢ਾ㱄畳⁢浸湬㩳灪∽瑨灴⼺眯睷樮潰朮⹯灪㸢楯㰠猯扵‾†††††㔶〮†††††㔶〮††††㘠⸵‰††††㔶〮㰠牢ਾ㱙畳⁢浸湬㩳灪∽瑨灴⼺眯睷樮潰朮⹯灪㸢扯㱪猯扵‾†††††㌠㜮†††††㌠㜮†††††⸳‷††††㌠㜮㰠牢ਾ⁙††††††㐠㤮′††††㐠㤮′††††⸴㈹††††㐠㤮′戼㹲䰊猼扵砠汭獮樺㵰栢瑴㩰⼯睷⹷灪⹯潧樮≰吾㱌猯扵‾†††††㐠⸹㔱††††㐠⸹㠱††††㤴ㄮ‸†††㐠⸹〲㰠牢ਾ㱌畳⁢浸湬㩳灪∽瑨灴⼺眯睷樮潰朮⹯灪㸢⁌⼼畳㹢††††††㜴㈮‷††††㜴㈮‹†††㐠⸷〳††††㜴㌮′戼㹲圊⁄†††††ㄠ⸵㔸††††ㄠ⸵㌸††††㔱㠮′†††ㄠ⸵〸㰠牢ਾ䙂††††††ㄠ㠮‸††††ㄠ㠮‸††††⸱㠸††††ㄠ㠮‸戼㹲上⁁††���†††⸰㌲†††††⸰㌲††††〠㈮‰††††⸰㌲㰠牢ਾ닎††††††ㄭ㌮″††††ㄭ㌮″†††ⴠ⸱㌳††††ㄭ㌮″戼㹲昊†††††††⸷㜸†††††⸷㔵††††㜠㔮‵††††⸸〰㰠牢ਾ蛏猼扵砠汭獮樺㵰栢瑴㩰⼯睷⹷灪⹯潧樮≰䜾漱⼼畳㹢†††††㈱㤮‰††††㈱ㄮ‸†††ㄠ⸱㠰††††㌱㌮‰戼㹲켊㲆畳⁢浸湬㩳灪∽瑨灴⼺眯睷樮潰朮⹯灪㸢⁳⼼畳㹢††††††⸵㠹†††††⸶㌴††††㔠㘮‵††††⸶㈰戼㹲䐊猼扵砠汭獮樺㵰栢瑴㩰⼯睷⹷灪⹯潧樮≰漾㱳猯扵‾†††††㌠⸳㜰††††㌠⸱㈵††††〳㤮‰†††㌠⸴㘴㰠牢ਾ㱄畳⁢浸湬㩳灪∽瑨灴⼺眯睷樮潰朮⹯灪㸢ㅇ㉇⼼畳㹢††††††⸱ㄹ†††††⸲ㄱ††††ㄠ㤮‸††††⸴〰㰠牢ਾ㱌畳⁢浸湬㩳灪∽瑨灴⼺眯睷樮潰朮⹯灪㸢ㅇ⼼畳㹢††††††㘱ㄮ‴††††㐱㐮″†††ㄠ⸳㐸††††㘱㘮‹戼㹲䰊猼扵砠汭獮樺㵰栢瑴㩰⼯睷⹷灪⹯潧樮≰䜾′⼼畳㹢†††††㈠⸹㌲††††㌠⸰㔷††††㌠⸱㠴††††㘲㘮″戼㹲䌊䅒猼扵砠汭獮樺㵰栢瑴㩰⼯睷⹷灪⹯潧樮≰漾橢⼼畳㹢䴨塁 ††⸳㔸†††††⸴㈹†††††⸵㌰††††㌠〮″戼㹲䌊䅒猼扵砠汭獮樺㵰栢瑴㩰⼯睷⹷灪⹯潧樮≰漾橢⼼畳㹢䴨义 ††⸰〰†††††⸰〰†††††⸰〰††††〠〮‰戼㹲䌊䅒猼扵砠汭獮樺㵰栢瑴㩰⼯睷⹷灪⹯潧樮≰椾杭⼼畳㹢††††㈠⸵㄰††††㈠⸵㄰††††㈠⸵㄰††††㐲㤮‴戼㹲䐊猼扵砠汭獮樺㵰栢瑴㩰⼯睷⹷灪⹯潧樮≰派硡⼼畳㹢††††††⸹〶††††ㄠ⸴〶††††ㄠ⸵〶††††㐠㤮‴戼㹲䐊猼扵砠汭獮樺㵰栢瑴㩰⼯睷⹷灪⹯潧樮≰䜾洱硡⼼畳㹢†††††〠㜮′††††〠㔮‷††††〠㤮‵††††⸰ㄵ㰠牢ਾ뷎㱤畳⁢浸湬㩳灪∽瑨灴⼺眯睷樮潰朮⹯灪㸢慭⁸⼼畳㹢††††㠠⸱ㄶ††††㠠⸱ㄶ††††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㌲㜮‷††††㌲㜮‷††††㌲㜮‷†††㈠⸳㜷㰠牢ਾ㱎畳⁢浸湬㩳灪∽瑨灴⼺眯睷樮潰朮⹯灪㸢ㅇ⼼畳㹢††††††㘠〮‰††††㘠〮‰††††㘠〮‰††††⸶〰㰠牢ਾ㱎畳⁢浸湬㩳灪∽瑨灴⼺眯睷樮潰朮⹯灪㸢㉇⼼畳㹢††††††㘠〮‰††††㘠〮‰††††㘠〮‰††††⸶〰㰠牢ਾ㱦畳⁢浸湬㩳灪∽瑨灴⼺眯睷樮潰朮⹯灪㸢ㅇ⼼畳㹢††††††ㄱ㠮‰††††㌱㔮‷††††㐱㈮‴†††ㄠ⸱ㄷ㰠牢ਾ㱦畳⁢浸湬㩳灪∽瑨灴⼺眯睷樮潰朮⹯灪㸢㉇⼼畳㹢††††††ㄹ㔮‱††††㐲〮‶††††㠱㠮‱††ⴠ㔴⸱㘴㰠牢ਾ㱦畳⁢浸湬㩳灪∽瑨灴⼺眯睷樮潰朮⹯灪㸢ㅇ㱯猯扵‾†††††㌱㔮‴††††㐱㜮‷††††㐱㜮‹†††ㄠ⸴㠴㰠牢ਾ㱦畳⁢浸湬㩳灪∽瑨灴⼺眯睷樮潰朮⹯灪㸢㉇㱩猯扵‾††††ⴠ㠱㤮‹†††ⴠ㈱㘮‴†††ⴠ㈱㐮′猼扵砠汭獮樺㵰栢瑴㩰⼯睷⹷灪⹯潧樮≰‾⼼畳㹢†††ㄭ⸵㌹㰠牢ਾ㱦畳⁢浸湬㩳灪∽瑨灴⼺眯睷樮潰朮⹯灪㸢ㅌ⼼畳㹢††††††㌱㔮‴††††㐱㜮‷††††㐱㜮‹†††ㄠ⸴㠴㰠牢ਾ㱦畳⁢浸湬㩳灪∽瑨灴⼺眯睷樮潰朮⹯灪㸢㉌⼼畳㹢†††††ⴠ㌱㈮‸†††ⴠ㜱〮‱†††ⴠ㜱㐮″†††ㄭ⸲㌴㰠牢ਾ㱦畳⁢浸湬㩳灪∽瑨灴⼺眯睷樮潰朮⹯灪㸢㍌⼼畳㹢††††††㘱㤮‹††††㌲㔮‴††††㈲㠮‷†††ㄠ⸶㈶㰠牢ਾ㱦畳⁢浸湬㩳灪∽瑨灴⼺眯睷樮潰朮⹯灪㸢㑌⼼畳㹢††††††㠱㤮′††††㤱〮‷†���††㤱㘮‹†††ㄠ⸸㜰㰠牢ਾ㱦畳⁢浸湬㩳灪∽瑨灴⼺眯睷樮潰朮⹯灪㸢㕌⼼畳㹢††††††㈱㈮″††††㐱㐮′††††㐱㔮‷†††ㄠ⸵㌴㰠牢ਾ㱦畳⁢浸湬㩳灪∽瑨灴⼺眯睷樮潰朮⹯灪㸢㙌⼼畳㹢††††††㘭㤮‱††††㜭ㄮ‵††††㘭㠮‸†††ⴠ⸸㜹㰠牢ਾ㱦畳⁢浸湬㩳灪∽瑨灴⼺眯睷樮潰朮⹯灪㸢㝌⼼畳㹢††††††㠭㌮‰†††ⴠㄱ㈮‹†††ⴠ㈱ㄮ‱†††ⴠ⸷㈸㰠牢ਾ㱦畳⁢浸湬㩳灪∽瑨灴⼺眯睷樮潰朮⹯灪㸢㡌⼼畳㹢††††††㔲〮‵††††㐴㐮‶††††㐴㜮″†††ㄠ⸴㠹㰠牢ਾ㱦畳⁢浸湬㩳灪∽瑨灴⼺眯睷樮潰朮⹯灪㸢㥌⼼畳㹢††††††㌱㌮‷††††㈱ㄮ′††††㈱〮‷†††ㄠ⸵㠹㰠牢ਾ㱦畳⁢浸湬㩳灪∽瑨灴⼺眯睷樮潰朮⹯灪㸢ㅌ‰⼼畳㹢†††††㈠⸱㤳††††㈠⸱〴††††㈠⸱㔲††††㔲ㄮ‹戼㹲昊猼扵砠汭獮樺㵰栢瑴㩰⼯睷⹷灪⹯潧樮≰䰾ㄱ㰠猯扵‾††††ⴠ㜱㤮″†††ⴠㄳㄮ‰†††ⴠㄳㄮ‸†††ㄭ⸹ㄴ㰠牢ਾ㱦畳⁢浸湬㩳灪∽瑨灴⼺眯睷樮潰朮⹯灪㸢ㅌ′⼼畳㹢†††††ㄭ⸸㤹††††ㄭ⸲㐶††††ㄭ⸲㈴†††ⴠ㔱㤮″戼㹲 戼㹲 †††††껥붖뻤钼볯ₘ†껥붖뻤钼볯ₙ†껥붖뻤閼볯ₐ†껥붖뻤閼볯㲑牢ਾ㱄畳⁢浸湬㩳灪∽瑨灴⼺眯睷樮潰朮⹯灪㸢楯㰠猯扵‾†††††㔶〮†††††㔶〮††††㠠⸸‴††††㘸㘮㰠牢ਾ㱙畳⁢浸湬㩳灪∽瑨灴⼺眯睷樮潰朮⹯灪㸢扯㱪猯扵‾†††††㌠㜮†††††㌠㜮†††††⸳‵††††㌠㜮㰠牢ਾ⁙††††††㐠㤮′††††㐠㤮′††††⸴㈹††††㐠㤮′戼㹲䰊猼扵砠汭獮樺㵰栢瑴㩰⼯睷⹷灪⹯潧樮≰吾㱌猯扵‾†††††㐠⸹〰††††㐠⸸㠹††††㘵㜮‶†††㔠⸵㠶㰠牢ਾ㱌畳⁢浸湬㩳灪∽瑨灴⼺眯睷樮潰朮⹯灪㸢⁌⼼畳㹢††††††㜴ㄮ′††††㜴〮‹†††㐠⸶㠳††††㐴㠮‰戼㹲圊㱄畳⁢浸湬㩳灪∽瑨灴⼺眯睷樮潰朮⹯灪㸢†⼼畳㹢†††††ㄠ⸶〰††††ㄠ⸶㈰††††ㄳ㘮‴†††㌠⸰〹㰠牢ਾ䙂††††††ㄠ㠮‸††††ㄠ㠮‹†††ㄠ⸰㠳††††〱㠮‸戼㹲上⁁††††††⸰〲†††††⸰〲††††〠ㄮ‷††††⸰〲㰠牢ਾ닎††††††ㄭ㌮″††††ㄭ㌮″†††ⴠ⸱〴††††ㄭ㌮″戼㹲昊†††††††⸷㐷†††††⸷㔴††††㐱㠮‱†††ㄠ⸴ㄴ㰠牢ਾ蛏猼扵砠汭獮樺㵰栢瑴㩰⼯睷⹷灪⹯潧樮≰䜾漱⼼畳㹢†††††㈱㈮‰††††㈱㈮‰†††ㄠ⸴㔷††††㜱〮‵戼㹲켊㲆畳⁢浸湬㩳灪∽瑨灴⼺眯睷樮潰朮⹯灪㸢⁳⼼畳㹢††††††⸵㠸†††††⸶㠵††††㜠㠮‴††††⸹㤱戼㹲䐊猼扵砠汭獮樺㵰栢瑴㩰⼯睷⹷灪⹯潧樮≰漾㱳猯扵‾†††††㌠⸵ㄵ††††㌠⸶㤸††††㌵㠮‴†††㔠⸴㠴㰠牢ਾ㱄畳⁢浸湬㩳灪∽瑨灴⼺眯睷樮潰朮⹯灪㸢ㅇ㉇⼼畳㹢††††††⸸〵††††ㄠ⸱〰††††ㄠ〮‶††††⸱〱㰠牢ਾ㱌畳⁢浸湬㩳灪∽瑨灴⼺眯睷樮潰朮⹯灪㸢ㅇ⼼畳㹢††††††㔱㌮‱††††㔱㐮‵†††㈠⸱㤲††††㈲㌮‸戼㹲䰊猼扵砠汭獮樺㵰栢瑴㩰⼯睷⹷灪⹯潧樮≰䜾㰲猯扵‾†††††㈠⸳〳††††㈠⸰㐶††††㐲〮″†††㈠⸱㈳㰠牢ਾ剃㱁畳⁢浸湬㩳灪∽瑨灴⼺眯睷樮潰朮⹯灪㸢扯㱪猯扵⠾䅍⥘††㌠〮′††††㌠〮‱††††⸳㄰††††㌠〮‱戼㹲䌊䅒猼扵砠汭獮樺㵰栢瑴㩰⼯睷⹷灪⹯潧樮≰漾橢⼼畳㹢䴨义 ††⸰〰†††††⸰〰††††〠〮‰††���†⸰〰㰠牢ਾ剃㱁畳⁢浸湬㩳灪∽瑨灴⼺眯睷樮潰朮⹯灪㸢浩㱧猯扵‾††††㐲㤮‸††††㐲㤮‶†††ㄠ⸰㐹††††ㄱ㠮‱戼㹲䐊猼扵砠汭獮樺㵰栢瑴㩰⼯睷⹷灪⹯潧樮≰派硡⼼畳㹢††††††⸸〵†††††ㄱ〮‰††††⸷㜵††††㐠㌮″戼㹲䐊猼扵砠汭獮樺㵰栢瑴㩰⼯睷⹷灪⹯潧樮≰䜾洱硡㰠猯扵‾††††〠㌮‶††††〠㘮‷††††⸲㤷††††㈠㔮‸戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㌲㜮‷††††㌲㜮‷†††㈠⸳㜷††††㌲㜮‷戼㹲上猼扵砠汭獮樺㵰栢瑴㩰⼯睷⹷灪⹯潧樮≰䜾㰱猯扵‾††††††⸶〰†††††⸶〰††††㘠〮‰††††⸶〰㰠牢ਾ㱎畳⁢浸湬㩳灪∽瑨灴⼺眯睷樮潰朮⹯灪㸢㉇⼼畳㹢††††††㘠〮‰††††㘠〮‰††††⸶〰††††㘠〮‰戼㹲昊猼扵砠汭獮樺㵰栢瑴㩰⼯睷⹷灪⹯潧樮≰䜾㰱猯扵‾†††††ㄠ⸳㐲††††ㄠ⸵㄰††††㘱㐮‴†††ㄠ⸷㤰㰠牢ਾ㱦畳⁢浸湬㩳灪∽瑨灴⼺眯睷樮潰朮⹯灪㸢㉇⼼畳㹢††††ⴠ㜴㜳㘮‸†††ㄠ㌵㤮‱†††㌭⸲㠸†††ⴠ㘴㤮‰戼㹲昊猼扵砠汭獮樺㵰栢瑴㩰⼯睷⹷灪⹯潧樮≰䜾漱⼼畳㹢†††††ㄠ⸷㐸††††ㄠ⸹ㄵ††††㘲㘮‸†††㈠⸸㔶㰠牢ਾ㱦畳⁢浸湬㩳灪∽瑨灴⼺眯睷樮潰朮⹯灪㸢㉇㱩猯扵‾††††ⴠ㠱㜮″†††ⴠ㠱㌮‹†††ㄭ⸱㜴†††ⴠㄱ㌮‸戼㹲昊猼扵砠汭獮樺㵰栢瑴㩰⼯睷⹷灪⹯潧樮≰䰾㰱猯扵‾†††††ㄠ⸷㐸††††ㄠ⸹ㄵ††††㘲㘮‸†††㈠⸸㔶㰠牢ਾ㱦畳⁢浸湬㩳灪∽瑨灴⼺眯睷樮潰朮⹯灪㸢㉌⼼畳㹢†††††ⴠ㌱〮‴†††ⴠ㈱ㄮ″†††ㄭ⸸㈰†††ⴠ㠱㘮‶戼㹲昊猼扵砠汭獮樺㵰栢瑴㩰⼯睷⹷灪⹯潧樮≰䰾㰳猯扵‾†††††ㄠ⸸㘴††††ㄠ⸸㈵††††〲〮‱†††㈠⸰〱㰠牢ਾ㱦畳⁢浸湬㩳灪∽瑨灴⼺眯睷樮潰朮⹯灪㸢㑌⼼畳㹢††††††㜱㔮‴††††㘱㤮‷†††㈠⸲㤷††††㈲㤮′戼㹲昊猼扵砠汭獮樺㵰栢瑴㩰⼯睷⹷灪⹯潧樮≰䰾㰵猯扵‾†††††㌠⸰㜱††††㘠⸳㐸††††㈲㤮‴†††㈠⸲㈱㰠牢ਾ㱦畳⁢浸湬㩳灪∽瑨灴⼺眯睷樮潰朮⹯灪㸢㙌⼼畳㹢†††††ⴠ㔱㈮′†††ⴠ㌲㜮‴†††ㄭ⸲㠱†††ⴠㄱ㐮‸戼㹲昊猼扵砠汭獮樺㵰栢瑴㩰⼯睷⹷灪⹯潧樮≰䰾㰷猯扵‾†††††ㄭ⸰㜴††††ㄭ⸳㈱†††ⴠ〱㌮‱†††ㄭ⸰㈸㰠牢ਾ㱦畳⁢浸湬㩳灪∽瑨灴⼺眯睷樮潰朮⹯灪㸢㡌⼼畳㹢††††††〲㘮′††††㔲㌮″†††㌠⸷㠴††††㌳ㄮ‶戼㹲昊猼扵砠汭獮樺㵰栢瑴㩰⼯睷⹷灪⹯潧樮≰䰾‹⼼畳㹢†††††ㄠ⸵㐱††††ㄠ⸵㌱††††〱㘮′†††ㄠ⸰㔸㰠牢ਾ㱦畳⁢浸湬㩳灪∽瑨灴⼺眯睷樮潰朮⹯灪㸢ㅌ㰰猯扵‾†††††ㄳ㈮‰††††㤲㈮‷†††ㄭ⸱㜸†††ⴠ〱㤮‷戼㹲昊猼扵砠汭獮樺㵰栢瑴㩰⼯睷⹷灪⹯潧樮≰䰾ㄱ⼼畳㹢†††††ㄭ⸶㈲††††ㄭ⸵㐲††††ㄱ㈮‸†††ㄠ⸰㌲㰠牢ਾ㱦畳⁢浸湬㩳灪∽瑨灴⼺眯睷樮潰朮⹯灪㸢ㅌ㰲猯扵‾††††ⴠ㠱㜮″†††ⴠ㠱㌮‹†††ㄭ⸱㜴†††ⴠㄱ㌮‸戼㹲 戼㹲 †††††껥붖뻤閼볯ₒ†껥붖뻤閼볯ₓ†껥붖뻤閼볯ₔ†껥붖뻤閼볯㲕牢ਾ㱄畳⁢浸湬㩳灪∽瑨灴⼺眯睷樮潰朮⹯灪㸢楯㰠猯扵‾†††††〹〮†††††㜸〮††††㤠⸰‰††††㠷㠮㰠牢ਾ㱙畳⁢���湬㩳灪∽瑨灴⼺眯睷樮潰朮⹯灪㸢扯㱪猯扵‾†††††㌠㔮†††††㌠㔮†††††⸳‵††††㐠㔮㰠牢ਾ⁙††††††㐠㤮′††††㐠㤮′††††⸴㈹††††㐠㤮′戼㹲䰊猼扵砠汭獮樺㵰栢瑴㩰⼯睷⹷灪⹯潧樮≰吾㱌猯扵‾†††††㔠⸸㠱††††㔠⸵㘹††††㠵ㄮ‸†††㐠⸴㔹㰠牢ਾ㱌畳⁢浸湬㩳灪∽瑨灴⼺眯睷樮潰朮⹯灪㸢⁌⼼畳㹢††††††㔴㠮‰††††㈴〮‸†††㐠⸵〸††††㈴ㄮ‱戼㹲圊㱄畳⁢浸湬㩳灪∽瑨灴⼺眯睷樮潰朮⹯灪㸢†⼼畳㹢†††††㌠⸱㈸††††㌠⸱㐰††††ㄳ㠮′†††㌠⸳〸㰠牢ਾ䙂††††††㈱㌮‸††††㌱㠮‸†††ㄠ⸲㠳††††㈠㠮‵戼㹲上⁁††††††⸰㜱†††††⸰㜱††††〠ㄮ‷††††⸰㌲㰠牢ਾ닎††††††ㄭ㐮‰††††ㄭ㐮‰†††ⴠ⸱〴††††ㄭㄮ‰戼㹲昊††††††ㄠ⸵〳††††ㄠ⸵㜹††††㔱㌮‰†††ㄠ⸲㘳㰠牢ਾ蛏猼扵砠汭獮樺㵰栢瑴㩰⼯睷⹷灪⹯潧樮≰䜾漱⼼畳㹢†††††㐱㠮‰††††㐱ㄮ″†††ㄠ⸴〸††††㈲㌮‶戼㹲켊㲆畳⁢浸湬㩳灪∽瑨灴⼺眯睷樮潰朮⹯灪㸢⁳⼼畳㹢††††††⸸㜰†††††⸸㘰††††㠠〮‷††††⸹〰戼㹲䐊猼扵砠汭獮樺㵰栢瑴㩰⼯睷⹷灪⹯潧樮≰漾㱳猯扵‾†††††㔠⸴㘹††††㔠⸱〴††††㐵㤮‶†††㔠⸳㠵㰠牢ਾ㱄畳⁢浸湬㩳灪∽瑨灴⼺眯睷樮潰朮⹯灪㸢ㅇ㉇⼼畳㹢††††††⸱〰††††〠㤮‵††††ㄠ〮‰††††⸱㌱㰠牢ਾ㱌畳⁢浸湬㩳灪∽瑨灴⼺眯睷樮潰朮⹯灪㸢ㅇ⼼畳㹢††††††㈲㈮‴††††㤱㐮‸†††㈠⸲㐲††††㠱㈮‵戼㹲䰊猼扵砠汭獮樺㵰栢瑴㩰⼯睷⹷灪⹯潧樮≰䜾㰲猯扵‾†††††㈠⸲㜵††††㈠⸱㔶††††㈲㔮‷†††㈠⸲㌷㰠牢ਾ剃㱁畳⁢浸湬㩳灪∽瑨灴⼺眯睷樮潰朮⹯灪㸢扯㱪猯扵⠾䅍⥘††㌠〮‱††††㌠㐮′††††⸳㄰††††㌠〮‱戼㹲䌊䅒猼扵砠汭獮樺㵰栢瑴㩰⼯睷⹷灪⹯潧樮≰漾橢⼼畳㹢䴨义 ††⸰〰†††††⸰〰††††〠〮‰††††⸰〰㰠牢ਾ剃㱁畳⁢浸湬㩳灪∽瑨灴⼺眯睷樮潰朮⹯灪㸢浩㱧猯扵‾††††〱㔮‷††††㤠㘮‴†††ㄠ⸰㜵††††㘱〮‱戼㹲䐊猼扵砠汭獮樺㵰栢瑴㩰⼯睷⹷灪⹯潧樮≰派硡⼼畳㹢††††††⸶㔳†††††⸶㔴††††㘠㌮‵††††⸲ㄸ㰠牢ਾ㱄畳⁢浸湬㩳灪∽瑨灴⼺眯睷樮潰朮⹯灪㸢ㅇ慭㱸猯扵‾†††††⸲㔶†††††⸲〳††††㈠㘮‵††††⸰〳㰠牢ਾ뷎㱤畳⁢浸湬㩳灪∽瑨灴⼺眯睷樮潰朮⹯灪㸢慭⁸⼼畳㹢††††㠠⸱ㄶ††††㠠⸱ㄶ††††ㄸ㘮‱†††㠠⸱ㄶ㰠牢ਾ뷎㱤畳⁢浸湬㩳灪∽瑨灴⼺眯睷樮潰朮⹯灪㸢業⁮⼼畳㹢††††㈠⸳㜷††††㈠⸳㜷††††㌲㜮‷†††㈠⸳㜷㰠牢ਾ㱎畳⁢浸湬㩳灪∽瑨灴⼺眯睷樮潰朮⹯灪㸢ㅇ⼼畳㹢††††††㘠〮‰††††㘠〮‰††††⸶〰††††㔠〮‰戼㹲上猼扵砠汭獮樺㵰栢瑴㩰⼯睷⹷灪⹯潧樮≰䜾㰲猯扵‾††††††⸶〰†††††⸶〰††††㘠〮‰††††⸷〰㰠牢ਾ㱦畳⁢浸湬㩳灪∽瑨灴⼺眯睷樮潰朮⹯灪㸢ㅇ㰠猯扵‾†††††㘱㔮‹††††㔱㤮‵††††㘱㔮‹†††ㄠ⸴㘹㰠牢ਾ㱦畳⁢浸湬㩳灪∽瑨灴⼺眯睷樮潰朮⹯灪㸢㉇㰠猯扵‾††††ⴠ㈳〮′†††ⴠ㜳㌮‸†††ⴠ㈳〮′†††㌭⸵㜲㰠牢ਾ㱦畳⁢浸湬㩳灪∽瑨灴⼺眯睷樮潰朮⹯灪㸢ㅇ㱯猯扵‾†††††㘲㐮‷††††㔲㔮′††††㘲㐮‷†††㔱⸴ㄱ㰠牢ਾ㱦畳⁢浸���㩳灪∽瑨灴⼺眯睷樮潰朮⹯灪㸢㉇㱩猯扵‾††††ⴠㄱ㠮‵†††ⴠ㌱㜮‸†††ⴠㄱ㠮‵†††ㄭ⸳㤹㰠牢ਾ㱦畳⁢浸湬㩳灪∽瑨灴⼺眯睷樮潰朮⹯灪㸢ㅌ㰠猯扵‾†††††㘲㐮‷††††㔲㔮′††††㘲㐮‷†††㔱⸴ㄱ㰠牢ਾ㱦畳⁢浸湬㩳灪∽瑨灴⼺眯睷樮潰朮⹯灪㸢㉌㰠猯扵‾††††ⴠ㜱㘮‷†††ⴠ㜱㜮‱†††ⴠ㜱㘮‷†††㌠⸰㤲㰠牢ਾ㱦畳⁢浸湬㩳灪∽瑨灴⼺眯睷樮潰朮⹯灪㸢㍌㰠猯扵‾†††††〲ㄮ″††††ㄲ㤮‱††††〲ㄮ″†††㐠⸱㔰㰠牢ਾ㱦畳⁢浸湬㩳灪∽瑨灴⼺眯睷樮潰朮⹯灪㸢㑌㰠猯扵‾†††††㈲㌮‵††††〲㘮‸††††㈲㌮‵†††ㄠ⸳㐲㰠牢ਾ㱦畳⁢浸湬㩳灪∽瑨灴⼺眯睷樮潰朮⹯灪㸢㕌㰠猯扵‾†††††㈲㜮‴††††ㄲ〮‸††††㈲㜮‴†††ⴠ⸹㌴㰠牢ਾ㱦畳⁢浸湬㩳灪∽瑨灴⼺眯睷樮潰朮⹯灪㸢㙌㰠猯扵‾††††ⴠ㈱ㄮ‸†††ⴠㄱ㠮‸†††ⴠ㈱ㄮ‸†††ㄭ⸰㠵㰠牢ਾ㱦畳⁢浸湬㩳灪∽瑨灴⼺眯睷樮潰朮⹯灪㸢㝌㰠猯扵‾††††ⴠ〱ㄮ′††††㤭㤮‱†††ⴠ〱ㄮ′†††㈠⸷㘱㰠牢ਾ㱦畳⁢浸湬㩳灪∽瑨灴⼺眯睷樮潰朮⹯灪㸢㡌㰠猯扵‾†††††㠳㐮′††††㜳㐮‶††††㠳㐮′†††ㄠ⸰㌹㰠牢ਾ㱦畳⁢浸湬㩳灪∽瑨灴⼺眯睷樮潰朮⹯灪㸢㥌㰠猯扵‾†††††〱㘮‰††††〱㔮‷††††〱㘮‰†††ㄭ⸰㠴㰠牢ਾ㱦畳⁢浸湬㩳灪∽瑨灴⼺眯睷樮潰朮⹯灪㸢ㅌ㰰猯扵‾††††ⴠㄱ㘮‹†††ⴠ㈱㜮‴†††ⴠㄱ㘮‹††††⸹㈶㰠牢ਾ㱦畳⁢浸湬㩳灪∽瑨灴⼺眯睷樮潰朮⹯灪㸢ㅌ㰱猯扵‾†††††ㄱ㈮‱††††㈱㈮‱††††ㄱ㈮‱†††㔴⸹㌶㰠牢ਾ㱦畳⁢浸湬㩳灪∽瑨灴⼺眯睷樮潰朮⹯灪㸢ㅌ㰲猯扵‾††††ⴠㄱ㠮‵†††ⴠ㌱㜮‸†††ⴠㄱ㠮‵†††ㄭ⸳㤹㰠牢ਾ㰠牢ਾ†††††龮雦设볯隼†龮雦设볯鞼†龮雦设볯颼†龮雦设볯馼戼㹲䐊猼扵砠汭獮樺㵰栢瑴㩰⼯睷⹷灪⹯潧樮≰漾⁩⼼畳㹢†††††㘠⸹‸††††㜠⸰‰††††㐸〮††††㠠⸵‰戼㹲夊猼扵砠汭獮樺㵰栢瑴㩰⼯睷⹷灪⹯潧樮≰漾橢⼼畳㹢††††††⸳‱†††††⸳‱††††㌠㜮†††††⸳‷戼㹲夊†††††††⸴㈹†††††⸴㈹††††㐠㤮′††††⸴㈹㰠牢ਾ㱌畳⁢浸湬㩳灪∽瑨灴⼺眯睷樮潰朮⹯灪㸢䱔⼼畳㹢††††††㔴〮‸††††㘴㈮‹†††㔠⸴㜲††††㔵㈮‰戼㹲䰊猼扵砠汭獮樺㵰栢瑴㩰⼯睷⹷灪⹯潧樮≰䰾㰠猯扵‾†††††㐠⸳㤱††††㐠⸲ㄹ††††〵㈮‸†††㔠⸱㌳㰠牢ਾ䑗猼扵砠汭獮樺㵰栢瑴㩰⼯睷⹷灪⹯潧樮≰‾㰠猯扵‾†††††㐲㜮‶††††㌲㜮‱†††㈠⸹㐷††††㤲㠮‰戼㹲䈊⁆††††††⸱㤸†††††⸳㠳††††㌠㤮‹††††⸳㜸㰠牢ਾ䅎††††††〠㈮‰††††〠㈮‰††††⸰㌲††††〠㈮″戼㹲츊₲†††††ⴠ⸱㘵††††ⴠ⸱〶††††ㄭ㌮″†††ⴠ⸱㌳㰠牢ਾ⁦††††††㜠㜮′††††㠠㌮″††††⸹㌳††††〱㐮′戼㹲켊㲆畳⁢浸湬㩳灪∽瑨灴⼺眯睷樮潰朮⹯灪㸢ㅇ㱯猯扵‾††††ㄠ⸳㜹††††ㄠ⸲㜵††††㤱㌮′†††ㄠ⸸㤹㰠牢ਾ蛏猼扵砠汭獮樺㵰栢瑴㩰⼯睷⹷灪⹯潧樮≰猾㰠猯扵‾†††††㜠㐮‴††††㠠ㄮ‶††††⸹㐸††††㤠㠮㰱牢ਾ㱄畳⁢浸湬㩳灪∽瑨灴⼺眯睷樮潰朮⹯灪㸢獯⼼畳㹢††††††〴〮‸††††㔳㠮‹†††㐠⸹㈹††††㤴㌮‵戼㹲䐊猼扵砠汭獮樺㵰栢瑴㩰⼯���⹷灪⹯潧樮≰䜾䜱㰲猯扵‾†††††ㄠ㔮‶††††〠㐮″††††⸲㘵††††ㄠ㔮‹戼㹲䰊猼扵砠汭獮樺㵰栢瑴㩰⼯睷⹷灪⹯潧樮≰䜾㰱猯扵‾†††††ㄠ⸴㘰††††ㄠ⸱ㄷ††††㠱㐮‰†††ㄠ⸸㈵㰠牢ਾ㱌畳⁢浸湬㩳灪∽瑨灴⼺眯睷樮潰朮⹯灪㸢㉇⼼畳㹢††††††㜲㔮‶††††〳㜮‸†††㈠⸹㈳††††ㄳ㈮′戼㹲䌊䅒猼扵砠汭獮樺㵰栢瑴㩰⼯睷⹷灪⹯潧樮≰漾橢⼼畳㹢䴨塁 ††⸳㐱†††††⸴㐳††††㈠㠮‱††††⸳㔱㰠牢ਾ剃㱁畳⁢浸湬㩳灪∽瑨灴⼺眯睷樮潰朮⹯灪㸢扯㱪猯扵⠾䥍⥎††〠〮‰††††〠〮‰††††⸰〰††††〠〮‰戼㹲䌊䅒猼扵砠汭獮樺㵰栢瑴㩰⼯睷⹷灪⹯潧樮≰椾杭⼼畳㹢††††㈠⸰㌳††††ㄠ⸸㘹††††㠱㘮‴†††ㄠ⸷㠶㰠牢ਾ㱄畳⁢浸湬㩳灪∽瑨灴⼺眯睷樮潰朮⹯灪㸢慭㱸猯扵‾†††††㜠㐮‸††††㠠〮‰††††⸸〱††††㜠㌮‴戼㹲䐊猼扵砠汭獮樺㵰栢瑴㩰⼯睷⹷灪⹯潧樮≰䜾洱硡⼼畳㹢†††††〠㜮‵††††ㄠㄮ‶††††⸱㌳††††〠㌮‰戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††〳㌮‰††††㌲㜮‷†††㈠⸳㜷††††㌲㜮‷戼㹲上猼扵砠汭獮樺㵰栢瑴㩰⼯睷⹷灪⹯潧樮≰䜾㰱猯扵‾††††††⸷〰†††††⸷〰††††㘠〮‰††††⸶〰㰠牢ਾ㱎畳⁢浸湬㩳灪∽瑨灴⼺眯睷樮潰朮⹯灪㸢㉇⼼畳㹢††††††㜠〮‰††††㘠〮‰††††⸸〰††††㠠〮‰戼㹲昊猼扵砠汭獮樺㵰栢瑴㩰⼯睷⹷灪⹯潧樮≰䜾‱⼼畳㹢††††††㈱㈮‶†††ㄠ⸲㠶††††ㄠ⸷㠲††††㔱㠮‸戼㹲昊猼扵砠汭獮樺㵰栢瑴㩰⼯睷⹷灪⹯潧樮≰䜾′⼼畳㹢†††††ⴠ〱ㄮ″†††ㄭ⸶㤵††††㐭⸴㠱†††ⴠ㜲〮‶戼㹲昊猼扵砠汭獮樺㵰栢瑴㩰⼯睷⹷灪⹯潧樮≰䜾漱⼼畳㹢††††††㔷㠮‰†††㌠⸹㤷††††㌠⸰㤹††††ㄳ㈮‹戼㹲昊猼扵砠汭獮樺㵰栢瑴㩰⼯睷⹷灪⹯潧樮≰䜾椲⼼畳㹢†††††ⴠ㘲㠮‹†††㤭⸲〱††††ㄭ⸰㤸††††㤭㐮‴戼㹲昊猼扵砠汭獮樺㵰栢瑴㩰⼯睷⹷灪⹯潧樮≰䰾㰱猯扵‾†††††㈠⸱㈰††††㌠⸹㤷††††㌠⸰㤹††††ㄳ㈮‹戼㹲昊猼扵砠汭獮樺㵰栢瑴㩰⼯睷⹷灪⹯潧樮≰䰾㰲猯扵‾†††††㘠⸲㈸††††㈠⸰㜸††††㌭⸳㜰†††ⴠ〳㜮‱戼㹲昊猼扵砠汭獮樺㵰栢瑴㩰⼯睷⹷灪⹯潧樮≰䰾㰳猯扵‾†††††ㄠ⸵㘶††††ㄠ⸳㄰††††㈠⸰㤰††††㤱㘮‵戼㹲昊猼扵砠汭獮樺㵰栢瑴㩰⼯睷⹷灪⹯潧樮≰䰾㰴猯扵‾†††††ㄭ⸶ㄵ††††ㄭ⸳㔲††††㌠⸲㘶††††㤲㐮‸戼㹲昊猼扵砠汭獮樺㵰栢瑴㩰⼯睷⹷灪⹯潧樮≰䰾㰵猯扵‾†††††ⴠ⸷㌴††††ⴠ⸹㔰††††㈠⸰㔴††††㤱ㄮ‵戼㹲昊猼扵砠汭獮樺㵰栢瑴㩰⼯睷⹷灪⹯潧樮≰䰾㰶猯扵‾†††††ㄠ⸸ㄱ††††ㄠ⸷㄰††††ㄭ⸰㠴†††ⴠㄱ㈮‴戼㹲昊猼扵砠汭獮樺㵰栢瑴㩰⼯睷⹷灪⹯潧樮≰䰾㰷猯扵‾†††††㈠⸵㤸††††㈠⸷㠲††††ㄭ⸰㤱††††㠭㌮′戼㹲昊猼扵砠汭獮樺㵰栢瑴㩰⼯睷⹷灪⹯潧樮≰䰾㰸猯扵‾††††ⴠ㤳⸶ㄹ††††ㄠ⸵ㄷ††††ㄠ⸷㈳††††㈱㔮‵戼㹲昊猼扵砠汭獮樺㵰栢瑴㩰⼯睷⹷灪⹯潧樮≰䰾㰹猯扵‾†††††ㄠ⸴㠴††††ⴠ⸹㐵††††ㄠ⸹㈴†††ⴠ㐴㜮‰戼㹲昊猼扵砠汭獮���㵰栢瑴㩰⼯睷⹷灪⹯潧樮≰䰾〱㰠猯扵‾††††ⴠ㐱ㄮ‱†††ⴠ㈹ㄮ‰†††ⴠ㤱㈮‶†††ㄠ⸳㌶㰠牢ਾ㱦畳⁢浸湬㩳灪∽瑨灴⼺眯睷樮潰朮⹯灪㸢ㅌ‱⼼畳㹢†††††㈭⸶㤸†††††††††††ㄭ⸰㤸††††㤭㐮‴戼㹲 戼㹲 †††††껥붖뻤隼볯ₐ†껥붖뻤隼볯ₑ†껥붖뻤隼볯ₒ†껥붖뻤隼볯㲓牢ਾ㱄畳⁢浸湬㩳灪∽瑨灴⼺眯睷樮潰朮⹯灪㸢楯㰠猯扵‾†††††㔸〮†††††㠸㐮††††㠠⸸‶††††〶㈮㰠牢ਾ㱙畳⁢浸湬㩳灪∽瑨灴⼺眯睷樮潰朮⹯灪㸢扯㱪猯扵‾†††††㌠㜮†††††㈠㈮†††††⸲′††††ㄠ㌮㰠牢ਾ⁙††††††㐠㤮′††††㜠㤮″††††⸷㌹††††㐠㜮‵戼㹲䰊猼扵砠汭獮樺㵰栢瑴㩰⼯睷⹷灪⹯潧樮≰吾㱌猯扵‾†††††㔠⸵〲††††㠠⸶㠸††††㘸㤮″†††㔠⸹㤲㰠牢ਾ㱌畳⁢浸湬㩳灪∽瑨灴⼺眯睷樮潰朮⹯灪㸢⁌⼼畳㹢††††††ㄵ㘮‷††††㐷㌮‰†††㜠⸴ㄸ††††㌵㜮‷戼㹲圊㱄畳⁢浸湬㩳灪∽瑨灴⼺眯睷樮潰朮⹯灪㸢†⼼畳㹢†††††㈠⸹〸†††††⸱㐵††††ㄠ㘮‴††††⸰㠸㰠牢ਾ䙂††††††㌠㔮‴††††㈱㔮‸†††ㄠ⸲㈱††††㔠㔮′戼㹲上⁁††††††⸰㌲†††††⸰〶††††〠㘮‰††††⸰〶㰠牢ਾ닎††††††ㄭ㌮″††††㌭㔮‷†††ⴠ⸳㘵††††㌭㔮‶戼㹲昊††††††ㄠ⸰㈶†††††⸸㘹††††㠠㤮′††††⸴㠹㰠牢ਾ蛏猼扵砠汭獮樺㵰栢瑴㩰⼯睷⹷灪⹯潧樮≰䜾漱⼼畳㹢†††††㠱㔮‷††††㔠㜮‸††††⸵㜸††††㌠㔮′戼㹲켊㲆畳⁢浸湬㩳灪∽瑨灴⼺眯睷樮潰朮⹯灪㸢⁳⼼畳㹢†††††ㄠ⸰㜸††††ㄠ⸱㜸††††ㄱ㤮′††††⸷㐵戼㹲䐊猼扵砠汭獮樺㵰栢瑴㩰⼯睷⹷灪⹯潧樮≰漾㱳猯扵‾†††††㐠⸸㐹††††㈠⸷ㄳ††††㜲㐮‵†††ㄠ⸷ㄶ㰠牢ਾ㱄畳⁢浸湬㩳灪∽瑨灴⼺眯睷樮潰朮⹯灪㸢ㅇ㉇㰠猯扵‾†††††⸱㔲†††††⸲㜴††††㈠㌮‴††††⸱㠳㰠牢ਾ㱌畳⁢浸湬㩳灪∽瑨灴⼺眯睷樮潰朮⹯灪㸢ㅇ⼼畳㹢††††††㜱㘮‴††††㐲ㄮ″†††㈠⸴〳††††㔱㤮′戼㹲䰊猼扵砠汭獮樺㵰栢瑴㩰⼯睷⹷灪⹯潧樮≰䜾㰲猯扵‾†††††㌠⸲㠷††††㐠⸷〷††††㠴ㄮ‷†††㌠⸶㘴㰠牢ਾ剃㱁畳⁢浸湬㩳灪∽瑨灴⼺眯睷樮潰朮⹯灪㸢扯㱪猯扵⠾䅍⥘††㌠㈮‸††††㐠㤮′††††⸴㘹††††㐠㘮‹戼㹲䌊䅒猼扵砠汭獮樺㵰栢瑴㩰⼯睷⹷灪⹯潧樮≰漾橢⼼畳㹢䴨义 ††⸰〰†††††⸰〰††††〠〮‰††††⸰〰㰠牢ਾ剃㱁畳⁢浸湬㩳灪∽瑨灴⼺眯睷樮潰朮⹯灪㸢浩㱧猯扵‾††††㘱㠮‷††††ㄱ㤮‸†††ㄠ⸲ㄴ††††㐱㔮‸戼㹲䐊猼扵砠汭獮樺㵰栢瑴㩰⼯睷⹷灪⹯潧樮≰派硡⼼畳㹢††††††⸸㜵†††††⸹㘴††††㤠㐮‷†††ㄠ⸳㠹㰠牢ਾ㱄畳⁢浸湬㩳灪∽瑨灴⼺眯睷樮潰朮⹯灪㸢ㅇ慭㱸猯扵‾†††††⸰〳†††††⸰㠰††††〠〮‷††††⸰㔰㰠牢ਾ뷎㱤畳⁢浸湬㩳灪∽瑨灴⼺眯睷樮潰朮⹯灪㸢慭⁸⼼畳㹢††††㠠⸱ㄶ††††㠠⸱ㄶ††††ㄸ㘮‱†††㠠⸱ㄶ㰠牢ਾ뷎㱤畳⁢浸湬㩳灪∽瑨灴⼺眯睷樮潰朮⹯灪㸢業⁮⼼畳㹢††††㈠⸳㜷††††㈠⸳㠸††††㌲㠮‸†††㈠⸳㠸㰠牢ਾ㱎畳⁢浸湬㩳灪∽瑨灴⼺眯睷樮潰朮⹯灪㸢ㅇ⼼畳㹢††††††㠠〮‰††††㘠〮‰††††⸶〰††††㔠〮‰戼㹲上猼扵砠汭獮樺㵰栢瑴㩰⼯睷⹷灪⹯���樮≰䜾㰲猯扵‾††††††⸶〰†††††⸷〰††††㜠〮‰††††⸶〰㰠牢ਾ㱦畳⁢浸湬㩳灪∽瑨灴⼺眯睷樮潰朮⹯灪㸢ㅇ⼼畳㹢††††††㠱㤮‷††††〱㈮‴†††ㄠ⸰〳††††㘠㘮‴戼㹲昊猼扵砠汭獮樺㵰栢瑴㩰⼯睷⹷灪⹯潧樮≰䜾㰲猯扵‾†††††㘳⸴㌲††††ㄠ⸸㜵††††㠱㔮‴†††ㄠ⸱㜴㰠牢ਾ㱦畳⁢浸湬㩳灪∽瑨灴⼺眯睷樮潰朮⹯灪㸢ㅇ㱯猯扵‾†††††㈳㌮‱†††ⴠ㈲㔮′†††ⴠ㈲㈮‷†††㈭⸵㘷㰠牢ਾ㱦畳⁢浸湬㩳灪∽瑨灴⼺眯睷樮潰朮⹯灪㸢㉇㱩猯扵‾††††ⴠㄱ㘮′†††ⴠ㐳㠮‷†††ⴠ㐳㌮‷†††ㄭ⸷㠳㰠牢ਾ㱦畳⁢浸湬㩳灪∽瑨灴⼺眯睷樮潰朮⹯灪㸢ㅌ㰠猯扵‾†††††㈳㌮‱†††ⴠ㈲㔮′†††ⴠ㈲㈮‷†††㈭⸵㘷㰠牢ਾ㱦畳⁢浸湬㩳灪∽瑨灴⼺眯睷樮潰朮⹯灪㸢㉌㰠猯扵‾††††ⴠㄴ㤮‷††††㐱㔮‵††††㐱㔮‵†††ㄠ⸱㔶㰠牢ਾ㱦畳⁢浸湬㩳灪∽瑨灴⼺眯睷樮潰朮⹯灪㸢㍌㰠猯扵‾†††††㤱〮‶†††ⴠ㠵㈮‵†††ⴠ㠵㔮‰†††ㄠ⸰㠷㰠牢ਾ㱦畳⁢浸湬㩳灪∽瑨灴⼺眯睷樮潰朮⹯灪㸢㑌㰠猯扵‾†††††〲㈮‴††††㐱㠮‹††††㐱㤮‱†††ㄠ⸰㔰㰠牢ਾ㱦畳⁢浸湬㩳灪∽瑨灴⼺眯睷樮潰朮⹯灪㸢㕌㰠猯扵‾††††ⴠ㈱㠮‱††††㈱㠮‶††††㈱㤮‹†††ⴠ⸵㤶㰠牢ਾ㱦畳⁢浸湬㩳灪∽瑨灴⼺眯睷樮潰朮⹯灪㸢㙌㰠猯扵‾††††ⴠ㌱〮‱††††㠭㈮‵††††㠭㈮‸†††ⴠ⸷㈶㰠牢ਾ㱦畳⁢浸湬㩳灪∽瑨灴⼺眯睷樮潰朮⹯灪㸢㝌㰠猯扵‾†††††㘱㜮‵†††ⴠ㐱㌮‷†††ⴠ㐱㐮‱†††ㄠ⸰㔶㰠牢ਾ㱦畳⁢浸湬㩳灪∽瑨灴⼺眯睷樮潰朮⹯灪㸢㡌㰠猯扵‾†††††ㄲ㤮‰††††㜱㘮‹††††㜱㘮‸†††ㄠ⸲㌱㰠牢ਾ㱦畳⁢浸湬㩳灪∽瑨灴⼺眯睷樮潰朮⹯灪㸢㥌㰠猯扵‾††††ⴠ㐲〮‶††††㜱㔮‶††††㜱㔮‱†††ㄠ⸷㔰㰠牢ਾ㱦畳⁢浸湬㩳灪∽瑨灴⼺眯睷樮潰朮⹯灪㸢ㅌ㰰猯扵‾†††††㔱㔮‹†††ㄭ㌵㈮‸†††ㄭ㘴㐮‰†††㔭⸵ㄹ㰠牢ਾ㱦畳⁢浸湬㩳灪∽瑨灴⼺眯睷樮潰朮⹯灪㸢ㅌ㰱猯扵‾††††ⴠㄱ㘮′††††㘲㈮″††††㘲〮′†††ㄭ⸷㠳㰠牢ਾ㱦畳⁢浸湬㩳灪∽瑨灴⼺眯睷樮潰朮⹯灪㸢ㅌ㰲猯扵‾††††††‭††††ⴠ〷㘮‱†††ⴠㄷ㤮‶††††ⴠ戼㹲昊猼扵砠汭獮樺㵰栢瑴㩰⼯睷⹷灪⹯潧樮≰䰾㌱⼼畳㹢††††††ⴠ†††††㌭⸴㜸††††㌭⸴㜳†††††㰭牢ਾ㰠牢ਾ†††††龮雦设볯钼†龮雦设볯閼†龮雦设볯隼†龮雦设볯鞼戼㹲䐊猼扵砠汭獮樺㵰栢瑴㩰⼯睷⹷灪⹯潧樮≰漾⁩⼼畳㹢†††††㘠⸸′††††㘠⸴‹††††㌶㜮††††㈱⸱‹戼㹲夊猼扵砠汭獮樺㵰栢瑴㩰⼯睷⹷灪⹯潧樮≰漾橢⼼畳㹢††††††⸱‵†††††⸱‵††††ㄠ㔮†††††⸳‰戼㹲夊†††††††⸵〵†††††⸵〵††††㔠㈮″†††ㄠ⸰㈸㰠牢ਾ㱌畳⁢浸湬㩳灪∽瑨灴⼺眯睷樮潰朮⹯灪㸢䱔⼼畳㹢††††††㜶㌮‴††††㌶㠮‱†††㘠⸲〲†††ㄠ㤱㘮‷戼㹲䰊猼扵砠汭獮樺㵰栢瑴㩰⼯睷⹷灪⹯潧樮≰䰾㰠猯扵‾†††††㘠⸱ㄵ††††㔠⸵㤳††††㐵㔮″†††〱⸲㐹㰠牢ਾ䑗猼扵砠汭獮樺㵰栢瑴㩰⼯睷⹷灪⹯潧樮≰‾㰠猯扵‾†††††〠㠮‸††††ㄠㄮ″††††⸱㤴††††㈠㈮‷戼㹲䈊⁆††††††⸵㌸†††††⸸㌴††††㜠㘮‷†††ㄠ⸶㌷㰠牢ਾ䅎††††††〠㘮‰†††���〠㘮‰††††⸰〶††††〠㘮‰戼㹲츊₲†††††ⴠ⸳㘵††††ⴠ⸳㘵††††㌭㔮‶†††ⴠ⸳㔵㰠牢ਾ⁦††††††㔠㌮‴††††㘠ㄮ‶††††⸵㈸††††㈱㈮‹戼㹲켊㲆畳⁢浸湬㩳灪∽瑨灴⼺眯睷樮潰朮⹯灪㸢ㅇ㱯猯扵‾†††††⸳㐹†††††⸴ㄱ††††㐠㌮‹††††⸸㘰㰠牢ਾ蛏猼扵砠汭獮樺㵰栢瑴㩰⼯睷⹷灪⹯潧樮≰猾㰠猯扵‾†††††㠠㘮″††††㠠㘮‸††††⸸㤸††††㘱㔮㰰牢ਾ㱄畳⁢浸湬㩳灪∽瑨灴⼺眯睷樮潰朮⹯灪㸢獯⼼畳㹢††††††㤱㠮‶††††〲㐮‷†††ㄠ⸹㤶††††㜳㔮‷戼㹲䐊猼扵砠汭獮樺㵰栢瑴㩰⼯睷⹷灪⹯潧樮≰䜾䜱㰲猯扵‾†††††ㄠ㘮′††††ㄠ㤮‶††††⸱〶††††㌠㔮‷戼㹲䰊猼扵砠汭獮樺㵰栢瑴㩰⼯睷⹷灪⹯潧樮≰䜾㰱猯扵‾†††††ㄠ⸸㈰††††ㄠ⸸㤰††††㜱㈮‷†††㌠⸲㠸㰠牢ਾ㱌畳⁢浸湬㩳灪∽瑨灴⼺眯睷樮潰朮⹯灪㸢㉇⼼畳㹢††††††ㄴ㠮‷††††㔳㌮‴†††㌠⸵㔶††††㘶㐮‹戼㹲䌊䅒猼扵砠汭獮樺㵰栢瑴㩰⼯睷⹷灪⹯潧樮≰漾橢⼼畳㹢䴨塁 ††⸴㔸†††††⸴㈱††††㐠㘮‹††††⸴㘹㰠牢ਾ剃㱁畳⁢浸湬㩳灪∽瑨灴⼺眯睷樮潰朮⹯灪㸢扯㱪猯扵⠾䥍⥎††〠〮‰††††〠〮‰††††⸰〰††††〠〮‰戼㹲䌊䅒猼扵砠汭獮樺㵰栢瑴㩰⼯睷⹷灪⹯潧樮≰椾杭⼼畳㹢††††ㄠ⸵〷††††ㄠ⸳㔰††††㌱ㄮ‸†††ㄠ⸲㜱㰠牢ਾ㱄畳⁢浸湬㩳灪∽瑨灴⼺眯睷樮潰朮⹯灪㸢慭㱸猯扵‾†††††㔱㠮‹††††㘠㤮‷††††⸷㤰††††㈱㤮‵戼㹲䐊猼扵砠汭獮樺㵰栢瑴㩰⼯睷⹷灪⹯潧樮≰䜾洱硡⼼畳㹢†††††〠〮‶††††〠〮‵††††⸰㔰††††〠〮‹戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㌲㠮‸††††㌲㠮‸†††㈠⸳㠸††††㌲㠮‸戼㹲上猼扵砠汭獮樺㵰栢瑴㩰⼯睷⹷灪⹯潧樮≰䜾㰱猯扵‾††††††⸵〰†††††⸶〰††††㘠〮‰††††⸶〰㰠牢ਾ㱎畳⁢浸湬㩳灪∽瑨灴⼺眯睷樮潰朮⹯灪㸢㉇⼼畳㹢††††††㘠〮‰††††㜠〮‰††††⸷〰††††㜠〮‰戼㹲昊猼扵砠汭獮樺㵰栢瑴㩰⼯睷⹷灪⹯潧樮≰䜾㰱猯扵‾††††††⸷㔶†††††⸷㤳††††㜠㘮′†††ㄠ⸴㜲㰠牢ਾ㱦畳⁢浸湬㩳灪∽瑨灴⼺眯睷樮潰朮⹯灪㸢㉇㰠猯扵‾†††††ㄠ⸲㤶††††ㄠ⸳㠳††††㌱㌮‶†††㈠⸵ㄴ㰠牢ਾ㱦畳⁢浸湬㩳灪∽瑨灴⼺眯睷樮潰朮⹯灪㸢ㅇ㱯猯扵‾†††††㌭⸴㌸††††ㄭ⸶㐵†††ⴠ㜱㤮‰†††㌭⸰〲㰠牢ਾ㱦畳⁢浸湬㩳灪∽瑨灴⼺眯睷樮潰朮⹯灪㸢㉇㱩猯扵‾†††††ㄭ⸸㘷††††㈭⸶ㄳ†††ⴠ㔲ㄮ‱†††㐭⸶㈵㰠牢ਾ㱦畳⁢浸湬㩳灪∽瑨灴⼺眯睷樮潰朮⹯灪㸢ㅌ㰠猯扵‾†††††㌭⸴㌸††††ㄭ⸶㐵†††ⴠ㜱㤮‰†††㌭⸰〲㰠牢ਾ㱦畳⁢浸湬㩳灪∽瑨灴⼺眯睷樮潰朮⹯灪㸢㉌㰠猯扵‾†††††ㄠ⸳㤳††††ㄠ⸰㌷††††〱㠮″†††ㄠ⸹㜹㰠牢ਾ㱦畳⁢浸湬㩳灪∽瑨灴⼺眯睷樮潰朮⹯灪㸢㍌㰠猯扵‾†††††ㄠ⸲㜲††††㐭⸳㜶†††ⴠ㌴〮‱†††㠭⸰㘶㰠牢ਾ㱦畳⁢浸湬㩳灪∽瑨灴⼺眯睷樮潰朮⹯灪㸢㑌㰠猯扵‾†††††ㄠ⸲㤰††††ㄠ⸰㜸††††〱㜮‷†††㈠⸰㠳㰠牢ਾ㱦畳⁢浸湬㩳灪∽瑨灴⼺眯睷樮潰朮⹯灪㸢㕌㰠猯���‾†††††ⴠ⸶㌶†††††⸹㌴††††㤠㘮‷†††ㄠ⸷㤸㰠牢ਾ㱦畳⁢浸湬㩳灪∽瑨灴⼺眯睷樮潰朮⹯灪㸢㙌㰠猯扵‾†††††ⴠ⸸㤸††††ⴠ⸶㔰††††㘭ㄮ‴†††ㄭ⸱㤳㰠牢ਾ㱦畳⁢浸湬㩳灪∽瑨灴⼺眯睷樮潰朮⹯灪㸢㝌㰠猯扵‾†††††ㄠ⸲㠱††††ㄭ⸰㌶†††ⴠ〱㜮″†††ㄭ⸹㈶㰠牢ਾ㱦畳⁢浸湬㩳灪∽瑨灴⼺眯睷樮潰朮⹯灪㸢㡌㰠猯扵‾†††††ㄠ⸴〰††††ㄠ⸳㔴††††㌱㌮′†††㈠⸴〰㰠牢ਾ㱦畳⁢浸湬㩳灪∽瑨灴⼺眯睷樮潰朮⹯灪㸢㥌㰠猯扵‾†††††ㄠ⸹〵††††ㄠ⸲㌹††††㌱〮′†††㈠⸴㜱㰠牢ਾ㱦畳⁢浸湬㩳灪∽瑨灴⼺眯睷樮潰朮⹯灪㸢ㅌ㰰猯扵‾†††††㘭⸵㠹†††ⴠ㐱⸶㤶†††ⴠ㐹〮‰††ⴠ㐲⸱㠸㰠牢ਾ㱦畳⁢浸湬㩳灪∽瑨灴⼺眯睷樮潰朮⹯灪㸢ㅌ㰱猯扵‾†††††ㄭ⸸㘷††††㈠⸱㠰††††〲㔮‶†††㌠⸶㐴㰠牢ਾ㱦畳⁢浸湬㩳灪∽瑨灴⼺眯睷樮潰朮⹯灪㸢ㅌ㰲猯扵‾††††††‭†††††㐭⸷㘷†††ⴠ〵㌮‷††ⴠ〱⸱㈲㰠牢ਾ㱦畳⁢浸湬㩳灪∽瑨灴⼺眯睷樮潰朮⹯灪㸢ㅌ㰳猯扵‾††††††‭†††††㈭⸶ㄳ†††ⴠ㔲ㄮ‱†††㐭⸶㈵㰠牢ਾ㰠牢ਾ†††††龮雦设볯颼†龮雦设볯馼†龮雦设볯邼†龮雦设볯醼戼㹲䐊猼扵砠汭獮樺㵰栢瑴㩰⼯睷⹷灪⹯潧樮≰漾⁩⼼畳㹢†††††㤱⸸‰††††㠠⸹‰††††㘹㔮††††㤠⸴‷戼㹲夊猼扵砠汭獮樺㵰栢瑴㩰⼯睷⹷灪⹯潧樮≰漾橢⼼畳㹢††††††⸵‹†††††⸳‱††††㌠ㄮ†††††⸳‱戼㹲夊††††††㈠⸰㠷††††ㄠ⸰㈸††††ㄱ〮‴†††ㄠ⸱㐰㰠牢ਾ㱌畳⁢浸湬㩳灪∽瑨灴⼺眯睷樮潰朮⹯灪㸢䱔㰠猯扵‾††††ㄠ㘹㈮‷††††㜸㔮‴†††㤠⸵㌱††††㌹㈮″戼㹲䰊猼扵砠汭獮樺㵰栢瑴㩰⼯睷⹷灪⹯潧樮≰䰾㰠猯扵‾†††††㤱⸲㜱††††㠠⸴㤲††††ㄹ㠮″†††㠠⸹㔹㰠牢ਾ䑗猼扵砠汭獮樺㵰栢瑴㩰⼯睷⹷灪⹯潧樮≰‾㰠猯扵‾†††††ㄠ㜮‶††††ㄠ㐮″††††⸱㔳††††ㄠ㐮′戼㹲䈊⁆††††††⸴〱†††††⸳㔲††††㌠㌮‰††††⸳㤲㰠牢ਾ䅎††††††〠㘮‰††††〠㔮‹††††⸰㈶††††〠㘮‰戼㹲츊₲†††††ⴠ⸳ㄵ††††ⴠ⸳ㄵ††††㌭㔮‵†††ⴠ⸳㌵㰠牢ਾ⁦††††††㜠㔮‱††††㌠㐮‹††††⸳㠹††††㌠㠮‶戼㹲켊㲆畳⁢浸湬㩳灪∽瑨灴⼺眯睷樮潰朮⹯灪㸢ㅇ㱯猯扵‾††††ㄠ⸳㈴†††††⸷㘴††††㜠㘮‴††††⸷㤵㰠牢ਾ蛏猼扵砠汭獮樺㵰栢瑴㩰⼯睷⹷灪⹯潧樮≰猾㰠猯扵‾†††††〳㠮‹††††㌱㤮′†††ㄠ⸵〱††††㐱㠮㰳牢ਾ㱄畳⁢浸湬㩳灪∽瑨灴⼺眯睷樮潰朮⹯灪㸢獯⼼畳㹢††††††㜶㐮‵††††〳㈮‸†††㈠⸹㔰††††〳㔮‰戼㹲䐊猼扵砠汭獮樺㵰栢瑴㩰⼯睷⹷灪⹯潧樮≰䜾䜱㰲猯扵‾†††††ㄠ㤮‷††††ㄠ㈮‱††††⸰㜶††††〠㌮‱戼㹲䰊猼扵砠汭獮樺㵰栢瑴㩰⼯睷⹷灪⹯潧樮≰䜾㰱猯扵‾†††††㘠⸲㘱††††㈠⸶㔵††††㜲〮‴†††㈠⸷㐷㰠牢ਾ㱌畳⁢浸湬㩳灪∽瑨灴⼺眯睷樮潰朮⹯灪㸢㉇⼼畳㹢†††††ㄠ㠲〮‴††††㘵㔮‴†††㘠⸴㈱††††ㄶ㤮‰戼㹲䌊䅒猼扵砠汭獮樺㵰栢瑴㩰⼯睷⹷灪⹯潧樮≰漾橢⼼畳㹢䴨塁 ††⸴〷†††††⸴㐹††††㐠㤮‹††††⸵㄰㰠牢ਾ剃㱁畳⁢浸湬㩳灪∽瑨灴⼺眯睷樮潰朮⹯灪㸢扯㱪猯扵⠾䥍⥎††〠〮���††††〠〮‰††††⸰〰††††〠〮‰戼㹲䌊䅒猼扵砠汭獮樺㵰栢瑴㩰⼯睷⹷灪⹯潧樮≰椾杭⼼畳㹢††††㈠⸴㤷††††㈠⸵〰††††〲㠮″†††㈠⸲㐰㰠牢ਾ㱄畳⁢浸湬㩳灪∽瑨灴⼺眯睷樮潰朮⹯灪㸢慭㱸猯扵‾†††††㘱㐮‴††††㤠㐮‷†††ㄠ⸰ㄹ††††〱㌮‹戼㹲䐊猼扵砠汭獮樺㵰栢瑴㩰⼯睷⹷灪⹯潧樮≰䜾洱硡⼼畳㹢†††††〠㤮‸††††〠㔮‰††††⸱㔰††††ㄠ㤮′戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㌲㜮‸††††㌲㜮‸†††㈠⸳㠷††††㌲㜮‸戼㹲上猼扵砠汭獮樺㵰栢瑴㩰⼯睷⹷灪⹯潧樮≰䜾㰱猯扵‾††††††⸸〰†††††⸸〰††††㠠〮‰††††⸷〰㰠牢ਾ㱎畳⁢浸湬㩳灪∽瑨灴⼺眯睷樮潰朮⹯灪㸢㉇⼼畳㹢††††††㤠〮‰††††㤠〮‰††††⸸〰††††㠠〮‰戼㹲昊猼扵砠汭獮樺㵰栢瑴㩰⼯睷⹷灪⹯潧樮≰䜾㰱猯扵‾†††††㈠⸶㜶††††ㄠ⸲㜷††††㌱〮‵†††ㄠ⸳㌵㰠牢ਾ㱦畳⁢浸湬㩳灪∽瑨灴⼺眯睷樮潰朮⹯灪㸢㉇⼼畳㹢††††††㌲㤮‱††††㠠㈮‱††††⸷㜵††††㜠㔮‰戼㹲昊猼扵砠汭獮樺㵰栢瑴㩰⼯睷⹷灪⹯潧樮≰䜾漱㰠猯扵‾††††ⴠ㌲㤮‵†††ⴠ㌱㠮‸†††㈭⸳㌶†††ⴠ㠱ㄮ′戼㹲昊猼扵砠汭獮樺㵰栢瑴㩰⼯睷⹷灪⹯潧樮≰䜾椲㰠猯扵‾††††ⴠ㔲㠮‰††††㤭ㄮ‶†††ㄭ⸲㘵†††ⴠㄱ㤮‸戼㹲昊猼扵砠汭獮樺㵰栢瑴㩰⼯睷⹷灪⹯潧樮≰䰾‱⼼畳㹢†††††ⴠ㌲㤮‵†††ⴠ㌱㠮‸†††㈭⸳㌶†††ⴠ㠱ㄮ′戼㹲昊猼扵砠汭獮樺㵰栢瑴㩰⼯睷⹷灪⹯潧樮≰䰾′⼼畳㹢††††††㜴㔮‱††††㘲㘮‴†††㐠⸹㌶††††ㄳ㘮‱戼㹲昊猼扵砠汭獮樺㵰栢瑴㩰⼯睷⹷灪⹯潧樮≰䰾″⼼畳㹢††††††㐳㜮‱††††㜱㠮‷†††ㄠ⸶〸††††㐱㜮‶戼㹲昊猼扵砠汭獮樺㵰栢瑴㩰⼯睷⹷灪⹯潧樮≰䰾‴⼼畳㹢††††††㈹㘮‰††††㤴㘮‱†††㔠⸰ㄱ††††㤱㜮‱戼㹲昊猼扵砠汭獮樺㵰栢瑴㩰⼯睷⹷灪⹯潧樮≰䰾‵⼼畳㹢††††††〴㔮‹††††㤱㤮‹†††㈠⸱㔳†††ⴠ㜱㠮‸戼㹲昊猼扵砠汭獮樺㵰栢瑴㩰⼯睷⹷灪⹯潧樮≰䰾‶⼼畳㹢†††††ⴠ㜳㠮‷†††ⴠ〲ㄮ‸†††ㄭ⸷㈱††††㔱㠮″戼㹲昊猼扵砠汭獮樺㵰栢瑴㩰⼯睷⹷灪⹯潧樮≰䰾‷⼼畳㹢††††††㔳〮‱††††㜱㌮′†††ㄠ⸵㠶†††ⴠ㌱㤮‵戼㹲昊猼扵砠汭獮樺㵰栢瑴㩰⼯睷⹷灪⹯潧樮≰䰾‸⼼畳㹢†††††ⴠ〴㈮‹†††ⴠ㐱㜮‴†††ㄭ⸳㈷††††㐲㌮′戼㹲昊猼扵砠汭獮樺㵰栢瑴㩰⼯睷⹷灪⹯潧樮≰䰾‹⼼畳㹢††††††㔹㐮″††††㈳㘮‰†††㈠⸹㤴††††㘳㌮‴戼㹲昊猼扵砠汭獮樺㵰栢瑴㩰⼯睷⹷灪⹯潧樮≰䰾〱⼼畳㹢††††††㌶〮‵††††㜲㔮‱†††㌠⸰㘴†††ⴠ㔱ㄮ‱戼㹲昊猼扵砠汭獮樺㵰栢瑴㩰⼯睷⹷灪⹯潧樮≰䰾ㄱ⼼畳㹢†††††ⴠ㐳〮‹†††ⴠ㈱㤮‹†††ㄭ⸵㌵††††㌳㐮′戼㹲昊猼扵砠汭獮樺㵰栢瑴㩰⼯睷⹷灪⹯潧樮≰䰾㈱⼼畳㹢††††††㤶ㄮ″††††〳㤮′†††㌠⸳〸††††〸㐮‸戼㹲昊猼扵砠汭獮樺㵰栢瑴㩰⼯睷⹷灪⹯潧樮≰䰾㌱⼼畳㹢†††††ㄠ㌹㐮′††††㐶㌮″†††㜠⸸㤹††††〲ㄮ′戼㹲昊猼扵砠汭獮樺㵰栢瑴㩰⼯睷⹷灪⹯潧樮≰䰾㐱⼼畳㹢†���††††〴ㄮ‴††††㠱㐮‵†††㈠⸰㤱†††ⴠ㐱㐮‰戼㹲昊猼扵砠汭獮樺㵰栢瑴㩰⼯睷⹷灪⹯潧樮≰䰾㔱⼼畳㹢†††††ⴠ㘲㐮‷†††ⴠ㈱㐮‰†††ㄭ⸳㐰†††ⴠㄱ㤮‸戼㹲昊猼扵砠汭獮樺㵰栢瑴㩰⼯睷⹷灪⹯潧樮≰䰾㘱⼼畳㹢†††††㘭㤹㜮‷††††㌳㈮‸†††ㄭ⸲㘵†††††㰭牢ਾ㱦畳⁢浸湬㩳灪∽瑨灴⼺眯睷樮潰朮⹯灪㸢ㅌ㰷猯扵‾†††††㈭⸵〸††††ⴠ⸹㘱†††††‭†††††ⴠ戼㹲 戼㹲 †††††껥붖뻤鞼볯ₒ†껥붖뻤鞼볯ₓ†껥붖뻤鞼볯ₔ†껥붖뻤鞼볯㲕牢ਾ㱄畳⁢浸湬㩳灪∽瑨灴⼺眯睷樮潰朮⹯灪㸢楯㰠猯扵‾††††㌠㜱㠮†††††㘹㌮††††㠱⸶‷††††㠷ㄮ㰠牢ਾ㱙畳⁢浸湬㩳灪∽瑨灴⼺眯睷樮潰朮⹯灪㸢扯㱪猯扵‾†††††㈠㈮†††††㈠ㄮ††††ㄠ⸶″††††㠠ㄮ㰠牢ਾ⁙††††††㜠㤮″††††㜠㌮‹†††㈠⸱㌶††††〱㠮′戼㹲䰊猼扵砠汭獮樺㵰栢瑴㩰⼯睷⹷灪⹯潧樮≰吾㱌猯扵‾†††††ㄳ⸶㌶††††㤠⸴㜹†††ㄠ㔷ㄮ‱†††㜠⸱㘹㰠牢ਾ㱌畳⁢浸湬㩳灪∽瑨灴⼺眯睷樮潰朮⹯灪㸢⁌⼼畳㹢†††††㈠㜹㠮‶††††ㄹ㘮‰†††㘱⸳ㄳ††††㤶㜮‴戼㹲圊㱄畳⁢浸湬㩳灪∽瑨灴⼺眯睷樮潰朮⹯灪㸢†⼼畳㹢††††††⸱㔱†††††⸱㠲††††ㄱ㔮‵††††⸶㐱㰠牢ਾ䙂††††††㠱㜮‷††††㌠㌮‷†††ㄠ⸱〸††††㈠㈮′戼㹲上⁁††††††⸰ㄸ†††††⸰〸††††〠㈮″††††⸰㌲㰠牢ਾ닎††††††㌭㔮‶††††㌭㔮‴†††ⴠ⸱㌳††††ㄭ㌮″戼㹲昊††††††㈠⸳㠶†††††⸳〶††††㌲㤮′††††⸸㔶㰠牢ਾ蛏猼扵砠汭獮樺㵰栢瑴㩰⼯睷⹷灪⹯潧樮≰䜾漱⼼畳㹢†††††㜠ㄮ‴††††㘠㤮″†††㌠⸵〱††††㤱ㄮ‵戼㹲켊㲆畳⁢浸湬㩳灪∽瑨灴⼺眯睷樮潰朮⹯灪㸢⁳⼼畳㹢†††††㔠⸰㜸††††㈠⸰㤵††††㔲ㄮ‴†††ㄠ⸰㄰戼㹲䐊猼扵砠汭獮樺㵰栢瑴㩰⼯睷⹷灪⹯潧樮≰漾㱳猯扵‾†††††㠠⸳㄰††††㌠⸰〷††††㘸〮‵†††㌠⸲㌲㰠牢ਾ㱄畳⁢浸湬㩳灪∽瑨灴⼺眯睷樮潰朮⹯灪㸢ㅇ㉇⼼畳㹢††††††⸷ㄴ†††††⸰㔰††††㔱ㄮ′††††⸵㘷㰠牢ਾ㱌畳⁢浸湬㩳灪∽瑨灴⼺眯睷樮潰朮⹯灪㸢ㅇ⼼畳㹢††††††㠷㤮‸††††㤲㌮‶†††㘠⸰ㄹ††††ㄲㄮ″戼㹲䰊猼扵砠汭獮樺㵰栢瑴㩰⼯睷⹷灪⹯潧樮≰䜾㰲猯扵‾†††††ㄲ⸱㜴††††㘠⸲㤱††††㜸㈮‹†††㐠⸲㔸㰠牢ਾ剃㱁畳⁢浸湬㩳灪∽瑨灴⼺眯睷樮潰朮⹯灪㸢扯㱪猯扵⠾䅍⥘††ㄠ㘮′††††㈠㐮‱††††⸵㜱†††††⸴㤹㰠牢ਾ剃㱁畳⁢浸湬㩳灪∽瑨灴⼺眯睷樮潰朮⹯灪㸢扯㱪猯扵⠾䥍⥎††〠〮‰††††〠〮‰††††⸰〰††††ⴠ⸳㤴㰠牢ਾ剃㱁畳⁢浸湬㩳灪∽瑨灴⼺眯睷樮潰朮⹯灪㸢浩㱧猯扵‾††††㔠ㄮ‸††††㌲ㄮ‵†††㈠⸴㐷††††㈠⸴㠸㰠牢ਾ㱄畳⁢浸湬㩳灪∽瑨灴⼺眯睷樮潰朮⹯灪㸢慭㱸猯扵‾†††††㔶㌮‷††††〱㐮‴†††㈠⸸㐳††††ㄠ⸲ㄹ㰠牢ਾ㱄畳⁢浸湬㩳灪∽瑨灴⼺眯睷樮潰朮⹯灪㸢ㅇ慭⁸⼼畳㹢†††††⸱㠲†††††⸰㔱††††ㄱㄮ′††††㈠㘮‵戼㹲츊撽猼扵砠汭獮樺㵰栢瑴㩰⼯睷⹷灪⹯潧樮≰派硡㰠猯扵‾†††㠠⸱ㄶ††††㠠⸱ㄶ††††ㄸ㘮‱††††ㄸ㘮‱戼㹲츊撽猼扵砠汭獮樺㵰栢瑴㩰⼯睷⹷灪⹯潧樮≰派湩㰠猯扵‾†††㈠⸳㠸††††���⸳㠷††††㌲㜮‷††††㌲㜮‷戼㹲上猼扵砠汭獮樺㵰栢瑴㩰⼯睷⹷灪⹯潧樮≰䜾‱⼼畳㹢††††††⸵〰††††ㄠ⸰〰††††㘠〮‰††††㔠〮‰戼㹲上猼扵砠汭獮樺㵰栢瑴㩰⼯睷⹷灪⹯潧樮≰䜾′⼼畳㹢††††††⸷〰†††††⸹〰††††㠠〮‰††††㠠〮‰戼㹲昊猼扵砠汭獮樺㵰栢瑴㩰⼯睷⹷灪⹯潧樮≰䜾㰱猯扵‾†††††㌠⸰㔴††††ㄠ⸲㠳††††㐹㌮‷††††㈵㈮‷戼㹲昊猼扵砠汭獮樺㵰栢瑴㩰⼯睷⹷灪⹯潧樮≰䜾㰲猯扵‾†††††㘠⸰㌵††††ㄠ⸱ㄲ††††〲㜮‷††††⸶㠶㰠牢ਾ㱦畳⁢浸湬㩳灪∽瑨灴⼺眯睷樮潰朮⹯灪㸢ㅇ㱯猯扵‾††††㌭㘵㠮″†††ⴠ㌶㈮‸†††ⴠ㐵㔮‸†††ⴠ㐳ㄮ‴戼㹲昊猼扵砠汭獮樺㵰栢瑴㩰⼯睷⹷灪⹯潧樮≰䜾㰲猯扵椾†††††㈭⸳㐵††††ⴠ⸹㤳††††㐭⸲ㄳ†††ⴠㄲ㤮‴戼㹲昊猼扵砠汭獮樺㵰栢瑴㩰⼯睷⹷灪⹯潧樮≰䰾㰱猯扵‾††††ⴠ㔳⸶㌸††††㘭⸳㠲††††㔭⸴㠵††††㌭⸴㐱㰠牢ਾ㱦畳⁢浸湬㩳灪∽瑨灴⼺眯睷樮潰朮⹯灪㸢㉌㰠猯扵‾†††††㘵㠮‸††††㤶㔮″††††㜳㠮‵††††㐲〮‱戼㹲昊猼扵砠汭獮樺㵰栢瑴㩰⼯睷⹷灪⹯潧樮≰䰾″⼼畳㹢†††††㔠⸱〲††††㌠⸶㈷††††㤭⸵ㄵ††††㈠⸲㌷㰠牢ਾ㱦畳⁢浸湬㩳灪∽瑨灴⼺眯睷樮潰朮⹯灪㸢㑌㰠猯扵‾†††††㜶㜮‵††††㔲㤮‸††††㤳㐮‷††††㌳㠮‱戼㹲昊猼扵砠汭獮樺㵰栢瑴㩰⼯睷⹷灪⹯潧樮≰䰾‵⼼畳㹢†††††㌭⸵㔶††††㐠⸴㔳††††㐠⸴㜸††††ㄭ⸰〹㰠牢ਾ㱦畳⁢浸湬㩳灪∽瑨灴⼺眯睷樮潰朮⹯灪㸢㙌㰠猯扵‾††††ⴠ㜴㌮‰†††ㄭ㄰㤮‷†††ⴠ㤱㐮‷†††ⴠ㠱㤮‶戼㹲昊猼扵砠汭獮樺㵰栢瑴㩰⼯睷⹷灪⹯潧樮≰䰾㰷猯扵‾†††††㈶ㄮ‹††††㌠⸲㘹††††㌭⸸㘵††††ㄠ⸷㐴㰠牢ਾ㱦畳⁢浸湬㩳灪∽瑨灴⼺眯睷樮潰朮⹯灪㸢㡌⼼畳㹢†††††㘠⸴ㄸ††††ⴠ㔲㔮‷††††㌴㔮‱††††㐲㜮‱戼㹲昊猼扵砠汭獮樺㵰栢瑴㩰⼯睷⹷灪⹯潧樮≰䰾‹⼼畳㹢††††ⴠㄱ⸵㔸††††㈠⸲㐳††††㘠⸴㘳††††㈠⸹㔶㰠牢ਾ㱦畳⁢浸湬㩳灪∽瑨灴⼺眯睷樮潰朮⹯灪㸢ㅌ㰰猯扵‾††††㈠ㄵㄮ‰†††ⴠ㈲㘮″††††㜶ㄮ‹†††ⴠ㤲㈮‰戼㹲昊猼扵砠汭獮樺㵰栢瑴㩰⼯睷⹷灪⹯潧樮≰䰾ㄱ⼼畳㹢†††††㔠⸱㠸††††㘠⸴㠵††††㤭⸵㈹††††㈠⸹㔹㰠牢ਾ㱦畳⁢浸湬㩳灪∽瑨灴⼺眯睷樮潰朮⹯灪㸢ㅌ㰲猯扵‾††††ⴠ㌲㔮‴††††㤲㘮″††††㈶ㄮ‶†††ⴠ㜲㈮‰戼㹲昊猼扵砠汭獮樺㵰栢瑴㩰⼯睷⹷灪⹯潧樮≰䰾㌱㰠猯扵‾†††††ⴠ†††††ㄭ⸶㤵††††ㄭ㌴㘮‷†††ⴠㄲ㤮‴戼㹲昊猼扵砠汭獮樺㵰栢瑴㩰⼯睷⹷灪⹯潧樮≰䰾㐱⼼畳㹢††††††ⴠ†††††㌠⸶㘱††††㐭⸲ㄳ†††††㰭牢ਾ㱦畳⁢浸湬㩳灪∽瑨灴⼺眯睷樮潰朮⹯灪㸢ㅌ㰵猯扵‾††††††‭†††††㌸㤮‹†††††‭†††††ⴠ戼㹲昊猼扵砠汭獮樺㵰栢瑴㩰⼯睷⹷灪⹯潧樮≰䰾㘱⼼畳㹢††††††ⴠ†††††㈠⸱㠰†††††ⴠ††††††㰭牢ਾ㱦畳⁢浸湬㩳灪∽瑨灴⼺眯睷樮潰朮⹯灪㸢ㅌ㰷猯扵‾††††††‭††††ⴠ㈱㌮′†††††‭†††††ⴠ戼㹲昊猼扵砠汭獮樺㵰栢瑴㩰⼯睷⹷灪⹯潧樮≰䰾㠱⼼畳㹢††††††ⴠ†††††㈠⸶㈶†††††ⴠ††††††㰭牢ਾ㱦畳⁢浸湬㩳灪∽瑨灴⼺眯睷樮潰朮⹯灪㸢ㅌ㰹猯扵‾††���†††‭†††††㤭㌮‹†††††‭†††††ⴠ戼㹲 戼㹲 †††††껥붖뻤鞼볯ₖ†껥붖뻤鞼볯ₗ†껥붖뻤鞼볯ₘ†껥붖뻤鞼볯㲙牢ਾ㱄畳⁢浸湬㩳灪∽瑨灴⼺眯睷樮潰朮⹯灪㸢楯㰠猯扵‾†††††〶〮†††††㈴㌮††††㌠⸸‹††††〷〮㰠牢ਾ㱙畳⁢浸湬㩳灪∽瑨灴⼺眯睷樮潰朮⹯灪㸢扯㱪猯扵‾†††††㔠㘮†††††㐠〮†††††⸳‶††††㈠㈮㰠牢ਾ⁙††††††㜠㐮‶††††㔠㌮″††††⸴㔷††††㐠㤮′戼㹲䰊猼扵砠汭獮樺㵰栢瑴㩰⼯睷⹷灪⹯潧樮≰吾㱌猯扵‾†††††㔠⸵㐴††††㌠⸹㐵††††㘳㐮‶†††㔠⸴ㄲ㰠牢ਾ㱌畳⁢浸湬㩳灪∽瑨灴⼺眯睷樮潰朮⹯灪㸢⁌⼼畳㹢††††††〵㤮‴††††㘳㐮″†††㌠⸳㘸††††ㄵ㔮‸戼㹲圊㱄畳⁢浸湬㩳灪∽瑨灴⼺眯睷樮潰朮⹯灪㸢㰠猯扵‾†††††㐠㔮‷††††㈠㜮‷††††⸲〴††††ㄠ⸵〸㰠牢ਾ䙂††††††㐠㐮‹††††㌠ㄮ‱††††⸲〶††††㈠㘮″戼㹲上⁁††††††⸰㌲†††††⸰㈲††††〠㈮″††††⸰㠳㰠牢ਾ닎††††††ㄭ㌮‴††††ㄭ㌮‴†††ⴠ⸱㌳††††㈭㈮‰戼㹲昊†††††††⸷㌸†††††⸵㘴††††㐠㠮‸††††⸵㈰㰠牢ਾ蛏猼扵砠汭獮樺㵰栢瑴㩰⼯睷⹷灪⹯潧樮≰䜾漱⼼畳㹢†††††㈱㈮‱††††㠠㘮‶††††⸷㌷††††㘱㜮″戼㹲켊㲆畳⁢浸湬㩳灪∽瑨灴⼺眯睷樮潰朮⹯灪㸢⁳⼼畳㹢††††††⸷㐴†††††⸵㘱††††㐠㘮‶†††ㄠ⸱㜵戼㹲䐊猼扵砠汭獮樺㵰栢瑴㩰⼯睷⹷灪⹯潧樮≰漾㱳猯扵‾†††††㈠⸶㘷††††ㄠ⸹㐹††††㠱〮‰†††㌠⸲㐱㰠牢ਾ㱄畳⁢浸湬㩳灪∽瑨灴⼺眯睷樮潰朮⹯灪㸢ㅇ㉇㰠猯扵‾†††††⸳㜵†††††⸳㈴††††㈠㤮‹††††⸰㘹㰠牢ਾ㱌畳⁢浸湬㩳灪∽瑨灴⼺眯睷樮潰朮⹯灪㸢ㅇ⼼畳㹢††††††㠱㤮′††††㌱㤮‹†††ㄠ⸲㘸††††㔱㔮‵戼㹲䰊猼扵砠汭獮樺㵰栢瑴㩰⼯睷⹷灪⹯潧樮≰䜾㰲猯扵‾†††††㈠⸸㔴††††ㄠ⸹㄰††††㠱〮′†††㌠⸵㘰㰠牢ਾ剃㱁畳⁢浸湬㩳灪∽瑨灴⼺眯睷樮潰朮⹯灪㸢扯㱪猯扵⠾䅍⥘††㔠ㄮ‸††††㔠㈮‵††††⸵㠳††††㌠〮‱戼㹲䌊䅒猼扵砠汭獮樺㵰栢瑴㩰⼯睷⹷灪⹯潧樮≰漾橢⼼畳㹢䴨义 ††⸰〰†††††⸰〰††††〠〮‰††††⸰〰㰠牢ਾ剃㱁畳⁢浸湬㩳灪∽瑨灴⼺眯睷樮潰朮⹯灪㸢浩㱧猯扵‾††††㐲㠮′††††㔲㌮‷†††㈠⸵㌱††††㤱ㄮ‷戼㹲䐊猼扵砠汭獮樺㵰栢瑴㩰⼯睷⹷灪⹯潧樮≰派硡⼼畳㹢†††††ㄠ⸱ㄱ†††††⸵〳††††㐠㔮‸††††⸸㠴㰠牢ਾ㱄畳⁢浸湬㩳灪∽瑨灴⼺眯睷樮潰朮⹯灪㸢ㅇ慭㱸猯扵‾††††㈠㜮‰†††††⸱㈸††††ㄠ㌮‵††††⸰〱㰠牢ਾ뷎㱤畳⁢浸湬㩳灪∽瑨灴⼺眯睷樮潰朮⹯灪㸢慭⁸⼼畳㹢††††ㄸ㘮‱††††ㄸ㘮‱††††ㄸ㘮‱†††㠠⸱ㄶ㰠牢ਾ뷎㱤畳⁢浸湬㩳灪∽瑨灴⼺眯睷樮潰朮⹯灪㸢業⁮⼼畳㹢††††㌲㜮‷††††㌲㜮‷††††㌲㜮‷†††㈠⸳㜷㰠牢ਾ㱎畳⁢浸湬㩳灪∽瑨灴⼺眯睷樮潰朮⹯灪㸢ㅇ⼼畳㹢††††††⸶〰†††††⸶〰†††††⸶〰††††㘠〮‰戼㹲上猼扵砠汭獮樺㵰栢瑴㩰⼯睷⹷灪⹯潧樮≰䜾㰲猯扵‾†††††㠠〮‰††††㠠〮‰††††㠠〮‰††††⸷〰㰠牢ਾ㱦畳⁢浸湬㩳灪∽瑨灴⼺眯睷樮潰朮⹯灪㸢ㅇ⼼畳㹢††††††㈳㔮′†††ㄠ⸸〲†���††ㄠ⸶㘲††††㐱〮′戼㹲昊猼扵砠汭獮樺㵰栢瑴㩰⼯睷⹷灪⹯潧樮≰䜾㰲猯扵‾†††††㘠㌮′††††㔠〮‶††††㐠㐮‹†††ㄹ⸹㤲㰠牢ਾ㱦畳⁢浸湬㩳灪∽瑨灴⼺眯睷樮潰朮⹯灪㸢ㅇ㱯猯扵‾††††ⴠ㐲㘮‱†††ⴠ㔱㐮‰†††ⴠ㌱〮″†††ㄠ⸹ㄵ㰠牢ਾ㱦畳⁢浸湬㩳灪∽瑨灴⼺眯睷樮潰朮⹯灪㸢㉇㱩猯扵‾††††ⴠㄱ㜮‰††††㜭㠮‴††††㜭㘮‷†††㈭⸰〲㰠牢ਾ㱦畳⁢浸湬㩳灪∽瑨灴⼺眯睷樮潰朮⹯灪㸢ㅌ⼼畳㹢†††††ⴠ㐲㘮‱†††ⴠ㔱㐮‰†††ⴠ㌱〮″†††ㄠ⸹ㄵ㰠牢ਾ㱦畳⁢浸湬㩳灪∽瑨灴⼺眯睷樮潰朮⹯灪㸢㉌㰠猯扵‾†††††㈱㔮‱††††㤠㠮‱††††㠠㌮‶†††㌭⸰㔶㰠牢ਾ㱦畳⁢浸湬㩳灪∽瑨灴⼺眯睷樮潰朮⹯灪㸢㍌⼼畳㹢†††††ⴠ㤱㔮‸†††ⴠ㔲㘮‵†††ⴠ㈲㘮‴†††㈠⸵㄰㰠牢ਾ㱦畳⁢浸湬㩳灪∽瑨灴⼺眯睷樮潰朮⹯灪㸢㑌⼼畳㹢††††††㈱ㄮ‰††††㤠㈮‰††††⸸㈳††††㈠⸲ㄳ㰠牢ਾ㱦畳⁢浸湬㩳灪∽瑨灴⼺眯睷樮潰朮⹯灪㸢㕌⼼畳㹢††††††㌱㈮‴††††ㄱ㈮‱††††⸹㘷††††ㄠ⸹ㄸ㰠牢ਾ㱦畳⁢浸湬㩳灪∽瑨灴⼺眯睷樮潰朮⹯灪㸢㙌⼼畳㹢†††††ⴠ⸶㘰†††††㐭㤮‶†††ⴠ⸴㠲††††ㄭ⸰㐷㰠牢ਾ㱦畳⁢浸湬㩳灪∽瑨灴⼺眯睷樮潰朮⹯灪㸢㝌⼼畳㹢†††††ⴠㄱ㠮‵†††ⴠ〱㈮‶†††ⴠ⸸㔶††††ㄭ⸰㜲㰠牢ਾ㱦畳⁢浸湬㩳灪∽瑨灴⼺眯睷樮潰朮⹯灪㸢㡌㰠猯扵‾†††††㌱㌮‷††††〱㈮‷††††⸹㌰††††ㄠ⸳〱㰠牢ਾ㱦畳⁢浸湬㩳灪∽瑨灴⼺眯睷樮潰朮⹯灪㸢㥌⼼畳㹢††††††〲㘮‴††††㘱〮″†††ㄠ⸴㐰††††㈠⸲㜴㰠牢ਾ㱦畳⁢浸湬㩳灪∽瑨灴⼺眯睷樮潰朮⹯灪㸢ㅌ㰰猯扵‾†††††ㄲ㤮‰††††㘱㘮‷††††㐱㘮‸†††ⴠ㘲㘮‶戼㹲昊猼扵砠汭獮樺㵰栢瑴㩰⼯睷⹷灪⹯潧樮≰䰾ㄱ⼼畳㹢†††††㈭⸹㈷††††㈭⸴㜲††††㈭⸰㘶††††ㄠ⸲㈶㰠牢ਾ㱦畳⁢浸湬㩳灪∽瑨灴⼺眯睷樮潰朮⹯灪㸢ㅌ㰲猯扵‾†††††〲㤮‸††††㔱㜮‰††††㌱㘮‱†††ⴠ〱〮″戼㹲昊猼扵砠汭獮樺㵰栢瑴㩰⼯睷⹷灪⹯潧樮≰䰾㌱⼼畳㹢††††ⴠ㈱⸲㔱††††㐭⸶㤸††††㈭⸷㜱††††㈭⸰〲㰠牢ਾ㱦畳⁢浸湬㩳灪∽瑨灴⼺眯睷樮潰朮⹯灪㸢ㅌ㰴猯扵‾††††ⴠㄱ㜮‰††††㜭㠮‴††††㜭㘮‷††††ⴠ戼㹲 戼㹲 †††††껥붖뻤颼볯ₐ†껥붖뻤颼볯ₑ†껥붖뻤颼볯ₒ†껥붖뻤颼볯㲓牢ਾ㱄畳⁢浸湬㩳灪∽瑨灴⼺眯睷樮潰朮⹯灪㸢楯㰠猯扵‾†††††㈴〮†††††㈴〮††††㐠⸲‰††††㔹〮㰠牢ਾ㱙畳⁢浸湬㩳灪∽瑨灴⼺眯睷樮潰朮⹯灪㸢扯㱪猯扵‾†††††ㄠ㤮†††††ㄠ㤮†††††⸱‹††††㠠㈮㰠牢ਾ⁙††††††㌠㠮‷††††㌠㠮‷††††⸳㜸††††〱㠮′戼㹲䰊猼扵砠汭獮樺㵰栢瑴㩰⼯睷⹷灪⹯潧樮≰吾㱌猯扵‾†††††㌠⸹〵††††㌠⸹ㄵ††††㤳㔮‱†††㠠⸸㤶㰠牢ਾ㱌畳⁢浸湬㩳灪∽瑨灴⼺眯睷樮潰朮⹯灪㸢⁌⼼畳㹢††††††㜳㠮‰††††㘳㜮‰†††㌠⸶〷††††㘸㘮‹戼㹲圊㱄畳⁢浸湬㩳灪∽瑨灴⼺眯睷樮潰朮⹯灪㸢†⼼畳㹢††††††⸲〵†††††⸲〵††††㈠㔮‰††††⸶㌳㰠牢ਾ䙂††††††ㄠ㜮‰††††㈠㠮‱††††⸲ㄸ††††㈠〮‰戼㹲上⁁††††††⸰㈳†††††⸰㈳††††〠㌮′††††⸰㌳㰠牢ਾ���††††††㈭〮‰††††㈭〮‰†††ⴠ⸲〰††††ㄭ㌮′戼㹲昊†††††††⸳㈷†††††⸴㜲††††㐠㈮′††††⸹ㄹ㰠牢ਾ蛏猼扵砠汭獮樺㵰栢瑴㩰⼯睷⹷灪⹯潧樮≰䜾漱⼼畳㹢†††††㐠㜮‴††††㐠㜮‹††††⸴㤷††††㜱㔮‱戼㹲켊㲆畳⁢浸湬㩳灪∽瑨灴⼺眯睷樮潰朮⹯灪㸢㱳猯扵‾†††††㐠㌮‵††††㐠㌮′††††⸴ㄴ††††ㄠ⸶㔶戼㹲䐊猼扵砠汭獮樺㵰栢瑴㩰⼯睷⹷灪⹯潧樮≰漾⁳⼼畳㹢†††††ㄠ⸶〳††††ㄠ⸶㔹††††㘱ㄮ‰†††㐠⸶㌲㰠牢ਾ㱄畳⁢浸湬㩳灪∽瑨灴⼺眯睷樮潰朮⹯灪㸢ㅇ㉇⼼畳㹢†††††㈠㌮‴††††㈠㌮‱††††⸲㈴†††††⸷㤴㰠牢ਾ㱌畳⁢浸湬㩳灪∽瑨灴⼺眯睷樮潰朮⹯灪㸢ㅇ⼼畳㹢†††††ㄠ⸲ㄴ††††ㄠ⸳㈲††††㈱ㄮ‹††††㌳㜮‹戼㹲䰊猼扵砠汭獮樺㵰栢瑴㩰⼯睷⹷灪⹯潧樮≰䜾′⼼畳㹢†††††㈠⸳㔰††††㈠⸱㜱††††㈲〮‹††††㔴㐮‰戼㹲䌊䅒猼扵砠汭獮樺㵰栢瑴㩰⼯睷⹷灪⹯潧樮≰漾橢⼼畳㹢䴨塁 ††⸵㤰†††††⸵㘰††††㔠〮‷††††⸵㤴㰠牢ਾ剃㱁畳⁢浸湬㩳灪∽瑨灴⼺眯睷樮潰朮⹯灪㸢扯㱪猯扵⠾䥍⥎††〠〮‰††††〠〮‰††††⸰〰††††〠〮‰戼㹲䌊䅒猼扵砠汭獮樺㵰栢瑴㩰⼯睷⹷灪⹯潧樮≰椾杭⼼畳㹢††††㈠⸱ㄹ††††㈠⸱ㄹ††††ㄲ㜮‶†††㈠⸵㔱㰠牢ਾ㱄畳⁢浸湬㩳灪∽瑨灴⼺眯睷樮潰朮⹯灪㸢慭㱸猯扵‾†††††㐠㘮‴††††㐠㤮″††††⸵㌷††††㤱㠮‰戼㹲䐊猼扵砠汭獮樺㵰栢瑴㩰⼯睷⹷灪⹯潧樮≰䜾洱硡⼼畳㹢†††††〠㐮‶††††〠㐮‵††††⸰㠲††††㘠㐮‹戼㹲츊撽猼扵砠汭獮樺㵰栢瑴㩰⼯睷⹷灪⹯潧樮≰派硡㰠猯扵‾††††ㄸ㘮‱††††ㄸ㘮‱†††㠠⸱ㄶ††††ㄸ㘮‱戼㹲츊撽猼扵砠汭獮樺㵰栢瑴㩰⼯睷⹷灪⹯潧樮≰派湩㰠猯扵‾††††㌲㜮‷††††㌲㜮‷†††㈠⸳㜷††††㌲㜮‷戼㹲上猼扵砠汭獮樺㵰栢瑴㩰⼯睷⹷灪⹯潧樮≰䜾㰱猯扵‾††††††⸶〰†††††⸶〰††††㘠〮‰††††⸷〰㰠牢ਾ㱎畳⁢浸湬㩳灪∽瑨灴⼺眯睷樮潰朮⹯灪㸢㉇⼼畳㹢††††††㜠〮‰††††㜠〮‰††††⸶〰††††㠠〮‰戼㹲昊猼扵砠汭獮樺㵰栢瑴㩰⼯睷⹷灪⹯潧樮≰䜾‱⼼畳㹢††††††⸷㜷†††††⸷㤳††††㠠〮‰††††㤲㈮‵戼㹲昊猼扵砠汭獮樺㵰栢瑴㩰⼯睷⹷灪⹯潧樮≰䜾′⼼畳㹢††††††⸵ㄳ†††††⸶〹††††㔠㠮‱††††㈱㜮‹戼㹲昊猼扵砠汭獮樺㵰栢瑴㩰⼯睷⹷灪⹯潧樮≰䜾漱⼼畳㹢†††††㐭⸹㠰††††㌭⸸㄰†††㌭㐹㘮‶†††ⴠ㌴㔮‹戼㹲昊猼扵砠汭獮樺㵰栢瑴㩰⼯睷⹷灪⹯潧樮≰䜾椲⼼畳㹢†††††ⴠ⸹㌷††††ⴠ⸷㤴††††㜭㈮‰†††ⴠ㠲㐮‴戼㹲昊猼扵砠汭獮樺㵰栢瑴㩰⼯睷⹷灪⹯潧樮≰䰾‱⼼畳㹢†††††㐭⸹㠰††††㌭⸸㄰†††㌭㐹㘮‶†††ⴠ㌴㔮‹戼㹲昊猼扵砠汭獮樺㵰栢瑴㩰⼯睷⹷灪⹯潧樮≰䰾′⼼畳㹢††††††⸷ㄸ†††††⸸㄰††††㠠㌮‵††††〲㠮″戼㹲昊猼扵砠汭獮樺㵰栢瑴㩰⼯睷⹷灪⹯潧樮≰䰾″⼼畳㹢†††††ㄭ⸲㌹††††ⴠ⸸㜷†††ⴠㄱ㤮‴†††ⴠ㐲㔮‸戼㹲昊猼扵砠汭獮樺㵰栢瑴㩰⼯睷⹷灪⹯潧樮≰䰾‴⼼畳㹢†††††ㄠ⸰㈱†††††⸷㜷††††〱ㄮ‱††††㘳ㄮ‷戼㹲昊猼扵砠汭獮樺㵰栢瑴㩰⼯睷⹷灪⹯潧樮≰䰾‵⼼畳㹢††††††⸶㈱†††††⸷ㄵ††���†㜠ㄮ″††††ㄳ㐮″戼㹲昊猼扵砠汭獮樺㵰栢瑴㩰⼯睷⹷灪⹯潧樮≰䰾‶⼼畳㹢†††††ⴠ⸳ㄷ††††ⴠ⸴㤵††††㐭ㄮ‴††††㌲〮′戼㹲昊猼扵砠汭獮樺㵰栢瑴㩰⼯睷⹷灪⹯潧樮≰䰾‷⼼畳㹢†††††ⴠ⸹〰††††ㄭ⸰㈹††††㠭㜮‱†††ⴠ㌱㠮‶戼㹲昊猼扵砠汭獮樺㵰栢瑴㩰⼯睷⹷灪⹯潧樮≰䰾‸⼼畳㹢††††††⸸㘸††††ㄠ⸳㜹††††㠠㤮′†††ⴠ㔲㘮‴戼㹲昊猼扵砠汭獮樺㵰栢瑴㩰⼯睷⹷灪⹯潧樮≰䰾‹⼼畳㹢†††††ㄠ⸰㔵††††ㄠ⸱㄰††††㤠㠮′††††㠳㘮‱戼㹲昊猼扵砠汭獮樺㵰栢瑴㩰⼯睷⹷灪⹯潧樮≰䰾〱⼼畳㹢†††††㈭⸱㜴††††㘠⸸ㄵ††††ㄭ⸴㈸††††㔳㠮″戼㹲昊猼扵砠汭獮樺㵰栢瑴㩰⼯睷⹷灪⹯潧樮≰䰾ㄱ⼼畳㹢†††††ㄠ⸳㤴††††ㄭ⸸㤳††††ㄠ⸳㜷††††㔴㜮‵戼㹲昊猼扵砠汭獮樺㵰栢瑴㩰⼯睷⹷灪⹯潧樮≰䰾㈱⼼畳㹢†††††ㄭ⸷㜰††††ㄠ⸴〱††††ⴠ⸷〲†††ⴠ㈶㈮‴戼㹲昊猼扵砠汭獮樺㵰栢瑴㩰⼯睷⹷灪⹯潧樮≰䰾㌱⼼畳㹢†††††ⴠ⸹㌷††††ⴠ⸷㤴†††††ⴠ†††††㐳㜮‴戼㹲昊猼扵砠汭獮樺㵰栢瑴㩰⼯睷⹷灪⹯潧樮≰䰾㐱⼼畳㹢††††††‭††††††ⴠ††††††ⴠ††††ⴠㄳ㈮″戼㹲昊猼扵砠汭獮樺㵰栢瑴㩰⼯睷⹷灪⹯潧樮≰䰾㔱⼼畳㹢††††††‭††††††ⴠ††††††ⴠ††††ⴠ㠲㐮‴戼㹲 戼㹲 †††††껥붖뻤颼볯ₔ†껥붖뻤颼볯ₕ†껥붖뻤颼볯ₖ†껥붖뻤颼볯㲗牢ਾ㱄畳⁢浸湬㩳灪∽瑨灴⼺眯睷樮潰朮⹯灪㸢楯㰠猯扵‾†††††㠲㐮†††††㔳㌮††††㌠⸳‰††††〴〮㰠牢ਾ㱙畳⁢浸湬㩳灪∽瑨灴⼺眯睷樮潰朮⹯灪㸢扯㱪猯扵‾†††††ㄠㄮ†††††ㄠㄮ†††††⸱′††††〠㔮㰠牢ਾ⁙††††††㈠㠮′††††㈠㠮‶††††⸲〳††††㈠㈮″戼㹲䰊猼扵砠汭獮樺㵰栢瑴㩰⼯睷⹷灪⹯潧樮≰吾㱌猯扵‾†††††㈠⸴㤸††††㌠⸱㔶††††㤲㌮‴†††㌠⸹㜳㰠牢ਾ㱌畳⁢浸湬㩳灪∽瑨灴⼺眯睷樮潰朮⹯灪㸢⁌⼼畳㹢††††††㠱㤮‱††††㠲ㄮ‴†††㈠⸶㐲††††㌳㜮‵戼㹲圊㱄畳⁢浸湬㩳灪∽瑨灴⼺眯睷樮潰朮⹯灪㸢†⼼畳㹢††††††⸳㤴†††††⸳〶††††㌠㜮‰††††⸰㔶㰠牢ਾ䙂猼扵砠汭獮樺㵰栢瑴㩰⼯睷⹷灪⹯潧樮≰‾㰠猯扵‾†††††㔠㤮‸††††㌠㔮‱††††⸳〱††††㔠㘮″戼㹲上⁁††††††⸰㈴†††††⸰〴††††〠㐮‰††††⸰㐷㰠牢ਾ닎††††††㈭㔮‴††††㈭㔮‸†††ⴠ⸱㤹††††㐭ㄮ‸戼㹲昊†††††††⸵〶†††††⸶㤰††††㔠㘮‵††††⸲〸㰠牢ਾ蛏猼扵砠汭獮樺㵰栢瑴㩰⼯睷⹷灪⹯潧樮≰䜾漱⼼畳㹢†††††㘠㈮‷††††㐠㜮′††††⸴㈵††††㈠ㄮ‴戼㹲켊㲆畳⁢浸湬㩳灪∽瑨灴⼺眯睷樮潰朮⹯灪㸢㱳猯扵‾†††††㌠㜮‵††††㌠㤮′††††⸴㤲††††㔠㤮㰲牢ਾ㱄畳⁢浸湬㩳灪∽瑨灴⼺眯睷樮潰朮⹯灪㸢獯㰠猯扵‾†††††ㄱ㌮‵††††ㄱ㈮‸†††ㄠ⸱㘵††††㤠㤮‹戼㹲䐊猼扵砠汭獮樺㵰栢瑴㩰⼯睷⹷灪⹯潧樮≰䜾䜱㰲猯扵‾†††††⸰㈷†††††⸱㜰††††ㄠㄮ″††††⸰㘶㰠牢ਾ㱌畳⁢浸湬㩳灪∽瑨灴⼺眯睷樮潰朮⹯灪㸢ㅇ㰠猯扵‾†††††㘠㔮‱††††㜠ㄮ‷††††⸷㘳††††㤠〮′戼㹲䰊猼扵砠汭獮樺㵰栢瑴㩰⼯睷⹷灪⹯潧樮≰䜾㰲猯扵‾††††���ㄠ⸱㠶††††ㄠ⸹〹††††㜱㜮‵†††㈠⸴㜰㰠牢ਾ剃㱁畳⁢浸湬㩳灪∽瑨灴⼺眯睷樮潰朮⹯灪㸢扯㱪猯扵⠾䅍⥘††〠㔮‷††††㌠㐮′††††⸴〴††††〠㔮‶戼㹲䌊䅒猼扵砠汭獮樺㵰栢瑴㩰⼯睷⹷灪⹯潧樮≰漾橢⼼畳㹢䴨义 ††⸰〰†††††⸰〰††††〠〮‰††††⸰〰㰠牢ਾ剃㱁畳⁢浸湬㩳灪∽瑨灴⼺眯睷樮潰朮⹯灪㸢浩㱧猯扵‾††††㤠㤮‶††††〱ㄮ′†††ㄠ⸰㠳††††〱㤮‸戼㹲䐊猼扵砠汭獮樺㵰栢瑴㩰⼯睷⹷灪⹯潧樮≰派硡⼼畳㹢††††††⸲㠷†††††⸴㐳††††㌠㐮‵††††⸳ㄵ㰠牢ਾ㱄畳⁢浸湬㩳灪∽瑨灴⼺眯睷樮潰朮⹯灪㸢ㅇ慭㱸猯扵‾†††††⸰㔳†††††⸰㔰††††〠〮‵††††⸰㠱㰠牢ਾ뷎㱤畳⁢浸湬㩳灪∽瑨灴⼺眯睷樮潰朮⹯灪㸢慭⁸⼼畳㹢††††㠠⸱㐵††††㠠⸱ㄶ††††ㄸ㘮‱†††㠠⸱ㄶ㰠牢ਾ뷎㱤畳⁢浸湬㩳灪∽瑨灴⼺眯睷樮潰朮⹯灪㸢業⁮⼼畳㹢††††㌠⸰〳††††㈠⸳㠸††††㌲㠮‸†††㈠⸳㠸㰠牢ਾ㱎畳⁢浸湬㩳灪∽瑨灴⼺眯睷樮潰朮⹯灪㸢ㅇ⼼畳㹢††††††㐠〮‰††††㔠〮‰††††⸵〰††††㔠〮‰戼㹲上猼扵砠汭獮樺㵰栢瑴㩰⼯睷⹷灪⹯潧樮≰䜾㰲猯扵‾††††††⸶〰†††††⸶〰††††㘠〮‰††††⸶〰㰠牢ਾ㱦畳⁢浸湬㩳灪∽瑨灴⼺眯睷樮潰朮⹯灪㸢ㅇ⼼畳㹢††††††㐠㠮‴††††㔠ㄮ″††††⸵㠶††††㌠㜮′戼㹲昊猼扵砠汭獮樺㵰栢瑴㩰⼯睷⹷灪⹯潧樮≰䜾㰲猯扵‾††††††⸶ㄷ†††††⸸㤶††††㜠㔮‷††††⸴㘸㰠牢ਾ㱦畳⁢浸湬㩳灪∽瑨灴⼺眯睷樮潰朮⹯灪㸢ㅇ㱯猯扵‾†††††㔠㜮‶††††㈭⸰㜶††††㤭㐮‹†††㈭⸳〵㰠牢ਾ㱦畳⁢浸湬㩳灪∽瑨灴⼺眯睷樮潰朮⹯灪㸢㉇㱩猯扵‾†††††㔭㘮‷††††ㄭ⸸〳†††ⴠ㘱〮‴†††ㄭ⸲〲㰠牢ਾ㱦畳⁢浸湬㩳灪∽瑨灴⼺眯睷樮潰朮⹯灪㸢ㅌ⼼畳㹢††††††㔠㜮‶††††㈭⸰㜶†††ⴠ⸹㤴†††ⴠ㌲㔮‰戼㹲昊猼扵砠汭獮樺㵰栢瑴㩰⼯睷⹷灪⹯潧樮≰䰾㰲猯扵‾†††††㈭⸸㌹†††††⸷㐷††††㜠㔮″††††⸶㜶㰠牢ਾ㱦畳⁢浸湬㩳灪∽瑨灴⼺眯睷樮潰朮⹯灪㸢㍌⼼畳㹢††††††㔠㜮‸††††㘠㘮‴††††⸵㔴††††㔠㜮‴戼㹲昊猼扵砠汭獮樺㵰栢瑴㩰⼯睷⹷灪⹯潧樮≰䰾㰴猯扵‾†††††ⴠ⸴㌳†††††⸵㈴††††㘠㐮‵††††⸷㠷㰠牢ਾ㱦畳⁢浸湬㩳灪∽瑨灴⼺眯睷樮潰朮⹯灪㸢㕌⼼畳㹢††††††㐠㌮‴††††㌭ㄮ‰†††ⴠ⸳〵††††㐭〮″戼㹲昊猼扵砠汭獮樺㵰栢瑴㩰⼯睷⹷灪⹯潧樮≰䰾㰶猯扵‾†††††ⴠ⸵〸††††ⴠ⸳㐳††††㌭㜮′†††ⴠ⸵㠸㰠牢ਾ㱦畳⁢浸湬㩳灪∽瑨灴⼺眯睷樮潰朮⹯灪㸢㝌⼼畳㹢†††††ⴠ㤳〮″††††㐠㜮‰††††⸵〲††††㘠ㄮ‱戼㹲昊猼扵砠汭獮樺㵰栢瑴㩰⼯睷⹷灪⹯潧樮≰䰾㰸猯扵‾†††††㌱⸰㜷†††††⸷ㄳ††††㘠㤮‶††††⸸㈲㰠牢ਾ㱦畳⁢浸湬㩳灪∽瑨灴⼺眯睷樮潰朮⹯灪㸢㥌⼼畳㹢††††††㐠㠮‰††††㐭㈮‰†††ⴠ⸴ㄶ†††ⴠ〲㤮′戼㹲昊猼扵砠汭獮樺㵰栢瑴㩰⼯睷⹷灪⹯潧樮≰䰾〱⼼畳㹢†††††ⴠ⸵㜶†††††⸸〰††††㜠㔮‷††††㔲㈮‶戼㹲昊猼扵砠汭獮樺㵰栢瑴㩰⼯睷⹷灪⹯潧樮≰䰾ㄱ⼼畳㹢††††††ⴠ†††††ㄭ⸸〳†††ⴠ㘱〮‴†††ⴠ㈱㈮‰戼㹲 戼㹲 †††††껥붖뻤颼볯ₘ†껥붖뻤颼볯ₙ†���붖뻤馼볯ₐ†껥붖뻤馼볯㲑牢ਾ㱄畳⁢浸湬㩳灪∽瑨灴⼺眯睷樮潰朮⹯灪㸢楯㰠猯扵‾†††††ㄳ㔮†††††㌵〮††††㔠⸹‰††††㜵〮㰠牢ਾ㱙畳⁢浸湬㩳灪∽瑨灴⼺眯睷樮潰朮⹯灪㸢扯㱪猯扵‾†††††〠㔮†††††〠㌮†††††⸱‴††††ㄠㄮ㰠牢ਾ㱙畳⁢浸湬㩳灪∽瑨灴⼺眯睷樮潰朮⹯灪㸢†⼼畳㹢††††††㈠㌮‰††††㈠㌮‰††††⸲㈸††††㈠㈮‵戼㹲䰊猼扵砠汭獮樺㵰栢瑴㩰⼯睷⹷灪⹯潧樮≰吾㱌猯扵‾†††††㌠⸰㌸††††㔠⸲㌸††††㔵〮‱†††㔠⸳㄰㰠牢ਾ㱌畳⁢浸湬㩳灪∽瑨灴⼺眯睷樮潰朮⹯灪㸢⁌⼼畳㹢††††††㘲㤮‹††††㜳㌮‸†††㔠⸰㐰††††㠴㌮‵戼㹲圊㱄畳⁢浸湬㩳灪∽瑨灴⼺眯睷樮潰朮⹯灪㸢†⼼畳㹢††††††⸰㘶†††††⸰ㄲ††††㐠〮‰††††⸴〰㰠牢ਾ䙂猼扵砠汭獮樺㵰栢瑴㩰⼯睷⹷灪⹯潧樮≰‾㰠猯扵‾†††††㌠㠮‴††††㔱㐮‵††††⸴㜹††††㐠㘮‶戼㹲上⁁††††††⸰㔷†††††⸰㔹††††〠㌮‹††††⸰ㄴ㰠牢ਾ닎††††††㐭ㄮ‸††††㠭㌮‷†††ⴠ⸲㐰††††㈭〮‴戼㹲昊†††††††⸱㤹†††††⸲㈶††††〱ㄮ‵††††⸹㘹㰠牢ਾ蛏猼扵砠汭獮樺㵰栢瑴㩰⼯睷⹷灪⹯潧樮≰䜾漱⼼畳㹢†††††㈠ㄮ‱††††ㄠ㔮‱††††⸵㜵††††㔠㌮‷戼㹲켊㲆畳⁢浸湬㩳灪∽瑨灴⼺眯睷樮潰朮⹯灪㸢㱳猯扵‾†††††㔠㐮‶††††㠠㘮‱††††⸷〰††††㜠〮㰵牢ਾ㱄畳⁢浸湬㩳灪∽瑨灴⼺眯睷樮潰朮⹯灪㸢獯⼼畳㹢††††††㠠㘮′††††ㄱ㈮‷†††㈠⸷〳††††㔲㈮″戼㹲䐊猼扵砠汭獮樺㵰栢瑴㩰⼯睷⹷灪⹯潧樮≰䜾䜱′⼼畳㹢†††††〠ㄮ‶††††〠㐮‹††††⸲㠲††††㈠ㄮ′戼㹲䰊猼扵砠汭獮樺㵰栢瑴㩰⼯睷⹷灪⹯潧樮≰䜾㰱猯扵‾††††††⸷〸††††ㄠ⸰㔹††††ㄲㄮ′†††ㄠ⸹ㄲ㰠牢ਾ㱌畳⁢浸湬㩳灪∽瑨灴⼺眯睷樮潰朮⹯灪㸢㉇⼼畳㹢††††††㤱〮″††††㔲㤮‴†††㈠⸶㐶††††㜲〮′戼㹲䌊䅒猼扵砠汭獮樺㵰栢瑴㩰⼯睷⹷灪⹯潧樮≰漾橢⼼畳㹢䴨塁 ††⸱㌳†††††⸰〰††††㈠㈮‹††††⸰㠸㰠牢ਾ剃㱁畳⁢浸湬㩳灪∽瑨灴⼺眯睷樮潰朮⹯灪㸢扯㱪猯扵⠾䥍⥎††〠〮‰††††ㄭ〮‴††††⸰〰††††〠〮‰戼㹲䌊䅒猼扵砠汭獮樺㵰栢瑴㩰⼯睷⹷灪⹯潧樮≰椾杭⼼畳㹢††††ㄠ⸵㘸†††††⸶ㄱ††††㔠㘮′††††⸵ㄶ㰠牢ਾ㱄畳⁢浸湬㩳灪∽瑨灴⼺眯睷樮潰朮⹯灪㸢慭⁸⼼畳㹢†††††㌠㔮‴††††㌠㜮‵††††⸴㌲††††㐠ㄮ‴戼㹲䐊猼扵砠汭獮樺㵰栢瑴㩰⼯睷⹷灪⹯潧樮≰䜾洱硡㰠猯扵‾††††〠〮‵††††〠〮‵††††⸲㔸††††㌠㐮‶戼㹲츊撽猼扵砠汭獮樺㵰栢瑴㩰⼯睷⹷灪⹯潧樮≰派硡⼼畳㹢††††㠠⸱ㄶ††††㠠⸱ㄶ††††㐹㤮″†††㤠⸴㌹㰠牢ਾ뷎㱤畳⁢浸湬㩳灪∽瑨灴⼺眯睷樮潰朮⹯灪㸢業㱮猯扵‾††††㌲㠮‸††††㌲㠮‸†††㈠⸳㠷††††㌲㜮‸戼㹲上猼扵砠汭獮樺㵰栢瑴㩰⼯睷⹷灪⹯潧樮≰䜾‱⼼畳㹢††††††⸵〰†††††⸵〰††††㘠〮‰††††⸶〰㰠牢ਾ㱎畳⁢浸湬㩳灪∽瑨灴⼺眯睷樮潰朮⹯灪㸢㉇㰠猯扵‾†††††㘠〮‰††††㜠〮‰††††⸷〰††††㜠〮‰戼㹲昊猼扵砠汭獮樺㵰栢瑴㩰⼯睷⹷灪⹯潧樮≰䜾‱⼼畳㹢††††††⸳㔴†††††⸳㤴††††㤠ㄮ‹††††⸸���㰠牢ਾ㱦畳⁢浸湬㩳灪∽瑨灴⼺眯睷樮潰朮⹯灪㸢㉇㰠猯扵‾†††††㐠〮′††††㘠ㄮ′†††ㄠ⸴㤳††††ㄱ㤮″戼㹲昊猼扵砠汭獮樺㵰栢瑴㩰⼯睷⹷灪⹯潧樮≰䜾漱⼼畳㹢†††††ㄭ⸶㜹†††ⴠ㠱⸸ㄴ††††㔭㌮‵†††ⴠ⸵㜹㰠牢ਾ㱦畳⁢浸湬㩳灪∽瑨灴⼺眯睷樮潰朮⹯灪㸢㉇㱩猯扵‾†††††㠭㜮‹†††ⴠ㌱ㄮ‸†††ㄠ⸰㠹††††㜱〮‶戼㹲昊猼扵砠汭獮樺㵰栢瑴㩰⼯睷⹷灪⹯潧樮≰䰾㰱猯扵‾†††††ㄭ⸶㜹†††ⴠ㠱⸸ㄴ††††㔭㌮‵†††ⴠ⸵㜹㰠牢ਾ㱦畳⁢浸湬㩳灪∽瑨灴⼺眯睷樮潰朮⹯灪㸢㉌⼼畳㹢††††††㘠㐮‴††††㜠㜮‵††††⸷㈵††††㜠㐮‵戼㹲昊猼扵砠汭獮樺㵰栢瑴㩰⼯睷⹷灪⹯潧樮≰䰾㰳猯扵‾††††††⸵㘲†††††⸶ㄱ††††㔱ㄮ‴†††ㄠ⸴ㄶ㰠牢ਾ㱦畳⁢浸湬㩳灪∽瑨灴⼺眯睷樮潰朮⹯灪㸢㑌⼼畳㹢††††††㘠㠮″††††㤠㠮‹†††ㄠ⸶㜱††††㈱㘮″戼㹲昊猼扵砠汭獮樺㵰栢瑴㩰⼯睷⹷灪⹯潧樮≰䰾㰵猯扵‾†††††ⴠ⸴㠱††††ⴠ⸶㘱††††㈲㔮‸†††㘠⸵㌸㰠牢ਾ㱦畳⁢浸湬㩳灪∽瑨灴⼺眯睷樮潰朮⹯灪㸢㙌㰠猯扵‾†††††㔭㤮″††††㠭〮″†††ⴠ⸶㠰††††㘭㌮‶戼㹲昊猼扵砠汭獮樺㵰栢瑴㩰⼯睷⹷灪⹯潧樮≰䰾㰷猯扵‾††††††⸵㘰†††††⸹㤸††††㠭㘮‶†††ⴠ⸹〷㰠牢ਾ㱦畳⁢浸湬㩳灪∽瑨灴⼺眯睷樮潰朮⹯灪㸢㡌⼼畳㹢††††††㜠㜮″††††㈱㈮‵††††⸸㔰††††㜠㤮‵戼㹲昊猼扵砠汭獮樺㵰栢瑴㩰⼯睷⹷灪⹯潧樮≰䰾㰹猯扵‾†††††ㄭ⸰㐰††††ㄠ⸶㈳††††㤠㐮′††††⸹ㄴ㰠牢ਾ㱦畳⁢浸湬㩳灪∽瑨灴⼺眯睷樮潰朮⹯灪㸢ㅌ㰰猯扵‾†††††㈱㘮‴†††ⴠ㌱㔮‱†††ⴠ⸵〵††††㔭㈮‹戼㹲昊猼扵砠汭獮樺㵰栢瑴㩰⼯睷⹷灪⹯潧樮≰䰾ㄱ⼼畳㹢†††††ⴠ⸸㤷††††㈠⸰〳††††㤠〮‶††††⸸〰㰠牢ਾ㱦畳⁢浸湬㩳灪∽瑨灴⼺眯睷樮潰朮⹯灪㸢ㅌ㰲猯扵‾††††††‭††††ⴠ㌱ㄮ‸†††ⴠ⸷㌹††††㤭ㄮ‷戼㹲昊猼扵砠汭獮樺㵰栢瑴㩰⼯睷⹷灪⹯潧樮≰䰾㌱⼼畳㹢††††††ⴠ††††††ⴠ†††††〱㤮‸†††ㄠ⸷㘰㰠牢ਾ㰠牢ਾ†††††龮雦设볯銼†龮雦设볯鎼†龮雦设볯钼†龮雦设볯閼戼㹲䐊猼扵砠汭獮樺㵰栢瑴㩰⼯睷⹷灪⹯潧樮≰漾⁩⼼畳㹢†††††㠠⸱‰††††㔠⸷‰††††ㄸ〮††††㐠⸲‰戼㹲夊猼扵砠汭獮樺㵰栢瑴㩰⼯睷⹷灪⹯潧樮≰漾橢⼼畳㹢††††††⸰‵†††††⸱‱††††〠㔮†††††⸱‹戼㹲夊†††††††⸲㔲†††††⸲㔲††††㈠㈮‵††††⸳㜸㰠牢ਾ㱌畳⁢浸湬㩳灪∽瑨灴⼺眯睷樮潰朮⹯灪㸢䱔⼼畳㹢††††††〸〮‱††††㌵〮‰†††㠠⸰㄰††††㤳㤮‹戼㹲䰊猼扵砠汭獮樺㵰栢瑴㩰⼯睷⹷灪⹯潧樮≰䰾㰠猯扵‾†††††㜠⸵㔳††††㐠⸸㔳††††㐷㠮‹†††㌠⸸㤲㰠牢ਾ䑗猼扵砠汭獮樺㵰栢瑴㩰⼯睷⹷灪⹯潧樮≰‾⼼畳㹢††††††⸱〰†††††⸴〰††††ㄠ〮‰††††⸲㄰㰠牢ਾ䙂††††††㐠㘮‶††††㐠㘮‵††††⸵㌱††††ㄠ㜮‰戼㹲上⁁††††††⸰㐷†††††⸰〴††††〠㘮‹††††⸰㈳㰠牢ਾ닎††††††㐭〮‹††††㈭〮‴†††ⴠ⸴㤰††††㈭〮‰戼㹲昊†††††††⸶㤲†††††⸹㌸††††㘠㠮‴††††⸳㔷㰠牢ਾ蛏猼扵砠汭獮樺㵰栢瑴���⼯睷⹷灪⹯潧樮≰䜾漱⼼畳㹢†††††㌠〮‸††††㔠㈮‴††††⸲〹††††㐠㤮‱戼㹲켊㲆畳⁢浸湬㩳灪∽瑨灴⼺眯睷樮潰朮⹯灪㸢㱳猯扵‾†††††㠠㤮‷††††㘠㤮‱††††⸸㌱††††㔠㔮㰸牢ਾ㱄畳⁢浸湬㩳灪∽瑨灴⼺眯睷樮潰朮⹯灪㸢獯⼼畳㹢††††††㔲㜮‶††††㔲㌮‱†††㈠⸵㜴††††㌱㤮′戼㹲䐊猼扵砠汭獮樺㵰栢瑴㩰⼯睷⹷灪⹯潧樮≰䜾䜱′⼼畳㹢†††††㈠㤮‰††††㈠〮‷††††⸳㤵††††ㄠㄮ‶戼㹲䰊猼扵砠汭獮樺㵰栢瑴㩰⼯睷⹷灪⹯潧樮≰䜾㰱猯扵‾†††††㈠⸱㘹††††ㄠ⸹㐳††††ㄲ㠮‴†††ㄠ⸱ㄸ㰠牢ਾ㱌畳⁢浸湬㩳灪∽瑨灴⼺眯睷樮潰朮⹯灪㸢㉇⼼畳㹢††††††〵㐮‹††††㘲㤮‴†††㐠⸹㔴††††㔲㌮′戼㹲䌊䅒猼扵砠汭獮樺㵰栢瑴㩰⼯睷⹷灪⹯潧樮≰漾橢⼼畳㹢䴨塁 ††⸰〰†††††⸰㤹††††〠〮‰††††⸱ㄲ㰠牢ਾ剃㱁畳⁢浸湬㩳灪∽瑨灴⼺眯睷樮潰朮⹯灪㸢扯㱪猯扵⠾䥍⥎††ㄭㄮ‶††††〠〮‰†††ⴠ⸲ㄳ††††〠〮‰戼㹲䌊䅒猼扵砠汭獮樺㵰栢瑴㩰⼯睷⹷灪⹯潧樮≰椾杭⼼畳㹢†††††⸵ㄶ†††††⸵ㄶ††††㔠㔮‸†††㈠⸳㈸㰠牢ਾ㱄畳⁢浸湬㩳灪∽瑨灴⼺眯睷樮潰朮⹯灪㸢慭㱸猯扵‾†††††㜱㐮‵††††㐠ㄮ″†††ㄠ⸸㠹††††㐠㜮″戼㹲䐊ㅇ猼扵砠汭獮樺㵰栢瑴㩰⼯睷⹷灪⹯潧樮≰派硡⼼畳㹢†††††⸰〱†††††⸳㤷††††㌠㘮‸††††⸲ㄸ㰠牢ਾ뷎㱤畳⁢浸湬㩳灪∽瑨灴⼺眯睷樮潰朮⹯灪㸢慭㱸猯扵‾††††ㄸ㘮‱††††㐹㤮‵†††㠠⸱ㄶ††††ㄸ㘮‱戼㹲츊撽猼扵砠汭獮樺㵰栢瑴㩰⼯睷⹷灪⹯潧樮≰派湩⼼畳㹢††††㈠⸳㠷††††㈠⸳㠷††††㌲㜮‸†††㈠⸳㜷㰠牢ਾ㱎畳⁢浸湬㩳灪∽瑨灴⼺眯睷樮潰朮⹯灪㸢ㅇ⼼畳㹢††††††⸶〰†††††㘠〮‰††††⸵〰††††㜠〮‰戼㹲上猼扵砠汭獮樺㵰栢瑴㩰⼯睷⹷灪⹯潧樮≰䜾㰲猯扵‾†††††㘠〮‰†††††⸷〰††††㘠〮‰††††⸷〰㰠牢ਾ㱦畳⁢浸湬㩳灪∽瑨灴⼺眯睷樮潰朮⹯灪㸢ㅇ⼼畳㹢††††††⸵〸†††††㠠㤮″††††⸵㠵††††㠠㘮‴戼㹲昊猼扵砠汭獮樺㵰栢瑴㩰⼯睷⹷灪⹯潧樮≰䜾㰲猯扵‾†††††㔱㜮‶††††ㄠ⸱㜶††††㠱㔮‴††††⸵㔳㰠牢ਾ㱦畳⁢浸湬㩳灪∽瑨灴⼺眯睷樮潰朮⹯灪㸢ㅇ㱯猯扵‾††††ⴠ㈱㘮″††††㘭〮‶††††㌱㜮‶†††㈠⸸㘹㰠牢ਾ㱦畳⁢浸湬㩳灪∽瑨灴⼺眯睷樮潰朮⹯灪㸢㉇㱩猯扵‾††††ⴠ㐶㈮‵††††㘱㌮‱†††ⴠ㌵㤮′†††ㄭ⸰㜷㰠牢ਾ㱦畳⁢浸湬㩳灪∽瑨灴⼺眯睷樮潰朮⹯灪㸢ㅌ⼼畳㹢†††††ⴠ㈱㘮″††††㘭〮‶††††㌱㜮‶†††㈠⸸㘹㰠牢ਾ㱦畳⁢浸湬㩳灪∽瑨灴⼺眯睷樮潰朮⹯灪㸢㉌⼼畳㹢††††††㠠㤮‸††††㜠㔮″††††㔲ㄮ‱††††⸷ㄹ㰠牢ਾ㱦畳⁢浸湬㩳灪∽瑨灴⼺眯睷樮潰朮⹯灪㸢㍌⼼畳㹢††††††ㄳ㠮‷††††㐱㠮‵††††㤲ㄮ‸††††⸶㘶㰠牢ਾ㱦畳⁢浸湬㩳灪∽瑨灴⼺眯睷樮潰朮⹯灪㸢㑌⼼畳㹢††††††〳㠮‱††††㌱〮‱††††㠠㘮‸†††ㄭ⸰㠴㰠牢ਾ㱦畳⁢浸湬㩳灪∽瑨灴⼺眯睷樮潰朮⹯灪㸢㕌⼼畳㹢††††††㤠㈮‹††††㘶㘮‵††††㔭㠮‴†††ⴠ⸷㐷㰠牢ਾ㱦畳⁢浸湬㩳灪∽瑨灴⼺眯睷樮潰朮⹯灪㸢㙌⼼畳㹢††††††㘭ㄮ‰††††㘭㌮‸††††㜭㜮‱††††⸹㤰㰠牢ਾ㱦畳⁢浸湬㩳灪∽瑨���⼺眯睷樮潰朮⹯灪㸢㝌⼼畳㹢†††††ⴠ〱㈮″†††ⴠ〱㠮‴††††㤠㤮‱†††ㄠ⸱㈸㰠牢ਾ㱦畳⁢浸湬㩳灪∽瑨灴⼺眯睷樮潰朮⹯灪㸢㡌⼼畳㹢††††††㈱ㄮ‷††††㠠㌮‸††††㐲㐮‶†††㘭⸱〱㰠牢ਾ㱦畳⁢浸湬㩳灪∽瑨灴⼺眯睷樮潰朮⹯灪㸢㥌㰠猯扵‾†††††㤱㜮‹††††㤠㌮‷††††㈭⸷㤰†††ㄠ⸳㜲㰠牢ਾ㱦畳⁢浸湬㩳灪∽瑨灴⼺眯睷樮潰朮⹯灪㸢ㅌ㰰猯扵‾††††ⴠ㔳㤮‱††††㔭ㄮ‹††††㈠⸰㘱†††ⴠ⸹㜵㰠牢ਾ㱦畳⁢浸湬㩳灪∽瑨灴⼺眯睷樮潰朮⹯灪㸢ㅌ㰱猯扵‾†††††㐲㔮‴††††㠠ㄮ‶††††㔭⸳㈹†††ㄭ⸰㜷㰠牢ਾ㱦畳⁢浸湬㩳灪∽瑨灴⼺眯睷樮潰朮⹯灪㸢ㅌ㰲猯扵‾††††ⴠ㐶㈮‵††††㤭ㄮ‱†††††‭†††††ⴠ戼㹲昊猼扵砠汭獮樺㵰栢瑴㩰⼯睷⹷灪⹯潧樮≰䰾㌱⼼畳㹢††††††ⴠ†††††ㄠ⸶ㄳ†††††ⴠ††††††㰭牢ਾ㰠牢ਾ†††††龮雦设볯隼戼㹲䐊猼扵砠汭獮樺㵰栢瑴㩰⼯睷⹷灪⹯潧樮≰漾⁩⼼畳㹢†††††㐠⸲‰戼㹲夊猼扵砠汭獮樺㵰栢瑴㩰⼯睷⹷灪⹯潧樮≰漾橢⼼畳㹢††††††⸱‹戼㹲夊†††††††⸳㜸㰠牢ਾ㱌畳⁢浸湬㩳灪∽瑨灴⼺眯睷樮潰朮⹯灪㸢䱔㰠猯扵‾†††††〴〮‰戼㹲䰊猼扵砠汭獮樺㵰栢瑴㩰⼯睷⹷灪⹯潧樮≰䰾†⼼畳㹢†††††㌠⸸〳㰠牢ਾ䑗猼扵砠汭獮樺㵰栢瑴㩰⼯睷⹷灪⹯潧樮≰‾㰠猯扵‾†††††㈠〮‰戼㹲䈊⁆††††††⸱〷㰠牢ਾ䅎††††††〠㌮′戼㹲츊₲†††††ⴠ⸲〰㰠牢ਾ⁦††††††㌠㜮‱戼㹲켊㲆畳⁢浸湬㩳灪∽瑨灴⼺眯睷樮潰朮⹯灪㸢ㅇ㱯猯扵‾†††††⸴㠸㰠牢ਾ蛏猼扵砠汭獮樺㵰栢瑴㩰⼯睷⹷灪⹯潧樮≰猾㰠猯扵‾†††††㔠㜮‶戼㹲䐊猼扵砠汭獮樺㵰栢瑴㩰⼯睷⹷灪⹯潧樮≰漾㱳猯扵‾†††††ㄠ⸴㠹㰠牢ਾ㱄畳⁢浸湬㩳灪∽瑨灴⼺眯睷樮潰朮⹯灪㸢ㅇ㉇㰠猯扵‾†††††⸱㜱㰠牢ਾ㱌畳⁢浸湬㩳灪∽瑨灴⼺眯睷樮潰朮⹯灪㸢ㅇ⼼畳㹢††††††㈱㠮‸戼㹲䰊猼扵砠汭獮樺㵰栢瑴㩰⼯睷⹷灪⹯潧樮≰䜾㰲猯扵‾†††††㈠⸴㔲㰠牢ਾ剃㱁畳⁢浸湬㩳灪∽瑨灴⼺眯睷樮潰朮⹯灪㸢扯㱪猯扵⠾䅍⥘††ㄠ㈮″戼㹲䌊䅒猼扵砠汭獮樺㵰栢瑴㩰⼯睷⹷灪⹯潧樮≰漾橢⼼畳㹢䴨义 ††⸰〰㰠牢ਾ剃㱁畳⁢浸湬㩳灪∽瑨灴⼺眯睷樮潰朮⹯灪㸢浩㱧猯扵‾††††㌲㈮‹戼㹲䐊猼扵砠汭獮樺㵰栢瑴㩰⼯睷⹷灪⹯潧樮≰派硡⼼畳㹢††††††⸴㈲㰠牢ਾ㱄畳⁢浸湬㩳灪∽瑨灴⼺眯睷樮潰朮⹯灪㸢ㅇ慭㱸猯扵‾†††††⸲〰㰠牢ਾ뷎㱤畳⁢浸湬㩳灪∽瑨灴⼺眯睷樮潰朮⹯灪㸢慭⁸⼼畳㹢††††㠠⸱ㄶ㰠牢ਾ뷎㱤畳⁢浸湬㩳灪∽瑨灴⼺眯睷樮潰朮⹯灪㸢業⁮⼼畳㹢††††㈠⸳㜷㰠牢ਾ㱎畳⁢浸湬㩳灪∽瑨灴⼺眯睷樮潰朮⹯灪㸢ㅇ⼼畳㹢††††††㠠〮‰戼㹲上猼扵砠汭獮樺㵰栢瑴㩰⼯睷⹷灪⹯潧樮≰䜾㰲猯扵‾††††††⸷〰㰠牢ਾ㱦畳⁢浸湬㩳灪∽瑨灴⼺眯睷樮潰朮⹯灪㸢ㅇ⼼畳㹢††††††㠠㜮‷戼㹲昊猼扵砠汭獮樺㵰栢瑴㩰⼯睷⹷灪⹯潧樮≰䜾㰲猯扵‾††††††⸵㔸㰠牢ਾ㱦畳⁢浸湬㩳灪∽瑨灴⼺眯睷樮潰朮⹯灪㸢ㅇ㱯猯扵‾†††††㐠⸲㠷㰠牢ਾ㱦畳⁢浸湬㩳灪∽瑨灴⼺眯睷樮潰朮⹯灪㸢㉇㱩猯扵‾†††††ㄭ⸱㘴㰠牢ਾ㱦畳⁢浸湬㩳灪∽瑨灴⼺眯睷樮潰朮⹯灪㸢ㅌ⼼畳㹢††††††㈴㜮‸戼㹲昊猼扵砠汭獮樺㵰栢瑴㩰⼯睷⹷灪⹯潧樮≰䰾㰲猯扵‾††††††⸸㤷㰠牢ਾ㱦畳⁢浸湬㩳灪∽瑨灴⼺眯���樮潰朮⹯灪㸢㍌⼼畳㹢††††††㠳ㄮ‱戼㹲昊猼扵砠汭獮樺㵰栢瑴㩰⼯睷⹷灪⹯潧樮≰䰾㰴猯扵‾††††††⸷㤰㰠牢ਾ㱦畳⁢浸湬㩳灪∽瑨灴⼺眯睷樮潰朮⹯灪㸢㕌⼼畳㹢†††††ⴠ㌱㜮‷戼㹲昊猼扵砠汭獮樺㵰栢瑴㩰⼯睷⹷灪⹯潧樮≰䰾㰶猯扵‾†††††ⴠ⸸㠱㰠牢ਾ㱦畳⁢浸湬㩳灪∽瑨灴⼺眯睷樮潰朮⹯灪㸢㝌⼼畳㹢††††††㤠㜮″戼㹲昊猼扵砠汭獮樺㵰栢瑴㩰⼯睷⹷灪⹯潧樮≰䰾㰸猯扵‾†††††ㄠ⸱㈹㰠牢ਾ㱦畳⁢浸湬㩳灪∽瑨灴⼺眯睷樮潰朮⹯灪㸢㥌⼼畳㹢†††††ⴠㄶ㈮‷戼㹲昊猼扵砠汭獮樺㵰栢瑴㩰⼯睷⹷灪⹯潧樮≰䰾〱⼼畳㹢†††††ㄠ⸳〱㰠牢ਾ㱦畳⁢浸湬㩳灪∽瑨灴⼺眯睷樮潰朮⹯灪㸢ㅌ㰱猯扵‾†††††㠭㜮‷戼㹲昊猼扵砠汭獮樺㵰栢瑴㩰⼯睷⹷灪⹯潧樮≰䰾㈱⼼畳㹢†††††ㄭ⸱㘴㰠䐯噉ਾ䐼噉㰾䥄㹖胣醼볯颼볯醀⼼䥄㹖 뎛볯邼볯꾁胣겜껥붖뷥讅臣覅귥龩駥ꞁ臣讂ꇩ꺾迩銂ꓧ馁鯥ꞁ臣讂胣閡뻥ꆏ볯꾁귦讫黥꺁ꇩ꺾迩ꞁ臣讂胣뎛볯邼볯ꮁꓧ馁苣蚁臣膀ꇩ꺾迩醼臣膀鳦鎽볯膀苣蚃菣뢂볯膀鋦较菩钼胣ꞅ飦ꚃ菣莃菣閼胣ꞅ뫦躃菣隼胣覅귥뮳볯膀鋦较듧邭볯銂若袁苣芀⼼䥄㹖㰊䥄㹖䐼噉邀볯邼볯颼胣㲑䐯噉ਾ†鳦鎽볯ꮁ臣膀苣蚃菣뢂볯膀鋦较菩钼迥뎁藧隺菣隃볯貁꣨醁苣貂臣蒁苣芀苣蚃菣뢂볯꺁룤ꮁ臣膀꣦겜臣覼뷧閁苣讂胣릂菣벃苣鎼臣覅믨릖郥뢁臣뮧该꾁胣ꞅ뫦躃菣隼臣袂臣ꚁꇨꪁ苣貂苣芀藧隺菣隃볯꺁鏦鲽볯麛믨覼臣袂臣ꚁ苣蚃菣뢂볯銂꟧開臣鮁胣鎁苣ꮁ苣誂胣馨鳦ꮁ꿥馁苣钃菣袃郥辂臣貁臣趁苣芀臣꺁臣膂臣膀鳦鎽볯ꢁ苣蚃菣뢂볯ꢁ臣鎖臣뮧该龩꟦袼룤뎛ꓧ覼臣궨臣覂苣ꚁ臣讂胣㲂䐯噉ਾ䐼噉㰾䥄㹖胣醼볯颼볯醀⼼䥄㹖 꺒菥ꢃ볯ꮁ臣膀藧躘菣讃菣袃볯貁꣨醁苣貂臣蒁苣芀鋦较菩钼臣ꞅ飦ꚃ菣莃菣閼臣膀苣蚃菣뢂볯꺁룤릖臣趽뷧鞁臣蒁苣芀藧躘菣讃菣袃볯ꮁ臣膀藧躘듧邭볯膽臣ꪼ룥뚊臣超뷧閁苣ꚁ臣讂胣ꞅ飦ꂴ귥閼뷯ꢁ臣ꚁ臣膀뻤袁臣膀볯ꖼ볯貁臣讂胣㲂䐯噉ਾ䐼噉㰾䥄㹖胣醼볯馼볯醀⼼䥄㹖 꺒菥ꢃ볯꺁蛥ꢃ臣꾁胣覅귥뮳볯ꢁ鋦较듧邭볯貁藩꺽臣貂臣蒁苣芀藥ꚭ돧鞼臣꾁胣设臣낁胣龮雦设볯꺁藥ꚭ돧貁铧蒁苣貂臣蒁苣芀藥ꚭ돧鞼臣膀꿥ꦉ菣뎃苣鞼뷯袼菣뎃苣ꚃ菣莃菣Ꞽ芁苣蒁臣견볯것菣몂뻧覼臣膀뗧较菣뎃苣鞼뷯袼菣뎃苣ꚃ菣莃菣Ꞽ芁苣蒁臣견볯것菣몂뻧覼臣膀苣覜臣讂胣뺯觧것菣몂볯膽臣袅ꯧ꾁胣ꞅ飦ꚃ菣莃菣閼臣궸ꓥꢃ臣趽뷧鞁臣蒁苣芀⼼䥄㹖㰊䥄㹖䐼噉邀볯邼볯醼胣㲑䐯噉ਾ†藧躘菣讃菣袃볯讁苣膀꣦겜臣ꞅ飦覅臣ꞅ냥閁苣讂胣鎁臣뒠郥膀藧躘臣붐냥ꞅ飦ꮁ臣讂胣馨鳦讁苣꺁迥蒰藥꾁胣覅귥뮳볯銂胩躁臣ꚁ鋦较듧邭볯ꮁ藥蒰臣讂胣꺒菥ꂴ귥颼臣꺒菥ꊝ臣���꾁胣馨鳦较볯覅귥较볯貁뷥邈臣貂苣芀꣦겜菥꾁鋦较듧邭볯ꮁ苣ꎁ臣覅鯩覤迦閁苣膀臣貂臣袂苣馨鳦꺁铧较臣鞾苣貂苣芀꣦겜臣뮔菥꾁ꇨ몤ꏨ꺽볯趸鯥몤볯ꮁꇨ몤臣貂苣芀臣꺁苣蚁臣鞁臣膀ꛨ龯胨꾁胣馨鳦꺁铧较苣뎦꿥ꞁ臣讂胣㲂䐯噉ਾ䐼噉㰾䥄㹖胣醼볯馼볯醀⼼䥄㹖 鎁臣ꞁ胣閡뻥ꆏ볯꾁胣覅귥뮳볯袼鳦龮雦ꊽ藦꺁藥ꚭ돧覼苣馂臣ꚁ臣讂胣鎁臣覅귥뮳볯꾁胣较臥꺁雩ꎏ闦貁ꓥ趁臣膀ꯨ躏럥貁觨붥臣鲣귦閁苣ꚁ臣讂胣鶁臣龁苣膀ꇩ꺾迩醼臣꾁胣뢫迥꺷臣꾉ꗥꮁꏨꎭ臣貂胣躘苣辁껩躘臣馨鳦较臣鞾苣貂苣芀⼼䥄㹖㰊䥄㹖䐼噉邀볯邼볯鎼胣㲑䐯噉ਾ†臣誁胣誸꣨꺁뻤ꞁ臣膀藥ꚭ돧銂鋦较菩ꮁ藩꺽臣龁臣膀臣貂臣邙苣貂臣蒁胣设臣낁胣貐蓧릂럨ꊛ臣鞼볯趽뷯꺁꿥ꦉ菣뎃苣袼菣뎃苣ꚃ菣莃菣Ꞽ芁苣蒁臣견볯것菣몂뻧覼臣꾁胣것菣몂苣鶿賦馁苣ꂞ菩邝臣膀鳦龮雦设臣覅귥뮳臣꺒菥ꂴ귥銂藩꺽臣趁苣芀臣꺁ꃥ袐胣ꊗ귥꺁꿥ꦉ菣뎃苣ꢁ郥颧臣膀鳦龮雦设臣覅귥뮳苣것菣ꮃ菣벃甼砠汭獮樺㵰栢瑴㩰⼯睷⹷灪⹯潧樮≰ꮁ⼼㹵迥誂믤醁苣鎁臣貁臣趁苣芀臣꺁苣蚁臣馁苣낁胣ꊗ귥뺯觧것菣몂볯것菣몂菣讃菣袃볯暧臣讂臣꾁곧銼菣뎃苣꒾볯ꢁ鳦龮雦ꊽ藦꺁藥ꚭ돧銂裥誂鯦袁臣뾽铧ꞁ臣讂胣ં⼼䥄㹖㰊䥄㹖䐼噉邀볯邼볯钼胣㲑䐯噉ਾ†臣龁胣誸꣨覅귥뮳苣ꢔ臣讂藥ꚭꧦꢙ臣鞁臣閡뻥ꆏ臣设苣ꢔ臣ꚁꫨ躘臣龁胣鞁臣鞁臣貁苣膀鳦몙飦꺁藥ꚭ돧꾁胣鎁苣ꮁ駩覂苣骁胣覅귥龩駥ꢁ臣ꚁ胣龁臣袁臣뮛귥꺒菥薣뷧袼郦꾸苣ꆃ菣ꢔ菣뎃苣ꚃ菣莃菣膀菣벃菣낼볯膀郦꾸菦놠ꯧꮜ볯뢁臩ꢔ臣趁苣芀⼼䥄㹖㰊䥄㹖䐼噉邀볯邼볯閼胣㲑䐯噉ਾ†臣誁胣꺒菥ꢃ볯꾁藥ꚭ돧鞼臣꺒菥ꂴ귥颼苣馂臣ꚁ臣讂臣ꞁ胣꺒菥ꢃ볯銂鋦较ꏨ꺽臣讦臣讂臣ꢁ臣ꞁ臣讂胣鎁臣뒠郥膀ꇩ꺾迩㲡⁵浸湬㩳灪∽瑨灴⼺眯睷樮潰朮⹯灪㸢볯㲑甯꾁胣꺒菥ꢃ볯膀苣蚃菣뢂볯誏臣ꞅ飦ꚃ菣莃菣閼볯ꞅ飦薣뷧覼苣馂臣ꚁ臣讂臣ꞁ胣꺒菥랂苣蚃菣ꢁ臣蚁臣ꢁ臣ꞁ臣讂胣ꪁ臣膀鯥醼볯钼臣꾁胣릂菣벃苣鎼臣膀藧隺ꧦ讧볯ꞅ뫦躃菣隼볯銂믤鞁臣겜뷤銼臣ꖎ뛧閁苣ꚁ臣讂臣膀꟧開ꧦ讧苣讻臣骁臣릂菣벃苣鎼苣겜뷤ꮁ鯧ꖎ迥誂믤醁臣节觨蒁胣鎁臣袂臣ꮁ臣讂臣ꢁ臣膀鳦鎽甼砠汭獮樺㵰栢瑴㩰⼯睷⹷灪⹯潧樮≰銼苣㲒甯讻臣ꚁ胣꺒菥ꢃ볯ꢁ苣蚃菣뢂볯ꢁ苣肸뷤隌臣讂臣ꢁ臣ꞁ臣讂胣ં⼼䥄㹖㰊䥄㹖䐼噉邀볯邼볯隼胣㲑䐯噉ਾ†鯥醼볯閼臣膀鳦龮雦ꊽ藦꺁藥ꚭꧦꢙ臣芁苣閡뻥ꆏ苣몤臣뎛臣芁苣芀ꇩ꺾迩醼볯꾁胣ꎭꯧ讞臣閡뻥ꆏ���芁苣芀ꇩ꺾迩醼볯뎛볯邼볯覼臣貐臣讧裦ꮁ臣蒁臣꾁郥颁闧랏苣颻臣膀ꫨ躘臣膜闧馁苣芀⼼䥄㹖㰊䥄㹖䐼噉邀볯邼볯鞼胣㲑䐯噉ਾ†鋦较菩钼臣薆菩ꮁ臣膀藥ꚭ돧醼볯ꢁ鋦较듧邭볯貁藩꺽臣貂臣蒁苣芀藥ꚭ돧醼볯ꮁ臣膀뻤袁臣膀껥붖뻤颼臣覅귥뮳臣ꢔ臣覂苣ꚁ臣讂胣覅귥뮳볯醼臣膀곧醼菣뎃苣꒾볯芁苣蒁臣것菣몂菣讃菣袃볯蚽볯醼볯膽臣견볯것菣몂뻧袼臣讂臣꾁菣뎃苣ꚃ菣莃菣Ꞽ뷯覼볯醼뷯ꢁ胣銂鳦馁苣芀⼼䥄㹖㰊䥄㹖䐼噉邀볯邼볯颼胣㲑䐯噉ਾ†ꇩ꺾迩醼臣꾁胣覅귥뮳볯뒁臣ꞅ飦ꚃ菣莃菣閼臣궨臣覂苣ꚁ臣龁胣鎁苣ꮁ꿥鞁臣膀ꇩ꺾迩醼볯ꞁ臣膀苣蚃菣뢂볯銂賦鎂臣覅귥뮳볯醼臣趏꿥뒁臣ꞅ飦ꚃ菣莃菣醼볯貁꣨醁苣貂臣蒁苣芀臣貂臣袂苣膀ꇩ꺾迩醼볯ꞁ臣辀臩ꞅ飦貁ꇨ袁苣芀藧躘菣讃菣袃볯銼臣膀藥邺菩醼볯ꢁ菣ꒂ菣겂苣覃菣ꆂ苣邃볯钼臣ꞁ꟦邈臣貂臣蒁苣芀⼼䥄㹖㰊䥄㹖䐼噉邀볯邼볯馼胣㲑䐯噉ਾ†藥邺菩醼볯꾁胣覅뫦ꢁ臣ꚁ胣设臣낁菣궃苣뎃菣뎃菣膀냦肊菣뎃菣膀苣뮂菣뎃菣뎃菣膀볯ꖼ볯膀菣벃苣銂若袁苣芀臣龁胣覅뫦ꢃ볯鎼臣것菣몂苣馂臣讂胣覅뫦讁苣몇냥鞁臣ꞅ飦覅臣膀菣뎃苣銂믤鞁臣ꦃ苣袃苣ꒂ菣閃苣ꒂ菣醼볯꺁藥蒰ꯧ醼볯ꮁ藥蒰臣讂胣ꦃ苣袃苣ꒂ菣閃苣ꒂ菣醼볯ꮁ藥蒰臣龁藧躘藥꾁胣ꦃ苣袃苣ꒂ菣閃苣ꒂ菣醼볯薆苣鶼臩鞁臣몇냥꾫볯隼臣覂蟥蒰臣讂胣㲂䐯噉ਾ䐼噉㰾䥄㹖胣醼볯邼볯醀⼼䥄㹖 ꦃ苣袃苣ꒂ菣閃苣ꒂ菣醼볯꺁蟥蒰ꯧ醼볯꾁胣鶿賦龩꟦袼룤뎛ꓧ覼臣袂臣ꚁ苣蚃菣뢂볯ꮁ軦骶臣貂臣蒁苣芀臣鎁臣膀菣ꒂ菣겂苣覃菣ꆂ苣邃볯钼臣몇냥꾫볯隼臣膀苣蚃菣뢂볯꺁룤ꊝ臣趽뷧鞁臣蒁苣芀苣ꎁ臣膀蟥蒰ꯧ醼볯讁苣몇냥鞁臣ꞅ飦覅臣膀苣蚃菣뢂볯꺁룤뒁臣覂藥ꚭ돧醼볯뒁臣醐臣ꎁ臣馨鳦ꮁ藧蒰臣貂苣芀臣꺁苣蚁臣鞁臣膀ꇩ꺾迩醼볯ꞁ臣辀臩ꞅ飦貁ꇨ辂苣讂胣㲂䐯噉ਾ䐼噉㰾䥄㹖胣醼볯邼볯醀⼼䥄㹖 ꪁ臣膀菣ꒂ菣겂苣覃菣ꆂ苣邃볯钼臣鶿賦꾁苣蚃菣뢂볯ꞁꇨꎁ臣蒁苣貁胣릂菣벃苣鎼믤隤臣讉껦ꞁ菣ꒂ菣겂苣覃菣ꆂ苣邃볯钼苣鶿賦鞁臣节觨蒁胣뺁臣膀菣ꒂ菣겂苣覃菣ꆂ苣邃볯钼臣몇냥꾫볯隼苣릂菣벃苣鎼臣誸鷩袼藥ꚭ돧鞼臥覼臣趽뷧閁臣ꚁ苣꾉臣芀臣꺁苣蚁臣馁苣鎁臣ꞁ胣閡뻥ꆏ볯ꢁ郥颧臣膀ꇩ꺾迩醼볯ꮁ臣蒁臣붐냥ꞅ飦銂ꇨ蚁臣ꢁ臣ꞁ臣讂胣㲂䐯噉ਾ䐼噉㰾䥄㹖胣醼볯邼볯醀⼼䥄㹖 馨鳦讁苣꺁胩躁藥꾁胣覅귥뮳볯醼苣骀臩鞁臣꺒菥ꂴ귥颼臣ꖅ냥馁苣芀鋦较듧邭볯꺁鋦较鷩ꮁ���膀꣦겜菥袼藥ꚭ菥覼臣ꊽ裦閁苣讂胣馨鳦较臣꺒菥ꂴ귥颼臣袂臣ꚁ藥뮛ꓥ鮏臣貂胣鎁苣ꮁ苣誂꣦겜臣뮔菥貁뻥覂苣讂胣馨鳦꺁铧较臣ꢡꓧ薣뷧袼룤뎛ꓧ覼臣ꢡꓧ閁苣讂胣鎁臣袂臣ꮁ臣ꚁ胣뎦꿥薀臣膀꣦겜臣뮔菥銂ꛨ龯臣趁苣芀⼼䥄㹖㰊䥄㹖䐼噉邀볯醼볯鎼胣㲑䐯噉ਾ†ꇩ꺾迩醼볯节胣覅귥뮳볯醼볯겜껥붖뷥讅臣覅귥뮳볯銂若袁臣蒁苣芀臣꺁藥ꚭ돧醼볯꾁胣ꢅ闩貁鿧蒁藥ꚭ돧ꞁ臣誂臣貁苣膀迥꺷臣꾉ꗥꮁꏨꎭ臣貂胣鶁苣ꮁ苣誂ꯩ蒁裥ꎧ菨銂鳦鞁臣蒁苣芀臣꺁臣膂胣閡뻥ꆏ볯邼臣꾁胣뢫迥꺷臣꾉ꗥꮁꏨꎭ臣貂胣꺾듧讧胩貁臣ꎁ臣誂臣龁꣦겜菥貁뻥覂苣讂胣ꪁ臣膀ꇩ꺾迩醼볯꾁部蒰藧躘臣芁臣ꚁ苣讧苣ꪁ臣芀臣龁胣閡뻥ꆏ볯邼苣讧裦馁苣蒐菩邝臣超뷧꾁胣ꦁ껥궨꣨覤鯦꾏菨ꞁ臣讂胣㲂䐯噉ਾ䐼噉㰾䥄㹖胣醼볯邼볯醀⼼䥄㹖 뎛볯邼볯꾁胣겜껥붖뷥讅臣覅귥龩駥ꞁ臣讂ꇩ꺾迩銂ꓧ馁鯥ꞁ臣讂胣閡뻥ꆏ볯邼臣膀胥讫黥꺁ꇩ꺾迩ꞁ臣讂胣閡뻥ꆏ볯邼臣膀鳦鎽볯醼胣릂菣벃苣銼볯膀鋦较菩钼胣覅귥뮳볯鎼胣꺒菥ꂴ귥颼胣ꞅ뫦躃菣銼볯膀胩躁藧躘藥邺볯閼胣趏냥龃菣벃볯隼胣뎂菣螃菣떂菣뎃苣銼볯銂若袁苣芀⼼䥄㹖㰊䥄㹖䐼噉邀볯醼볯閼胣㲑䐯噉ਾ†臣鎁臣膀鋦较菩钼臣薆菩ꮁ臣膀藥ꚭ돧銼볯ꢁ鋦较듧邭볯貁藩꺽臣貂臣蒁苣芀藥ꚭ돧銼볯ꮁ臣膀뻤袁臣膀껥붖뻤銼볯꺁藥ꚭ돧貁铧蒁苣貂臣蒁苣芀藥ꚭ돧銼볯꾁胣견볯것菣몂뻧袼臣讂臣꾁菣뎃苣ꚃ菣莃菣Ꞽ뷯覼볯鎼뷯ꢁ곧銼菣뎃苣꒾볯芁苣蒁臣것菣몂菣讃菣袃볯銽볯銼볯芽臣膀苣覜臣讂胣㲂䐯噉ਾ䐼噉㰾䥄㹖胣醼볯邼볯醀⼼䥄㹖 겜뷤銼볯ꮁ臣膀苣蚃菣뢂볯銼胣꺒菥ꢃ볯誏臣ꞅ뫦躃菣㲖⁵浸湬㩳灪∽瑨灴⼺眯睷樮潰朮⹯灪㸢볯钼⼼㹵臣궨臣覂苣ꚁ臣讂胣릂菣벃苣銼볯꺁룤ꮁ臣膀꣦겜臣覼뷧閁苣讂胣꺒菥ꢃ볯꺁藥뢻雦醐臣꺁꟧開臣膀藧隺菣隃甼砠汭獮樺㵰栢瑴㩰⼯睷⹷灪⹯潧樮≰銼볯㲔甯ꮁ苣ꎁ臣財臣辂苣讂胣ꞅ뫦躃菣㲖⁵浸湬㩳灪∽瑨灴⼺眯睷樮潰朮⹯灪㸢볯钼⼼㹵臣趓뷤袼鯥ꊻ볯ꮁ苣ꎁ臣꺒菥ꢃ볯銂꟧開臣鮁胣鎁苣ꮁ苣誂胣馨鳦ꮁ꿥馁苣钃菣袃郥辂臣貁臣趁苣芀臣꺁臣膂臣膀鳦鎽볯醼蛥ꮁ臣뮧该龩꟦袼룤뎛ꓧ覼臣궨臣覂苣膀꟧開ꧦ讧臣꺒菥ꢃ볯貁뿤膌臣貂臣蒁苣芀㰊䐯噉ਾ䐼噉㰾䥄㹖胣醼볯邼볯醀⼼䥄㹖 뺁臣膀鳦鎽볯醼臣꾁胣辀臩ꞅ飦覅뫦銼볯膀迥蒰菣ꦃ菣銼볯誏臣뎂菣螃菣떂菣뎃苣銼볯貁꣨醁苣貂臣蒁苣芀胩躁藧躘藥邺볯閼胣趏냥龃菣벃볯隼迥뎁苣뎃菣뎃苣것菣몂볯鞼臣膀苣蚃菣뢂볯���臣誸雦ꮁ藩꺽臣貂臣蒁苣芀胩躁藧躘藥邺볯閼臣覂蟥蒰臣龁藧躘藥꾁迥蒰菣ꦃ菣銼볯ꞁ迥蒰臣貂胣뎂菣螃菣떂菣뎃苣銼볯ꮁ藥蒰臣讂胣뎂菣螃菣떂菣뎃苣銼볯꾁胣릂菣벃苣銼볯꺁룤ꊝ臣趽뷧鞁臣蒁苣芀苣ꎁ臣膀苣뎃菣뎃苣것菣몂볯鞼臣覂蟥蒰臣龁藧躘藥꾁胣릂菣벃苣銼볯꺁룤뒁臣覂藥ꚭ돧銼볯뒁臣醐臣ꎁ臣馨鳦ꮁ藧蒰臣貂苣芀臣꺁苣蚁臣鞁臣膀ꇩ꺾迩銼볯ꞁ臣辀臩ꞅ飦貁ꇨ辂苣讂胣㲂䐯噉ਾ䐼噉㰾䥄㹖胣醼볯邼볯醀⼼䥄㹖 閡뻥ꆏ볯邼苣膀藥ꚭ돧銼볯袼鳦龮雦ꊽ藦꺁藥ꚭ돧覼苣馂臣ꚁ臣讂胣鎁臣覅귥뮳볯鎼臣膀藥랕臣궟臣覅귥뮳臣芁苣ꪁ臣覂胣躏럥貁觨붥臣鲣귦閁苣膀臣貂臣袂苣颫臣蚈꟨붃苣覜臣ꚁ臣讂胣鶁臣龁苣膀ꇩ꺾迩銼볯ꞁ臣膀ꯨ躏럥貁觨붥臣鲣귦閁苣膀뻥내꟦ꂀ臣꾁臣趁苣鞁臣馨鳦较臣鞾苣貂苣芀臣誁胣閡뻥ꆏ볯邼苣讧裦馁苣蒐菩邝臣超뷧꾁胣ꦁ껥궨꣨覤鯦꾏菨ꞁ臣讂胣㲂䐯噉ਾ䐼噉㰾䥄㹖胣醼볯邼볯醀⼼䥄㹖 뎛볯邼볯꾁胣겜껥붖뷥讅臣覅귥龩駥ꞁ臣讂ꇩ꺾迩銂ꓧ馁鯥ꞁ臣讂胣뎛볯邼볯袼뷯覼臣閡뻥ꆏ臣ꢅ뷤讧裦銂ꓧ馁鯥膀볯芽볯꾁ꇩ꺾迩鎼볯銂鯥骮臣龁諧讅苣몤臣뎛臣芁苣芀⼼䥄㹖㰊䥄㹖䐼噉邀볯醼볯邼胣㲑䐯噉ਾ†ꇩ꺾迩鎼볯꾁胣몐룥讞臣閡뻥ꆏ臣芁苣芀ꇩ꺾迩鎼볯꾁胣鞃菣벃菣ꢃ볯醼胣뎂菣袃菣벃菣鲃菣꾂苣鎼볯膀菣ꒂ菣겂苣覃菣ꆂ苣邃볯鎼胣놂菣隃菣鎼볯膀鋦较菩钼胣覅귥뮳볯閼胣꺒菥ꂴ귥颼胣ꞅ飦ꢔ냥覅뷤鎼볯膀藥邺볯鞼苣馂臣讂胣㲂䐯噉ਾ䐼噉㰾䥄㹖胣醼볯醼볯醀⼼䥄㹖 꺒菥ꢃ볯꺁蛥ꢃ臣꾁胣覅귥뮳볯閼臣꺒菥ꂴ귥颼臣超뷧閁苣ꚁ臣讂胣覅귥뮳볯閼臣꾁胣设臣낁胣龮雦设볯醼臣覅귥뮳臣ꢔ臣覂苣ꚁ臣讂胣覅귥뮳볯閼臣膀곧醼菣뎃苣꒾볯芁苣蒁臣것菣몂菣讃菣袃볯蚽볯鎼볯膽臣견볯것菣몂뻧袼臣讂臣꾁菣뎃苣ꚃ菣莃菣Ꞽ뷯覼볯閼뷯ꢁ胣銂鳦馁苣芀⼼䥄㹖㰊䥄㹖䐼噉邀볯醼볯銼胣㲑䐯噉ਾ†菣궃菣隃菩鎼볯ꢁ苣뎃菣궃菣ꮃ菣莃苣릂볯銼臣膀菣ꒂ菣겂苣覃菣ꆂ苣邃볯鎼臣놂菣隃菣鎼볯ꮁ苣誂軦骶臣貂臣蒁苣芀苣뎃菣궃菣ꮃ菣莃苣릂볯銼臣膀藥邺볯鞼臣ꚇ郧ꢃ볯趸鯥몤볯ꢁ苣覜臣讂胣ꚇ郧ꢃ臣膀菣궃菣隃菩鎼볯讁苣꺁飦较뿤랏苣ꚇ郧馁苣芀⼼䥄㹖㰊䥄㹖䐼噉邀볯醼볯鎼胣㲑䐯噉ਾ†菣궃菣隃菩鎼볯꾁胣뾽铧薀臣讉臣膌臣鎁臣貁臣趁苣Ꞥ臣閁臣芁苣芀菣궃菣隃菩鎼볯꾁胣꺒菥ꢃ볯ꢁ藧躘铧躰藥鎽볯隼臣銂鳦馁苣芀藧躘铧躰藥鎽볯隼臣꺒菥ꢃ볯꺁ꓥꢑ臥ꮁ藩꺽臣貂臣蒁苣���藧躘铧躰藥鎽볯隼臣ꦃ苣袃苣ꒂ菣閃苣ꒂ菣鎼볯ꢁ藥ꚭ髧ꮁ軦骶臣貂臣蒁苣芀藥邺볯鞼臣覂蟥蒰臣龁藧躘藥꾁菣ꒂ菣겂苣覃菣ꆂ苣邃볯鎼蛥銂볤钁臣ꚁ胣ꞅ飦ꢔ냥覅뷤鎼볯ꮁ藥蒰臣讂胣ꞅ飦覅臣ꞅ飦ꢔ냥覅뷤鎼볯薆苣鶼臩鞁臣膀菣궃菣隃菩鎼볯讁苣몇냥馁苣芀臣꺁苣蚁臣鞁臣膀ꇩ꺾迩鎼볯ꞁ臣붐냥ꞅ飦貁ꇨ辂苣讂胣㲂䐯噉ਾ䐼噉㰾䥄㹖胣醼볯醼볯醀⼼䥄㹖 馨鳦讁苣꺁迥蒰藥꾁胣覅귥뮳볯閼苣骀臩鞁臣꺒菥ꂴ귥颼臣ꖅ냥馁苣芀鋦较듧邭볯꺁鋦较鷩ꮁ臣膀꣦겜菥袼藥ꚭ菥覼臣ꊽ裦閁苣讂胣馨鳦较臣꺒菥ꂴ귥颼臣袂臣ꚁ藥뮛ꓥ鮏臣貂胣鎁苣ꮁ苣誂꣦겜臣뮔菥貁뻥覂苣讂胣馨鳦꺁铧较臣ꢡꓧ薣뷧袼룤뎛ꓧ覼臣ꢡꓧ閁苣讂胣鎁臣袂臣ꮁ臣ꚁ胣뎦꿥薀臣膀꣦겜臣뮔菥銂ꛨ龯臣趁苣芀⼼䥄㹖㰊䥄㹖䐼噉邀볯醼볯閼胣㲑䐯噉ਾ†菣궃菣隃菩鎼볯꾁胣ꦃ苣袃苣ꒂ菣閃苣ꒂ菣鎼볯ꢁ苣벃菣ꮃ볯钼臣袂苣뎂菣袃菣벃菣鲃菣꾂苣鎼볯ꮁ軦骶臣貂臣蒁苣芀臣꺁臣膂胣鞃菣벃菣ꢃ볯醼臣趽뷧蒂郥趁苣ꪇ铧ꮁ꣨骮臣讂臣ꢁ臣ꞁ臣讂胣鎁臣뒠郥膀菣궃菣隃菩鎼볯꺁꟥ꊋ볯趽뷧蒂郥趁볯꺁鯥骮臣膀ꛨ龯胨꺁触ꞁꇨ蚁臣ꢁ臣ꪁ苣芀臣讁臣ꪁ臣覂胣뎦꿥薀臣讉臣袂苣몛껥ꞁ臣膀跥蚈臣覮껥鞁臣蒁ꃥ袐臣芁苣芀⼼䥄㹖㰊䥄㹖䐼噉邀볯醼볯隼胣㲑䐯噉ਾ†菣궃菣隃菩鎼볯꺁꟥ꊋ볯趽뷧蒂郥趁볯銂껥骮臣鮁苣龁苣ꮁ臣膀鯥醼볯鞼볯芽볯ꮁꓧ馁苣蚁臣뚞迥鎼볯ꞁ菣궃菣隃菩鎼볯銂뿤膌臣貂臣꾉臣芀臣꺁苣蚁臣馁苣鎁臣ꞁ胣鞃菣벃菣ꢃ볯醼臣뾧该袼뷤꺽苣醐臣覼苣覮껥閁臣讂臣ꢁ臣ꞁ臣讂胣㲂䐯噉ਾ䐼噉㰾䥄㹖胣醼볯醼볯醀⼼䥄㹖 ꪁ臣膀黦낏볯颼臣꾁胣ꞅ뫦躃菣鎼볯貁꣨醁苣貂臣蒁苣芀菣궃菣隃菩鎼볯袼鋦较菩钼볯꺁藥뢻雦醐臣꺁꟧開臣膀藧隺菣隃볯馼臣袂臣ꚁꇨꪁ苣貂苣芀藧隺菣隃볯馼臣趓뷤袼鯥ꊻ볯ꮁ苣ꎁ臣鞃菣벃菣ꢃ볯醼苣뮧该閁臣膀臣貂臣袂苣膀꣦겜臣뺯臣讂菣뎃菣袐苣鮁臣ꞁ臣讂胣鶁臣龁苣ꮁ胣뚞迥鎼볯薆臣꾁꟧開ꧦ讧볯趸鯥몤볯貁꣨醁苣貂臣蒁苣芀⼼䥄㹖㰊䥄㹖䐼噉邀볯醼볯颼胣㲑䐯噉ਾ†ꇩ꺾迩鎼볯节胣覅귥뮳볯閼볯겜껥붖뷥讅臣覅귥뮳볯銂若袁臣蒁苣芀臣꺁藥ꚭ돧鎼볯꾁胣ꢅ闩貁鿧蒁藥ꚭ돧ꞁ臣誂臣貁苣膀迥꺷臣꾉ꗥꮁꏨꎭ臣貂胣鶁苣ꮁ苣誂ꯩ蒁裥ꎧ菨銂鳦鞁臣蒁苣芀臣꺁臣膂胣閡뻥ꆏ볯邼臣꾁胣뢫迥꺷臣꾉ꗥꮁꏨꎭ臣貂胣꺾듧讧胩貁臣ꎁ臣誂臣龁꣦겜菥貁뻥覂苣讂胣ꪁ臣膀ꇩ꺾迩鎼볯銂꟦邈臣讂郥ꢃ鷦꺁���꺽臣膀臩鲮꣨袨ꓥ뒛迥붃臣芁苣芀⼼䥄㹖㰊䥄㹖䐼噉邀볯醼볯馼胣㲑䐯噉ਾ†臣誁胣閡뻥ꆏ볯膀ꇩ꺾迩醼볯膀ꇩ꺾迩銼볯膀ꇩ꺾迩鎼볯꺁郥薀臣꾁胣龮雦设볯鲀볯隼臣覅귥뮳臣蚁臣꺁臣꺁藥ꚭ돧ꞁ苣ꢔ臣讂臣ꢁ臣ꞁ臣讂胣㲂䐯噉ਾ䐼噉㰾䥄㹖胣醼볯銼볯醀⼼䥄㹖 鎁臣袂臣ꮁ胣겜駧躘臣膀臣꺁뛨ꢗ苣뢀蓨鞁臣蒁꿧늛臣颧胣ꪁꓥꊽ뻤銂臣讂臣ꢁ臣ꞁ臣讂胣뺁臣膀룤風郥龮雦设臣袂苣몤臣貂臣ꊽ諧骞闦ꮁ臣薿臣鞁苣邙껥閁苣ꪁ臣芀臣龁胣蒐菣뎃苣薆迥꾁郥것菣몂ꓥꮁ胣誸꣨蒐껥붖뻤ꮁ鯥몤臣貂臣蒁臣蒁菣뎃苣ꞁ臣ꎁ臣龮돨蒚臣袱諦鮊苣覜臣ꪁ臣것菣몂苣超뷧鞁臣节苣蒁胣㲂䐯噉ਾ䐼噉㰾䥄㹖胣醼볯銼볯醀⼼䥄㹖 뺁臣膀鳦몙飦ꮁ臣膀룤낿臣몙飦꺁믤ꮁ믤许臣몙飦节郥뺁苣讂胣㲂䐯噉ਾ䐼噉㰾䥄㹖胣醼볯銼볯醀⼼䥄㹖袼믤風ꃩ醼裢醼볯㲉牢ਾ†藥랼뫥銂鯩鞰뿤랏臣覤迦馁苣銼곦莅髧ꮁ藩鞈臣貂臣螤闦꺁铧ꂴ臣膀觥風ꓨ낕臣뮔듧꺁郥薀臣超뷧閁苣讂ꓨ낕臣늉菣ꎂ菣뾂臣膀苣馂臣龁鋦较듧邭룤ꮁ藥ꚭ菥銂뷥邈臣讂藥ꚭ돧ꞁ臣ꎁ臣膀戼㹲 趉꣨覅귥뮳臣膀觧鎽臥袂苣蚠臣膀戼㹲 螤闦꺁菣뎃苣讁苣ꪁ苣ꎭ臣袱諦鮊苣覜臣讂곧醼菣뎃苣꒾臣膀戼㹲 麵苣ꢁ胣㲁牢ਾ†ꓨ낕臣것菣몂臣覂臣讂곧銼菣뎃苣꒾臣膀苣覜臣膀戼㹲 趉꣨覅귥뮳苣讧裦馁苣것菣몂뻧꾁胣趉꣨견볯것菣몂뻧ꢁ觥風곧銼菣뎃苣꒾臣讁苣ꪁ苣膀戼㹲 趉꣨견볯것菣몂뻧꾁胣肜苣ꦉ뷤뒁臣超뷧閁苣龁곧醼觧鎽臥것菣몂苣覜臣膀戼㹲 趉꣨견볯것菣몂뻧꾁胣肜苣较臥ꮁ藩꺽臣貂臣견볯较臥것菣몂苣覜臣膀戼㹲 趉꣨견볯것菣몂뻧꾁胣ꂲ菣뎃苣ꢁ胣趉꣨ꂲ菣뎃苣袂苣节觧鎽臥ꮁ藩꺽臣貂臣ꎭ菣뎃苣ꢁ胣銂鳦鞁胣㲁牢ਾ†믤许臣ꆝ믤込볯醼볯覼胣袼볯隼볯膀볯醼볯覼胣袼볯邼볯銂뫦뎶臣讂臣ꢁ苣릉뻥ꢁ臣讂藥ꚭ돧芀戼㹲 츠ꚉ裢醼볯醼†††볯醼볯覼戼㹲 邼볯邼볯鲼볯ꆼ†††볯醼볯覼戼㹲 醼볯邼볯랼볯込볯ꚼ†††볯醼볯覼戼㹲 邼볯閼볯銼韃볯랼볯쎤钽뷯躽볯鎽뷯躽猼灵砠汭獮樺㵰栢瑴㩰⼯睷⹷灪⹯潧樮≰銈볯㲑猯灵꺼볯覼볯림猼扵砠汭獮樺㵰栢瑴㩰⼯睷⹷灪⹯潧樮≰漾橢⼼畳㹢볯込蛏猼扵砠汭獮樺㵰栢瑴㩰⼯睷⹷灪⹯潧樮≰猾⼼畳㹢볯钼볯邼†††볯銼볯覼戼㹲 鎁臣ꞁ胣㲁牢ਾ†닎臣膀觥風藥ꚭ돧꺁뗧较胥螎胣㲁牢ਾ†볯ꆼ臣膀觥風藥ꚭ돧꺁觧鎽臥꺁雩ꎏ闦膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲 ꊼ볯꾁胣趉꣨견볯较臥것菣몂臣较臥ꊝ臣覂菥뺁臣꺁藥뢻룤꺁럨ꊛ���㲁牢ਾ†볯㲹畳⁢浸湬㩳灪∽瑨灴⼺眯睷樮潰朮⹯灪㸢扯㱪猯扵꾁胣肜ꓥꦉ뷤颫胣㲁牢ਾ†蛏猼扵砠汭獮樺㵰栢瑴㩰⼯睷⹷灪⹯潧樮≰猾⼼畳㹢臣膀觥風뗧誂臣뒛뻥膀戼㹲ꞁ臣讂胣㲂牢ਾ볯颻꣨薠볯銈볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯醼볯銂뫦뎶臣讂臣ꢁ苣릉뻥ꢁ臣讂믤風ꃩ醼裢醼臣風볨꺁藥ꚭ돧芀戼㹲 邼볯醼볯겼猼扵砠汭獮樺㵰栢瑴㩰⼯睷⹷灪⹯潧樮≰䜾㰱猯扵込볯㲬畳⁢浸湬㩳灪∽瑨灴⼺眯睷樮潰朮⹯灪㸢㉇⼼畳㹢볯醼볯閼†††볯鎼볯覼戼㹲 鎁臣ꞁ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 겼猼扵砠汭獮樺㵰栢瑴㩰⼯睷⹷灪⹯潧樮≰䜾㰲猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ醼裢鎼볯㲉牢ਾ†믤许臣ꆝ믤込볯銼볯覼苣肺뛨馁苣鎁臣銂觧뒾臣馁苣颻꣨薠볯銈볯袏臣醼裢銼臣風볨꺁藥ꚭ돧芀戼㹲 邼볯醼볯鲼볯㲤畳⁢浸湬㩳灪∽瑨灴⼺眯睷樮潰朮⹯灪㸢獯⼼畳㹢볯꒼猼扵砠汭獮樺㵰栢瑴㩰⼯睷⹷灪⹯潧樮≰漾㱩猯扵鲼볯躼볯ₘ††袼볯閼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣趉꣨麵苣뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ醼裢钼볯㲉牢ਾ†믤许臣ꆝ믤込볯銼볯覼苣肺뛨馁苣鎁臣銂觧뒾臣馁苣颻꣨薠볯銈볯讁苣醼裢鎼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢†††볯銼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ醼裢閼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯鎼볯覼苣肺뛨馁苣鎁臣銂觧뒾臣馁苣颻꣨薠볯銈볯讁苣醼裢钼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵鲼볯躼볯ₐ††袼볯钼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻���꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯覼戼㹲 ꖻ룤꺁鷦뚻볥袼볯醼볯銂뫦뎶臣讂臣ꢁ苣릉뻥ꢁ臣讂믤風ꃩ醼裢醼臣覂볯銈볯꺁臣骁苣讁룤薠臣風볨꺁藥ꚭ돧芀戼㹲 邼볯邼볯鲼볯㲤畳⁢浸湬㩳灪∽瑨灴⼺眯睷樮潰朮⹯灪㸢慭㱸猯扵込蛏猼扵砠汭獮樺㵰栢瑴㩰⼯睷⹷灪⹯潧樮≰猾⼼畳㹢볯鎼볯邼†††볯銼볯覼戼㹲 鎁臣ꞁ胣㲁牢ਾ†볯㲤畳⁢浸湬㩳灪∽瑨灴⼺眯睷樮潰朮⹯灪㸢慭㱸猯扵꾁胣趉꣨覅귥뮳臣誁臣讂髩誂郥蚁菣뎃苣꺁藥뢻룤꺁雩钚臣蚁臣膀鳦Ꞥ臣ꪁ苣鎖髩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ醼裢鞼볯㲉牢ਾ†믤许臣ꆝ믤込볯閼볯覼苣肺뛨馁苣鎁臣銂觧뒾臣馁苣颻꣨薠볯銈볯讁苣醼裢隼臣蒁臣貂臣肸ꃩꮁ꣨覼臣覅귥뮳胣㲂牢ਾ†볯躼볯颼볯겼猼扵砠汭獮樺㵰栢瑴㩰⼯睷⹷灪⹯潧樮≰䰾⼼畳㹢볯꒼猼扵砠汭獮樺㵰栢瑴㩰⼯睷⹷灪⹯潧樮≰漾㱩猯扵讼볯躼볯鞼韃볯꒼볯ꊼ볯₦††袼볯隼볯㲉牢ਾ†臣鎁臣膀戼㹲 겼猼扵砠汭獮樺㵰栢瑴㩰⼯睷⹷灪⹯潧樮≰䰾⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 ꒼猼扵砠汭獮樺㵰栢瑴㩰⼯睷⹷灪⹯潧樮≰漾㱩猯扵꾁胣ꦉ뷤讁苣较臣ꞁ臣覅믨誸臣鶷鯩膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀戼㹲袼믤風ꃩ醼裢颼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯閼볯覼苣肺뛨馁苣鎁臣銂觧뒾臣馁苣颻꣨薠볯銈볯讁苣醼裢鞼臣蒁臣貂臣肸ꃩꮁ꣨覼臣覅귥뮳胣㲂牢ਾ†볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵銈볯躼볯馼韃볯꒼볯ꊼ볯鲼볯躼볯ₘ††袼볯鞼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀戼㹲袼믤風ꃩ醼裢馼볯㲉牢ਾ†믤���臣ꆝ믤込볯銼볯覼苣肺뛨馁苣鎁臣銂觧뒾臣馁苣颻꣨薠볯銈볯讁苣醼裢颼臣蒁臣貂臣肸ꃩꮁ꣨覼臣覅귥뮳胣㲂牢ਾ†볯鲼볯ꚼ볯겼猼扵砠汭獮樺㵰栢瑴㩰⼯睷⹷灪⹯潧樮≰䰾⼼畳㹢볯邼볯钼†††볯銼볯覼戼㹲 鎁臣ꞁ胣㲁牢ਾ†볯ꚼ臣膀觥風곧銼菥뒁菣뎃苣꺁菥뒁鷩讁苣较臣ꞁ臣覅믨誸臣鶷鯩膀戼㹲 겼猼扵砠汭獮樺㵰栢瑴㩰⼯睷⹷灪⹯潧樮≰䰾⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯邼볯㲉牢ਾ†믤许臣ꆝ믤込볯鎼볯覼胣袼볯隼볯銂뫦뎶臣讂臣ꢁ苣릉뻥ꢁ臣讂믤風ꃩ醼裢醼臣覂볯銈볯꺁臣骁苣讁룤薠臣風볨꺁藥ꚭ돧芀戼㹲 醼볯邼볯꒼猼扵砠汭獮樺㵰栢瑴㩰⼯睷⹷灪⹯潧樮≰䔾偎⼼畳㹢볯림†††볯鎼볯覼戼㹲 邼觢ꎼ볯ꆼ猼扵砠汭獮樺㵰栢瑴㩰⼯睷⹷灪⹯潧樮≰漾橢⼼畳㹢볯ꎼ볯ꆼ猼扵砠汭獮樺㵰栢瑴㩰⼯睷⹷灪⹯潧樮≰椾杭⼼畳㹢볯邼볯閼†††볯鎼볯覼戼㹲 鎁臣ꞁ胣㲁牢ਾ†볯㲤畳⁢浸湬㩳灪∽瑨灴⼺眯睷樮潰朮⹯灪㸢久㱐猯扵꾁胣趉꣨覅귥뮳臣ꖅ냥뎞뷤꺽臣覂觥風곧醼觧鎽臥것菣몂臣ꦉ뷤뒁鷩뺁臣꺁藥뢻룤꺁럨ꊛ胣㲁牢ਾ†볯꾁胣趉꣨覅귥뮳藥뮳臣誁臣讂鳦Ꞥ菥颫胣㲁牢ਾ†볯늼볯㲡畳⁢浸湬㩳灪∽瑨灴⼺眯睷樮潰朮⹯灪㸢扯㱪猯扵꾁胣趉꣨견볯ꦉ뷤뒁菣뎃苣ꮁ藥蒰臣讂룤覅럧ꢁ藥뢻臣꺁臣馁꟨ꚺ臣肜ꓥꒀ胣㲁牢ਾ†볯늼볯㲡畳⁢浸湬㩳灪∽瑨灴⼺眯睷樮潰朮⹯灪㸢浩㱧猯扵꾁胣较鷩ꮁ藥蒰臣讂룤覅럧ꢁ藥뢻臣꺁臣馁꟨ꚺ臣肜ꓥꒀ胣㲁牢ਾ臣芁苣膀戼㹲 銧뫥꺁귦ꂲ臣膀藥뢻臣覂駦袨鯥誂臣릖郥ꮁ룦ꎁ臣뒠郥꺁꟨ꚺ苣ꂲ胣趏駦袨鯥誂臣릖郥ꮁ룦ꎁ臣ꢁ臣꺁꟨ꚺ苣ꎭ臣馁苣芀戼㹲袼믤風ꃩ醼裢醼볯覼戼㹲 趉꣨견볯것菣몂뻧ꮁ苣ꎁ臣ꦉ뷤꺁藥립菥貁뷥邈臣貂胣㲁牢ਾ†觥風곧銼菣뎃苣꒾臣袂臣ꚁ觧鎽臣肜뗧较臣ꊽ裦閁苣膀戼㹲 ꖻ룤꺁鷦뚻볥袼볯颼볯銂뫦뎶臣讂臣ꢁ苣릉뻥ꢁ臣讂믤風ꃩ醼裢醼臣覂볯銈볯邼臣蒁臣貂臣肸ꃩꮁ꣨覼臣覅귥뮳胣㲂牢ਾ†裢鎼볯鲼볯캈꒼猼扵砠汭獮樺㵰栢瑴㩰⼯睷⹷灪⹯潧樮≰䜾搲㱃猯扵讼볯캈꒼猼扵砠汭獮樺㵰栢瑴㩰⼯睷⹷灪⹯潧樮≰䜾搱㱃猯扵쌾캗㲲畳⁢浸湬㩳灪∽瑨灴⼺眯睷樮潰朮⹯灪㸢㉇㱃猯扵㰾畳⁰浸湬㩳灪∽瑨灴⼺眯睷樮潰朮⹯灪㸢볯㲒猯灵込볯醼볯캋㲲畳⁢浸湬㩳灪∽瑨灴⼺眯睷樮潰朮⹯灪㸢㉇㱃猯扵쌾캗꒼猼扵砠汭獮樺㵰栢瑴㩰⼯睷⹷灪⹯潧樮≰䜾搱㱃猯扵込뷯㲆畳⁢浸湬㩳灪∽瑨灴⼺眯睷樮潰朮⹯灪㸢㉇㱃猯扵覼볯覼볯캏㲵畳⁢浸湬㩳灪∽瑨灴⼺眯睷樮潰朮⹯灪㸢㱤猯扵鲼볯邼†††볯醼볯覼戼㹲 鎁臣ꞁ胣㲁牢ਾ†铎볯㲤畳⁢浸湬㩳灪∽瑨灴⼺眯睷樮潰朮⹯灪㸢ㅇ䍤⼼畳㹢臣膀藥뢻룤꺁觧릂臣뺯臣讂觥風곧醼菣뎃苣꒾臣较苧ꮁ臣���臣膀뷯骷臣誁臣讂菥릂볯㲰畳⁢浸湬㩳灪∽瑨灴⼺眯睷樮潰朮⹯灪㸢ㅇ⼼畳㹢臣趽뷧讁苣ꎼ럧ꮁ臣醁苣较苧꺁뷤꺽臣ꞁ臣鶷鯩膀戼㹲 츠꒼猼扵砠汭獮樺㵰栢瑴㩰⼯睷⹷灪⹯潧樮≰䜾搲㱃猯扵꾁胣趉꣨较苧낼猼扵砠汭獮樺㵰栢瑴㩰⼯睷⹷灪⹯潧樮≰䜾㰱猯扵銂觧릂臣鞁臣ꢁ臣꺁觥風곧銼菣뎃苣꒾臣较苧ꮁ臣蒁臣膀뷯骷臣誁臣讂菥릂臣趽뷧讁苣ꎼ럧ꮁ臣醁苣较苧꺁뷤꺽臣ꞁ臣鶷鯩膀臣芁臣ꚁ胣㲁牢ਾ†铎볯㲤畳⁢浸湬㩳灪∽瑨灴⼺眯睷樮潰朮⹯灪㸢ㅇ䍤⼼畳㹢臣캨꒼猼扵砠汭獮樺㵰栢瑴㩰⼯睷⹷灪⹯潧樮≰䜾搲㱃猯扵꺁귦ꂲ臣膀觥風볯骷臣誁臣讂菥릂臣趽뷧貁觥風뷯骷臣誁臣讂菥릂臣趽뷧袂苣节菥뒁臣芁苣뒠郥銂귦膀觥風볯骷臣誁臣讂菥릂臣趽뷧貁觥風뷯骷臣誁臣讂菥릂臣趽뷧袂苣节甼砠汭獮樺㵰栢瑴㩰⼯睷⹷灪⹯潧樮≰ꦉ뷤㲓甯뒁臣芁苣뒠郥銂단ꢁ臣膀戼㹲 츠㲲畳⁢浸湬㩳灪∽瑨灴⼺眯睷樮潰朮⹯灪㸢㉇㱃猯扵꾁胣趉꣨较苧낼猼扵砠汭獮樺㵰栢瑴㩰⼯睷⹷灪⹯潧樮≰䜾㰱猯扵銂觧릂臣鞁臣ꢁ臣꺁觥風곧銼菣뎃苣꒾臣ꎼ럧ꮁ臣醁苣邵菥趀軧膀戼㹲 蚽猼扵砠汭獮樺㵰栢瑴㩰⼯睷⹷灪⹯潧樮≰䜾䌲⼼畳㹢臣膀觥風곧銼菣뎃苣꒾臣ꎼ럧ꮁ臣醁苣Ꚅ苧鶷鯩膀戼㹲 츠㲵畳⁢浸湬㩳灪∽瑨灴⼺眯睷樮潰朮⹯灪㸢㱤猯扵꾁胣趉꣨覅귥뮳臣较臥꺁雩ꎏ闦ꞁ뇦뺁苣蒽럧ꞁ臣ꢂ苣ꪃ菣螃苣릂苣認뻥膀戼㹲ꞁ臣誂胣㲁牢ਾ†觧릂胣较苧꾁臣貂臣貂藥뢻룤꺁苧ꞁ臣誂胣骙觧릂胣骙菥릂臣芁苣뒠郥节郥肂胣㲂牢ਾ볯颻꣨薠볯銈볯銼볯㲉牢ਾ†믤许臣ꆝ믤込볯銼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯邼볯ꚉ볯㲤畳⁢浸湬㩳灪∽瑨灴⼺眯睷樮潰朮⹯灪㸢ㅇ慭㱸猯扵込蛏猼扵砠汭獮樺㵰栢瑴㩰⼯睷⹷灪⹯潧樮≰猾⼼畳㹢볯銼볯邼†††볯銼볯覼戼㹲 鎁臣ꞁ胣㲁牢ਾ†볯㲤畳⁢浸湬㩳灪∽瑨灴⼺眯睷樮潰朮⹯灪㸢ㅇ慭㱸猯扵꾁胣趉꣨견볯것菣몂뻧ꮁ臣醁苣ꎚ苣袐臣것菣몂臣覅믨誸臣鎖髩꺁臣ꆁ胣肜ꓥꢁ臣讂雩钚胣㲁牢ਾ†蛏猼扵砠汭獮樺㵰栢瑴㩰⼯睷⹷灪⹯潧樮≰猾⼼畳㹢臣膀觥風뗧誂臣뒛뻥膀戼㹲ꞁ臣讂胣㲂牢ਾ볯颻꣨薠볯銈볯鎼볯㲉牢ਾ†믤许臣ꆝ믤込볯銼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢業㱮猯扵銈볯込뷎뷯㲄畳⁢浸湬㩳灪∽瑨灴⼺眯睷樮潰朮⹯灪㸢慭㱸猯扵‾††袼볯钼볯㲉牢ਾ†臣鎁臣膀戼㹲 츠蒽猼扵砠汭獮樺㵰栢瑴㩰⼯睷⹷灪⹯潧樮≰派湩⼼畳㹢臣膀觥風藥ꚭ돧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰派硡⼼畳㹢臣膀觥風藥ꚭ돧銂꟦邈���讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯銈볯钼볯㲉牢ਾ†믤许臣ꆝ믤込볯銼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯馼볯鲼蛏猼扵砠汭獮樺㵰栢瑴㩰⼯睷⹷灪⹯潧樮≰䜾漱⼼畳㹢볯袼볯쎒림볯鲽닎뷯覼†††볯銼볯覼戼㹲 켠㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣覜諥ꎏ뻥膀戼㹲 림臣膀觥風藥ꚭ돧ꢅ돧ꮁ臣醁苣肜ꓥ较ꯩ膀戼㹲 츠꾁胣趉꣨覅귥뮳臣邵菥趀軧膀戼㹲ꞁ臣讂胣㲂牢ਾ볯颻꣨薠볯銈볯閼볯㲉牢ਾ†믤许臣ꆝ믤込볯銼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯ꊼ볯込볯鲼볯躼볯ₐ††袼볯颼볯㲉牢ਾ†臣鎁臣膀戼㹲 ꊼ볯꾁胣趉꣨견볯较臥것菣몂臣较臥ꊝ臣覂菥뺁臣꺁藥뢻룤꺁럨ꊛ胣㲁牢ਾ†볯꾁胣趉꣨覅귥뮳藥뮳臣誁臣讂鳦Ꞥ菥颫胣㲁牢ਾ臣芁苣芀戼㹲袼믤風ꃩ醼裢醼볯覼戼㹲 ꖻ룤꺁鷦뚻볥袼볯馼볯銂뫦뎶臣讂臣ꢁ苣릉뻥ꢁ臣讂믤風ꃩ醼裢醼臣覂볯銈볯閼臣蒁臣貂臣肸ꃩꮁ꣨覼臣覅귥뮳胣㲂牢ਾ†裢邼볯銼볯쾜㲆畳⁢浸湬㩳灪∽瑨灴⼺眯睷樮潰朮⹯灪㸢ㅇ㱯猯扵込볯㲲畳⁢浸湬㩳灪∽瑨灴⼺眯睷樮潰朮⹯灪㸢ㅇ㱯猯扵鲼볯躼볯ₐ††袼볯馼볯㲉牢ਾ†臣鎁臣膀戼㹲 켠㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣覜諥ꎏ뻥膀戼㹲 늼猼扵砠汭獮樺㵰栢瑴㩰⼯睷⹷灪⹯潧樮≰䜾漱⼼畳㹢臣膀觥風곧醼觧鎽臥것菣몂臣ꦉ뷤뒁鷩꺁鯦螎跥蒾胣㲁牢ਾ臣芁苣芀戼㹲袼믤風ꃩ醼裢醼볯覼戼㹲 趉꣨견볯것菣몂뻧꾁胣钼黦꺁菣뎃苣銂鳦鞁胣㲁牢ਾ†觥風볯骞臣것菣몂臣蚁臣醰臣辁臣节볯骞臣ꂲ菣뎃苣ꞁ胣醰臣辁臣节볯骞臣ꎭ菣뎃苣ꞁ臣誂胣㲁牢ਾ†觥風귦것菣몂臣蚁臣肜苣ꦉ뷤뒁臣趽뷧馁苣ꎭ菣뎃苣꺁觧鎽臥ꊝ臣膀觧鎽臥ꮁ蟥ꊝ臣芁苣鎁臣銂觧뒾臣馁苣颻꣨薠볯銈볯讁苣醼裢醼볯꺁臣骁苣讁룤薠臣風볨꺁藥ꚭ돧芀戼㹲袼믤風ꃩ醼裢醼볯覼戼㹲 趉꣨견볯것菣몂뻧꾁胣肜苣较臥ꮁ藩꺽臣貂臣견볯较臥것菣몂苣覜臣膀戼㹲 趉꣨麵苣꺁룤뒁臣趽뷧馁苣銼臣꺁菣뎃苣꺁雩钚臣肸껥ꞁ臣誂胣㲁牢ਾ†믤许臣ꆝ믤込볯鎼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 ꒼猼扵砠汭獮樺㵰栢瑴㩰⼯睷⹷灪⹯潧樮≰䜾䜱㰲猯扵込蛏猼扵砠汭獮樺㵰栢瑴㩰⼯睷⹷灪⹯潧樮≰猾⼼畳㹢볯銼볯邼†††볯鎼볯覼戼㹲 鎁臣ꞁ胣㲁牢ਾ†볯㲤畳⁢浸湬㩳灪���瑨灴⼺眯睷樮潰朮⹯灪㸢ㅇ㉇⼼畳㹢臣膀觥風곧醼菥뒁菣뎃苣꺁菥뒁鷩讁苣趉꣨견볯ꦉ뷤뒁菣뎃苣꺁觧鎽臥ꊝ臣ꞁ臣覅믨誸臣鶷鯩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ醼裢醼볯覼戼㹲 ꖻ룤꺁鷦뚻볥袼볯銼볯銂뫦뎶臣讂臣ꢁ苣릉뻥ꢁ臣讂믤風ꃩ醼裢醼臣覂볯銈볯颼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢ㅇ㱳猯扵込볯㲬畳⁢浸湬㩳灪∽瑨灴⼺眯睷樮潰朮⹯灪㸢䝳㰲猯扵鲼볯躼볯ₕ††袼볯銼볯㲉牢ਾ†臣鎁臣膀戼㹲 겼猼扵砠汭獮樺㵰栢瑴㩰⼯睷⹷灪⹯潧樮≰䜾猱⼼畳㹢臣膀觥風곧醼觧鎽臥것菣몂臣ꦉ뷤뒁鷩讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢䝳㰲猯扵꾁胣趉꣨麵苣讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯邼볯㲉牢ਾ†믤许臣ꆝ믤込볯鎼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯颼觢쾦㲆畳⁢浸湬㩳灪∽瑨灴⼺眯睷樮潰朮⹯灪㸢ㅇ慭㱸猯扵込蛏猼扵砠汭獮樺㵰栢瑴㩰⼯睷⹷灪⹯潧樮≰䜾洲硡⼼畳㹢볯閼볯邼†††볯鎼볯覼戼㹲 鎁臣ꞁ胣㲁牢ਾ†蛏猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣覜諥ꎏ뻥꺁臣ꆁ胣肜ꓥꢁ臣讂鳦릊迥蒾胣㲁牢ਾ†蛏猼扵砠汭獮樺㵰栢瑴㩰⼯睷⹷灪⹯潧樮≰䜾洲硡⼼畳㹢臣膀觥風곧銼菣뎃苣꒾苣讧裦馁苣것菣몂臣覜諥ꎏ뻥꺁臣ꆁ胣肜ꓥꢁ臣讂鳦릊迥蒾胣㲁牢ਾ臣芁苣芀戼㹲袼믤風ꃩ醼裢銼볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯钼볯銂뫦뎶臣讂臣ꢁ苣릉뻥ꢁ臣讂믤風ꃩ醼裢醼臣覂볯銈볯邼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵鲼볯躼볯ₐ††袼볯钼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯銼볯㲉牢ਾ†믤许臣ꆝ믤込볯鎼볯覼胣袼볯隼볯銂뫦뎶臣讂臣ꢁ苣릉뻥ꢁ臣讂믤風ꃩ醼裢醼臣覂볯銈볯醼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢久㱐猯扵込볯₹††袼볯閼볯㲉牢ਾ†볯ꚉ볯늼볯㲡畳���浸湬㩳灪∽瑨灴⼺眯睷樮潰朮⹯灪㸢扯㱪猯扵込볯늼볯㲡畳⁢浸湬㩳灪∽瑨灴⼺眯睷樮潰朮⹯灪㸢浩㱧猯扵鲼볯躼볯ₕ††袼볯隼볯㲉牢ਾ†臣鎁臣膀戼㹲 ꒼猼扵砠汭獮樺㵰栢瑴㩰⼯睷⹷灪⹯潧樮≰䔾偎⼼畳㹢臣膀觥風藥ꚭ돧꺁藥蒰黧趽뷧讁苣趉꣨견볯ꦉ뷤뒁菣뎃苣꺁觧鎽臥ꊝ臣ꞁ臣覅믨誸臣鶷鯩膀戼㹲 림臣膀觥風藥ꚭ돧ꢅ돧ꮁ臣醁苣肜ꓥ较ꯩ膀戼㹲 ꎼ볯ꆼ猼扵砠汭獮樺㵰栢瑴㩰⼯睷⹷灪⹯潧樮≰漾橢⼼畳㹢臣膀觥風곧醼觧鎽臥것菣몂臣ꖅ냥馁苣뮸藥骷臣覅믨ꢁ臣ꪁ臣銧뫥꺁鳦Ꞥ胥膀戼㹲 ꎼ볯ꆼ猼扵砠汭獮樺㵰栢瑴㩰⼯睷⹷灪⹯潧樮≰椾杭⼼畳㹢臣膀菥ꊝ臣ꖅ냥馁苣뮸藥骷臣覅믨ꢁ臣ꪁ臣銧뫥꺁鳦Ꞥ胥膀戼㹲ꞁ臣誂胣㲁牢ਾ†꟨ꚺ臣ꎭ단꾁胣覅믨讁苣芙꣨麛苣꺁雦醐臣겸臣龁ꃥ袐臣銧뫥銂단膀迥芙꣨麛苣꺁雦醐臣겸臣龁臣趁臣銧뫥銂귦ꢁ臣讂胣㲂牢ਾ볯颻꣨薠볯銈볯鎼볯㲉牢ਾ†觥風곧醼菣뎃苣꒾臣膀觥風곧醼觧鎽臥것菣몂臣膀觥風곧醼觧鎽臥것菣몂臣ꎚ苣袐臣袂臣ꮁ藩꺽臣貂苣것菣몂臣銂鳦鞁胣醰臣辁臣节룤릖臣것菣몂臣ꎭ臣袱諦鮊苣膌臣鎁臣銂觧뒾臣馁苣颻꣨薠볯銈볯讁苣醼裢銼볯꺁臣骁苣讁룤薠臣風볨꺁藥ꚭ돧芀戼㹲袼믤風ꃩ醼裢銼볯覼戼㹲 趉꣨견볯ꦉ뷤뒁菣뎃苣꾁귦꺁뇥颊諥銂鳦馁苣鎁臣銂觧뒾臣馁苣颻꣨薠볯銈볯讁苣醼裢銼볯꺁臣骁苣讁룤薠臣風볨꺁藥ꚭ돧芀戼㹲袼믤風ꃩ醼裢銼볯覼戼㹲 ꖻ룤꺁鷦뚻볥袼볯鞼볯銂뫦뎶臣讂臣ꢁ苣릉뻥ꢁ臣讂믤風ꃩ醼裢醼臣覂볯銈볯钼臣蒁臣貂臣肸ꃩꮁ꣨覼臣覅귥뮳胣㲂牢ਾ†볯躼볯閼볯蚽猼扵砠汭獮樺㵰栢瑴㩰⼯睷⹷灪⹯潧樮≰䜾漱⼼畳㹢볯蚽†††볯鎼볯覼戼㹲 鎁臣ꞁ胣㲁牢ਾ†뷯㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁蓧릂럨ꊛ胣㲁牢ਾ†뷯꾁胣趉꣨覅귥뮳藥뮳臣Ꚅ苧鶷鯩膀戼㹲ꞁ臣讂胣㲂牢ਾ볯颻꣨薠볯銈볯隼볯㲉牢ਾ†觥風곧醼觧鎽臥것菣몂臣ꦉ뷤뒁鷩貁觧鎽臥ꮁ蟥ꞁ臣讂臣ꢁ苣릉뻥ꢁ臣讂믤風ꃩ醼裢醼臣覂볯銈볯閼臣蒁臣貂臣肸ꃩꮁ꣨覼臣覅귥뮳胣㲂牢ਾ볯颻꣨薠볯銈볯鞼볯㲉牢ਾ†믤许臣ꆝ믤込볯鎼볯覼苣肺뛨馁苣鎁臣銂觧뒾臣馁苣颻꣨薠볯銈볯讁苣醼裢銼볯꺁臣骁苣讁룤薠臣風볨꺁藥ꚭ돧芀戼㹲 邼볯邼볯鲼볯㲲畳⁢浸湬㩳灪∽瑨灴⼺眯睷樮潰朮⹯灪㸢ㅇ㱯猯扵込볯꒼†††볯鎼볯覼戼㹲 鎁臣ꞁ胣㲁牢ਾ†볯㲲畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣늛軧認뻥膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲ꞁ臣讂胣㲂牢ਾ볯颻꣨薠볯銈볯颼볯���牢ਾ†觥風곧銼菣뎃苣꒾臣膀鳦节菥뒁臣肉껥꺁菣뎃苣꒾苣覜臣膀戼㹲 趉꣨肉껥꺁菣뎃苣꒾臣ꢅ뷤ꞁ단꺁뇥颊諥銂鳦馁苣ꢁ藥ꮁ胣ꂲ菣뎃苣꺁뇥颊諥銂苣ꒁ跥것菣몂臣銼黦꺁菣뎃苣讁苣ꪁ苣膀戼㹲 趉꣨銼黦꺁菣뎃苣꾁胣ꦉ뷤뒁臣覂단꺁뇥颊諥銂苣ꒁ菣뎃苣ꢁ胣ꎭ臣龁臣ꂲ臣袱諦鮊苣膌臣것菣몂臣膀臣覂臣讂臣ꢁ苣릉뻥ꢁ臣讂믤風ꃩ醼裢醼臣覂볯銈볯鞼臣蒁臣貂臣肸ꃩꮁ꣨覼臣覅귥뮳胣㲂牢ਾ볯颻꣨薠볯銈볯馼볯㲉牢ਾ†觥風곧銼菥뒁菣뎃苣꺁菥뒁鷩貁菥뒁臣릇臣芁苣膀戼㹲 ꖻ룤꺁鷦뚻볥袼볯馼볯銂뫦뎶臣讂臣ꢁ苣릉뻥ꢁ臣讂믤風ꃩ醼裢醼臣覂볯銈볯颼臣蒁臣貂臣肸ꃩꮁ꣨覼臣覅귥뮳胣㲂牢ਾ†볯躼볯鲼볯㲲畳⁢浸湬㩳灪∽瑨灴⼺眯睷樮潰朮⹯灪㸢㉇㱩猯扵込볯ꚼ†††볯鎼볯覼戼㹲 鎁臣ꞁ胣㲁牢ਾ†볯㲲畳⁢浸湬㩳灪∽瑨灴⼺眯睷樮潰朮⹯灪㸢㉇㱩猯扵꾁胣趉꣨견볯较臥것菣몂臣较臥ꊝ臣늛軧認뻥膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀戼㹲袼믤風ꃩ醼裢鎼볯覼戼㹲 肉껥꺁菣뎃苣꒾苣誂苣ꦉ뷤뒁臣ꎭ菣뎃苣貁藩꺽臣貂胣㲁牢ਾ†觥風귦것菣몂臣肉껥꺁菣뎃苣꒾臣ꎚ苣袐臣袂臣ꮁ藩꺽臣貂臣蒁苣鎁臣銂觧뒾臣馁苣颻꣨薠볯銈볯颼臣風볨꺁藥ꚭ돧芀戼㹲袼믤風ꃩ醼裢鎼볯覼戼㹲 趉꣨견볯것菣몂뻧꾁胣肜苣较臥ꮁ藩꺽臣貂臣견볯较臥것菣몂苣覜臣膀戼㹲 趉꣨견볯较臥것菣몂臣较臥ꊝ臣较臥ꮁ蟥ꞁ臣誂胣㲁牢ਾ†믤许臣ꆝ믤込볯钼볯覼苣肺뛨馁苣鎁臣銂觧뒾臣馁苣颻꣨薠볯銈볯讁苣醼裢鎼볯꺁臣骁苣讁룤薠臣風볨꺁藥ꚭ돧芀戼㹲 邼볯銼볯늼猼扵砠汭獮樺㵰栢瑴㩰⼯睷⹷灪⹯潧樮≰䜾椱⼼畳㹢볯꒼猼扵砠汭獮樺㵰栢瑴㩰⼯睷⹷灪⹯潧樮≰䜾椱㱳猯扵‾††袼볯邼볯㲉牢ਾ†臣鎁臣膀戼㹲 늼猼扵砠汭獮樺㵰栢瑴㩰⼯睷⹷灪⹯潧樮≰䜾椱⼼畳㹢臣膀觥風곧醼菥뒁菣뎃苣꺁菥뒁鷩꺁鯦螎跥蒾胣㲁牢ਾ†볯㲤畳⁢浸湬㩳灪∽瑨灴⼺眯睷樮潰朮⹯灪㸢ㅇ獩⼼畳㹢臣膀觥風곧醼菥뒁菣뎃苣꺁菥뒁鷩讁苣趉꣨麵苣뺁臣꺁藥뢻룤꺁럨ꊛ胣㲁牢ਾ臣芁苣芀戼㹲袼믤風ꃩ醼裢鎼볯覼戼㹲 ꖻ룤꺁鷦뚻볥袼볯醼볯銂뫦뎶臣讂臣ꢁ苣릉뻥ꢁ臣讂믤風ꃩ醼裢醼臣覂볯銈볯醼臣蒁臣貂臣肸ꃩꮁ꣨覼臣覅귥뮳胣㲂牢ਾ†볯躼볯鲼뷯㲆畳⁢浸湬㩳灪∽瑨灴⼺眯睷樮潰朮⹯灪㸢ㅇ㱯猯扵込뷯㲆畳⁢浸湬㩳灪∽瑨灴⼺眯睷樮潰朮⹯灪㸢ㅇ⼼畳㹢볯銼볯ₐ††袼볯醼볯㲉牢ਾ†臣鎁臣膀戼㹲 蚽猼扵砠汭獮樺㵰栢瑴㩰⼯睷⹷灪⹯潧樮≰䜾漱⼼畳㹢臣膀觥風곧醼觧鎽臥것菣몂臣Ꚅ苧鶷鯩膀戼㹲 蚽猼扵砠汭獮樺㵰栢瑴㩰⼯睷⹷灪⹯潧樮≰䜾㰱猯扵꾁胣趉꣨���견볯것菣몂뻧꺁蓧릂럨ꊛ胣㲁牢ਾ臣芁苣芀戼㹲袼믤風ꃩ醼裢鎼볯覼戼㹲 ꖻ룤꺁鷦뚻볥袼볯銼볯銂뫦뎶臣讂臣ꢁ苣릉뻥ꢁ臣讂믤風ꃩ醼裢醼臣覂볯銈볯銼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰䜾洱湩⼼畳㹢裢醼볯캏蒽猼扵砠汭獮樺㵰栢瑴㩰⼯睷⹷灪⹯潧樮≰䜾洱硡⼼畳㹢†††볯钼볯覼戼㹲 鎁臣ꞁ胣㲁牢ਾ†뷎뷯㲄畳⁢浸湬㩳灪∽瑨灴⼺眯睷樮潰朮⹯灪㸢ㅇ業㱮猯扵꾁胣趉꣨견볯것菣몂뻧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣ꊂ菣馃闦꺁臣ꆁ胣肜ꓥꢁ臣讂苣莃菣낕胣㲁牢ਾ臣芁苣芀戼㹲袼믤風ꃩ醼裢鎼볯覼戼㹲 ꖻ룤꺁鷦뚻볥袼볯鎼볯銂뫦뎶臣讂臣ꢁ苣릉뻥ꢁ臣讂믤風ꃩ醼裢醼臣覂볯銈볯鎼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰䜾洲湩⼼畳㹢裢醼볯캏蒽猼扵砠汭獮樺㵰栢瑴㩰⼯睷⹷灪⹯潧樮≰䜾洲硡⼼畳㹢†††볯钼볯覼戼㹲 鎁臣ꞁ胣㲁牢ਾ†뷎뷯㲄畳⁢浸湬㩳灪∽瑨灴⼺眯睷樮潰朮⹯灪㸢㉇業㱮猯扵꾁胣趉꣨견볯것菣몂뻧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰䜾洲硡⼼畳㹢臣膀觥風곧銼菣뎃苣꒾苣讧裦馁苣것菣몂臣ꊂ菣馃闦꺁臣ꆁ胣肜ꓥꢁ臣讂苣莃菣낕胣㲁牢ਾ臣芁苣芀戼㹲袼믤風ꃩ醼裢鎼볯覼戼㹲 ꖻ룤꺁鷦뚻볥袼볯钼볯銂뫦뎶臣讂귦것菣몂苣醰臣辁臣节볯骞鳦馁苣鎁臣銂觧뒾臣馁苣颻꣨薠볯銈볯讁苣醼裢鎼볯꺁臣骁苣讁룤薠臣風볨꺁藥ꚭ돧芀戼㹲 邼볯閼볯鲼룎猼扵砠汭獮樺㵰栢瑴㩰⼯睷⹷灪⹯潧樮≰朾㱆猯扵鲼볯躼볯ₘ††袼볯钼볯㲉牢ਾ†臣鎁臣㲧牢ਾ†룎猼扵砠汭獮樺㵰栢瑴㩰⼯睷⹷灪⹯潧樮≰朾㱆猯扵꾁胣趉꣨ꎭ菣뎃苣꺁菩蚈裥ꎕ꿦ꞁ臣ꎁ臣膀룎猼扵砠汭獮樺㵰栢瑴㩰⼯睷⹷灪⹯潧樮≰朾㱆猯扵鶼볯躽뷯銈뷯ꚼ볯込볯躽볯銈뷯ꎼ볯ꞁꇨ閁苣膀戼㹲 躽볯膀뷯ꚼ胣躽뷯꾁胣鶁苣麁苣膀볯骷胣ꚼ럧膀뷯骷臣뺯臣讂뇥颊軧膀戼㹲ꞁ臣讂胣㲂牢ਾ볯颻꣨薠볯銈볯隼볯㲉牢ਾ†鷦뚻볥袼볯钼볯銂뫦뎶臣讂귦것菣몂臣膀觥風곧醼菣뎃苣꒾臣ꮐ臣貂臣蒁苣鎁臣銂觧뒾臣馁苣颻꣨薠볯銈볯閼臣風볨꺁藥ꚭ돧芀戼㹲袼믤風ꃩ醼裢鎼볯覼戼㹲 ꆝ믤込볯钼볯覼苣肺뛨馁苣ꎭ菣뎃苣貁胣ꖻ룤꺁鷦뚻볥袼볯閼볯銂뫦뎶臣讂臣ꢁ苣릉뻥ꢁ臣讂믤風ꃩ醼裢鎼볯袏臣醼裢鎼볯ꮁ꣨覼臣覅귥뮳胣㲂牢ਾ†볯躼볯鲼볯㲤畳⁢浸湬㩳灪∽瑨灴⼺眯睷樮潰朮⹯灪㸢ㅰ㱳猯扵込볯㲬畳⁢浸湬㩳灪∽瑨灴⼺眯睷樮���朮⹯灪㸢ㅇ㱳猯扵ꚉ볯ₑ††袼볯閼볯㲉牢ਾ†臣鎁臣膀戼㹲 ꒼猼扵砠汭獮樺㵰栢瑴㩰⼯睷⹷灪⹯潧樮≰瀾猱⼼畳㹢臣膀觥風귦것菣몂臣ꦉ뷤뒁鷩讁苣趉꣨麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ㱳猯扵꾁胣趉꣨견볯ꦉ뷤뒁菣뎃苣꺁觧鎽臥ꊝ臣覂觥風뗧誂臣ꞁ臣覅믨誸臣鶷鯩膀戼㹲ꞁ臣讂胣㲂牢ਾ볯颻꣨薠볯銈볯颼볯㲉牢ਾ†냥ꪁ臣ꢁ苣醼臣꺁鯥颊藥ꚭ듧邭苣覜臣讂臣ꢁ苣릉뻥ꢁ臣讂믤風ꃩ醼裢醼臣覂볯銈볯鞼臣蒁臣貂臣肸ꃩꮁ꣨覼臣覅귥뮳胣㲂牢ਾ볯颻꣨薠볯銈볯馼볯㲉牢ਾ†觥風뗧誂苣誂苣ꦉ뷤뒁臣ꖻ룤꺁鷦뚻볥袼볯颼볯銂뫦뎶臣讂뷤꺽臣膀냥ꪁ臣ꢁ苣醼臣꺁鯥颊藥ꚭ듧邭苣超뷧馁苣鎁臣銂觧뒾臣馁苣颻꣨薠볯銈볯讁苣醼裢鎼볯꺁臣骁苣讁룤薠臣風볨꺁藥ꚭ돧芀戼㹲 邼볯醼볯꒼猼扵砠汭獮樺㵰栢瑴㩰⼯睷⹷灪⹯潧樮≰䐾獌⼼畳㹢볯꒼猼扵砠汭獮樺㵰栢瑴㩰⼯睷⹷灪⹯潧樮≰䜾椱㱳猯扵‾††袼볯颼볯㲉牢ਾ†臣鎁臣膀戼㹲 ꒼猼扵砠汭獮樺㵰栢瑴㩰⼯睷⹷灪⹯潧樮≰䐾獌⼼畳㹢臣膀鯥颊藥ꚭ듧邭臣覂觥風뗧誂臣ꞁ臣覅믨誸臣鶷鯩膀戼㹲 ꒼猼扵砠汭獮樺㵰栢瑴㩰⼯睷⹷灪⹯潧樮≰䜾椱㱳猯扵꾁胣趉꣨견볯较臥것菣몂臣较臥ꊝ臣覂觥風뗧誂臣ꞁ臣覅믨誸臣鶷鯩膀戼㹲ꞁ臣讂胣㲂牢ਾ볯颻꣨薠볯銈볯邼볯㲉牢ਾ†觥風뗧誂苣誂苣较臥ꞁ믤许臣ꆝ믤込볯钼볯覼苣肺뛨馁苣趽뷧ꮁ胣醰臣辁臣节볯ꒁ臣麛諦覅귥ꂴ귥銂藩꺽臣讂臣ꢁ苣릉뻥ꢁ臣讂믤風ꃩ醼裢醼臣覂볯銈볯馼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢䑳㱌猯扵込볯㲬畳⁢浸湬㩳灪∽瑨灴⼺眯睷樮潰朮⹯灪㸢䝳㰲猯扵鲼볯躼볯ₙ††袼볯馼볯㲉牢ਾ†臣鎁臣膀戼㹲 ꒼猼扵砠汭獮樺㵰栢瑴㩰⼯睷⹷灪⹯潧樮≰猾䱄⼼畳㹢臣膀觥風뗧誂臣覂觥風鯥颊藥ꚭ듧邭臣ꞁ臣覅믨誸臣鶷鯩膀戼㹲 겼猼扵砠汭獮樺㵰栢瑴㩰⼯睷⹷灪⹯潧樮≰猾㉇⼼畳㹢臣膀觥風뗧誂臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ醼裢钼볯覼戼㹲 ꖻ룤꺁鷦뚻볥袼볯邼볯膀볯閼볯覼苣肺뛨馁苣ꂲ菣뎃苣銂鳦馁苣鎁臣銂觧뒾臣馁苣颻꣨薠볯銈볯讁苣醼裢钼볯꺁臣骁苣讁룤薠臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢ㅮ⼼畳㹢裢醼볯캏蒽猼扵砠汭獮樺㵰栢瑴㩰⼯睷⹷灪⹯潧樮≰䜾洱硡⼼畳㹢†††볯閼볯覼戼㹲 邼볯꒼猼扵砠汭獮樺㵰栢瑴㩰⼯睷⹷灪⹯潧樮≰渾猱⼼畳㹢볯꒼猼扵砠汭獮樺㵰栢瑴㩰⼯睷⹷灪⹯潧樮≰漾㱳猯扵鲼볯躼볯ₓ††袼볯醼볯㲉牢ਾ†臣鎁臣膀戼㹲 츠蒽猼扵砠汭獮樺㵰栢瑴㩰⼯睷⹷灪⹯潧樮≰渾㰱猯扵꾁胣趉꣨ꂲ菣뎃苣꺁苣莃菣낕胣㲁牢ਾ†���뷯㲄畳⁢浸湬㩳灪∽瑨灴⼺眯睷樮潰朮⹯灪㸢ㅇ慭㱸猯扵꾁胣趉꣨견볯것菣몂뻧銂꟦邈臣讂菣뎃苣꺁苣莃菣낕臣蚁臣膀鳦Ꞥ臣ꪁ苣ꊂ菣馃闦膀戼㹲 ꒼猼扵砠汭獮樺㵰栢瑴㩰⼯睷⹷灪⹯潧樮≰渾猱⼼畳㹢臣膀觥風단것菣몂臣ꦉ뷤뒁鷩讁苣趉꣨麵苣뺁臣꺁藥뢻룤꺁럨ꊛ胣㲁牢ਾ†볯㲤畳⁢浸湬㩳灪∽瑨灴⼺眯睷樮潰朮⹯灪㸢獯⼼畳㹢臣膀觧鎽臣覂觥風뗧誂臣ꞁ臣覅믨誸臣鶷鯩膀戼㹲ꞁ臣讂胣㲂牢ਾ볯颻꣨薠볯銈볯銼볯㲉牢ਾ†믤许臣ꆝ믤込볯閼볯覼苣肺뛨馁苣趽뷧ꮁ단것菣몂苣覜臣讂臣ꢁ苣릉뻥ꢁ臣讂믤風ꃩ醼裢醼臣覂볯銈볯醼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢湳㰳猯扵込볯㲤畳⁢浸湬㩳灪∽瑨灴⼺眯睷樮潰朮⹯灪㸢楳⼼畳㹢볯醼†††볯閼볯覼戼㹲 鎁臣ꞁ胣㲁牢ਾ†볯㲤畳⁢浸湬㩳灪∽瑨灴⼺眯睷樮潰朮⹯灪㸢湳㰳猯扵꾁胣趉꣨麵苣讁苣趉꣨ꂲ菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楳⼼畳㹢臣膀觥風뗧誂臣覂菥뺁臣꺁藥뢻룤꺁럨ꊛ胣㲁牢ਾ臣芁苣芀戼㹲袼믤風ꃩ醼裢钼볯覼戼㹲 颻꣨薠볯銈볯讁苣醼裢钼볯꺁臣骁苣讁룤薠臣風볨꺁藥ꚭ돧ꢁ胣㲁牢ਾ†鋦较듧邭臣膀苣馂臣讂臣ꢁ苣릉뻥ꢁ臣讂鋦较ꏨ꺽胣㲂牢ਾ볯颻꣨薠볯銈볯钼볯㲉牢ਾ†믤風ꃩ醼裢钼볯ꮁ꣨覼臣꺒菥薣뷧ꢁ胣㲁牢ਾ†觧鎽苣鶿賦馁苣릂菣벃苣ꢁ胣㲁牢ਾ†觧鎽苣ꞅ飦馁苣ꞅ飦薣뷧ꢁ胣銂鳦馁苣鎁臣銂觧뒾臣馁苣꺒菥랂苣蚃菣芀戼㹲袼믤風ꃩ醼裢钼볯覼戼㹲 趉꣨꺒菥薣뷧ꢁ觥風苣蚃菣뢂臣貁룤鎽臣ꪁ臣ꚁ臣讂臣ꢁ觧뒾臣馁苣颻꣨薠볯銈볯钼臣風볨꺁鋦较苣릂菣ꂃ胣ં⼼䥄㹖㰊䥄㹖䐼噉邀볯醼볯鎼胣㲑䐯噉ਾ볯颻꣨薠볯銈볯覼戼㹲 覅볥ꚺ苣뮛냦ꆿ迥ꮁꓥ鮏臣讂볯ꆬ藥蒚臣超裥閁苣龁ꓨ낕臣뮔듧ꢁ胣趉꣨螤闦꺁铧ꂴ臣蒐胣ꮁ藩꺽臣貂苣螤闦꺁觨閃苣ꮃ苣ꢁ胣銂若袁臣꺒菥ꂴ귥誸臣覅귥较苣ꊽ裦馁苣覅귥뮳臣芁臣ꚁ胣㲁牢ਾ†觥風藥ꚭ돧꾁胣ꦉ뷤뒁苣誂ꃩꮁ胣㲁牢ਾ†ꓨ낕臣것菣몂臣覂臣讂곧醼菣뎃苣꒾臣膀戼㹲 麵苣ꢁ胣㲁牢ਾ†ꓨ낕臣것菣몂臣覂臣讂곧銼菣뎃苣꒾臣膀苣覜臣膀戼㹲 趉꣨覅귥뮳苣讧裦馁苣것菣몂뻧꾁胣趉꣨견볯것菣몂뻧ꢁ觥風곧銼菣뎃苣꒾臣讁苣ꪁ苣膀戼㹲 趉꣨견볯것菣몂뻧꾁胣肜苣ꦉ뷤뒁臣超뷧閁苣龁곧醼觧鎽臥것菣몂苣覜臣膀戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯隼볯膀볯銼볯覼胣袼볯鎼裢醼볯膀볯銼볯銈볯覼苣肺뛨馁苣鎁臣銂觧뒾臣馁苣覅귥뮳胣㲂牢ਾ†볯躼볯���볯꺼볯₡††袼볯隼볯㲉牢ਾ†볯躼볯醼볯꒼猼扵砠汭獮樺㵰栢瑴㩰⼯睷⹷灪⹯潧樮≰派硡⼼畳㹢볯쾏㲆畳⁢浸湬㩳灪∽瑨灴⼺眯睷樮潰朮⹯灪㸢㱳猯扵鲼볯躼볯ₐ††袼볯醼볯㲉牢ਾ†볯躼볯ꚉ볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢†††볯銼볯銈볯覼戼㹲 邼볯邼볯閼볯醼볯캏蒽猼扵砠汭獮樺㵰栢瑴㩰⼯睷⹷灪⹯潧樮≰派湩⼼畳㹢裢醼볯캏蒽猼扵砠汭獮樺㵰栢瑴㩰⼯睷⹷灪⹯潧樮≰派硡⼼畳㹢†††볯銼볯銈볯覼戼㹲 鎁臣ꞁ胣㲁牢ਾ†볯ꆼ臣膀觥風藥ꚭ돧꺁觧鎽臥꺁雩ꎏ闦膀戼㹲 ꒼猼扵砠汭獮樺㵰栢瑴㩰⼯睷⹷灪⹯潧樮≰派硡⼼畳㹢臣膀觥風藥ꚭ돧ꮁ臣醁苣ꎚ苣袐臣것菣몂臣覅믨誸臣鎖髩꺁臣ꆁ胣肜ꓥꢁ臣讂雩钚胣㲁牢ਾ†蛏猼扵砠汭獮樺㵰栢瑴㩰⼯睷⹷灪⹯潧樮≰猾⼼畳㹢臣膀觥風뗧誂臣뒛뻥膀戼㹲 겼猼扵砠汭獮樺㵰栢瑴㩰⼯睷⹷灪⹯潧樮≰䰾⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 ꒼猼扵砠汭獮樺㵰栢瑴㩰⼯睷⹷灪⹯潧樮≰漾㱩猯扵꾁胣ꦉ뷤讁苣较臣ꞁ臣覅믨誸臣鶷鯩膀戼㹲 츠蒽猼扵砠汭獮樺㵰栢瑴㩰⼯睷⹷灪⹯潧樮≰派湩⼼畳㹢臣膀觥風藥ꚭ돧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰派硡⼼畳㹢臣膀觥風藥ꚭ돧銂꟦邈臣讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯銈볯覼戼㹲 ꖻ룤꺁鷦뚻볥袼볯閼볯膀볯鎼볯覼苣肺뛨馁苣鎁臣銂觧뒾臣馁苣颻꣨薠볯銈볯ꮁ꣨覼臣覅귥뮳胣㲂牢ਾ†볯躼볯鲼볯㲤畳⁢浸湬㩳灪∽瑨灴⼺眯睷樮潰朮⹯灪㸢久㱐猯扵込볯₹††袼볯閼볯㲉牢ਾ†볯ꚉ볯늼볯㲡畳⁢浸湬㩳灪∽瑨灴⼺眯睷樮潰朮⹯灪㸢扯㱪猯扵込볯늼볯㲡畳⁢浸湬㩳灪∽瑨灴⼺眯睷樮潰朮⹯灪㸢浩㱧猯扵鲼볯躼볯ₕ††袼볯隼볯㲉牢ਾ†臣鎁臣膀戼㹲 ꒼猼扵砠汭獮樺㵰栢瑴㩰⼯睷⹷灪⹯潧樮≰䔾偎⼼畳㹢臣膀觥風藥ꚭ돧꺁藥蒰黧趽뷧讁苣趉꣨견볯ꦉ뷤뒁菣뎃苣꺁觧鎽臥ꊝ臣ꞁ臣覅믨誸臣鶷鯩膀戼㹲 림臣膀觥風藥ꚭ돧ꢅ돧ꮁ臣醁苣肜ꓥ较ꯩ膀戼㹲 ꎼ볯ꆼ猼扵砠汭獮樺㵰栢瑴㩰⼯睷⹷灪⹯潧樮≰漾橢⼼畳㹢臣膀觥風곧醼觧鎽臥것菣몂臣ꖅ냥馁苣뮸藥骷臣覅믨ꢁ臣ꪁ臣銧뫥꺁鳦Ꞥ胥膀戼㹲 ꎼ볯ꆼ猼扵砠汭獮樺㵰栢瑴㩰⼯睷⹷灪⹯潧樮≰椾杭⼼畳㹢臣膀菥ꊝ臣ꖅ냥馁苣뮸藥骷臣覅믨ꢁ臣ꪁ臣銧뫥꺁鳦Ꞥ胥膀戼㹲ꞁ臣誂胣㲁牢ਾ†꟨ꚺ臣ꎭ단꾁胣覅믨讁苣芙꣨麛苣꺁雦醐臣겸臣龁ꃥ袐臣銧뫥銂단膀迥芙꣨麛苣꺁雦醐臣겸臣龁臣趁臣銧뫥銂귦ꢁ臣讂胣㲂牢ਾ볯颻꣨薠볯銈볯覼戼㹲 ꖻ룤꺁鷦뚻볥袼볯閼裢醼볯銂뫦뎶臣讂臣ꢁ苣릉뻥ꢁ臣讂믤風ꃩ銼裢醼迥꾁���銈볯ꮁ꣨覼臣覅귥뮳胣㲂牢ਾ†볯躼볯閼볯꒼猼扵砠汭獮樺㵰栢瑴㩰⼯睷⹷灪⹯潧樮≰漾㱳猯扵込볯㲤畳⁢浸湬㩳灪∽瑨灴⼺眯睷樮潰朮⹯灪㸢楯⼼畳㹢볯邼볯隼볯ₕ††袼볯閼裢醼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣趉꣨麵苣뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ銼裢钼볯㲉牢ਾ†믤许臣ꆝ믤込볯銼볯覼苣肺뛨馁苣鎁臣銂觧뒾臣馁苣颻꣨薠볯銈볯讁苣銼裢鎼臣蒁臣貂臣肸ꃩꮁ꣨覼臣覅귥뮳胣㲂牢ਾ†볯鲼볯ꚼ볯겼猼扵砠汭獮樺㵰栢瑴㩰⼯睷⹷灪⹯潧樮≰䰾⼼畳㹢볯邼볯钼†††볯銼볯覼戼㹲 鎁臣ꞁ胣㲁牢ਾ†볯ꚼ臣膀觥風곧銼菥뒁菣뎃苣꺁菥뒁鷩讁苣较臣ꞁ臣覅믨誸臣鶷鯩膀戼㹲 겼猼扵砠汭獮樺㵰栢瑴㩰⼯睷⹷灪⹯潧樮≰䰾⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯覼戼㹲 趉꣨견볯것菣몂뻧꾁胣肜苣较臥ꮁ触骮臣것菣몂뻧銂鳦鞁胣㲁牢ਾ†觥風触骮臣것菣몂뻧꾁藥鎽臣ꂲ臣袱諦鮊苣覜臣讂臣놅臣膀단것菣몂臣袱諦鮊苣节臣颍菣뎃苣讁볯骞臣것菣몂臣覂臣誂胣㲁牢ਾ†觥風볯骞臣것菣몂臣膀觧鎽臥讁苣ꂲ臣袱諦鮊苣节臣것菣몂臣膀귦뺁臣꾁단꺁뇥颊諥銂賦ꒁ菣뎃苣ꢁ胣讁苣ꪁ苣鎁臣銂觧뒾臣馁苣颻꣨薠볯銈볯讁苣銼裢钼臣蒁臣貂臣肸ꃩꮁ꣨覼臣覅귥뮳胣㲂牢ਾ볯颻꣨薠볯銈볯覼戼㹲 趉꣨견볯것菣몂뻧꾁胣肜苣较臥ꮁ藩꺽臣貂臣견볯较臥것菣몂苣覜臣膀戼㹲 趉꣨견볯较臥것菣몂臣较臥ꊝ臣较臥ꮁ蟥ꞁ臣誂胣㲁牢ਾ†믤许臣ꆝ믤込볯钼볯覼苣肺뛨馁苣鎁臣銂觧뒾臣馁苣颻꣨薠볯銈볯讁苣銼裢閼臣蒁臣貂臣肸ꃩꮁ꣨覼臣覅귥뮳胣㲂牢ਾ†볯躼볯鲼볯㲲畳⁢浸湬㩳灪∽瑨灴⼺眯睷樮潰朮⹯灪㸢ㅇ㱩猯扵込볯㲤畳⁢浸湬㩳灪∽瑨灴⼺眯睷樮潰朮⹯灪㸢ㅇ獩⼼畳㹢†††볯钼볯覼戼㹲 鎁臣ꞁ胣㲁牢ਾ†볯㲲畳⁢浸湬㩳灪∽瑨灴⼺眯睷樮潰朮⹯灪㸢ㅇ㱩猯扵꾁胣趉꣨견볯较臥것菣몂臣较臥ꊝ臣늛軧認뻥膀戼㹲 ꒼猼扵砠汭獮樺㵰栢瑴㩰⼯睷⹷灪⹯潧樮≰䜾椱㱳猯扵꾁胣趉꣨견볯较臥것菣몂臣较臥ꊝ臣覂觥風뗧誂臣ꞁ臣覅믨誸臣鶷鯩膀戼㹲ꞁ臣讂胣㲂牢ਾ볯颻꣨薠볯銈볯覼戼㹲 趉꣨견볯것菣몂뻧ꮁ苣ꎁ臣ꦉ뷤꺁藥립菥貁뷥邈臣貂胣㲁牢ਾ†觥風곧銼菣뎃苣꒾臣袂臣ꚁ觧鎽臣肜뗧较臣ꊽ裦閁苣膀戼㹲 ꖻ룤꺁鷦뚻볥袼볯颼볯銂뫦뎶臣讂臣ꢁ苣릉뻥ꢁ臣讂믤風ꃩ銼裢醼臣覂볯銈볯꺁臣骁苣讁룤薠臣風볨꺁藥ꚭ돧芀戼㹲 ���볯邼볯袼铎볯㲤畳⁢浸湬㩳灪∽瑨灴⼺眯睷樮潰朮⹯灪㸢㉇䍤⼼畳㹢볯袼铎볯㲤畳⁢浸湬㩳灪∽瑨灴⼺眯睷樮潰朮⹯灪㸢ㅇ䍤⼼畳㹢韃닎猼扵砠汭獮樺㵰栢瑴㩰⼯睷⹷灪⹯潧樮≰䜾䌲⼼畳㹢猼灵砠汭獮樺㵰栢瑴㩰⼯睷⹷灪⹯潧樮≰銼⼼畳㹰볯袼볯讼닎猼扵砠汭獮樺㵰栢瑴㩰⼯睷⹷灪⹯潧樮≰䜾䌲⼼畳㹢韃铎볯㲤畳⁢浸湬㩳灪∽瑨灴⼺眯睷樮潰朮⹯灪㸢ㅇ䍤⼼畳㹢볯蚽猼扵砠汭獮樺㵰栢瑴㩰⼯睷⹷灪⹯潧樮≰䜾䌲⼼畳㹢볯覼볯込뗎猼扵砠汭獮樺㵰栢瑴㩰⼯睷⹷灪⹯潧樮≰搾⼼畳㹢볯鎼볯ₐ††袼볯颼볯㲉牢ਾ†臣鎁臣膀戼㹲 츠꒼猼扵砠汭獮樺㵰栢瑴㩰⼯睷⹷灪⹯潧樮≰䜾搱㱃猯扵꾁胣覅믨誸臣ꦉ苧ꮁ꿥馁苣趉꣨견볯것菣몂뻧꺁菥릂臣誁臣ꚁ胣蒽럧ꮁ臣醁苣较苧낼猼扵砠汭獮樺㵰栢瑴㩰⼯睷⹷灪⹯潧樮≰䜾㰱猯扵꺁뷤꺽臣覂볯骷臣誁臣讂菥릂臣趽뷧뺁臣꺁럨ꊛ胣㲁牢ਾ†铎볯㲤畳⁢浸湬㩳灪∽瑨灴⼺眯睷樮潰朮⹯灪㸢㉇䍤⼼畳㹢臣膀觥風菥릂볯㲰畳⁢浸湬㩳灪∽瑨灴⼺眯睷樮潰朮⹯灪㸢ㅇ⼼畳㹢苣ꦉ苧ꢁ臣龁臣趁臣趉꣨견볯것菣몂뻧꺁菥릂臣誁臣ꚁ胣蒽럧ꮁ臣醁苣较苧꺁뷤꺽臣覂볯骷臣誁臣讂菥릂臣趽뷧뺁臣꺁럨ꊛ胣ꞁ臣ꎁ臣膀戼㹲 츠꒼猼扵砠汭獮樺㵰栢瑴㩰⼯睷⹷灪⹯潧樮≰䜾搱㱃猯扵ꢁ铎볯㲤畳⁢浸湬㩳灪∽瑨灴⼺眯睷樮潰朮⹯灪㸢㉇䍤⼼畳㹢臣ꎭ단꾁胣趉꣨ꎼ럧ꮁ臣醁苣较苧꺁뷤꺽臣趉꣨蒽럧ꮁ臣醁苣较苧꺁뷤꺽苣誂苣较臥ꮁ臣讂ꃥ袐苣ꎭ胣趉꣨ꎼ럧ꮁ臣醁苣较苧꺁뷤꺽臣趉꣨蒽럧ꮁ臣醁苣较苧꺁뷤꺽苣誂苣㲂⁵浸湬㩳灪∽瑨灴⼺眯睷樮潰朮⹯灪㸢觧鎽⼼㹵臥ꮁ臣讂ꃥ袐苣ꂲ臣鞁胣㲁牢ਾ†닎猼扵砠汭獮樺㵰栢瑴㩰⼯睷⹷灪⹯潧樮≰䜾䌲⼼畳㹢臣膀觥風菥릂볯㲰畳⁢浸湬㩳灪∽瑨灴⼺眯睷樮潰朮⹯灪㸢ㅇ⼼畳㹢苣ꦉ苧ꢁ臣龁臣趁臣趉꣨견볯것菣몂뻧꺁볯骷臣誁臣讂뗧较胥螎胣㲁牢ਾ†뷯㲆畳⁢浸湬㩳灪∽瑨灴⼺眯睷樮潰朮⹯灪㸢㉇㱃猯扵꾁胣趉꣨견볯것菣몂뻧꺁볯骷臣誁臣讂蓧릂럨ꊛ胣㲁牢ਾ†뗎猼扵砠汭獮樺㵰栢瑴㩰⼯睷⹷灪⹯潧樮≰搾⼼畳㹢臣膀觥風藥ꚭ돧꺁菥뒁臣讖迥낕臣몱臣讂뷯骷臣꺁苣ꊂ菣벃菣ꎂ苣꾂跥蒾胣㲁牢ਾ臣芁苣膀戼㹲 ꦉ苧膀菥릂臣鶁苣麁苣覅믨誸臣릂臣芁苣膀駨ꦉ苧膀駨较苧ꞁ臣讂ꃥ袐苣ꮐ苣芀戼㹲袼믤風ꃩ銼裢颼볯㲉牢ਾ†믤许臣ꆝ믤込볯銼볯覼苣肺뛨馁苣鎁臣銂觧뒾臣馁苣颻꣨薠볯銈볯讁苣銼裢鞼臣蒁臣貂臣肸ꃩꮁ꣨覼臣覅귥뮳胣㲂牢ਾ†볯躼볯醼觢꒼猼扵砠汭獮樺㵰栢瑴㩰⼯睷⹷灪⹯潧樮≰䜾洱硡⼼畳㹢볯쾏㲆畳⁢浸湬㩳灪∽瑨灴⼺眯睷樮潰朮⹯灪㸢㱳猯扵鲼볯躼볯ₐ††袼볯銼볯㲉牢ਾ†臣鎁臣膀戼㹲 ꒼猼扵砠汭獮樺㵰栢瑴㩰⼯睷⹷灪⹯潧樮≰䜾洱硡⼼畳㹢臣膀觥風곧醼菣뎃苣꒾臣誁臣讂髩誂郥蚁菣뎃苣꺁藥뢻룤꺁雩钚臣蚁臣膀鳦Ꞥ臣ꪁ苣鎖髩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁���芀戼㹲袼믤風ꃩ銼裢馼볯㲉牢ਾ†믤许臣ꆝ믤込볯銼볯覼苣肺뛨馁苣鎁臣銂觧뒾臣馁苣颻꣨薠볯銈볯讁苣銼裢颼臣蒁臣貂臣肸ꃩꮁ꣨覼臣覅귥뮳胣㲂牢ਾ†볯躼볯閼볯쾜㲆畳⁢浸湬㩳灪∽瑨灴⼺眯睷樮潰朮⹯灪㸢ㅇ㱯猯扵込볯銼韃볯込뷯캜鲽볯₉††袼볯隼볯㲉牢ਾ†蛏猼扵砠汭獮樺㵰栢瑴㩰⼯睷⹷灪⹯潧樮≰䜾漱⼼畳㹢臣膀觥風곧醼觧鎽臥것菣몂臣ꦉ뷤뒁鷩꺁鳦릊迥蒾胣㲁牢ਾ†볯꾁胣趉꣨覅귥뮳藥뮳臣誁臣讂鳦Ꞥ菥颫胣㲁牢ਾ†닎臣膀觥風藥ꚭ돧꺁뗧较胥螎胣㲁牢ਾ臣芁苣芀戼㹲袼믤風ꃩ銼裢醼볯覼戼㹲 ꖻ룤꺁鷦뚻볥袼볯颼볯銂뫦뎶臣讂臣ꢁ苣릉뻥ꢁ臣讂믤風ꃩ銼裢醼臣覂볯銈볯꺁臣骁苣讁룤薠臣風볨꺁藥ꚭ돧芀戼㹲 邼볯ꊼ볯込볯鲼볯躼볯ₐ††袼볯颼볯㲉牢ਾ†臣鎁臣膀戼㹲 ꊼ볯꾁胣趉꣨견볯较臥것菣몂臣较臥ꊝ臣覂菥뺁臣꺁藥뢻룤꺁럨ꊛ胣㲁牢ਾ†볯꾁胣趉꣨覅귥뮳藥뮳臣誁臣讂鳦Ꞥ菥颫胣㲁牢ਾ臣芁苣芀戼㹲袼믤風ꃩ銼裢醼볯覼戼㹲 趉꣨견볯것菣몂뻧꾁胣钼黦꺁菣뎃苣銂鳦鞁胣㲁牢ਾ†觥風볯骞臣것菣몂臣蚁臣醰臣辁臣节볯骞臣ꂲ菣뎃苣ꞁ胣醰臣辁臣节볯骞臣ꎭ菣뎃苣ꞁ臣誂胣㲁牢ਾ†觥風귦것菣몂臣蚁臣肜苣ꦉ뷤뒁臣趽뷧馁苣ꎭ菣뎃苣꺁觧鎽臥ꊝ臣膀觧鎽臥ꮁ蟥ꊝ臣芁苣鎁臣銂觧뒾臣馁苣颻꣨薠볯銈볯讁苣銼裢醼볯꺁臣骁苣讁룤薠臣風볨꺁藥ꚭ돧芀戼㹲袼믤風ꃩ銼裢醼볯覼戼㹲 趉꣨견볯것菣몂뻧꾁胣肜苣较臥ꮁ藩꺽臣貂臣견볯较臥것菣몂苣覜臣膀戼㹲 趉꣨麵苣꺁룤뒁臣趽뷧馁苣銼臣꺁菣뎃苣꺁雩钚臣肸껥ꞁ臣誂胣㲁牢ਾ†믤许臣ꆝ믤込볯鎼볯覼苣肺뛨馁苣鎁臣銂觧뒾臣馁苣颻꣨薠볯銈볯讁苣銼裢醼볯꺁臣骁苣讁룤薠臣風볨꺁藥ꚭ돧芀戼㹲 ꒼猼扵砠汭獮樺㵰栢瑴㩰⼯睷⹷灪⹯潧樮≰䜾䜱㰲猯扵込蛏猼扵砠汭獮樺㵰栢瑴㩰⼯睷⹷灪⹯潧樮≰猾⼼畳㹢볯銼볯邼†††볯鎼볯覼戼㹲 鎁臣ꞁ胣㲁牢ਾ†볯㲤畳⁢浸湬㩳灪∽瑨灴⼺眯睷樮潰朮⹯灪㸢ㅇ㉇⼼畳㹢臣膀觥風곧醼菥뒁菣뎃苣꺁菥뒁鷩讁苣趉꣨견볯ꦉ뷤뒁菣뎃苣꺁觧鎽臥ꊝ臣ꞁ臣覅믨誸臣鶷鯩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ銼裢醼볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯醼볯銂뫦뎶臣讂臣ꢁ苣릉뻥ꢁ臣讂믤風ꃩ銼裢醼臣覂볯銈볯銼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢ㅇ⼼畳㹢볯겼猼扵砠汭獮樺㵰栢瑴㩰⼯睷⹷灪⹯潧樮≰䜾㰲猯扵鲼볯躼볯ₕ††袼볯醼볯㲉牢ਾ†臣鎁臣膀戼��� 겼猼扵砠汭獮樺㵰栢瑴㩰⼯睷⹷灪⹯潧樮≰䜾㰱猯扵꾁胣趉꣨견볯ꦉ뷤뒁菣뎃苣꺁觧鎽臥ꊝ臣覂觥風곧醼菥뒁菣뎃苣꺁菥뒁鷩뺁臣꺁藥뢻룤꺁럨ꊛ胣㲁牢ਾ†볯㲬畳⁢浸湬㩳灪∽瑨灴⼺眯睷樮潰朮⹯灪㸢㉇⼼畳㹢臣膀觥風곧銼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯钼볯㲉牢ਾ†믤许臣ꆝ믤込볯鎼볯覼苣肺뛨馁苣鎁臣銂觧뒾臣馁苣颻꣨薠볯銈볯讁苣銼裢醼볯꺁臣骁苣讁룤薠臣風볨꺁藥ꚭ돧芀戼㹲 邼볯醼볯겼猼扵砠汭獮樺㵰栢瑴㩰⼯睷⹷灪⹯潧樮≰䜾猱⼼畳㹢볯겼猼扵砠汭獮樺㵰栢瑴㩰⼯睷⹷灪⹯潧樮≰猾㉇⼼畳㹢볯醼볯閼†††볯鎼볯覼戼㹲 鎁臣ꞁ胣㲁牢ਾ†볯㲬畳⁢浸湬㩳灪∽瑨灴⼺眯睷樮潰朮⹯灪㸢ㅇ㱳猯扵꾁胣趉꣨견볯ꦉ뷤뒁菣뎃苣꺁觧鎽臥ꊝ臣覂뗧誂臣ꞁ臣覅믨誸臣鶷鯩膀戼㹲 겼猼扵砠汭獮樺㵰栢瑴㩰⼯睷⹷灪⹯潧樮≰猾㉇⼼畳㹢臣膀觥風뗧誂臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ銼裢醼볯覼戼㹲 ꖻ룤꺁鷦뚻볥袼볯鎼볯銂뫦뎶臣讂臣ꢁ苣릉뻥ꢁ臣讂믤風ꃩ銼裢醼臣覂볯銈볯钼臣蒁臣貂臣肸ꃩꮁ꣨覼臣覅귥뮳胣㲂牢ਾ†볯躼볯ꚉ蛏猼扵砠汭獮樺㵰栢瑴㩰⼯睷⹷灪⹯潧樮≰䜾洱硡⼼畳㹢볯쾏㲆畳⁢浸湬㩳灪∽瑨灴⼺眯睷樮潰朮⹯灪㸢㉇慭㱸猯扵鲼볯躼볯ₐ††袼볯鎼볯㲉牢ਾ†臣鎁臣膀戼㹲 켠㲆畳⁢浸湬㩳灪∽瑨灴⼺眯睷樮潰朮⹯灪㸢ㅇ慭㱸猯扵꾁胣趉꣨견볯것菣몂뻧銂꟦邈臣讂菣뎃苣꺁鳦릊迥蒾臣蚁臣膀鳦Ꞥ臣ꪁ苣覜諥ꎏ뻥膀戼㹲 켠㲆畳⁢浸湬㩳灪∽瑨灴⼺眯睷樮潰朮⹯灪㸢㉇慭㱸猯扵꾁胣趉꣨견볯것菣몂뻧銂꟦邈臣讂菣뎃苣꺁鳦릊迥蒾臣蚁臣膀鳦Ꞥ臣ꪁ苣覜諥ꎏ뻥膀戼㹲ꞁ臣讂胣㲂牢ਾ볯颻꣨薠볯銈볯隼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯鎼볯覼苣肺뛨馁苣鎁臣銂觧뒾臣馁苣颻꣨薠볯銈볯讁苣醼裢醼볯꺁臣骁苣讁룤薠臣風볨꺁藥ꚭ돧芀戼㹲 邼볯閼볯꒼猼扵砠汭獮樺㵰栢瑴㩰⼯睷⹷灪⹯潧樮≰漾㱳猯扵込볯㲬畳⁢浸湬㩳灪∽瑨灴⼺眯睷樮潰朮⹯灪㸢ㅇ⼼畳㹢볯钼볯邼†††볯鎼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂뗧誂臣ꞁ臣覅믨誸臣鶷鯩膀戼㹲 겼猼扵砠汭獮樺㵰栢瑴㩰⼯睷⹷灪⹯潧樮≰䜾㰱猯扵꾁胣趉꣨견볯ꦉ뷤뒁菣뎃苣꺁觧鎽臥ꊝ臣覂觥風곧醼菥뒁菣뎃苣꺁菥뒁鷩뺁臣꺁藥뢻룤꺁럨ꊛ胣㲁牢ਾ臣芁苣芀戼㹲袼믤風ꃩ銼裢醼볯覼戼㹲 趉꣨견볯것菣몂뻧꾁胣趉꣨견볯ꦉ뷤뒁菣뎃苣ꢁ胣趉꣨견볯ꦉ뷤뒁菣뎃苣ꮁ髩誂郥蚁苣蚁臣超뷧閁苣讂菣뎃苣ꢁ苣覜臣膀냥ꪁ���ꢁ苣肸雦꺁菣뎃苣貁귦꺁뇥颊諥銂賦ꒁ臣ꢁ苣릉뻥ꢁ臣讂믤風ꃩ銼裢醼臣覂볯銈볯隼臣蒁臣貂臣肸ꃩꮁ꣨覼臣覅귥뮳胣㲂牢ਾ볯颻꣨薠볯銈볯颼볯㲉牢ਾ†觥風곧醼觧鎽臥것菣몂臣ꂲ臣袱諦鮊苣覜臣讂臣ꢁ苣릉뻥ꢁ臣讂믤風ꃩ銼裢醼臣覂볯銈볯鞼臣蒁臣貂臣肸ꃩꮁ꣨覼臣覅귥뮳胣㲂牢ਾ볯颻꣨薠볯銈볯馼볯㲉牢ਾ†믤许臣ꆝ믤込볯鎼볯銈볯覼苣肺뛨馁苣鎁臣銂觧뒾臣馁苣颻꣨薠볯銈볯讁苣銼裢醼볯꺁臣骁苣讁룤薠臣風볨꺁藥ꚭ돧芀戼㹲 蚽猼扵砠汭獮樺㵰栢瑴㩰⼯睷⹷灪⹯潧樮≰䜾漱⼼畳㹢볯蚽볯銈볯躼볯醼†††볯鎼볯銈볯覼戼㹲 鎁臣ꞁ胣㲁牢ਾ†뷯㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁蓧릂럨ꊛ胣㲁牢ਾ†뷯꾁胣趉꣨覅귥뮳藥뮳臣Ꚅ苧鶷鯩膀戼㹲ꞁ臣讂胣㲂牢ਾ볯颻꣨薠볯銈볯邼볯㲉牢ਾ†觥風곧醼觧鎽臥것菣몂臣ꦉ뷤뒁鷩貁觧鎽臥ꮁ蟥ꞁ臣讂臣ꢁ苣릉뻥ꢁ臣讂믤風ꃩ銼裢醼臣覂볯銈볯馼臣蒁臣貂臣肸ꃩꮁ꣨覼臣覅귥뮳胣㲂牢ਾ볯颻꣨薠볯銈볯醼볯㲉牢ਾ†믤许臣ꆝ믤込볯鎼볯銈볯覼苣肺뛨馁苣鎁臣銂觧뒾臣馁苣颻꣨薠볯銈볯讁苣銼裢銼볯꺁臣骁苣讁룤薠臣風볨꺁藥ꚭ돧芀戼㹲 늼猼扵砠汭獮樺㵰栢瑴㩰⼯睷⹷灪⹯潧樮≰䜾漱⼼畳㹢볯랼볯鲼裢邼볯醼†††볯鎼볯銈볯覼戼㹲 鎁臣ꞁ胣㲁牢ਾ†볯㲲畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣늛軧認뻥膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲ꞁ臣讂胣㲂牢ਾ볯颻꣨薠볯銈볯銼볯㲉牢ਾ†觥風곧銼菥뒁菣뎃苣꺁菥뒁鷩貁菥뒁臣릇臣芁苣膀戼㹲 ꖻ룤꺁鷦뚻볥袼볯馼볯銂뫦뎶臣讂臣ꢁ苣릉뻥ꢁ臣讂믤風ꃩ銼裢醼臣覂볯銈볯醼臣蒁臣貂臣肸ꃩꮁ꣨覼臣覅귥뮳胣㲂牢ਾ†볯躼볯ꚉ볯㲲畳⁢浸湬㩳灪∽瑨灴⼺眯睷樮潰朮⹯灪㸢㉇㱩猯扵込볯ꚼ†††볯鎼볯覼戼㹲 鎁臣ꞁ胣㲁牢ਾ†볯㲲畳⁢浸湬㩳灪∽瑨灴⼺眯睷樮潰朮⹯灪㸢㉇㱩猯扵꾁胣趉꣨견볯较臥것菣몂臣较臥ꊝ臣늛軧認뻥膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀戼㹲袼믤風ꃩ銼裢銼볯覼戼㹲 肉껥꺁菣뎃苣꒾苣誂苣ꦉ뷤뒁臣ꎭ菣뎃苣貁藩꺽臣貂胣㲁牢ਾ†觥風귦것菣몂臣肉껥꺁菣뎃苣꒾臣ꎚ苣袐臣袂臣ꮁ藩꺽臣貂臣蒁苣鎁臣銂觧뒾臣馁苣颻꣨薠볯銈볯ꮁ꣨覼臣覅귥뮳胣㲂牢ਾ볯颻꣨薠볯銈볯钼볯㲉牢ਾ†觥風곧銼菥뒁菣뎃苣꺁냥ꪁ臣ꢁ苣肸雦꺁菣뎃苣ꊝ臣ꊽ諧꾁胣覤鯦릂苣覜臣讂뷥뚊臣芁苣鎁臣銂觧뒾臣馁苣颻꣨薠볯銈볯讁苣���裢銼볯꺁臣骁苣讁룤薠臣風볨꺁藥ꚭ돧芀戼㹲鎁臣㲨牢ਾ볯颻꣨薠볯銈볯閼볯㲉牢ਾ†믤许臣ꆝ믤込볯钼볯覼苣肺뛨馁苣鎁臣銂觧뒾臣馁苣颻꣨薠볯銈볯讁苣銼裢銼볯꺁臣骁苣讁룤薠臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢ㅇ業㱮猯扵銈볯込뷎뷯㲄畳⁢浸湬㩳灪∽瑨灴⼺眯睷樮潰朮⹯灪㸢ㅇ慭㱸猯扵‾††袼볯銼볯㲉牢ਾ†臣鎁臣膀戼㹲 츠蒽猼扵砠汭獮樺㵰栢瑴㩰⼯睷⹷灪⹯潧樮≰䜾洱湩⼼畳㹢臣膀觥風곧醼菣뎃苣꒾苣讧裦馁苣것菣몂臣ꊂ菣馃闦꺁臣ꆁ胣肜냥ꢁ臣讂苣莃菣낕胣㲁牢ਾ†뷎뷯㲄畳⁢浸湬㩳灪∽瑨灴⼺眯睷樮潰朮⹯灪㸢ㅇ慭㱸猯扵꾁胣趉꣨견볯것菣몂뻧銂꟦邈臣讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯銈볯隼볯㲉牢ਾ†믤许臣ꆝ믤込볯钼볯覼苣肺뛨馁苣鎁臣銂觧뒾臣馁苣颻꣨薠볯銈볯讁苣銼裢銼볯꺁臣骁苣讁룤薠臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢㉇業㱮猯扵銈볯込뷎뷯㲄畳⁢浸湬㩳灪∽瑨灴⼺眯睷樮潰朮⹯灪㸢㉇慭㱸猯扵‾††袼볯鎼볯㲉牢ਾ†臣鎁臣膀戼㹲 츠蒽猼扵砠汭獮樺㵰栢瑴㩰⼯睷⹷灪⹯潧樮≰䜾洲湩⼼畳㹢臣膀觥風곧銼菣뎃苣꒾苣讧裦馁苣것菣몂臣ꊂ菣馃闦꺁臣ꆁ胣肜냥ꢁ臣讂苣莃菣낕胣㲁牢ਾ†뷎뷯㲄畳⁢浸湬㩳灪∽瑨灴⼺眯睷樮潰朮⹯灪㸢㉇慭㱸猯扵꾁胣趉꣨견볯것菣몂뻧銂꟦邈臣讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯銈볯鞼볯㲉牢ਾ†믤许臣ꆝ믤込볯钼볯覼苣肺뛨馁苣ꎭ菣뎃苣銂냥ꪁ臣ꢁ苣醼黦覜臣讂臣ꢁ苣릉뻥ꢁ臣讂믤風ꃩ銼裢醼臣覂볯銈볯隼臣蒁臣貂臣肸ꃩꮁ꣨覼臣覅귥뮳胣㲂牢ਾ†볯躼볯馼볯캜㲸畳⁢浸湬㩳灪∽瑨灴⼺眯睷樮潰朮⹯灪㸢䙧⼼畳㹢볯邼볯颼†††볯钼볯覼戼㹲 鎁臣ꞁ戼㹲 츠㲸畳⁢浸湬㩳灪∽瑨灴⼺眯睷樮潰朮⹯灪㸢䙧⼼畳㹢臣膀觥風귦것菣몂臣ꢃ裥蚈闦钯臣芁臣ꚁ胣캁㲸畳⁢浸湬㩳灪∽瑨灴⼺眯睷樮潰朮⹯灪㸢䙧⼼畳㹢볯袼뷯螽裢躽볯覼볯袼뷯ꚼ裢躽볯覼臣ꢡ臣貂胣㲁牢ਾ†뷯ꎼ胣躽볯膀뷯螽臣膀臣貂臣貂胣ꎼ럧膀볯骷胣螽럧ꮁ꿥馁苣袱諦螎胣㲁牢ਾ臣芁苣芀戼㹲袼믤風ꃩ銼裢銼볯覼戼㹲 ꆝ믤込볯钼볯覼苣肺뛨馁苣ꎭ菣뎃苣貁胣趉꣨견볯것菣몂뻧ꮁ郥뺁苣ꚁ臣讂臣ꢁ苣릉뻥ꢁ臣讂믤風ꃩ銼裢銼볯ꮁ꣨覼臣覅귥뮳胣㲂牢ਾ볯颻꣨薠볯銈볯馼볯㲉牢ਾ†鷦뚻볥袼볯钼볯銂뫦뎶臣讂귦것菣몂臣膀믤许臣ꆝ믤込볯钼볯覼苣肺뛨馁苣鎁臣銂觧뒾臣馁苣颻꣨薠볯銈볯鞼迥꾁볯銈볯颼臣風볨꺁藥ꚭ돧芀戼㹲 邼볯鎼볯꒼猼扵砠汭獮樺㵰栢瑴㩰⼯睷⹷灪⹯潧樮≰瀾猱⼼畳㹢볯겼猼扵砠汭獮樺㵰���瑴㩰⼯睷⹷灪⹯潧樮≰䜾猱⼼畳㹢觢醼†††볯钼볯覼戼㹲 鎁臣ꞁ胣㲁牢ਾ†볯㲤畳⁢浸湬㩳灪∽瑨灴⼺眯睷樮潰朮⹯灪㸢ㅰ㱳猯扵꾁胣趉꣨ꎭ菣뎃苣꺁觧鎽臥ꊝ臣覂觥風뗧誂臣ꞁ臣覅믨誸臣鶷鯩膀戼㹲 겼猼扵砠汭獮樺㵰栢瑴㩰⼯睷⹷灪⹯潧樮≰䜾猱⼼畳㹢臣膀觥風곧醼觧鎽臥것菣몂臣ꦉ뷤뒁鷩讁苣趉꣨麵苣뺁臣꺁藥뢻룤꺁럨ꊛ胣㲁牢ਾ臣芁苣芀戼㹲袼믤風ꃩ銼裢鎼볯覼戼㹲 趉꣨견볯것菣몂뻧貁귦꺁뇥颊諥銂鳦馁苣ꢁ藥ꮁ胣醰臣辁臣节볯ꒁ臣麛諦覅귥ꂴ귥銂鳦馁苣鎁臣銂觧뒾臣馁苣颻꣨薠볯銈볯讁苣銼裢銼볯꺁臣骁苣讁룤薠臣風볨꺁藥ꚭ돧芀戼㹲袼믤風ꃩ銼裢鎼볯覼戼㹲 趉꣨麵苣袂苣节觧鎽臥ꞁ믤许臣ꆝ믤込볯钼볯覼苣肺뛨馁苣趽뷧ꮁ胣醰臣辁臣节볯ꒁ臣麛諦覅귥ꂴ귥銂藩꺽臣讂臣ꢁ苣릉뻥ꢁ臣讂믤風ꃩ銼裢醼臣覂볯銈볯邼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢䱄㱳猯扵込볯㲤畳⁢浸湬㩳灪∽瑨灴⼺眯睷樮潰朮⹯灪㸢ㅇ獩⼼畳㹢†††볯钼볯覼戼㹲 鎁臣ꞁ胣㲁牢ਾ†볯㲤畳⁢浸湬㩳灪∽瑨灴⼺眯睷樮潰朮⹯灪㸢䱄㱳猯扵꾁胣麛諦覅귥ꂴ귥讁苣趉꣨麵苣뺁臣꺁藥뢻룤꺁럨ꊛ胣㲁牢ਾ†볯㲤畳⁢浸湬㩳灪∽瑨灴⼺眯睷樮潰朮⹯灪㸢ㅇ獩⼼畳㹢臣膀觥風곧醼菥뒁菣뎃苣꺁菥뒁鷩讁苣趉꣨麵苣뺁臣꺁藥뢻룤꺁럨ꊛ胣㲁牢ਾ臣芁苣芀戼㹲袼믤風ꃩ銼裢鎼볯覼戼㹲 趉꣨麵苣袂苣节菥뒁臣ꖻ룤꺁鷦뚻볥袼볯馼볯銂뫦뎶臣讂뷤꺽臣膀냥ꪁ臣ꢁ苣醼臣꺁鯥颊藥ꚭ듧邭苣超뷧馁苣鎁臣銂觧뒾臣馁苣颻꣨薠볯銈볯讁苣醼裢鎼볯꺁臣骁苣讁룤薠臣風볨꺁藥ꚭ돧芀戼㹲 邼볯銼볯꒼猼扵砠汭獮樺㵰栢瑴㩰⼯睷⹷灪⹯潧樮≰猾䱄⼼畳㹢볯겼猼扵砠汭獮樺㵰栢瑴㩰⼯睷⹷灪⹯潧樮≰猾㉇⼼畳㹢볯邼볯馼†††볯钼볯覼戼㹲 鎁臣ꞁ胣㲁牢ਾ†볯㲤畳⁢浸湬㩳灪∽瑨灴⼺眯睷樮潰朮⹯灪㸢䑳㱌猯扵꾁胣趉꣨麵苣讁苣趉꣨麛諦覅귥ꂴ귥뺁臣꺁藥뢻룤꺁럨ꊛ胣㲁牢ਾ†볯㲬畳⁢浸湬㩳灪∽瑨灴⼺眯睷樮潰朮⹯灪㸢䝳㰲猯扵꾁胣趉꣨麵苣讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯鎼볯㲉牢ਾ†믤许臣ꆝ믤込볯閼볯覼胣袼볯醼볯銂뫦뎶臣讂단것菣몂苣覜臣讂臣ꢁ苣릉뻥ꢁ臣讂믤風ꃩ銼裢醼臣覂볯銈볯銼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰渾㰱猯扵銈볯込뷎뷯㲄畳⁢浸湬㩳灪∽瑨灴⼺眯睷樮潰朮⹯灪㸢ㅇ慭㱸猯扵‾††袼볯邼볯㲉牢ਾ†볯鲼볯㲤畳⁢浸湬㩳灪∽瑨灴⼺眯睷樮潰朮⹯灪㸢ㅮ㱳猯扵込볯㲤畳⁢浸湬㩳灪∽瑨灴⼺眯睷樮潰朮⹯灪㸢獯⼼畳㹢볯邼볯鎼†††볯閼볯覼戼㹲 鎁臣ꞁ胣㲁牢ਾ†뷎뷯㲄畳⁢浸湬㩳灪∽���灴⼺眯睷樮潰朮⹯灪㸢ㅮ⼼畳㹢臣膀觥風단것菣몂臣ꊂ菣馃闦膀戼㹲 츠蒽猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣ꊂ菣馃闦꺁臣ꆁ胣肜ꓥꢁ臣讂苣莃菣낕胣㲁牢ਾ†볯㲤畳⁢浸湬㩳灪∽瑨灴⼺眯睷樮潰朮⹯灪㸢ㅮ㱳猯扵꾁胣趉꣨ꂲ菣뎃苣꺁觧鎽臥ꊝ臣覂觥風뗧誂臣ꞁ臣覅믨誸臣鶷鯩膀戼㹲 ꒼猼扵砠汭獮樺㵰栢瑴㩰⼯睷⹷灪⹯潧樮≰漾㱳猯扵꾁胣ꦉ뷤讁苣趉꣨麵苣뺁臣꺁藥뢻룤꺁럨ꊛ胣㲁牢ਾ臣芁苣芀戼㹲袼믤風ꃩ銼裢鎼볯覼戼㹲 ꖻ룤꺁鷦뚻볥袼볯钼볯銂뫦뎶臣讂뷤꺽臣ꂲ菣뎃苣銂鳦馁苣鎁臣銂觧뒾臣馁苣颻꣨薠볯銈볯讁苣銼裢鎼볯꺁臣骁苣讁룤薠臣風볨꺁藥ꚭ돧芀戼㹲 邼볯隼볯꒼猼扵砠汭獮樺㵰栢瑴㩰⼯睷⹷灪⹯潧樮≰猾㍮⼼畳㹢볯꒼猼扵砠汭獮樺㵰栢瑴㩰⼯睷⹷灪⹯潧樮≰猾㱩猯扵鲼볯ₑ††袼볯钼볯㲉牢ਾ†臣鎁臣膀戼㹲 ꒼猼扵砠汭獮樺㵰栢瑴㩰⼯睷⹷灪⹯潧樮≰猾㍮⼼畳㹢臣膀觥風뗧誂臣覂觥風단것菣몂臣较臥ꊝ臣ꞁ臣覅믨誸臣鶷鯩膀戼㹲 ꒼猼扵砠汭獮樺㵰栢瑴㩰⼯睷⹷灪⹯潧樮≰猾㱩猯扵꾁胣趉꣨麵苣讁苣较臣ꞁ臣覅믨誸臣鶷鯩膀戼㹲ꞁ臣讂胣㲂牢ਾ볯颻꣨薠볯銈볯閼볯㲉牢ਾ†믤许臣ꆝ믤込볯閼볯覼苣肺뛨馁苣鎁臣銂觧뒾臣馁苣颻꣨薠볯銈볯讁苣銼裢鎼볯꺁臣骁苣讁룤薠臣風볨꺁藥ꚭ돧芀戼㹲 邼볯鞼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢볯邼볯邼볯쎗랼볯込볯ꚼ†††볯閼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯隼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯閼볯覼苣肺뛨馁苣鎁臣銂觧뒾臣馁苣颻꣨薠볯銈볯讁苣銼裢鎼볯꺁臣骁苣讁룤薠臣風볨꺁藥ꚭ돧芀戼㹲 ꒼猼扵砠汭獮樺㵰栢瑴㩰⼯睷⹷灪⹯潧樮≰漾㱳猯扵込볯㲬畳⁢浸湬㩳灪∽瑨灴⼺眯睷樮潰朮⹯灪㸢ㅇ⼼畳㹢裢邼볯鎼볯쎙랼볯込볯ꚼ볯醼볯颼†††볯閼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂뗧誂臣ꞁ臣覅믨誸臣鶷鯩膀戼㹲 겼猼扵砠汭獮樺㵰栢瑴㩰⼯睷⹷灪⹯潧樮≰䜾㰱猯扵꾁胣趉꣨견볯ꦉ뷤뒁菣뎃苣���꺁觧鎽臥ꊝ臣覂觥風곧醼菥뒁菣뎃苣꺁菥뒁鷩뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯鞼볯㲉牢ਾ†믤風ꃩ銼裢醼臣覂볯銈볯隼臣蒁臣貂臣肸ꃩꮁ꣨覼臣覅귥뮳臣膀戼㹲 꺒菥ꂴ귥ꢁ胣銂若袁苣鎁臣銂觧뒾臣馁苣꺒菥薣뷧芀戼㹲袼믤風ꃩ銼裢鎼볯覼戼㹲 颻꣨薠볯銈볯鞼臣風볨꺁鋦较ꏨ꺽臣膀戼㹲 ꦉ뷤銂뿤膌臣讂苣蚃菣뢂臣膀戼㹲 ꦉ뷤銂藧躘臣讂藧躘ꏨ꺽臣膀苣覜臣讂臣ꢁ苣릉뻥ꢁ臣讂鋦较苣릂菣ꂃ胣㲂牢ਾ볯颻꣨薠볯銈볯馼볯㲉牢ਾ†觥風鋦较ꏨ꺽臣趉꣨릂菣벃苣ꢁ臣肸뷤ꮁ臣ꎁ臣蒁苣鎁臣릉뻥ꢁ臣讂믤風ꃩ銼裢鎼볯ꮁ꣨覼臣꺒菥랂苣蚃菣芀戼㹲袼믤風ꃩ鎼裢醼볯㲉牢ਾ†觧鎽臥袂苣蚠臣膀戼㹲 ꎭ臣袱諦鮊苣膌臣것菣몂菣讃菣袃볯暧臣膀戼㹲 麵苣ꢁ胣㲁牢ਾ†귦꺁뇥颊諥銂賦ꒁ菣뎃苣ꚃ菣莃菣Ꞽꢁ胣讁苣ꪁ苣膀戼㹲 ꖻ룤꺁鷦뚻볥袼볯銈볯覼胣袼볯覼胣袼볯銈볯覼胣袼볯鎼볯銂뫦뎶臣讂臣ꢁ苣릉뻥ꢁ臣讂藥ꚭ돧芀戼㹲 邼볯邼볯鲼볯ꆼ胣邼볯邼볯鲼볯ꆼ胢ₙ††袼볯銈볯覼戼㹲 銈볯鲼닎볯銈볯躼볯ₕ††袼볯覼戼㹲 邼볯蒽猼扵砠汭獮樺㵰栢瑴㩰⼯睷⹷灪⹯潧樮≰ㄾ⼼畳㹢볯캏蒽볯邼볯銼†††볯馼裢醼볯㲉牢ਾ†裢銼볯鲼铎뷯㲆畳⁢浸湬㩳灪∽瑨灴⼺眯睷樮潰朮⹯灪㸢摣⼼畳㹢볯캏蒽볯銼볯ₐ††袼볯鎼볯㲉牢ਾ†뷤鞁胣㲁牢ਾ†볯ꆼ臣膀觥風藥ꚭ돧꺁觧鎽臥꺁雩ꎏ闦膀戼㹲 꺼볯馀臣膀觥風藥ꚭ돧꺁菥뒁臣讖迥낕胣㲁牢ਾ†닎臣膀觥風藥ꚭ돧꺁諦놽胥螎胣㲁牢ਾ†뷯㲄畳⁢浸湬㩳灪∽瑨灴⼺眯睷樮潰朮⹯灪㸢㰱猯扵꾁胣趉꣨것菣몂菣讃菣袃볯暧臣肜苣较臥ꮁ뷤꺽臣讂鷩讁苣趉꣨것菣몂菣讃菣袃볯犧臣肜苣ꦉ뷤뒁臣趽뷧馁苣ꊝ臣ꞁ臣覅믨誸臣鶷鯩膀戼㹲 츠蒽臣膀觥風藥ꚭ돧ꢅ돧꺁藥뢻룤ꞁ臣것菣몂軥閁臣辷鋥膀戼㹲 츠撵臣膀觥風藥ꚭ돧꺁菥뒁臣讖迥낕臣몱臣讂뷯骷臣꺁苣ꊂ菣벃菣ꎂ苣꾂跥蒾胣㲁牢ਾ†铎뷯㲆畳⁢浸湬㩳灪∽瑨灴⼺眯睷樮潰朮⹯灪㸢摣⼼畳㹢臣膀볯骷臣誁臣讂蓧릂뷤꺽臣蒽럧ꮁ臣醁苣Ꚅ苧趽뷧꺁럥ꞁ臣ꎁ臣膀觥風뗧誂臥讁苣趉꣨것菣몂菣讃菣袃볯犧臣뎹ꇨ覅苣ꖅ냥閁臣龁臣趁臣蚛藥趽뷧ꮁ臣醁苣꺷胣㲁牢ਾ臣芁苣芀戼㹲袼믤風ꃩ鎼裢銼볯㲉牢ਾ†믤许臣ꆝ믤込볯隼볯銂뫦뎶臣讂臣ꢁ苣릉뻥ꢁ臣讂믤風ꃩ鎼裢醼臣風볨꺁藥ꚭ돧芀戼㹲 邼볯閼볯蚽猼扵砠汭獮樺㵰栢瑴㩰⼯睷⹷灪⹯潧樮≰伾㱂猯扵込뷯㲆畳⁢浸���㩳灪∽瑨灴⼺眯睷樮潰朮⹯灪㸢䱔⼼畳㹢볯銼†††볯隼볯㲉牢ਾ†뷤鞁胣㲁牢ਾ†뷯㲆畳⁢浸湬㩳灪∽瑨灴⼺眯睷樮潰朮⹯灪㸢䉏⼼畳㹢臣膀觥風菣뎃苣ꚃ菣莃菣Ꞽ꺁蓧릂럨ꊛ胣㲁牢ਾ†뷯㲆畳⁢浸湬㩳灪∽瑨灴⼺眯睷樮潰朮⹯灪㸢䱔⼼畳㹢臣膀觥風菣뎃苣ꚃ菣莃菣Ꞽ꺁蓧릂럨ꊛ胣㲁牢ਾ臣芁苣芀戼㹲袼믤風ꃩ鎼裢鎼볯㲉牢ਾ†믤许臣ꆝ믤込볯醼볯覼苣肺뛨馁苣鎁臣銂觧뒾臣馁苣颻꣨薠볯銈볯袏臣鎼裢銼臣風볨꺁藥ꚭ돧芀戼㹲 邼볯鞼볯㲜⁵浸湬㩳灪∽瑨灴⼺眯睷樮潰朮⹯灪㸢뷯㲄甯㰾畳⁢浸湬㩳灪∽瑨灴⼺眯睷樮潰朮⹯灪㸢甼匾佈㱂甯㰾猯扵込甼砠汭獮樺㵰栢瑴㩰⼯睷⹷灪⹯潧樮≰蒽⼼㹵猼扵砠汭獮樺㵰栢瑴㩰⼯睷⹷灪⹯潧樮≰㰾㹵䡓䱔⼼㹵⼼畳㹢볯醼볯鎼†††볯醼볯覼戼㹲 蚽臣膀戼㹲 㰠⁵浸湬㩳灪∽瑨灴⼺眯睷樮潰朮⹯灪㸢뷯㲄甯㰾畳⁢浸湬㩳灪∽瑨灴⼺眯睷樮潰朮⹯灪㸢甼匾佈㱂甯㰾猯扵꾁胣趉꣨것菣몂菣讃菣袃볯暧臣趉臥뮸苧讁苣趉꣨麵苣뺁臣꺁藥뢻룤꺁럨ꊛ胣㲁牢ਾ†甼砠汭獮樺㵰栢瑴㩰⼯睷⹷灪⹯潧樮≰蒽⼼㹵猼扵砠汭獮樺㵰栢瑴㩰⼯睷⹷灪⹯潧樮≰㰾㹵䡓䱔⼼㹵⼼畳㹢臣膀觥風뗧誂臣覂觥風菣뎃苣ꚃ菣莃菣Ꞽ꺁뻥뒁룤릂臣ꞁ臣覅믨誸臣鶷鯩膀戼㹲ꞁ臣讂胣㲂牢ਾ볯颻꣨薠볯銈볯覼戼㹲 趉꣨것菣몂菣讃菣袃볯暧臣肜苣较臥ꮁ胣ꎭ菣뎃苣겼ㅦ臣超뷧閁苣ꚁ臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲袼믤風ꃩ鎼裢閼볯㲉牢ਾ†觥風菣뎃苣ꚃ菣莃菣Ꞽ꾁胣肜苣ꦉ뷤뒁臣超뷧閁苣龁菣뎃苣겼敦苣覜臣膀觥風菣뎃苣겼敦臣醰臣辁臣节룤릖臣것菣몂鷩꺁뷥뚊臣膀ꓥ늛苧銂鳦馁苣ꊽ諧ꞁ臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲袼믤風ꃩ鎼裢隼볯㲉牢ਾ†觥風菣뎃苣ꚃ菣莃菣Ꞽ꾁胣肜苣㲂⁵浸湬㩳灪∽瑨灴⼺眯睷樮潰朮⹯灪㸢菥㲏甯뒁臣超뷧閁苣龁菣뎃苣겼敲苣覜臣膀觥風菣뎃苣겼敲臣醰臣辁臣节룤릖臣것菣몂鷩꺁뷥뚊臣膀ꓥ늛苧銂鳦馁苣ꊽ諧ꞁ臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲袼믤風ꃩ鎼裢鞼볯㲉牢ਾ†믤许臣ꆝ믤込볯鞼裢醼볯膀볯颼裢醼볯銂뫦뎶臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲 钼볯薼觢궼볯ꚼ猼扵砠汭獮樺㵰栢瑴㩰⼯睷⹷灪⹯潧樮≰伾㱂猯扵‾††袼볯銈볯覼戼㹲 钼볯薼觢궼볯ꚼ猼扵砠汭獮樺㵰栢瑴㩰⼯睷⹷灪⹯潧樮≰吾㱌猯扵‾††袼볯銈볯覼戼㹲 蚽臣膀戼㹲 궼볯ꚼ猼扵砠汭獮樺㵰栢瑴㩰⼯睷⹷灪⹯潧樮≰伾㱂猯扵꾁胣趉꣨것菣몂菣讃菣袃볯暧臣誁臣讂믨誸臣꺁볯뒼볯ꞁ臣ꎁ臣膀뷯莽볯钼臣목雩ꢑ돦낕臣뺯臣讂볯뒼볯膀戼㹲 궼���ꚼ猼扵砠汭獮樺㵰栢瑴㩰⼯睷⹷灪⹯潧樮≰吾㱌猯扵꾁胣趉꣨것菣몂菣讃菣袃볯犧臣誁臣讂믨誸臣꺁볯뒼볯ꞁ臣ꎁ臣膀뷯莽胢込볯꺁ꧧ鎖釥ꊳ闦ꮁ꿥馁苣궼볯ꚼ胣㲁牢ਾ†뷯莽臣膀觥風藥ꚭ돧꺁觧鎽臥꺁雩ꎏ闦ꮁ꿥馁苣ꮂ菣袃苣閃釥ꊳ闦膀戼㹲 蚽뷯馀臣膀觥風藥ꚭ돧꺁菥뒁臣讖迥낕臣뺯臣讂苣莃菣ꪂ菣ꢑ돦낕胣㲁牢ਾ臣芁苣膀臣貂臣貂胣薽럧꺁맥財藥銂뗧誂臥讁苣ꖅ냥閁臣龁臣趁臣蚛藥趽뷧ꮁ臣醁苣궼볯ꚼ胣㲁牢ਾ臣芁苣芀戼㹲袼믤風ꃩ鎼裢颼볯㲉牢ਾ†觥風菣뎃苣ꚃ菣莃菣Ꞽ꺁鳦节甼砠汭獮樺㵰栢瑴㩰⼯睷⹷灪⹯潧樮≰ꦉ뷤㲓甯뒁臣膀귦것菣몂볯犬貁藩꺽臣貂臣蒁苣鎁臣銂觧뒾臣馁苣颻꣨薠볯銈볯讁苣鎼裢鞼臣蒁臣貂臣肸ꃩꮁ꣨覼臣覅귥뮳胣㲂牢ਾ볯颻꣨薠볯銈볯覼戼㹲 趉꣨ꎭ菣뎃苣겼ㅦ苣誂苣ꦉ뷤뒁臣膀단것菣몂볯暬貁觥風귦것菣몂볯暬ꢁ髩誂郥蚁苣蚁臣超뷧閁苣ꚁ臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲袼믤風ꃩ鎼裢醼볯覼戼㹲 趉꣨ꎭ菣뎃苣겼ㅲ苣誂苣㲂⁵浸湬㩳灪∽瑨灴⼺眯睷樮潰朮⹯灪㸢菥㲏甯뒁臣膀단것菣몂볯犬貁觥風귦것菣몂볯犬ꢁ髩誂郥蚁苣蚁臣超뷧閁苣ꚁ臣讂臣ꢁ苣릉뻥ꢁ臣讂믤風ꃩ鎼裢醼臣覂볯銈볯꺁臣骁苣讁룤薠臣風볨꺁藥ꚭ돧芀戼㹲袼믤風ꃩ鎼裢醼볯覼戼㹲 趉꣨ꂲ菣뎃苣겼㉦臣ꦉ뷤뒁鷩貁觧鎽臥ꮁ蟥ꊝ臣芁苣鎁臣銂觧뒾臣馁苣颻꣨薠볯銈볯讁苣鎼裢醼볯꺁臣骁苣讁룤薠臣風볨꺁藥ꚭ돧芀戼㹲袼믤風ꃩ鎼裢醼볯覼戼㹲 趉꣨ꂲ菣뎃苣겼㉲臣较臥ꊝ臣较臥ꮁ蟥ꊝ臣芁苣鎁臣銂觧뒾臣馁苣颻꣨薠볯銈볯讁苣鎼裢醼볯꺁臣骁苣讁룤薠臣風볨꺁藥ꚭ돧芀戼㹲袼믤風ꃩ鎼裢醼볯覼戼㹲 趉꣨것菣몂볯暬꾁단꺁뇥颊諥銂鳦馁苣鎁臣銂觧뒾臣馁苣颻꣨薠볯銈볯讁苣鎼裢醼볯꺁臣骁苣讁룤薠臣風볨꺁藥ꚭ돧芀戼㹲袼믤風ꃩ鎼裢醼볯覼戼㹲 趉꣨것菣몂볯犬꾁단꺁뇥颊諥銂鳦馁苣鎁臣銂觧뒾臣馁苣颻꣨薠볯銈볯讁苣鎼裢醼볯꺁臣骁苣讁룤薠臣風볨꺁藥ꚭ돧芀戼㹲袼믤風ꃩ鎼裢醼볯覼戼㹲 ꖻ룤꺁鷦뚻볥袼볯覼胣袼볯覼胣袼볯覼苣肺뛨馁苣肸꿥꺁菣뎃苣銂胣醰臣辁臣节볯ꒁ鳦鞁胣㲁牢ਾ觥風룤뺯臣것菣몂臣肸雦꺁菣뎃苣꾁胣趉꣨것菣몂菣讃菣袃볯暧臣ꮐ臣貂胣趉꣨肸꿥꺁菣뎃苣꺁믤릖臣것菣몂臣膀觥風菣뎃苣ꚃ菣莃菣Ꞽꮁ郥뺁苣讂臣ꢁ苣릉뻥ꢁ臣讂믤風ꃩ鎼裢醼臣覂볯銈볯钼臣蒁臣貂臣肸ꃩꮁ꣨覼臣覅귥뮳胣㲂牢ਾ†裢醼볯醼볯銽猼扵砠汭獮樺㵰栢瑴㩰⼯睷⹷灪⹯潧樮≰伾時⼼畳㹢���銽猼扵砠汭獮樺㵰栢瑴㩰⼯睷⹷灪⹯潧樮≰吾牌⼼畳㹢볯銈볯躼볯ₙ††袼볯覼戼㹲 銈볯躼볯鲼뷯㲒畳⁢浸湬㩳灪∽瑨灴⼺眯睷樮潰朮⹯灪㸢䉏㱲猯扵込뷯㲒畳⁢浸湬㩳灪∽瑨灴⼺眯睷樮潰朮⹯灪㸢䱔㱦猯扵鲼裢邼볯馼†††볯銼볯㲉牢ਾ†裢邼볯醼볯袼뷯㲄畳⁢浸湬㩳灪∽瑨灴⼺眯睷樮潰朮⹯灪㸢䉏⼼畳㹢裢蒽猼扵砠汭獮樺㵰栢瑴㩰⼯睷⹷灪⹯潧樮≰吾㱌猯扵覼볯袼뷯㲄畳⁢浸湬㩳灪∽瑨灴⼺眯睷樮潰朮⹯灪㸢䉏⼼畳㹢볯蒽猼扵砠汭獮樺㵰栢瑴㩰⼯睷⹷灪⹯潧樮≰吾㱌猯扵覼볯邼볯醼†††볯鎼볯㲉牢ਾ†뷤鞁胣㲁牢ਾ†뷯㲒畳⁢浸湬㩳灪∽瑨灴⼺眯睷樮潰朮⹯灪㸢䉏㱦猯扵꾁胣趉꣨肸雦꺁菣뎃苣꺁觧鎽臥ꊝ臣醿믨늛軧認뻥膀戼㹲 銽猼扵砠汭獮樺㵰栢瑴㩰⼯睷⹷灪⹯潧樮≰伾牂⼼畳㹢臣膀觥風룤릖臣것菣몂臣较臥ꊝ臣醿믨늛軧認뻥膀戼㹲 銽猼扵砠汭獮樺㵰栢瑴㩰⼯睷⹷灪⹯潧樮≰吾晌⼼畳㹢臣膀觥風믤릖臣것菣몂臣ꦉ뷤뒁鷩꺁뿨뢻鯦螎跥蒾胣㲁牢ਾ†뷯㲒畳⁢浸湬㩳灪∽瑨灴⼺眯睷樮潰朮⹯灪㸢䱔㱲猯扵꾁胣趉꣨隻雦꺁菣뎃苣꺁菥뒁鷩꺁뿨뢻鯦螎跥蒾胣㲁牢ਾ†뷯㲄畳⁢浸湬㩳灪∽瑨灴⼺眯睷樮潰朮⹯灪㸢䉏⼼畳㹢臣膀觥風룤릖臣것菣몂臣覅믨誸臣骎臣膀戼㹲 蒽猼扵砠汭獮樺㵰栢瑴㩰⼯睷⹷灪⹯潧樮≰吾㱌猯扵꾁胣趉꣨隻雦꺁菣뎃苣꺁藥뢻룤꺁軥閁胣㲁牢ਾ臣芁苣芀戼㹲袼믤風ꃩ鎼裢醼볯覼戼㹲 ꖻ룤꺁鷦뚻볥袼볯銼裢醼볯銂뫦뎶臣讂臣ꢁ苣릉뻥ꢁ臣讂믤風ꃩ鎼裢醼臣覂볯銈볯閼臣蒁臣貂臣肸ꃩꮁ꣨覼臣覅귥뮳胣㲂牢ਾ†裢醼볯슐鲼룎猼扵砠汭獮樺㵰栢瑴㩰⼯睷⹷灪⹯潧樮≰漾⼼畳㹢볯鎼볯슐₰††袼볯銼裢醼볯㲉牢ਾ†뷤鞁胣㲁牢ਾ†룎猼扵砠汭獮樺㵰栢瑴㩰⼯睷⹷灪⹯潧樮≰漾⼼畳㹢臣膀藥뢻臣芞鯧ꪁ鷩꺁돦骷臣ꦉ뷤뒁臣誁臣讂룤覅럧ꢁ臣ꪁ臣銧뫥膀戼㹲ꞁ臣讂胣㲂牢ਾ볯颻꣨薠볯銈볯鞼볯㲉牢ਾ†믤風ꃩ鎼裢醼臣覂볯銈볯隼臣蒁臣貂臣肸ꃩꮁ꣨覼臣覅귥뮳臣膀鋦较듧邭臣膀苣馂臣讂臣ꢁ苣릉뻥ꢁ臣讂藥ꚭꧦꢙ胣ં⼼䥄㹖㰊䥄㹖䐼噉邀볯醼볯钼胣㲑䐯噉ਾ볯颻꣨薠볯銈볯覼戼㹲 ꦉ뷤뒁苣誂ꃩꮁ胣㲁牢ਾ†귦꺁뇥颊諥銂賦ꒁ菣뎃苣ꚃ菣莃菣Ꞽꢁ胣㲁牢ਾ†뗧誂臣膀戼㹲 ꎭ臣袱諦鮊苣膌臣것菣몂菣讃菣袃볯犧臣膀臣覂臣誂胣㲁牢ਾ†믤许臣ꆝ믤込볯钼裢醼볯膀볯閼볯膀볯醼볯銈볯覼胣袼볯鎼볯銂뫦뎶臣讂臣ꢁ苣릉뻥ꢁ臣讂藥ꚭ돧芀戼㹲 邼볯邼볯鲼볯ꆼ胣邼볯邼볯鲼볯ꆼ胢ₙ††袼볯銈볯覼戼㹲 銈볯鲼닎볯銈볯躼볯ₕ††袼볯覼戼㹲 邼볯蒽猼扵砠汭獮樺㵰栢瑴㩰⼯睷⹷灪⹯潧樮≰㈾⼼畳㹢볯캏蒽볯銼†††볯醼볯銈볯覼戼㹲 銈볯邼볯캜蚽猼扵砠汭獮樺㵰栢瑴㩰⼯睷⹷灪⹯潧樮≰挾㱤猯扵込뗎뷯鲼볯邼†††볯醼볯覼戼㹲 蚽臣膀戼㹲 꺼볯꾁胣趉꣨覅귥뮳臣ꦉ뷤뒁臣讖迥낕胣㲁牢ਾ†볯ꆼ胢꾁胣趉���覅귥뮳臣较臥꺁雩ꎏ闦膀戼㹲 츠꾁胣趉꣨覅귥뮳臣閊뷥趀軧膀戼㹲 蒽猼扵砠汭獮樺㵰栢瑴㩰⼯睷⹷灪⹯潧樮≰㈾⼼畳㹢臣膀觥風菣뎃苣ꚃ菣莃菣Ꞽ꺁觥뒁룤릂臣覂觥風菣뎃苣ꚃ菣莃菣Ꞽ꺁뻥뒁룤릂臣ꞁ臣覅믨誸臣鶷鯩膀戼㹲 츠蒽臣膀觥風藥ꚭ돧ꢅ돧꺁藥뢻룤ꞁ臣것菣몂軥閁臣辷鋥膀戼㹲 츠撵臣膀觥風藥ꚭ돧꺁菥뒁臣讖迥낕臣몱臣讂뷯骷臣꺁苣ꊂ菣벃菣ꎂ苣꾂跥蒾胣㲁牢ਾ†铎뷯㲆畳⁢浸湬㩳灪∽瑨灴⼺眯睷樮潰朮⹯灪㸢摣⼼畳㹢臣膀볯骷臣誁臣讂蓧릂뷤꺽臣蒽럧ꮁ臣醁苣Ꚅ苧趽뷧꺁럥ꞁ臣ꎁ臣膀觥風뗧誂臥讁苣趉꣨것菣몂菣讃菣袃볯犧臣뎹ꇨ覅苣ꖅ냥閁臣龁臣趁臣蚛藥趽뷧ꮁ臣醁苣꺷胣㲁牢ਾ臣芁苣芀戼㹲袼믤風ꃩ钼裢銼볯㲉牢ਾ†믤许臣ꆝ믤込볯隼볯銂뫦뎶臣讂臣ꢁ苣릉뻥ꢁ臣讂믤風ꃩ钼裢醼臣風볨꺁藥ꚭ돧芀戼㹲 邼볯閼볯蚽猼扵砠汭獮樺㵰栢瑴㩰⼯睷⹷灪⹯潧樮≰伾㱂猯扵込뷯㲆畳⁢浸湬㩳灪∽瑨灴⼺眯睷樮潰朮⹯灪㸢䱔⼼畳㹢볯銼†††볯隼볯㲉牢ਾ†뷤鞁胣㲁牢ਾ†뷯㲆畳⁢浸湬㩳灪∽瑨灴⼺眯睷樮潰朮⹯灪㸢䉏⼼畳㹢臣膀觥風菣뎃苣ꚃ菣莃菣Ꞽ꺁蓧릂럨ꊛ胣㲁牢ਾ†뷯㲆畳⁢浸湬㩳灪∽瑨灴⼺眯睷樮潰朮⹯灪㸢䱔⼼畳㹢臣膀觥風菣뎃苣ꚃ菣莃菣Ꞽ꺁蓧릂럨ꊛ胣㲁牢ਾ臣芁苣芀戼㹲袼믤風ꃩ钼裢鎼볯㲉牢ਾ†믤许臣ꆝ믤込볯醼볯覼苣肺뛨馁苣鎁臣銂觧뒾臣馁苣颻꣨薠볯銈볯袏臣钼裢銼臣風볨꺁藥ꚭ돧芀戼㹲 邼볯鞼볯㲜⁵浸湬㩳灪∽瑨灴⼺眯睷樮潰朮⹯灪㸢뷯㲄甯㰾畳⁢浸湬㩳灪∽瑨灴⼺眯睷樮潰朮⹯灪㸢甼匾佈㱂甯㰾猯扵込甼砠汭獮樺㵰栢瑴㩰⼯睷⹷灪⹯潧樮≰蒽⼼㹵猼扵砠汭獮樺㵰栢瑴㩰⼯睷⹷灪⹯潧樮≰㰾㹵䡓䱔⼼㹵⼼畳㹢볯醼볯鎼†††볯醼볯覼戼㹲 蚽臣膀戼㹲 㰠⁵浸湬㩳灪∽瑨灴⼺眯睷樮潰朮⹯灪㸢뷯㲄甯㰾畳⁢浸湬㩳灪∽瑨灴⼺眯睷樮潰朮⹯灪㸢甼匾佈㱂甯㰾猯扵꾁胣趉꣨것菣몂菣讃菣袃볯暧臣趉臥뮸苧讁苣趉꣨麵苣뺁臣꺁藥뢻룤꺁럨ꊛ胣㲁牢ਾ†甼砠汭獮樺㵰栢瑴㩰⼯睷⹷灪⹯潧樮≰蒽⼼㹵猼扵砠汭獮樺㵰栢瑴㩰⼯睷⹷灪⹯潧樮≰㰾㹵䡓䱔⼼㹵⼼畳㹢臣膀觥風뗧誂臣覂觥風菣뎃苣ꚃ菣莃菣Ꞽ꺁뻥뒁룤릂臣ꞁ臣覅믨誸臣鶷鯩膀戼㹲ꞁ臣讂胣㲂牢ਾ볯颻꣨薠볯銈볯覼戼㹲 趉꣨것菣몂菣讃菣袃볯暧臣肜苣较臥ꮁ胣ꎭ菣뎃苣겼ㅦ臣超뷧閁苣ꚁ臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲袼믤風ꃩ钼裢閼볯㲉牢ਾ†觥風菣뎃苣ꚃ菣莃菣Ꞽ꾁胣肜苣ꦉ뷤뒁臣超뷧閁苣龁菣뎃苣겼敦苣覜臣膀觥風菣뎃苣겼敦臣醰臣辁臣节룤릖臣것菣몂鷩꺁뷥뚊臣膀ꓥ늛苧銂鳦馁苣ꊽ諧ꞁ臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲袼믤風ꃩ钼裢���볯㲉牢ਾ†觥風菣뎃苣ꚃ菣莃菣Ꞽ꾁胣肜苣㲂⁵浸湬㩳灪∽瑨灴⼺眯睷樮潰朮⹯灪㸢菥㲏甯뒁臣超뷧閁苣龁菣뎃苣겼敲苣覜臣膀觥風菣뎃苣겼敲臣醰臣辁臣节룤릖臣것菣몂鷩꺁뷥뚊臣膀ꓥ늛苧銂鳦馁苣ꊽ諧ꞁ臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲袼믤風ꃩ钼裢鞼볯㲉牢ਾ†믤许臣ꆝ믤込볯鞼裢醼볯膀볯颼裢醼볯銂뫦뎶臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲 钼볯薼觢궼볯ꚼ猼扵砠汭獮樺㵰栢瑴㩰⼯睷⹷灪⹯潧樮≰伾㱂猯扵‾††袼볯銈볯覼戼㹲 钼볯薼觢궼볯ꚼ猼扵砠汭獮樺㵰栢瑴㩰⼯睷⹷灪⹯潧樮≰吾㱌猯扵‾††袼볯銈볯覼戼㹲 蚽臣膀戼㹲 궼볯ꚼ猼扵砠汭獮樺㵰栢瑴㩰⼯睷⹷灪⹯潧樮≰伾㱂猯扵꾁胣趉꣨것菣몂菣讃菣袃볯暧臣誁臣讂믨誸臣꺁볯뒼볯ꞁ臣ꎁ臣膀뷯莽볯钼臣목雩ꢑ돦낕臣뺯臣讂볯뒼볯膀戼㹲 궼볯ꚼ猼扵砠汭獮樺㵰栢瑴㩰⼯睷⹷灪⹯潧樮≰吾㱌猯扵꾁胣趉꣨것菣몂菣讃菣袃볯犧臣誁臣讂믨誸臣꺁볯뒼볯ꞁ臣ꎁ臣膀뷯莽胢込볯꺁ꧧ鎖釥ꊳ闦ꮁ꿥馁苣궼볯ꚼ胣㲁牢ਾ†뷯莽臣膀觥風藥ꚭ돧꺁觧鎽臥꺁雩ꎏ闦ꮁ꿥馁苣ꮂ菣袃苣閃釥ꊳ闦膀戼㹲 蚽뷯馀臣膀觥風藥ꚭ돧꺁菥뒁臣讖迥낕臣뺯臣讂苣莃菣ꪂ菣ꢑ돦낕胣㲁牢ਾ臣芁苣膀臣貂臣貂胣薽럧꺁맥財藥銂뗧誂臥讁苣ꖅ냥閁臣龁臣趁臣蚛藥趽뷧ꮁ臣醁苣궼볯ꚼ胣㲁牢ਾ臣芁苣芀戼㹲袼믤風ꃩ钼裢颼볯㲉牢ਾ†觥風菣뎃苣ꚃ菣莃菣Ꞽ꺁鳦节甼砠汭獮樺㵰栢瑴㩰⼯睷⹷灪⹯潧樮≰ꦉ뷤㲓甯뒁臣膀귦것菣몂볯犬貁藩꺽臣貂臣蒁苣鎁臣銂觧뒾臣馁苣颻꣨薠볯銈볯讁苣钼裢鞼臣蒁臣貂臣肸ꃩꮁ꣨覼臣覅귥뮳胣㲂牢ਾ볯颻꣨薠볯銈볯覼戼㹲 趉꣨ꎭ菣뎃苣겼ㅦ苣誂苣ꦉ뷤뒁臣膀단것菣몂볯暬貁觥風귦것菣몂볯暬ꢁ髩誂郥蚁苣蚁臣超뷧閁苣ꚁ臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲袼믤風ꃩ钼裢醼볯覼戼㹲 趉꣨ꎭ菣뎃苣겼ㅲ苣誂苣㲂⁵浸湬㩳灪∽瑨灴⼺眯睷樮潰朮⹯灪㸢菥㲏甯뒁臣膀단것菣몂볯犬貁觥風귦것菣몂볯犬ꢁ髩誂郥蚁苣蚁臣超뷧閁苣ꚁ臣讂臣ꢁ苣릉뻥ꢁ臣讂믤風ꃩ钼裢醼臣覂볯銈볯꺁臣骁苣讁룤薠臣風볨꺁藥ꚭ돧芀戼㹲袼믤風ꃩ钼裢醼볯覼戼㹲 趉꣨ꂲ菣뎃苣겼㉦臣ꦉ뷤뒁鷩貁觧鎽臥ꮁ蟥ꊝ臣芁苣鎁臣銂觧뒾臣馁苣颻꣨薠볯銈볯讁苣钼裢醼볯꺁臣骁苣讁룤薠臣風볨꺁藥ꚭ돧芀戼㹲袼믤風ꃩ钼裢醼볯覼戼㹲 趉꣨ꂲ菣뎃苣겼㉲臣较臥ꊝ臣较臥ꮁ蟥ꊝ臣芁苣鎁臣銂觧뒾臣馁苣颻꣨薠볯銈볯讁苣钼裢���醼볯꺁臣骁苣讁룤薠臣風볨꺁藥ꚭ돧芀戼㹲袼믤風ꃩ钼裢醼볯覼戼㹲 趉꣨것菣몂볯暬꾁단꺁뇥颊諥銂鳦馁苣鎁臣銂觧뒾臣馁苣颻꣨薠볯銈볯讁苣钼裢醼볯꺁臣骁苣讁룤薠臣風볨꺁藥ꚭ돧芀戼㹲袼믤風ꃩ钼裢醼볯覼戼㹲 趉꣨것菣몂볯犬꾁단꺁뇥颊諥銂鳦馁苣鎁臣銂觧뒾臣馁苣颻꣨薠볯銈볯讁苣钼裢醼볯꺁臣骁苣讁룤薠臣風볨꺁藥ꚭ돧芀戼㹲袼믤風ꃩ钼裢醼볯覼戼㹲 ꖻ룤꺁鷦뚻볥袼볯覼胣袼볯覼胣袼볯覼苣肺뛨馁苣肸꿥꺁菣뎃苣銂胣醰臣辁臣节볯ꒁ鳦鞁胣㲁牢ਾ觥風룤뺯臣것菣몂臣肸雦꺁菣뎃苣꾁胣趉꣨것菣몂菣讃菣袃볯暧臣ꮐ臣貂胣趉꣨肸꿥꺁菣뎃苣꺁믤릖臣것菣몂臣膀觥風菣뎃苣ꚃ菣莃菣Ꞽꮁ郥뺁苣讂臣ꢁ苣릉뻥ꢁ臣讂믤風ꃩ钼裢醼臣覂볯銈볯钼臣蒁臣貂臣肸ꃩꮁ꣨覼臣覅귥뮳胣㲂牢ਾ†裢醼볯醼볯銽猼扵砠汭獮樺㵰栢瑴㩰⼯睷⹷灪⹯潧樮≰伾時⼼畳㹢볯銽猼扵砠汭獮樺㵰栢瑴㩰⼯睷⹷灪⹯潧樮≰吾牌⼼畳㹢볯銈볯躼볯ₙ††袼볯覼戼㹲 銈볯躼볯鲼뷯㲒畳⁢浸湬㩳灪∽瑨灴⼺眯睷樮潰朮⹯灪㸢䉏㱲猯扵込뷯㲒畳⁢浸湬㩳灪∽瑨灴⼺眯睷樮潰朮⹯灪㸢䱔㱦猯扵鲼裢邼볯馼†††볯銼볯㲉牢ਾ†裢邼볯醼볯袼뷯㲄畳⁢浸湬㩳灪∽瑨灴⼺眯睷樮潰朮⹯灪㸢䉏⼼畳㹢裢蒽猼扵砠汭獮樺㵰栢瑴㩰⼯睷⹷灪⹯潧樮≰吾㱌猯扵覼볯袼뷯㲄畳⁢浸湬㩳灪∽瑨灴⼺眯睷樮潰朮⹯灪㸢䉏⼼畳㹢볯蒽猼扵砠汭獮樺㵰栢瑴㩰⼯睷⹷灪⹯潧樮≰吾㱌猯扵覼볯邼볯醼†††볯鎼볯㲉牢ਾ†뷤鞁胣㲁牢ਾ†뷯㲒畳⁢浸湬㩳灪∽瑨灴⼺眯睷樮潰朮⹯灪㸢䉏㱦猯扵꾁胣趉꣨肸雦꺁菣뎃苣꺁觧鎽臥ꊝ臣醿믨늛軧認뻥膀戼㹲 銽猼扵砠汭獮樺㵰栢瑴㩰⼯睷⹷灪⹯潧樮≰伾牂⼼畳㹢臣膀觥風룤릖臣것菣몂臣较臥ꊝ臣醿믨늛軧認뻥膀戼㹲 銽猼扵砠汭獮樺㵰栢瑴㩰⼯睷⹷灪⹯潧樮≰吾晌⼼畳㹢臣膀觥風믤릖臣것菣몂臣ꦉ뷤뒁鷩꺁뿨뢻鯦螎跥蒾胣㲁牢ਾ†뷯㲒畳⁢浸湬㩳灪∽瑨灴⼺眯睷樮潰朮⹯灪㸢䱔㱲猯扵꾁胣趉꣨隻雦꺁菣뎃苣꺁菥뒁鷩꺁뿨뢻鯦螎跥蒾胣㲁牢ਾ†뷯㲄畳⁢浸湬㩳灪∽瑨灴⼺眯睷樮潰朮⹯灪㸢䉏⼼畳㹢臣膀觥風룤릖臣것菣몂臣覅믨誸臣骎臣膀戼㹲 蒽猼扵砠汭獮樺㵰栢瑴㩰⼯睷⹷灪⹯潧樮≰吾㱌猯扵꾁胣趉꣨隻雦꺁菣뎃苣꺁藥뢻룤꺁軥閁胣㲁牢ਾ臣芁苣芀戼㹲袼믤風ꃩ钼裢醼볯覼戼㹲 ꖻ룤꺁鷦뚻볥袼볯銼裢醼볯銂뫦뎶臣讂臣ꢁ苣릉뻥ꢁ臣讂믤風ꃩ钼裢醼臣覂볯銈볯閼臣蒁臣貂臣肸ꃩꮁ꣨覼臣覅귥뮳胣㲂牢ਾ†裢醼볯슐鲼룎猼扵砠汭獮樺㵰栢瑴㩰⼯睷⹷灪⹯潧樮≰漾⼼畳㹢볯鎼볯슐₰††袼볯銼裢醼볯㲉牢ਾ†뷤鞁胣㲁牢ਾ†룎猼扵砠汭獮樺㵰栢瑴㩰⼯睷⹷灪⹯潧樮≰漾⼼畳㹢臣膀藥뢻臣芞鯧ꪁ鷩꺁돦骷臣ꦉ뷤뒁臣誁臣讂룤覅럧ꢁ臣ꪁ臣銧뫥膀戼㹲ꞁ臣讂胣㲂牢ਾ볯颻꣨薠볯銈볯鞼볯㲉牢ਾ†믤���風ꃩ钼裢醼臣覂볯銈볯隼臣蒁臣貂臣肸ꃩꮁ꣨覼臣覅귥뮳臣膀鋦较듧邭臣膀苣馂臣讂臣ꢁ苣릉뻥ꢁ臣讂藥ꚭꧦꢙ胣ં⼼䥄㹖㰊䥄㹖䐼噉邀볯醼볯閼胣㲑䐯噉ਾ볯颻꣨薠볯銈볯覼戼㹲 覅볥ꚺ苣뮛냦ꆿ迥ꮁꓥ鮏臣讂볯ꆬ藥蒚臣超裥閁苣龁ꓨ낕臣뮔듧ꢁ胣趉꣨螤闦꺁铧ꂴ臣蒐胣ꮁ藩꺽臣貂苣螤闦꺁觨閃苣ꮃ苣ꢁ胣銂若袁胣趉꣨뮔듧꺁菣莃菣貁볯躼볯캐趽믤许臣芁苣꺒菥ꂴ귥誸臣覅귥较苣ꊽ裦馁苣覅귥뮳臣芁臣ꚁ胣㲁牢ਾ†觥風藥ꚭ돧꾁胣ꦉ뷤뒁苣誂ꃩꮁ胣㲁牢ਾ†ꓨ낕臣것菣몂臣覂臣讂곧醼菣뎃苣꒾臣膀戼㹲 麵苣ꢁ胣㲁牢ਾ†ꓨ낕臣것菣몂臣覂臣讂곧銼菣뎃苣꒾臣膀苣覜臣膀戼㹲 趉꣨覅귥뮳苣讧裦馁苣것菣몂뻧꾁胣趉꣨견볯것菣몂뻧ꢁ觥風곧銼菣뎃苣꒾臣讁苣ꪁ苣膀戼㹲 趉꣨견볯것菣몂뻧꾁胣肜苣ꦉ뷤뒁臣超뷧閁苣龁곧醼觧鎽臥것菣몂苣覜臣膀戼㹲 趉꣨견볯것菣몂뻧꾁胣肜苣较臥ꮁ藩꺽臣貂臣견볯较臥것菣몂苣覜臣膀戼㹲 趉꣨견볯것菣몂뻧ꮁ苣ꎁ臣ꦉ뷤꺁藥립菥貁뷥邈臣貂胣㲁牢ਾ†觥風곧銼菣뎃苣꒾臣袂臣ꚁ觧鎽臣肜뗧较臣ꊽ裦閁苣膀戼㹲 ꖻ룤꺁鷦뚻볥袼볯隼볯膀볯醼볯覼胣袼볯閼볯銂뫦뎶臣讂臣ꢁ苣릉뻥ꢁ臣讂藥ꚭ돧芀戼㹲 邼볯邼볯鲼볯ꆼ†††볯醼볯覼戼㹲 銈볯邼볯袼铎볯㲤畳⁢浸湬㩳灪∽瑨灴⼺眯睷樮潰朮⹯灪㸢㉇䍤⼼畳㹢볯袼铎볯㲤畳⁢浸湬㩳灪∽瑨灴⼺眯睷樮潰朮⹯灪㸢ㅇ䍤⼼畳㹢韃닎猼扵砠汭獮樺㵰栢瑴㩰⼯睷⹷灪⹯潧樮≰䜾䌲⼼畳㹢猼灵砠汭獮樺㵰栢瑴㩰⼯睷⹷灪⹯潧樮≰銼⼼畳㹰볯袼볯讼닎猼扵砠汭獮樺㵰栢瑴㩰⼯睷⹷灪⹯潧樮≰䜾䌲⼼畳㹢韃铎볯㲤畳⁢浸湬㩳灪∽瑨灴⼺眯睷樮潰朮⹯灪㸢ㅇ䍤⼼畳㹢볯蚽猼扵砠汭獮樺㵰栢瑴㩰⼯睷⹷灪⹯潧樮≰䜾䌲⼼畳㹢볯覼볯込뗎猼扵砠汭獮樺㵰栢瑴㩰⼯睷⹷灪⹯潧樮≰搾⼼畳㹢볯鎼볯ₐ††袼볯颼볯㲉牢ਾ†볯躼볯閼볯꒼猼扵砠汭獮樺㵰栢瑴㩰⼯睷⹷灪⹯潧樮≰漾㱳猯扵込볯㲤畳⁢浸湬㩳灪∽瑨灴⼺眯睷樮潰朮⹯灪㸢楯⼼畳㹢볯邼볯颼†††볯銼볯覼戼㹲 鎁臣ꞁ胣㲁牢ਾ†볯ꆼ臣膀觥風藥ꚭ돧꺁觧鎽臥꺁雩ꎏ闦膀戼㹲 츠꒼猼扵砠汭獮樺㵰栢瑴㩰⼯睷⹷灪⹯潧樮≰䜾搱㱃猯扵꾁胣覅믨誸臣ꦉ苧ꮁ꿥馁苣趉꣨견볯것菣몂뻧꺁菥릂臣誁臣ꚁ胣蒽럧ꮁ臣醁苣较苧낼猼扵砠汭獮樺㵰栢瑴㩰⼯睷⹷灪⹯潧樮≰䜾㰱猯扵꺁뷤꺽臣覂볯骷臣誁臣讂菥릂臣趽뷧뺁臣꺁럨ꊛ胣㲁牢ਾ†铎볯㲤畳⁢浸湬㩳灪∽瑨灴⼺眯睷樮潰朮⹯灪㸢㉇䍤⼼畳㹢臣膀觥風菥릂볯㲰畳⁢浸湬㩳灪∽瑨灴⼺眯睷樮潰朮⹯灪㸢ㅇ⼼畳㹢苣ꦉ苧ꢁ臣龁臣趁臣趉꣨견볯것菣몂뻧꺁菥릂臣誁臣ꚁ胣蒽럧ꮁ臣醁苣较苧꺁뷤꺽臣覂볯骷臣誁臣讂菥릂臣趽뷧뺁臣꺁럨ꊛ胣ꞁ臣ꎁ臣膀戼㹲 츠꒼猼扵砠汭獮樺㵰栢瑴㩰⼯睷⹷灪⹯潧樮≰䜾���㱃猯扵ꢁ铎볯㲤畳⁢浸湬㩳灪∽瑨灴⼺眯睷樮潰朮⹯灪㸢㉇䍤⼼畳㹢臣ꎭ단꾁胣趉꣨ꎼ럧ꮁ臣醁苣较苧꺁뷤꺽臣趉꣨蒽럧ꮁ臣醁苣较苧꺁뷤꺽苣誂苣较臥ꮁ臣讂ꃥ袐苣ꎭ胣趉꣨ꎼ럧ꮁ臣醁苣较苧꺁뷤꺽臣趉꣨蒽럧ꮁ臣醁苣较苧꺁뷤꺽苣誂苣㲂⁵浸湬㩳灪∽瑨灴⼺眯睷樮潰朮⹯灪㸢觧鎽⼼㹵臥ꮁ臣讂ꃥ袐苣ꂲ臣鞁胣㲁牢ਾ†닎猼扵砠汭獮樺㵰栢瑴㩰⼯睷⹷灪⹯潧樮≰䜾䌲⼼畳㹢臣膀觥風菥릂볯㲰畳⁢浸湬㩳灪∽瑨灴⼺眯睷樮潰朮⹯灪㸢ㅇ⼼畳㹢苣ꦉ苧ꢁ臣龁臣趁臣趉꣨견볯것菣몂뻧꺁볯骷臣誁臣讂뗧较胥螎胣㲁牢ਾ†뷯㲆畳⁢浸湬㩳灪∽瑨灴⼺眯睷樮潰朮⹯灪㸢㉇㱃猯扵꾁胣趉꣨견볯것菣몂뻧꺁볯骷臣誁臣讂蓧릂럨ꊛ胣㲁牢ਾ†뗎猼扵砠汭獮樺㵰栢瑴㩰⼯睷⹷灪⹯潧樮≰搾⼼畳㹢臣膀觥風藥ꚭ돧꺁菥뒁臣讖迥낕臣몱臣讂뷯骷臣꺁苣ꊂ菣벃菣ꎂ苣꾂跥蒾胣㲁牢ਾ†볯㲤畳⁢浸湬㩳灪∽瑨灴⼺眯睷樮潰朮⹯灪㸢獯⼼畳㹢臣膀觧鎽臣覂觥風뗧誂臣ꞁ臣覅믨誸臣鶷鯩膀戼㹲 ꒼猼扵砠汭獮樺㵰栢瑴㩰⼯睷⹷灪⹯潧樮≰漾㱩猯扵꾁胣ꦉ뷤讁苣较臣ꞁ臣覅믨誸臣鶷鯩膀戼㹲ꞁ臣誂胣㲁牢ਾ†觧릂胣较苧꾁臣貂臣貂藥뢻룤꺁苧ꞁ臣誂胣骙觧릂胣骙菥릂臣芁苣뒠郥节郥肂胣㲂牢ਾ볯颻꣨薠볯銈볯覼戼㹲 ꖻ룤꺁鷦뚻볥袼볯钼볯銂뫦뎶臣讂臣ꢁ苣릉뻥ꢁ臣讂믤風ꃩ閼裢醼臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢業㱮猯扵銈볯込뷎뷯㲄畳⁢浸湬㩳灪∽瑨灴⼺眯睷樮潰朮⹯灪㸢慭㱸猯扵‾††袼볯钼볯㲉牢ਾ†臣鎁臣膀戼㹲 츠蒽猼扵砠汭獮樺㵰栢瑴㩰⼯睷⹷灪⹯潧樮≰派湩⼼畳㹢臣膀觥風藥ꚭ돧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰派硡⼼畳㹢臣膀觥風藥ꚭ돧銂꟦邈臣讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯銈볯覼戼㹲 ꖻ룤꺁鷦뚻볥袼볯鎼볯銂뫦뎶臣讂臣ꢁ苣릉뻥ꢁ臣讂믤風ꃩ閼裢醼迥꾁볯銈볯ꮁ꣨覼臣覅귥뮳胣㲂牢ਾ†볯躼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢†††볯銼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ閼裢钼볯㲉牢ਾ†觥風곧醼菣뎃苣꒾臣ꎭ臣袱諦鮊苣覜臣膀戼㹲 ꖻ룤꺁鷦뚻볥袼볯馼볯銂뫦뎶臣讂臣ꢁ苣릉뻥ꢁ臣讂믤風ꃩ閼裢醼臣覂볯銈볯꺁臣骁苣讁룤薠臣風볨꺁藥ꚭ돧芀戼㹲 ���볯邼볯랼볯込볯ꚼ†††볯醼볯覼戼㹲 鎁臣ꞁ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯覼戼㹲 ꖻ룤꺁鷦뚻볥袼볯隼볯銂뫦뎶臣讂臣ꢁ苣릉뻥ꢁ臣讂믤風ꃩ閼裢醼臣覂볯銈볯꺁臣骁苣讁룤薠臣風볨꺁藥ꚭ돧芀戼㹲 邼볯鞼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢볯邼볯邼볯쎗랼볯込볯ꚼ†††볯閼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯醼裢醼볯銂뫦뎶臣讂臣ꢁ苣릉뻥ꢁ臣讂믤風ꃩ閼裢醼臣覂볯銈볯꺁臣骁苣讁룤薠臣風볨꺁藥ꚭ돧芀戼㹲 邼볯醼볯겼猼扵砠汭獮樺㵰栢瑴㩰⼯睷⹷灪⹯潧樮≰䜾㰱猯扵込볯㲬畳⁢浸湬㩳灪∽瑨灴⼺眯睷樮潰朮⹯灪㸢㉇⼼畳㹢볯醼볯钼†††볯鎼볯銈볯覼戼㹲 鎁臣ꞁ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 겼猼扵砠汭獮樺㵰栢瑴㩰⼯睷⹷灪⹯潧樮≰䜾㰲猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ閼裢鞼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯鎼볯覼苣肺뛨馁苣鎁臣銂觧뒾臣馁苣颻꣨薠볯銈볯讁苣閼裢隼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵鲼볯躼볯ₐ††袼볯钼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸���鶷鯩膀戼㹲ꞁ臣讂胣㲂牢ਾ볯颻꣨薠볯銈볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯鞼볯銂뫦뎶臣讂臣ꢁ苣릉뻥ꢁ臣讂믤風ꃩ閼裢醼臣覂볯銈볯꺁臣骁苣讁룤薠臣風볨꺁藥ꚭ돧芀戼㹲 ꒼猼扵砠汭獮樺㵰栢瑴㩰⼯睷⹷灪⹯潧樮≰漾㱳猯扵込볯㲬畳⁢浸湬㩳灪∽瑨灴⼺眯睷樮潰朮⹯灪㸢ㅇ⼼畳㹢裢邼볯鎼볯쎙랼볯込볯ꚼ볯醼볯颼†††볯閼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂뗧誂臣ꞁ臣覅믨誸臣鶷鯩膀戼㹲 겼猼扵砠汭獮樺㵰栢瑴㩰⼯睷⹷灪⹯潧樮≰䜾㰱猯扵꾁胣趉꣨견볯ꦉ뷤뒁菣뎃苣꺁觧鎽臥ꊝ臣覂觥風곧醼菥뒁菣뎃苣꺁菥뒁鷩뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯覼戼㹲 ꖻ룤꺁鷦뚻볥袼볯鞼볯銂뫦뎶臣讂臣ꢁ苣릉뻥ꢁ臣讂믤風ꃩ閼裢醼臣覂볯銈볯꺁臣骁苣讁룤薠臣風볨꺁藥ꚭ돧芀戼㹲 邼볯ꊼ볯込볯㲬畳⁢浸湬㩳灪∽瑨灴⼺眯睷樮潰朮⹯灪㸢㱌猯扵鲼볯躼볯ₔ††袼볯鞼볯㲉牢ਾ†臣鎁臣膀戼㹲 ꊼ볯꾁胣趉꣨견볯较臥것菣몂臣较臥ꊝ臣覂菥뺁臣꺁藥뢻룤꺁럨ꊛ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ閼裢醼볯覼戼㹲 ꖻ룤꺁鷦뚻볥袼볯閼볯膀볯鎼볯覼苣肺뛨馁苣鎁臣銂觧뒾臣馁苣颻꣨薠볯銈볯讁苣閼裢馼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢久㱐猯扵込볯₹††袼볯閼볯㲉牢ਾ†볯ꚉ볯늼볯㲡畳⁢浸湬㩳灪∽瑨灴⼺眯睷樮潰朮⹯灪㸢扯㱪猯扵込볯늼볯㲡畳⁢浸湬㩳灪∽瑨灴⼺眯睷樮潰朮⹯灪㸢浩㱧猯扵鲼볯躼볯ₕ††袼볯隼볯㲉牢ਾ†臣鎁臣膀戼㹲 ꒼猼扵砠汭獮樺㵰栢瑴㩰⼯睷⹷灪⹯潧樮≰䔾偎⼼畳㹢臣膀觥風藥ꚭ돧꺁藥蒰黧趽뷧讁苣趉꣨견볯ꦉ뷤뒁菣뎃苣꺁觧鎽臥ꊝ臣ꞁ臣覅믨誸臣鶷鯩膀戼㹲 림臣膀觥風藥ꚭ돧ꢅ돧ꮁ臣醁苣肜ꓥ较ꯩ膀戼㹲 ꎼ볯ꆼ猼扵砠汭獮樺㵰栢瑴㩰⼯睷⹷灪⹯潧樮≰漾橢⼼畳㹢臣膀觥風곧醼觧鎽臥것菣몂臣ꖅ냥馁苣뮸藥骷臣覅믨ꢁ臣ꪁ臣銧뫥꺁鳦Ꞥ胥膀戼㹲 ꎼ볯ꆼ猼扵砠汭獮樺㵰栢瑴㩰⼯睷⹷灪⹯潧樮≰椾杭⼼畳㹢臣膀菥ꊝ臣ꖅ냥馁苣뮸藥骷臣覅믨ꢁ臣ꪁ臣銧뫥꺁鳦Ꞥ胥膀戼㹲ꞁ臣誂胣㲁牢ਾ†꟨ꚺ臣ꎭ단꾁胣覅믨讁苣芙꣨麛苣꺁雦醐臣겸臣龁ꃥ袐臣銧뫥銂단膀���芙꣨麛苣꺁雦醐臣겸臣龁臣趁臣銧뫥銂귦ꢁ臣讂胣㲂牢ਾ볯颻꣨薠볯銈볯醼볯㲉牢ਾ†觥風곧醼菣뎃苣꒾臣膀단것菣몂臣膀觥風단것菣몂苣誂苣ꦉ뷤뒁臣超뷧閁苣龁귦것菣몂臣膀苣覜臣膀戼㹲 ꖻ룤꺁鷦뚻볥袼볯邼裢醼볯銂뫦뎶臣讂臣ꢁ苣릉뻥ꢁ臣讂믤風ꃩ閼裢醼臣覂볯銈볯邼臣蒁臣貂臣肸ꃩꮁ꣨覼臣覅귥뮳胣㲂牢ਾ†볯躼볯鲼볯쎒袼볯꒼韃뷯膽뷯袼뷯覽뷯㲎畳⁰浸湬㩳灪∽瑨灴⼺眯睷樮潰朮⹯灪㸢裢醼⼼畳㹰볯ꆼ볯讼볯㲹畳⁢浸湬㩳灪∽瑨灴⼺眯睷樮潰朮⹯灪㸢扯㱪猯扵覼볯쾏㲆畳⁢浸湬㩳灪∽瑨灴⼺眯睷樮潰朮⹯灪㸢㱳猯扵鲼볯躼볯ₐ††袼볯邼裢醼볯㲉牢ਾ†臣鎁臣膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲 꺼볯꾁胣趉꣨覅귥뮳臣ꦉ뷤뒁臣讖迥낕胣㲁牢ਾ†볯㲹畳⁢浸湬㩳灪∽瑨灴⼺眯睷樮潰朮⹯灪㸢扯㱪猯扵꾁胣肜ꓥꦉ뷤颫胣㲁牢ਾ†蛏猼扵砠汭獮樺㵰栢瑴㩰⼯睷⹷灪⹯潧樮≰猾⼼畳㹢臣膀觥風뗧誂臣뒛뻥膀戼㹲ꞁ臣讂胣㲂牢ਾ볯颻꣨薠볯銈볯銼볯㲉牢ਾ†믤许臣ꆝ믤込볯銼볯覼苣肺뛨馁苣鎁臣銂觧뒾臣馁苣颻꣨薠볯銈볯讁苣閼裢醼볯꺁臣骁苣讁룤薠臣風볨꺁藥ꚭ돧芀戼㹲 邼볯邼볯鲼볯㲤畳⁢浸湬㩳灪∽瑨灴⼺眯睷樮潰朮⹯灪㸢慭㱸猯扵込蛏猼扵砠汭獮樺㵰栢瑴㩰⼯睷⹷灪⹯潧樮≰猾⼼畳㹢볯鎼볯邼†††볯銼볯覼戼㹲 鎁臣ꞁ胣㲁牢ਾ†볯㲤畳⁢浸湬㩳灪∽瑨灴⼺眯睷樮潰朮⹯灪㸢慭㱸猯扵꾁胣趉꣨覅귥뮳臣誁臣讂髩誂郥蚁菣뎃苣꺁藥뢻룤꺁雩钚臣蚁臣膀鳦Ꞥ臣ꪁ苣鎖髩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ閼裢醼볯覼戼㹲 趉꣨견볯것菣몂뻧꾁胣趉꣨견볯ꦉ뷤뒁菣뎃苣ꢁ胣趉꣨견볯ꦉ뷤뒁菣뎃苣ꮁ髩誂郥蚁苣蚁臣超뷧閁苣讂菣뎃苣ꢁ苣覜臣膀냥ꪁ臣ꢁ苣肸雦꺁菣뎃苣貁귦꺁뇥颊諥銂賦ꒁ臣ꢁ苣릉뻥ꢁ臣讂믤風ꃩ閼裢醼臣覂볯銈볯銼臣蒁臣貂臣肸ꃩꮁ꣨覼臣覅귥뮳胣㲂牢ਾ볯颻꣨薠볯銈볯钼볯㲉牢ਾ†觥風곧銼菣뎃苣꒾臣膀鳦节菥뒁臣肉껥꺁菣뎃苣꒾苣覜臣膀戼㹲 趉꣨肉껥꺁菣뎃苣꒾臣ꢅ뷤ꞁ단꺁뇥颊諥銂鳦馁苣ꢁ藥ꮁ胣ꂲ菣뎃苣꺁뇥颊諥銂苣ꒁ跥것菣몂臣銼黦꺁菣뎃苣讁苣ꪁ苣膀戼㹲 趉꣨銼黦꺁菣뎃苣꾁胣ꦉ뷤뒁臣覂단꺁뇥颊諥銂苣ꒁ菣뎃苣ꢁ胣ꎭ臣龁臣ꂲ臣袱諦鮊苣膌臣것菣몂臣膀臣覂臣讂臣ꢁ苣릉뻥ꢁ臣讂믤風ꃩ颻꣨薠볯銈볯讁苣閼裢醼볯꺁臣骁苣讁룤薠臣風볨꺁藥ꚭ돧芀戼㹲袼믤風ꃩ閼裢醼볯覼戼㹲 肉껥꺁菣뎃苣꒾苣誂苣ꦉ뷤뒁臣ꎭ菣뎃苣貁藩꺽臣貂胣㲁牢ਾ†觥風귦것菣몂臣肉껥꺁菣뎃苣꒾臣ꎚ苣���袐臣袂臣ꮁ藩꺽臣貂臣蒁苣鎁臣銂觧뒾臣馁苣颻꣨薠볯銈볯钼臣風볨꺁藥ꚭ돧芀戼㹲袼믤風ꃩ閼裢醼볯覼戼㹲 趉꣨견볯것菣몂뻧꾁胣肜苣较臥ꮁ藩꺽臣貂臣견볯较臥것菣몂苣覜臣膀戼㹲 趉꣨견볯较臥것菣몂臣较臥ꊝ臣较臥ꮁ蟥ꞁ臣誂胣㲁牢ਾ†믤许臣ꆝ믤込볯钼볯覼苣肺뛨馁苣鎁臣銂觧뒾臣馁苣颻꣨薠볯銈볯讁苣閼裢醼볯꺁臣骁苣讁룤薠臣風볨꺁藥ꚭ돧芀戼㹲 邼볯銼볯늼猼扵砠汭獮樺㵰栢瑴㩰⼯睷⹷灪⹯潧樮≰䜾椱⼼畳㹢볯꒼猼扵砠汭獮樺㵰栢瑴㩰⼯睷⹷灪⹯潧樮≰䜾椱㱳猯扵‾††袼볯邼볯㲉牢ਾ†臣鎁臣膀戼㹲 늼猼扵砠汭獮樺㵰栢瑴㩰⼯睷⹷灪⹯潧樮≰䜾椱⼼畳㹢臣膀觥風곧醼菥뒁菣뎃苣꺁菥뒁鷩꺁鯦螎跥蒾胣㲁牢ਾ†볯㲤畳⁢浸湬㩳灪∽瑨灴⼺眯睷樮潰朮⹯灪㸢ㅇ獩⼼畳㹢臣膀觥風곧醼菥뒁菣뎃苣꺁菥뒁鷩讁苣趉꣨麵苣뺁臣꺁藥뢻룤꺁럨ꊛ胣㲁牢ਾ臣芁苣芀戼㹲袼믤風ꃩ閼裢醼볯覼戼㹲 ꖻ룤꺁鷦뚻볥袼볯钼볯銂뫦뎶臣讂귦것菣몂苣醰臣辁臣节볯骞鳦馁苣鎁臣銂觧뒾臣馁苣颻꣨薠볯銈볯讁苣閼裢醼볯꺁臣骁苣讁룤薠臣風볨꺁藥ꚭ돧芀戼㹲 邼볯閼볯鲼룎猼扵砠汭獮樺㵰栢瑴㩰⼯睷⹷灪⹯潧樮≰朾㱆猯扵鲼볯躼볯ₘ††袼볯钼볯㲉牢ਾ†臣鎁臣㲧牢ਾ†룎猼扵砠汭獮樺㵰栢瑴㩰⼯睷⹷灪⹯潧樮≰朾㱆猯扵꾁胣趉꣨ꎭ菣뎃苣꺁菩蚈裥ꎕ꿦ꞁ臣ꎁ臣膀룎猼扵砠汭獮樺㵰栢瑴㩰⼯睷⹷灪⹯潧樮≰朾㱆猯扵鶼볯躽뷯銈뷯ꚼ볯込볯躽볯銈뷯ꎼ볯ꞁꇨ閁苣膀戼㹲 躽볯膀뷯ꚼ胣躽뷯꾁胣鶁苣麁苣膀볯骷胣ꚼ럧膀뷯骷臣뺯臣讂뇥颊軧膀戼㹲ꞁ臣讂胣㲂牢ਾ볯颻꣨薠볯銈볯颼볯㲉牢ਾ†鷦뚻볥袼볯钼볯銂뫦뎶臣讂귦것菣몂臣膀觥風곧醼菣뎃苣꒾臣ꮐ臣貂臣蒁苣鎁臣銂觧뒾臣馁苣颻꣨薠볯銈볯鞼臣風볨꺁藥ꚭ돧芀戼㹲袼믤風ꃩ閼裢醼볯覼戼㹲 ꆝ믤込볯钼볯覼苣肺뛨馁苣ꎭ菣뎃苣貁胣ꖻ룤꺁鷦뚻볥袼볯閼볯銂뫦뎶臣讂臣ꢁ苣릉뻥ꢁ臣讂믤風ꃩ閼裢醼볯袏臣閼裢醼볯ꮁ꣨覼臣覅귥뮳胣㲂牢ਾ†볯躼볯鲼볯㲤畳⁢浸湬㩳灪∽瑨灴⼺眯睷樮潰朮⹯灪㸢ㅰ㱳猯扵込볯㲬畳⁢浸湬㩳灪∽瑨灴⼺眯睷樮潰朮⹯灪㸢ㅇ㱳猯扵ꚉ볯ₑ††袼볯閼볯㲉牢ਾ†臣鎁臣膀戼㹲 ꒼猼扵砠汭獮樺㵰栢瑴㩰⼯睷⹷灪⹯潧樮≰瀾猱⼼畳㹢臣膀觥風귦것菣몂臣ꦉ뷤뒁鷩讁苣趉꣨麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ㱳猯扵꾁胣趉꣨견볯ꦉ뷤뒁菣뎃苣꺁觧鎽臥ꊝ臣覂觥風뗧誂臣ꞁ臣覅믨誸臣鶷鯩膀戼㹲ꞁ臣讂胣㲂牢ਾ볯颻꣨薠볯銈볯邼볯㲉牢ਾ†믤许臣ꆝ믤込볯銼볯覼苣肺뛨馁苣鎁臣銂觧뒾臣馁苣颻꣨薠볯銈볯讁苣閼裢醼볯꺁臣骁苣讁룤薠臣風볨꺁藥ꚭ돧芀戼㹲 邼볯ꊼ볯込볯鲼볯���볯ₐ††袼볯颼볯㲉牢ਾ†臣鎁臣膀戼㹲 ꊼ볯꾁胣趉꣨견볯较臥것菣몂臣较臥ꊝ臣覂菥뺁臣꺁藥뢻룤꺁럨ꊛ胣㲁牢ਾ†볯꾁胣趉꣨覅귥뮳藥뮳臣誁臣讂鳦Ꞥ菥颫胣㲁牢ਾ臣芁苣芀戼㹲袼믤風ꃩ閼裢銼볯覼戼㹲 ꖻ룤꺁鷦뚻볥袼볯銼볯銂뫦뎶臣讂臣ꢁ苣릉뻥ꢁ臣讂믤風ꃩ閼裢醼臣覂볯銈볯邼臣蒁臣貂臣肸ꃩꮁ꣨覼臣覅귥뮳胣㲂牢ਾ†볯躼볯醼觢꒼猼扵砠汭獮樺㵰栢瑴㩰⼯睷⹷灪⹯潧樮≰䜾洱硡⼼畳㹢볯쾏㲆畳⁢浸湬㩳灪∽瑨灴⼺眯睷樮潰朮⹯灪㸢㱳猯扵鲼볯躼볯ₐ††袼볯銼볯㲉牢ਾ†臣鎁臣膀戼㹲 ꒼猼扵砠汭獮樺㵰栢瑴㩰⼯睷⹷灪⹯潧樮≰䜾洱硡⼼畳㹢臣膀觥風곧醼菣뎃苣꒾臣誁臣讂髩誂郥蚁菣뎃苣꺁藥뢻룤꺁雩钚臣蚁臣膀鳦Ꞥ臣ꪁ苣鎖髩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ閼裢銼볯覼戼㹲 ꖻ룤꺁鷦뚻볥袼볯隼볯銂뫦뎶臣讂臣ꢁ苣릉뻥ꢁ臣讂믤風ꃩ閼裢醼臣覂볯銈볯醼臣蒁臣貂臣肸ꃩꮁ꣨覼臣覅귥뮳胣㲂牢ਾ†볯躼볯閼볯쾜㲆畳⁢浸湬㩳灪∽瑨灴⼺眯睷樮潰朮⹯灪㸢ㅇ㱯猯扵込볯銼韃볯込뷯캜鲽볯₉††袼볯隼볯㲉牢ਾ†蛏猼扵砠汭獮樺㵰栢瑴㩰⼯睷⹷灪⹯潧樮≰䜾漱⼼畳㹢臣膀觥風곧醼觧鎽臥것菣몂臣ꦉ뷤뒁鷩꺁鳦릊迥蒾胣㲁牢ਾ†볯꾁胣趉꣨覅귥뮳藥뮳臣誁臣讂鳦Ꞥ菥颫胣㲁牢ਾ†닎臣膀觥風藥ꚭ돧꺁뗧较胥螎胣㲁牢ਾ臣芁苣芀戼㹲袼믤風ꃩ閼裢銼볯覼戼㹲 ꖻ룤꺁鷦뚻볥袼볯馼볯銂뫦뎶臣讂臣ꢁ苣릉뻥ꢁ臣讂믤風ꃩ閼裢醼臣覂볯銈볯銼臣蒁臣貂臣肸ꃩꮁ꣨覼臣覅귥뮳胣㲂牢ਾ†裢邼볯銼볯쾜㲆畳⁢浸湬㩳灪∽瑨灴⼺眯睷樮潰朮⹯灪㸢ㅇ㱯猯扵込볯㲲畳⁢浸湬㩳灪∽瑨灴⼺眯睷樮潰朮⹯灪㸢ㅇ㱯猯扵鲼볯躼볯ₐ††袼볯馼볯㲉牢ਾ†臣鎁臣膀戼㹲 켠㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣覜諥ꎏ뻥膀戼㹲 늼猼扵砠汭獮樺㵰栢瑴㩰⼯睷⹷灪⹯潧樮≰䜾漱⼼畳㹢臣膀觥風곧醼觧鎽臥것菣몂臣ꦉ뷤뒁鷩꺁鯦螎跥蒾胣㲁牢ਾ臣芁苣芀戼㹲袼믤風ꃩ閼裢銼볯覼戼㹲 趉꣨견볯것菣몂뻧꾁胣钼黦꺁菣뎃苣銂鳦鞁胣㲁牢ਾ†觥風볯骞臣것菣몂臣蚁臣醰臣辁臣节볯骞臣ꂲ菣뎃苣ꞁ胣醰臣辁臣节볯骞臣ꎭ菣뎃苣ꞁ臣誂胣㲁牢ਾ†觥風귦것菣몂臣蚁臣肜苣ꦉ뷤뒁臣趽뷧馁苣ꎭ菣뎃苣꺁觧鎽臥ꊝ臣膀觧鎽臥ꮁ蟥ꊝ臣芁苣鎁臣銂觧뒾臣馁苣颻꣨薠볯銈볯讁苣閼裢銼볯꺁臣骁苣讁룤薠臣風볨꺁藥ꚭ돧芀戼㹲袼믤風ꃩ閼裢銼볯覼戼㹲 趉꣨견볯것菣몂뻧꾁胣肜苣较臥ꮁ藩꺽臣貂臣견볯较臥것菣몂苣覜臣膀戼㹲 趉꣨麵苣꺁룤뒁臣趽뷧馁苣銼臣꺁菣뎃苣꺁雩钚臣肸껥ꞁ臣誂胣㲁牢ਾ†���许臣ꆝ믤込볯鎼볯覼苣肺뛨馁苣鎁臣銂觧뒾臣馁苣颻꣨薠볯銈볯讁苣閼裢銼볯꺁臣骁苣讁룤薠臣風볨꺁藥ꚭ돧芀戼㹲 ꒼猼扵砠汭獮樺㵰栢瑴㩰⼯睷⹷灪⹯潧樮≰䜾䜱㰲猯扵込蛏猼扵砠汭獮樺㵰栢瑴㩰⼯睷⹷灪⹯潧樮≰猾⼼畳㹢볯銼볯邼†††볯鎼볯覼戼㹲 鎁臣ꞁ胣㲁牢ਾ†볯㲤畳⁢浸湬㩳灪∽瑨灴⼺眯睷樮潰朮⹯灪㸢ㅇ㉇⼼畳㹢臣膀觥風곧醼菥뒁菣뎃苣꺁菥뒁鷩讁苣趉꣨견볯ꦉ뷤뒁菣뎃苣꺁觧鎽臥ꊝ臣ꞁ臣覅믨誸臣鶷鯩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ閼裢銼볯覼戼㹲 ꖻ룤꺁鷦뚻볥袼볯銼볯銂뫦뎶臣讂臣ꢁ苣릉뻥ꢁ臣讂믤風ꃩ閼裢醼臣覂볯銈볯閼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢ㅇ㱳猯扵込볯㲬畳⁢浸湬㩳灪∽瑨灴⼺眯睷樮潰朮⹯灪㸢䝳㰲猯扵鲼볯躼볯ₕ††袼볯銼볯㲉牢ਾ†臣鎁臣膀戼㹲 겼猼扵砠汭獮樺㵰栢瑴㩰⼯睷⹷灪⹯潧樮≰䜾猱⼼畳㹢臣膀觥風곧醼觧鎽臥것菣몂臣ꦉ뷤뒁鷩讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢䝳㰲猯扵꾁胣趉꣨麵苣讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯鞼볯㲉牢ਾ†믤许臣ꆝ믤込볯鎼볯覼苣肺뛨馁苣鎁臣銂觧뒾臣馁苣颻꣨薠볯銈볯讁苣閼裢銼볯꺁臣骁苣讁룤薠臣風볨꺁藥ꚭ돧芀戼㹲 邼볯颼觢쾦㲆畳⁢浸湬㩳灪∽瑨灴⼺眯睷樮潰朮⹯灪㸢ㅇ慭㱸猯扵込蛏猼扵砠汭獮樺㵰栢瑴㩰⼯睷⹷灪⹯潧樮≰䜾洲硡⼼畳㹢볯閼볯邼†††볯鎼볯覼戼㹲 鎁臣ꞁ胣㲁牢ਾ†蛏猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣覜諥ꎏ뻥꺁臣ꆁ胣肜ꓥꢁ臣讂鳦릊迥蒾胣㲁牢ਾ†蛏猼扵砠汭獮樺㵰栢瑴㩰⼯睷⹷灪⹯潧樮≰䜾洲硡⼼畳㹢臣膀觥風곧銼菣뎃苣꒾苣讧裦馁苣것菣몂臣覜諥ꎏ뻥꺁臣ꆁ胣肜ꓥꢁ臣讂鳦릊迥蒾胣㲁牢ਾ臣芁苣芀戼㹲袼믤風ꃩ閼裢銼볯覼戼㹲 趉꣨견볯ꦉ뷤뒁菣뎃苣꾁귦꺁뇥颊諥銂鳦馁苣鎁臣銂觧뒾臣馁苣颻꣨薠볯銈볯讁苣閼裢銼볯꺁臣骁苣讁룤薠臣風볨꺁藥ꚭ돧芀戼㹲袼믤風ꃩ閼裢銼볯覼戼㹲 ꖻ룤꺁鷦뚻볥袼볯鞼볯銂뫦뎶臣讂臣ꢁ苣릉뻥ꢁ臣讂믤風ꃩ閼裢醼臣覂볯銈볯颼臣蒁臣貂臣肸ꃩꮁ꣨覼臣覅귥뮳胣㲂牢ਾ†볯躼볯閼볯蚽猼扵砠汭獮樺㵰栢瑴㩰⼯睷⹷灪⹯潧樮≰䜾漱⼼畳㹢볯蚽†††볯鎼볯覼戼㹲 鎁臣ꞁ胣㲁牢ਾ†뷯㲆畳⁢浸湬㩳灪∽瑨灴⼺眯睷樮潰朮⹯灪㸢ㅇ㱯猯扵꾁胣趉꣨견볯ꦉ뷤뒁菣뎃苣꺁蓧릂럨ꊛ胣㲁牢ਾ†뷯꾁胣趉꣨覅귥뮳藥뮳臣Ꚅ苧鶷鯩膀戼㹲ꞁ臣讂胣㲂牢ਾ볯颻꣨薠볯銈볯邼볯㲉牢ਾ†觥風곧醼觧鎽臥것菣���臣ꦉ뷤뒁鷩貁觧鎽臥ꮁ蟥ꞁ臣讂臣ꢁ苣릉뻥ꢁ臣讂믤風ꃩ閼裢醼臣覂볯銈볯馼臣蒁臣貂臣肸ꃩꮁ꣨覼臣覅귥뮳胣㲂牢ਾ볯颻꣨薠볯銈볯醼볯㲉牢ਾ†믤许臣ꆝ믤込볯鎼볯覼苣肺뛨馁苣鎁臣銂觧뒾臣馁苣颻꣨薠볯銈볯讁苣醼裢鎼볯꺁臣骁苣讁룤薠臣風볨꺁藥ꚭ돧芀戼㹲 邼볯邼볯鲼볯㲲畳⁢浸湬㩳灪∽瑨灴⼺眯睷樮潰朮⹯灪㸢ㅇ㱯猯扵込볯꒼†††볯鎼볯覼戼㹲 鎁臣ꞁ胣㲁牢ਾ†볯㲲畳⁢浸湬㩳灪∽瑨灴⼺眯睷樮潰朮⹯灪㸢ㅇ㱯猯扵꾁胣趉꣨견볯ꦉ뷤뒁菣뎃苣꺁觧鎽臥ꊝ臣늛軧認뻥膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲ꞁ臣讂胣㲂牢ਾ볯颻꣨薠볯銈볯銼볯㲉牢ਾ†觥風곧銼菥뒁菣뎃苣꺁菥뒁鷩貁菥뒁臣릇臣芁苣膀戼㹲 ꖻ룤꺁鷦뚻볥袼볯馼볯銂뫦뎶臣讂臣ꢁ苣릉뻥ꢁ臣讂믤風ꃩ閼裢醼臣覂볯銈볯醼臣蒁臣貂臣肸ꃩꮁ꣨覼臣覅귥뮳胣㲂牢ਾ†볯躼볯ꚉ볯㲲畳⁢浸湬㩳灪∽瑨灴⼺眯睷樮潰朮⹯灪㸢㉇㱩猯扵込볯ꚼ†††볯鎼볯覼戼㹲 鎁臣ꞁ胣㲁牢ਾ†볯㲲畳⁢浸湬㩳灪∽瑨灴⼺眯睷樮潰朮⹯灪㸢㉇㱩猯扵꾁胣趉꣨견볯较臥것菣몂臣较臥ꊝ臣늛軧認뻥膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀戼㹲袼믤風ꃩ閼裢鎼볯覼戼㹲 ꖻ룤꺁鷦뚻볥袼볯醼볯銂뫦뎶臣讂臣ꢁ苣릉뻥ꢁ臣讂믤風ꃩ閼裢醼臣覂볯銈볯銼臣蒁臣貂臣肸ꃩꮁ꣨覼臣覅귥뮳胣㲂牢ਾ†볯躼볯鲼뷯㲆畳⁢浸湬㩳灪∽瑨灴⼺眯睷樮潰朮⹯灪㸢ㅇ㱯猯扵込뷯㲆畳⁢浸湬㩳灪∽瑨灴⼺眯睷樮潰朮⹯灪㸢ㅇ⼼畳㹢볯銼볯ₐ††袼볯醼볯㲉牢ਾ†臣鎁臣膀戼㹲 蚽猼扵砠汭獮樺㵰栢瑴㩰⼯睷⹷灪⹯潧樮≰䜾漱⼼畳㹢臣膀觥風곧醼觧鎽臥것菣몂臣Ꚅ苧鶷鯩膀戼㹲 蚽猼扵砠汭獮樺㵰栢瑴㩰⼯睷⹷灪⹯潧樮≰䜾㰱猯扵꾁胣趉꣨견볯것菣몂뻧꺁蓧릂럨ꊛ胣㲁牢ਾ臣芁苣芀戼㹲袼믤風ꃩ閼裢鎼볯覼戼㹲 ꖻ룤꺁鷦뚻볥袼볯銼볯銂뫦뎶臣讂臣ꢁ苣릉뻥ꢁ臣讂믤風ꃩ閼裢醼臣覂볯銈볯鎼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰䜾洱湩⼼畳㹢裢醼볯캏蒽猼扵砠汭獮樺㵰栢瑴㩰⼯睷⹷灪⹯潧樮≰䜾洱硡⼼畳㹢†††볯钼볯覼戼㹲 鎁臣ꞁ胣㲁牢ਾ†뷎뷯㲄畳⁢浸湬㩳灪∽瑨灴⼺眯睷樮潰朮⹯灪㸢ㅇ業㱮猯扵꾁胣趉꣨견볯것菣몂뻧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣ꊂ菣馃闦꺁臣ꆁ胣肜ꓥꢁ臣讂苣莃菣낕胣㲁牢ਾ臣芁苣芀戼㹲袼믤風ꃩ閼裢鎼볯覼戼㹲 ꖻ룤꺁鷦뚻볥袼볯鎼볯銂뫦뎶臣讂臣ꢁ苣릉뻥ꢁ臣���믤風ꃩ閼裢醼臣覂볯銈볯钼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰䜾洲湩⼼畳㹢裢醼볯캏蒽猼扵砠汭獮樺㵰栢瑴㩰⼯睷⹷灪⹯潧樮≰䜾洲硡⼼畳㹢†††볯钼볯覼戼㹲 鎁臣ꞁ胣㲁牢ਾ†뷎뷯㲄畳⁢浸湬㩳灪∽瑨灴⼺眯睷樮潰朮⹯灪㸢㉇業㱮猯扵꾁胣趉꣨견볯것菣몂뻧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰䜾洲硡⼼畳㹢臣膀觥風곧銼菣뎃苣꒾苣讧裦馁苣것菣몂臣ꊂ菣馃闦꺁臣ꆁ胣肜ꓥꢁ臣讂苣莃菣낕胣㲁牢ਾ臣芁苣芀戼㹲袼믤風ꃩ閼裢鎼볯覼戼㹲 趉꣨견볯것菣몂뻧貁귦꺁뇥颊諥銂鳦馁苣ꢁ藥ꮁ胣醰臣辁臣节볯ꒁ臣麛諦覅귥ꂴ귥銂鳦馁苣鎁臣銂觧뒾臣馁苣颻꣨薠볯銈볯讁苣閼裢鎼볯꺁臣骁苣讁룤薠臣風볨꺁藥ꚭ돧芀戼㹲袼믤風ꃩ閼裢鎼볯覼戼㹲 趉꣨麵苣袂苣节觧鎽臥ꞁ믤许臣ꆝ믤込볯钼볯覼苣肺뛨馁苣趽뷧ꮁ胣醰臣辁臣节볯ꒁ臣麛諦覅귥ꂴ귥銂藩꺽臣讂臣ꢁ苣릉뻥ꢁ臣讂믤風ꃩ閼裢醼臣覂볯銈볯隼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢䱄㱳猯扵込볯㲤畳⁢浸湬㩳灪∽瑨灴⼺眯睷樮潰朮⹯灪㸢ㅇ獩⼼畳㹢†††볯钼볯覼戼㹲 鎁臣ꞁ胣㲁牢ਾ†볯㲤畳⁢浸湬㩳灪∽瑨灴⼺眯睷樮潰朮⹯灪㸢䱄㱳猯扵꾁胣麛諦覅귥ꂴ귥讁苣趉꣨麵苣뺁臣꺁藥뢻룤꺁럨ꊛ胣㲁牢ਾ†볯㲤畳⁢浸湬㩳灪∽瑨灴⼺眯睷樮潰朮⹯灪㸢ㅇ獩⼼畳㹢臣膀觥風곧醼菥뒁菣뎃苣꺁菥뒁鷩讁苣趉꣨麵苣뺁臣꺁藥뢻룤꺁럨ꊛ胣㲁牢ਾ臣芁苣芀戼㹲袼믤風ꃩ閼裢鎼볯覼戼㹲 趉꣨麵苣袂苣节菥뒁臣ꖻ룤꺁鷦뚻볥袼볯馼볯銂뫦뎶臣讂뷤꺽臣膀냥ꪁ臣ꢁ苣醼臣꺁鯥颊藥ꚭ듧邭苣超뷧馁苣鎁臣銂觧뒾臣馁苣颻꣨薠볯銈볯讁苣閼裢鎼볯꺁臣骁苣讁룤薠臣風볨꺁藥ꚭ돧芀戼㹲 邼볯銼볯꒼猼扵砠汭獮樺㵰栢瑴㩰⼯睷⹷灪⹯潧樮≰猾䱄⼼畳㹢볯겼猼扵砠汭獮樺㵰栢瑴㩰⼯睷⹷灪⹯潧樮≰猾㉇⼼畳㹢볯邼볯馼†††볯钼볯覼戼㹲 鎁臣ꞁ胣㲁牢ਾ†볯㲤畳⁢浸湬㩳灪∽瑨灴⼺眯睷樮潰朮⹯灪㸢䑳㱌猯扵꾁胣趉꣨麵苣讁苣趉꣨麛諦覅귥ꂴ귥뺁臣꺁藥뢻룤꺁럨ꊛ胣㲁牢ਾ†볯㲬畳⁢浸湬㩳灪∽瑨灴⼺眯睷樮潰朮⹯灪㸢䝳㰲猯扵꾁胣趉꣨麵苣讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯銈볯馼볯㲉牢ਾ†믤许臣ꆝ믤込볯閼볯覼胣袼볯醼볯銂뫦뎶臣讂단것菣몂苣覜臣讂臣ꢁ苣릉뻥ꢁ臣讂믤風ꃩ閼裢醼臣覂볯銈볯颼臣蒁臣貂臣肸ꃩꮁ꣨覼臣覅귥뮳胣㲂牢ਾ†볯躼볯醼볯醼볯캏蒽猼扵砠汭獮樺㵰栢瑴㩰⼯睷⹷灪⹯潧樮≰渾㰱猯扵銈볯込뷎뷯㲄畳⁢浸湬㩳灪∽瑨灴⼺眯���樮潰朮⹯灪㸢ㅇ慭㱸猯扵‾††袼볯邼볯㲉牢ਾ†볯鲼볯㲤畳⁢浸湬㩳灪∽瑨灴⼺眯睷樮潰朮⹯灪㸢ㅮ㱳猯扵込볯㲤畳⁢浸湬㩳灪∽瑨灴⼺眯睷樮潰朮⹯灪㸢獯⼼畳㹢볯邼볯鎼†††볯閼볯覼戼㹲 鎁臣ꞁ胣㲁牢ਾ†뷎뷯㲄畳⁢浸湬㩳灪∽瑨灴⼺眯睷樮潰朮⹯灪㸢ㅮ⼼畳㹢臣膀觥風단것菣몂臣ꊂ菣馃闦膀戼㹲 츠蒽猼扵砠汭獮樺㵰栢瑴㩰⼯睷⹷灪⹯潧樮≰䜾洱硡⼼畳㹢臣膀觥風곧醼菣뎃苣꒾苣讧裦馁苣것菣몂臣ꊂ菣馃闦꺁臣ꆁ胣肜ꓥꢁ臣讂苣莃菣낕胣㲁牢ਾ†볯㲤畳⁢浸湬㩳灪∽瑨灴⼺眯睷樮潰朮⹯灪㸢ㅮ㱳猯扵꾁胣趉꣨ꂲ菣뎃苣꺁觧鎽臥ꊝ臣覂觥風뗧誂臣ꞁ臣覅믨誸臣鶷鯩膀戼㹲 ꒼猼扵砠汭獮樺㵰栢瑴㩰⼯睷⹷灪⹯潧樮≰漾㱳猯扵꾁胣ꦉ뷤讁苣趉꣨麵苣뺁臣꺁藥뢻룤꺁럨ꊛ胣㲁牢ਾ臣芁苣芀戼㹲袼믤風ꃩ閼裢钼볯覼戼㹲 ꖻ룤꺁鷦뚻볥袼볯钼볯銂뫦뎶臣讂뷤꺽臣ꂲ菣뎃苣銂鳦馁苣鎁臣銂觧뒾臣馁苣颻꣨薠볯銈볯讁苣閼裢鎼볯꺁臣骁苣讁룤薠臣風볨꺁藥ꚭ돧芀戼㹲 邼볯隼볯꒼猼扵砠汭獮樺㵰栢瑴㩰⼯睷⹷灪⹯潧樮≰猾㍮⼼畳㹢볯꒼猼扵砠汭獮樺㵰栢瑴㩰⼯睷⹷灪⹯潧樮≰猾㱩猯扵鲼볯ₑ††袼볯钼볯㲉牢ਾ†臣鎁臣膀戼㹲 ꒼猼扵砠汭獮樺㵰栢瑴㩰⼯睷⹷灪⹯潧樮≰猾㍮⼼畳㹢臣膀觥風뗧誂臣覂觥風단것菣몂臣较臥ꊝ臣ꞁ臣覅믨誸臣鶷鯩膀戼㹲 ꒼猼扵砠汭獮樺㵰栢瑴㩰⼯睷⹷灪⹯潧樮≰猾㱩猯扵꾁胣趉꣨麵苣讁苣较臣ꞁ臣覅믨誸臣鶷鯩膀戼㹲ꞁ臣讂胣㲂牢ਾ볯颻꣨薠볯銈볯醼볯㲉牢ਾ†믤许臣ꆝ믤込볯閼볯覼苣肺뛨馁苣鎁臣銂觧뒾臣馁苣颻꣨薠볯銈볯讁苣閼裢钼볯꺁臣骁苣讁룤薠臣風볨꺁藥ꚭ돧芀戼㹲 邼볯鞼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢볯邼볯邼볯쎗랼볯込볯ꚼ†††볯閼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯銼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯閼볯覼苣肺뛨馁苣鎁臣銂觧뒾臣馁苣颻꣨薠볯銈볯讁苣閼裢钼볯꺁臣骁苣讁룤薠臣風볨꺁藥ꚭ돧芀戼㹲 ꒼猼扵砠汭獮樺㵰栢瑴㩰⼯睷⹷灪⹯潧樮≰漾㱳猯扵込볯㲬畳⁢浸湬㩳灪∽瑨灴⼺眯睷樮潰朮⹯灪㸢ㅇ⼼畳㹢裢邼볯鎼볯쎙랼볯込볯ꚼ볯醼볯颼††���볯閼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂뗧誂臣ꞁ臣覅믨誸臣鶷鯩膀戼㹲 겼猼扵砠汭獮樺㵰栢瑴㩰⼯睷⹷灪⹯潧樮≰䜾㰱猯扵꾁胣趉꣨견볯ꦉ뷤뒁菣뎃苣꺁觧鎽臥ꊝ臣覂觥風곧醼菥뒁菣뎃苣꺁菥뒁鷩뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯銈볯鎼볯㲉牢ਾ†믤風ꃩ閼裢醼臣覂볯銈볯銼臣蒁臣貂臣肸ꃩꮁ꣨覼臣覅귥뮳臣膀戼㹲 꺒菥ꂴ귥ꢁ胣銂若袁苣鎁臣銂觧뒾臣馁苣꺒菥薣뷧芀戼㹲袼믤風ꃩ閼裢钼볯覼戼㹲 颻꣨薠볯銈볯鎼臣風볨꺁鋦较ꏨ꺽臣膀戼㹲 ꦉ뷤銂뿤膌臣讂苣蚃菣뢂臣膀戼㹲 ꦉ뷤銂藧躘臣讂藧躘ꏨ꺽臣膀苣覜臣讂臣ꢁ苣릉뻥ꢁ臣讂鋦较苣릂菣ꂃ胣㲂牢ਾ볯颻꣨薠볯銈볯閼볯㲉牢ਾ†觥風鋦较ꏨ꺽臣趉꣨릂菣벃苣ꢁ臣肸뷤ꮁ臣ꎁ臣蒁苣鎁臣릉뻥ꢁ臣讂믤風ꃩ閼裢钼볯ꮁ꣨覼臣꺒菥랂苣蚃菣芀㰊䐯噉ਾ䐼噉㰾䥄㹖胣醼볯銼볯醀⼼䥄㹖袼믤風ꃩ閼胢銈볯覼戼㹲 ꖻ룤꺁鷦뚻볥袼볯钼볯銂뫦뎶臣讂臣ꢁ苣릉뻥ꢁ臣讂믤風ꃩ閼裢醼臣風볨꺁藥ꚭ돧芀戼㹲 邼볯邼볯鲼볯込뷎뷯㲄畳⁢浸湬㩳灪∽瑨灴⼺眯睷樮潰朮⹯灪㸢業㱮猯扵銈볯込뷎뷯㲄畳⁢浸湬㩳灪∽瑨灴⼺眯睷樮潰朮⹯灪㸢慭㱸猯扵‾††袼볯钼볯㲉牢ਾ†臣鎁臣膀戼㹲 츠蒽猼扵砠汭獮樺㵰栢瑴㩰⼯睷⹷灪⹯潧樮≰派湩⼼畳㹢臣膀觥風藥ꚭ돧銂꟦邈臣讂菣뎃苣꺁苣莃菣낕臣蚁臣膀鳦辰臣ꪁ苣ꊂ菣馃闦膀戼㹲 츠蒽猼扵砠汭獮樺㵰栢瑴㩰⼯睷⹷灪⹯潧樮≰派硡⼼畳㹢臣膀觥風藥ꚭ돧銂꟦邈臣讂菣뎃苣꺁苣莃菣낕臣蚁臣膀鳦Ꞥ臣ꪁ苣ꊂ菣馃闦膀戼㹲ꞁ臣讂胣㲂牢ਾ볯颻꣨薠볯馀裢鎼볯㲉牢ਾ†믤许臣ꆝ믤込볯銼볯覼苣肺뛨馁苣鎁臣銂觧뒾臣馁苣颻꣨薠볯銈볯袏臣閼胢銈볯ꮁ꣨覼臣覅귥뮳胣㲂牢ਾ†볯躼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢†††볯銼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ閼胢銈볯覼戼㹲 ꖻ룤꺁鷦뚻볥袼볯醼볯銂뫦뎶臣讂臣ꢁ苣릉뻥ꢁ臣讂믤風ꃩ閼裢醼胣閼胢銈볯膀볯馀裢鎼臣蒁臣貂臣肸ꃩꮁ꣨覼臣覅귥뮳胣㲂牢ਾ†볯躼볯醼볯꒼猼扵砠汭獮樺㵰���瑴㩰⼯睷⹷灪⹯潧樮≰派硡⼼畳㹢볯쾏㲆畳⁢浸湬㩳灪∽瑨灴⼺眯睷樮潰朮⹯灪㸢㱳猯扵鲼볯躼볯ₐ††袼볯醼볯㲉牢ਾ†臣鎁臣膀戼㹲 ꒼猼扵砠汭獮樺㵰栢瑴㩰⼯睷⹷灪⹯潧樮≰派硡⼼畳㹢臣膀觥風藥ꚭ돧ꮁ臣醁苣ꎚ苣袐臣것菣몂臣覅믨誸臣鎖髩꺁臣ꆁ胣肜ꓥꢁ臣讂雩钚胣㲁牢ਾ†蛏猼扵砠汭獮樺㵰栢瑴㩰⼯睷⹷灪⹯潧樮≰猾⼼畳㹢臣膀觥風뗧誂臣뒛뻥膀戼㹲ꞁ臣讂胣㲂牢ਾ볯颻꣨薠볯馀裢閼볯㲉牢ਾ†믤许臣ꆝ믤込볯銼볯覼苣肺뛨馁苣鎁臣銂觧뒾臣馁苣颻꣨薠볯銈볯膀볯馀裢銼臣覂볯馀裢钼臣蒁臣貂臣肸ꃩꮁ꣨覼臣覅귥뮳胣㲂牢ਾ†볯躼볯閼볯꒼猼扵砠汭獮樺㵰栢瑴㩰⼯睷⹷灪⹯潧樮≰漾㱳猯扵込볯㲤畳⁢浸湬㩳灪∽瑨灴⼺眯睷樮潰朮⹯灪㸢楯⼼畳㹢볯邼볯颼†††볯銼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂觥風뗧誂臣ꞁ臣覅믨誸臣鶷鯩膀戼㹲 ꒼猼扵砠汭獮樺㵰栢瑴㩰⼯睷⹷灪⹯潧樮≰漾㱩猯扵꾁胣ꦉ뷤讁苣较臣ꞁ臣覅믨誸臣鶷鯩膀戼㹲ꞁ臣讂胣㲂牢ਾ볯颻꣨薠볯馀裢隼볯㲉牢ਾ†믤许臣ꆝ믤込볯銼볯覼苣肺뛨馁苣鎁臣銂觧뒾臣馁苣颻꣨薠볯銈볯膀볯馀裢銼臣覂볯馀裢閼臣蒁臣貂臣肸ꃩꮁ꣨覼臣覅귥뮳胣㲂牢ਾ†볯鲼볯ꚼ볯겼猼扵砠汭獮樺㵰栢瑴㩰⼯睷⹷灪⹯潧樮≰䰾⼼畳㹢볯邼볯钼†††볯銼볯覼戼㹲 鎁臣ꞁ胣㲁牢ਾ†볯ꚼ臣膀觥風곧銼菥뒁菣뎃苣꺁菥뒁鷩讁苣较臣ꞁ臣覅믨誸臣鶷鯩膀戼㹲 겼猼扵砠汭獮樺㵰栢瑴㩰⼯睷⹷灪⹯潧樮≰䰾⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯馀裢鞼볯㲉牢ਾ†믤许臣ꆝ믤込볯鎼볯覼胣袼볯隼볯銂뫦뎶臣讂臣ꢁ苣릉뻥ꢁ臣讂믤風ꃩ閼裢醼胣閼胢銈볯讁苣閼胢銈볯꺁臣骁苣讁룤薠臣風볨꺁藥ꚭ돧芀戼㹲 醼볯邼볯꒼猼扵砠汭獮樺㵰栢瑴㩰⼯睷⹷灪⹯潧樮≰䔾偎⼼畳㹢볯림†††볯鎼볯覼戼㹲 邼觢ꎼ볯ꆼ猼扵砠汭獮樺㵰栢瑴㩰⼯睷⹷灪⹯潧樮≰漾橢⼼畳㹢볯ꎼ볯ꆼ猼扵砠汭獮樺㵰栢瑴㩰⼯睷⹷灪⹯潧樮≰椾杭⼼畳㹢볯邼볯閼†††볯鎼볯覼戼㹲 鎁臣ꞁ胣㲁牢ਾ†볯㲤畳⁢浸湬㩳灪∽瑨灴⼺眯睷樮潰朮⹯灪㸢久㱐猯扵꾁胣趉꣨覅귥뮳臣ꖅ냥뎞뷤꺽臣覂觥風곧醼觧鎽臥것菣몂臣ꦉ뷤뒁鷩뺁臣꺁藥뢻룤꺁럨ꊛ胣㲁牢ਾ†볯꾁胣趉꣨覅귥뮳藥뮳臣誁臣讂鳦Ꞥ菥颫胣㲁牢ਾ†볯늼볯㲡畳⁢浸湬㩳灪∽瑨灴⼺眯睷樮潰朮⹯灪㸢扯㱪猯扵꾁胣趉꣨견볯ꦉ뷤뒁菣뎃苣ꮁ藥蒰臣讂룤覅럧ꢁ藥뢻臣꺁臣馁꟨ꚺ臣肜ꓥꒀ胣㲁牢ਾ†볯늼볯㲡畳⁢浸湬㩳灪∽瑨灴⼺眯睷樮潰朮⹯灪㸢浩㱧猯扵꾁胣较鷩ꮁ藥蒰臣讂룤覅럧ꢁ藥뢻臣꺁臣馁꟨ꚺ臣肜ꓥꒀ胣㲁牢ਾ臣芁苣膀戼㹲 銧뫥꺁귦ꂲ臣膀藥뢻臣覂駦袨鯥誂臣릖���ꮁ룦ꎁ臣뒠郥꺁꟨ꚺ苣ꂲ胣趏駦袨鯥誂臣릖郥ꮁ룦ꎁ臣ꢁ臣꺁꟨ꚺ苣ꎭ臣馁苣芀戼㹲袼믤風ꃩ閼胢銈볯覼戼㹲 趉꣨견볯것菣몂뻧꾁胣肜苣较臥ꮁ触骮臣것菣몂뻧銂鳦鞁胣㲁牢ਾ†觥風触骮臣것菣몂뻧꾁藥鎽臣ꂲ臣袱諦鮊苣覜臣讂臣놅臣膀단것菣몂臣袱諦鮊苣节臣颍菣뎃苣讁볯骞臣것菣몂臣覂臣誂胣㲁牢ਾ†觥風볯骞臣것菣몂臣膀觧鎽臥讁苣ꂲ臣袱諦鮊苣节臣것菣몂臣膀귦뺁臣꾁단꺁뇥颊諥銂賦ꒁ菣뎃苣ꢁ胣讁苣ꪁ苣鎁臣銂觧뒾臣馁苣颻꣨薠볯銈볯膀볯馀裢銼臣覂볯馀裢鞼臣蒁臣貂臣肸ꃩꮁ꣨覼臣覅귥뮳胣㲂牢ਾ볯颻꣨薠볯馀裢馼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†觥風곧醼菥뒁菣뎃苣꺁菥뒁鷩貁菥뒁臣릇臣芁苣膀戼㹲 ꖻ룤꺁鷦뚻볥袼볯邼볯銂뫦뎶臣讂臣ꢁ苣릉뻥ꢁ臣讂믤風ꃩ閼裢醼胣閼胢銈볯讁苣閼胢銈볯꺁臣骁苣讁룤薠臣風볨꺁藥ꚭ돧芀戼㹲 邼볯銼볯늼猼扵砠汭獮樺㵰栢瑴㩰⼯睷⹷灪⹯潧樮≰䜾椱⼼畳㹢볯꒼猼扵砠汭獮樺㵰栢瑴㩰⼯睷⹷灪⹯潧樮≰䜾椱㱳猯扵‾††袼볯邼볯㲉牢ਾ†臣鎁臣膀戼㹲 늼猼扵砠汭獮樺㵰栢瑴㩰⼯睷⹷灪⹯潧樮≰䜾椱⼼畳㹢臣膀觥風곧醼菥뒁菣뎃苣꺁菥뒁鷩꺁鯦螎跥蒾胣㲁牢ਾ†볯㲤畳⁢浸湬㩳灪∽瑨灴⼺眯睷樮潰朮⹯灪㸢ㅇ獩⼼畳㹢臣膀觥風곧醼菥뒁菣뎃苣꺁菥뒁鷩讁苣趉꣨麵苣뺁臣꺁藥뢻룤꺁럨ꊛ胣㲁牢ਾ臣芁苣芀⼼䥄㹖㰊䥄㹖䐼噉邀볯醼볯鞼胣㲑䐯噉ਾ볯颻꣨薠볯鶀裢銼볯㲉牢ਾ†觥風곧醼菣뎃苣꒾臣ꎭ臣袱諦鮊苣覜臣膀戼㹲 ꖻ룤꺁鷦뚻볥袼볯馼볯銂뫦뎶臣讂臣ꢁ苣릉뻥ꢁ臣讂믤風ꃩ閼裢醼臣風볨꺁藥ꚭ돧芀戼㹲 醼볯邼볯랼볯込볯ꚼ†††볯醼볯覼戼㹲 鎁臣ꞁ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯鶀裢鎼볯㲉牢ਾ†觥風곧醼菣뎃苣꒾臣膀단것菣몂臣膀觥風단것菣몂苣誂苣ꦉ뷤뒁臣超뷧閁苣龁귦것菣몂臣膀苣覜臣膀戼㹲 ꖻ룤꺁鷦뚻볥袼볯邼裢醼볯銂뫦뎶臣讂臣ꢁ苣릉뻥ꢁ臣讂믤風ꃩ閼裢醼迥꾁볯鶀裢銼臣風볨꺁藥ꚭ돧芀戼㹲 醼볯邼볯銼韃볯랼볯쎤钽뷯躽볯鎽뷯躽猼灵砠汭獮樺㵰栢瑴㩰⼯睷⹷灪⹯潧樮≰銈볯㲑猯灵꺼볯覼볯림猼扵砠汭獮樺㵰栢瑴㩰⼯睷⹷灪⹯潧樮≰漾橢⼼畳㹢볯込蛏猼扵砠汭獮樺㵰栢瑴㩰⼯睷⹷灪⹯潧樮≰猾⼼畳㹢볯閼볯邼†††볯銼볯銈볯覼戼㹲 鎁臣ꞁ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꆼ���膀觥風藥ꚭ돧꺁觧鎽臥꺁雩ꎏ闦膀戼㹲 림猼扵砠汭獮樺㵰栢瑴㩰⼯睷⹷灪⹯潧樮≰漾橢⼼畳㹢臣膀鳦Ꞥ觧鎽ꯩ膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ閼胢銈볯覼戼㹲 ꖻ룤꺁鷦뚻볥袼볯鎼볯銂뫦뎶臣讂臣ꢁ苣릉뻥ꢁ臣讂믤風ꃩ閼裢醼胣閼胢銈볯膀볯鶀裢鎼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢†††볯銼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ臣芁苣芀戼㹲袼믤風ꃩ閼胢銈볯覼戼㹲 ꖻ룤꺁鷦뚻볥袼볯鞼볯銂뫦뎶臣讂臣ꢁ苣릉뻥ꢁ臣讂믤風ꃩ閼裢醼胣閼胢銈볯讁苣閼胢銈볯꺁臣骁苣讁룤薠臣風볨꺁藥ꚭ돧芀戼㹲 邼볯ꊼ볯込볯㲬畳⁢浸湬㩳灪∽瑨灴⼺眯睷樮潰朮⹯灪㸢㱌猯扵鲼볯躼볯ₔ††袼볯鞼볯㲉牢ਾ†臣鎁臣膀戼㹲 ꊼ볯꾁胣趉꣨견볯较臥것菣몂臣较臥ꊝ臣覂菥뺁臣꺁藥뢻룤꺁럨ꊛ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ臣芁苣芀戼㹲袼믤風ꃩ閼胢銈볯覼戼㹲 ꖻ룤꺁鷦뚻볥袼볯閼볯膀볯鎼볯覼苣肺뛨馁苣鎁臣銂觧뒾臣馁苣颻꣨薠볯銈볯膀볯鶀裢銼臣覂볯鶀裢閼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢久㱐猯扵込볯₹††袼볯閼볯㲉牢ਾ†볯ꚉ볯늼볯㲡畳⁢浸湬㩳灪∽瑨灴⼺眯睷樮潰朮⹯灪㸢扯㱪猯扵込볯늼볯㲡畳⁢浸湬㩳灪∽瑨灴⼺眯睷樮潰朮⹯灪㸢浩㱧猯扵鲼볯躼볯ₕ††袼볯隼볯㲉牢ਾ†臣鎁臣膀戼㹲 ꒼猼扵砠汭獮樺㵰栢瑴㩰⼯睷⹷灪⹯潧樮≰䔾偎⼼畳㹢臣膀觥風藥ꚭ돧꺁藥蒰黧趽뷧讁苣趉꣨견볯ꦉ뷤뒁菣뎃苣꺁觧鎽臥ꊝ臣ꞁ臣覅믨誸臣鶷鯩膀戼㹲 림臣膀觥風藥ꚭ돧ꢅ돧ꮁ臣醁苣肜ꓥ较ꯩ膀戼㹲 ꎼ볯ꆼ猼扵砠汭獮樺㵰栢瑴㩰⼯睷⹷灪⹯潧樮≰漾橢⼼畳㹢臣膀觥風곧醼觧鎽臥것菣몂臣ꖅ냥馁苣뮸藥骷臣覅믨ꢁ臣ꪁ臣銧뫥꺁鳦Ꞥ胥膀戼㹲 ꎼ볯ꆼ猼扵砠汭獮樺㵰栢瑴㩰⼯睷⹷灪⹯潧樮≰椾杭⼼畳㹢臣膀菥ꊝ臣ꖅ냥馁苣뮸藥骷臣覅믨ꢁ臣ꪁ臣銧뫥꺁鳦Ꞥ胥膀戼㹲ꞁ臣誂胣㲁牢ਾ†꟨ꚺ臣ꎭ단꾁胣覅믨讁苣芙꣨麛苣꺁雦醐臣겸臣龁ꃥ袐臣銧뫥銂단膀迥芙꣨麛苣꺁雦醐臣겸臣龁臣趁臣銧뫥銂귦ꢁ臣讂胣㲂牢ਾ볯颻꣨���볯鶀裢鞼볯㲉牢ਾ†믤许臣ꆝ믤込볯銼볯覼苣肺뛨馁苣鎁臣銂觧뒾臣馁苣颻꣨薠볯銈볯膀볯鶀裢銼臣覂볯鶀裢隼臣蒁臣貂臣肸ꃩꮁ꣨覼臣覅귥뮳胣㲂牢ਾ†볯躼볯閼볯꒼猼扵砠汭獮樺㵰栢瑴㩰⼯睷⹷灪⹯潧樮≰漾㱳猯扵込볯㲤畳⁢浸湬㩳灪∽瑨灴⼺眯睷樮潰朮⹯灪㸢楯⼼畳㹢볯邼볯颼†††볯銼볯覼戼㹲 鎁臣ꞁ胣㲁牢ਾ†볯㲤畳⁢浸湬㩳灪∽瑨灴⼺眯睷樮潰朮⹯灪㸢獯⼼畳㹢臣膀觧鎽臣覂觥風뗧誂臣ꞁ臣覅믨誸臣鶷鯩膀戼㹲 ꒼猼扵砠汭獮樺㵰栢瑴㩰⼯睷⹷灪⹯潧樮≰漾㱩猯扵꾁胣ꦉ뷤讁苣较臣ꞁ臣覅믨誸臣鶷鯩膀戼㹲ꞁ臣讂胣㲂牢ਾ볯颻꣨薠볯鶀裢颼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯鎼볯銈볯覼苣肺뛨馁苣鎁臣銂觧뒾臣馁苣颻꣨薠볯銈볯膀볯鶀裢銼臣覂볯鶀裢鞼臣蒁臣貂臣肸ꃩꮁ꣨覼臣覅귥뮳胣㲂牢ਾ†볯躼볯鲼볯㲬畳⁢浸湬㩳灪∽瑨灴⼺眯睷樮潰朮⹯灪㸢ㅇ⼼畳㹢볯겼猼扵砠汭獮樺㵰栢瑴㩰⼯睷⹷灪⹯潧樮≰䜾㰲猯扵鲼볯躼볯ₔ††袼볯醼裢醼볯㲉牢ਾ†臣鎁臣膀戼㹲 겼猼扵砠汭獮樺㵰栢瑴㩰⼯睷⹷灪⹯潧樮≰䜾㰱猯扵꾁胣趉꣨견볯ꦉ뷤뒁菣뎃苣꺁觧鎽臥ꊝ臣覂觥風곧醼菥뒁菣뎃苣꺁菥뒁鷩뺁臣꺁藥뢻룤꺁럨ꊛ胣㲁牢ਾ†볯㲬畳⁢浸湬㩳灪∽瑨灴⼺眯睷樮潰朮⹯灪㸢㉇⼼畳㹢臣膀觥風곧銼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯鶀裢馼볯㲉牢ਾ†觥風곧醼菣뎃苣꒾臣膀鳦节菥뒁臣超뷧閁苣龁곧醼菥뒁菣뎃苣銂鳦鞁胣㲁牢ਾ†믤许臣ꆝ믤込볯鎼볯覼苣肺뛨馁苣鎁臣銂觧뒾臣馁苣颻꣨薠볯銈볯膀볯鶀裢銼臣覂볯鶀裢颼臣蒁臣貂臣肸ꃩꮁ꣨覼臣覅귥뮳胣㲂牢ਾ†볯躼볯鲼볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵鲼볯躼볯ₐ††袼볯钼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲ꞁ臣讂胣㲂牢ਾ볯颻꣨薠볯鶀裢醼볯覼戼㹲 ꖻ룤꺁鷦뚻볥袼볯醼볯銂뫦뎶臣讂臣ꢁ苣릉뻥ꢁ臣讂믤風ꃩ閼裢醼胣閼胢銈볯讁苣閼胢銈볯꺁臣骁苣讁룤薠臣風볨꺁藥ꚭ돧芀戼㹲 邼볯邼볯鲼볯㲤畳⁢浸湬㩳灪∽瑨灴⼺眯睷樮潰朮⹯灪㸢慭㱸猯扵込蛏猼扵砠汭獮樺㵰栢瑴㩰⼯睷⹷灪⹯潧樮≰猾⼼畳㹢볯鎼볯邼†††볯銼볯覼戼㹲 鎁臣ꞁ胣㲁牢ਾ†볯㲤畳⁢浸湬㩳灪∽瑨灴⼺眯睷樮潰朮⹯灪㸢慭㱸猯扵꾁胣趉꣨覅귥뮳臣誁臣讂髩誂郥蚁菣뎃苣꺁藥���룤꺁雩钚臣蚁臣膀鳦Ꞥ臣ꪁ苣鎖髩膀戼㹲 켠㲆畳⁢浸湬㩳灪∽瑨灴⼺眯睷樮潰朮⹯灪㸢㱳猯扵꾁胣趉꣨麵苣꺁鯧蒾胣㲁牢ਾ臣芁苣芀戼㹲袼믤風ꃩ閼胢銈볯醼볯㲉牢ਾ†믤许臣ꆝ믤込볯閼볯覼苣肺뛨馁苣鎁臣銂觧뒾臣馁苣颻꣨薠볯銈볯膀볯鶀裢銼臣覂볯鶀裢醼볯꺁臣骁苣讁룤薠臣風볨꺁藥ꚭ돧芀戼㹲 邼볯鞼볯鲼볯㲬畳⁢浸湬㩳灪∽瑨灴⼺眯睷樮潰朮⹯灪㸢㱌猯扵込볯㲤畳⁢浸湬㩳灪∽瑨灴⼺眯睷樮潰朮⹯灪㸢楯⼼畳㹢볯邼볯邼볯쎗랼볯込볯ꚼ†††볯閼볯覼戼㹲 鎁臣ꞁ胣㲁牢ਾ†볯㲬畳⁢浸湬㩳灪∽瑨灴⼺眯睷樮潰朮⹯灪㸢㱌猯扵꾁胣趉꣨견볯ꦉ뷤뒁菣뎃苣꺁觧鎽臥ꊝ臣覂觥風곧銼菥뒁菣뎃苣꺁菥뒁鷩뺁臣꺁藥뢻룤꺁럨ꊛ胣㲁牢ਾ†볯㲤畳⁢浸湬㩳灪∽瑨灴⼺眯睷樮潰朮⹯灪㸢楯⼼畳㹢臣膀觧鎽臣覂菥뺁臣꺁藥뢻룤꺁럨ꊛ胣㲁牢ਾ†볯꒼臣膀觧鎽臣覂觥風곧醼觧鎽臥것菣몂臣ꦉ뷤뒁鷩뺁臣꺁藥뢻룤꺁럨ꊛ胣㲁牢ਾ†볯ꚼ臣膀觥風곧銼菥뒁菣뎃苣꺁菥뒁鷩讁苣较臣ꞁ臣覅믨誸臣鶷鯩膀戼㹲ꞁ臣讂胣㲂牢ਾ볯颻꣨薠볯鶀裢醼볯覼戼㹲 趉꣨견볯것菣몂뻧꾁胣肜苣较臥ꮁ藩꺽臣貂臣견볯较臥것菣몂苣覜臣膀戼㹲 ꖻ룤꺁鷦뚻볥袼볯鞼볯銂뫦뎶臣讂臣ꢁ苣릉뻥ꢁ臣讂믤風ꃩ閼裢醼胣閼胢銈볯讁苣閼胢銈볯醼臣蒁臣貂臣肸ꃩꮁ꣨覼臣覅귥뮳胣㲂牢ਾ†볯㲤畳⁢浸湬㩳灪∽瑨灴⼺眯睷樮潰朮⹯灪㸢獯⼼畳㹢볯겼猼扵砠汭獮樺㵰栢瑴㩰⼯睷⹷灪⹯潧樮≰䜾㰱猯扵銈볯躼볯馼韃볯꒼볯ꊼ볯鲼볯躼볯ₘ††袼볯鞼볯㲉牢ਾ†臣鎁臣膀戼㹲 ꒼猼扵砠汭獮樺㵰栢瑴㩰⼯睷⹷灪⹯潧樮≰漾㱳猯扵꾁胣ꦉ뷤讁苣麵苣뺁臣꺁藥뢻룤꺁럨ꊛ胣㲁牢ਾ†볯㲬畳⁢浸湬㩳灪∽瑨灴⼺眯睷樮潰朮⹯灪㸢ㅇ⼼畳㹢臣膀觥風곧醼觧鎽臥것菣몂臣ꦉ뷤뒁鷩讁苣趉꣨견볯较臥것菣몂臣较臥ꊝ臣ꞁ臣覅믨誸臣鶷鯩膀戼㹲 랼볯꾁胣ꦉ뷤讁苣趉꣨견볯ꦉ뷤뒁菣뎃苣꺁觧鎽臥ꊝ臣ꞁ臣覅믨誸臣鶷鯩膀戼㹲 ꊼ볯꾁胣趉꣨견볯较臥것菣몂臣较臥ꊝ臣覂菥뺁臣꺁藥뢻룤꺁럨ꊛ胣㲁牢ਾ臣芁苣芀⼼䥄㹖㰊䐯噉ਾ䐼噉㰾䥄㹖胣ꎔꗦ誸臣ꦈ铧꾏菨Ꞁ胣㲑䐯噉ਾ䐼噉邀볯醼볯颼胣㲑䐯噉ਾ†믤誸臣袂臣ꮁ胣겜駧躘臣膀菥뒁臣讖迥낕臣Ꞥ臣辁胣뢫迥꺷臣꾉ꗥꮁꏨꎭ臣貂臣覅귥뮳胣誏臣鶁苣銂铧蒁臣覅귥龩駥ꮁ臩鞁臣蒁苣芀臣龁胣겜駧躘臣膀迥꺷臣꾉ꗥꮁꏨꎭ臣貂胣鶁苣ꮁ苣誂ꯩ蒁裥ꎧ菨銂鳦鞁臣貁苣节胣ꢅ闩貁鿧蒁藥ꚭ돧誏臣鶁苣銂铧蒁臣꺒菥薣뷧膀鋦较苣릂菣ꂃ臣ꦁ臣ꚁ臣讂胣㲂䐯噉ਾ䐼噉㰾䥄㹖胣ꚬ迥꺁ꫨ躘胣㲑䐯噉ਾ䐼噉邀볯醼볯馼胣㲑䐯噉ਾ†볯₣ꮂ菣벃苣ꦃ苣㲹牢ਾ†볯₩꺒菥ꊝ볯较鷩覼戼㹲 Ꞽ볯ₑ견볯것菣몂뻧㲤牢ਾ†볯銼†곧���菣뎃苣꒾戼㹲 겼볯鲀볯醼볯ₙ것菣몂戼㹲 뎼†뗧誂볯讖迥麵苣覼戼㹲 醼胣醼볯膀볯邼†ꇩ꺾迩袼藥ꚭꧦꢙ볯㲉牢ਾ†볯膀볯醼†鳦鎽戼㹲 鎼胣銼볯ₒ릂菣벃苣㲸牢ਾ†볯ₔ꺒菥ꢃ戼㹲 閼胣醼볯ₒꞅ飦ꚃ菣莃菣㲈牢ਾ†볯膽†藧躘듧邭戼㹲 隼胣銼볯ₔꞅ뫦躃菣㲖牢ਾ†볯膀볯醼胣銼볯ₓ覅귥뮳戼㹲 鞼뷯₁뺯觧것菣몂볯것菣몂菣讃菣袃볯暧볯㲉牢ਾ†볯芽†뗧较菣뎃苣袼菣뎃苣ꚃ菣莃菣Ꞽ覼戼㹲 颼†鋦较듧邭戼㹲 醼볯膽胣銼볯膽†곧醼菣뎃苣꒾戼㹲 醼볯芽胣銼볯芽†곧銼菣뎃苣꒾戼㹲 醼볯ₓ覅뫦ꢃ戼㹲 醼볯ₔꦃ苣袃苣ꒂ菣閃苣ꒂ菣㲐牢ਾ†볯閼†藥蒰ꯧ㲯牢ਾ†볯隼†蟥蒰ꯧ㲯牢ਾ†볯閼†胩躁藧躘藥邺戼㹲 銼볯ₖ趏냥龃菣벃戼㹲 銼볯ₗ뎂菣螃菣떂菣뎃苣㲺䐯噉ਾ䐼噉㰾䥄㹖胣뎛볯醀⼼䥄㹖㰊䥄㹖愼栠敲㵦〢〰㜵㘱㌱⸷楴≦〾〰㜵㘱㌱⸷楴쉦゠〰〰㰲愯㰾䐯噉ਾ䐼噉邀鯥銼胣㲑䐯噉ਾ䐼噉㰾⁡牨晥∽〰㔰ㄷㄶ㜳琮晩㸢〰㔰ㄷㄶ㜳琮晩ꃂ〰〰㌰⼼㹡⼼䥄㹖㰊䥄㹖胣뎛볯醀⼼䥄㹖㰊䥄㹖愼栠敲㵦〢〰㜵㘱㌱⸷楴≦〾〰㜵㘱㌱⸷楴쉦゠〰〰㰴愯㰾䐯噉ਾ䐼噉邀鯥钼胣㲑䐯噉ਾ䐼噉㰾⁡牨晥∽〰㔰ㄷㄶ㜳琮晩㸢〰㔰ㄷㄶ㜳琮晩ꃂ〰〰㔰⼼㹡⼼䥄㹖㰊䥄㹖胣뎛볯醀⼼䥄㹖㰊䥄㹖愼栠敲㵦〢〰㜵㘱㌱⸷楴≦〾〰㜵㘱㌱⸷楴쉦゠〰〰㰶愯㰾䐯噉ਾ䐼噉邀鯥隼胣㲑䐯噉ਾ䐼噉㰾⁡牨晥∽〰㔰ㄷㄶ㜳琮晩㸢〰㔰ㄷㄶ㜳琮晩ꃂ〰〰㜰⼼㹡⼼䥄㹖㰊䥄㹖胣뎛볯醀⼼䥄㹖㰊䥄㹖愼栠敲㵦〢〰㜵㘱㌱⸷楴≦〾〰㜵㘱㌱⸷楴쉦゠〰〰㰸愯㰾䐯噉ਾ䐼噉邀鯥颼胣㲑䐯噉ਾ䐼噉㰾⁡牨晥∽〰㔰ㄷㄶ㜳琮晩㸢〰㔰ㄷㄶ㜳琮晩ꃂ〰〰㤰⼼㹡⼼䥄㹖㰊䥄㹖胣뎛볯醀⼼䥄㹖㰊䥄㹖愼栠敲㵦〢〰㜵㘱㌱⸷楴≦〾〰㜵㘱㌱⸷楴쉦゠〰㄰㰰愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰱愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰲愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰳愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰴愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰵愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰶愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰷愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰸愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㄰㰹愯㰾䐯噉ਾ䐼噉邀鯥醼볯醀⼼䥄㹖㰊䥄㹖愼栠敲㵦〢〰㜵㘱㌱⸷楴≦〾〰㜵㘱㌱⸷楴쉦゠〰㈰㰰愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰱愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰲愯㰾䐯噉ਾ䐼噉邀鯥銼볯醀⼼䥄㹖㰊䥄㹖���栠敲㵦〢〰㜵㘱㌱⸷楴≦〾〰㜵㘱㌱⸷楴쉦゠〰㈰㰳愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰴愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰵愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰶愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰷愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰸愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㈰㰹愯㰾䐯噉ਾ䐼噉邀鯥銼볯醀⼼䥄㹖㰊䥄㹖愼栠敲㵦〢〰㜵㘱㌱⸷楴≦〾〰㜵㘱㌱⸷楴쉦゠〰㌰㰰愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰱愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰲愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰳愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰴愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰵愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰶愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰷愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰸愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㌰㰹愯㰾䐯噉ਾ䐼噉邀鯥鎼볯醀⼼䥄㹖㰊䥄㹖愼栠敲㵦〢〰㜵㘱㌱⸷楴≦〾〰㜵㘱㌱⸷楴쉦゠〰㐰㰰愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰱愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰲愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰳愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰴愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰵愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰶愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰷愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰸愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㐰㰹愯㰾䐯噉ਾ䐼噉邀鯥钼볯醀⼼䥄㹖㰊䥄㹖愼栠敲㵦〢〰㜵㘱㌱⸷楴≦〾〰㜵㘱㌱⸷楴쉦゠〰㔰㰰愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰱愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰲愯㰾䐯噉ਾ䐼噉邀鯥閼볯醀⼼䥄㹖㰊䥄㹖愼栠敲㵦〢〰㜵㘱㌱⸷楴≦〾〰㜵���㌱⸷楴쉦゠〰㔰㰳愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰴愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰵愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰶愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰷愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰸愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㔰㰹愯㰾䐯噉ਾ䐼噉邀鯥閼볯醀⼼䥄㹖㰊䥄㹖愼栠敲㵦〢〰㜵㘱㌱⸷楴≦〾〰㜵㘱㌱⸷楴쉦゠〰㘰㰰愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰱愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰲愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰳愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰴愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰵愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰶愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰷愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰸愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㘰㰹愯㰾䐯噉ਾ䐼噉邀鯥隼볯醀⼼䥄㹖㰊䥄㹖愼栠敲㵦〢〰㜵㘱㌱⸷楴≦〾〰㜵㘱㌱⸷楴쉦゠〰㜰㰰愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰱愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰲愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰳愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰴愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰵愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰶愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰷愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰸愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㜰㰹愯㰾䐯噉ਾ䐼噉邀鯥鞼볯醀⼼䥄㹖㰊䥄㹖愼栠敲㵦〢〰㜵㘱㌱⸷楴≦〾〰㜵㘱㌱⸷楴쉦゠〰㠰㰰愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰱愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰲愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰳愯㰾䐯噉ਾ䐼���邀鯥颼볯醀⼼䥄㹖㰊䥄㹖愼栠敲㵦〢〰㜵㘱㌱⸷楴≦〾〰㜵㘱㌱⸷楴쉦゠〰㠰㰴愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰵愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰶愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰷愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰸愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㠰㰹愯㰾䐯噉ਾ䐼噉邀鯥颼볯醀⼼䥄㹖㰊䥄㹖愼栠敲㵦〢〰㜵㘱㌱⸷楴≦〾〰㜵㘱㌱⸷楴쉦゠〰㤰㰰愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰱愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰲愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰳愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰴愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰵愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰶愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰷愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰸愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰㤰㰹愯㰾䐯噉ਾ䐼噉邀鯥馼볯醀⼼䥄㹖㰊䥄㹖愼栠敲㵦〢〰㜵㘱㌱⸷楴≦〾〰㜵㘱㌱⸷楴쉦゠〰〱㰰愯㰾䐯噉ਾ䐼噉邀鯥醼볯邼胣㲑䐯噉ਾ䐼噉㰾⁡牨晥∽〰㔰ㄷㄶ㜳琮晩㸢〰㔰ㄷㄶ㜳琮晩ꃂ〰㄰㄰⼼㹡⼼䥄㹖㰊䥄㹖胣뎛볯邼볯醀⼼䥄㹖㰊䥄㹖愼栠敲㵦〢〰㜵㘱㌱⸷楴≦〾〰㜵㘱㌱⸷楴쉦゠〰〱㰲愯㰾䐯噉ਾ䐼噉邀鯥醼볯銼胣㲑䐯噉ਾ䐼噉㰾⁡牨晥∽〰㔰ㄷㄶ㜳琮晩㸢〰㔰ㄷㄶ㜳琮晩ꃂ〰㄰㌰⼼㹡⼼䥄㹖㰊䥄㹖胣뎛볯邼볯醀⼼䥄㹖㰊䥄㹖愼栠敲㵦〢〰㜵㘱㌱⸷楴≦〾〰㜵㘱㌱⸷楴쉦゠〰〱㰴愯㰾䐯噉ਾ䐼噉邀鯥醼볯钼胣㲑䐯噉ਾ䐼噉㰾⁡牨晥∽〰㔰ㄷㄶ㜳琮晩㸢〰㔰ㄷㄶ㜳琮晩ꃂ〰㄰㔰⼼㹡⼼䥄㹖㰊䥄㹖胣뎛볯邼볯醀⼼䥄㹖㰊䥄㹖愼栠敲㵦〢〰㜵㘱㌱⸷楴≦〾〰㜵㘱㌱⸷楴쉦゠〰〱㰶愯㰾䐯噉ਾ䐼噉邀鯥醼볯隼胣㲑䐯噉ਾ䐼噉㰾⁡牨晥∽〰㔰ㄷㄶ㜳琮晩㸢〰㔰ㄷㄶ㜳琮晩ꃂ〰㄰㜰⼼㹡⼼䥄㹖㰊䥄㹖胣뎛볯邼볯醀⼼䥄㹖㰊䥄㹖愼栠敲㵦〢〰㜵㘱㌱⸷楴≦〾〰㜵㘱㌱⸷楴쉦゠〰〱㰸愯㰾䐯噉ਾ⼼䥄㹖㰊戯摯㹹㰊栯浴㹬